(57)【要約】【課題】固定部材を背面部材に配設する作業工程を少なくできる遊技機を提供すること。【解決手段】背面ケース３００の前面側に配設される係合部材３１０が、背面ケース３００に形成される第２開口部３０１ｄを介して背面ケース３００の背面側から操作可能とされる。これにより、背面ケース３００の背面側からで係合部材３１０を操作して、固定部材３２０と係合部材３１０とを係合できる。また、固定部材３２０は、係合部材３１０との係合部分が第１開口部３０１ｃを介して背面ケース３００（底壁部３０１）の正面側に配置されるので、係合部分が背面ケース３００背面側から操作されて不正が行われることを抑制できる。【選択図】図３９
2020124639.tif 000002
【特許請求の範囲】
【請求項１】
遊技盤と、その遊技盤の背面側に配設される背面部材と、その背面部材の背面側に配設される固定部材と、を備える遊技機において、
前記遊技盤から前記背面部材までの対向間に配設され、前記遊技盤の背面側であって、前記遊技盤から前記背面部材までの対向間の外側から操作可能な変位部材を備え、
前記固定部材は、その少なくとも一部が前記背面部材の正面側に配設され、前記変位部材と係合する突出部を備え、その突出部と前記変位部材とが係合して、前記固定部材が前記背面部材に配設されることを特徴とする遊技機。
【請求項２】
前記遊技盤から前記背面部材までの対向間に配設される第１部材を備え、その第１部材の背面側に前記変位部材が配設されることを特徴とする請求項１記載の遊技機。
【請求項３】
前記変位部材は、前記背面部材と前記遊技盤との対向面と平行な平面上をスライド変位されることを特徴とする請求項１又は２に記載の遊技機。
【発明の詳細な説明】
【技術分野】
【０００１】
本発明は、パチンコ機などの遊技機に関するものである。
【背景技術】
【０００２】
パチンコ機等の遊技機において、遊技盤と、その遊技盤の背面側に配設される背面部材と、その背面部材の背面側に配設される固定部材と、を備える遊技機が知られている（特許文献１）。
【先行技術文献】
【特許文献】
【０００３】
【特許文献１】特開２００４−３３６０３号公報
【発明の概要】
【発明が解決しようとする課題】
【０００４】
しかしながら、上述した遊技機では、固定部材を背面部材に配設する作業工程が多くなるという問題点があった。
【０００５】
本発明は、上記例示した問題点を解決するためになされたものであり、固定部材を背面部材に配設する作業工程を少なくできる遊技機を提供することを目的とする。
【課題を解決するための手段】
【０００６】
この目的を達成するために請求項１記載の遊技機は、遊技盤と、その遊技盤の背面側に配設される背面部材と、その背面部材の背面側に配設される固定部材と、を備えるものであり、前記遊技盤から前記背面部材までの対向間に配設され、前記遊技盤の背面側であって、前記遊技盤から前記背面部材までの対向間の外側から操作可能な変位部材を備え、前記固定部材は、その少なくとも一部が前記背面部材の正面側に配設され、前記変位部材と係合する突出部を備え、その突出部と前記変位部材とが係合して、前記固定部材が前記背面部材に配設される。
【０００７】
請求項２記載の遊技機は、請求項１記載の遊技機において、前記遊技盤から前記背面部材までの対向間に配設される第１部材を備え、その第１部材の背面側に前記変位部材が配設される。
【０００８】
請求項３記載の遊技機は、請求項１又は２に記載の遊技機において、前記変位部材は、前記背面部材と前記遊技盤との対向面と平行な平面上をスライド変位される。
【発明の効果】
【０００９】
請求項１記載の遊技機によれば、固定部材を背面部材に配設する作業工程を少なくできる。
【００１０】
請求項２記載の遊技機によれば、請求項１記載の遊技機の奏する効果に加え、第１部材に邪魔されることなく、固定部材を背面部材に配設することができる。
【００１１】
請求項３記載の遊技機によれば、請求項１又は２に記載の遊技機の奏する効果に加え、変位部材と遊技盤との対向間の空間を確保することができる。
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】パチンコ機の分解斜視正面図である。
【図６】動作ユニットおよび遊技盤の分解斜視正面図である。
【図７】動作ユニットの正面図である。
【図８】動作ユニットの正面図である。
【図９】動作ユニットの正面図である。
【図１０】動作ユニットの正面図である。
【図１１】遊技盤の分解斜視正面図である。
【図１２】（ａ）は、一般入賞口ユニットの正面図であり、（ｂ）は、図１２（ａ）のＸＩＩｂ−ＸＩＩｂ線における一般入賞口ユニットの断面図である。
【図１３】図２のＸＩＩＩ−ＸＩＩＩ線における遊技盤の断面図である。
【図１４】図１３の範囲ＸＩＶにおける遊技盤の部分拡大断面図である。
【図１５】一般入賞口ユニットの背面図である。
【図１６】図１３の範囲ＸＩＶにおける遊技盤の部分拡大断面図である。
【図１７】センターフレームの分解斜視正面図である。
【図１８】（ａ）は、第１ユニットの正面図であり、（ｂ）は、第１ユニットの側面図であり、（ｃ）は、第１ユニットの背面図である。
【図１９】第１ユニットの分解斜視正面図である。
【図２０】第１ユニットの分解斜視背面図である。
【図２１】図１８（ｂ）のＸＸＩ−ＸＸＩ線における第１ユニットの断面図である。
【図２２】図２１に示す第１ユニットの模式断面図である。
【図２３】図１８（ｂ）のＸＸＩＩＩ−ＸＸＩＩＩ線における第１ユニットの断面図である。
【図２４】（ａ）は、図２１のＸＸＩＶａ−ＸＸＩＶａ線における第１ユニットの断面図であり、（ｂ）は、図２１のＸＸＩＶｂ−ＸＸＩＶｂ線における第１ユニットの断面図であり、（ｃ）は、図２１のＸＸＩＶｃ−ＸＸＩＶｃ線における第１ユニットの断面図である。
【図２５】（ａ）は、図２１の範囲ＸＸＶａにおける第１ユニットの部分拡大図であり、（ｂ）は、図２５（ａ）のＸＸＩＶｂ−ＸＸＩＶｂ線における第１ユニットの断面図である。
【図２６】（ａ）は、図２１の範囲ＸＸＶａにおける第１ユニットの部分拡大図であり、（ｂ）は、図２６（ａ）のＸＸＩＶｂ−ＸＸＩＶｂ線における第１ユニットの断面図である。
【図２７】（ａ）は、図２５（ａ）のＸＸＶＩＩａ−ＸＸＶＩＩａ線における第１ユニットの模式断面図であり、（ｂ）は、図２５（ａ）のＸＸＶＩＩｂ−ＸＸＶＩＩｂ線における第１ユニットの模式断面図であり、（ｃ）は、図２５（ａ）のＸＸＶＩＩｃ−ＸＸＶＩＩｃ線における第１ユニットの模式断面図である。
【図２８】（ａ）は、図２５（ａ）のＸＸＶｂ−ＸＸＶｂ線における第１ユニットの模式断面図であり、（ｂ）は、図２５（ａ）のＸＸＶＩＩＩｂ−ＸＸＶＩＩＩｂ線における第１ユニットの模式断面図である。
【図２９】（ａ）は、第２ユニットの正面図であり、（ｂ）は、第２ユニットの背面図である。
【図３０】第２ユニットの分解斜視正面図である。
【図３１】第２ユニットの分解斜視背面図である。
【図３２】図２９のＸＸＸＩＩ−ＸＸＸＩＩ線における第２ユニットの断面図である。
【図３３】（ａ）は、センターフレームの正面図であり、（ｂ）は、センターフレームの側面図である。
【図３４】（ａ）は、センターフレームの斜視正面図であり、（ｂ）は、センターフレームの斜視背面図である。
【図３５】センターフレームの分解斜視背面図である。
【図３６】図３３のＸＸＸＶＩ−ＸＸＸＶＩ線におけるセンターフレームの断面図である。
【図３７】（ａ）は、遊技盤の模式断面図であり、（ｂ）は、遊技盤の模式分解断面図である。
【図３８】（ａ）は、背面ケースの正面図であり、（ｂ）は、背面ケースの背面図である。
【図３９】（ａ）は、背面ケースの分解斜視正面図であり、（ｂ）は、背面ケースの分解斜視背面図である。
【図４０】（ａ）は、背面ケースの正面図であり、（ｂ）は、背面ケースの背面図である。
【図４１】（ａ）は、背面ケースの正面図であり、（ｂ）は、背面ケースの背面図である。
【図４２】（ａ）は、背面ケースおよび基板ボックスの斜視背面図であり、（ｂ）は、背面ケースおよび基板ボックスの背面図である。
【図４３】下変位ユニットの正面図である。
【図４４】下変位ユニットの背面図である。
【図４５】下変位ユニットの分解斜視正面図である。
【図４６】下変位ユニットの分解斜視背面図である。
【図４７】退避状態における下変位ユニットの正面図である。
【図４８】第１張出状態における下変位ユニットの正面図である。
【図４９】第２張出状態における下変位ユニットの正面図である。
【図５０】退避状態における下変位ユニットの背面図である。
【図５１】第１張出状態における下変位ユニットの背面図である。
【図５２】第２張出状態における下変位ユニットの背面図である。
【図５３】（ａ）は退避状態における、（ｂ）は第１張出状態における、（ｃ）は第２張出状態における、第１リンク部材とカム部材との背面図である。
【図５４】図５０のＬＩＶａ−ＬＩＶａ線における下変位ユニットの断面模式図であり、（ｂ）は、図５１のＬＩＶｂ−ＬＩＶｂ線における下変位ユニットの断面模式図である。
【図５５】（ａ）は、図５０のＬＶａ−ＬＶａ線における下変位ユニットの断面図であり、（ｂ）は、図５１のＬＶｂ−ＬＶｂ線における下変位ユニットの断面図であり、（ｃ）は、図５２のＬＶｃ−ＬＶｃ線における下変位ユニットの断面図である。
【図５６】（ａ）は、図５２のＬＶＩａ−ＬＶＩａ線における下変位ユニットの断面図であり、（ｂ）は、第２張出状態における下変位ユニットの第１リンク部材およびカム部材の正面図である。
【図５７】（ａ）は、下変位部材の正面図であり、（ｂ）は、下変位部材の背面図である。
【図５８】下変位部材の分解斜視正面図である。
【図５９】下変位部材の分解斜視背面図である。
【図６０】（ａ）及び（ｂ）は、下変位部材の正面図である。
【図６１】第１位置における下変位部材の正面図である。
【図６２】第２位置における下変位部材の正面図である。
【図６３】第３位置における下変位部材の正面図である。
【図６４】（ａ）から（ｃ）は、下変位部材の部分拡大図である。
【図６５】（ａ）から（ｃ）は、下変位部材の正面図である。
【図６６】（ａ）から（ｃ）は、下変位部材の正面図である。
【図６７】（ａ）から（ｃ）は、下変位部材の正面図である。
【図６８】（ａ）から（ｃ）は、下変位部材の正面図である。
【図６９】（ａ）は、図６８（ｂ）の範囲ＬＸＩＸａにおける下変位部材の部分拡大図であり、（ｂ）は、図６８（ａ）の範囲ＬＸＩＸｂにおける下変位部材の部分拡大図である。
【図７０】（ａ）は、振分けユニットの上面図であり、（ｂ）は、振分けユニットの背面図である。
【図７１】振分けユニットの分解正面斜視図である。
【図７２】振分けユニットの分解背面斜視図である。
【図７３】図７０（ａ）のＬＸＸＩＩＩ−ＬＸＸＩＩＩ線における振分けユニットの断面図である。
【図７４】（ａ）及び（ｂ）は、図７３の範囲ＬＸＸＩＶにおける振分けユニットの部分拡大図である。
【図７５】（ａ）及び（ｂ）は、振分けユニットの部分拡大図である。
【図７６】（ａ）及び（ｂ）は、振分けユニットの部分拡大図である。
【図７７】（ａ）及び（ｂ）は、振分けユニットの部分拡大図である。
【図７８】（ａ）及び（ｂ）は、振分けユニットの部分拡大図である。
【図７９】振分けユニットおよび下変位ユニットの正面図である。
【図８０】振分けユニットおよび下変位ユニットの上面図である。
【図８１】下変位ユニットの正面図である。
【図８２】振分けユニットの断面図である。
【図８３】下変位ユニットの正面図である。
【図８４】振分けユニットの断面図である。
【図８５】下変位ユニットの正面図である。
【図８６】振分けユニットの断面図である。
【図８７】回転ユニットの正面図である。
【図８８】回転ユニットの背面図である。
【図８９】回転ユニットの分解斜視正面図である。
【図９０】回転ユニットの分解背面斜視図である。
【図９１】装飾ユニットの正面図である。
【図９２】（ａ）は、図９１の矢印ＸＣＩＩａ方向視における装飾ユニットの側面図であり、（ｂ）は、図９１の矢印ＸＣＩＩｂ方向視における装飾ユニットの側面図である。
【図９３】装飾ユニットの分解斜視正面図である。
【図９４】装飾ユニットの分解斜視背面図である。
【図９５】図８９の矢印ＸＣＶａ方向視における回転ユニットであり、（ｂ）は、図８９の矢印ＸＣＶｂにおける回転ユニットである。
【図９６】図８９の矢印ＸＣＶａ方向視における回転ユニットであり、（ｂ）は、図８９の矢印ＸＣＶｂにおける回転ユニットである。
【図９７】（ａ）は閉鎖状態の、（ｂ）は中間状態の、（ｃ）は開放状態の、それぞれにおける装飾ユニットおよび右伝達部材の側面図である。
【図９８】（ａ）は開放状態の、（ｂ）は中間状態の、（ｃ）は閉鎖状態の、それぞれにおける装飾ユニットおよび右伝達部材の側面図である。
【図９９】（ａ）は閉鎖状態における装飾ユニットの側面図であり、（ｂ）は開放状態における装飾ユニットの側面図である。
【図１００】（ａ）は、回転体の正面図であり、（ｂ）は、図１００（ａ）の矢印Ｃｂ方向視における回転体の側面図であり、（ｃ）は、図１００（ａ）の矢印Ｃｃ方向視における回転体の側面図である。
【図１０１】回転体の分解斜視正面図である。
【図１０２】回転体の分解斜視背面図である。
【図１０３】（ａ）は、開閉部材が閉鎖状態における回転体の側面図であり、（ｂ）は、開閉部材が開放状態における回転体の側面図である。
【図１０４】（ａ）及び（ｂ）は、装飾ユニットの側面図である。
【図１０５】下変位ユニットおよび回転ユニットの正面図である。
【図１０６】図１０５の矢印ＣＶＩ方向視における下変位ユニットの上面図である。
【図１０７】下変位ユニットおよび回転ユニットの正面図である。
【図１０８】（ａ）は、球受台の上面図であり、（ｂ）は、球受台の正面図であり、（ｃ）は、図１０８（ａ）のＣＶＩＩＩｃ−ＣＶＩＩＩｃ線における球受台の断面図である。
【図１０９】球受台の分解斜視図である。
【図１１０】（ａ）及び（ｂ）は、球受台の断面図である。
【図１１１】（ａ）及び（ｂ）は、図８７のＣＸＩ−ＣＸＩ線における回転ユニットの断面模式図である。
【図１１２】上変位ユニットの正面図である。
【図１１３】上変位ユニットの分解斜視正面図である。
【図１１４】上変位ユニットの分解斜視背面図である。
【図１１５】上変位部材が退避位置に配置された状態における上変位ユニットの正面図である。
【図１１６】上変位部材が中間位置に配置された状態における上変位ユニットの正面図である。
【図１１７】上変位部材が張出位置に配置された状態における上変位ユニットの正面図である。
【図１１８】（ａ）は、可変部の正面図であり、（ｂ）は、可変部の背面図である。
【図１１９】第２実施形態における下変位部材の分解斜視正面図である。
【図１２０】下変位部材の正面図である。
【図１２１】第３位置における下変位部材の正面図である。
【図１２２】（ａ）は、第３実施形態における下変位部材の正面図であり、（ｂ）は、下変位部材の背面図である。
【図１２３】下変位部材の分解斜視正面図である。
【図１２４】下変位部材の分解斜視背面図である。
【図１２５】（ａ）及び（ｂ）は、下変位部材の正面図である。
【図１２６】（ａ）は、第１位置における下変位部材の正面図であり、（ｂ）は、第２位置における下変位部材の正面図である。
【図１２７】（ａ）は、第３位置における下変位部材の正面図であり、（ｂ）は、第２位置における下変位部材の正面図である。
【図１２８】第４実施形態における下変位ユニットの正面図である。
【図１２９】下変位ユニットの正面図である。
【図１３０】下変位ユニットの正面図である。
【図１３１】（ａ）は、第５実施形態における振分けユニットの上面図であり、（ｂ）は、振分けユニットの背面図である。
【図１３２】振分けユニットの分解斜視正面図である。
【図１３３】振分けユニットの分解斜視背面図である。
【図１３４】図１３１（ａ）のＣＸＸＸＩＶ−ＣＸＸＸＩＶ線における振分けユニットの断面図である。
【図１３５】（ａ）及び（ｂ）は、図１３４の範囲ＣＸＸＸＶにおける振分けユニットの部分拡大図である。
【図１３６】第６実施形態における回転ユニットの正面図である。
【図１３７】回転ユニットの分解斜視正面図である。
【図１３８】振分けユニットの分解斜視背面図である。
【図１３９】（ａ）から（ｃ）は、図１３８の矢印ＣＸＸＸＩＸ方向視における装飾ユニットの側面図である。
【図１４０】（ａ）から（ｃ）は、図１３８の矢印ＣＸＸＸＩＸ方向視における装飾ユニットの側面図である。
【図１４１】第７実施形態における変位ユニットの側面模式図である。
【図１４２】変位ユニットの側面模式図である。
【図１４３】変位部材に遊技球が保持された場合における変位ユニットの側面模式図である。
【図１４４】変位部材に遊技球が保持された場合における変位ユニットの側面模式図である。
【図１４５】第８実施形態におけるパチンコ機の正面図である。
【図１４６】回転操作ユニットの分解斜視正面図である。
【図１４７】図１４５のＣＸＬＶＩＩ−ＣＸＬＶＩＩ線におけるパチンコ機の断面模式図である。
【図１４８】パチンコ機の断面模式図である。
【図１４９】第９実施形態における第１リンク部材の斜視正面図であり、（ｂ）は、下変位ユニットの断面模式図である。
【図１５０】第１０実施形態における遊技盤の断面図である。
【図１５１】第１１実施形態における下変位部材の分解斜視正面図である。
【図１５２】（ａ）及び（ｂ）は、下変位部材の正面図である。
【図１５３】（ａ）は、下変位部材の正面図であり、（ｂ）は、図１５３（ａ）のＣＬＩＩＩｂ−ＣＬＩＩＩｂ線における下変位部材の断面模式図であり、（ｃ）は、図１５３（ａ）のＣＬＩＩＩｃ−ＣＬＩＩＩｃ線における下変位部材の断面模式図である。
【図１５４】（ａ）は、第１２実施形態における球受部の分解斜視正面図であり、（ｂ）は、球受部の正面図である。
【図１５５】（ａ）及び（ｂ）は、下変位部材の正面図であり、（ｃ）は、図１５５（ｂ）のＣＬＶｃ−ＣＬＶｃ線における下変位部材の断面模式図である。
【図１５６】（ａ）は、第１３実施形態における特別入賞装置の正面図であり、（ｂ）は、特別入賞装置の斜視正面図であり、（ｃ）は、図１５６（ａ）のＣＬＶＩｃ−ＣＬＶＩｃ線における特別入賞装置の断面図である。
【図１５７】特別入賞装置の分解斜視正面図である。
【図１５８】（ａ）は、特別入賞装置の上面図であり、（ｂ）は、図１５８（ａ）のＣＬＶＩＩＩｂ−ＣＬＶＩＩＩｂ線における特別入賞装置の断面図である。
【図１５９】（ａ）は、第１４実施形態における背面ケースの背面図であり、（ｂ）は、図１５９（ａ）のＣＬＩＸｂ−ＣＬＩＸｂ線における背面ケースの模式断面図である。
【図１６０】（ａ）は、第１５実施形態における背面ケースの模式断面図であり、（ｂ）は、第１６実施形態における背面ケースの模式断面図である。
【図１６１】（ａ）は、第１７実施形態における背面ケースの背面図であり、（ｂ）は、図１６１（ａ）のＣＬＸＩｂ−ＣＬＸＩｂ線における背面ケースの断面図である。
【図１６２】（ａ）は、第１８実施形態における背面ケースの正面図であり、（ｂ）は、背面ケースの背面図である。
【図１６３】（ａ）は、背面ケースの正面図であり、（ｂ）は、背面ケースの背面図である。
【図１６４】（ａ）は、遊技盤の模式上面図であり、（ｂ）は、パチンコ機１０の模式上面図である。
【図１６５】第１９実施形態における係合部材の分解斜視正面図である。
【図１６６】（ａ）は、背面ケースの正面図であり、（ｂ）は、図１６５のＣＬＸＶＩｂ−ＣＬＸＶＩｂ線におけるワンウェイの断面図である。
【図１６７】第２０実施形態における背面ケースおよび回転ユニットの分解斜視図である。
【図１６８】（ａ）は、係合部材の正面図であり、（ｂ）は、回転ユニット及び係合部材の背面図である。
【図１６９】（ａ）は、回転ユニットおよび係合部材の背面図であり、（ｂ）は、背面ケース２０３００の背面図である。
【図１７０】図１７０は、第２１実施形態における背面ケースおよび回転ユニットの分解斜視図である。
【図１７１】（ａ）は、回転ユニットおよび係合部材の背面図であり、（ｂ）は、図１７１（ａ）のＣＬＸＸＩｂ−ＣＬＸＸＩｂ線における回転ユニットの模式断面図である。
【図１７２】（ａ）は、回転ユニットおよび係合部材の背面図であり、（ｂ）は、背面ケース及び回転ユニットの模式断面図である。
【図１７３】（ａ）は、回転ユニットおよび係合部材の背面図であり、（ｂ）は、背面ケース及び回転ユニットの模式断面図である。
【図１７４】係合部材および固定部材の斜視正面図である。
【図１７５】（ａ）及び（ｂ）は、背面ケースの正面図である。
【図１７６】（ａ）は、図１７５（ｂ）のＣＬＸＸＶＩａ−ＣＬＸＸＶＩａ線における背面ケースの模式断面図である。
【図１７７】第２４実施形態における背面ケースの正面図であり、図１７７（ｂ）は、図１７７（ａ）のＣＬＸＸＶＩＩｂ−ＣＬＸＸＶＩＩｂ線における背面ケースの断面図である。
【図１７８】図１７７（ｂ）のＣＬＸＸＶＩＩＩ−ＣＬＸＸＶＩＩＩ線における背面ケースの断面図である。
【図１７９】（ａ）及び（ｂ）は、第２５実施形態における遊技盤の断面図である。
【図１８０】（ａ）及び（ｂ）は、第２６実施形態における遊技盤の断面図である。
【図１８１】（ａ）及び（ｂ）は、第２７実施形態における遊技盤の断面図である。
【図１８２】（ａ）は、第２８実施形態における遊技盤の断面図であり、（ｂ）は、第２９実施形態における遊技盤の断面図である。
【図１８３】（ａ）は、第３０実施形態における一般入賞口ユニットの断面図であり、（ｂ）は、第３１実施形態における一般入賞口ユニットの断面図である。
【図１８４】第３２実施形態における特別入賞装置の分解斜視正面図である。
【図１８５】（ａ）は、特別入賞装置の正面図であり、（ｂ）は、特別入賞装置の上面図であり、（ｃ）は、図１８５（ａ）のＣＬＸＸＸＶｃ−ＣＬＸＸＸＶｃ線における特別入賞装置の断面図である。
【図１８６】（ａ）は、特別入賞装置の断面図であり、（ｂ）は、図１８６（ａ）のＣＬＸＸＸＶＩｂ−ＣＬＸＸＸＶＩｂ線における特別入賞装置の断面図である。
【図１８７】（ａ）は、第３３実施形態における第１経路部材の分解斜視正面図であり、（ｂ）は、特別入賞装置の断面図である。
【図１８８】（ａ）は、第３４実施形態における遊技盤の正面図であり、（ｂ）は、図１８８（ａ）のＣＬＸＸＸＶＩＩＩｂ−ＣＬＸＸＸＶＩＩＩｂ線における遊技盤の断面図である。
【図１８９】遊技盤の分解斜視正面図である。
【図１９０】図１８８のＣＸＣ−ＣＸＣ線におけるパチンコ機の断面図である。
【図１９１】（ａ）は、第３５実施形態における遊技盤の正面図であり、（ｂ）は、（ａ）のＣＸＣＩｂ−ＣＸＣＩｂ線における遊技盤の断面図である。
【図１９２】特別入賞装置の分解斜視図である。
【図１９３】（ａ）から（ｃ）は、図１９１（ｂ）のＣＸＣＩＩＩ−ＣＸＣＩＩＩ線における遊技盤１３の断面図である。
【図１９４】（ａ）は、第３６実施形態における遊技盤を模式的に示した分解斜視正面図であり、（ｂ）は、遊技盤の断面模式図である。
【図１９５】（ａ）は、第３７実施形態における遊技盤を模式的に示した分解斜視正面図であり、（ｂ）は、遊技盤の断面模式図である。
【図１９６】第３８実施形態における下変位部材の分解斜視正面図である。
【図１９７】（ａ）は、下変位部材の正面図であり、（ｂ）は、図１９７（ａ）のＣＸＣＶＩＩｂ−ＣＸＣＶＩＩｂ線における下変位部材の断面図であり、（ｃ）は、図１９７（ａ）のＣＸＣＶＩＩｃ−ＣＸＣＶＩＩｃ線における下変位部材の断面図である。
【図１９８】第３９実施形態における下変位部材の分解斜視背面図である。
【図１９９】（ａ）は、下変位部材の正面図であり、図１９９（ｂ）及び図１９９（ｃ）は、下変位部材の断面図である。
【図２００】（ａ）は、第４０実施形態における第１ユニットの模式断面図であり、図２００（ｂ）は、図２００（ａ）のＣＣｂ−ＣＣｂ線における第１ユニットの模式断面図である。
【図２０１】（ａ）は、第４１実施形態における第１ユニットの模式断面図であり、（ｂ）は、図２０１（ａ）のＣＣＩｂ−ＣＣＩｂ線における第１ユニットの模式断面図である。
【図２０２】（ａ）は、図２０１（ａ）のＣＣＩＩａ−ＣＣＩＩａ線における第１ユニットの模式断面図であり、（ｂ）は、図２０１（ａ）のＣＣＩＩｂ−ＣＣＩＩｂ線における第１ユニットの模式断面図である。
【図２０３】第４２実施形態における背面ケースの分解斜視正面図である。
【図２０４】（ａ）は、背面ケースの正面図であり、（ｂ）は、図２０４（ａ）のＣＣＩＶｂ−ＣＣＩＶｂ線における背面ケースの模式断面図である。
【図２０５】（ａ）は、背面ケースの正面図であり（ｂ）は、図２０５（ａ）のＣＣＶｂ−ＣＣＶｂ線における背面ケースの模式断面図である。
【図２０６】（ａ）は、遊技盤の背面図であり、（ｂ）は、図２０６（ａ）のＣＣＶＩｂ−ＣＣＶＩｂ線における遊技盤の断面図である。
【図２０７】第４３実施形態における背面ケースの分解斜視正面図である。
【図２０８】（ａ）は、背面ケースの正面図であり、（ｂ）は、背面ケースの背面図である。
【図２０９】（ａ）は、図２０８（ｂ）のＣＣＩＸａ−ＣＣＩＸａ線における背面ケースの断面図であり、（ｂ）は、図２０９（ａ）におけるＣＣＩＸｂ−ＣＣＩＸｂ線における背面ケースの断面図である。
【図２１０】（ａ）及び（ｂ）は、背面ケースの断面図である。
【図２１１】（ａ）及び（ｂ）は、背面ケースの断面図である。
【図２１２】第４４実施形態における背面ケースの分解斜視正面図である。
【図２１３】（ａ）は、背面ケースの正面図であり、（ｂ）は、図２１３（ａ）のＣＣＸＩＩＩｂ−ＣＣＸＩＩＩｂ線における背面ケースの断面図である。
【図２１４】（ａ）から（ｃ）は、背面ケースの断面図である。
【図２１５】第４５実施形態における背面ケースの分解斜視正面図である。
【図２１６】（ａ）は、背面ケースの正面図であり、（ｂ）は、背面ケースの背面図である。
【図２１７】（ａ）は、背面ケースの正面図であり、（ｂ）は、背面ケースの背面図である。
【発明を実施するための形態】
【００１３】
以下、本発明の実施形態について、添付図面を参照して説明する。まず、図１から図１１１を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１４】
なお、以下の説明では、図１に示す状態のパチンコ機１０に対して、紙面手前側を前方（正面）側として、紙面奥側を後方（背面）側として説明する。また、図１に示す状態のパチンコ機１０に対して、上側を上方（上）側として、下側を下方（下）側として、右側を右方（右）側として、左側を左方（左）側としてそれぞれ説明する。さらに、図中の矢印Ｕ−Ｄ，Ｌ−Ｒ，Ｆ−Ｂは、パチンコ機１０の上下方向，左右方向，前後方向をそれぞれ示している。
【００１５】
図１に示すように、パチンコ機１０は、略矩形状に組み合わせた木枠により外殻が形成される外枠１１と、その外枠１１と略同一の外形形状に形成され外枠１１に対して開閉可能に支持された内枠４とを備えている。外枠１１には、内枠４を支持するために正面視（図１参照）左側の上下２カ所に金属製のヒンジ１８が取り付けられ、そのヒンジ１８が設けられた側を開閉の軸として内枠４が正面手前側へ開閉可能に支持されている。
【００１６】
内枠４には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠４には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００１７】
内枠４の前面側には、その前面上側を覆う前扉５と、その下側を覆う下皿ユニット１５とが設けられている。前扉５および下皿ユニット１５を支持するために正面視（図１参照）左側の上下２カ所に金属製のヒンジ１９が取り付けられ、そのヒンジ１９が設けられた側を開閉の軸として前扉５および下皿ユニット１５が正面手前側へ開閉可能に支持されている。なお、内枠４の施錠と前扉５の施錠とは、シリンダ錠２０の鍵穴２１に専用の鍵を差し込んで所定の操作を行うことでそれぞれ解除される。
【００１８】
前扉５は、装飾用の樹脂部品や電気部品等を組み付けたものであり、その略中央部には略楕円形状に開口形成された窓部５ｃが設けられている。前扉５の裏面側には２枚の板ガラス８を有するガラスユニット１６が配設され、そのガラスユニット１６を介して遊技盤１３の前面がパチンコ機１０の正面側に視認可能となっている。
【００１９】
前扉５には、球を貯留する上皿１７が前方へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００２０】
前扉５には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部５ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前扉５の正面視（図１参照）左上部には、ＬＥＤ等の発光手段が内蔵され賞球の払い出し中とエラー発生時とを表示可能な表示ランプ３４が設けられている。
【００２１】
また、右側の電飾部３２下側には、前扉５の裏面側を視認できるように裏面側より透明樹脂を取り付けて小窓３５が形成され、遊技盤１３前面の貼着スペースＫ１（図２参照）に貼付される証紙等がパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２２】
窓部５ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２３】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００２４】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００２５】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２６】
図２に示すように、遊技盤１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等を組み付けて構成され、その周縁部が内枠４（図１参照）の裏面側に取り付けられる。ベース板６０は薄い板材を張り合わせた木材からなり、その正面側からベース板６０の背面側に配設された各種構造体を遊技者に目視できないように形成される。一般入賞口６３、第１入賞口６４、第２入賞口６４０、可変入賞装置６５、可変表示装置ユニット８０は、ルータ加工によってベース板６０に形成された貫通穴に配設され、遊技盤１３の前面側からタッピングネジ等により固定されている。
【００２７】
遊技盤１３の前面中央部分は、前扉５の窓部５ｃ（図１参照）を通じて内枠４の前面側から視認することができる。以下に、主に図２を参照して、遊技盤１３の構成について説明する。
【００２８】
遊技盤１３の前面には、帯状の金属板を略円弧状に屈曲加工して形成した外レール７７が植立され、その外レール７７の内側位置には外レール７７と同様に帯状の金属板で形成した円弧状の内レール７６が植立される。この内レール７６と外レール７７とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール７６，７７とレール間を繋ぐ樹脂製の外縁部材７３とにより区画して形成される領域（入賞口等が配設され、発射された球が流下する領域）である。
【００２９】
２本のレール７６，７７は、球発射ユニット１１２ａ（図４参照）から発射された球を遊技盤１３上部へ案内するために設けられたものである。内レール７６の先端部分（図２の左上部）には戻り球防止部材６８が取り付けられ、一旦、遊技盤１３の上部へ案内された球が再度球案内通路内に戻ってしまうといった事態が防止される。外レール７７の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００３０】
遊技領域の正面視左側下部（図２の左側下部）には、発光手段である複数のＬＥＤおよび７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００３１】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３２】
なお、本パチンコ機１０では、第１入賞口６４，第２入賞口６４０のいずれかに入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３３】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３４】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００３５】
確変中や時短中は、第２図柄の当たり確率がアップするだけではなく、第２入賞口６４０に付随する第１電動役物６４０ａが開放される時間も変更され、通常中と比して長い時間が設定される。第１電動役物６４０ａが開放された状態（開放状態）にある場合は、その第１電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３６】
なお、確変中や時短中において、第２入賞口６４０に付随する第１電動役物６４０ａの開放時間を変更するのではなく、または、その開放時間を変更することに加えて、１回の当たりで第１電動役物６４０ａが開放する回数を通常中よりも増やす変更を行うものとしてもよい。また、確変中や時短中において、第２図柄の当たり確率は変更せず、第２入賞口６４０に付随する第１電動役物６４０ａが開放される時間および１回の当たりで第１電動役物６４０ａが開放する回数の少なくとも一方を変更するものとしてもよい。また、確変中や時短中において、第２入賞口６４０に付随する第１電動役物６４０ａが開放される時間や、１回の当たりで第１電動役物６４０ａを開放する回数は変更せず、第２図柄の当たり確率だけを、通常中と比してアップするよう変更するものであってもよい。
【００３７】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４、第２入賞口６４０のいずれかの入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、第１スルーゲート６６の球の通過をトリガとして第２図柄を変動表示するＬＥＤで構成される第２図柄表示装置（図示せず）とが設けられている。
【００３８】
また、可変表示装置ユニット８０には、第３図柄表示装置８１の外周を囲むようにして、センターフレーム８６が配設されている。このセンターフレーム８６の中央に開口される開口部から第３図柄表示装置８１が視認可能とされる。
【００３９】
第３図柄表示装置８１は９インチサイズの大型の液晶ディスプレイで構成されるものであり、表示制御装置１１４（図４参照）によって表示内容が制御されることにより、例えば上、中および下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００４０】
第２図柄表示装置は、球が第１スルーゲート６６を通過する毎に表示図柄（第２図柄（図示せず））としての「○」の図柄と「×」の図柄とを所定時間交互に点灯させる変動表示を行うものである。パチンコ機１０では、球が第１スルーゲート６６を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４１】
パチンコ機１０は、第２図柄表示装置における変動表示が所定図柄（本実施形態においては「○」の図柄）で停止した場合に、第２入賞口６４０に付随された第１電動役物６４０ａが所定時間だけ作動状態となる（開放される）よう構成されている。
【００４２】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の第１電動役物６４０ａが開放状態となる機会を遊技者に多く与えることができる。よって、確変中および時短中は、第２入賞口６４０へ球が入賞しやすい状態とすることができる。
【００４３】
なお、確変中または時短中において、当たり確率を高める、１回に当たりに対する第１電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する第１電動役物６４０ａの開放時間や開放回数を遊技状態にかかわらず一定にしてもよい。
【００４４】
第１スルーゲート６６は、可変表示装置ユニット８０の右側の領域において遊技盤に組み付けられる。第１スルーゲート６６は、遊技盤に発射された球のうち、遊技盤を流下する球の一部が通過可能に構成されている。第１スルーゲート６６を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４５】
球の第１スルーゲート６６の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４６】
なお、第２図柄の変動表示は、本実施形態のように、第２図柄表示装置において複数のランプの点灯と非点灯を切り換えることにより行うものの他、第１図柄表示装置３７Ａ，３７Ｂおよび第３図柄表示装置８１の一部を使用して行うようにしても良い。同様に、第２図柄保留ランプの点灯を第３図柄表示装置８１の一部で行うようにしても良い。また、第１スルーゲート６６の球の通過に対する最大保留球数は４回に限定されるものでなく、３回以下、又は、５回以上の回数（例えば、８回）に設定しても良い。また、スルーゲートの組み付け数は２つに限定されるものではなく、３つ以上の複数であっても良い。また、スルーゲートの組み付け位置は可変表示装置ユニット８０の左右両側に限定されるものではなく、例えば、可変表示装置ユニット８０の下方でも良い。また、第１図柄表示装置３７Ａ，３７Ｂにより保留球数が示されるので、第２図柄保留ランプにより点灯表示を行わないものとしてもよい。
【００４７】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４８】
一方、第１入賞口６４の正面視右方には、球が入賞し得る第２入賞口６４０が配設されている。第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４９】
また、第１入賞口６４，第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００５０】
さらに、第１入賞口６４の正面視左側には、球が入賞し得る第３入賞口８２が配設されている。第３入賞口８２は、球が入賞すると送球ユニット６００を介して後述する振分けユニット５００の第１開口５２１へ入賞した球を送球することができる。即ち、第３入賞口８２は後述する第１開口５２１と連通した状態で配置されている。
【００５１】
第３入賞口８２には第３電動役物８２ａが付随されている。この第３電動役物８２ａは、遊技盤１３に対して回転変位して開閉可能に構成されており、通常は第３電動役物８２ａが閉鎖状態（縮小状態）となって球が第３入賞口８２へ入賞し難い状態となっている。一方、第１入賞口６４又は第２入賞口６４０の入賞を契機とする大当たりの判定があった場合、その大当たり前、後、又は大当たり中に、第３電動役物８２ａが所定時間開放（拡大状態）となり、球が第３入賞口８２へ入賞しやすい状態となる。また、第３入賞口８２の下流側には、通過した球を検出するセンサ装置ＳＥ１が搭載される。
【００５２】
なお、第３電動役物８２ａの開放のタイミングは、第１入賞口６４及び第２入賞口５６４０の入賞を契機にして行われるものでなくても良く、第１スルーゲート６６寝の球の通過を契機として行われる第２図柄の変動表示の結果、「○」の図柄が第２図柄表示装置に表示された場合、開放されるものであっても良い。
【００５３】
第２入賞口６４０には第１電動役物６４０ａが付随されている。この第１電動役物６４０ａは開閉可能に構成されており、通常は第１電動役物６４０ａが閉鎖状態（縮小状態）となって、球が第２入賞口６４０へ入賞しにくい状態となっている。一方、第１スルーゲート６６への球の通過を契機として行われる第２図柄の変動表示の結果、「○」の図柄が第２図柄表示装置に表示された場合、第１電動役物６４０ａが開放状態（拡大状態）となり、球が第２入賞口６４０へ入賞しやすい状態となる。
【００５４】
上述した通り、確変中および時短中は、通常中と比して第２図柄の当たり確率が高く、また、第２図柄の変動表示にかかる時間も短いので、第２図柄の変動表示において「○」の図柄が表示され易くなって、第１電動役物６４０ａが開放状態（拡大状態）となる回数が増える。更に、確変中または時短中は、第１電動役物６４０ａが開放される時間も、通常中より長くなる。よって、確変中または時短中は、通常時と比して、第２入賞口６４０へ球が入賞しやすい状態を作ることができる。
【００５５】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような第１電動役物６４０ａは有しておらず、球が常時入賞可能な状態となっている。
【００５６】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５７】
一方、確変中や時短中は、第１スルーゲート６６に球を通過させることで、第２入賞口６４０に付随する第１電動役物６４０ａが開放状態となりやすく、第２入賞口６４０に入賞しやすい状態であるので、第２入賞口６４０へ向けて、可変表示装置ユニット８０の右方を球が通過するように球を発射し（所謂「右打ち」）、第１スルーゲート６６を通過させて第１電動役物６４０ａを開放状態にすると共に、第２入賞口６４０への入賞によって１５Ｒ確変大当たりとなることを狙った方が、遊技者にとって有利となる。
【００５８】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００５９】
第１入賞口６４の右側には可変入賞装置６５が配設されており、その略中央部分に横長矩形状の特定入賞口（大開放口）６５ａが設けられている。パチンコ機１０においては、第１入賞口６４，第２入賞口６４０のいずれかの入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００６０】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００６１】
可変入賞装置６５は、具体的には、特定入賞口６５ａを覆う横長矩形状の開閉板と、その開閉板の下辺を軸として前方側に開閉駆動するための大開放口ソレノイド（図示せず）とを備えている。特定入賞口６５ａは、通常時は、球が入賞できないか又は入賞し難い閉状態になっている。大当たりの際には大開放口ソレノイドを駆動して開閉板を前面下側に傾倒し、球が特定入賞口６５ａに入賞しやすい開状態を一時的に形成し、その開状態と通常時の閉状態との状態を交互に繰り返すように作動する。
【００６２】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）配置しても良く、また配置位置も第１入賞口６４の右側に限らず、例えば、可変表示装置ユニット８０の左方でも良い。
【００６３】
遊技盤１３の下側における右隅部には、証紙や識別ラベル等を貼着するための貼着スペースＫ１が設けられ、貼着スペースＫ１に貼られた証紙等は、前扉５の小窓３５（図１参照）を通じて視認することができる。
【００６４】
遊技盤１３には、第１アウト口７１が設けられている。遊技領域を流下する球であって、いずれの入賞口６３，６４，６５ａ，６４０，８２，にも入賞しなかった球は、第１アウト口７１を通って図示しない球排出路へと案内される。第１アウト口７１は、第１入賞口６４の下方に配設される。
【００６５】
遊技盤１３には、球の落下方向を適宜分散、調整等するために多数の釘が植設されているとともに、風車等の各種部材（役物）とが配設されている。
【００６６】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６７】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６８】
なお、主制御装置１１０、音声ランプ制御装置１１３および表示制御装置１１４、払出制御装置１１１および発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６９】
また、基板ボックス１００（主制御装置１１０）および基板ボックス１０２（払出制御装置１１１および発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００７０】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００７１】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７２】
次に、図４を参照して、本パチンコ機１０の電気的構成について説明する。図４は、パチンコ機１０の電気的構成を示すブロック図である。
【００７３】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂおよび第３図柄表示装置８１における表示の設定、第２図柄表示装置における表示結果の抽選といったパチンコ機１０の主要な処理を実行する。
【００７４】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７５】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００７６】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７７】
主制御装置１１０のＭＰＵ２０１には、アドレスバスおよびデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７８】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７９】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００８０】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００８１】
払出制御装置１１１のＭＰＵ２１１には、アドレスバスおよびデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００８２】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００８３】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８４】
音声ランプ制御装置１１３のＭＰＵ２２１には、アドレスバスおよびデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には、駆動モータＫＭ１，ＫＭ２，ＫＭ３が含まれる。
【００８５】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００８６】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８７】
表示制御装置１１４は、音声ランプ制御装置１１３および第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８８】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧およびバックアップ電圧を各制御装置１１０〜１１４等に対して必要な電圧を供給する。
【００８９】
停電監視回路２５２は、停電等の発生による電源遮断時に、主制御装置１１０のＭＰＵ２０１および払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０および払出制御装置１１１へ出力する。停電信号ＳＧ１の出力によって、主制御装置１１０および払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０および払出制御装置１１１は、ＮＭＩ割込処理（図示せず）を正常に実行し完了することができる。
【００９０】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００９１】
次いで、図５から図１０を参照して、動作ユニット２００の概略構成について説明する。図５は、パチンコ機１０の分解斜視正面図であり、図６は、動作ユニット２００及び遊技盤１３の分解斜視正面図である。また、図７から図１０は、動作ユニット２００の正面図である。
【００９２】
なお、図７では、上変位部材９４０が上方に退避されると共に、下変位部材４４０が下方に退避された状態が、図８では、図７に示す状態から、上変位部材９４０が下方に回転変位された状態が、図９では、図７に示す状態から、下変位部材４４０が後述する第１張出位置に張り出された状態が、図１０では、下変位部材４４０が、最大の張り出し位置である第２張出位置に変位された状態が、それぞれ図示される。
【００９３】
図５及び図６に示すように、動作ユニット２００は、箱状に形成される背面ケース３００を備え、その背面ケース３００の内部空間に、上変位ユニット９００、下変位ユニット４００、回転ユニット７００及び遊技盤１３の背面に取着される振分けユニット５あ００と送球ユニット６００とが収容される。
【００９４】
背面ケース３００は、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａが開口形成され、その開口３０１ａを通じて、底壁部３０１の背面に配設される第３図柄表示装置８１（図２参照）が視認可能とされる。
【００９５】
上変位ユニット９００は、背面ケース３００の底壁部３０１のうちの開口３０１ａの上側部分に配設される正面視矩形横長のベース部材９１０と、そのベース部材９１０に摺動可能に配設される上変位部材９４０とを備え、背面ケース３００の開口３０１ａ（即ち、第３図柄表示装置８１）の正面側で、上変位部材９４０を摺動させつつ回転変位させる演出を実行可能に形成される。なお、上変位ユニット９００の詳しい説明は後述する。
【００９６】
下変位ユニット４００は、背面ケース３００の底壁部３０１のうちの開口３０１ａの下側部分に配設される正面視矩形横長のベース部材４１０と、そのベース部材４１０に摺動可能に配設される下変位部材４４０とを備え、背面ケースの開口３０１ａ（即ち、第３図柄表示装置８１）の正面側で、下変位部材４４０を摺動させつつ回転変位させる演出を実行可能に形成される。なお、下変位ユニット４００の詳しい説明は後述する。
【００９７】
回転ユニット７００は、背面ケース３００の底壁部３０１のうちの開口３０１ａの下側部分の正面視右側（矢印）に配設される正面視略矩形の背面ベース７２０と、その背面ベース７２０の前方に配設される回転体８００とを備え、遊技盤１３の正面視右側下方に形成される透明の板部を介して回転体８００を回転変位させる演出を遊技者に視認可能とされる。なお、回転ユニット７００の詳細な説明については後述する。
【００９８】
送球ユニット６００は、遊技盤１３の背面側に取着され、遊技盤１３の第３入賞口８２から遊技盤１３の背面側に送球される遊技球を後述する振分けユニット５００の第１開口５１１に送球する経路が形成される。
【００９９】
振分けユニット５００は、遊技盤１３の背面側に取着される経路形成部材５１０と、経路形成部材５１０との対向に所定の隙間を形成した状態で配設されるベース板５２０と、そのベース板５２０に取着され経路形成部材５１０とベース板５２０との対向間を流下する遊技球を各送球経路（第２送球経路ＫＲ２又は第３送球経路ＫＲ３）に振り分ける振分け部材５４０とを備える。この振分け部材５４０に振り分けられた遊技球が下変位ユニット４００に送球される。なお、振分けユニット５００の詳しい説明は後述する。
【０１００】
＜第１の装飾体と第２の装飾体が前後方向に隣り合う位置に配置される＞
次いで、図１１から図１６を参照して、遊技盤１３に配設される一般入賞口ユニット１５０について説明する。
【０１０１】
初めに、図１１及び図１２を参照して、一般入賞口ユニット１５０について説明する。図１１は、遊技盤１３の分解斜視正面図であり、図１２（ａ）は、一般入賞口ユニット１５０の正面図であり、図１２（ｂ）は、図１２（ａ）のＸＩＩｂ−ＸＩＩｂ線における一般入賞口ユニット１５０の断面図である。
【０１０２】
図１１及び図１２に示すように、遊技盤１３は、正面視略矩形状の板部材から形成されるベース板６０と、そのベース板６０に形成される開口部分に配設されるセンターフレーム８６及び一般入賞口ユニット１５０と、を備える。
【０１０３】
ベース板６０は、正面視において中央部分に開口される第１開口部６０ａと、レール部材７６，７７により形成される遊技領域の重力方向下側に開口される第２開口部６０ｂと、を備える。第１開口部６０ａには、センターフレーム８６が配設され、第２開口部６０ｂには、一般入賞口ユニット１５０が配設される。また、ベース板６０には、正面側（矢印Ｆ方向側）に装飾（模様や図柄等）が形成されたシールが貼付されて、遊技者にその装飾を視認させることができる。なお、ベース板６０の正面側の装飾は、シールに限られるものではなく、ベース板６０の正面に装飾が印刷（塗装）されるものであっても良い。
【０１０４】
一般入賞口ユニット１５０は、遊技盤１３の遊技領域（ベース板６０の正面）に配設され、遊技領域を流下する遊技球の経路を変更可能とされる。また、一般入賞口ユニット１５０は、内レール７６及び外レール７７により囲われて形成される遊技領域に対して、正面視（矢印Ｂ方向視）における重力方向下側（矢印Ｄ方向側）の端部に沿う位置に配置される。なお、図１３〜図１６では、ベース板６０に配設されるシールが装飾部材６０ｃの符号を付して図示される。また、本実施形態では、装飾部材６０ｃにキャラクター（人）が描かれる。
【０１０５】
一般入賞口ユニット１５０は、正面視において三日月状に形成される本体部１５１と、その本体部１５１の端部から正面側（矢印Ｆ方向側）に立設される第１立設部１５２と、その第１立設部１５２の重力方向上側（矢印Ｕ方向側）の端部から遊技領域の中央側に向かって延設される第２立設部１５３と、本体部１５１の背面側に配設される装飾部材１５４と、本体部１５１の正面側に形成される複数（本実施形態では３個）の一般入賞口６３と、を主に備える。
【０１０６】
本体部１５１は、ベース板６０の板厚方向に開口される第２開口部６０ｂの開口形状よりも若干大きい外形に設定され、第２開口部６０ｂの開口に覆設された状態でベース板６０の正面側に配設される。また、第２開口部６０ｂにより、本体部１５１に配設される一般入賞口６３に流入する遊技球を遊技盤１３（ベース板６０）の背面側に送球できる。さらに、本体部１５１は、正面視において内側部分から外側の端部に向かうほどベース板６０側に傾斜する傾斜面１５１ａと、ベース板６０側（矢印Ｂ方向側）の背面に凹設される凹部１５１ｂと、その凹部１５１ｂを除いた本体部１５１の背面を形成する背面部１５１ｄと、を主に備えて形成される。
【０１０７】
傾斜面１５１ａは、ベース板６０の正面に対して略３０度ほど傾斜して形成される。これにより、遊技盤１３の遊技領域を流下する遊技球を、傾斜面１５１ａに当接させて傾斜面１５１ａの傾斜に沿って流下させて、本体部１５１の正面側に移動させることができる。
【０１０８】
ここで、本体部１５１の端部に傾斜面１５１ａが形成されず、本体部１５１の側面が、ベース板６０の正面に対して垂直に形成される場合には、遊技盤１３の遊技領域を流下する遊技球が、本体部１５１の側面に対して直交する方向から当接（衝突）して、その当接した遊技球が流下方向と反対方向に跳ね返る恐れがある。
【０１０９】
これに対し、本実施形態では、傾斜面１５１ａにより、本体部１５１の側面に当接する遊技球を本体部の正面側に移動させることができるので、遊技領域を流下する遊技球の流下が一時的に停滞することを抑制できる。その結果、ベース板６０の正面側から一般入賞口ユニット１５０の本体部１５１の正面に遊技球をスムーズに流下させることができる。
【０１１０】
背面部１５１ｄは、上述したように本体部１５１の背面であり、背面視における凹部１５１ｂの周囲に一定の幅で形成される。また、背面部１５１ｄは、一般入賞口ユニット１５０がベース板６０に配設された状態において、ベース板６０（装飾部材６０ｃ）の正面に当接して配設される。
【０１１１】
凹部１５１ｂは、正面側（矢印Ｆ方向側）に向かって凹設される。また、凹部１５１ｂは、凹設方向の底面となる凹設底面１５１ｂ２と、その凹設底面１５１ｂ２の外縁から背面側（矢印Ｂ方向側）に向かって立設される内側面１５１ｂ３と、を有する。
【０１１２】
凹設底面１５１ｂ２は、後述する装飾部材１５４の接着面であり、本体部１５１の正面と平行な平面として形成される。これにより、本体部１５１を介して装飾部材１５４の装飾を視認した場合に、装飾部材１５４の装飾を一様に視認させることができる。
【０１１３】
内側面１５１ｂ３は、正面視における前後方向（矢印Ｆ−Ｂ方向）に延設される。また、内側面１５１ｂ３の正面視における形状は、後述する装飾部材１５４の外形と略同一に形成される。これにより、凹部１５１ｂに装飾部材１５４を配設した場合に、装飾部材１５４が凹部１５１ｂの外側に突出することを抑制できる。従って、一般入賞口ユニット１５０が、ベース板６０に配設された際に、背面部１５１ｄとベース板６０との間に装飾部材１５４が挟まることで本体部１５１の背面部１５１ｄとベース板６０との間に隙間が形成されることを抑制できる。これにより、本体部１５１がベース板６０に対して、通常の配設位置よりも正面側に張り出すことを抑制できる。その結果、ベース板６０の正面側から一般入賞口ユニット１５０の本体部１５１の正面に遊技球をスムーズに流下させることができる。
【０１１４】
凹部１５１ｂは、その凹設空間に後述する装飾部材１５４を収容する凹みであり、凹設深さ（正面側（矢印Ｆ方向側）への凹設距離）が、装飾部材１５４の厚み寸法よりも大きく設定される。また、凹部１５１ｂは、正面視における本体部１５１の端部から本体部１５１の内側に一定の距離を隔てた位置で本体部１５１の端部の形状に沿って凹設される。
【０１１５】
よって、凹部１５１ｂの内側に装飾部材１５４を配設した場合に、装飾部材１５４の背面が、本体部１５１よりも背面側に張り出すことを抑制できる。従って、一般入賞口ユニット１５０がベース板６０に配設された際に、凹設底面１５１ｂ２とベース板６０との間に装飾部材１５４が挟まることで本体部１５１の背面部１５１ｄとベース板６０との間に隙間が形成されることを抑制できる。これにより、本体部１５１がベース板６０に対して通常の配設位置よりも正面側に張り出すことを抑制できる。その結果、本体部１５１の重力方向上方（矢印Ｕ方向）から一般入賞口ユニット１５０の本体部１５１の正面に遊技球をスムーズに流下させることができる。
【０１１６】
第１立設部１５２は、遊技領域の端部側（内レール７６側）における本体部１５１の端部から正面側（矢印Ｆ方向側）に立設される。第１立設部１５２は、その立設寸法がベース板６０（装飾部材６０ｃ）の正面に植立される内レール７６の植立方向の幅寸法と略同一に設定される。また、第１立設部１５２は、遊技盤１３の正面側を覆う前扉５のガラスユニット１６との対向間の間隔が遊技球の直径よりも小さく設定される。これにより、本体部１５１の正面側を流下する遊技球を、遊技領域の重力方向下側の端部で第１立設部１５２に衝突させることができる。その結果、本体部１５１の正面側を流下する遊技球が内レール７６に衝突することを抑制でき、内レール７６が遊技球と衝突して曲げられることを抑制できる。
【０１１７】
ここで、内レール７６と外レール７７との対向間は、球発射ユニット１１２ａ（図４参照）から発射された遊技球を遊技盤１３の上部へ案内するための空間であり、内レール７６と外レール７７との対向間に補強等を配設するスペースが限られる。そのため、内レール７６が曲がることを防止する目的で補強を配設することが困難であり、遊技領域を流下する遊技球が内レール７６に衝突して、内レール７６が曲がる恐れがあった。
【０１１８】
これに対して、本実施形態では、遊技領域内に配設される一般入賞口ユニット１５０（第１立設部１５２）により遊技領域を流下する遊技球が内レール７６に衝突しにくくすることができる。従って、内レール７６が曲ることで、内レール７６及び外レール７７の対向間の距離が変更されることを抑制できる。その結果、遊技球を安定して遊技領域に打ち出すことができる。
【０１１９】
第２立設部１５３は、正面視において第１立設部１５２の重力方向上側（矢印Ｕ方向側）の端部から遊技領域の中央（第１入賞口６４）に向かって下降傾斜して延設される（図２参照）。これにより、内レール７６とセンターフレーム８３との対向間（図２参照）を流下する遊技球が、第２立設部１５３の下降傾斜する延設部分の上面（矢印Ｕ方向側の面）に送球されると、その遊技球を第２立設部１５３の下降傾斜に沿って転動させて、遊技領域の中央に向けて送球することができる。これにより、内レール７６と外レール７７との対向間側（矢印Ｌ方向側）の遊技領域を流下する遊技球を、遊技領域の中央に配設される第１入賞口６４に入賞（流入）させやすくできる。
【０１２０】
装飾部材１５４は、板状に形成されると共に、本体部１５１の背面側に接着される。また、装飾部材１５４は、本体部１５１側の正面にベース板６０の装飾部材６０ｃに形成される装飾と正面視において連なる装飾が形成される。これにより、ベース板６０に形成される装飾を装飾部材１５４の装飾と合わせて１の装飾に視認させることができる。なお、本実施形態では、装飾部材１５４にキャラクター（人）の一部が描かれており、装飾部材６０ｃのキャラクターと装飾部材１５４のキャラクターとを合わせて１人のキャラクターとして視認させることができる。
【０１２１】
また、装飾部材１５４は、光透過性材料から形成される。これにより、ベース板６０の背面側（矢印Ｂ方向側）から第２開口部６０ｂを通した光を装飾部材１５４の背面から入射させて、装飾部材１５４の正面側（矢印Ｆ方向側）から出射させることができる。よって、装飾部材１５４の正面に形成される装飾を明るくして、遊技者に視認させることができ、遊技者に装飾部材１５４の装飾を視認させやすくできる。
【０１２２】
次いで、図１３を参照して、ベース板６０と一般入賞口ユニット１５０とについて説明する。図１３は、図２のＸＩＩＩ−ＸＩＩＩ線における遊技盤１３の断面図である。
【０１２３】
図１３に示すように、装飾部材１５４は、ベース板６０の第２開口部６０ｂの正面視における開口形状よりも外形が大きく形成される。これにより、一般入賞口ユニット１５０がベース板６０に配設されると、装飾部材１５４の端部は、本体部１５１の凹部１５１ｂの凹設底面１５１ｂ２とベース板６０（装飾部材６０ｃ）との間に配置される。よって、本体部１５１と装飾部材１５４との接着が経年劣化等により剥がれた場合に、装飾部材１５４が遊技盤１３から脱落することを抑制できる。
【０１２４】
また、装飾部材１５４は、ベース板６０と前後方向（矢印Ｆ−Ｂ方向）において重なる幅寸法が、後述する本体部１５１の背面から突設される突起１５５が挿入されるベース板６０の円形状の開口６０ｇ（図１１参照）の直径よりも大きく設定される。これにより、装飾部材１５４の本体部１５１に対する配置の位置ずれ、又は、装飾部材６０ｃを形成した位置のずれにより、正面視における装飾部材１５４及び装飾部材６０ｃの装飾の間に隙間が形成されることを抑制できる。その結果、ベース板６０の装飾部材６０ｃと装飾部材１５４の装飾とを１の装飾として遊技者に認識させやすくできる。
【０１２５】
また、本体部１５１に配設される３個の一般入賞口６３は、遊技盤１３の背面側に配設される振り分けユニット５００（図７１参照）の開口５１４〜５１６に接続されており、一般入賞口６３に入賞した遊技球は、振り分けユニット５００の第４送球経路ＫＲ４に送球される。なお、振り分けユニット５００についての詳しい説明は後述する。
【０１２６】
さらに、振り分けユニット５００には、正面側に光を照射可能な光源を備える基板（図示しない）がベース板５２０（図７１参照）に配設されており、その基板から照射される光がベース板６０の第２開口部６０ｂを挿通して一般入賞口ユニット１５０の背面に照射される。
【０１２７】
よって、第２開口部６０ｂは、一般入賞口ユニット１５０の一般入賞口６３から入賞する遊技球の経路および一般入賞口ユニット１５０の背面に光を照射する空間として利用される。これにより、遊技球を送球するための開口と、光を通過させるための開口と、２箇所の開口を分けて形成する必要がなくなるので、一般入賞口ユニット１５０の背面の全域に光を照射しやすくすることができると共に、一般入賞口ユニット１５０の本体部１５１の全域に一般入賞口６３を配置することができる。その結果、一般入賞口ユニット１５０の設計の自由度を向上することができると共に、一般入賞口ユニット１５０の全域から光を出射して一般入賞口ユニット１５０の装飾（装飾部材１５４）を遊技者に視認させやすくできる。
【０１２８】
また、本実施形態によれば、図１３に示すように、遊技盤１３のベース板６０の装飾部材６０ｃと連なる装飾の装飾部材１５４は、ベース板６０の正面に沿って配設される本体部１５１の背面に配置されるので、ベース板６０の装飾部材６０ｃと装飾部材１５４の装飾とを前後方向（矢印Ｆ−Ｂ方向）に隣合う（近づいた）位置に配置することができる。これにより、装飾部材６０ｃ及び装飾部材１５４の正面視に対して傾斜した角度（例えば、パチンコ機１０（図１参照）の重力方向上側端部と同じ高さの視点）から装飾部材６０ｃ及び装飾部材１５４を視認した際に、一般入賞口ユニットの装飾が一般入賞口ユニットの正面に配設される場合に比べて、装飾部材６０ｃ及び装飾部材１５４の装飾がずれて視認されることを抑制できる。その結果、ベース板６０の装飾部材６０ｃと装飾部材１５４の装飾との連結部分を遊技者の視点に関わらず同様の位置関係で遊技者に視認させることができ、遊技盤１３の意匠性を向上できる。
【０１２９】
次いで、図１４を参照して、装飾部材１５４及びベース板６０の装飾部材６０ｃの連結について詳しく説明する。図１４は、図１３の範囲ＸＩＶにおける遊技盤１３の部分拡大断面図である。なお、図１４では、遊技者に視認される光の経路が２点鎖線で図示される。
【０１３０】
上述したように、ベース板６０の装飾部材６０ｃと装飾部材１５４の装飾とは、合わせて１の装飾として遊技者に視認される。従って、ベース板６０の装飾部材６０ｃと装飾部材１５４の装飾とを１の装飾（模様）として遊技者に視認させるために、両者の装飾の位置ずれを抑える必要がある。しかしながら、ベース板６０に装飾を形成する際、又は、本体部１５１に装飾部材１５４を配設する際に、その装飾を正確な位置（毎回同じ位置）に配置することが困難である。従って、ベース板６０に一般入賞口ユニット１５０を配設した場合に、ベース板６０の装飾部材６０ｃに対する装飾部材１５４の装飾の位置がずれて配設されることで、装飾部材６０ｃと装飾部材１５４との装飾を合わせて１の装飾として遊技者に視認させにくくなるという問題点があった。
【０１３１】
これに対して、本実施形態によれば、装飾部材１５４は、その端部が傾斜面１５１ａの背面側に配置される。これにより、装飾部材１５４の装飾とベース板６０の装飾部材６０ｃの装飾との連結部分が、遊技者から正確に認識されにくくする（連結部分をぼやかして遊技者に視認させる）ことができる。よって、装飾部材６０ｃと装飾部材１５４とを１の装飾として遊技者に認識させることができる。
【０１３２】
詳しく説明すると、図１４に示すように、装飾部材１５４の装飾と装飾部材６０ｃの装飾との連結部（以下、「境界Ｐ１」（図１４参照）と称す）は、本体部１５１の傾斜面１５１ａの背面側に位置される。よって、境界Ｐ１から遊技者の視点に向かって出射される光と、本体部１５１の正面と傾斜面１５１ａとの連結部（以下、「境界Ｐ２」（図１４参照）と称す）から遊技者の視点に向かって出射される光とを、装飾部材６０ｃ又は装飾部材１５４の異なる位置で反射した光にすることができる（即ち、境界Ｐ１から遊技者の視点に向かって出射される光の経路上に、境界Ｐ２が形成されることを抑制できる）。
【０１３３】
従って、境界Ｐ１では、装飾部材１５４に対する装飾部材６０ｃの配置のずれが装飾の位置ずれとして遊技者に認識されやすく、又、境界Ｐ２では、光の屈折方向の違いによる装飾の位置ずれが遊技者に認識されやすいところ、境界Ｐ１及び境界Ｐ２のそれぞれの位置から遊技者が視認する装飾を異なる位置の装飾にすることができるので、境界Ｐ１及び境界Ｐ２における装飾の位置ずれが、同一の位置で遊技者に視認されることを抑制できる。従って、境界Ｐ１における装飾の位置ずれと、境界Ｐ２における装飾の位置ずれとが合わさり、装飾の位置ずれ量が大きくなって遊技者に認識されることを抑制できる。その結果、装飾部材６０ｃと装飾部材１５４との装飾を遊技者に１の装飾として認識させやすくでき、遊技盤１３の意匠性を向上できる。
【０１３４】
さらに、境界Ｐ１を傾斜面１５１ａの背面側に配置することで、遊技者の視点において、装飾部材６０ｃ及び本体部１５１の連結部（以下、「境界Ｐ３」（図１４参照）と称す）と、境界Ｐ２との間に境界Ｐ１を配置することができる。よって、本体部１５１から光が出射する際に光が屈折することによる装飾の位置ずれ位置（境界Ｐ２，Ｐ３）の間に、境界Ｐ１を配置することができる。従って、装飾の位置がずれて認識される領域が間延びすることを抑制できる。即ち、装飾の位置がずれて視認される領域を遊技盤１３の正面に対して限定的にすることができる。その結果、装飾の位置ずれ領域を遊技盤１３の遊技領域に対して、少なくすることができるので、装飾部材６０ｃ及び装飾部材１５４の装飾を遊技者に１の装飾として認識させやすくできる。
【０１３５】
なお、本実施例では、ベース板６０の装飾部材６０ｃにキャラクターの顔が装飾され、一般入賞口ユニット１５０の装飾部材１５４に装飾部材６０ｃに装飾されたキャラクターの体が装飾される。即ち、装飾部材６０ｃと装飾部材１５４との装飾の連結部分には、その装飾の輪郭が位置される。よって、装飾部材６０ｃと装飾部材１５４との連結部分の位置ずれを装飾の輪郭線であると遊技者に認識させることができる。その結果、装飾部材６０ｃ及び装飾部材１５４の装飾を遊技者に１の装飾として認識させやすくできる。
【０１３６】
さらに、本実施例では、ベース板６０の装飾部材６０ｃにキャラクターの顔の首元までが装飾され、一般入賞口ユニット１５０の装飾部材１５４に装飾部材６０ｃに装飾されたキャラクターの体が着用する服が装飾され、キャラクターの顔（首）と服との色合いが異なるもの（本実施例では、顔が肌色で服が黒色）で装飾される。これにより、装飾部材６０ｃと装飾部材１５４との連結部分の位置ずれを色合いの異なる部分とすることで、装飾部材６０ｃと装飾部材１５４とが分割されていることを遊技者に認識させにくくすることができる。その結果、装飾部材６０ｃ及び装飾部材１５４の装飾を遊技者に１の装飾として認識させやすくできる。
【０１３７】
本体部１５１には、上述したように背面側に凹部１５１ｂが凹設され、その内側に装飾部材１５４が配設される。また、凹部１５１ｂの内側の側面（内側面１５１ｂ３）の形状は、正面視における装飾部材１５４の外形と略同一に設定される。これにより、装飾部材１５４を本体部１５１に配設する際には、凹部１５１ｂの内側面１５１ｂ３をガイド（位置決め）として利用することができる。その結果、装飾部材１５４を本体部１５１に貼付する際に、装飾部材１５４の配置が本体部１５１に対して位置ずれすることを抑制できる。
【０１３８】
さらに、本体部１５１の背面側には円柱状に突出する突起１５５（図１５参照）が複数個所（本実施形態では、３箇所（図１５参照））に形成される。突起１５５は、一般入賞口ユニット１５０をベース板６０に配設する場合にベース板６０との位置決めをする位置決め突起であり、ベース板６０に凹設される凹部６０ｄに挿入される。また、突起１５５は、少なくとも１箇所（本実施形態では１箇所）が、凹部１５１ｂの凹設底面１５１ｂ２から突設され、装飾部材１５４に形成される開口に挿入される。従って、突起１５５を本体部１５１に装飾部材１５４を配設する場合の位置決めとして利用することができる。
【０１３９】
よって、突起１５５により、一般入賞口ユニット１５０をベース板６０に配設する際の位置決めをすることができると共に、装飾部材１５４を本体部１５１に配設する際の位置決めをすることができる。従って、装飾部材６０ｃの正面側に装飾部材１５４を配置する際の位置決めとなる部分を同一の部分とすることができるので、装飾部材６０ｃの装飾と装飾部材１５４の装飾とが位置ずれすることを抑制できる。その結果、装飾部材６０ｃの装飾と装飾部材１５４の装飾とを合わせて１の装飾として遊技者に認識させやすくできる。
【０１４０】
さらに、凹設底面１５１ｂ２から突設される突起１５５は、後述する範囲Ｅ１（図１５参照）の領域（接着テープ１５４ａの貼付領域）に形成される。これにより、本体部１５１に装飾部材１５４を配設する際に、装飾部材１５４の開口に突起１５５を挿入した状態で、装飾部材１５４の縁部の一箇所を凹部１５１ｂの内側面１５１ｂ３に位置を合わせて配設することで、本体部１５１に対して装飾部材１５４の２箇所を位置決めすることができる。従って、装飾部材１５４の縁部を凹部１５１ｂの内側面１５１ｂ３の２箇所で位置をあわせて、装飾部材１５４を本体部１５１に配設する必要がなくなる。その結果、装飾部材１５４の本体部１５１への配設作業を簡易にできる。
【０１４１】
次いで、図１５及び図１６を参照して、本体部１５１と装飾部材１５４との接着について説明する。図１５は、一般入賞口ユニット１５０の背面図であり、図１６は、図１３の範囲ＸＩＶにおける遊技盤１３の部分拡大断面図である。なお、図１５では、装飾部材１５４に貼付される接着テープ１５４ａの範囲が、Ｅ１の符号を付して２点鎖線で図示される。また、図１４では、遊技者に視認される光の経路が２点鎖線で図示される。なお、本実施形態では、接着テープ１５４ａが、光透過性の両面のテープから形成されて、範囲Ｅ１に貼付される。
【０１４２】
図１５及び図１６に示すように、装飾部材１５４と本体部１５１とを接着する接着テープ１５４ａは、装飾部材１５４の端部に沿って一定の幅で貼付される。これにより、接着テープ１５４ａが貼付されていない領域（範囲Ｅ１以外の部分）では、接着テープ１５４ａの厚みの分、本体部１５１（凹設底面１５１ｂ２）と装飾部材１５４（装飾部材の正面）との間に所定の幅の隙間（空間）が形成される。
【０１４３】
また、接着テープ１５４ａは、装飾部材１５４の端部から境界Ｐ３を通過して傾斜面１５１ａと直交する仮想線ＰＫ１（図１４参照）を超える領域に接着される。これにより、本体部１５１を通過して傾斜面１５１ａから出射される光が、装飾部材１５４の装飾の影響を受ける部分（波長が変化される部分）を接着テープ１５４ａを貼付した範囲Ｅ１（装飾部材１５４の端部）とすることができる。その結果、遊技者が所定以上の角度から一般入賞口ユニット１５０を視認した場合にも、装飾部材６０ｃと装飾部材１５４の装飾とを１の装飾として遊技者に視認させやすくすることができる。
【０１４４】
ここで、遊技者が、通常よりも高い位置（例えば、パチンコ機１０（図１参照）の重力方向上側端部と同じ高さの視点）から遊技盤１３を視認する場合には、図１６に示すように、傾斜面１５１ａから遊技者の目線に向かって抜け出る光Ｌが、本体部１５１の正面および背面を繰り返し反射して、本体部１５１の内部を通過する。この場合、装飾部材１５４の正面の全域が接着テープ１５４ａを介して本体部１５１と当接するものであると、装飾部材１５４側で反射される度に装飾部材１５４の装飾により光の波長が変更される。従って、本体部１５１の内部を通過して傾斜面１５１ａから出射される光は、装飾部材１５４の端部の装飾による波長の変化のみで反射することができない。よって、傾斜面１５１ａから遊技者に認識される装飾が本体部１５１の正面から遊技者に視認される装飾の波長と異なるために、本体部１５１と傾斜面１５１ａとで、装飾が連ならなくなるという問題点があった。
【０１４５】
これに対し、本実施形態では、装飾部材１５４の本体部１５１への接着部分を範囲Ｅ１のみとすることで、本体部１５１の内部を反射して通過する光Ｌが、装飾部材１５４の装飾の影響を受けないよう（光の波長が変更されないよう）にすることができる。その結果、図１６に示すように、本体部１５１を通過して傾斜面１５１ａから出射される光が、装飾部材１５４の装飾の影響を受ける部分（波長が変化される部分）を接着テープ１５４ａを貼付した範囲Ｅ１（装飾部材１５４の端部）とすることができ、遊技者に視認される傾斜面１５１ａの装飾と隣合う装飾と連なるものとして遊技者に視認させやすくできる。その結果、遊技盤１３の意匠性を向上できる。
【０１４６】
次いで、図１７から図３６を参照して、特別入賞装置５５０について説明する。初めに、図１７を参照して、特別入賞装置５５０の配設方法について説明する。図１７は、センターフレーム８６の分解斜視正面図である。
【０１４７】
図１７に示すように、センターフレーム８６は、ベース板６０の中央の開口を取り囲む略円形の枠状に形成されるベース枠８６ａと、そのベース枠８６ａの径方向外側に突出される突設部８６ｂと、を備えて構成される。
【０１４８】
ベース枠８６ａは、ベース板６０の中央の開口に沿う形状とされ、その中央の開口の内側にベース枠８６ａの一部が挿入されると共に、ベース枠８６ａの一部を除く部分がベース板６０の正面側に張り出した状態でベース板６０に配設される。
【０１４９】
突設部８６ｂは、遊技盤１３の遊技領域に対して、正面視右側（矢印Ｒ方向側）に突設される。これにより、突設部８６ｂに配設される特別入賞装置５５０を遊技領域に対して正面視右側（矢印Ｒ方向側）に配設することができ、特別遊技状態となった際の右打ち時の遊技球の送球経路の一部を特別入賞装置５５０により構成することができる。
【０１５０】
また、突設部８６ｂは、前後方向（矢印Ｆ−Ｂ方向）に開口する開口部８６ｂ１と、その開口部８６ｂ１の上方（矢印Ｕ方向）に位置し背面側（矢印Ｂ方向側）に向かって凹設される凹部８６ｂ２と、を主に備える。
【０１５１】
開口部８６ｂ１は、後述する特別入賞装置５５０の第１ユニット５５１の一部が挿入される。これにより、第１ユニット５５１を、突設部８６ｂの背面側に配設される特別入賞装置５５０の第２ユニット５５２と開口部８６ｂ１を介して連結することができる。
【０１５２】
凹部８６ｂ２は、後述する特別入賞装置５５０の第１ユニット５５１の一部を内側に収容可能とされる。また、凹部８６ｂ２には、遊技球の通過を検知可能な検出装置８６ｂ３が配設される。これにより、第１ユニット５５１の凹部８６ｂ２の内側に収容される部分を通過する遊技球を検出することができる。
【０１５３】
特別入賞装置５５０は、センターフレーム８６の突設部８６ｂの正面側（矢印Ｆ方向側）に配設される第１ユニット５５１と、突設部８６ｂの背面側（矢印Ｂ方向側）に配設される第２ユニット５５２と、を主に備えて構成される。
【０１５４】
第１ユニット５５１は、その内部を遊技球が流下可能な空間（経路）を備え、一部が遊技盤１３の遊技領域に配設される。また、第１ユニット５５１は、第２ユニット５５２を挿通されたネジによりセンターフレーム８６に配設される。なお、第１ユニット５５１及び第２ユニット５５２の配設方法についての詳しい説明は後述する。
【０１５５】
次いで、図１８から図２０を参照して、特別入賞装置５５０の第１ユニット５５１の構成について説明する。図１８（ａ）は、第１ユニット５５１の正面図であり、図１８（ｂ）は、第１ユニット５５１の側面図であり、図１８（ｃ）は、第１ユニット５５１の背面図である。図１９は、第１ユニット５５１の分解斜視正面図であり、図２０は、第１ユニット５５１の分解斜視背面図である。
【０１５６】
図１８から図２０に示すように、第１ユニット５５１は、正面側に配設される第１経路部材５６０と、その第１経路部材５６０の背面側に配設される第２経路部材５７０と、その第２経路部材５７０の背面に配設される第３経路部材５８０と、を主に備えて形成される。
【０１５７】
第１経路部材５６０は、遊技盤１３の遊技領域の正面に沿った板状に形成される正面板５６４と、上方側（矢印Ｕ方向側）が開放する断面略Ｕ字状に形成され、正面板５６４の上方側端部から背面側に突設される第１受入部５６１、第２受入部５６２及び第３受入部５６３と、その第１受入部５６１、第２受入部５６２及び第３受入部５６３の下側（矢印Ｄ方向側）に連なって形成されると共に、正面板５６４の一部の端部に沿って延設される第１壁部５６５と、その第１壁部５６５の下方に形成され、所定の間隔を隔てた２箇所から突設される２組の第２壁部５６６及び第３壁部５６７と、を主に備える。
【０１５８】
正面板５６４は、後述する第２経路部材５７０又は第３経路部材５８０との対向間に形成される遊技球の流下経路の正面側の壁部となる板部材であり、光透過部材から形成される。これにより、遊技者は、第１ユニット５５１の内部を流下する遊技球を正面板５６４を介して（通して）視認することができる。
【０１５９】
また、正面板５６４は、第２経路部材５７０側（背面側（矢印Ｂ方向側）に突設される案内部５６４ａを備える。
【０１６０】
案内部５６４ａは、第１ユニット５５１の内側を流下する遊技球により、正面板５６４の壁面の全域が汚れることを抑制する壁部であり、後述する第２経路部材５７０又は第３経路部材５８０との対向間を流下する遊技球の流下経路に沿って延設される。また、案内部５６４ａは、第１ユニット５５１を流下する遊技球の転動面から遊技球の半径分離れた位置に突設される。言い換えると、案内部５６４ａは、第１経路部材５６０を流下する遊技球の中心位置と、略同一の位置に突設される。これにより、正面板５６４と遊技球とが当接する部分を案内部５６４ａの突設先端部に限定することができる。従って、正面板５６４の全域に遊技球と当接することにより傷が生じることや遊技球に付着した汚れが移着することを抑制できる。その結果、正面板５６４を介して第１経路部材５６０の内部を流下する遊技球を遊技者に視認させやすくできる。
【０１６１】
第１受入部５６１、第２受入部５６２及び第３受入部５６３は、第１ユニット５５１の上方（矢印Ｕ方向）の遊技領域から流下する遊技球を第１ユニット５５１の内部に受け入れる部分であり、上方側の開口が遊技球の直径よりも大きい寸法に設定される。また、第１受入部５６１、第２受入部５６２及び第３受入部５６３は、正面板５６４の上方側（矢印Ｕ方向側）の端部に左右方向（矢印Ｌ−Ｒ方向）に並設される。
【０１６２】
第１受入部５６１は、第２受入部５６２及び第３受入部５６３よりも遊技球の受け入れ幅（左右方向（矢印Ｌ−Ｒ方向）の幅寸法）が大きく設定される。これにより、特別入賞装置５５０に流入する遊技球は、第２受入部５６２又は第３受入部５６３よりも第１受入部５６１に流入しやすくされる。
【０１６３】
また、第１受入部５６１は、第１ユニット５５１の内側に形成される流下経路に連通される。これにより、第１受入部５６１に受け入れられた遊技球は、第１ユニット５５１の内側を流下される。なお、第１ユニット５５１の遊技球の流下経路については後述する。
【０１６４】
第２受入部５６２及び第３受入部５６３は、後述する第２ユニット５５２の内側に形成される流下経路に連通される。これにより、第２受入部５６２及び第３受入部５６３に受け入れられた遊技球が第２ユニット５５２の内側を流下される。なお、第２ユニット５５２の流下経路については後述する。
【０１６５】
第１壁部５６５は、後述する第２経路部材５７０に形成される第４壁部５７３との対向間に遊技球を送球する空間を形成する内壁である。第１壁部５６５は、一端が上述した第１受入部５６１の下方側に連結され、他端側が第２受入部５６２及び第３受入部５６３の下側に亘って左右方向（矢印Ｌ−Ｒ方向）に延設される上方側壁部５６５ａと、背面視略Ｃ字状に湾曲して形成され上方側壁部５６５ａに連結する湾曲壁部５６５ｂと、から主に構成される。
【０１６６】
上方側壁部５６５ａは、後述する第４壁部５７３の上面（矢印Ｕ方向側の面）を遊技球が転動する際に、その転動面の上方を覆う内壁であり、第４壁部５７３の上面と直交する方向に遊技球の直径よりも上方側（矢印Ｕ方向側）に離間する位置に形成される。
【０１６７】
湾曲壁部５６５ｂは、後述する第４壁部５７３の上面を転動する遊技球の転動方向を変更する内壁であり、第４壁部５７３の転動側端部と対向する位置に形成される。また、湾曲壁部５６５ｂは、第４壁部５７３の転動側端部を中心とする半円弧状に形成される。これにより、第４壁部５７３の上面を転動する遊技球を、湾曲壁部５６５ｂの内壁に沿って流下させることで、第４壁部５７３の下面側に案内することができると共に、その転動方向を第４壁部５７３の上面の転動方向と反対にすることができる。
【０１６８】
第２壁部５６６は、第１ユニット５５１の内部を流下する遊技球の主の流下経路から分岐する経路の空間を形成する内壁であり、正面板５６４の背面から突設される一対の壁部の対向間が、遊技球の直径よりも若干大きい寸法に設定される。これにより、第１ユニット５５１を流下する経路を増やすことができる。
【０１６９】
第３壁部５６７は、第１ユニット５５１の内部を流下する遊技球の主の送球経路（主経路ＳＫ３）から分岐する経路の内面を形成する壁部であり、正面板５６４の背面から突設される一対の壁部の対向間が、遊技球の直径よりも若干大きい寸法に設定される。これにより、第１ユニット５５１を流下する遊技球の経路を増やすことができる。
【０１７０】
また、第２壁部５６６と第３壁部５６７とは、それぞれ下流側の端部が第１ユニット５５１の左右方向（矢印Ｌ−Ｒ方向）の反対側に配置される。これにより、後述する分岐通路から第１ユニット５５１の左右方向の両側に遊技球を送球することができる。
【０１７１】
第２経路部材５７０は、第１経路部材５６０の正面板５６４と対向する板状のベース板５７１と、そのベース板５７１の正面から第１経路部材５６０側に突設される第４壁部５７３と、その第４壁部５７３から下方側に所定の距離離間する位置に突設される第５壁部５７４と、その第５壁部５７４から下方側に所定の距離離間する位置に突設される第６壁部５７５と、を主に備えて形成される。
【０１７２】
ベース板５７１は、第１経路部材５６０の正面板５６４と遊技球の直径よりも若干大きい距離を隔てる位置に配設される。これにより、正面板５６４とベース板５７１との間に遊技球を流下させることができる。また、ベース板５７１は、第１受入部５６１、第２受入部５６２及び第３受入部５６３のそれぞれに対応する位置に開口する第１開口部５７１ａ、第２開口部５７１ｂ及び第３開口部５７１ｃと、第１開口部５７１ａの下方に開口する第４開口部５７１ｄと、第５壁部５７４及び第６壁部５７５のそれぞれの上方に開口する第５開口部５７１ｅ及び第６開口部５７１ｆと、第５壁部５７４および第６壁部５７５の間に位置し背面側に凹設される凹設部５７１ｇと、を備える。
【０１７３】
第１開口部５７１ａ、第２開口部５７１ｂ及び第３開口部５７１ｃは、上述した第１経路部材５６０の第１受入部５６１、第２受入部５６２及び第３受入部５６３に流入する遊技球をベース板５７１の背面側に通過させる開口である。
【０１７４】
また、ベース板５７１は、第１開口部５７１ａ、第２開口部５７１ｂ及び第３開口部５７１ｃの下側端部から背面側に突出する第１転動部５７６、第２転動部５７７及び第３転動部５７８を備える。これにより、第１開口部５７１ａを通過する遊技球は、後述する第３経路部材５８０に、第２開口部５７１ｂ又は第３開口部５７１ｃを通過する遊技球は、後述する第２ユニット５５２に、それぞれ送球される。
【０１７５】
第１開口部５７１ａ及び第４開口部５７１ｄは、背面側に後述する第３経路部材５８０の一部が覆設される。これにより、第１開口部５７１ａを通過する遊技球は、第４開口部５７１ｄからベース板５７１の正面側（矢印Ｆ方向側）に送球される。
【０１７６】
第４壁部５７３は、第４開口部５７１ｄの下側端部に沿ってベース板５７１から突設されると共に、左右方向（矢印Ｌ−Ｒ方向）に延設される。また、第４壁部５７３は、ベース板５７１の正面視左側に開口される第４開口部５７１ｄ側から正面視右側（矢印Ｒ方向側）に向かう程、上面が下方に傾斜して形成される。これにより、第４開口部５７１ｄを通過してベース板５７１の正面側に送球される遊技球を、第４壁部５７３の上面に乗せると共に、第４壁部５７３の上面の傾斜によりベース板５７１の右側（矢印Ｒ方向側）に送球できる。
【０１７７】
第５壁部５７４は、上述した第１壁部５６５の湾曲壁部５６５ｂから送球される遊技球の転動面となる部分であり、第４壁部５７３の下面と直交する方向に遊技球の直径よりも下方側に離間する位置に突設されると共に、ベース板５７１の左右方向（矢印Ｌ−Ｒ方向）に延設される。また、第５壁部は、湾曲壁部５６５ｂ側（矢印Ｒ方向側）から後述する凹設部５７４ｇ側（矢印Ｌ方向側）に向かう程、上面（矢印Ｕ方向側の面）が下方に傾斜して形成される。これにより、湾曲壁部５６５ｂから第５壁部５７４の上面に送球される遊技球を、凹設部５７４ｇ側に転動させることができる。さらに、第５壁部５７４は、遊技球の転動面に下方側に向かって凹む第１受入凹部５７４ａ及び第２受入凹部５７４ｂを備える。
【０１７８】
第１受入凹部５７４ａ及び第２受入凹部５７４ｂは、第５壁部５７４の延設方向に並設される。また、第１受入凹部５７４ａ及び第２受入凹部５７４ｂは、凹設幅および凹設深さが、遊技球の直径よりも大きい寸法に設定される。さらに、第１受入凹部５７４ａ及び第２受入凹部５７４ｂの内側には、ベース板５７１に開口する第５開口部５７１ｅが形成される。これにより、第１受入凹部５７４ａ又は第２受入凹部５７４ｂに流入する遊技球は、第５開口部５７１ｅを通過してベース板５７１の背面側に送球される。
【０１７９】
凹設部５７４ｇは、第５壁部５７４の下流側端部（矢印Ｌ方向側の端部）の上方に形成されており、第５壁部５７４の上面を転動する遊技球を凹設部５７４ｇの内側に流入させると共に凹設部５７４ｇの下方（矢印Ｄ方向）に形成される第６壁部５７５の上部に送球することができる。
【０１８０】
第６壁部５７５は、第５壁部５７４を転動して凹設部５７４ｇに送球される遊技球の転動面となる部分であり、第５壁部５７４の下面から下方側に遊技球の直径よりも離間する位置でベース板５７１から突設され、ベース板５７１の左右方向（矢印Ｌ−Ｒ）方向に延設される。また、第６壁部５７５は、凹設部５７４ｇ側（矢印Ｌ方向側）から上述した第３壁部５６７側に向かって上面が下方に傾斜して形成される。これにより、凹設部５７４ｇから第６壁部５７５の上面に送球される遊技球を、第３壁部５６７により形成される送球経路側に転動させることができる。また、第６壁部５７５は、遊技球の転動面に下方側に向かって凹む第３受入凹部５７５ａ及び第４受入凹部５７５ｂを備える。
【０１８１】
第３受入凹部５７５ａ及び第４受入凹部５７５ｂは、第６壁部５７５の延設方向に並設される。また、第３受入凹部５７５ａ及び第４受入凹部５７５ｂは、凹設幅および凹設深さが、遊技球の直径よりも大きい寸法に設定される。さらに、第３受入凹部５７５ａ及び第４受入凹部５７５ｂの内側には、ベース板５７１に開口する第６開口部５７１ｆが形成される。これにより、第３受入凹部５７５ａ及び第４受入凹部５７５ｂに流入した遊技球は、第６開口部５７１ｆを通過してベース板５７１の背面側に送球される。
【０１８２】
第３経路部材５８０は、第２経路部材５７０の重力方向上方側（矢印Ｕ方向側）の背面に配設される第１覆設部材５８１と、第２経路部材５７０の重力方向下方側（矢印Ｄ方向側）の背面に配設される第２覆設部材５８２と、第１覆設部材５８１及び第２覆設部材５８２の間に配設される第１駆動ユニット５８３と、第２覆設部材５８２の背面に配設される第２駆動ユニット５８４とを主に備えて構成される。
【０１８３】
第１覆設部材５８１は、上述した第１開口部５７１ａ及び第４開口部５７１ｄの背面側に配設される湾曲部５８１ａと、その湾曲部５８１ａの下方側に連なる板状の取付部５８１ｂと、を主に備える。
【０１８４】
湾曲部５８１ａは、第１開口部５７１ａ及び第４開口部５７１ｄ（第２経路部材５７０）側が開放される断面Ｕ字状に湾曲して形成され、その内側に第１転動部５７６が配設される（図２４（ａ）参照）。また、湾曲部５８１ａの湾曲内側の壁面と第１転動部５７６の突設先端部との離間距離は、遊技球の直径よりも大きく設定される。これにより、第１転動部５７６を転動する遊技球を湾曲部５８１ａの内壁に沿って流下させて、第１転動部５７６の下方側に送球することができる。よって、背面側に湾曲する湾曲部５８１ａに遊技球を送球することで、遊技球の転動時間を長くすることができる。その結果、遊技盤１３の遊技領域と平行な平面上に遊技球の転動面を確保できない場合でも、遊技球の転動速度を遅くすることができる。
【０１８５】
さらに、湾曲部５８１ａは、下方側の端部が、第４開口部５７１ｄの下側内縁よりも若干高い位置に配置される。これにより、第１転動部５７６から湾曲部５８１ａの内壁に沿って流下されて第４開口部５７１ｄに送球された遊技球が逆流して、湾曲部５８１ａの内側に流入することを抑制できる。
【０１８６】
取付部５８１ｂは、第１覆設部材５８１を第２経路部材５７０の背面に締結するためのネジを挿通する貫通孔５８１ｂ１が２箇所に貫通形成される。また、取付部５８１ｂは、背面側に向かって円柱状に突設される柱状体５５１ａを備える。柱状体５５１ａは、後述する第２ユニット５５２を第１ユニット５５１に締結するためのネジ穴が先端に穿設される。これにより、第２ユニット５５２の背面側から挿通されるネジを柱状体５５１ａに螺合させて第１ユニット５５１と第２ユニット５５２とを締結することができる。
【０１８７】
第２覆設部材５８２は、第６開口部５７１ｆの背面側に配設される第２湾曲部５８２ａと、第１受入凹部５７４ａ〜第４受入凹部５７５ｂの背面側に配設される背面側壁部５８２ｂと、を主に備える。
【０１８８】
第２湾曲部５８２ａは、第６開口部５７１ｆ（第２経路部材５７０）側が開放される断面Ｕ字状に湾曲して形成される（図２４（ｃ）参照）。また、第２湾曲部５８２ａは、正面側から背面側に向かって立設される立設壁５８２ａ１をＵ字の内側に備える。立設壁５８２ａ１により、第２湾曲部５８２ａの内部空間が、正面視左側（矢印Ｌ方向側）の第１空間５８２ａ２と、立設壁５８２ａ１を間に挟んで第１空間５８２ａ２の隣に形成される第２空間５８２ａ３とに分けられる。
【０１８９】
第１空間５８２ａ２及び第２空間５８２ａ３は、遊技球の直径よりも大きい空間であり、正面側から背面側に向かって形成される。また、第１空間５８２ａ２及び第２空間５８２ａ３は、背面側で連結される。また、第１空間５８２ａ２の内面は、背面側に向かう程、下方に傾斜して形成され、第２空間５８２ａ３の内面は正面側に向かう程、下方に傾斜して形成される。これにより、凹設部５７１ｇから第２湾曲部５８２ａに送球される遊技球は、第１空間５８２ａ２の傾斜により、背面側に転動されると共に背面側の端部で第２湾曲部５８２ａの湾曲により第２空間５８２ａ３に送球され、第２空間５８２ａ３の傾斜により正面側に転動され、第６開口部５７１ｆの開口を通過して、ベース板５７１の正面側に送球される。
【０１９０】
背面側壁部５８２ｂは、第１受入凹部５７４ａ〜第４受入凹部５７５ｂに送球されて、第５開口部５７１ｅ及び第６開口部５７１ｆを通過する遊技球を特別入賞装置５５０の下方に案内する送球経路の背面側の壁部である。これにより、第１受入凹部５７４ａ〜第４受入凹部５７５ｂに送球される遊技球を回収することができる。従って、第１受入凹部５７４ａ〜第４受入凹部５７５ｂに送球されて、後述する検出装置ＳＥ３〜ＳＥ６を通過して遊技価値を遊技者に付与した遊技球が再度遊技領域を流下して、遊技価値が再度遊技者に付与されることを防止できる。
【０１９１】
第１駆動ユニット５８３は、電力により前後方向に変位する軸を備える第１ソレノイド５８３ａと、その第１ソレノイド５８３ａの軸に連結される第１可変板５８３ｂと、第１ソレノイド５８３ａ及び第１可変板５８３ｂの周囲を囲む第１保護部材５８３ｃと、を主に備える。
【０１９２】
第１可変板５８３ｂは、左右方向（矢印Ｌ−Ｒ方向）に長い矩形状の板部材であり、第１ソレノイド５８３ａの軸の変位に合わせて前後方向（矢印Ｆ−Ｂ方向）に変位される。また、第１可変板５８３ｂが正面側に張り出された状態では、その第１可変板５８３ｂの先端が上述した第５開口部５７１ｅに挿入されると共に、第１受入凹部５７４ａ及び第２受入凹部５７４ｂの上側に配置される。これにより、第１可変板５８３ｂが正面側に張り出された状態では、その第１可変板５８３ｂにより第１受入凹部５７４ａ及び第２受入凹部５７４ｂへの遊技球の流入を防止することができる。
【０１９３】
第１保護部材５８３ｃは、第２経路部材５７０側が開放する箱状に形成され、その内部に第１ソレノイド５８３ａの軸と第１可変板５８３ｂとを連結する機構が配設される。また、第１保護部材５８３ｃは、前後方向に貫通する貫通孔５８３ｃ１を複数備える。
【０１９４】
貫通孔５８３ｃ１は、第１駆動ユニット５８３を第２経路部材５７０に締結するためのネジを挿通する部分である。貫通孔５８３ｃ１を挿通されたネジは、第１覆設部材５８１の貫通孔５８１ｂ１、又は、第２覆設部材５８２の貫通孔５８２ｂ１を挿通されて、第２経路部材５７０に穿設される孔に螺合される。よって、第１駆動ユニット５８３を第２経路部材５７０に配設することで、第１覆設部材５８１及び第２覆設部材５８２を第２経路部材５７０に配設することができる。これにより、第１覆設部材５８１及び第２覆設部材５８２のネジの締結部分を少なくすることができ、製造コストを削減できる。
【０１９５】
また、第１覆設部材５８１又は第２覆設部材５８２を第２経路部材５７０と第１駆動ユニット５８３との間に挟んだ状態とすることができるので、第１駆動ユニット５８３が、特別入賞装置５５０から無理に外された場合に、第１覆設部材５８１又は第２覆設部材５８２と第２経路部材５７０との締結を不完全として、遊技球が第１覆設部材５８１又は第２覆設部材５８２を通過できない状態としやすい。その結果、不正がされた状態で、遊技が継続されることを抑制できる。
【０１９６】
第２駆動ユニット５８４は、第１駆動ユニット５８３と同様に、電力により前後方向に変位する軸を備える第２ソレノイド５８４ａと、その第２ソレノイド５８４ａの軸に連結される第２可変板５８４ｂと、第２ソレノイド５８４ａ及び第２可変板５８４ｂの周囲を覆う第２保護部材５８４ｃと、を主に備える。
【０１９７】
第２可変板５８４ｂは、左右方向（矢印Ｌ−Ｒ方向）に長い板状体から形成されると共に、正面視においてクランク状に屈曲して形成される。また、第２可変板５８４ｂが正面側に張り出された状態では、その第２可変板５８４ｂの先端が、上述した第６開口部５７１ｆに挿入されると共に、第３受入凹部５７５ａ及び第４受入凹部５７５ｂの上側に配置される。これにより、第２可変板５８４ｂが正面側に張り出された状態では、その第２可変板５８４ｂにより第３受入凹部５７５ａ及び第４受入凹部５７５ｂへの遊技球の流入を防止することができる。
【０１９８】
第２保護部材５８４ｃは、第２経路部材５７０側が開放する箱状に形成され、その内部に第２ソレノイド５８４ａの軸と第２可変板５８４ｂとを連結する機構が配設される。また、第２保護部材５８４ｃは、第１経路部材５６０の第２壁部５６６により形成される送球経路の背面側を覆う背面側壁部５８４ｃ１を備える。これにより、背面側壁部５８４ｃ１と第２壁部５６６とで送球経路を形成できるだけでなく、背面側壁部５８４ｃ１と第２壁部５６６とで、第２経路部材５７０を覆うことができる。その結果、第１ユニット５５１の側面から不正部材が挿入されて、第２経路部材５７０に配設される検出装置ＳＥ３〜ＳＥ６に不正が行われることを抑制しやすくできる。
【０１９９】
次いで、図２１から図２４を参照して第１受入部５６１から第１ユニット５５１の内部に流入する遊技球の送球経路について説明する。図２１は、図１８（ｂ）のＸＸＩ−ＸＸＩ線における第１ユニット５５１の断面図である。図２２は、図２１に示す第１ユニット５５１の模式断面図である。図２３は、図１８（ｂ）のＸＸＩＩＩ−ＸＸＩＩＩ線における第１ユニット５５１の断面図である。図２４（ａ）は、図２１のＸＸＩＶａ−ＸＸＩＶａ線における第１ユニット５５１の断面図であり、図２４（ｂ）は、図２１のＸＸＩＶｂ−ＸＸＩＶｂ線における第１ユニット５５１の断面図であり、図２４（ｃ）は、図２１のＸＸＩＶｃ−ＸＸＩＶｃ線における第１ユニット５５１の断面図である。
【０２００】
なお、第１ユニット内部に流入する遊技球は、遊技球の主経路ＳＫ１〜ＳＫ６を主経路ＳＫ１、主経路ＳＫ２、主経路ＳＫ３、主経路ＳＫ４、主経路ＳＫ５、主経路ＳＫ６の順に流下する。又は、主経路ＳＫ１〜ＳＫ６を流下する途中の主経路ＳＫ３から主経路ＳＫ３に連通する副経路ＨＫ１に流入されて副経路ＨＫ１を流下する。もしくは、主経路ＳＫ１〜主経路ＳＫ６を流下する途中の主経路ＳＫ５から主経路ＳＫ５に連通する副経路ＨＫ２又は副経路ＨＫ３のどちらかに流入されて副経路ＨＫ２又は副経路ＨＫ３のどちらかを流下する。
【０２０１】
また、副経路ＨＫ１〜ＨＫ３には、遊技球の通過を検知する検出装置ＳＥ３〜ＳＥ６が配設されており、その検出装置ＳＥ３〜ＳＥ６の遊技球の検出により、遊技者に所定の遊技価値が付与される。本実施形態では、所定の球数の賞球により、遊技者に遊技価値が付与される。
【０２０２】
図２１から図２４に示すように、主経路ＳＫ１は、第１覆設部材５８１の湾曲部５８１ａ及び第２経路部材５７０の第１転動部５７６（図２４（ａ）参照）により形成される空間であり、第１開口部５７１ａと第４開口部５７１ｄとを連通する。上述したように、湾曲部５８１ａは、第１開口部５７１ａ及び第４開口部５７１ｄ（第２経路部材５７０）側が開放される断面Ｕ字状に湾曲して形成され、主経路ＳＫ１を通過する遊技球を背面側に迂回させることができる。これにより、正面視における領域が限られる空間（第１開口部５７１ａ又は第４開口部５７１ｄの内側を遊技球が通過する際に、遊技球の左右方向における移動量を少なくすることができるので、主経路ＳＫ１を通過する遊技球を遊技者に視認させやすくすることができる。これにより、第１ユニット５５１を通過する遊技球を遊技者に視認させやすくして、遊技者の興趣を高めることができる。
【０２０３】
また、後述するように、主経路ＳＫ１に流入する遊技球は、遊技者に所定の遊技価値が付与されるので、遊技者に遊技価値が付与される可能性がある遊技球の転動を遊技者に視認させやすくできる。その結果、遊技者に興趣を与えやすくすることができる。なお、主経路ＳＫ１は、後述する主経路ＳＫ２と連通されており、主経路ＳＫ１を通過する遊技球を主経路ＳＫ２に流入させることができる。
【０２０４】
また、主経路ＳＫ１の湾曲部５８１ａは、上述したセンターフレーム８６の凹部８６ｂ２（図１７参照）に収容されて配設される。これにより、主経路ＳＫ１に遊技球が詰まった（流れが遅い）場合に、その不具合を検出装置８６ｂ３（図１７参照）により検出して、エラーを報知することができる。
【０２０５】
さらに、主経路ＳＫ１の通路幅は、遊技球の直径よりも若干大きく設定されると共に、検出装置ＳＥ３〜ＳＥ７（図２３参照）の遊技球が通過する開口よりも小さく設定される。これにより、基準の遊技球の直径（１１ミリメートル）よりも直径の大きい遊技球（不正な遊技球）が製造されて、その球で不正（遊技）が行われた場合に、その球を主経路ＳＫ１の内側に留めることができる。よって、不正な遊技球が、主経路ＳＫ１の下流側に配設される検出装置ＳＥ３〜ＳＥ７に流下して不正が行われることを抑制できる。また、不正な遊技球を主経路ＳＫ１に留めることで、検出装置８６ｂ３（図１７参照）により検出して、エラー（不正）を報知することができる。なお、この場合の不正とは、検出装置ＳＥ３〜ＳＥ７のいずれかの開口に不正な遊技球を嵌めて、検出装置ＳＥ３〜ＳＥ７に検出を継続させて、不正な遊技球の払い出し（遊技価値）を得ることである。
【０２０６】
主経路ＳＫ２は、第１経路部材５６０の第１壁部５６５と、第２経路部材５７０の第４壁部５７３との間に形成される空間である。主経路ＳＫ２に流入される遊技球は、第４壁部５７３の上面を転動して流下される。上述したように、第４壁部５７３は、左右方向（矢印Ｌ−Ｒ方向）に延設され第４開口部５７１ｄから離間するにつれて下降傾斜して形成される。
【０２０７】
従って、上述した湾曲部５８１ａ（背面側への湾曲経路）は、遊技球の送球方向の切り替え部分（主経路ＳＫ１と主経路ＳＫ２との連結部分）に形成されるので、遊技者が、主経路ＳＫ１を流下する遊技球を見失うことを抑制できる。即ち、左右方向に延びる直線状の送球経路（例えば、主経路ＳＫ２）の途中に背面側に湾曲する経路が形成される場合には、その湾曲する経路で一定の加速度で転動する遊技球の加速度が変化される（小さくなる）ので、遊技球を追っていた目線が遊技球よりも先行してしまうことで、遊技者が遊技球を見失う恐れがある。
【０２０８】
これに対し、遊技球の転動方向が切り替えられて本来遊技球の転動速度が遅くされる部分に背面側への湾曲経路を形成するので、遊技者の目線が遊技球よりも先行することを抑制して、遊技者が遊技球を見失うことを抑制できる。
【０２０９】
また、主経路ＳＫ１の内壁である湾曲部５８１ａは、遊技盤１３の左右方向中央部に対して若干右方（矢印Ｒ方向）に配設される第１ユニット５５１の正面視左側（矢印Ｌ方向側の端部）に形成される。よって、遊技盤１３の正面に位置する遊技者から第１ユニット５５１を視認しやすい側に、背面側への湾曲経路（主経路ＳＫ１）が形成されるので、遊技者が主経路ＳＫ１から主経路ＳＫ２を通過する遊技球を見失うことを抑制しやすくできる。
【０２１０】
また、主経路ＳＫ２は、湾曲経路ＷＫ１に連通されており、湾曲経路ＷＫ１を介して、後述する主経路ＳＫ３と連通される。これにより、主経路ＳＫ２を通過する遊技球は、湾曲経路ＷＫ１を介して、主経路ＳＫ３に流入される。なお、湾曲経路ＷＫ１についての詳しい説明は後述する。
【０２１１】
主経路ＳＫ３は、第２経路部材５７０の第４壁部５７３と、第５壁部５７４との間に形成される空間である。主経路ＳＫ３に流入される遊技球は、第５壁部５７４の上面を転動して流下される。また、主経路ＳＫ３には、上述した第１駆動ユニット５８３の第１可変板５８３ｂが張出時に主経路ＳＫ３上に突出される。この主経路ＳＫ３上に第１可変板５８３ｂが突出した状態では、第５壁部５７４の上部を転動する遊技球が、第１可変板５８３ｂの上面を転動して主経路ＳＫ４に送球される。
【０２１２】
一方、主経路ＳＫ３上から第１可変板５８３ｂが退避した状態では、第５壁部５７４に形成される第１受入凹部５７４ａ及び第２受入凹部５７４ｂの内部に形成される空間の副経路ＨＫ１に遊技球が流入される。副経路ＨＫ１は、第５開口部５７１ｅを介して背面側壁部５８２ｂにより形成される回収経路に送球される。
【０２１３】
この様に、第１ユニット５５１は、遊技球の送球経路上に張り出し、又は、送球経路上から退避する第１可変板５８３ｂを備え、第１可変板５８３ｂの変位により、第１ユニット５５１の主経路ＳＫ３を流下する遊技球が副経路ＨＫ１に案内される場合と、主経路ＳＫ４に案内される場合と、に変更することができるので、第１ユニット５５１を流下する遊技球の流下方向に変化を与えることができる。
【０２１４】
この場合、副経路ＨＫ１に流入する遊技球は、遊技者に所定の遊技価値が付与されるので、遊技者に、遊技球が副経路ＨＫ１に流入したかどうかを注視させることができる。また、第１可変板５８３ｂは、第１ユニット５５１に形成される送球経路の途中に配置され、遊技者の視認方向（矢印Ｆ−Ｂ方向）に変位されるので、遊技者から第１可変板５８３ｂの変位を視認させにくくすることができる。その結果、第１ユニット５５１の流下する遊技球に注視させることができ、遊技者に遊技球の流下による興趣を与えやすくできる。
【０２１５】
また、副経路ＨＫ１は、正面視において遊技球を右側（矢印Ｒ方向側）から左側（矢印Ｌ方向側）に送球する主経路ＳＫ３と、その主経路ＳＫ３の下方に位置し遊技球を左側から右側に送球する主経路ＳＫ６との間を形成する第５壁部５７４に形成される。従って、副経路ＨＫ１は、遊技球を左右に送球させる間の空間を利用して形成されるので、第１ユニット５５１の外形が上下方向に大きくなることを抑制できる。その結果、第１ユニット５５１の外形を小さくすることで、遊技者が遊技球を目で追う範囲を狭めることができ、遊技者に第１ユニット５５１を流下する遊技球を視認させやすくすることができる。
【０２１６】
主経路ＳＫ４は、凹設部５７１ｇと第１経路部材５６０の突起５６８とにより形成される空間である。主経路ＳＫ４に流入する遊技球は、突起５６８に当接して凹設部５７１ｇの内側（背面側）に送球された後に、凹設部の内面に沿って突起５６８の周囲を転動して凹設部の外側（正面側）に送球される。即ち、遊技球は、突起５６８を迂回するように転動される。また、主経路ＳＫ４は、主経路ＳＫ５に連通されており、主経路ＳＫ４を通過する遊技球を主経路ＳＫ５に流入させることができる。
【０２１７】
主経路ＳＫ５は、上述した第３経路部材５８０の第２覆設部材５８２の第１空間５８２ａ２及び第２空間５８２ａ３により形成される空間である。主経路ＳＫ５に流入される遊技球は、上述したように第１空間５８２ａ２の内部を背面側に転動した後に、第２空間５８２ａ３の内部を正面側に転動される。また、主経路ＳＫ５には、上述した第２駆動ユニット５８４の第２可変板５８４ｂが張出時に主経路ＳＫ５上に突出する。この主経路ＳＫ５上に第２可変板５８４ｂが突出した状態では、第２湾曲部５８２ａの内部を転動する遊技球が、主経路ＳＫ６に送球される。
【０２１８】
一方、主経路ＳＫ５上から第２可変板５８４ｂが退避した状態では、第６壁部５７５に形成される第３受入凹部５７５ａ及び第４受入凹部５７５ｂの内部に形成される空間の副経路ＨＫ２に遊技球が流下される。副経路ＨＫ２は、第６開口部５７１ｆを介して背面側壁部５８２ｂにより形成される回収経路に送球される。
【０２１９】
また、主経路ＳＫ５を構成する第２湾曲部５８２ａは、上述したように背面側に湾曲して形成されており、主経路ＳＫ５を通過する遊技球を背面側に迂回させることができる。これにより、正面視における領域が所定の限られた空間に設定される場合でも、遊技球が転動可能な距離を長くすることができる。
【０２２０】
さらに、第２可変板５８４ｂは、主経路ＳＫ５の上流側の一部と、主経路ＳＫ５の下流側の一部とで張出し、又は、退避の変位がされるように構成され、それら主経路ＳＫ５の上流側と主経路ＳＫ５の下流側との間に背面側への湾曲経路が形成されるので、主経路ＳＫ５を通過する遊技球により遊技者に遊技価値が付与される可能性がある時間を長くできる。その結果、遊技者に興趣を与える時間を長くすることができる。
【０２２１】
主経路ＳＫ４と主経路ＳＫ５との連通部分には、副経路ＨＫ３が連通される。副経路ＨＫ３は、第１経路部材５６０の第２壁部５６６と、第３経路部材５８０の背面側壁部５８４ｃ１との対向間に形成される空間である。
【０２２２】
副経路ＨＫ３は、主経路ＳＫ４から主経路ＳＫ５に遊技球が流入した際の遊技球の流下方向（正面視右方向（矢印Ｒ方向）と異なる方向（正面視左方向（矢印Ｌ方向））に開口される。また、副経路ＨＫ３は、その流入口の下側内縁が第２可変板５８４ｂよりも下方（矢印Ｄ方向）に設定される。
【０２２３】
ここで、遊技球が主経路ＳＫ４から主経路ＳＫ５に正常に（重力以外の外力が作用しない状態で）流下する場合には、主経路ＳＫ４から主経路ＳＫ５又は副経路ＨＫ２に遊技球が流入される。一方、遊技球が主経路ＳＫ４から副経路ＨＫ２に流入するタイミングで第２可変板５８４ｂが張出されて第２可変板５８４ｂの先端面と遊技球が当接して、遊技球に重力以外の外力が作用した場合には、第２可変板５８４ｂにより副経路ＨＫ３の流入口に遊技球が押し出されて副経路ＨＫ３に流入される。
【０２２４】
よって、第１ユニット５５１は、遊技球の送球経路上に張り出し、又は、送球経路上から退避する第２可変板５８４ｂを備え、第２可変板５８４ｂの変位により、第１ユニット５５１の主経路ＳＫ４又は主経路ＳＫ５を流下する遊技球が主経路ＳＫ５、副経路ＨＫ２又は副経路ＨＫ３のいずれかに案内されるので、第１ユニット５５１を流下する遊技球の流下方向に変化を与えることができる。
【０２２５】
この場合、副経路ＨＫ２又は副経路ＨＫ３に流入する遊技球により遊技者に所定の遊技価値が付与されるので、遊技者に、遊技球が副経路ＨＫ２又は副経路ＨＫ３に流入したかどうかを注視させることができる。また、第２可変板５８４ｂは、第１ユニット５５１に形成される送球経路の途中に配置されるので、遊技者から板部材５８４ｂ２の変位を視認させにくくすることができる。その結果、第１ユニット５５１を流下する遊技球に注視させることができ、遊技者に遊技球の流下による興趣を与えやすくできる。
【０２２６】
また、上述したように、主経路ＳＫ４を挟んで上流側では、第１可変板５８３ｂにより、遊技球の流下する経路が切り替えられる。よって、上流側の副経路ＨＫ１に流入せず遊技者に遊技価値が付与されていない遊技球をさらに下流に流下させて副経路ＨＫ２又はＨＫ３に流入させることができる。従って、遊技者に遊技価値が一度付与される可能性があった遊技球を流下経路の切り替え部分を通過させることで、遊技球が副経路ＨＫ２及びＨＫ３に流入する願望を遊技者に再度持たせることができる。
【０２２７】
さらに、遊技球の流下する経路が切り替えられる主経路ＳＫ３と主経路ＳＫ５との間には、背面側に湾曲する主経路ＳＫ４が配設される。従って、正面視における所定の範囲内で遊技球を転動させることができ、遊技者に遊技球の位置を認識させやすくできる。即ち、主経路ＳＫ３を流下した後に、主経路ＳＫ４を通して遊技球の位置を遊技者に認識させることで、主経路ＳＫ４の下流に連結される主経路ＳＫ５を転動する遊技球を遊技者に注視させやすくできる。その結果、遊技球が副経路ＨＫ２及びＨＫ３に流入する遊技球を遊技者に視認させやすくでき、遊技者の興趣を向上できる。
【０２２８】
また、第２可変いた５８４ｂの正面側の左右の両端部には、左右方向の端部に向かう程、背面側に傾斜する傾斜面５８４ｂ１（図２４（ｃ）参照）が形成される。これにより、遊技球が主経路ＳＫ４から副経路ＨＫ２に流入するタイミングで第２可変板５８４ｂが張出されて第２可変板５８４ｂの先端面と遊技球とが当接した際に、傾斜面５８４ｂ１により遊技球を副経路ＨＫ３の流入口側に押し出すことができる。従って、傾斜面５８４ｂ１及び副経路ＨＫ２により第２可変板５８４ｂと第１経路部材５６０との間に遊技球が挟まることを防止することができると共に、遊技球が流下されるタイミングの違いにより流下方向が切り替えられる経路を複数（本実施形態では３経路）形成することができる。
【０２２９】
主経路ＳＫ６は、第１経路部材５６０の第３壁部５６７で囲われる空間である。主経路ＳＫ６を流下する遊技球は、遊技盤１３の遊技領域に送球される。従って、第１受入部５６１に流入した遊技球が、第１受入凹部５７４ａ〜第４受入凹部５７５ｂに流入されない場合には、遊技者に遊技価値が付与されず、主経路ＳＫ６から遊技盤１３の遊技領域に送球されて、遊技盤１３に形成されるアウト口７１から回収される。
【０２３０】
＜遊技球を前後方向に変位させる案内手段＞
次いで、図２５から図２８を参照して、主経路ＳＫ２から主経路ＳＫ３への遊技球の流下について説明する。図２５（ａ）及び図２６（ａ）は、図２１の範囲ＸＸＶａにおける第１ユニット５５１の部分拡大図であり、図２５（ｂ）及び図２６（ｂ）は、図２５（ａ）のＸＸＶｂ−ＸＸＶｂ線における第１ユニット５５１の断面図である。図２７（ａ）は、図２５（ａ）のＸＸＶＩＩａ−ＸＸＶＩＩａ線における第１ユニット５５１の模式断面図であり、図２７（ｂ）は、図２５（ａ）のＸＸＶＩＩｂ−ＸＸＶＩＩｂ線における第１ユニット５５１の模式断面図であり、図２７（ｃ）は、図２５（ａ）のＸＸＶＩＩｃ−ＸＸＶＩＩｃ線における第１ユニット５５１の模式断面図である。図２８（ａ）は、図２５（ａ）のＸＸＶｂ−ＸＸＶｂ線における第１ユニット５５１の模式断面図であり、図２８（ｂ）は、図２５（ａ）のＸＸＶＩＩＩｂ−ＸＸＶＩＩＩｂ線における第１ユニット５５１の模式断面図である。なお、図２６では、湾曲経路ＷＫ１を流下する遊技球が図示される。
【０２３１】
図２５から図２８に示すように、主経路ＳＫ２、主経路ＳＫ３及び湾曲経路ＷＫ１は、第２経路部材５７０のベース板５７１に、背面側に向かって断面円弧状に凹設される第１凹部５７１ｈ、第２凹部５７１ｉ及び第３凹部５７１ｊと、主経路ＳＫ２上の内壁から正面側に階段状に突出する第１段部５７１ｋと、主経路ＳＫ３上の内壁から階段状に突出する第２段部５７１ｍと、を備える。
【０２３２】
第１経路部材５６０の正面板５６４は、第１凹部５７１ｈ、第２凹部５７１ｉ及び第３凹部５７１ｊと対向する位置に、それぞれ第１凸部５６４ｂ、第２凸部５６４ｃ及び第３凸部５６４ｄが突設される。
【０２３３】
第２凹部５７１ｉと第２凸部５６４ｃとの対向間寸法Ｌ１１（図２８（ａ）参照）は、遊技球の直径よりも大きい値に設定されると共に、正面板５６４及びベース板５７１の対向間の距離寸法Ｌ１２（図２８（ａ）参照）よりも小さい値に設定される。これにより、第１凹部５７１ｈ、第２凹部５７１ｉ及び第３凹部５７１ｊと、第１凸部５６４ｂ、第２凸部５６４ｃ及び第３凸部５６４ｄとの対向間に送球される遊技球を第１凹部５７１ｈ、第２凹部５７１ｉ及び第３凹部５７１ｊと、第１凸部５６４ｂ、第２凸部５６４ｃ及び第３凸部５６４ｄに当接させて、遊技球の転動（流下）速度を遅くすることができる。
【０２３４】
また、第１凹部５７１ｈ及び第１凸部５６４ｂの対向間寸法と、第３凹部５７１ｊ及び第３凸部５６４ｄの対向間寸法とは、第２凹部５７１ｉと第２凸部５６４ｃとの対向間寸法Ｌ１１と略同一の距離に設定される。
【０２３５】
さらに、第１凸部５６４ｂ、第２凸部５６４ｃ及び第３凸部５６４ｄの突設先端面と、第１凹部５７１ｈ、第２凹部５７１ｉ及び第３凹部５７１ｊを除くベース板５７１の正面との対向間の距離寸法Ｌ１３（図２８（ａ）参照）は、遊技球の直径よりも小さく設定される。これにより、第１凹部５７１ｈ、第２凹部５７１ｉ及び第３凹部５７１ｊと、第１凸部５６４ｂ、第２凸部５６４ｃ及び第３凸部５６４ｄとの対向間に送球される遊技球を第１凸部５６４ｂ、第２凸部５６４ｃ及び第３凸部５６４ｄに衝突させることができる。その結果、遊技球の転動（流下）速度を遅くすることができる。
【０２３６】
また、この場合、第１凸部５６４ｂ、第２凸部５６４ｃ及び第３凸部５６４ｄに当接した遊技球は、第１凹部５７１ｈ、第２凹部５７１ｉ及び第３凹部５７１ｊの内側を流下される。従って、流下する遊技球を第１凹部５７１ｈ、第２凹部５７１ｉ及び第３凹部５７１ｊの凹設方向に案内することができる。
【０２３７】
段部５７１ｋは、主経路ＳＫ２の背面側の内壁から正面側に突出される。また、段部５７１ｋは、主経路ＳＫ２の経路内における下流側に形成される。段部５７１ｋは、主経路ＳＫ２の上流側の端部が、ベース板５７１の正面から正面側に突出した位置に設定されると共に、下流側の端部が彎曲経路ＷＫ１の背面と同一の位置に設定される。これにより、主経路ＳＫ２を流下する遊技球を、段部５７１ｋに当接させて、正面側に移動させることができる。
【０２３８】
また、段部５７１ｋは、上流側の端部が上流側から下流側に向かって正面側に突出する傾斜面として形成される。これにより、主経路ＳＫ２を流下して段部５７１ｋの上流側の端部に当接する遊技球を正面側に案内しつつ下流側に流下させることができる。
【０２３９】
さらに、段部５７１ｋは、上流側の端部が、正面板５６４に形成される第１凸部５６４ｂよりも主経路ＳＫ２の上流側に形成される。これにより、段部５７１ｋに当接して正面側に案内される遊技球を第１凸部５６４ｂに当接させやすくすることができる。
【０２４０】
第１凹部５７１ｈは、主経路ＳＫ２を構成するベース板５７１に凹設されており、正面視において、水平方向（矢印Ｌ−Ｒ方向）に長い楕円形状に形成される。また、第１凹部５７１ｈは、段部５７１ｋにより正面側に突出された位置におけるベース板５７１に形成される。第１凹部５７１ｈの上下方向の中心における背面側への凹設深さは、段部５７１ｋの正面側への高さ寸法Ｌ２２（図２７（ｂ）参照）と、略同一に設定される。これにより、暴れずに主経路ＳＫ２を送球される遊技球を、第１凹部５７１ｈの凹設方向（背面側（矢印Ｂ方向側）に変位させなくても、第１凹部５７１ｈの内側に流入させることができる。
【０２４１】
一方、暴れた状態で主経路ＳＫ２を送球される遊技球は、段部５７１ｋの上流側の端部に当接させて、主経路ＳＫ２の正面側に案内して、正面板５６４の第１凸部５６４ｂに当接させる。これにより、遊技球の暴れを抑制しつつ、遊技球を第１凹部５７１ｈの内側に送球することができる。
【０２４２】
さらに、第１凹部５７１ｈは、主経路ＳＫ２の上流側における遊技球の転動面（第４壁部５７３の矢印Ｕ方向側の面）から直交する方向の凹設底面までの高さ寸法Ｙ８（図２５（ａ）参照）が遊技球の半径分に設定され、主経路ＳＫ２の下流側における遊技球の転動面（第４壁部５７３の矢印Ｕ方向側の面）から直交する方向の凹設底面までの高さ寸法Ｙ９（図２５（ａ）参照）が遊技球の半径分よりも高く設定される。これにより、主経路ＳＫ２を流下する遊技球を第１凹部５７１ｈに沿って送球する際に、重力方向上側（矢印Ｕ方向側）に持ち上がる方向の抵抗を遊技球に作用させて、遊技球の転動速度を小さくすることができる。その結果、湾曲経路ＷＫ１に流入する遊技球の転動速度を十分に小さくすることができ、遊技球をスムーズに流下させやすくすることができる。
【０２４３】
第１凹部５７１ｈの断面における半径Ｘ１１（図２７（ｂ）参照）は、遊技球の半径よりも大きい値に設定されており、第１凹部５７１ｈの内側に遊技球が送球された際に、その内壁に遊技球を当接可能とされる。これにより、第１凹部５７１ｈと当接する遊技球の当接部分が２箇所になることを抑制して、当接部分が増えることによる遊技球の転動に対する抵抗が大きくなることを抑制できる。その結果、遊技球が主経路ＳＫ２で停止することを抑制できる。
【０２４４】
第１凹部５７１ｈと対向する位置に形成される第１凸部５６４ｂは、第１凹部５７１ｈの上流側の端部から主経路ＳＫ２の遊技球の送球方向（図２７（ｂ）の矢印Ｒ方向）に離間する位置に形成され、その離間する値が遊技球の半径よりも小さい寸法に設定される。これにより、主経路ＳＫ２を流下する遊技球を第１凸部５６４ｂに当接させて第１凹部５７１ｈの内側に送球しやすくできる。
【０２４５】
第２凹部５７１ｉは、湾曲経路ＷＫ１のベース板５７１に凹設されており、正面視における外形が重力方向（矢印Ｕ−Ｄ方向）に長い楕円形状に形成される。また、第２凹部５７１ｉは、正面視における上下方向（矢印Ｕ−Ｄ方向）中央位置が、湾曲経路ＷＫ１の経路の中間位置に設定される。さらに、第２凹部５７１ｉは、正面視における左右方向（矢印Ｌ−Ｒ方向）中央位置が湾曲経路ＷＫ１の送球方向に対して直交する方向の中央位置に形成される。
【０２４６】
なお、主経路ＳＫ１、湾曲経路ＷＫ１及び主経路ＳＫ２は、正面視において遊技球の送球方向に対して直交する幅寸法Ｌ１８（図２５（ａ）参照）がすべて同一の寸法に設定されており、その幅寸法Ｌ１８が、遊技球の直径の略１．１倍に設定される。
【０２４７】
また、第１凹部５７１ｈ、第２凹部５７１ｉ及び第３凹部５７１ｊは、正面視における短手方向の最大の幅寸法が、上述した幅寸法Ｌ１８の略１／２に設定される。これにより、各経路（主経路ＳＫ１、湾曲経路ＷＫ１及び主経路ＳＫ２）を通過する遊技球の中心を第１凹部５７１ｈ、第２凹部５７１ｉ及び第３凹部５７１ｊの正面側を通過させることができるので、遊技球を第１凹部５７１ｈ、第２凹部５７１ｉ及び第３凹部５７１ｊの内側に送球しやすくできる。
【０２４８】
段部５７１ｍは、主経路ＳＫ３の背面側の内壁から正面側に突出される。また、段部５７１ｍは、主経路ＳＫ３の経路内における上流側に形成される。段部５７１ｍは、主経路ＳＫ３の下流側の端部が、ベース板５７１の正面側に突出した位置に設定されると共に、上流側の端部が彎曲経路ＷＫ１の背面と同一の位置に設定される。これにより、主経路ＳＫ３を流下する遊技球が、段部５７１ｍよりも下流側に送球された後に、段部５７１ｍを超えて上流側に逆流（跳ね返る）することを抑制できる。
【０２４９】
第３凹部５７１ｊは、主経路ＳＫ３の内壁を構成するベース板５７１に形成されており、正面視において、水平方向（矢印Ｌ−Ｒ方向）に長い楕円形状に形成される。また、第３凹部５７１ｊは、段部５７１ｍにより正面側に突出された位置におけるベース板５７１に形成される。第３凹部５７１ｊの上下方向の中心における背面側への凹設深さは、段部５７１ｍの正面側への高さ寸法Ｌ２３（図２７（ｃ）参照）と、略同一に設定される。これにより、主経路ＫＲ３を送球される遊技球を、第３凹部５７１ｊの内側から外側に流出させやすくできる。
【０２５０】
さらに、主経路ＳＫ３の下流側における第３凹部５７１ｊの端部は、後述する副経路ＨＫ１に流下する経路を切り替える第１可変板５８３ｂの主経路ＳＫ３の上流側における端部（矢印Ｒ方向側の端部）の重力方向上方（矢印Ｕ方向）に配置される。これにより、第１可変板５８３ｂの停止位置がその変位により重力方向上方にずれた場合（第１可変板５８３ｂが、湾曲壁部５６５ｂの下流側端部よりも上方に配置された場合）に、主経路ＳＫ３を通過する遊技球を第３凹部５７１ｊの内面に沿って送球することで、第１可変板５８３ｂに引っ掛かることなく送球できる。その結果、第１壁部５６５と第１可変板５８３ｂとが隣合う部分において、第１可変板５８３ｂを下方に配置する必要がなくなり、第１ユニット５５１の上下方向寸法が大きくなることを抑制できる。
【０２５１】
また、この場合、第３凹部５７１ｊは、正面視における長手方向が、水平方向（矢印Ｌ−Ｒ方向）に形成されており、主経路ＳＫ３を流下する遊技球に対して上方に離間されるので、第１壁部５６５から第１可変板５８３ｂに送球される遊技球に対して、上方側に持ち上がる方向の抵抗を作用させることができる。その結果、第１壁部５６５から第１可変板５８３ｂに送球される遊技球が、第１可変板５８３ｂに引っ掛かることを抑制できる。
【０２５２】
さらに、第１ユニット５５１は、正面視における遊技盤１３に対して水平方向の一側（矢印Ｒ方向側）に遊技球を送球する主経路ＳＫ２と、その主経路ＳＫ２から送球された遊技球を主経路ＳＫ２の案内方向と反対方向の水平方向の他側に送球する主経路ＳＫ３と、主経路ＳＫ２および主経路ＳＫ３の一側同士を連結する湾曲経路ＷＫ１と、を備え、湾曲経路ＷＫ１は、遊技盤に対して正面側または背面側の少なくとも一方に遊技球を送球する案内手段（第２凸部５６４ｃ及び第２凹部５７１ｉ）を遊技盤に対して正面側および背面側の内壁に備えるので、湾曲経路ＷＫ１を通過する遊技球を正面側または背面側（正面視における遊技盤１３の前後方向）に移動させることができる。
【０２５３】
従って、湾曲経路ＷＫ１を通過する遊技球の送球経路が正面視における前後方向に同一の平面に形成される場合よりも、主経路ＳＫ２（第１経路）を転動して加速した遊技球の流下速度を遅くすることができる。よって、遊技球の流下速度を遅くできる分、湾曲経路ＷＫ１の内壁に衝突した遊技球が主経路ＳＫ２に戻る、又は、湾曲経路ＷＫ１の内側で主経路ＳＫ２の送球方向（正面視における水平方向（矢印Ｌ−Ｒ方向））に揺れ動く（ぶれる）ことを抑制できる。これにより、湾曲経路ＷＫ１を通過する遊技球を遊技者の視線が一定方向に追うことができる。その結果、湾曲経路ＷＫ１に送球された遊技球を遊技者に視認させやすくすることができる。
【０２５４】
また、正面視における遊技盤１３に対して遊技球が水平方向（正面視左右方向）に揺れ動く（ぶれる）ことを抑制できるので、その分、主経路ＳＫ２および主経路ＳＫ３を連結する湾曲経路ＷＫ１の経路を長くして遊技球が揺れ動くことを抑制する必要がなくなり、湾曲経路ＷＫ１の経路を短くすることができる。その結果、第１ユニット５５１を遊技盤１３に対して所定の領域内に収めることができ、遊技盤１３に対する第１ユニット５５１の配設スペースを確保できる。
【０２５５】
さらに、第１凹部５７１ｈは、主経路ＳＫ２の上流側に向かって、その主経路ＳＫ２の流下方向と直交する方向（矢印Ｕ−Ｄ方向）に凹設幅が大きくされる。これにより、主経路ＳＫ２を流下する遊技球を第１凹部５７１ｈに受け入れやすくできる。また、第１凹部５７１ｈは、主経路ＳＫ２の下流側に向かって、凹設幅が小さく設定されるので、第１凹部５７１ｈに受け入れられた遊技球を同じ位置から抜け出させやすい。即ち、第１凹部５７１ｈは、主経路ＳＫ２の上流側で遊技球を受け入れやすく、主経路ＳＫ２の下流側で同じ位置から遊技球を抜け出させやすくできる。その結果、主経路ＳＫ２の下流に連通される湾曲経路ＷＫ１の第２凹部５７１ｉに遊技球を送球しやすくできる。
【０２５６】
この場合、第１凹部５７１ｈの主経路ＳＫ２の流下方向（矢印Ｒ方向）における凹設端部は、主経路ＳＫ２を送球される遊技球の転動方向において主経路ＳＫ２の転動面（第４壁部５７３の上面）を超える位置に形成される。従って、第１凹部５７１ｈを抜け出る遊技球に、主経路ＳＫ２の転動面の影響を受けにくくすることができる。その結果、第１凹部５７１ｈから抜け出た遊技球を湾曲経路ＷＫ１の第２凹部５７１ｉに送球しやすくできる。
【０２５７】
また、主経路ＳＫ２は、第４開口部５７１ｄ側から湾曲壁部５６５ｂ側（即ち、正面視左側（矢印Ｌ方向側）から正面視右側（矢印Ｒ方向側））に向かって、その経路の内部空間が正面板５６４側（正面側（矢印Ｆ方向側））に傾斜して形成される。また、主経路ＳＫ２は、その転動面（第４壁部５７３の重力方向上側の面）が正面側に向かって下降傾斜して形成される。これにより、主経路ＳＫ２を流下する遊技球を正面板５６４側を転動させやすくすることができ、その遊技球を正面板５６４に形成される第１凸部５６４ｂに当接させやすくできる。その結果、第１凸部５６４ｂで遊技球の転動速度を遅くさせやすくでき、主経路ＳＫ２を流下する遊技球が湾曲壁部５６５ｂと衝突した反力で主経路ＳＫ２を逆流することを抑制できる。その結果、遊技球の送球方向の変更箇所で遊技球を安定して流下させることができる。
【０２５８】
第２凹部５７１ｉは、その上方端部（矢印Ｕ方向側端部）が、主経路ＳＫ２（第４壁部５７３）を転動する遊技球の中心の転動軌跡に沿って直線状に描かれる仮想線ＩＬ３（図２５（ａ）参照）と接する位置に形成される。これにより、主経路ＳＫ２を比較的速い速度で送球されて湾曲経路ＷＫ１に流入する遊技球を第２凹部５７１ｉに受け入れやすくすることができる。
【０２５９】
遊技球の送球方向の変更箇所（湾曲経路ＷＫ１）には、第２凹部５７１ｉ及び第２凸部５６４ｃが形成される。上述したように、第１凸部５６４ｂ、第２凸部５６４ｃ及び第３凸部５６４ｄの突設先端面と、第１凹部５７１ｈ、第２凹部５７１ｉ及び第３凹部５７１ｊを除くベース板５７１の正面との対向間の距離寸法Ｌ１３（図２８（ａ）参照）は、遊技球の直径よりも小さく設定されるので、第２凹部５７１ｉ及び第２凸部５６４ｃの間を流下する遊技球を第２凸部５６４ｃに当接させて第２凹部５７１ｉの内側に押し入れることができる。よって、主経路ＳＫ３に流入する（第２凹部５７１ｉ及び第２凸部５６４ｃの間から抜け出る）遊技球を、第２凹部５７１ｉの内面の円弧に沿って流下させることができる。
【０２６０】
ここで、主経路ＳＫ２から湾曲経路ＷＫ１に送球された遊技球は、主経路ＳＫ２の遊技球の転動方向に寄った位置を流下しやすくなる。従って、第２凹部５７１ｉの内側を流下する遊技球は、第２凹部５７１ｉの正面視右側（矢印Ｒ方向側）の領域の内面に当接して流下される。よって、主経路ＳＫ３に流入する遊技球の送球方向を主経路ＳＫ３の流下方向（湾曲壁部５６５ｂ側から凹設部５７１ｇ（図２１参照）側）に向けやすくできる。その結果、遊技球の送球方向の変更箇所で、遊技球が湾曲壁部５６５ｂと衝突して流下が一時的に停止することを抑制できる（図２８参照）。
【０２６１】
さらに、湾曲経路ＷＫ１から主経路ＳＫ３に送球される遊技球の送球方向を主経路ＳＫ３の流下方向に向かう方向に向けることができるので、遊技球が湾曲壁部５６５ｂに衝突する力を小さくすることができる。その結果、湾曲壁部５６５ｂに遊技球が繰り返し衝突することによる湾曲壁部５６５ｂの破損を抑制できる。
【０２６２】
また、第１凸部５６４ｂは、正面側に配設される第１経路部材５６０に形成され、第１凹部５７１ｈは、背面側に配設される第２経路部材５７０に形成される。
【０２６３】
ここで、第１経路部材５６０に正面側に向かって凹設される凹部（第２経路部材５７０の第１凹部５７１ｈに対応する凹部）を形成すると、凹部を凹設する分第１経路部材５６０の板厚を厚くする必要がある。よって、第１経路部材５６０の板厚が増す分、第１経路部材５６０の透過性が悪くなり、第１ユニット５５１を通過する遊技球を遊技者が視認しにくくなる。
【０２６４】
また、第１経路部材５６０の正面に部分的に膨出する膨出部分の背面に凹設部分を形成すると、第１経路部材５６０の正面側に膨出部分が膨出する分、遊技盤１３の正面側に配設されるガラスユニット１６（図１参照）との間の隙間を大きくする必要がある。よって、第１経路部材５６０がガラスユニット１６から離れる分、第１経路部材５６０の内部を通過する遊技球を遊技者が視認しにくくなる。
【０２６５】
これに対し、第１凸部５６４ｂは、正面側に配設される第１経路部材５６０に形成され、第１凹部５７１ｈは、背面側に配設される第２経路部材５７０に形成されるので、正面側に配設される第１経路部材５６０の厚みを薄くすることができる。また、第１経路部材５６０の正面側に部分的に突出する部分が形成されないので、第１経路部材５６０をガラスユニット１６に近づけて配設することができる。その結果、第１経路部材５６０の内部を通過する遊技球を遊技者に視認させやすくできる。
【０２６６】
第２凸部５６４ｃは、主経路ＳＫ２（第４壁部５７３の上面）よりも重力方向下方（矢印Ｄ方向）に位置すると共に、正面視における主経路ＳＫ２の転動方向と略同一方向に下降傾斜して形成される。これにより、第２凸部５６４ｃと第２凹部５７１ｉとの対向間を流下する遊技球を、第２凸部５６４ｃの傾斜により第２凹部５７１ｉの正面視右側（矢印Ｒ方向側）の領域に案内することができる。上述したように、第２凹部５７１ｉは、凹設面が湾曲して形成されるので、第２凹部５７１ｉの正面視右側（矢印Ｒ方向側）の領域の内側に当接して流下する遊技球を主経路ＳＫ３の流下方向（湾曲壁部５６５ｂ側から凹設部５７１ｇ（図２１参照）側）に向けて送球することができる。その結果、湾曲経路ＷＫ１から主経路ＳＫ３への遊技球の流入をスムーズにさせることができる。
【０２６７】
また、第２凹部５７１ｉは、正面視における下方側（矢印Ｄ方向側）の端部が主経路ＳＫ３を転動する遊技球の中心の転動軌跡に沿って直線状に描かれる仮想線ＩＬ４（図２５（ａ）参照）に接する位置に形成される。これにより、第２凹部５７１ｉの下流側端部から排出される遊技球の中心の高さを仮想線ＩＬ４上に設定することができる。上述したように、本実施形態では、第２凹部５７１ｉから排出される遊技球を主経路ＳＫ３の流下方向（湾曲壁部５６５ｂ側から凹設部５７１ｇ（図２１参照）側）に向けて送球することができるので、第２凹部５７１ｉから排出される遊技球が、主経路ＳＫ３又は湾曲経路ＷＫ１の内面と当接して主経路ＳＫ３に送球される遊技球が、湾曲経路ＷＫ１の内壁と衝突してそれらの経路の内側で停滞することを抑制できる。
【０２６８】
よって、主経路ＳＫ３に流入する遊技球の流下方向を、主経路ＳＫ３の転動面に近い位置で、主経路ＳＫ３の送球方向に向けることができる。これにより、湾曲経路ＷＫ１から主経路ＳＫ３に流入する遊技球が、湾曲経路ＷＫ１の遊技球の送球方向に対して直交する方向に送球されることを抑制できる。その結果、主経路ＳＫ３に送球される遊技球が、湾曲経路ＷＫ１の内壁と衝突して停滞することを抑制できる。
【０２６９】
＜高い遊技価値が付与される第１部材を正面側に配設する＞
次いで、図２９から図３１を参照して第２ユニット５５２の構成について説明する。図２９（ａ）は、第２ユニット５５２の正面図であり、図２９（ｂ）は、第２ユニット５５２の背面図である。図３０は、第２ユニット５５２の分解斜視正面図であり、図３１は、第２ユニット５５２の分解斜視背面図である。
【０２７０】
図２９から図３１に示すように、第２ユニット５５２は、第１ユニット５５１側（正面側（矢印Ｆ方向側））に配設される第４経路部材６１０と、その第４経路部材６１０の背面側（矢印Ｂ方向側）に配設される第５経路部材６２０と、その第５経路部材６２０の背面側に配設され第５経路部材６２０との対向間に遊技球の送球経路を形成する第６経路部材６３０と、第２ユニット５５２の側面に配設される装飾部材６５０と、を主に備える。
【０２７１】
第４経路部材６１０は、上述したセンターフレーム８６を介して、第１ユニット５５１の背面側（矢印Ｂ方向側）に取付される。また、第４経路部材６１０は、正面視縦長矩形の板状に形成される取付板６１１と、その取付板６１１の端部から第１ユニット５５１側（正面側（矢印Ｆ方向側））に立設される側壁部６１２と、第１ユニット５５１の第２転動部５７７及び第３転動部５７８に内部空間が連通される第１連通路６１５及び第２連通路６１６と、を備える。
【０２７２】
取付板６１１は、第１ユニット５５１側（正面側（矢印Ｆ方向側））に円形状に凹設されると共にその凹設底面に貫通孔が形成される挿通部６１７と、第５経路部材６２０側（背面側（矢印Ｂ方向側））に円形状に突設されると共に突設先端面にネジが螺合する孔が穿設される経路側締結部６１８及び装飾側締結部６１９と、取付板６１１の中央に開口される開口部６１３と、その開口部６１３の外側に開口される第２挿通部６１４と、を備える。
【０２７３】
挿通部６１７は、第１ユニット５５１と第２ユニット５５２とを締結するためのネジの先端を挿通する部分であり、取付板６１１の複数個所（本実施形態では、３箇所）に形成される。
【０２７４】
経路側締結部６１８は、後述する第６経路部材６３０の挿通孔６３２に挿通されるネジが螺合される部分であり、挿通孔６３２と対向する位置に形成される。これにより、第６経路部材６３０を第４経路部材６１０に締結できる。
【０２７５】
装飾側締結部６１９は、後述する装飾部材６５０に形成される締結孔６５２に挿通されるネジが螺合される部分であり、締結孔６５２と対向する位置に形成される。これにより、装飾部材６５０を第４経路部材６１０に締結できる。
【０２７６】
開口部６１３は、第１ユニット５５１に配設される第１ソレノイド５８３ａ及び第２ソレノイド５８４ａと対向する位置に形成される。これにより、第１ユニット５５１の背面に第４経路部材６１０を配設した際に、開口部６１３の内側に第１ソレノイド５８３ａ及び第２ソレノイド５８４ａを配設した状態とできる。従って、第１ユニット５５１の背面に第４経路部材６１０を配設した際に、第４経路部材６１０が前後方向に大きくなることを抑制できると共に、第１ソレノイド５８３ａ及び第２ソレノイド５８４ａの周囲を第４経路部材６１０で囲むことができる。
【０２７７】
第１連通路６１５及び第２連通路６１６は、正面視において上方側（矢印Ｕ方向側）が開放するＵ字状に形成されると共に、前後方向（矢印Ｆ−Ｂ方向）に延設される。また、第１連通路６１５及び第２連通路６１６は、正面側の端部が第１ユニット５５１の第２転動部５７７及び第３転動部５７８の背面側に当接されると共に、背面側の端部が後述する第５経路部材６２０の第１流入口６２５及び第２流入口６２６の端部の正面側に当接される。さらに、第１連通路６１５及び第２連通路６１６は、第１ユニット５５１側から第５経路部材６２０に向かって下降傾斜して形成される。これにより、第１ユニット５５１の第２転動部５７７及び第３転動部５７８から第１連通路６１５及び第２連通路６１６に送球される遊技球を、その第１連通路６１５及び第２連通路６１６を転動させて、第５経路部材６２０の第１流入口６２５及び第２流入口６２６に流入させることができる。
【０２７８】
第２挿通部６１４は、第４経路部材６１０をセンターフレーム８６の突設部８６ｂに締結する際に、突設部８６ｂのネジ孔８６ｂ４に螺合するネジを挿通する穴であり、突設部８６ｂに形成されるネジ孔８６ｂ４（図３５参照）と対応する位置に形成される。これにより、センターフレーム８６の突設部８６ｂの背面に第４経路部材６１０を配設できる。
【０２７９】
側壁部６１２は、第１ユニット５５１及び第２ユニット５５２とが締結された際に、第１ユニット５５１の背面側（矢印Ｂ方向側）に配置される第１ソレノイド５８３ａの側面及び第２ソレノイド５８４ａの側面を覆う板部材であり、取付板６１１の端部全域から第１ユニット５５１側（正面側（矢印Ｆ方向側））に立設される。なお、側壁部６１２の正面側（第１ユニット５５１側）への立設寸法は、センターフレーム８６の突設部８６ｂと当接する長さに設定される。これにより、第１ユニット５５１及び第２ユニット５５２との間に側壁部６１２が配置されるので、第１ユニット５５１及び第２ユニット５５２との間に隙間が形成されることを抑制できる。その結果、第１ユニット５５１及び第２ユニット５５２との間に不正物が挿入されることを抑制できる。
【０２８０】
第５経路部材６２０は、正面視略矩形の板から形成される板部材６２１と、その板部材６２１に開口される第１流入口６２５及び第２流入口６２６と、第２流入口６２６の周囲から第２流入口６２６の下方に亘って第６経路部材６３０側（背面側（矢印Ｂ方向側））に立設される第２立設壁６２３と、第１流入口６２５の周囲から第１流入口６２５の下方に亘って第６経路部材６３０側に立設される第１立設壁６２４と、板部材６２１から第６経路部材６３０側に突設される被締結部６２７と、を主に備える。
【０２８１】
板部材６２１は、第４経路部材６１０の正面視における外形よりも小さい外形に形成されると共に、第４経路部材６１０の背面側（矢印Ｂ方向側）に配設される。また、板部材６２１は、正面視における中央部に開口される中央開口部６２２を備える。この中央開口部６２２は、背面視における第２ソレノイド５８４ａの外形よりも大きく形成されると共に、第２ソレノイド５８４ａと対応する位置に形成される。これにより、板部材６２１（第５経路部材６２０）を第４経路部材６１０の背面側に配設した際に、第４経路部材６１０の開口部６１３の内側を挿通される第２ソレノイド５８４ａを中央開口部６２２の内側に配置できる。
【０２８２】
第１流入口６２５及び第２流入口６２６は、上述したように第４経路部材６１０の第１連通路６１５及び第２連通路６１６を連動する遊技球を第５経路部材６２０及び第６経路部材６３０の対向間に受け入れる部分（流入させる開口）である。
【０２８３】
被締結部６２７は、後述する第６経路部材６３０に形成される締結孔６３３を挿通されたネジの先端を螺合させる部分であり、締結孔６３３と対応する位置に形成される。これにより、第５経路部材６２０と第６経路部材６３０とが締結される。また、被締結部６２７の第６経路部材６３０側への突出寸法は、遊技球の直径よりも大きく設定される。これにより、第５経路部材６２０と第６経路部材６３０との間に遊技球を流下可能な隙間が形成される。
【０２８４】
第１立設壁６２４は、第１流入口６２５から第５経路部材６２０及び第６経路部材６３０の対向間に流入される遊技球を案内する壁であり、下方側に延設されると共に第２立設壁６２３と連結される。第２立設壁６２３は、第２流入口から第５経路部材６２０に流入された遊技球を案内する壁であり、板部材６２１の上下方向に亘って延設される。なお、第１立設壁６２４及び第２立設壁６２３により形成される送球経路についての説明は後述する。
【０２８５】
第６経路部材６３０は、正面視略矩形の板から形成されるベース板６３１と、第５経路部材６２０の中央開口部６２２と対向する位置のベース板６３１に開口される第２中央開口部６３４と、ベース板６３１の第２中央開口部６３４の周囲に貫通形成される挿通孔６３２及び締結孔６３３と、を備える。
【０２８６】
第２中央開口部６３４は、正面視において第５経路部材６２０の中央開口部６２２と略同一の大きさに形成され、第５経路部材６２０と第６経路部材６３０とが組み合わされた際に、第５経路部材６２０の中央開口部６２２と連通される。これにより、第２ユニット５５２が第１ユニット５５１の背面側に配設された際に、第１ユニット５５１の第１ソレノイド５８３ａを第２中央開口部６３４の内側に配置できる。
【０２８７】
次いで、図３２を参照して、第５経路部材６２０により形成される送球経路について説明する。図３２は、図２９のＸＸＸＩＩ−ＸＸＸＩＩ線における第２ユニット５５２の断面図である。
【０２８８】
図３２に示すように、第２ユニット５５２は、第５経路部材６２０の第１立設壁６２４に囲われて形成される副経路ＨＫ４と、第２立設壁６２３に囲われて形成される副経路ＨＫ５とを備える。
【０２８９】
副経路ＨＫ４は、第１流入口６２５から下方に延設された後、後述する副経路ＨＫ５側に屈曲されて、副経路ＨＫ５に連通される。また、副経路ＨＫ４には、下方への延設部分に遊技球の通過を検出する検出装置ＳＥ７が配設される。これにより、副経路ＨＫ４を遊技球が通過したことを検出できる。また、検出装置ＳＥ７が遊技球の通過を検出すると、遊技者に所定の遊技価値が付与される（本実施形態では、遊技球の賞球）。
【０２９０】
なお、本実施形態では、検出装置ＳＥ７を遊技球が通過することに伴って遊技者に賞球される遊技球の数（例えば３個）が、第１ユニット５５１に配設される検出装置ＳＥ３〜ＳＥ６を遊技球が通過することに伴って遊技者に賞球される遊技球の数（例えば１５個）よりも少なくされる。即ち、検出装置ＳＥ７を通過することに伴って遊技者に付与される遊技価値は、第１ユニット５５１に配設される検出装置ＳＥ３〜ＳＥ６を遊技球が通過することに伴って遊技者に付与される遊技価値よりも高く設定される。これにより、第１ユニット５５１を通過する遊技球に注目させやすくできる。その結果、遊技者に興趣を与えやすくすることができる。
【０２９１】
副経路ＨＫ５は、第２流入口６２６から下方に延設されると共に、第２ユニット５５２の下方でパチンコ機１０の回収経路に連通される。従って、副経路ＨＫ５を流下する遊技球は、遊技者に遊技価値が付与されることなく回収される。また、副経路ＨＫ４を流下して検出装置ＳＥ７に検出された遊技球は、副経路ＨＫ５に送球されて、パチンコ機１０に回収される。
【０２９２】
また、特別入賞装置５５０は、光を透過可能な材料から形成されて遊技領域の正面側に配設される第１ユニット５５１と、その第１ユニット５５１の背面側に配設される第２ユニット５５２と、を備え、第１ユニット５５１は、遊技球を入球可能な第１受入部５６１を備え、第２ユニット５５２は、遊技球を入球可能な第２受入部５６２及び第３受入部５６３を備え、第１受入部５６１に入球する遊技球の方が、第２受入部５６２及び第３受入部５６３に入球する遊技球よりも遊技者に高い遊技価値（遊技球の払い出し）が付与される。
【０２９３】
従って、第１ユニット５５１及び第２ユニット５５２の遊技球の送球経路の取り回しが複雑に形成される（例えば、第１ユニット５５１の送球経路と第２ユニット５５２の送球経路とが正面視における前後方向に交差する）場合に比べて、第１ユニット５５１および第２ユニット５５２に同じタイミングで遊技球が流下された場合に第１ユニット５５１を流下する遊技球を遊技者に注視させやすくできる。よって、遊技価値の高い第１受入部５６１を備える第１ユニット５５１を流下する遊技球を遊技者に視認させやすくすることができる。その結果、遊技者に高い遊技価値が付与される経路を通過する遊技球を遊技者に視認させることができるので、遊技者の興趣を向上させやすくできる。
【０２９４】
また、第１ユニット５５１へ遊技球を送球する送球経路の流入口（第１受入部５６１）と、第２ユニット５５２へ遊技球を送球する送球経路の流入口（第２受入部５６２及び第３受入部５６３）は、隣り合う位置に形成されるので、高い遊技価値が付与される第１ユニット５５１に流入するか、低い遊技価値が付与される第２ユニット５５２に流入するか、遊技球が流入するまで遊技者に判断させにくくすることできる。その結果、遊技球が特別入賞装置５５０に流入する直前まで遊技者に興趣を与えやすくできる。
【０２９５】
次いで、図３３から図３７を参照して、センターフレーム８６への特別入賞装置５５０の配設状態について説明する。図３３（ａ）は、センターフレーム８６の正面図であり、図３３（ｂ）は、センターフレーム８６の側面図である。図３４（ａ）は、センターフレーム８６の斜視正面図であり、図３４（ｂ）は、センターフレーム８６の斜視背面図である。図３５は、センターフレーム８６の分解斜視背面図である。図３６は、図３３のＸＸＸＶＩ−ＸＸＸＶＩ線におけるセンターフレーム８６の断面図である。図３７（ａ）は、遊技盤１３の模式断面図であり、図３７（ｂ）は、遊技盤１３の模式分解断面図である。なお、図３７（ａ）及び図３７（ｂ）は、図３６の断面に対応する。
【０２９６】
＜第１部材をベース部材側に付勢する固定手段＞
図３３から図３７に示すように、特別入賞装置５５０は、センターフレーム８６を間に挟んで、そのセンターフレーム８６の正面側に取り外し可能な第１ユニット５５１と、センターフレーム８６の背面側に取り外し可能な第２ユニットと、から構成される。
【０２９７】
第１ユニット５５１は、その第１ユニット５５１の背面側に配設される第１ソレノイド５８３ａ及び第２ソレノイド５８４ａがセンターフレーム８６の開口部８６ｂ１に挿入された状態で、突設部８６ｂの正面側に配設される。また、第１ユニット５５１は、第２ユニット５５２側に円柱状に突出する柱状体５５１ａを備える。
【０２９８】
柱状体５５１ａは、第２ユニット５５２の第４経路部材６１０に形成される挿通部６１７と対向する位置に形成されると共に、挿通部６１７を挿通したネジが螺合する孔を先端に備える。
【０２９９】
第１ユニット５５１のセンターフレーム８６への固定は、第２ユニット５５２の第４経路部材６１０に形成される挿通部６１７及び第２挿通部６１４に挿通されるネジにより固定される。詳しく説明すると、第１ユニット５５１は、背面側（矢印Ｂ方向側）に配設される第４経路部材６１０との間にセンターフレーム８６の突設部８６ｂを介した状態で配設される。また、第１ユニット５５１は、第４経路部材６１０の挿通部６１７から挿通されるネジが柱状体５５１ａに螺合されることで、第２ユニット５５２と締結される。
【０３００】
さらに、第１ユニット５５１と第２ユニット５５２とを締結した状態で、第２ユニット５５２に形成される第２挿通部６１４に挿通されたネジを突設部８６ｂに凹設されるネジ孔８６ｂ４（図３５参照）に螺合させることで、突設部８６ｂと第４経路部材６１０とを締結できる。上述したように、第４経路部材６１０と第１ユニット５５１とは、締結固定されるので、第４経路部材６１０が突設部８６ｂに締結されることで第１ユニット５５１が突設部８６ｂに対して締結される。
【０３０１】
また、図３７に示すように、ベース板６０の第１開口部６０ａの上下方向における開口寸法Ｙ１（図３７（ｂ）参照）は、第１ユニット５５１（第２経路部材５７０）の上下方向寸法Ｙ２（図３７（ｂ）参照）よりも若干小さく設定される。また、第１ユニット５５１のベース板６０の正面との当接面から、第２ユニット５５２のベース板６０への当接面までの距離寸法Ｙ４（図３７（ｂ）参照）は、第１ユニット５５１と第２ユニット５５２とが締結された際に、ベース板６０の厚み寸法Ｙ３（図３７（ｂ）参照）よりも若干小さく設定される。
【０３０２】
これにより、第１ユニット５５１と第２ユニットと５５２とを締結した場合に、第１ユニット５５１をベース板６０側（背面側）に付勢することができる。よって、ベース板６０の正面と第１ユニット５５１との間に隙間が形成されることを抑制できる。従って、第１ユニット５５１をベース板６０の正面側からネジで締結する必要がなくなり、その分、ネジの締結代を第１ユニット５５１の正面に必要としてないので、その分、第１ユニット５５１の正面側の領域を遊技球の送球空間として利用することができる。その結果、第１ユニット５５１に形成される遊技球の送球空間を確保することができる。
【０３０３】
また、第１ユニット５５１と第２ユニット５５２との締結部分（柱状体５５１ａ）は、第１ユニット５５１の背面側に突出形成されるので、締結部分がベース板６０の正面側に形成される場合に比べて、第１ユニット５５１に形成される遊技球の送球空間を確保することができる。
【０３０４】
また、第２ユニット５５２をベース板６０（正面側）に付勢することができるので、第２ユニット５５２とベース板６０との間に隙間が形成されることを抑制できる。従って、第２ユニット５５２とベース板６０との対向間から針金やピアノ線等の不正物が挿入されて、第１ユニット５５１の第１ソレノイド５８３ａ及び第２ソレノイド５８４ａに不正がされることを抑制できる。
【０３０５】
さらに、第１ユニット５５１は、ベース板６０の背面側から挿通されるネジによりベース板６０に配設されるので、第１ユニット５５１の正面側にベース板６０との締結代（ネジが挿通される開口が形成される延設部分）を形成する必要がなくなる。その結果、正面視における第１ユニット５５１の外形に対して、全域を送球経路として利用でき、第１ユニット５５１の送球経路を大きくすることができる。
【０３０６】
また、ベース板６０と第１ユニット５５１との締結部分がベース板６０の背面側であるので、遊技盤１３の正面側からされる不正によりベース板６０と第１ユニット５５１との締結部分が外されることを抑制できる。その結果、第１ユニット５５１への不正を抑制できる。さらに、ベース板６０と第１ユニット５５１との締結部分がベース板６０の背面側であるので、遊技者からネジの頭部を認識させにくくすることができる。その結果、第１ユニット５５１をベース板６０に固定するための構成が遊技者に認識されることにより、遊技者の興趣が低下することを抑制できる。
【０３０７】
また、第１ユニット５５１は、ベース板６０の背面側から締結される固定手段（ネジ）により、ベース板６０に対し背面側に付勢された状態でベース板６０に配設されるので、第１ユニット５５１に作用する背面側への付勢力により、第１ユニット５５１とベース板６０とを密着した状態で配設することができる。
【０３０８】
さらに、第１ユニット５５１と第２ユニット５５２とは、それぞれに遊技球を送球可能な送球経路が形成された状態でセンターフレーム８６に配設されるので、第１ユニット５５１の送球経路および第２ユニット５５２の送球経路が、第１ユニット５５１と第２ユニット５５２との組立時にずれることを抑制できる。その結果、第１ユニット５５１及び第２ユニット５５２の内部を流下する遊技球が、第１ユニット５５１及び第２ユニット５５２の送球経路で停止することを抑制できる。
【０３０９】
また、第１ユニット５５１は、第１ユニット５５１に送球された遊技球を第２ユニット５５２に流入させるための転動面（第２転動部５７７及び第３転動部５７８）を備える。従って、第１ユニット５５１及び第２ユニット５５２のそれぞれが、センターフレーム８６の突設部８６ｂに締結されるものであると、センターフレーム８６に対する第１ユニット５５１の組付け誤差が生じて、第１ユニット５５１から第２ユニット５５２への遊技球の送球がスムーズに行われなくなる恐れがあった。
【０３１０】
これに対し、本実施形態では、上述したように第１ユニット５５１は、第２ユニット５５２に締結されるので、第１ユニット５５１及び第２ユニット５５２の締結時の誤差を最小（締結した際に誤差ができる箇所を最小）とすることができる。その結果、第１ユニット５５１から第２ユニット５５２への遊技球の送球をスムーズに行うことができる。
【０３１１】
第４経路部材６１０に締結される第５及び第６経路部材６２０，６３０は、背面視において第４経路部材６１０の挿通部６１７及び第２挿通部６１４の少なくとも一部と重なる位置に配置される。これにより、第１ユニット５５１は、第４経路部材６１０に締結される第５及び第６経路部材６２０，６３０を取り外した後でのみセンターフレーム８６から取り外し可能とされる。これにより、主経路ＳＫ１〜ＳＫ６を形成する第１ユニット５５１がセンターフレーム８６から取り外されて主経路ＳＫ１〜ＳＫ６に不正が行われることを抑制できる。
【０３１２】
さらに、突設部８６ｂは、端部に第２ユニット５５２側に立設する（折り返される）立設部８６ｂ５を備える（図３３（ｂ）参照）。これにより、第１ユニット５５１と第２ユニット５５２とが、センターフレーム８６の突設部８６ｂを間に介してセンターフレーム８６に配設された状態では、立設部８６ｂ５が、第１ユニット５５１の背面側に配設される第１ソレノイド５８３ａ及び第２ソレノイド５８４ａを取り囲んだ状態とされる。
【０３１３】
よって、第１ユニット５５１及び第２ユニット５５２がセンターフレーム８６に配設された状態で、第１ユニット５５１及び第２ユニット５５２の対向間から針金やピアノ線などの不正物が挿入されることを抑制できる。その結果、第１ユニット５５１及び第２ユニット５５２がセンターフレーム８６に配設された状態で第１ユニット５５１の第１ソレノイド５８３ａ及び第２ソレノイド５８４ａに不正が行われることを抑制できる。
【０３１４】
また、第１ユニット５５１と第２ユニット５５２との間には、第１ソレノイド５８３ａ及び第２ソレノイド５８４ａの正面側の一部が配設されると共に、立設部８６ｂ５が介設される。よって、立設部８６ｂ５が配設される空間を利用して、第１ソレノイド５８３ａ及び第２ソレノイド５８４ａの正面側の一部を配設することができる。従って、第１ソレノイド５８３ａ及び第２ソレノイド５８４ａの正面側の一部が、第１ユニット５５１と第２ユニット５５２との間に収容される分、第１ソレノイド５８３ａ及び第２ソレノイド５８４ａが背面側に突出することを抑制できる。その結果、第１ソレノイド５８３ａ及び第２ソレノイド５８４ａの背面側の周囲を第２ユニット５５２により取り囲みやすくすることができ、第１ソレノイド５８３ａ及び第２ソレノイド５８４ａに背面側から不正がされることを第２ユニット５５２により抑制することができる。
【０３１５】
さらに、第１ユニット５５１と第２ユニット５５２との間には、第１ソレノイド５８３ａ及び第２ソレノイド５８４ａの正面側の一部が配設されるので、第２ユニット５５２を流下する遊技球を第１ソレノイド５８３ａ及び第２ソレノイド５８４ａで隠して遊技者側から視認しにくくすることができる。これにより、第１ユニット５５１を流下する遊技球の動線と第２ユニット５５２を流下する遊技球の動線とが正面視において重なる場合であっても、第１ユニット５５１を流下する遊技球を遊技者に視認させやすくできる。その結果、第２ユニット５５２を流下する遊技球により遊技者に付与される遊技価値よりも高い遊技価値が遊技者に付与される第１ユニット５５１を流下する遊技球を遊技者に視認させることができるので、遊技者に興趣を与えやすくできる。
【０３１６】
また、第１ユニット５５１及び第２ユニット５５２がセンターフレーム８６に配設された状態では、装飾部材６５０が、センターフレーム８６のベース枠８６ａの内側の側面を覆う状態で配設される。これにより、センターフレーム８６のベース枠８６ａの開口を介して（挿通して）特別入賞装置５５０に針金やピアノ線などの不正物が挿入されることを抑制できる。
【０３１７】
図３６及び図３７に示すように、第１ユニット５５１に配設される第１ソレノイド５８３ａは、背面側が第２ユニット５５２の第４経路部材６１０及び第５経路部材６２０に形成される中央開口部６２２及び第２中央開口部６３４の内側に挿入される。これにより、第２ユニット５５２が背面側（矢印Ｂ方向側）に膨出することを抑制できると共に、第１ソレノイド５８３ａに針金やピアノ線等の不正物がアクセスされることを抑制できる。
【０３１８】
また、第１ソレノイド５８３ａの荷重を第２ユニット５５２により支持することができるので、第１ソレノイド５８３ａが配設される第１ユニット５５１の第２経路部材５７０が撓むことを抑制できる。その結果、第１ユニット５５１の遊技球の通過を安定させることができる。
【０３１９】
さらに、上述したように、センターフレーム８６に形成される突設部８６ｂの開口部８６ｂ１に第１ソレノイド５８３ａ及び第２ソレノイド５８４ａが囲われて配設されるので、比較的荷重の大きい（重い）第１ソレノイド５８３ａ及び第２ソレノイド５８４ａを開口部８６ｂ１（突設部８６ｂ）により支持することができる。その結果、突設部８６ｂが、特別入賞装置５５０の荷重により撓むことを抑制できる。
【０３２０】
よって、ベース板６０に配設されるセンターフレーム８６が曲る（撓む）ことを抑制できるので、センターフレーム８６に配設される第１ユニット５５１の配置がベース板６０に対して位置ずれすることを抑制できる。その結果、遊技盤１３の遊技領域から第１ユニット５５１（特別入賞装置５５０）に遊技球をスムーズに流入させることができる。
【０３２１】
また、第１ユニット５５１から第２ユニット５５２へ遊技球を送球する第２転動部５７７及び第３転動部５７８は、突設部８６ｂの開口部８６ｂ１の外側に形成される。これにより、開口部８６ｂ１の内側に配置される第１ソレノイド５８３ａ及び第２ソレノイド５８４ａの駆動により発生する電磁力により、第１ユニット５５１から第２ユニット５５２に送球される遊技球の転動が阻害されることを抑制できる。言い換えると、第１ソレノイド５８３ａ及び第２ソレノイド５８４ａの駆動により発生する電磁力が突設部８６ｂの外側に作用することを突設部８６ｂにより抑制できる。その結果、第１ユニット５５１から第２ユニット５５２への遊技球の送球を安定させることができる。
【０３２２】
上述したように、第１ソレノイド５８３ａは、背面側が第２ユニット５５２の中央開口部６２２及び第２中央開口部６３４に挿入されて配設される。これにより、第１ユニット５５１の検出装置ＳＥ３〜６及び第１ソレノイド５８３ａの配線を中央開口部６２２及び第２中央開口部６３４を挿通させて配設することができる。また、それらの配線を第１ソレノイド５８３ａに沿って配設することができるので、配線が絡まることを抑制できる。
【０３２３】
さらに、第１ソレノイド５８３ａの荷重を、第２ユニット５５２の中央開口部６２２及び第２中央開口部６３４により支えることができるので、第１ユニット５５１が配設される突設部８６ｂが撓むことを抑制できる。よって、ベース板６０に配設されるセンターフレーム８６が曲る（撓む）ことを抑制できるので、センターフレーム８６に配設される第１ユニット５５１の配置がベース板６０に対してずれることを抑制できる。その結果、遊技盤１３の遊技領域から第１ユニット５５１（特別入賞装置５５０）に遊技球をスムーズに流入させることができる。
【０３２４】
＜基板ユニットの固定部材を背面部材に配設する変位部材＞
次いで、図３８から図４２を参照して、背面ケース３００及び基板ボックス１００の連結構造についての詳しい説明する。まず、図３８及び図３９を参照して、背面ケース３００の構造について説明する。
【０３２５】
図３８（ａ）は、背面ケース３００の正面図であり、図３８（ｂ）は、背面ケース３００の背面図である。図３９（ａ）は、背面ケース３００の分解斜視正面図であり、図３９（ｂ）は、背面ケース３００の分解斜視背面図である。
【０３２６】
図３８及び図３９に示すように、背面ケース３００は、底壁部３０１の正面側（箱状に形成された開放側（矢印Ｆ方向側））に配設される係合部材３１０と、背面ケース３００の背面側（矢印Ｂ方向側）に配設され、上述した基板ボックス１００（主制御装置１１０）を固定する固定部材３２０と、を主に備える。
【０３２７】
また、背面ケース３００は、底壁部３０１に正面側の２箇所から突設される突設部３０１ｂと、固定部材３２０と対向する位置に開口する第１開口部３０１ｃと、係合部材３１０と対向する位置に開口する第２開口部３０１ｄと、を備える。
【０３２８】
突設部３０１ｂは、係合部材３１０をスライド可能な状態で保持するための軸であり、後述する係合部材３１０に開口する摺動溝３１４の内側に挿通される。また、突設部３０１ｂは、円環状に突設されており、その円環状の内側にネジを螺合できる。よって、突設部３０１ｂを摺動溝３１４の内側に挿通した後に、摺動溝３１４の溝幅よりも直径の大きい頭部を有するネジを突設部３０１ｂに螺合することで、係合部材３１０を背面ケース３００に配設できる。
【０３２９】
第１開口部３０１ｃは、後述する固定部材３２０の一部（係合部材３１０との係合部分）を挿通するための開口であり、固定部材３２０の係合部分（後述する被係合部３３２）を挿通可能な形状に形成される。これにより、背面ケース３００（底壁部３０１）の背面側に配設される固定部材３２０を、背面ケース３００（底壁部３０１）の正面側に配設される係合部材３１０で係合させることができる。
【０３３０】
また、第１開口部３０１ｃは、固定部材３２０と係合部材３１０との係合側（矢印Ｌ方向側）の反対側（矢印Ｒ方向側）となる端部に背面側に突出する突壁３０１ｃ１を備える。突壁３０１ｃ１は、背面側の突設先端が略９０度屈曲する鉤状に形成され、その屈曲方向が、第１開口部３０１ｃから離間する方向（矢印Ｒ方向）に設定される。
【０３３１】
突壁３０１ｃ１は、先端が後述する固定部材３２０の係止部３３１に挿入される。これにより、固定部材３２０と係合部材３１０との係合部分の反対側（矢印Ｒ方向側）を係止させることができる。その結果、背面ケース３００に配設される固定部材３２０を左右（矢印Ｌ−Ｒ方向）の両端で支持する（係合させる）ことができ、固定部材３２０と係合部材３１０との係合部分に力が集中することを抑制して固定部材３２０及び係合部材３１０が破損することを抑制できる。なお、第１開口部３０１ｃへの固定部材３２０の配設についての詳しい説明は後述する。
【０３３２】
第２開口部３０１ｄは、後述する係合部材３１０の一部（操作子３１５）を背面ケース３００の背面側に挿通するための開口であり、これにより、係合部材３１０を背面ケースの背面側から操作することができる。よって、上述したように、固定部材３２０を背面ケース３００の背面に配置した後に、背面ケース３００の背面側から係合部材３１０を操作して、固定部材３２０と係合部材とを背面ケース３００（底壁部３０１）の正面側で係合させることができる。
【０３３３】
係合部材３１０は、正面視における外形がクランク状に形成されており、互いに平行となる方向に延設される第１片３１１及び第２片３１２と、その第１片３１１及び第２片３１２の端部同士を第１片３１１及び第２片３１２の延設方向と直交する方向に連結する第３片３１３とから構成される。
【０３３４】
上述した２の摺動溝３１４は、第１片３１１及び第２片第３１２にそれぞれ１箇所づつ形成され、第１片３１１及び第２片３１２の延設方向（矢印Ｌ−Ｒ方向）に長い長穴状に開口される。これにより、係合部材３１０は、第１片３１１及び第２片３１２の延設方向（矢印Ｌ−Ｒ方向）に摺動可能とされる。
【０３３５】
第１片３１１は、第３片３１３が連結される他側（矢印Ｌ方向側）と反対側の一側（矢印Ｒ方向側）の端部が、後述する固定部材３２０との係合部分として形成されており、第１片３１１の延設方向と略直交する方向である上下方向（矢印Ｕ−Ｄ方向）の両外側に突出する係合部３１６と、その２箇所の係合部３１６の略中間位置から第１片３１１の延設方向（矢印Ｌ−Ｒ方向）に凹設される凹部３１７と、背面ケース３００の底壁部３０１側（背面側（矢印Ｂ方向側））に向かって突出する操作子３１５と、を備える。
【０３３６】
係合部３１６は、正面視における外形が略三角形状に形成され、一側（矢印Ｒ方向側）の外面が、一側の端部から他側（矢印Ｌ方向側）に向かう程、第１片３１１の外側に突出する傾斜面として形成される一方、他側の外面が、第１片３１１の延設方向（矢印Ｌ−Ｒ方向）に対して略直交する方向である上下方向（矢印Ｕ−Ｄ方向）延設される。
【０３３７】
凹部３１７は、第１片３１１の厚み方向に切り欠いて形成されると共に、第１片３１１の一側（矢印Ｒ方向側）端部から他側（矢印Ｌ方向側）に向かって凹設される。よって、第１片３１１の一側が二股に分割される。これにより、第１片３１１の一側の剛性を他側に比べて低くすることができる。その結果、第１片３１１の一側を弾性変形させやすくして、係合部材３１０を固定部材３２０と係合させやすくできる。なお、係合部材３１０と固定部材３２０との係合についての詳しい説明は後述する。
【０３３８】
操作子３１５は、係合部材３１０を操作する操作部分であり、第１片３１１の他側の端部に形成され、その突出寸法が、背面ケース３００の底壁部３０１の板厚よりも大きい値に設定され、少なくとも作業者が指で掴める程度の寸法分、背面ケース３００の背面側に突出される。これにより、操作子３１５を底壁部３０１の第２開口部３０１ｄから突出させることができると共に、その突出部分（操作子３１５の先端）を掴ませて操作させることができる。
【０３３９】
第２片３１２は、正面側に円形に凹設される締結孔３１８を備える。締結孔３１８は、後述する回転ユニット７００の背面ベース７２０に貫通される孔（図８９参照）に挿通されるネジを螺合させる部分である。これにより、背面ケース３００の内側（底壁部３０１の正面側）に回転ユニット７００を配設した後、回転ユニット７００の背面側に配設される係合部材３１０を操作して、係合部材３１０を規定位置（後述する固定部材３２０との係合位置）に操作することができると共に、締結孔３１８にネジを螺合して係合部材３１０と回転ユニット７００（背面ベース７２０）とを締結することができる。従って、規定位置に配置される係合部材３１０を背面ケース３００の背面側から突出する操作子３１５の操作のみでは、操作不能にすることができる。その結果、パチンコ機１０が組み上げられた状態で、操作子３１５が不正に操作されて、固定部材３２０と基板ボックス１００（主制御装置１１０）とが、不正な基板ボックスに簡易に交換されることを抑制できる。
【０３４０】
なお、この場合、回転ユニット７００の背面ベース７２０の孔を挿通して締結孔３１８に締結されるネジは、遊技盤１３に配設される第１入賞口６４を取り外した孔から操作可能としてもよい。この場合、遊技盤１３と背面ケース３００との締結を解除する必要がなくなるので、正常な基板ボックス１００への交換作業が複雑化することを抑制できる。その結果、正常な基板ボックス１００の交換作業を簡易にすることができる。
【０３４１】
固定部材３２０は、背面ケース３００と別部材から構成される。これにより、背面ケース３００に比べて外形の小さい固定部材３２０に基板ボックス１００をカシメ固定させることができるので、固定部材３２０が背面ケース３００と一体に形成される場合に比べて、基板ボックス１００を配設しやすくできる。その結果、基板ボックス１００が固定部材３２０から取り外されにくい状態で基板ボックス１００を背面ケース３００に配設しやすくできる。
【０３４２】
また、背面ケース３００は、それぞれのパチンコ機の型式で同一形状の部品として流用することができるところ、基板ボックス１００は、それぞれのパチンコ機１０の型式で形状や大きさが異なるので、基板ボックス１００が配設される固定部材３２０を別のパチンコ機との流用品とすることができない。従って、固定部材３２０が背面ケース３００と一体に形成される場合に比べて、背面ケース３００の成形時の金型を別のパチンコ機と同一の金型とすることができる。その結果、背面ケース３００に比べて外形の小さい固定部材３２０の金型を形成するだけですむので、製造コストを削減できる。
【０３４３】
固定部材３２０は、上述した係合部材３１０と係合する介設部材３３０と、その介設部材３３０に締結される軸支部材３４０とから構成される。これにより、軸支部材３４０を別の遊技機の固定部材と同一の形状の流用品として使用することができる。
【０３４４】
介設部材３３０は、正面側（矢印Ｆ方向側）が開放する箱状に形成され、他側（矢印Ｌ方向側）の側面に突設される係止部３３１と、他側（矢印Ｌ方向側）の側面から背面ケース３００側（正面側）に突出して枠状に形成される被係合部３３２と、箱状の底面に円形状に開口する挿通孔３３３と、背面から軸支部材３４０側に突出する突部３３４と、を主に備える。
【０３４５】
また、介設部材３３０には、被係合部３３２の重力方向（矢印Ｕ−Ｄ方向）の両外側から正面側（矢印Ｆ方向側）に向かって円柱状に突出する突起が形成される。また、背面ケース３００の底壁部３０１には、被係合部３３２の重力方向の両外側から突出する突起と対応する位置に凹設される円形状の開口形成される。よって、開口に突起が挿入されることで、正面視における垂直方向への介設部材３３０（固定部材３２０）の移動が規制される。
【０３４６】
係止部３３１は、固定部材３２０の他側（矢印Ｌ方向側）を底壁部３０１に係合させるための開口を備え、その開口に上述した第１開口部３０１ｃの周囲から断面Ｌ字状に突設される突壁３０１ｃ１が挿通されることで底壁部３０１に係合される。これにより、介設部材３３０（固定部材３２０）を背面ケース３００に配設する際に、介設部材３３０の係止部３３１に突壁３０１ｃ１を挿通させて介設部材３３０の一側（矢印Ｒ方向側）を背面ケース３００に対して係止することができる。
【０３４７】
被係合部３３２は、係合部材３１０と係合する部分であり、背面ケース３００側（矢印Ｆ方向側）への突出寸法が、背面ケース３００に配設される係合部材３１０を超える寸法に設定され、囲われる空間の正面側（矢印Ｆ方向側）の内面から底壁部３０１の正面までの距離寸法が、係合部材３１０の正面から底壁部３０１の正面までの距離よりも大きく設定される。これにより、被係合部３３２により囲われる空間と係合部材３１０とが、前後方向（矢印Ｆ−Ｂ方向）において重なる位置に配置される。
【０３４８】
挿通孔３３３は、介設部材３３０を後述する軸支部材３４０と締結するネジを挿通する貫通孔であり、軸支部材３４０の締結孔３４３と同軸上に設定される。
【０３４９】
突部３３４は、断面略Ｌ字状に形成され、その屈曲側の先端部と介設部材３３０の底面との間の距離が後述する軸支部材３４０の挿入部３４４の板厚よりも大きく設定される。これにより、突部３３４の屈曲側の先端部と介設部材３３０の底面との対向間に挿入部３４４を挿入して配設できる。
【０３５０】
軸支部材３４０は、背面ケース３００側（矢印Ｆ方向側）が開放する箱状に形成される本体部３４１と、その本体部３４１の背面側（矢印Ｂ方向側）から断面略Ｕ字状に膨出する支持部３４２と、を主に備えて形成される。
【０３５１】
本体部３４１は、上方側（矢印Ｕ方向側）の側面から上方に向かって突出する挿入部３４４と、箱状に形成される本体部３４１の底面側（矢印Ｄ方向側）から背面側（矢印Ｂ方向側）に向かって凹設される締結孔３４３とを主に備える。
【０３５２】
挿入部３４４は、上述したように突部３３４の屈曲側の先端部と介設部材３３０の底面との対向間に挿入される板部材である。これにより、軸支部材３４０の上方側が背面ケース３００の背面側に傾倒することを抑制できる。
【０３５３】
締結孔３４３は、挿入部３４４と反対側の端部に偏る下方側（矢印Ｄ方向側）に配置される。また、上述したように、締結孔３４３は、介設部材３３０の挿通孔３３３（図３９（ｂ）参照）を挿通するネジを締結する孔である。従って、軸支部材３４０は、上方側（矢印Ｕ方向側）の挿入部３４４が介設部材３３０の突部３３４に挿入されると共に、下方側が介設部材３３０と締結固定される。よって、軸支部材３４０は、下方側のネジの締結のみで介設部材３３０に固定されるので、締結部分を少なくすることができ、製造工程の簡易化をすることができる。
【０３５４】
支持部３４２は、上述した基板ボックス１００（主制御装置１１０）の軸受部１１７とかしめ締結される部分であり、内部にかしめ金具を配設可能な中空状に形成される。なお、基板ボックス１００は、かしめ金具による締結により、軸支部材３４０に対して回転可能な状態で保持される。
【０３５５】
次いで、図４０（ａ）から図４１（ｂ）を参照して、係合部材３１０と固定部材３２０との係合について説明する。図４０（ａ）は、係合部材３１０及び固定部材３２０の係合前の状態における背面ケース３００の正面図であり、図４０（ｂ）は、係合部材３１０及び固定部材３２０の係合前の状態における背面ケース３００の背面図である。図４１（ａ）は、係合部材３１０及び固定部材３２０の係合後の状態における背面ケース３００の正面図であり、図４１（ｂ）は、係合部材３１０及び固定部材３２０の係合後の状態における背面ケース３００の背面図である。なお、図４０（ｂ）及び図４１（ｂ）では、背面ケース３００と重なる係合部材３１０の外形の一部が鎖線で図示される。
【０３５６】
図４０（ａ）及び図４０（ｂ）に示すように、係合部材３１０及び固定部材３２０の係合前に、介設部材３３０及び軸支部材３４０が介設部材３３０側（正面側（矢印Ｆ方向側））から挿入されるネジにより締結されて組み合わされる。これにより、介設部材３３０及び軸支部材３４０が背面ケース３００の背面側から不正に分解される（締結されたネジが取り外される）ことを抑制できる。その結果、軸支部材３４０にかしめ固定される基板ボックス１００が不正な基板ボックスに交換されることを抑制できる。
【０３５７】
締結された状態の介設部材３３０及び軸支部材３４０（固定部材３２０）は、上述したように介設部材３３０の係止部３３１の内側に第１開口部３０１ｃに形成される突壁３０１ｃ１が挿入される。この場合、締結された状態の介設部材３３０及び軸支部材３４０（固定部材３２０）は、突壁３０１ｃ１の屈曲側（矢印Ｒ方向側）から第１開口部３０１ｃに配設される。
【０３５８】
背面ケース３００に固定部材３２０が配置されると、被係合部３３２により囲われる空間が、係合部材３１０の一側（係合部３１６側）端部と対向する位置に配置される。これにより、係合部材３１０をスライド変位させることで、係合部材３１０の一側（矢印Ｒ方向側）端部を被係合部３３２に囲われる空間に挿入できる。
【０３５９】
ここで、係合部材３１０の２箇所の係合部３１６の上下方向（矢印Ｕ−Ｄ方向）における外側寸法は、上述した固定部材３２０の被係合部３３２により囲われる空間の上下方向における開口寸法よりも大きく設定される。そのために、被係合部３３２により囲われる空間に係合部材３１０を配設できないという問題点がある。
【０３６０】
これに対して、係合部材３１０は、上述したように第１片３１１の一側（矢印Ｒ方向側）に凹設される凹部３１７により、第１片３１１を弾性変形しやすくできると共に、係合部３１６の三角形状により、係合部材３１０がスライド変位されて被係合部３３２の内縁と当接した際の力を係合部材３１０の凹部３１７側に作用させることができる。その結果、二股に形成される第１片３１１を弾性変形させて被係合部３３２に囲われる空間に挿入できる。
【０３６１】
図４１（ａ）及び図４１（ｂ）に示すように、係合部材３１０及び固定部材３２０は、係合部材３１０がスライド変位されて、係合部材３１０の第１片３１１が、介設部材３３０の被係合部３３２により囲われる空間に挿通されると、弾性変形された第１片３１１が変形前の形状に戻される。上述したように、係合部３１６は、他側の側面が第１片３１１の延設方向と略直交する方向に延設される。従って、係合部材３１０を反対方向にスライド変位させる力のみでは、第１片３１１を凹部３１７側に弾性変形させる力が作用されない。即ち、係合部３１６の傾斜面および凹部３１７により第１片３１１を被係合部３３２により囲われる空間に挿入しやすくできると共に、係合部３１６の他側（矢印Ｌ方向側）の側面により被係合部３３２により囲われる空間に挿入された第１片３１１を抜けにくくすることができる。その結果、遊技者の不正行為により、背面ケース３００の背面側から固定部材３２０が取り外されることを抑制でき、固定部材３２０にかしめ締結される基板ボックス１００（主制御装置１１０）が不正な基板ボックスに交換されることを抑制できる。
【０３６２】
また、背面ケース３００は、ベース板６０及び背面ケース３００の間に配設され、ベース板６０の背面側（矢印Ｂ方向側）であって、ベース板６０および背面ケース３００（底壁部３０１）の対向間の外側から操作可能な係合部材３１０を備え、固定部材３２０は、背面ケース３００の正面側（矢印Ｆ方向側）に突出する被係合部３３２を備え、その被係合部３３２と係合部材３１０とが係合して、背面ケース３００に配設されるので、ベース板６０及び背面ケース３００の間に役物装置（本実例では、回転ユニット７００）を配設した状態で、ベース板６０及び背面ケース３００の間の外側から係合部材３１０を操作して、係合部材３１０と固定部材３２０とを係合させることができる。
【０３６３】
従って、係合部材３１０をベース板６０及び背面ケース３００の対向間に配設される役物装置に邪魔されることなく、固定部材３２０を背面ケース３００に配設することができる。その結果、固定部材３２０を背面ケース３００に簡易に配設することができる。
【０３６４】
また、背面ケース３００の正面側（矢印Ｆ方向側）に配設される被係合部３３２に係合部材３１０を係合させるので、背面ケース３００と固定部材３２０との係合部分をベース板６０及び背面ケース３００の対向間に配置することができる。これにより、ベース板６０の背面側（矢印Ｂ方向側）から係合部材３１０と固定部材３２０との係合部分へのアクセスが困難とされる。その結果、ベース板６０の背面側から係合部材３１０と固定部材３２０との係合が解除されて、固定部材３２０に不正がされる（例えば、不正な固定部材に交換される）ことを抑制できる。
【０３６５】
また、背面ケース３００は、固定部材３２０が配設される部分に開口される第１開口部３０１ｃと、係合部材３１０が配設される部分に開口される第２開口部３０１ｄとを備え、係合部材３１０は、背面ケース３００の正面側（矢印Ｆ方向側）に配設されると共に第２開口部３０１ｄを介して（挿通して）背面ケース３００の背面側（矢印Ｂ方向側）から操作可能とされ、固定部材３２０は、第１開口部３０１ｃを通過した被係合部３３２が背面ケース３００の正面側に配置されるので、係合部材３１０と固定部材３２０の被係合部３３２との係合部分に背面ケース３００の背面側からアクセスし難くできる。その結果、背面ケース３００に配設される役物装置の大きさに関係なく、固定部材３２０を背面ケース３００に固定することができると共に、遊技盤１３の背面側から操作されて不正な基板ボックスに交換されることを防止することができる。
【０３６６】
さらに、係合部材３１０は、第２開口部３０１ｄを挿通して背面ケース３００の背面側（矢印Ｂ方向側）に突出する操作子３１５を備えるので、背面ケース３００の正面側（矢印Ｆ方向側）に係合部材３１０を配設した状態で係合部材３１０を操作しやすくできる。その結果、係合部材３１０と固定部材３２０の被係合部３３２との係合操作をさせやすくできる。
【０３６７】
また、係合部材３１０は、背面ケース３００（底壁部３０１）の正面側と平行な平面上をスライド変位可能とされるので、係合部材３１０が、背面ケース３００に対して前後方向（矢印Ｆ−Ｂ方向）に変位されない分、係合部材３１０の正面側（矢印Ｆ方向側）を背面ケース３００に配設される役物装置の配設スペースとして利用しやすくできる。その結果、背面ケース３００（底壁部３０１）の正面側の領域を役物装置の配設スペースとして利用しやすくできる。
【０３６８】
次いで、図４１に示す状態から、背面ケース３００から固定部材３２０を取り外す場合の操作について説明する。
【０３６９】
図４１に示すように、第１開口部３０１ｃは、正面視略Ｌ字状に開口されており、固定部材３２０の被係合部３３２と係合状態における係合部材３１０の凹部３１７が、第１開口部３０１ｃを介して背面ケース３００の背面側（矢印Ｂ方向側）から操作可能とされる。
【０３７０】
よって、係合部材３１０の凹部３１７の外側部分を、専用の工具等で凹部３１７の凹設側に弾性変形させることで、係合部材３１０の係合部３１６と被係合部３３２との係合が解除される。この係合を解除した状態で、係合部材３１０を被係合部３３２により係合される内部空間から引き出す方向（矢印Ｌ方向）に変位させた後、係合部材３１０の変形を戻すことで、係合部材３１０と被係合部３３２との係合を解除することができる。
【０３７１】
なお、係合部材３１０の凹部３１７の外側部分と第１開口部３０１ｃとの隙間は、なるべく小さく形成されることが好ましい。これによれば、背面ケース３００から固定部材３２０を取り外す人の指を挿入不可能にできると共に、専用の工具の挿入は可能とされる。その結果、専用の工具を有する作業者のみに基板ボックス１００（主制御装置１１０）を交換可能とさせることができ、不正な基板ボックス１００に交換されることを抑制できる。
【０３７２】
次いで、図４２（ａ）及び図４２（ｂ）を参照して、軸支部材３４０にかしめ締結される基板ボックス１００（主制御装置１１０）について説明する。図４２（ａ）は、背面ケース３００及び基板ボックス１００（主制御装置１１０）の斜視背面図であり、図４２（ｂ）は、背面ケース３００及び基板ボックス１００（主制御装置１１０）の背面図である。なお、図４２（ｂ）では、基板ボックス１００と重なる係合部材３１０の外形が鎖線で図示される。
【０３７３】
図４２（ａ）及び図４２（ｂ）に示すように、基板ボックス１００は、一端側（矢印Ｒ方向側）の端部から突出する軸受部１１７を備える。軸受部１１７は、上下方向（矢印Ｕ−Ｄ方向）に所定の間隔を隔てて一対配設される。一対の軸受部１１７は、上述したように軸支部材３４０の支持部３４２とかしめ締結される部分であり、支持部３４２の上下方向（矢印Ｕ−Ｄ方向）の寸法と対向間の間隔が略同一に設定される。これにより、基板ボックス１００は、一対の軸受部１１７の対向間に支持部３４２を配設すると共に、軸受部１１７の上方からかしめピンを挿入してかしめ固定することで、軸支部材３４０に締結される。
【０３７４】
以上のように構成される基板ボックス１００によれば、基板ボックス１００は、軸支部材３４０に対して回転可能に保持されると共に、係合部材３１０の背面側に配設されるので、上述したように、操作子３１５を操作して係合部材３１０を固定部材３２０に係合させる場合には、基板ボックス１００を回転させることで、操作子３１５を操作させやすくできる。また、係合部材３１０を固定部材３２０に係合させた後には、基板ボックス１００を係合部材３１０の背面側に配置することで、操作子３１５を背面ケース３００の背面側から操作しにくくできる。その結果、パチンコ機１０が組み立てられた後に、操作子３１５が操作されて、不正な基板ボックスに交換されることを抑制できる。
【０３７５】
なお、基板ボックス１００の他端側（矢印Ｌ方向側）は、背面ケース３００の底壁部３０１に向かって、基板ボックス１００の背面側（矢印Ｂ方向側）から挿入されて背面ケース３００に締結されるネジにより固定される。これにより、基板ボックス１００は、背面ケース３００の背面側に回転（動作）不能な状態で配設される。
【０３７６】
次いで、図４３から図６９を参照して、下変位ユニット４００の詳細な構成を説明する。まず、図４３から図４６を参照して、下変位部材４４０を変位させる構造について説明する。
【０３７７】
図４３は、下変位ユニット４００の正面図であり、図４４は、下変位ユニット４００の背面図である。図４５は、下変位ユニット４００の分解斜視正面図であり、図４６は、下変位ユニット４００の分解斜視背面図である。なお、図４３から図１４では、下変位部材４４０が退避位置（ベース部材４１０に対して一番下方に配置された位置）に配置された状態が図示される。
【０３７８】
図４３から図４６に示すように、下変位ユニット４００は、背面ケース３００の底壁部３０１（図６参照）に配設されるベース部材４１０と、そのベース部材４１０に配設される伝達部材４２０と、ベース部材４１０に連結されると共に伝達部材４２０の変位に伴って変位されるリンク部材４３０と、一端がベース部材４１０に摺動可能に連結されると共に他端がリンク部材４３０に連結されてリンク部材４３０から駆動力を伝達されることで変位する下変位部材４４０とを主に備えて形成される。
【０３７９】
ベース部材４１０は、正面視矩形横長の板部材を前後方向に２枚組み合わせて形成され、正面側に配置される正面ベース４１１と、背面側に配置される背面ベース４１２とを備える。正面ベース４１１と背面ベース４１２との対向間には、伝達部材４２０及びリンク部材４３０とが配置される。
【０３８０】
正面ベース４１１は、前後方向（図４３紙面奥行方向）に貫通した２つの摺動溝４１１ａ，４１１ｂと、背面側に突出する円柱状の２本の軸支ピン４１１ｃ，４１１ｄと、軸支ピン４１１ｄを軸とした円弧状に突出する湾曲壁部４１１ｅとを主に備えて形成される。
【０３８１】
摺動溝４１１ａ，４１１ｂは、下変位部材４４０の背面側から突出する２本の突起４７２，４７３がそれぞれ挿通される孔である。摺動溝４１１ａ，４１１ｂは、それぞれ左右方向に長く伸びて形成される。よって、摺動溝４１１ａ，４１１ｂに挿通された突起４７２，４７３を摺動溝４１１ａ，４１１ｂに沿って変位させることで、下変位部材４４０を左右方向に摺動させることができる。
【０３８２】
また、摺動溝４１１ａ，４１１ｂは、それぞれ円弧状に湾曲して形成されており、正面ベース４１１の左側（図４３左側）端部から右側（図４３右側）端部にかけて上方（図４３上方向）に開口される。さらに、摺動溝４１１ａ，４１１ｂは、それぞれの円弧の軸が異なる位置に配置され、上下方向（図４３上下方向）における対向間の隙間が左端部から右端部にかけて狭くされる。
【０３８３】
後述する下変位部材４４０のベース部材４７０の突起４７２，４７３は、その間の距離が変わらないので、下変位部材４４０を摺動溝に沿って摺動させた場合には、下変位部材４４０を回転させつつ変位させることができる。即ち、２つの摺動溝４１１ａ，４１１ｂの間の距離を変更することで、下変位部材４４０に回転の駆動力を与えることなく下変位部材４４０を摺動に伴って回転させることができる。なお、下変位部材４４０の詳しい変位の態様は後述する。
【０３８４】
軸支ピン４１１ｃは、後述する伝達部材４２０のカム部材４２２の軸部４２２ａに挿入される突起であり、軸部４２２ａの内径よりも小さい外径の円柱状に形成される。また、軸支ピン４１１ｃは、金属製の棒状体から形成され、正面ベース４１１に外嵌される。よって、カム部材４２２にその外周面から軸方向に向かって力が作用した際に、軸支ピン４１１ｃが折れる（破損する）ことを抑制できる。
【０３８５】
軸支ピン４１１ｄは、後述する第１リンク部材４３１の一端に形成される貫通孔４３１ａに挿入される突起であり、貫通孔４３１ａの内径よりも小さい外径の円柱状に形成される。また、軸支ピン４１１ｄは、金属性の棒状体から形成され、正面ベース４１１に外嵌される。よって、第１リンク部材４３１に貫通孔４３１ａの方向に向かって力が作用した際に、軸支ピン４１１ｄが折れる（破損する）ことを抑制できる。
【０３８６】
湾曲壁部４１１ｅは、正面ベース４１１の背面側から突出すると共に、軸支ピン４１１ｄの軸を中心に湾曲して形成される。湾曲壁部４１１ｅの突出距離は、後述する第１リンク部材４３１の板状突起４３１ｂの突出先端面に当接する距離に設定される。よって、第１リンク部材４３１が前方側に位置ずれすることが抑制される。また、湾曲壁部４１１ｅは、軸支ピン４１１ｄの軸を中心に湾曲して形成されるので、第１リンク部材４３１が軸支ピン４１１ｄの軸周りに回転された場合でも、第１リンク部材４３１の板状突起４３１ｂを湾曲壁部４１１ｅの突出先端面と当接させることができる。
【０３８７】
回収口４１１ｆは、後述する下変位部材４４０の球受部４６７の移動により、出射開口４７１から出された球を、回収口４１１ｆに流入させて回収するための開口である。回収口４１１ｆの下流側は、球の回収経路に連結される。回収口４１１ｆは、正面ベース４１１の右側端部に突出して形成される孔であり、その開口面が、退避状態における下変位部材４４０と対向した面および第１張出状態における下変位部材４４０の出射開口４７１の重力方向下側に位置する面とされる。
【０３８８】
また、退避状態における下変位部材４４０の出射開口４７１は、回収口４１１ｆの上方に配置される。よって、出射開口４７１から出射された球を回収口４１１ｆに受け入れて速やかに回収することができる。
【０３８９】
背面ベース４１２は、正面側（図４４紙面手前側）から背面側に向かって凹設される溝部４１２ａ，４１２ｂと、溝部４１２ｂの近傍に正面側に向かって突出形成される係止部４１２ｃとを主に備えて形成される。
【０３９０】
溝部４１２ａは、上述した正面ベース４１１の軸支ピン４１１ｃの先端側を挿入する孔であり、軸支ピン４１１ｃの外径よりも大きい内径の円形に形成されると共に、軸支ピン４１１ｃと対向する位置に凹設される。よって、カム部材４２２は、軸部４２２ａに軸支ピン４１１ｃを挿通した後に、正面ベース４１１と背面ベース４１２とが組み合されることで、ベース部材４１０から脱落不能に保持される。また、背面ベース４１２が、軸支ピン４１１ｃの先端部を保持することができるので、カム部材４２２にその外周面から軸方向に力が作用した際に、軸支ピン４１１ｃが正面ベース４１１との連結部から曲がって折れることを抑制できる。
【０３９１】
溝部４１２ｂは、上述した正面ベース４１１の軸支ピン４１１ｄの先端側を挿入する孔であり、軸支ピン４１１ｄの外径よりも大きい内径の円形に形成されると共に、軸支ピン４１１ｄと対向する位置に凹設される。よって、第１リンク部材４３１は、貫通孔４３１ａに軸支ピン４１１ｄを挿通した後に、正面ベース４１１と背面ベース４１２とが組み合わされることで、ベース部材４１０から脱落不能に保持される。また、背面ベース４１２が、軸支ピン４１１ｄの先端部を保持することができるので、第１リンク部材４３１に貫通孔４３１ａの方向に力が作用した際に、軸支ピン４１１ｄが正面ベース４１１との連結部から曲がって折れることを抑制できる。
【０３９２】
係止部４１２ｃは、後述する付勢ばねＳＰ１の一端側を係止する板であり、付勢ばねＳＰ１の外側に形成される。これにより、付勢ばねＳＰ１の一端側を係止することができる。なお、付勢ばねＳＰ１の詳しい説明は後述する。
【０３９３】
伝達部材４２０は、正面ベース４１１の正面側に取着される駆動モータＫＭ１の軸に連結される伝達ギヤ４２１と、その伝達ギヤ４２１と歯合され伝達ギヤ４２１の駆動に伴って回転されるカム部材４２２とを主に備えて形成される。
【０３９４】
伝達ギヤ４２１は、外周面全域に歯合面を有するギヤであり、駆動モータＫＭ１の軸部に外嵌される。よって、駆動モータＫＭ１に電力が付与されて軸部が回転されると、伝達ギヤ４２１も同様に回転される。
【０３９５】
カム部材４２２は、正面視における外形が大きさの異なる２つの半円の一端同士を組み合わせた形状に形成されると共に、前後方向に所定の厚みを有する板状体から形成される。カム部材４２２の外形の小さい半円部には、外周面に伝達ギヤ４２１と歯合する歯面４２２ｂが刻設されると共に、半円の中心に軸部４２２ａが貫通形成される。カム部材４２２の外形の大きい半円部には、後述するリンク部材４３０と対向する背面側に凹設される摺動溝４２２ｃが形成される。
【０３９６】
軸部４２２ａは、上述したように軸支ピン４１１ｃを挿通する孔であり、軸支ピン４１１ｃに軸部４２２ａが回転可能に軸支されることで、カム部材４２２が軸支ピン４１１ｃの軸を中心に回転可能に保持される。
【０３９７】
カム部材４２２は、歯面４２２ｂが伝達ギヤ４２１と歯合した状態でベース部材４１０に配設されるので、伝達ギヤ４２１が回転されると、カム部材４２２が軸部４２２ａの軸を中心に回転できる。
【０３９８】
摺動溝４２２ｃは、カム部材４２２の半径の大きい半円部の外周部に沿って凹設される。従って、一端側から他端側に向かうにつれて軸部４２２ａとの距離が大きくされる。また、摺動溝４２２ｃは、下変位部材４４０が後述する退避状態に位置する際に第１リンク部材４３１の摺動突起４３１ｄから貫通孔４３１ａの方向に延設される段部４２２ｃ１と、下変位部材４４０が後述する第２張出状態に位置する際に摺動突起４３１ｄから貫通孔４３１ａの方向に延設される段部４２２ｃ３と、下変位部材４４０が退避状態と第２張出状態との中間状態の第１張出状態に位置する際に摺動突起４３１ｄから貫通孔４３１ａの方向に延設される段部４２２ｃ２とを備える。
【０３９９】
リンク部材４３０は、第１リンク部材４３１と第２リンク部材４３２との２つのリンク部材から形成される。また、リンク部材４３０は、第１リンク部材４３１と第２リンク部材４３２とのそれぞれの端部が回転可能に連結して形成される。
【０４００】
第１リンク部材４３１は、正面視略くの字形状に屈曲して形成されると共に、前後方向に所定の厚みを有する板状に形成される。第１リンク部材４３１は、カム部材４２２の変位に伴って変位するリンクであり、一端側に前後方向に貫通する貫通孔４３１ａと、他端側に背面側に突出する円柱状の連結突起４３１ｃと、上述した湾曲壁部４１１ｅと対向する位置に突出する板状突起４３１ｂと、屈曲部分の正面側に突出する円柱状の摺動突起４３１ｄとを主に備えて形成される。
【０４０１】
貫通孔４３１ａは、上述したように軸支ピン４１１ｄが挿入される貫通孔である。第１リンク部材４３１は、貫通孔４３１ａに軸支ピン４１１ｄが挿入された状態で正面ベース４１１と背面ベース４１２とが組み合わされることで、ベース部材４１０に対して回転可能に保持される。
【０４０２】
板状突起４３１ｂは、第１リンク部材４３１が前後方向に位置ずれすることを抑制して、第１リンク部材４３１が前方に配置されるカム部材４２２と衝突することを抑制する突起であり、貫通孔４３１ａを軸とした湾曲状に突出する板状体に形成されると共に、その突出長さが、カム部材４２２の前後方向の厚みよりも大きく設定される。これによりカム部材４２２の背面と第１リンク部材４３１の正面とが衝突することを抑制できる。
【０４０３】
また、板状突起９４３１ｂの突設寸法は、カム部材４２２の厚み（矢印Ｆ−Ｂ方向寸法）寸法よりも大きく設定される。さらに、板状突起４３１ｂの突設先端面と対向するベース部材４１０（湾曲壁部４１１ｅ）とは、若干の隙間（距離Ｘ１４（図５５（ａ）参照））を隔てて配置される。
【０４０４】
カム部材４２２は、板状突起４３１ｂを除く第１リンク部材９４３１の正面と湾曲壁部４１１ｅの突出面（背面）との対向間における領域を変位可能な状態で配置される。また、カム部材４２２及び第１リンク部材４３１との対向間の隙間と、カム部材４２２及びベース部材４１０の対向間の隙間と、を合わせた２箇所の隙間の寸法は、上述した距離Ｘ１４よりも大きく設定される。
【０４０５】
これにより、上述した距離Ｘ１４が小さくなる方向（矢印Ｆ方向）に第１リンク部材９４３１が、撓んだ際に板状突起４３１ｂの突設先端面を対向するベース部材４１０（湾曲壁部４１１ｅ）に当接させることができる。よって、板状突起９４３１ｂを除く第１リンク部材９４３１の正面と湾曲壁部４１１ｅの突出面（背面）との対向間にカム部材４２２が挟まれて変位が規制されることを抑制できる。
【０４０６】
連結突起４３１ｃは、後述する第２リンク部材４３２と連結される軸部であり、第２リンク部材４３２の貫通孔４３２ａに挿入されると共に、背面側から頭部の外径が貫通孔４３２ａよりも大きいネジ等が締結される。これにより、第１リンク部材４３１と第２リンク部材４３２とが回転可能に連結される。
【０４０７】
貫通孔４３１ａの縁部には、背面側に突出する壁部４３１ｆが形成される。壁部４３１ｆは、後述する付勢ばねＳＰ１をその外周面にはめ込んで保持するための壁面である。
【０４０８】
リンク側係合部４３１ｅは、壁部４３１ｆにはめ込んだ付勢ばねＳＰ１の他端側を係止する突起であり、第１リンク部材４３１の一端側の背面側に鉤状に突出して形成される。よって、付勢ばねＳＰ１は、一端側が背面ベース４１２の係止部４１２ｃに係合された状態とされ、他端側が第１リンク部材４３１のリンク側係合部４３１ｅに係合された状態とされる。従って、付勢ばねＳＰ１の付勢力を、第１リンク部材４３１の他端側をベース部材４１０に対して上方に回転させる方向に作用させることができる。その結果、下変位部材４４０を回転変位させる際に、付勢ばねＳＰ１の付勢力が作用するので、駆動モータＫＭ１の消費エネルギーを抑えることができる。
【０４０９】
摺動突起４３１ｄは、貫通孔４３１ａからカム部材４２２の軸部４２２ａとの離間距離と略同一距離貫通孔４３１ａから離間した位置に形成される。また、摺動突起４３１ｄは、その先端部分が摺動溝４２２ｃの内側に挿入される。即ち、摺動突起４３１ｄは、その外径の大きさが、摺動溝４２２ｃの対向間における幅寸法よりも小さく形成される。
【０４１０】
摺動突起４３１ｄは、摺動溝４２２ｃの内側に配置されることで、カム部材４２２の回転変位に伴って、摺動溝４２２ｃの内側を摺動して変位される。即ち、カム部材４２２が変位されることで、第１リンク部材４３１が、貫通孔４３１ａの軸を中心に回転変位される。なお、第１リンク部材４３１の変位についての詳しい説明は後述する。
【０４１１】
また、摺動突起４３１ｄと板状突起４３１ｂとは、近接する位置に形成されるので、板状突起４３１ｂにより第１リンク部材４３１の前方への変位が抑制される。よって、摺動突起４３１ｄがカム部材４２２を前方に押し出すことを抑制できる。その結果、カム部材４２２に凹設される摺動溝４２２ｃの凹設深さを深くする必要がなくなり、カム部材４２２の前後方向の厚さを厚くすることなくその剛性を確保できる。
【０４１２】
第２リンク部材４３２は、一方が長い正面視矩形に形成されると共に、前後方向に所定の厚みを備えた板状に形成される。第２リンク部材４３２は、一端側に前後方向に貫通形成される貫通孔４３２ａと、他端側に前後方向に貫通形成される貫通孔４３２ｂとを主に備えて形成される。
【０４１３】
貫通孔４３２ａは、上述したように第１リンク部材４３１と連結されるための孔であり、内部に連結突起４３１ｃが挿入される。これにより、第２リンク部材４３２は、第１リンク部材４３１に対して回転可能に連結される。
【０４１４】
貫通孔４３２ｂは、後述する下変位部材４４０と連結されリンク部材４３０の変位を下変位部材４４０に伝達できる。貫通孔４３２ｂは、後述する背面ケース４８２の突起４８２ａが挿入される孔であり、その内径が突起４８２ａの外径よりも大きく形成される。よって、貫通孔４３２ｂに突起４８２ａを挿入すると共に、突起４８２ａの先端部に貫通孔４３２ｂの内径よりも大きい頭部を有するネジ等を締結することで、下変位部材４４０が、第２リンク部材４３２に対して回転可能に保持される。よって、下変位部材４４０の駆動は、カム部材４２２が回転変位された際に、その変位がリンク部材４３０を介して伝達される。
【０４１５】
次いで、図４７から図５２を参照して、下変位部材４４０の変位動作について説明する。図４７は、退避状態における下変位ユニット４００の正面図であり、図４８は、第１張出状態における下変位ユニット４００の正面図であり、図４９は、第２張出状態における下変位ユニット４００の正面図である。図５０は、退避状態における下変位ユニット４００の背面図であり、図５１は、第１張出状態における下変位ユニット４００の背面図であり、図５２は、第２張出状態における下変位ユニット４００の背面図である。なお、図５０から図５２では、背面ベース４１２が透明視された状態が図示される。また、図５０から図５２では、第１リンク部材４３１の板状突起４３１ｂ及び湾曲壁部４１１ｅの一部が鎖線で図示される。
【０４１６】
また、退避状態とは、摺動溝４２２ｃの内側に配置される摺動突起４３１ｄが、段部４４２ｃ１の対向間に配置され、下変位部材４４０が下側に配置された状態である。第２張出状態とは、摺動突起４３１ｄが段部４４２ｃ３の対向間に配置され、下変位部材４４０の先端側が一番上方に配置された状態である。第１張出状態とは、摺動突起４３１ｄが段部４４２ｃ２の対向間に配置され、下変位部材４４０が、退避状態と第２張出状態との中間状態に配置された状態である。
【０４１７】
図４７及び図５０に示すように、退避状態における下変位ユニット４００は、第１位置のカム部材４２２が、伝達ギヤ４２１に回転されて摺動溝４２２ｃの他端側（段部４２２ｃ３側）を軸部４２２ａの背面視右側（図５０右側）へ位置させた状態とされる。この場合、第１リンク部材４３１の摺動突起４３１ｄは、摺動溝４２２ｃの内壁に沿って案内されて、段部４２２ｃ１に位置した状態とされる。よって、第１リンク部材４３１は、他端側（連結突起４３１ｃ側）が、一端側の貫通孔４３１ａの背面視右側（図５０右側）に位置した状態（貫通孔４３１ａを軸に回転して他端側を回転可能な範囲の下端に位置させた状態（第１従動位置））とされる。
【０４１８】
第２リンク部材４３２は、第１リンク部材４３１に連結されるので、第１リンク部材４３１に連結される一端側（貫通孔４３２ａ側）が、背面視右側（図５０右側）へ位置される。これにより、第２リンク部材４３２に連結される下変位部材４４０は、正面ベース４１１と連結される突起４７２，４７３が、摺動溝４１１ａ，４１１ｂの背面視右側（図５０右側）に位置された状態とされる。上述したように、摺動溝４１１ａ，４１１ｂの垂直方向の対向間の距離は、背面視右側の方が左側よりも大きくされるので、下変位部材４４０は、長手方向を左右方向と略平行にした状態で配置される。即ち、正面ベース４１１の前方に配置された状態とされる。
【０４１９】
図４７及び図５０に示す退避状態から図４６及び図５１に示す第１張出状態への変位は、カム部材４２２が変位されることで行われる。
【０４２０】
第１張出状態では、駆動モータＫＭ１の駆動力により伝達ギヤ４２１が回転され、カム部材４２２が、退避状態の位置から略９０度回転されて第３位置に変位される。これにより、カム部材４２２の他端側（段部４２２ｃ３側）を軸部４２２ａの上方に位置した状態とされる。この回転変位により、摺動溝４２２ｃの内壁に案内される第１リンク部材４３１の摺動突起４３１ｄが摺動溝４２２ｃの変位に伴って変位されて、第３従動位置に配置される。なお、第１張出状態では、摺動突起４３１ｄが、摺動溝４２２ｃの段部４２２ｃ２の内壁の対向間に案内される。
【０４２１】
よって、第１リンク部材４３１は、摺動突起４３１ｄの変位により貫通孔４３１ａを中心に略３０度回転され、他端側（連結突起４３１ｃ側）が退避状態の位置から、背面視左上（図５１左上）に変位される。
【０４２２】
第１リンク部材４３１の回転変位により、第１リンク部材４３１に連結される第２リンク部材４３２が変位され、第２リンク部材４３２に連結される下変位部材４４０が変位される。この場合、下変位部材４４０は、突起４７２，４７３が、正面ベース４１１の摺動溝４１１ａ，４１１ｂに摺動可能に連結されるので、摺動溝４１１ａ，４１１ｂの形状に沿って変位される。上述したように、摺動溝４１１ａ，４１１ｂの垂直方向の対向間の距離は、背面視右側から左側に行くに従って狭くされるので、下変位部材４４０は、正面視右側（図４８右側）にスライド変位されつつ、先端側が上方に回転変位される。
【０４２３】
また、第１張出状態では、先端側の重力方向下側に回収口４１１ｆが位置された状態とされる。即ち、下変位部材４４０を退避状態から第１張出状態への遷移の際に、スライド変位させつつ回転変位させることで、下変位部材４４０の先端側をベース部材４１０の正面視右側に張り出させることなく変位させることができる。その結果、他の変位役物の可変領域と異なる変位領域を形成しやすくできる。他の変位役物と衝突することを抑制できる。
【０４２４】
また、回収口４１１ｆが下変位部材４４０の一端側（正面ベース４１１に連結される突起４７２、４７３側と反対側）の下方に位置されるので、後述する下変位部材４４０の球受部４６７が発射動作して、球が出射開口４７１からそのまま下方に落下した場合に、球を回収口４１１ｆに送球させることができる。
【０４２５】
図４８及び図５１に示す第１張出状態から図４９及び図５２に示す第２張出状態への変位は、第１張出状態から更にカム部材４２２が変位されることで行われる。
【０４２６】
第２張出状態では、第１張出状態から、駆動モータＫＭ１の駆動力により伝達ギヤ４２１が回転され、カム部材４２２が、第１張出状態の位置（第３位置）から略９０度回転された第２位置に配置される。よって、カム部材４２２の他端側（段部４２２ｃ３側が軸部４２２ａの上方に位置した状態とされる。また、この回転変位により摺動溝４２２ｃの内壁に案内される第１リンク部材４３１の摺動突起４３１ｄが摺動溝４２２ｃの変位に伴って変位されて、第２従動位置に配置される。なお、第２張出状態では、摺動突起４３１ｄが、摺動溝４２２ｃの段部４２２ｃ１の内壁の対向間に案内される。
【０４２７】
よって、第１リンク部材４３１は、摺動突起４３１ｄの変位により貫通孔４３１ａを中心に略３０度回転され、他端側（連結突起４３１ｃ側）が第１張出状態の位置から、背面視略左上（図５２左上）に変位される。
【０４２８】
第１リンク部材４３１の回転変位により、第１リンク部材４３１に連結される第２リンク部材４３２が変位され、第２リンク部材４３２に連結される下変位部材４４０が変位される。この場合、下変位部材４４０は、突起４７２，４７３が、正面ベース４１１の摺動溝４１１ａ，４１１ｂに摺動可能に連結されるので、摺動溝４１１ａ，４１１ｂの形状に沿って変位される。上述したように、摺動溝４１１ａ，４１１ｂの垂直方向の対向間の距離は、背面視右側から左側に行くに従って狭くされるので、下変位部材４４０は、正面視右側（図４９右側）にスライド変位されつつ、先端側が上方に回転変位される。
【０４２９】
また、第１張出状態と同様に、第２張出状態では、先端側の重力方向下側に回収口４１１ｆが位置された状態とされる。即ち、下変位部材４４０を退避状態から第２張出状態への遷移の際に、スライド変位させつつ回転変位させることで、下変位部材４４０の先端側をベース部材４１０の正面視右側に張り出させることなく変位させることができる。その結果、他の変位役物の可変領域と異なる変位領域を形成しやすくでき、他の変位役物と衝突することを抑制できる。
【０４３０】
次いで、図５３を参照して、各状態における第１リンク部材４３１とカム部材４２２との位置関係を説明する。図５３（ａ）は退避状態における、図５３（ｂ）は第１張出状態における、図５３（ｃ）は第２張出状態における、第１リンク部材４３１とカム部材４２２との背面図である。なお、図５３（ａ）から図５３（ｃ）では、カム部材４２２の第１リンク部材４３１と重なる部分が鎖線で図示される。
【０４３１】
図５３（ａ）に示すように、退避状態では、第１リンク部材４３１の摺動突起４３１ｄが、摺動溝４２２ｃの段部４２２ｃ１の内壁の対向間に配置される。また、上述したように、摺動突起４３１ｄは、貫通孔４３１ａからカム部材４２２の軸部４２２ａとの離間距離と略同一距離、貫通孔４３１ａから離間した位置に形成される。よって、退避状態に位置する第１リンク部材４３１に貫通孔４３１ａの軸を中心に回転する力が作用する際に、その力を摺動突起４３１ｄから、カム部材４２２の軸部４２２ａに作用させることできる。従って、第１リンク部材４３１の回転力で、カム部材４２２が回転することを抑制できる。その結果、退避状態において、第２リンク部材４３２を介して第１リンク部材４３１に連結される下変位部材４４０が変位されること抑制できる。
【０４３２】
図５３（ｂ）に示すように、第１張出状態では、第１リンク部材４３１の摺動突起４３１ｄ、摺動溝４２２ｃの段部４２２ｃ２の内壁の対向間に配置される。よって、退避状態と同様に、第１張出状態に位置する第１リンク部材４３１に貫通孔４３１ａを中心に回転する力が作用する際に、その力を摺動突起４３１ｄから、カム部材４２２の軸部４２２ａに作用させることができる。従って、第１リンク部材４３１の回転力で、カム部材４２２が回転することを抑制できる。その結果、第１張出状態において、第２リンク部材４３２を介して第１リンク部材４３１に連結される下変位部材４４０が変位されることを抑制できる。
【０４３３】
ここで、第１張出位置では、下変位部材４４０の変位の中間位置となるために停止した状態を維持させるためには、駆動モータＫＭ１を停止状態で維持させる必要がある。そのため、第１張出位置（変位の中間位置）で下変位部材４４０を停止させていると消費エネルギーが嵩むという問題があった。
【０４３４】
これに対し、本実施形態では、第１張出状態では、第１リンク部材４３１の摺動突起４３１ｄが、摺動溝４２２ｃの段部４２２ｃ２の内壁の対向間に配置されるので、上述したように、下変位部材４４０が変位されることを抑制できる。よって、下変位部材４４０を変位の途中の位置で停止させた際に、駆動モータＫＭ１の電力を停止させたとしても、下変位部材４４０が変位することを抑制できる。その結果、下変位部材４４０を変位途中で停止した際に駆動モータＫＭ１の消費エネルギーが嵩むことを抑制できる。
【０４３５】
図５３（ｃ）に示すように、第２張出状態では、第１リンク部材４３１の摺動突起４３１ｄ、摺動溝４２２ｃの段部４２２ｃ２の内壁の対向間に配置される。よって、退避状態および第１張出状態と同様に、第２張出状態に位置する第１リンク部材４３１に貫通孔４３１ａの軸を中心に回転する力が作用する際に、その力を摺動突起４３１ｄから、カム部材４２２の軸部４２２ａに作用させることができる。従って、第１リンク部材４３１の回転力で、カム部材４２２が回転することを抑制できる。その結果、第２張出状態において、第２リンク部材４３２を介して第１リンク部材４３１に連結される下変位部材４４０が変位されることを抑制できる。
【０４３６】
また、各段部４２２ｃ１，４２２ｃ２，４２２ｃ３は、摺動突起４３１ｄと貫通孔４３１ａとを結ぶ方向に延設されるので、第１リンク部材４３１の摺動突起４３１ｄが変位する方向の摺動溝４２２ｃの幅寸法を小さくできる。よって、退避位置、第１張出位置および第２張出位置での、第１リンク部材４３１が貫通孔４３１ａの軸を中心に回転変位できる摺動溝４２２ｃと摺動突起４３１ｄとの隙間を小さくできる。従って、各状態における第１リンク部材４３１が、貫通孔４３１ａの軸を中心に回転変位可能な隙間を小さくできる。その結果、各状態における下変位部材４４０が振動や変位停止時の慣性力で揺れ動く幅を小さくでき、遊技者に停止した状態を視認させやすくできる。
【０４３７】
よって、下変位部材４４０を駆動する伝達部材４２０及びリンク部材４３０（駆動機構）は、球受部４６７から遊技球が出射される際の反作用の方向に下変位部材４４０が変位されることを規制することができるので、反作用に伴って下変位部材４４０がベース部材４１０に対して変位されることを抑制できる。その結果、下変位部材４４０のがたつきを抑制できる。
【０４３８】
次いで、図５４を参照して、リンク部材４３０及びカム部材４２２との前後方向の関係を説明する。図５４（ａ）は、図５０のＬＩＶａ−ＬＩＶａ線における下変位ユニット４００の断面模式図であり、図５４（ｂ）は、図５１のＬＩＶｂ−ＬＩＶｂ線における下変位ユニット４００の断面模式図である。なお、図５１及び図５２では、背面ベース４１２を透明視して図示したが、図５４（ａ）及び（ｂ）では、透明視していない状態の下変位ユニット４００の断面図が図示される。
【０４３９】
図５４（ａ）に示すように、退避状態における下変位ユニット４００のリンク部材４３０は、背面ベース４１２とカム部材４２２との間に配置される。よって、下変位部材４４０が前後方向に揺れ動くことを抑制できる。即ち、第１リンク部材４３１の他端側は、第２リンク部材４３２を介して複数の備品を組み合わせて構成される下変位部材４４０に連結されるので、下変位部材４４０の荷重により前後方向に撓む恐れがあるところ、カム部材４２２が前方に配置されるので、第１リンク部材４３１が前方に撓むことを抑制できる。その結果、第１リンク部材４３１が前方に動くことを抑制できるので、下変位部材４４０が前後方向へ揺れ動くことを抑制できる。
【０４４０】
図５４（ｂ）に示すように、第１張出状態における下変位ユニット４００のリンク部材４３０は、退避状態の場合と同様に、背面ベース４１２とカム部材４２２との間に配置される。よって、下変位部材４４０が前後方向に揺れ動くことを抑制できる。
【０４４１】
また、退避状態および第１張出状態では、カム部材４２２がリンク部材４３０の第１リンク部材４３１と第２リンク部材４３２との連結部分の前方側に配置される。よって、リンク部材４３０は、２の部材から形成されるとその連結部分を回転可能にする必要があるためその隙間の分、他の部分より剛性が弱くなり屈曲しやすくなるところ、前方側にカム部材４２２が配置されるので、リンク部材４３０の連結部分が屈曲することを抑制できる。その結果、下変位部材４４０が前後方向にゆれ動くことを抑制できる。
【０４４２】
＜従動部材の変位を規制する規制手段により変位部材の変位を規制する＞
次いで、図５５及び図５６を参照して、カム部材４２２と湾曲壁部４１１ｅとの関係について説明する。図５５（ａ）は、図５０のＬＶａ−ＬＶａ線における下変位ユニット４００の断面図であり、図５５（ｂ）は、図５１のＬＶｂ−ＬＶｂ線における下変位ユニット４００の断面図であり、図５５（ｃ）は、図５２のＬＶｃ−ＬＶｃ線における下変位ユニット４００の断面図である。
【０４４３】
図５５（ａ）に示すように、下変位ユニット４００が退避状態（第１位置）とされる場合には、カム部材４２２と湾曲壁部４１１ｅとが、前後方向（矢印Ｆ−Ｂ方向）において異なる位置に配置される。従って、下変位ユニット４００を退避状態（第１位置）から第１張出状態（第３位置）へ変位させる際に、カム部材４２２に作用する抵抗が大きくなることを抑制できる。その結果、下変位部材４４０の変位開始を安定させることができる。
【０４４４】
図５５（ｂ）及び図５５（ｃ）に示すように、下変位ユニット４００が第１張出状態（第３位置）とされる場合には、カム部材４２２の一部が、湾曲壁部４１１ｅの正面側（矢印Ｆ方向側）に所定の隙間を隔てる位置に配置される。これにより、カム部材４２２が正面方向に変位する場合に、カム部材４２２の軸方向の側面を湾曲壁部４１１ｅに当接させて、カム部材４２２が正面側に変位することを抑制できる。
【０４４５】
なお、カム部材４２２の正面ベース４１１側（矢印Ｆ方向側）の面は、正面ベース４１１の背面と平行な平坦面に形成される（図４５参照）。これにより、カム部材４２２が湾曲壁部４１１ｅ側に変位した場合に、カム部材４２２の平坦面を湾曲壁部４１１ｅに当接させることができる。よって、カム部材４２２が湾曲壁部４１１ｅに部分的に当接することを抑制して、一部に力が集中することを抑制できる。その結果、カム部材４２２が破損することを抑制できる。
【０４４６】
ここで、上述したように、下変位部材４４０は、退避状態（第１位置）から第１張出状態（第３位置）に変位される場合に先端側（正面ベース４１１に連結される突起４７３と長手方向反対側）が上方（矢印Ｕ方向）に回転変位される。よって、下変位部材４４０の長手方向の方向成分が重力方向に近づく分、下変位部材４４０が前後方向に傾倒する力成分が大きくされる。従って、第１張出状態（第３位置）とされる場合には、退避状態（第１位置）とされる場合よりも、下変位部材４４０を支えるリンク部材４３０に作用する前後方向の力が大きくされる。その結果、リンク部材４３０に連結されるカム部材４２２が、前後方向に変位されやすくなる。
【０４４７】
これに対し、本実施形態では、下変位ユニット４００が退避状態（第１位置）から第１張出状態（第３位置）を超えて変位される場合に、カム部材４２２の一部が湾曲壁部４１１ｅの正面側に配設されるので、正面側へのカム部材４２２の変位を規制することができる。その結果、第１張出状態（第３位置）から第２張出状態（第２位置）の間で下変位部材４４０が前後方向に揺れ動くことを抑制でき、下変位部材４４０の変位を遊技者に視認させやすくできる。
【０４４８】
なお、リンク部材４３０の背面側への変位は、上述したようにリンク部材４３０を背面ベース４１２及びカム部材４２２との間に配設することで規制できる。即ち、リンク部材４３０が背面側に揺れ動く場合には、リンク部材４３０を背面ベース４１２に当接させて、リンク部材４３０の変位を規制することができる。その結果、下変位部材４４０が前後方向に揺れ動くことを抑制できる。
【０４４９】
また、正面ベース４１１は、リンク部材４３０の従動方向以外の方向の揺動を規制する規制手段（湾曲壁部４１１ｅ）を備え、カム部材４２２は、第１位置と第２位置との間で変位され、第１位置から第１位置および第２位置の中間位置の第３位置を変位する第１変位領域と、第３位置から第２位置を変位する第２変位領域とを変位可能とされ、リンク部材４３０は、カム部材４２２が第１位置から第２位置に変位されることで、第１従動位置から第２従動位置に従動され、第１従動位置から第１従動位置および第２従動位置との中間位置の第３従動位置を変位する第１従動領域と、第３従動位置から第２従動位置を変位する第２従動領域とを変位可能とされ、第２変位領域と第１従動領域との一部が同一の領域に設定され、カム部材４２２が第２変位領域を変位される際に、規制手段（湾曲壁部４１１ｅ）によりカム部材４２２の変位方向以外の方向の揺動が規制されるので、規制手段（湾曲壁部４１１ｅ）の同一の部分を利用してリンク部材４３０およびカム部材４２２の揺動を規制することができる。
【０４５０】
従って、規制手段（湾曲壁部４１１ｅ）を１箇所に形成すれば良いので、カム部材４２２とリンク部材４３０とのそれぞれに変位を規制する規制手段が形成される場合に比べて、規制手段の形状を簡易にでき、製造コストを抑えることができる。
【０４５１】
また、リンク部材４３０およびカム部材４２２の揺動を規制手段（湾曲壁部４１１ｅ）の同一の部分を利用して規制することができるので、１の規制手段（湾曲壁部４１１ｅ）にリンク部材４３０とカム部材４２２と規制部分をそれぞれ形成する必要がないので、その分、規制手段（湾曲壁部４１１ｅ）を小さくすることができる。
【０４５２】
また、下変位ユニット４００が、退避状態から第２張出状態に変位される場合には、正面ベース４１１に形成される摺動溝４１１ａ，４１１ｂに挿入される下変位部材４４０の突起４７２，４７３（突起４７２，４７３に配設されるカラーＣ（図１４参照））がカム部材４２２の変位に伴って、カム部材４２２の他端側（段部４２２ｃ３側）の正面側（矢印Ｆ方向側）に移動される（図５０から図５２参照）。これにより、カム部材４２２の他端側（段部４２２ｃ３側）が、突起４７２，４７３（突起４７２，４７３に配設されるカラーＣ）により背面側に押し出されると、カム部材４２２が、軸部４２２ａを中心に前後方向に回転変位されてリンク部材４３０と当接する恐れがある。
【０４５３】
これに対し、本実施形態では、上述したように、正面側へのカム部材４２２の変位を湾曲壁部４１１ｅに当接させて規制することができるので、カム部材４２２が軸部４２２ａを中心に前後方向に回転変位することを抑制できる。その結果、リンク部材４３０とカム部材４２２とが当接することを抑制できる。
【０４５４】
また、本実施形態では、カム部材４２２が、第１張出状態（第３位置）を超えて変位される場合に湾曲壁部４１１ｅにより変位が規制されるので、カム部材４２２が初期動作時に湾曲壁部４１１ｅと当接して摩擦抵抗が大きくなることを抑制できる。その結果、カム部材４２２の初期動作を安定させることができる。
【０４５５】
次いで、図５６を参照して、下変位ユニット４００が第２変位状態とされる場合の、カム部材４２２と第１リンク部材４３１とについて説明する。図５６（ａ）は、図５２のＬＶＩａ−ＬＶＩａ線における下変位ユニット４００の断面図であり、図５６（ｂ）は、第２張出状態（第２位置）における下変位ユニット４００の第１リンク部材４３１及びカム部材４２２の正面図である。なお、図５６（ｂ）では、ベース部材４１０の外形が鎖線で図示される。
【０４５６】
図５６に示すように、下変位ユニット４００が、第２変位状態とされる場合には、カム部材４２２の端部が、第１リンク部材４３１の板状突起４３１ｂと当接する。これにより、下変位ユニット４００を退避状態（第１位置）から第２変位状態に変位する方向へのカム部材４２２の回転変位を規制することができる。その結果、カム部材４２２の回転変位を停止する動作を、伝達ギヤ４２１及び歯面４２２ｂの歯合部分と、カム部材４２２及び第１リンク部材４３１の当接部分とに分散することができ、伝達ギヤ４２１及び歯面４２２ｂの歯面が破損することを抑制できる。
【０４５７】
また、下変位ユニット４００が第２変位状態とされる場合には、第１リンク部材４３１の板状突起４３１ｂとカム部材４２２との当接面が、カム部材４２２の軸部４２２ａとその当接部分とを通る仮想線ＫＳ１と直交する方向に設定される。これにより、第１リンク部材４３１の軸周りに、第２変位状態から退避状態（第１位置）の方向に変位する力が作用する際に、その力が、カム部材４２２の軸部４２２ａの軸周りに回転する方向に作用することを抑制できる。その結果、第１リンク部材４３１に作用する力でカム部材４２２が回転することを抑制できる。
【０４５８】
ここで、上述したように、下変位部材４４０が先端側（正面ベース４１１に連結される突起４７３と長手方向反対側）が上方（矢印Ｕ方向）に回転変位される。従って、下変位部材４４０の長手方向の方向成分が重力方向に近づく分、下変位部材４４０を支える第１リンク部材４３１の貫通孔４３１ａの軸周りに作用する回転方向の力が最大となるところ、第１リンク部材４３１からカム部材４２２への力の伝達が抑制されるので、下変位部材４４０を第２変位状態の位置で維持しやすくできる。
【０４５９】
さらに、カム部材４２２が第２変位状態の位置に配置される際には、下変位部材４４０の荷重により第１リンク部材４３１の貫通孔４３１ａの軸周りに回転する力が作用される。この場合、カム部材４２２の端部が板状突起４３１ｂに押し出されてカム部材４２２が軸部４２２ａの軸周りに回転する方向の力ＰＷ１（図５６（ｂ）参照）と、カム部材４２２の摺動溝４２２ｃの内壁が摺動突起４３１ｄより押し出されてカム部材４２２が軸部４２２ａの軸周りに回転する方向の力ＰＷ２（図５６（ｂ）参照）と、が打ち消し合う方向に作用する。その結果、カム部材４２２が第１リンク部材４３１から作用される力で回転することを抑制できる。
【０４６０】
次いで、図５７から図６０を参照して、下変位部材４４０の構成について詳細な説明をする。図５７（ａ）は、下変位部材４４０の正面図であり、図５７（ｂ）は、下変位部材４４０の背面図である。図５８は、下変位部材４４０の分解斜視正面図であり、図５９は、下変位部材４４０の分解斜視背面図である。図６０（ａ）及び（ｂ）は、下変位部材４４０の正面図である。
【０４６１】
なお、図６０（ａ）では、下変位部材４４０の装飾部材４５０が透明視された状態が図示され、図６０（ｂ）では、下変位部材４４０の装飾部材４５０及び正面ケース４８１が透明視された状態が図示される。
【０４６２】
図５７から図６０に示すように、下変位部材４４０は、正面ベース４１１に連結されるベース部材４７０と、そのベース部材４７０の前後を覆うケース部材４８０と、ケース部材４８０とベース部材４７０との間に変位可能に配設される伝達機構４６０と、ケース部材４８０の前後を覆う態様で形成される装飾部材４５０とを主に備えて形成される。
【０４６３】
ベース部材４７０は、正面視矩形横長に形成される板部材であり、一端側の背面側に突出する突起４７２，４７３と、他端側の縁部から正面側に立設する立設壁４７１ａと、左右方向（図５７左右方向）中央部の上端から正面側に上下反対のＵ字状に突出する突設壁４７７と、ベース部材４７０の上端に突設壁４７７の端部から一端側に刻設されるラックギヤ４７６と、正面側に突出する軸部４７４，４７５と、ベース部材４７０の一端側の背面に取着される長方形状の配線係止部４７８と、ベース部材４７０の上下方向中央部に一端側から他端側に延びて凹設される開口４７９とを主に備えて形成される。
【０４６４】
突起４７２，４７３は、上述したように正面ベース４１１の摺動溝４１１ａ，４１１ｂに挿入されて、下変位部材４４０と正面ベース４１１とを連結する連結部分である。よって、摺動溝４１１ａ，４１１ｂの内壁の対向間の寸法よりも小さい外径の円柱状に形成される。
【０４６５】
立設壁４７１ａは、後述する正面ケース４８１が、ベース部材４７０に取着された際に、正面ケース４８１とベース部材４７０との対向間に隙間を形成するための壁部であり、球の直径よりも大きい立設寸法に設定される。
【０４６６】
軸部４７４，４７５は、後述する伝達機構４６０の伝達ギヤ４６２，４６３の軸に挿入され伝達ギヤ４６２，４６３を回転可能に保持する突起であり、伝達ギヤ４６２，４６３の軸孔の内径よりも小さい外径の円柱状に形成される。
【０４６７】
ラックギヤ４７６は、後述する伝達ギヤ４６５と歯合する歯面が刻設される。これにより、後述する可動ラック４６４が、ベース部材４７０に対してスライド変位することで、伝達ギヤ４６５を回転させることができる。
【０４６８】
突設壁４７７は、後述する送球ユニット６００から送球される球を、装飾部材４５０の開口４５１ａを介してベース部材４７０の前方に受け入れた際に、球が下変位部材４４０の外側に落下することを抑制するための壁面であり、略Ｕ字に形成された対向する壁部の間は、球の直径よりも大きく形成される。
【０４６９】
配線係止部４７８は、ベース部材４７０の背面側に配設される制御基板へのフレキシブル配線（図示せず）を係止するための部材であり、ベース部材４７０との間にフレキシブル配線の一端を介した状態でベース部材４７０の背面側に取着される。これにより、下変位部材４４０がベース部材４１０に対して変位可能に配設されるものであっても、フレキシブル配線が絡むことを抑制できる。
【０４７０】
また、配線係止部４７８は、背面側に、円柱状に突出する突起４７８ａを備える。突起４７８ａの突出距離は、背面側に連結されるリンク部材４３０よりも背面側に突出する距離に設定されると共に、背面ベース４１２の正面と当接可能な距離に設定される。これにより、下変位部材４４０が後方側に揺れ動くことを抑制できると共に、リンク部材４３０が背面ベース４１２と衝突することを抑制できる。
【０４７１】
開口４６９は、正面側に配設される可動ラック４６４のスライド変位方向を規定する開口であり、後述する可動ラック４６４の案内板４６４ｄが内部に挿入される。
【０４７２】
伝達機構４６０は、ベース部材４７０の前方に配置される部材であり、伝達ギヤ４６１，４６２，４６３と、その伝達ギヤ４６１に軸部分が連結される駆動モータＫＭ２と、伝達ギヤ４６３と歯合する歯面を有し、ベース部材４７０の前方にスライド変位可能に配設される可動ラック４６４と、その可動ラック４６４に回転可能に配置されると共に、ラックギヤ４７６に歯合した状態とされる伝達ギヤ４６５と、その伝達ギヤ４６５に歯合される歯面を有し可動ラック４６４の前方をスライド変位可能に配設されるラック４６６と、そのラック４６６の一端側に回転可能に配設される球受部４６７とを主に備えて形成される。
【０４７３】
伝達ギヤ４６１は、駆動モータＫＭ２の軸部分が軸孔に内嵌されるギヤであり、駆動モータＫＭ２に連結された状態で駆動モータＫＭ２がベース部材４７０に取着されることで、ベース部材４７０に配設される。
【０４７４】
伝達ギヤ４６２，４６３は、上述したように、軸孔にベース部材４７０の軸部４７４，４７５が挿入されてベース部材に回転可能に保持される。また、伝達ギヤ４６１から４６３はそれぞれ歯合されたギヤ列であり、伝達ギヤ４６１が駆動モータＫＭ２により回転されることで、終端の伝達ギヤ４６３が回転される。
【０４７５】
可動ラック４６４は、正面視矩形横長の板状に形成され、下端面に刻設されるラックギヤ４６４ａと、正面側から円柱状に突出する軸部４６４ｂと、上端面の一端側から上方に突出する当接板４６４ｃと、上下方向略中央位置に一端から他端にかけて突出される案内板４６４ｄと、その案内板４６４ｄと反対の正面側に突出するラック案内部４６４ｅと、下方の他端に突出する衝突部４６４ｆとを主に備えて形成される。
【０４７６】
ラックギヤ４６４ａは、伝達ギヤ４６３と歯合する歯面である。よって、ベース部材４７０にラックギヤ４６４ａと伝達ギヤ４６３を歯合した状態で配置することで、可動ラック４６４を駆動モータＫＭ２の駆動で変位可能とできる。
【０４７７】
軸部４６４ｂは、伝達ギヤ４６５が回転可能に保持される軸部分であり、伝達ギヤ４６５の軸孔よりも小さい外径の円柱状に形成される。
【０４７８】
当接板４６４ｃは、後述する振分けユニット５００の振分け部材５４０に当接して振分け部材５４０を変位させる当接部である。即ち、可動ラック４６４の変位によって、振分け部材５４０を変位可能とされる。なお、当接板４６４ｃと振分け部材５４０との当接態様については後述する。
【０４７９】
案内板４６４ｄは、上述したように、ベース部材４７０の開口４７９の内部に挿入される板状体であり、駆動モータＫＭ２の駆動により変位される可動ラック４６４の変位方向を規定することができる。即ち、駆動モータＫＭ２の駆動により変位される可動ラック４６４を開口４７９の延設方向に沿って変位させることができる。なお、本実施形態では、開口４７９は、左右方向に延設されるので、可動ラック４６４をベース部材４７０に対して左右方向にスライド変位させることができる。
【０４８０】
ラック案内部４６４ｅは、後述するラック４６６の変位方向を規制するための突壁であり、左右方向に一端から他端に亘って突設される。
【０４８１】
衝突部４６４ｆは、後述する変位部材４９２の突起４９２ｂと当接して変位部材４９２を変位させる壁部であり、可動ラック４６４の下端に突出して形成される。また、衝突部４６４ｆは、他端側が傾斜した状態に形成される。これにより、変位部材４９２の突起４９２ｂをその傾斜面に沿って摺動させて変位させることができる。
【０４８２】
ラック４６６は、正面視矩形横長の棒状体から形成され、上端面に刻設されるラックギヤ４６６ａと、他端側の端部から背面側に円柱状に突出する軸部４６６ｂと、正面側に突出する２つの摺動板４６６ｃと、背面側に一端から他端に亘って凹設される凹設部４６６ｄとを主に備えて形成される。
【０４８３】
ラックギヤ４６６ａは、可動ラック４６４に取着される伝達ギヤ４６５に歯合される。これにより、ラック４６６が可動ラック４６４の前方に配置された状態では、可動ラック４６４がスライド変位することで、そのスライド変位に伴って伝達ギヤ４６５が回転され、ラック４６６に駆動力が伝達される。従って、ラック４６６は、可動ラック４６４に対して変位できる。
【０４８４】
軸部４６６ｂは、後述する球受部４６７の軸孔４６７ｂに挿入される突起であり、軸孔４６７ｂの内径よりも大きい外径の円柱状に形成される。これにより、球受部４６７を回転可能に保持できる。
【０４８５】
摺動板４６６ｃは、後述する正面ケース４８１の開口４８１ａに挿入される突起であり、所定の厚みを有する板状体から形成される。これにより、ラック４６６に伝達ギヤ４６５から駆動力が伝達され、ラック４６６が可動ラック４６４に対して変位された場合に、ラック４６６の変位方向を開口４８１ａの延設される方向に規定することができる。
【０４８６】
凹設部４６６ｄは、ラック４６６が可動ラック４６４の前方に配設された際に、内側にラック案内部４６４ｅを配置した状態とされる。これにより、ラック４６６に伝達ギヤ４６５から駆動力が伝達され、ラック４６６が可動ラック４６４に対して変位された場合に、ラック４６６の変位方向をラック案内部４６４ｅの延設方向に規定することができる。
【０４８７】
ここで、ラック４６６の変位方向を規制するためには、凹設部４６６ｄ及びラック案内部４６４ｅを形成すれば、ラック４６６の変位方向をラック案内部４６４ｅの延設方向に規定することができる。しかしながら、下変位部材４４０は、左右方向にスライド変位しつつ回転変位するものであるので、下変位部材４４０の変位状態によっては、自重により伝達ギヤ４６５及びラック４６６の歯合の状態が変わり、伝達ギヤ４６５からラック４６６へ駆動力がうまく伝達されなくなる恐れがあった。
【０４８８】
これに対し、本実施形態では、ラック４６６の変位方向を規定する箇所が、摺動板４６６ｃ及び開口４８１ａと凹設部４６６ｄ及びラック案内部４６４ｅとの２箇所形成されるので、下変位部材４４０の変位状態が変化された際に、伝達ギヤ４６５及びラック４６６の歯合状態が変化することを抑制できる。その結果、伝達ギヤ４６５からラック４６６への駆動の伝達が阻害されることを抑制できる。
【０４８９】
また、摺動板４６６ｃは、ラック４６６の左右方向（図５７（ａ）左右方向）の２箇所から突出形成されており、他端側（軸部４６６ｂの反対側）の摺動板４６６ｃが、ラックの変位終端位置（ラック４６６が可動ラック４６４に対して一番張り出された位置）において、伝達ギヤ４６５の下方（図５７下側）に配置される。
【０４９０】
ここで、変位終端位置では、後述するようにラック４６６の軸部４６６ｂに配設される球受部４６７が発射動作（回転変位）をするので、ラック４６６の一端側に配設される球受部４６７の変位による慣性力で、ラックの他端側が変位しやすい。そのため、伝達ギヤ４６５及びラック４６６の歯合面に負荷がかかり易く、伝達ギヤ４６５及びラック４６６が破損する恐れがあった。
【０４９１】
これに対し、本実施形態では、他端側（軸部４６６ｂの反対側）の摺動板４６６ｃが、ラックの変位終端位置（ラック４６６が可動ラック４６４に対して一番張り出された位置）において、伝達ギヤ４６５の下方（図５７下側）に配置されるので、球受部４６７が発射動作（回転動作）をした際に、伝達ギヤ４６５及びラック４６６との歯合する位置のラック４６６が変位することを抑制できる。その結果、伝達ギヤ４６５及びラック４６６が破損することを抑制できる。
【０４９２】
球受部４６７は、遊技球を保持する部分であり、正面視略Ｕ字に形成され、Ｕ字の内側部分に球を受け入れることが可能に形成される。即ち、球受部４６７のＵ字の内側は、球の外形よりもやや大きく形成される。これにより、球受部４６７の内側部分に１球可能とされる。また、球受部４６７は、Ｕ字の下端位置に前後方向に貫通する軸孔４６７ｂと、下方の外周面から、下側に突出する脚部４６７ａとを主に備えて形成される。
【０４９３】
軸孔４６７ｂは、上述したように、ラック４６６に球受部４６７を回転可能な状態で保持するための軸孔であり、ラック４６６の軸部４６６ｂの外径よりも大きい内径に形成される。よって、球受部４６７は、ラック４６６の軸部４６６ｂを軸孔４６７ｂに挿入することで回転可能に保持できる。また、軸部４６６ｂを軸孔４６７ｂに挿入した後に、付勢ばねＳＰ２が軸部４６６ｂの軸周囲に配設され、軸部４６６ｂに軸孔４６７ｂの内径よりも頭部の大きいネジ等が締結される。これにより、球受部４６７は、正面視右周りに付勢された状態でラック４６６に配設される。なお、球受部４６７の態様について詳しい説明は後述する。
【０４９４】
脚部４６７ａは、球受部４６７が付勢ばねＳＰ２により回転されることを付勢する突起であり、球受部４６７のＵ字の開放部分を上方に向けた状態で、先端が後述する正面ケース４８１の底壁部４８１ｂに当接する位置に設定される。これにより、球受部４６７が回転されることを規制できる。
【０４９５】
ケース部材４８０は、ベース部材４７０の前後を覆設する部材であり、ベース部材４７０の正面側に配設される正面ケース４８１と、背面側に配設される背面ケース４８２とを主に備える。
【０４９６】
正面ケース４８１は、正面視矩形横長の板状に形成され、重力方向略中間位置に左右方向に広がる開口４８１ａと、背面側の下端面に突出形成される底壁部４８１ｂと、下方縁部に前後方向に貫通する軸孔４８１ｃとを主に備えて形成される。
【０４９７】
開口４８１ａは、前後方向に貫通形成されており、上述したように、ベース部材４７０に正面ケース４８１が配設されると内部にラックの摺動板４６６ｃが挿入された状態とされる。
【０４９８】
底壁部４８１ｂは、正面ケース４８１の下端部から背面側に突出形成されると共に、左右方向に延設される。また、底壁部４８１ｂは、正面ケース４８１がベース部材４７０に配設された状態では、その上面に球受部４６７の脚部４６７ａが当接した状態とされる。
【０４９９】
背面ケース４８２は、ベース部材４７０の背面側に制御基板４９１を配設するための板部材であり、正面視における外形が、ベース部材４７０の外形よりも小さい矩形横長に形成される。また、背面ケース４８２は、背面側に突出する突起４８２ａを備える。
【０５００】
突起４８２ａは、上述したように、第２リンク部材４３２の貫通孔４３２ｂと連結される連結部であり、貫通孔４３２ｂの内径よりも小さい外径の円柱状に形成される。よって、突起４８２ａを貫通孔４３２ｂに挿入した後に、突起４８２ａの先端に貫通孔４３２ｂの内径よりも頭部の大きいネジ等を締結することで、背面ケース４８２と第２リンク部材４３２とを回転可能な状態で連結できる。
【０５０１】
装飾部材４５０は、模様やキャラクターを模した外形形状に形成され、表面にその模様やキャラクターの絵が描かれる。装飾部材４５０は、正面ケース４８１の正面側に配設される正面側装飾部４５１と、背面ケース４８２の背面側に配設される背面側装飾部４５２とを主に備えて形成される。なお、本実施形態では、装飾部材４５０にサメの模様（キャラクター）が描かれる。
【０５０２】
正面側装飾部４５１は、正面視において正面ケース４８１の外形よりも大きい外径に形成され、正面ケース４８１に取着される。これにより、正面側装飾部の背面側に配設される部材（ケース部材４８０、ベース部材４７０等）を遊技者から視認不可能とすることができる。
【０５０３】
背面側装飾部４５２は、正面側装飾部４５１の上端後方に配設される。これにより、背面側装飾部４５２の上方から正面側装飾部４５１の背面側に配置される部材を遊技者から視認不能とすることができる。
【０５０４】
また、正面側装飾部４５１と前後方向同一平面上に変位部材４９２が配設される。変位部材４９２は、背面側に突出する軸部４９２ａと、突起４９２ｂとを主に備えて形成される。
【０５０５】
軸部４９２ａは、正面ケース４８１の軸孔４８１ｃの内径よりも小さい外径の円柱状に形成される。よって、軸部４９２ａを軸孔４８１ｃに挿入することで、変位部材４９２を回転可能な状態で正面ケースに連結できる。また、軸孔４８１ｃを挿入された軸部４９２ａの先端側には、付勢ばねＳＰ３が配設される。これにより、変位部材４９２を付勢した状態で配設することができる。なお、変位部材４９２の変位の詳しい説明は後述する。
【０５０６】
軸部４９２ａは、上述した可動ラック４６４の衝突部４６４ｆに衝突されることで、変位部材４９２に軸部４９２ａの軸を中心に回転する駆動力を伝達できる。即ち、可動ラック４６４は、その変位に伴って変位部材４９２を回転変位させることができる。
【０５０７】
よって、下変位部材４４０は、下変位部材４４０（基部材）に変位可能に配設される変位部材４９２（配設部材）を備え、球受部４６７（変位部材）は、遊技球を保持可能かつ射出可能に形成され、変位部材４９２は、球受部４６７から遊技球が出射される際に変位可能とされるので、下変位部材４４０のがたつきの発生を抑制することができる。
【０５０８】
即ち、球受部４６７から遊技球が発射されると、遊技球の重さの分、下変位部材４４０の重心位置が変化されるところ、例えば、遊技球の発射に伴う重心位置の変化を相殺する方向へ変位部材４９２を変位させる構成を採用した場合には、重心位置の変化に伴う下変位部材４４０のがたつきの発生を抑制できる。また、球受部４６７から遊技球が発射されると、その遊技球の発射に伴い下変位部材４４０が反作用を受けるところ、例えば、遊技球の発射に伴う反作用を相殺する方向へ変位部材４９２を変位させる構成を採用した場合には、反作用に伴う下変位部材４４０のがたつきの発生を抑制できる。
【０５０９】
また、上述したように、カム部材４２２が第２変位状態の位置に配置される際には、カム部材４２２が軸部４２２ａの軸周りに回転する方向の力ＰＷ１（図５６（ｂ）参照）と、カム部材４２２が軸部４２２ａの軸周りに回転する方向の力ＰＷ２（図５６（ｂ）参照）とが打ち消し合う方向に作用して、カム部材４２２が第１リンク部材４３１から作用される力で回転することを抑制できる。従って、第２変位状態では、カム部材４２２とリンク部材４３０とを安定した状態で配置することができる。よって、第２変位状態の位置で、下変位部材４４０の球受部４６７から遊技球が発射された際に、その遊技球の発射による慣性力で第１リンク部材４３１またはカム部材４２２が揺れ動くことを抑制できる。
【０５１０】
さらに、変位部材４９２の変位は、球受部４６７の変位により衝突部４６４ｆが、軸部４９２ａに衝突されることで行われるので、変位部材４９２を変位させるための駆動手段を別途設ける必要がない。即ち、球受部４６７を変位させるための駆動モータＫＭ２を、変位部材４９２を変位させるための駆動手段として、兼用することができる。よって、その分、下変位部材４４０を軽量化して、そのがたつきを抑制しやすくできる。
【０５１１】
また、球受部４６７の変位に機械的に同期させて変位部材４９２を変位させることができるので、例えば、球受部４６７の位置をセンサ装置で検出し、その検出結果に応じて変位部材４９２を駆動手段で駆動する制御を不要とでき、その分、製品コストの削減を図ることができると共に、球受部４６７に対する変位部材４９２の変位動作の信頼性を確保できる。
【０５１２】
次いで、図６１から図６４を参照して、伝達機構４６０の遷移について説明する。図６１は、第１位置における下変位部材４４０の正面図であり、図６２は、第２位置における下変位部材４４０の正面図であり、図６３は、第３位置における下変位部材４４０の正面図である。図６４（ａ）から（ｃ）は、下変位部材４４０の部分拡大図である。
【０５１３】
なお、第１位置は、球受部４６７がベース部材４７０に対して左右方向（図６１左右方向）略中央位置に配置された位置である。第２位置は、球受部４６７が、突設壁４７７の重力方向下側（図６２下側）に配置された位置である。第３位置は、球受部４６７が、ベース部材４７０の左右方向右端に配置された位置である。
【０５１４】
また、図６１から図６４では、下変位部材４４０の装飾部材４５０及び正面ケース４８１が透明視されると共に、正面ケース４８１の底壁部４８１ｂの外形が鎖線で図示される。さらに、図６４（ａ）及び（ｂ）では、第３位置に変位する直前の遷移状態が順に図示され、図６４（ｃ）では、第３位置における下変位部材４４０が図示される。
【０５１５】
図６１に示すように、第１位置における下変位部材４４０は、可動ラック４６４が、ベース部材４７０に対して左右方向左端に位置した状態とされる。また、第１位置では、ラック４６６が可動ラック４６４の前方に配置され、ラック４６６と可動ラック４６４とが前後方向に重なった状態とされる。即ち、ラック４６６も可動ラック４６４と同様に、ベース部材４７０に対して左右方向左端に位置される。よって、ラック４６６に連結される球受部４６７はベース部材４７０に対して左右方向略中央位置に配置される。
【０５１６】
第１位置では、上述したように、可動ラック４６４、ラック４６６がベース部材４７０の左右方向左端に集められた状態とされる。ここで、下変位部材４４０は、スライド変位しつつ回転変位する（退避状態から第１及び第２張出状態に変位する）ので、下変位部材４４０の重心位置が、回転する軸の近傍に配置された状態とすることが望ましい。
【０５１７】
本実施形態によれば、球受部４６７を変位させる伝達機構４６０が可動ラック４６４及びラック４６６を前後に重畳した状態（２段ラック）とされるので、その重心位置を正面ベース４１１の摺動溝４１１ａ，４１１ｂ側（下変位部材４４０の回転軸側）に近づけることができる。
【０５１８】
従って、上述したように下変位部材４４０を退避状態の位置から第１及び第２張出状態の位置に変位させる際には、下変位部材４４０を第１位置とすることで、下変位部材４４０を回転変位させる際の駆動力を小さくできる。よって、下変位部材４４０を変位させる駆動モータＫＭ１の消費エネルギーを抑えることができる。
【０５１９】
図６１に示す第１位置から図６２に示す第２位置への変位は、駆動モータＫＭ２を駆動させることで行われる。
【０５２０】
第１位置から駆動モータＫＭ２が駆動されると、駆動モータＫＭ２の軸に連結される伝達ギヤ４６１が回転される。これにより、伝達ギヤ４６２及び伝達ギヤ４６３が回転される。伝達ギヤ４６３が回転されると、伝達ギヤ４６３と歯合するラックギヤ４６４ａから、可動ラック４６４に駆動力が伝達されて可動ラック４６４がベース部材４７０に対して右方向にスライド変位される。
【０５２１】
可動ラック４６４がスライド変位されると、そのスライド変位に伴って可動ラック４６４に配設される伝達ギヤ４６５がベース部材４７０のラックギヤ４７６により回転される。これにより、伝達ギヤ４６５に歯合されるラックギヤ４６６ａによりラック４６６へ駆動力が伝達される。その結果、ラック４６６が可動ラック４６４に対して左右方向右側へスライド変位されて、球受部４６７が第２位置へ変位される。
【０５２２】
図６２に示す第２位置から図６３に示す第３位置への変位は、第１位置から第２位置までの変位と同様に、駆動モータＫＭ２の駆動により行われる。なお、駆動モータＫＭ２からラック４６６までの駆動の伝達については第１位置から第２位置までの変位と同様であるため、その詳細な説明は省略する。
【０５２３】
図６３及び図６４に示すように、第３位置に球受部４６７が変位されると、球受部４６７は、脚部４６７ａと正面ケース４８１の底壁部４８１ｂとの当接状態が解除され、軸部４６６ｂに配置した付勢ばねＳＰ２の付勢力により軸孔４６７ｂの軸を中心に回転変位される。
【０５２４】
詳しく説明すると、第１及び第２位置（第３位置における球受部４６７よりも正面視左側に球受部４６７が配置されている状態）では、球受部４６７の脚部４６７ａの先端が正面ケース４８１の底壁部４８１ｂの上面に当接した状態とされ、付勢ばねＳＰ２の付勢力による軸孔４６７ｂを中心に正面視時計回りへの回転が規制される。
【０５２５】
一方、球受部４６７の脚部４６７ａの先端部は、第３位置へ変位されると、底壁部４８１ｂの端部よりも正面視右側に配置され、底壁部４８１ｂとベース部材４７０の立設壁４７１ａとの対向間に形成される凹部４８１ｂ１の内側に配置される。よって、球受部４６７は付勢ばねＳＰ２の付勢力により軸孔４６７ｂの軸を中心に回転される。第３位置で球受部４６７が回転されると、脚部４６７ａの先端が底壁部４８１ｂの端面と当接して、球受部４６７の軸孔４６７ｂを中心とする回転が規制される。これにより、球受部４６７は、軸孔４６７ｂを中心に略４０度回転された位置で停止される。なお、以下では、第３位置における球受部４６７の回転変位を発射動作と称して説明する。
【０５２６】
また、球受部４６７が第１位置から第３位置方向（第１方向）へ変位する際の軌道領域に凹設される凹部４８１ｂ１を備え、球受部４６７は、第１方向へ変位する際に、凹部４８１ｂ１に係合される脚部４６７ａを備えると共に、脚部４６７ａが凹部４８１ｂ１に係合されることで姿勢が変化可能に形成されるので、球受部４６７の姿勢を変化させるための構造を簡素化できる。
【０５２７】
さらに、球受部４６７が第２位置から第３位置へ変位されると、衝突部４６４ｆが可動ラック４６４の変位により正面視右側にスライド変位され、変位部材４９２の突起４９２ｂと衝突する。これにより、変位部材４９２が軸部４９２ａの軸を中心に回転変位される。
【０５２８】
即ち、球受部４６７が、第３位置に変位されると、球受部４６７が回転変位されると共に、変位部材４９２が回転変位される。よって、球受部４６７が、発射動作をして球受部４６７の内側から球が排出されて、下変位部材４４０が軽くなることで下変位部材４４０が揺れ動く力と、変位部材４９２が回転変位する慣性力とを反対方向に作用させることができる。その結果、下変位部材４４０の内部から球が排出された際に下変位部材４４０が揺れ動くことを抑制できる。
【０５２９】
次いで、図６５を参照して、球受部４６７への球の受入動作について説明する。図６５（ａ）から（ｃ）は、下変位部材４４０の正面図である。なお、図６５（ａ）から（ｃ）では、球受部４６７へ球を受け入れる受入動作する遷移状態が順に図示される。
【０５３０】
また、図６５（ａ）から（ｃ）では、下変位部材４４０の装飾部材４５０及び正面ケース４８１が透明視されると共に、正面ケース４８１の底壁部４８１ｂの外形が鎖線で図示される。
【０５３１】
更に、図６５（ａ）から（ｃ）では、下変位部材４４０が退避状態における水平方向が仮想線Ｈ１の符号を付して２点鎖線で図示されると共に、下変位部材４４０が第１張出状態における水平方向が仮想線Ｈ２の符号を付して図示される。また、下変位部材４４０が退避状態の位置から第１張出状態の位置まで回転された角度を角度θの符号を付して図示される。なお、仮想線Ｈ１，仮想線Ｈ２及び角度θは図６５以降の図にも図示される。
【０５３２】
図６５（ａ）に示すように、退避状態（下変位部材４４０の長手方向を仮想線Ｈ１と平行にした状態）の下変位ユニット４００において、下変位部材４４０の球受部４６７を第１位置に変位させることで、後述する振分けユニット５００から遊技球Ｔ１が下変位部材４４０の正面側装飾部４５１に形成される開口４５１ａに送球される。開口４５１ａに送球される遊技球Ｔ１は突設壁４７７の内側に送球されて、下変位部材４４０の内部に送球される。
【０５３３】
図６５（ｂ）に示すように、開口４５１ａに遊技球Ｔ１が送球されると下変位部材４４０が第２位置へ変位される。よって、上述したように第２位置では、球受部４６７が突設壁４７７の下方に配置されるので、突設壁４７７の内側に送球された遊技球Ｔ１を、球受部４６７の内側に送球できる。球受部４６７に遊技球Ｔ１が受け入れられることで、球受部４６７の動作に伴って遊技球Ｔ１を変位させることができる。
【０５３４】
図６５（ｃ）に示すように、球受部に遊技球Ｔ１が送球されると、下変位部材４４０は、第１位置へ変位される。これにより、球受部４６７に遊技球Ｔ１を配置した状態で第１位置に球受部４６７を配置した状態とできる。
【０５３５】
ここで、ベース部材と、そのベース部材に一側が変位可能に配設される基部材と、その基部材に変位可能に配設される変位部材とを備えた遊技機が知られている。この遊技機によれば、基部材を遊技領域へ張り出して遊技者から視認可能にされる張出位置と、遊技領域から後退される退避位置との間で変位される演出に加え、基部材を張出位置に配置した状態において変位部材を変位させる演出を行うことができる。
【０５３６】
しかしながら、上述した従来の遊技機では、ベース部材に基部材の一側が変位可能に配設されるため、変位部材が変位されると、一側を死点として、ベース部材に対する基部材のがたつきが発生しやすいという問題点があった。特に、変位部材を停止状態から変位させる際には、加速度の変化が最大となるため、慣性力の影響により、基部材のがたつきが発生しやすい。
【０５３７】
これに対し、本実施形態では、球受部４６７は、第２位置から変位を開始する態様と、第１位置よりも下変位部材４４０（基部材）の一側に近い第１位置から変位を開始する態様とを形成可能に形成され、少なくとも下変位部材４４０がベース部材４１０に対して所定位置に配置された状態（例えば、下変位部材４４０が遊技領域へ張り出して遊技者から視認可能とされる第１張出状態）では、第１位置から変位を開始するので、基部材の下変位部材４４０のがたつきを抑制することができる。即ち、第１位置は、第２位置よりも、下変位部材の一側に近い位置とされるので、かかる第１位置を球受部４６７の変位開始位置とすることで、球受部４６７の重さを、下変位部材４４０がベース部材４１０に対してがたつく際の死点に近づけておくことができ、その分、球受部４６７を停止状態から変位される際の慣性力の影響を下変位部材４４０に作用させ難くできる。その結果、下変位部材４４０のがたつきを抑制しやすくできる。
【０５３８】
また、下変位部材４４０は、上述したように、スライド変位しつつ回転変位（退避状態から第１及び第２張出状態に変位）される。そのため、遊技球Ｔ１を回転軸の遠方に配置した状態で下変位部材４４０が回転変位されると、遊技球Ｔ１に遠心力が発生しやすくなり、遊技球Ｔ１が動いて球受部４６７の内壁と遊技球Ｔ１との衝突による衝突音が発生、又は球受部４６７が破損するという問題点があった。
【０５３９】
これに対し、本実施形態では、遊技球Ｔ１を球受部４６７に受け入れた後に、下変位部材４４０を第１位置に変位させることができるので、遊技球Ｔ１を下変位部材４４０の回転軸の近傍に配置する（近づける）ことができる。従って、下変位部材４４０に遊技球Ｔ１を受け入れた状態で下変位部材４４０を、回転変位（退避状態から第１及び第２張出状態に変位）させた際に、遊技球Ｔ１に遠心力が発生することを抑制できる。その結果、遊技球Ｔ１と球受部４６７とが衝突した際に衝突音が発生する、又は球受部４６７が破損することを抑制できる。
【０５４０】
さらに、本実施形態では、下変位部材４４０は、球受部４６７を動作させる伝達機構４６０が可動ラック４６４、伝達ギヤ４６５（ピニオンギヤ）及びラック４６６（ラック部材）で形成され、ラック４６６に球受部４６７が配設されるので、球受部４６７の変位を第１位置から開始する際には、ラック４６６の重さだけでなく可動ラック４６４、ラック４６６の重さも下変位部材４４０の一側（下変位部材４４０がベース部材４１０に対してがたつく際の支点）に近づけておくことができる。その結果、球受部４６７を停止状態から変位される際の下変位部材４４０のがたつきを抑制しやすくできる。
【０５４１】
また、球受部４６７に遊技球Ｔ１を受け入れた状態では、遊技球Ｔ１の荷重分、下変位部材４４０の荷重が重くされる。そのため、上述したように、下変位部材４４０を第１位置にした状態とすることで、下変位部材４４０の重心位置を正面ベース４１１の摺動溝４１１ａ，４１１ｂ側（下変位部材４４０の回転軸側）に移動させ易くできる。従って、下変位部材４４０を退避状態の位置から第１及び第２張出状態の位置に変位させる際には、下変位部材４４０を第１位置とすることで、下変位部材４４０を回転変位させる際の駆動力を小さくできる。よって、下変位部材４４０を変位させる駆動モータＫＭ１の消費エネルギーを抑えることができる。
【０５４２】
次いで、図６６を参照して、球の払出動作について説明する。図６６（ａ）から（ｃ）は、下変位部材４４０の正面図である。なお、図６６（ａ）から（ｃ）では、球の払出動作における下変位部材４４０の遷移状態が順に図示される。また、図６６（ａ）から（ｃ）では、下変位部材４４０の装飾部材４５０及び正面ケース４８１が透明視されると共に、正面ケース４８１の底壁部４８１ｂの外形が鎖線で図示される。さらに、球の払出動作とは、下変位部材４４０の球受部４６７に受け入れた遊技球Ｔ１を出射開口４７１から下変位部材４４０の外方に払い出す動作である。
【０５４３】
図６６（ａ）から（ｃ）に示すように、下変位部材４４０の球受部４６７に受け入れた球を払い出す払出動作は、下変位部材４４０を第１位置から順に第３位置まで変位させることで行われる。
【０５４４】
即ち、受入動作で球受部４６７の内側に遊技球Ｔ１を受け入れて、第１位置に配置された下変位部材４４０を、第３位置に変位させることで、遊技球Ｔ１が球受部４６７の変位に伴って、出射開口４７１側に運搬される。出射開口４７１側に移動された遊技球Ｔ１は、球受部４６７のスライド変位と第３位置における球受部４６７の発射動作とにより、出射開口４７１側への慣性力が付与されて、球受部４６７の内側から飛び出される。これにより下変位部材４４０の内部から球を払い出すことができる。
【０５４５】
ここで、球受部４６７（変位部材）が第１位置から変位を開始する際の変位方向は、下変位部材４４０の位置側から離間する方向であるので、球受部４６７が第１位置に配置された状態では、ラック４６６（ラック部材）をより下変位部材４４０の一側からベース部材４１０へ近づけることができる。即ち、下変位部材４４０の一側から、離間する方向へ球受部４６７（ラック４６６）が変位するためには、ラック４６６は、球受部４６７の変位が開始された後に、伝達ギヤ４６５（ピニオンギヤ）が歯合されるラックギヤ４６６ａ側の部分を下変位部材４４０の一側に向けることとなる。よって、ラック４６６の重さをより下変位部材４４０の一側（下変位部材４４０が、ベース部材４１０に対してがたつく際の支点）に近づけておくことができ、その結果、球受部４６７を停止状態から変位される際の下変位部材４４０のがたつきを抑制しやすくできる。
【０５４６】
球受部４６７は、第３位置方向（第１方向）へ変位され、第３位置に達すると姿勢が変化可能に形成されるので、第３位置までは、１球の遊技球Ｔ１を球受部４６７が保持した状態を維持しやすくして、球受部４６７からの遊技球Ｔ１の脱落を抑制できる一方、第２位置に達した際には、球受部４６７の姿勢の変化を利用して、遊技球Ｔ１を球受部４６７の内側から払出しやすくできる。
【０５４７】
なお、下変位部材４４０を退避状態（下変位部材４４０の長手方向を仮想線Ｈ１と水平に配置した状態）の位置で図６６（ａ）から図６６（ｃ）に示す球受部４６７の払出動作を行う場合は、下変位部材４４０の外側に払い出された遊技球が、回収口４１１ｆの内部に送球される。
【０５４８】
一方、下変位部材４４０が第１張出状態（下変位部材４４０の長手方向が仮想線Ｈ１から角度θ回転された状態）の位置で球受部４６７の払出動作を行う場合は、下変位部材４４０の外側に払い出された遊技球が、回転ユニット７００の球受台７１０の上部に送球される。
【０５４９】
次いで、図６７及び図６８参照して、下変位部材４４０の内部に２球以上の球が送球された際の排出動作について説明する。図６７（ａ）から（ｃ）及び図６８（ａ）から（ｃ）は、下変位部材４４０の正面図である。
【０５５０】
なお、図４３（ａ）から（ｃ）及び図４４（ａ）から（ｃ）では、排出動作の遷移状態が順に図示される。また、図４３（ａ）から（ｃ）及び図４４（ａ）から（ｃ）では、下変位部材４４０の装飾部材４５０及び正面ケース４８１が透明視されると共に、正面ケース４８１の底壁部４８１ｂの外形が２点鎖線で図示される。
【０５５１】
図６７（ａ）から（ｃ）に示すように、後述する振分けユニット５００から２球以上の球が連続して送球された場合には、下変位部材４４０を受入動作させることで、２球目の遊技球Ｔ２を球受部４６７の変位経路上に落下させることができる。
【０５５２】
即ち、球受部４６７を第１位置から第２位置へ変位させて１球目の遊技球Ｔ１を球受部４６７の内側に送球することができ、２球目の遊技球Ｔ２を１球目の遊技球Ｔ１に当接させて、突設壁４７７の内側に留めて置くことができる（図６７（ｂ）参照）。第２位置で１球目の遊技球Ｔ１を受け入れた後に球受部４６７を第１位置に変位させることで、球受部４６７に１球目の遊技球Ｔ１を受け入れた状態で、球受部４６７を第１位置に変位させて、２球目の遊技球Ｔ２を球受部４６７の変位経路上に落下させることができる。
【０５５３】
ここで、第２位置で球受部４６７に受け入れる球を球受部４６７の変位により、第３位置へ変位させる遊技機では、後述する振分けユニット５００の振分け部材５４０の変位に動作不良が生じると規定数以上の遊技球が球受部４６７の軌道領域に送球される恐れがあり、この場合、規定数を超えた分の遊技球により不具合を生じる恐れがあるという問題点があった。例えば、規定数を超えた分の遊技球が、球受部４６７を駆動させる伝達機構４６０に入り込み、可動部分に噛み込まれることで、破損を招く恐れがあった。或いは、規定数を超えた分の遊技球が遊技領域外（例えば、遊技盤１３の背面側または背面ケース３００の内側）へ流出する恐れがあった。
【０５５４】
これに対し、本実施形態によれば、球受部４６７が、第２位置から球の送球方向と反対方向となる第１位置に変位可能に形成されるので、その分、球受部４６７の軌道領域を拡大できる。よって、例えば、振分け部材５４０に動作不良が生じ、規定数以上の遊技球が送球された場合でも、球受部４６７の軌道領域が拡大されている分、規定数を超えた分の遊技球を軌道領域に受け入れることができる。その結果、規定数を超えた分の遊技球を、球受部４６７の第３位置への変位に伴って移動させることができる。よって、規定数を超えた分の遊技球が、球受部４６７を駆動させる伝達機構４６０に入り込むことや、遊技領域外へ流出することを抑制でき、その結果、規定数を超えた分の遊技球による不具合を生じ難くできる。
【０５５５】
また、球受部４６７は、第２位置において後述する振分けユニット５００から送球された１球の遊技球Ｔ１を受け取って保持可能とされると共に、第２位置から第１位置の方向（第２方向）へ少なくとも、遊技球の直径を超える距離だけ変位可能に形成されるので、第２位置において１球の遊技球を受け取った後、球受部４６７を第２位置から第３方向（第１方向）へ変位させることで、規定数を超える分の遊技球を球受部４６７の軌道領域（球受部の４６７よりも第１方向の領域）に送球させることができる。よって、２球目以降の遊技球Ｔ２を、球受部４６７の第３位置方向（第１方向）への変位に伴って移動させることができる。
【０５５６】
この場合、１球目の遊技球Ｔ１を球受部４６７が保持し、２球目以降の遊技球Ｔ２を球受部４６７の軌道領域に送球できるので、１球目の遊技球Ｔ１と、２球目以降の遊技球Ｔ２とを分離することができる。よって、例えば、球受部４６７を第３位置方向（第１方向）へ変位させることで、１球目の遊技球Ｔ１を球受部材が保持した状態を維持しつつ、２球目以降の遊技球Ｔ２のみを軌道領域から排出する動作が可能となる。
【０５５７】
また、球受部４６７を第２位置に変位させて１球目の球を受け入れた後に、第３位置に変位させて球受部４６７の内側から遊技球Ｔ１を排出するものでは、２球目の遊技球Ｔ２がラック４６６の上部に落下して、２球目の遊技球Ｔ２が球受部４６７と伝達ギヤ４６５との間に送球されて、２球目の遊技球Ｔ２を下変位部材４４０の外方に排出不能となる恐れがある。
【０５５８】
これに対し、本実施形態では、球受部４６７に球を受け入れる受入動作を、第２位置で球受部４６７の内側に遊技球Ｔ１を受け入れた後、出射開口４７１とは反対の第１位置へ変位させることができるので、２球目の遊技球Ｔ２が下変位部材４４０の外方に排出不能となることを抑制できる。
【０５５９】
言い変えると、役物内に送球された遊技球を排出する排出動作をする役物を備える遊技機では、球を排出する部材（本実施形態では球受部４６７）の動作を球を受け入れる位置（第２位置）と球を排出する位置（第３位置）に変位させるのみであると、２球以上の遊技球が役物内に送球された場合に、球を排出する部材に対して排出口（出射開口４７１）と反対側に２球目の遊技球Ｔ２を排出する恐れがあるところ、本実施形態では、１球目の遊技球Ｔ１を受け入れた後に、球受部４６７を出射開口４７１と反対側の第１位置に変位させることで、２球目の遊技球Ｔ２を球受部４６７と出射開口４７１との間に送球することができる。
【０５６０】
図６８（ａ）から（ｃ）に示すように、２球目の遊技球Ｔ２を球受部４６７の変位経路上に送球した後に、球受部４６７を発射動作する前の第３位置まで変位させることで、２球目の遊技球Ｔ２を球受部４６７に当接させた状態で出射開口４７１側に転動させることができる。その結果、２球目の遊技球Ｔ２を出射開口４７１から排出することができる。
【０５６１】
この場合、球受部４６７は、そのＵ字部分の下端面が球受部４６７の変位経路上に送球される２球目の遊技球Ｔ２の中心位置よりも上方（図６８（ａ）上方）に配置される。また、脚部４６７ａが底壁部４８１ｂの上面と当接した状態において、底壁部４８１ｂとの当接面に対して略４５度傾倒した状態で配置される。さらに、球受部４６７のＵ字の右側（図６８（ａ）右側）の側面が脚部４６７ａの右側の端部と上下方向に同一となる位置に配置されるので、２球目の遊技球Ｔ２の外面を脚部４６７ａに当接させることができる。
【０５６２】
また、脚部４６７ａは、底壁部４８１ｂの上面に対して略４５度傾倒した状態とされるので、２球目の遊技球Ｔ２の下半球（底壁部４８１ｂ側の下半球）の外面と当接される。これにより、２球目の遊技球Ｔ２を出射開口４７１側に転動させる際に、脚部４６７ａの傾斜面で２球目の遊技球Ｔ２を上方に持ち上げる力を発生させることができる。よって、２球目の遊技球Ｔ２が底壁部４８１ｂの上面を転動する際の２球目の遊技球Ｔ２と底壁部４８１ｂとの摩擦力を小さくできる。その結果、２球目の遊技球Ｔ２を出射開口４７１側に転動する際に、球受部４６７が停止されることを抑制できる。
【０５６３】
言い変えると、脚部４６７ａは、球受部４６７から第１位置から第３位置に向かう方向（第１方向）へ向けて突設されると共に、その突設先端が、球受部４６７の軌道領域へ送球された遊技球（即ち、２球目以降の遊技球Ｔ２）の下半面に当接可能に形成されるので、球受部４６７が第１位置から第３位置方向（第１方向）へ変位される際には、遊技球をその下半面を脚部４６７ａで押しつつ移動させることができる。その結果、２球目以降の遊技球Ｔ２を球受部４６７の軌道領域から排出しやすくできる。
【０５６４】
また、球受部４６７に保持される１球目の遊技球Ｔ１と、球受部４６７の軌道領域へ送球された遊技球（２球目以降の遊技球Ｔ２）との間に脚部４６７ａが介在することで、かかる脚部４６７ａの突設長さの分、１球目の遊技球Ｔ１と２球目以降の遊技球Ｔ２との間隔を確保できる。よって、１球目の遊技球Ｔ１を球受部４６７が保持した状態を維持しつつ、２球目以降の遊技球Ｔ２のみを軌道領域から排出しやすくできる。
【０５６５】
さらに、凹部４８１ｂ１との係合により、球受部４６７の姿勢を変化させる役割と、遊技球をその下半面を押しつつ移動させる役割とを脚部４６７ａに兼用させるので、その分、部品点数を削減して製品コストの削減を図ることができる。
【０５６６】
また、凹部４８１ｂ１は、第１位置から第３位置方向（第１方向）における大きさが遊技球の直径よりも小さくされるので、球受部４６７の軌道領域へ送球された遊技球（即ち、２球目以降の遊技球Ｔ２）が、球受部４６７の第１方向への変位に伴って移動される際に、凹部４８１ｂ１を通過しやすくできる。その結果、２球目以降の遊技球Ｔ２を軌道領域から排出しやすくできる。
【０５６７】
上述したように、下変位ユニット４００が退避状態に配置されると、下変位部材４４０の出射開口４７１の下方に回収口４１１ｆが配置された状態とされる。よって、退避状態において排出動作された遊技球Ｔ２は、回収口４１１ｆに送球される。
【０５６８】
一方、下変位ユニット４００が第１張出状態に配置されると、回収口４１１ｆは、出射開口４７１の下方に位置した状態とされる。また、回収口４１１ｆの開口は、上方側が開口される。よって、排出動作された遊技球Ｔ２は、回収口４１１ｆに送球される。
【０５６９】
即ち、回収口４１１ｆは、ベース部材４７０における第１方向側（立設壁４７１ａ側）の端部の鉛直方向下方に配設されると共に鉛直方向上に開口を有するので、球受部４６７の第３位置方向（第１方向）への移動に伴って移動され、球受部４６７の軌道領域から排出される遊技球（即ち、２球目以降の遊技球Ｔ２）を回収口４１１ｆの開口から受け入れて回収することができる。
【０５７０】
また、回収口４１１ｆの開口は、少なくとも退避状態、第１張出状態および第２張出状態のそれぞれの位置において、ベース部材４７０における第１方向側（立設壁４７１ａ側）の端部の鉛直方向下方に配設される。これにより、下変位ユニット４００が、退避位置、第１張出状態および第２張出状態のいずれに変位された場合でも球受部４６７の軌道領域から排出される遊技球（即ち、２球目以降の遊技球Ｔ２）を回収部材の開口から受け入れて回収することができる。
【０５７１】
なお、下変位部材４４０を退避状態（下変位部材４４０の長手方向を仮想線Ｈ１と水平に配置した状態）の位置で図６７（ａ）から（ｃ）及び図６８（ａ）から（ｃ）に示す球受部４６７の排出動作を行う場合は、下変位部材４４０の外側に払い出された遊技球が、回収口４１１ｆの内部に送球される。また、下変位部材４４０が第１張出状態（下変位部材４４０の長手方向が仮想線Ｈ１から角度θ回転された状態）の位置で球受部４６７の排出動作を行う場合は、下変位部材４４０の外側に払い出された遊技球が、上述したように回収口４１１ｆに送球される。
【０５７２】
次に図６９を参照して、２球目の遊技球Ｔ２が出射開口４７１から排出される際の構成について説明する。図６９（ａ）は、図６８（ｂ）の範囲ＬＸＩＸａにおける下変位部材４４０の部分拡大図であり、図６９（ｂ）は、図６８（ａ）の範囲ＬＸＩＸｂにおける下変位部材４４０の部分拡大図である。
【０５７３】
図６９に示すように、球受部４６７が発射動作の直前の第３位置まで変位されると、遊技球Ｔ２を立設壁４７１ａ側の球受部４６７の側面に当接させて、出射開口４７１から下変位部材４４０の外方に押し出すことができる。
【０５７４】
この場合、球受部４６７の脚部４６７ａが底壁部４８１ｂと立設壁４７１ａとの間に挿入されて球受部４６７が回転動作する際に遊技球Ｔ２と球受部４６７とを当接させることで、球受部４６７の回転の力を遊技球Ｔ２に伝達させることができる。その結果、遊技球Ｔ２を出射開口４７１から排出させやすくできる。また、球受部４６７が遊技球Ｔ２に当接された際の反発力を利用して球受部４６７を回転動作する前の状態に戻すことができる。よって、球受部４６７の軌道領域に送球された遊技球Ｔ２を排出する際に、球受部４６７に保持した１球目の遊技球Ｔ１が脱落することを抑制できる。
【０５７５】
さらに、下変位部材４４０は、球受部４６７が第２位置から第３位置方向（第１方向）へ変位する際の軌道領域に遊技球の半径よりも低い高さで立設されると共に凹部４８１ｂ１よりも第１方向側に位置する立設壁４７１ａを備え、球受部４６７の軌道領域へ送球された２球目以降の遊技球が球受部４６７の第１方向への変位に伴って移動されると、その遊技球Ｔ２が立設壁４７１ａと球受部４６７とに当接されて、球受部４６７の姿勢変化が規制可能に形成されるので、１球目の遊技球Ｔ１を球受部４６７が保持した状態を維持しつつ、２球目の以降の遊技球のみを軌道領域から排出しやすくできる。
【０５７６】
即ち、立設壁４７１ａは、底壁部４８１ｂの上面から立設先端までの高さが遊技球の半径よりも低い高さで立設されるので、球受部４６７の第１方向への変位に伴って脚部に押されて遊技球Ｔ２が移動されると、遊技球Ｔ２の下半面を立設壁４７１ａに当接させて、かかる立設壁４７１ａを遊技球が乗り越え易くできる。この場合、球受部４６７に遊技球Ｔ２が当接され（即ち、球受部４６７と立設壁４７１ａとの間に遊技球Ｔ２が介在され）、遊技球Ｔ２から球受部４６７へ反力を作用させることができるので、球受部の姿勢変化を規制でき、球受部４６７が保持している１球目の遊技球が脱落することを抑制できる。その結果、１球目の遊技球を球受部４６７が保持した状態を維持しつつ、２球目以降の遊技球Ｔ２のみを遊技領域から排出しやすくできる。
【０５７７】
一方、球受部４６７の軌道領域に２球目以降の遊技球Ｔ２が送球されていない場合には、立設壁４７１ａと球受部４６７との間に遊技球が介在されていないので、脚部４６７ａが凹部に４８１ｂ１に係合されることで、球受部４６７の姿勢を変化させることができる。その結果、球受部４６７の姿勢の変化を利用して１球目の遊技球Ｔ１（即ち、球受部４６７に保持されている遊技球）を球受部４６７から排出しやすくできる。
【０５７８】
次いで、図７０から図７２を参照して、振分けユニット５００について詳細な説明をする。図７０（ａ）は、振分けユニット５００の上面図であり、図７０（ｂ）は、振分けユニット５００の背面図である。図７１は、振分けユニット５００の分解正面斜視図であり、図７２は、振分けユニット５００の分解背面斜視図である。
【０５７９】
図７０から図７２に示すように、振分けユニット５００は、正面視略矩形の板状体に形成されるベース板５２０と、そのベース板５２０の正面側に取着されベース板５２０との対向間に球が流下可能な複数の流下経路を形成する経路形成部材５１０と、ベース板５２０の背面側に回転可能に取着される振分け部材５４０と、ベース板５２０の端面に取着されベース板５２０と経路形成部材５１０との対向間に形成される球の流下経路を延長する延長経路部材５３０とを主に備えて形成される。
【０５８０】
ベース板５２０は、背面側に突出する円柱状の軸部５２３と、その軸部５２３の軸を中心とする円弧形状に貫通形成される第１開口５２１と、その第１開口５２１よりも半径の大きい円弧形状に貫通形成される第２開口５２２と、上端の側面に上端側が開放する断面Ｕ字状形成されると共に左右方向に延設される転動部５２５と、背面側に鉤状に突出する係止部５２４とを主に備えて形成される。
【０５８１】
軸部５２３は、後述する振分け部材５４０の軸孔５４５に挿入されて、振分け部材５４０を回転可能な状態でベース部材に取着する軸であり、軸孔５４５の内径よりも小さい外径に形成される。
【０５８２】
第１開口５２１及び第２開口５２２は、後述する振分け部材５４０の規制板５４１及び貯留板５４２が挿通される開口であり、規制板５４１及び貯留板５４２の板の厚みよりも大きい幅の開口に形成される。また、振分け部材５４０は、回転可能な状態でベース板５２０に取着されるので、第１開口５２１及び第２開口５２２は、規制板５４１及び貯留板５４２の正面視における周方向の寸法よりも円弧の長さが大きく形成される。
【０５８３】
係止部５２４は、振分け部材５４０に形成される係止部５４４とで付勢ばねＳＰ４を係止する係合部であり、付勢ばねＳＰ４の一端が係止される。
【０５８４】
転動部５２５は、球が転動する底面であり、背面視左側（図７０（ｂ）左側）の一端に向かって下側に傾斜して形成されると共にＵ字に形成される湾曲形状が球の外形よりも大きく形成される。よって、転動部５２５を転動する球が転動部で停止することを抑制して、一端側に球を転動させることができる。
【０５８５】
また転動部５２５は、前後の側面からＵ字の内側に向かって突出する複数の突起５２５ｂと、一端側の端部に背面側に開口する開口５２５ａとを備える。
【０５８６】
突起５２５ｂは、前後の側面に一定の間隔を隔てて形成されると共に、前方側に形成される突起５２５ｂと背面側に形成される突起５２５ｂとが正面視において互い違いとなる位置に形成される。よって、転動部５２５を転動する球を、突起５２５ｂに衝突させることができるので、転動部５２５を転動する球の転動速度を遅くすることができる。
【０５８７】
ここで、上述したように、下変位ユニット４００の球受部４６７への球の送球は、球受部４６７を第１位置へ配置した状態で行われる（図６５（ａ）及び図６５（ｂ）参照）。そのため、第３送球経路ＫＲ３の転動部５２５を転動する遊技球の送球速度が速くされると、球受部４６７を第２位置へ移動する前に遊技球が下変位部材４４０の内部に送球される恐れがある。
【０５８８】
これに対し、本実施形態では、第３送球経路ＫＲ３の転動部５２５の内面に突設される複数の突起５２５ｂが形成され、第３送球経路ＫＲ３の転動部５２５を通過する遊技球に抵抗を付与することができるので、第３送球経路ＫＲ３を通過する遊技球の速度を遅くすることができる。よって、その分、切り替え位置（第１位置）から受け取り位置（第２位置）まで球受部４６７が変位する際に、必要とされる時間を長くできるので、球受部４６７に遊技球を確実に受け取らせることができる。また、球受部４６７に必要とされる変位速度を遅くできる分、駆動モータＫＭ２の変位速度の出力を小さくして、製品コストの削減を図ることができる。
【０５８９】
開口５２５ａは、転動部５２５の一端の背面側に開放して形成されており、その背面視における外形は球の大きさよりも大きく形成される。よって、転動部５２５を一端側に転動する球は、開口５２５ａから排出される。
【０５９０】
経路形成部材５１０は、ベース板５２０よりも左右方向の横幅が小さい矩形縦長の板状に形成されると共に、背面側に遊技球の外径よりも大きい複数の壁が形成され、その複数の壁の対向間を球の外径よりも大きく形成することで、その内部に複数の球の流下経路が形成される。
【０５９１】
経路形成部材５１０は、上端面に開口する第１開口５１１と、第１開口５１１の側壁の対向間に形成される第１送球経路ＫＲ１と、第１送球経路ＫＲ１に連結される第２送球経路ＫＲ２及び第３送球経路ＫＲ３と、第２送球経路ＫＲ２及び第３送球経路ＫＲ３の端部において経路形成部材５１０の側面に開口する第２開口５１２及び第３開口５１３と、前後方向に貫通形成される複数の開口５１４，５１５，５１６と、開口５１４，５１５，５１６の背面側の壁で形成される第４送球経路ＫＲ４と、その第４送球経路ＫＲ４の端部において経路形成部材５１０の側面に開口する第４開口５１７とを主に備えて形成される。
【０５９２】
第１開口５１１は、後述する送球ユニット６００から送球される球を振分けユニットの内部に流入させるための開口であり、経路形成部材５１０の上端の側面に形成されると共に、その外形が球よりも大きく形成される。また、第１開口５１１は、送球ユニット６００と連結されており送球ユニット６００から送球される球を流入可能とされる。
【０５９３】
第１送球経路ＫＲ１は、第１開口５１１から流入した球をベース板５２０及び経路形成部材５１０との対向間を流下させる経路であり、下方向に延設して形成される。また、第４送球経路ＫＲ４は、経路形成部材５１０の上下方向略３分の１程度に延設して形成されており下流の端部が、第２送球経路ＫＲ２及び第３送球経路ＫＲ３に連結される。即ち、第１送球経路ＫＲ１を流下する球が、第２送球経路ＫＲ２又は第３送球経路ＫＲ３に流下可能に形成される。
【０５９４】
第２送球経路ＫＲ２は、上述したように、第１送球経路ＫＲ１に連結されて形成される経路であり、下流側の端部が第２開口５１２に連結される。即ち、第１開口５１１から流下して第１送球経路ＫＲ１を流下する球が第２送球経路ＫＲ２へ流下すると、第２開口５１２から振分けユニット５００の外方へ排出される。
【０５９５】
第２開口５１２は、球を回収する回収経路（図示せず）に連結される。よって、第２開口から排出される球は、回収経路により回収される。また、第２開口５１２の内側（第２送球経路ＫＲ２の下流端）には、遊技球の通過を検出するセンサ装置ＳＥ２が配置される。よって、第３入賞口８２を通過する遊技球の球数をセンサ装置ＳＥ１で検出すると共に、第２送球経路ＫＲ２を通過する遊技球の球数をセンサ装置ＳＥ２で検出することで、第３送球経路ＫＲ３を通過する遊技球の個数を検知することができる。
【０５９６】
即ち、後述する規制板５４１の上流に所定の球数（１球）の遊技球が貯留されたか否かをセンサ装置ＳＥ１及びセンサ装置ＳＥ１の差で検知することができる。例えば、第３電動役物８２ａの一回の開放時に、第３入賞口８２（センサ装置ＳＥ１）を通過する球数が８個であり、第２送球経路ＫＲ２（センサ装置ＳＥ２）を通過する球数が７個の場合は、第３送球経路ＫＲ３に１球分の遊技球を流下（貯留）した状態であることを検出できる。
【０５９７】
第３送球経路ＫＲ３は、上述したように、第１送球経路ＫＲ１に連結されて形成される経路であり、下流側の端部が第３開口５１３に連結される。即ち、第１開口５１１から流下して第１送球経路ＫＲ１を流下する球が第３送球経路ＫＲ３へ流下すると、第３開口５１３から排出される。
【０５９８】
第３開口５１３は、ベース板５２０の転動部５２５の他端側（開口５２５ａの反対の端部側）の上方に形成される。よって、第３開口５１３から排出される球は、転動部５２５の内側に送球される。即ち、第３送球経路ＫＲ３に送球される球は、第３開口５１３を介して転動部５２５に送球される。
【０５９９】
開口５１４から５１６は、それぞれ遊技盤１３に形成される第３入賞口８２の背面側に形成されており、第３入賞口８２に入賞した球が送球される。即ち、遊技盤１３の正面側の遊技領域を流下する球が第３入賞口８２に入賞すると、球は開口５１４から５１６に振分けユニット５００の内部に送球される。
【０６００】
第４送球経路ＫＲ４は、開口５１４から５１６に連結して形成されており、下流側で１つの経路に連結されて、経路形成部材５１０の下端面に形成される第４開口に連結される。第４開口は、球を回収する回収経路（図示せず）に連結される。よって、遊技盤１３の第３入賞口８２に入賞した球は、振分けユニット５００の第４送球経路ＫＲ４に送球された後に、第４開口５１７から排出されて回収される。
【０６０１】
延長経路部材５３０は、下側が開放する断面Ｕ字に形成されると共に、左右方向に延設される。また、延長経路部材５３０は、そのＵ字の内径が球の外径よりも大きく形成される。よって、ベース板５２０の転動部５２５の上部に配設されることで、転動部５２５の上部に送球される球を、転動部５２５及び延長経路部材５３０の内側を送球可能にできると共に、転動部を転動する球が、転動部５２５から落下することを抑制できる。
【０６０２】
さらに、延長経路部材５３０は、転動部５２５に形成される突起５２５ｂと左右方向同じ位置に一定の間隔で形成される突起５３１が形成される。これにより、突起５２５ｂと同様に転動部５２５を転動する球の転動速度を遅くすることができる。
【０６０３】
振分け部材５４０は、一方が長く形成される正面視矩形に形成され、前後方向に所定の厚みを備えて形成される。振分け部材５４０は、正面側に板状体で突出する規制板５４１及び貯留板５４２と、上方の一端側に貫通形成される軸孔５４５と、背面側に鉤状に形成される係止部５４４とを主に備えて形成される。
【０６０４】
軸孔５４５は、上述したように、ベース板５２０の軸部５２３が挿入される貫通孔であり、前後方向に貫通して形成される。振分け部材５４０は、ベース板５２０の軸部５２３を軸孔５４５に挿通すると共に、背面側から軸孔よりも頭部の大きいネジ等を軸部５２３に締結することにより、ベース板５２０に回転可能な状態で取着される。
【０６０５】
規制板５４１は、第１開口５２１を介して第１送球経路ＫＲ１と第２送球経路ＫＲ２との連結部分に配置されて第１送球経路ＫＲ１を流下する球が第２送球経路ＫＲ２へ流入することを規制する板部材であり、軸孔５４５の正面側の端面よりも正面側に突出して形成されると共に、ベース板５２０から正面側への突出距離が球の半径よりも大きく設定される。
【０６０６】
また、規制板５４１は、軸孔５４５の軸を中心とする円弧状に湾曲して形成される。これにより、振分け部材５４０が軸孔５４５の軸を中心に回転変位された際に、規制板５４１の変位領域を最小にすることができる。
【０６０７】
貯留板５４２は、第２開口５２２を介して第２送球経路ＫＲ２上に配置され、第２送球経路ＫＲ２を流下する球を貯留板５４２の上流側に貯留する板部材であり、軸孔５４５の正面側の端面よりも正面側に突出して形成されると共に、ベース板５２０から正面側への突出距離が、球の半径よりも大きく設定される。
【０６０８】
また、貯留板５４２は、軸孔５４５の軸を中心とする円弧状に湾曲して形成されると共に、その円弧の半径が規制板５４１の湾曲部分の半径よりも大きく形成される。よって、貯留板５４２は、軸孔５４５から規制板５４１よりも離間した位置に形成される。これにより、規制板５４１を第１送球経路ＫＲ１と第２送球経路ＫＲ２との連結部分に突出させることができると共に、貯留板５４２を第２送球経路ＫＲ２上に配置することができる。さらに、振分け部材５４０が軸孔５４５の軸を中心に回転変位された際の変位領域を最小にすることができる。
【０６０９】
突起部５４３は、上述した下変位部材４４０の当接板４６４ｃに衝突されることで、振分け部材５４０に回転の駆動力を作用させる駆動伝達部材であり、振分け部材５４０の他端側に突出して形成される。即ち、振分け部材５４０の回転軸となる軸孔５４５が形成される一端側と反対側に、駆動力が伝達される突起部５４３が形成される。これにより、下変位部材４４０の当接板４６４ｃの衝突する力を小さくすることができる。
【０６１０】
従って、当接板４６４ｃを変位させる駆動モータＫＭ３の駆動力を小さくすることができるので、駆動モータＫＭ３の消費エネルギーを小さくすることができる。また、駆動の際に、当接板４６４ｃが突起部５４３と衝突する際のエネルギーを小さくできるので、当接板４６４ｃと突起部５４３とが衝突した際に衝突音を小さくすることができる。なお、当接板４６４ｃと突起部５４３との衝突の際の詳しい態様については後述する。
【０６１１】
さらに、突起部５４３の突出先端の当接板４６４ｃとの当接箇所は、円形状に膨出する膨出部５４３ａが形成される。膨出部５４３ａに当接板４６４ｃを当接させることで、当接板と振分け部材５４０との接地面積を小さくすることができる。従って、振分け部材５４０を回転変位させる際に、突起部５４３（膨出部５４３ａ）と当接板４６４ｃと摩擦抵抗を小さくすることができる。その結果、駆動モータＫＭ３の消費エネルギーが大きくなることを抑制できる。
【０６１２】
係止部５４４は、上述したようにベース板５２０の係止部５２４との間で付勢ばねＳＰ４を係止する部分である。よって、振分け部材５４０の他端側が常に係止部５２４側に回転する力を付与することができるので、振分け部材５４０がパチンコ機１０の振動等でゆれ動くことを抑制できる。
【０６１３】
次いで、図７３を参照して、振分けユニット５００の球の流下経路について詳しく説明する。図７３は、図７０（ａ）のＬＸＸＩＩＩ−ＬＸＸＩＩＩ線における振分けユニット５００の断面図である。なお、図７３では、振分け部材５４０が、鎖線で図示される。また、図７３では、振分け部材５４０が貯留位置に配置された状態が図示される。
【０６１４】
ここで、振分け部材５４０が貯留位置に配置された状態とは、振分け部材５４０が付勢ばねＳＰ４の付勢力により回転され、第２送球経路ＫＲ２上に貯留板５４２を配置した状態のことである。
【０６１５】
図７３に示すように、第１送球経路ＫＲ１は、その流下経路の下端側が、ベース板５２０の左右方向（図７３左右方向）の中央部分に向かって傾倒されると共に、その傾倒部分が緩やかなＳ字状に湾曲して形成される。また、Ｓ字状に湾曲した先端部分が第３送球経路ＫＲ３に連結され、第２送球経路ＫＲ２が、第１送球経路ＫＲ１の端部に第１送球経路ＫＲ１の傾倒する方向と反対方向に傾倒した状態で連結される。
【０６１６】
これにより、第１送球経路ＫＲ１を流下する球を傾倒部分の下面に衝突させることで、球の流下方向を重力方向から第１送球経路ＫＲ１の傾倒する方向に向けることができる。よって、球を第３送球経路ＫＲ３の入り口（第１送球経路ＫＲ１と第３送球経路ＫＲ３との連結部分）に向かって流下させることができる。従って、振分け部材５４０が配置されていない状態では、第１送球経路ＫＲ１を流下する球を第３送球経路ＫＲ３に送球することができる。
【０６１７】
ここで、遊技球が流下する流下経路と、その流下経路から分岐される第１分岐通路および第２分岐通路と、流下通路を流下した遊技球を第１分岐通路または第２分岐通路の一方へ振り分ける遊技機が知られている。
【０６１８】
しかしながら、従来の遊技機では、流下通路を流下した遊技球を第１分岐通路と第２分岐通路とへ１球ずつ交互に振り分ける構造であるため、流下通路を流下する遊技球が、第１分岐通路と第２分岐通路とに均等に（即ち、半数ずつ）振分けられる。即ち、第１分岐通路へ振り分ける遊技球の数を変更できないという問題点があった。
【０６１９】
これに対し、本実施形態では、変位可能に形成されると共に第３送球経路ＫＲ３から遊技球を受け取る球受部４６７を備え、球受部４６７に連動する当接板４６４ｃが振分け部材５４０に当接して変位されることで、振分け部材５４０が変位されるので、球受部４６７の変位に応じて、第３送球経路ＫＲ３または第２送球経路へ振り分ける遊技球の数を変更できる。即ち、第３送球経路ＫＲ３へ振り分ける遊技球の数を変更できる。
【０６２０】
なお、振分け部材５４０の変位は、球受部４６７の変位を利用して、振分け部材５４０を変位させることができるので、かかる振分け部材５４０を変位させるための駆動手段や伝達機構を別途設けることを不要とできる。よって、その分、部品点数を削減して、製品コストの削減を図ることができる。
【０６２１】
また、例えば、センサ装置による位置検出や駆動手段による駆動を利用して振分け部材５４０の変位を制御する構造では、検出不良や制御不良による誤作動によって、振分け部材の振分け動作の信頼性の低下を招くところ、本実施形態によれば、振分け部材５４０による振分け先を、球受部４６７の変位に機械的に同期させて切り換えることができるので、振分け動作の信頼性の向上を図ることができる。
【０６２２】
特に、球受部４６７は、第３送球経路ＫＲ３の転動部５２５から遊技球を受けとる部材であるので、かかる球受部４６７の変位に同期させて振分け部材５４０の振分け先を第３送球経路に切り替えることで、第３送球経路ＫＲ３に振分けられた遊技球を変位部材に確実に受け取らせることができる。
【０６２３】
さらに、従来の遊技機では、流下経路を流下する遊技球が、第１分岐通路または第２分岐通路の一方へ振り分けられるのみであるため、遊技者に興趣を与えることが不十分であった。
【０６２４】
これに対し、本実施形態によれば、規制板５４１（振分手段）による振り分け先が第３送球経路ＫＲ３（第１分岐通路）とされた状態では、第３における遊技球の流下を規制し、振分け部材５４０による振り分け先が、第２送球経路ＫＲ２（第２分岐通路）とされた状態では第３送球経路ＫＲ３における遊技球の流下を許容する貯留板５４２（流下状態変更手段）を備えるので、遊技者に興趣を与えることができる。
【０６２５】
即ち、規制板５４１による振り分け先が第３送球経路とされると、第３送球経路ＫＲ３へ振り分けられた遊技球の流下を規制して第３送球経路ＫＲ３に遊技球を貯留すると共に、規制板５４１による振り分け先が第２送球経路ＫＲ２とされると、第３送球経路ＫＲ３における遊技球の流下を許容し、第３送球経路ＫＲ３に貯留されていた遊技球を流下させる（開放する）ことができる。これにより、第１送球経路ＫＲ１（流下経路）を流下する遊技球を第３送球経路ＫＲ３又は、第２送球経路ＫＲ２の一方へ振り分ける動作に加え、第３送球経路ＫＲ３に振り分けられた遊技球を流下させる（開放する）動作を形成できる。更に、これら貯留および開放の動作を、振分け動作に連動して、交互に形成できる。その結果、遊技者に興趣を与えることができる。
【０６２６】
また、規制板５４１（振分手段）と貯留板５４２（流下状態変更手段）とが一体に形成される振分け部材５４０（一体部材）を備えるので、それら規制板５４１と貯留板５４２とを動作させる構造の簡素化と動作の信頼性の向上とを図ることができる、即ち、規制板５４１と貯留板５４２とが別体に形成される場合には、２部品となるため、それら２部品を動作させる構造が複雑化すると共に動作の信頼性の低下を招く。
【０６２７】
これに対し、本実施形態によれば、規制板５４１と貯留板５４２とを一部品として形成できるので、その分、構造を簡素化でき、製品コストの削減と動作の信頼性の向上とを図ることができる。
【０６２８】
さらに、振分け部材５４０は、貯留位置（第１状態位置）と規制位置（第２状態位置）とに変位可能に形成され、振分け部材５４０が貯留位置に変位された状態では、規制板５４１が第３送球経路ＫＲ３（第１分岐通路）を振分け先とする位置に配置され且つ貯留板５４２が第３送球経路ＫＲ３における遊技球の流下を規制する位置に配置され、振分け部材５４０が規制位置に変位された状態では、規制板５４１が第２送球経路ＫＲ２を振分け先とする位置に配置され且つ貯留板５４２が第３送球径路における遊技球の流下を許容する位置に配置されるので、振分け部材５４０を２位置（貯留位置および規制位置）で変位させることで、第１送球経路ＫＲ１（流下通路）を流下する遊技球を第３送球経路ＫＲ３又は第２送球経路の一方へ振り分ける動作に加え、第３送球経路ＫＲ３に振り分けられた遊技球の流下を一端停止させる（貯留する）動作と、その停止された（貯留された）遊技球を流下させる（開放する）動作とを形成できると共に、これら貯留および開放の動作を、振り分け動作に連動して、交互に形成できる。即ち、構造を簡素化して、製品コストの削減と動作の信頼性の向上とを図ることができる。
【０６２９】
振分け部材５４０（一体部材）は、回転可能に形成され、貯留板５４２（流下状態変更手段）は、第３送球経路ＫＲ３（第１分岐通路）に対して出没可能に形成され、第３送球経路ＫＲ３へ突出することで遊技球の流下を規制すると共に、振分け部材５４０の回転軸を中心とする円弧状に湾曲した形状に形成されるので、規制板５４１の出没の為に第３送球経路ＫＲ３の内壁に開口される孔（凹部５１９）の面積を小さくすることができる。
【０６３０】
貯留板５４２（流下状態変更手段）は、第３送球経路ＫＲ３（第１分岐通路）の上流を臨む側が凹となる姿勢で配設されるので、第３送球経路ＫＲ３への貯留板５４２が突出し始めた初期の状態（即ち、通路内へ流下状態変更手段の先端側のみが突出されている状態）において、貯留板５４２の先端側の形状を遊技球の流下を規制しやすい向きで配置でき、第３送球経路ＫＲ３に振り分けられた遊技球の流下を規制しやすくできる。
【０６３１】
また、貯留板５４２が、第３送球経路へ最大に突出され遊技球の流下を規制する状態では、貯留板５４２の凹により遊技球を安定して保持できるので、遊技球の暴れを抑制できる。
【０６３２】
振分けユニット５００は、振分け部材５４０（一体部材）に付勢力を付与して、規制板５４１が第３送球経路（第１分岐通路）へ突出する方向へ付勢する付勢ばねＳＰ４（付勢手段）を備え、規制板５４１から振分け部材５４０の回転軸までの距離が、規制板５４１から振分け部材５４０の回転軸までの距離よりも大きくされるので、付勢ばねＳＰ４の付勢力を利用して、振分け部材５４０を貯留板５４２が第３応急経路へ突出する姿勢（即ち、貯留位置）に維持しやすくできる。
【０６３３】
この場合、貯留板５４２から振分け部材５４０の回転軸までの距離が、規制板５４１から振分け部材５４０の回転軸までの距離よりも大きくされるので、流下する遊技球が衝突されると、回転軸からの距離が大きい分、同じ衝撃力が作用した場合でも、貯留板５４２が没入しやすいところ、付勢ばねＳＰ４の付勢方向が、貯留板５４２が第３送球経路ＫＲ３へ突出する方向とされることで、その付勢力の分、貯留板５４２が凹部５１９へ没入されることを抑制できる。
【０６３４】
また、振分け部材５４０（一体部材）は、その自重により貯留板５４２（流下状態変更手段）が第３送球経路（第１分岐通路）へ突出する方向へ回転されるので、かかる自重を利用して振分け部材５４０を、貯留板５４２が第３送球経路ＫＲ３へ突出する姿勢（即ち、貯留位置）に維持しやすくできる。よって、遊技球が衝突した場合には、その自重の分、貯留板５４２が凹部５１９へ没入されることを抑制できる。
【０６３５】
また、付勢ばねＳＰ４（付勢手段）が脱落した場合でも、振分け部材５４０を、その自重により、規制板５４１が第３送球経路ＫＲ３へ突出した姿勢に維持して、第３送球経路へ遊技球が流下することを抑制できる。
【０６３６】
さらに、振分け部材５４０に付勢力を付与して、振分け部材５４０による振分け先を第３送球経路ＫＲ３又は第２送球経路ＫＲ２の一方に維持させる付勢ばねＳＰ４を備え、球受部４６７が振分け部材５４０を付勢ばねＳＰ４の方向に抗する方向へ変位させることで、振分け部材５４０による振分け先が第３送球経路ＫＲ３または第２送球経路ＫＲ２の他方に切替えられると共に、付勢ばねの付勢力によって、振分け部材５４０による振分け先が第３送球経路ＫＲ３または第２送球経路ＫＲ２の一方に復帰される。
【０６３７】
従って、振分け部材５４０による振り分け先が不用意に切り換えられることを抑制できる。この場合、球受部４６７の変位に伴って振分け部材５４０が変位され、その振り分け先が切り替えられた後、切り替え前の振り分け先への復帰は、付勢ばねＳＰ４の付勢力により行うことができるので、球受部４６７に連動する当接板４６４ｃが振分け部材５４０と当接されていることを不要とできる。即ち、球受部４６７に連動する当接板４６４ｃを振分け部材５４０から離間させることができる。よって、球受部４６７の可動範囲の設計の自由度を高めることができる。
【０６３８】
次いで、図７４を参照して、振分け部材５４０の変位について説明する。図７４（ａ）及び（ｂ）は、図７３の範囲ＬＸＸＩＶにおける振分けユニット５００の部分拡大図である。なお、図７４（ａ）は、振分け部材５４０が貯留位置に位置する状態が、図７４（ｂ）は、振分け部材５４０が規制位置に位置する状態がそれぞれ図示される。また、振分け部材５４０が規制位置に配置された状態とは、振分け部材５４０の突起部５４３に下変位部材４４０の当接板４６４ｃが衝突して、振分け部材５４０が軸孔５４５の軸を中心に回転されて、第１送球経路ＫＲ１と第３送球経路ＫＲ３との連結部分に規制板５４１を配置した状態のことである。
【０６３９】
図７４（ａ）に示すように、振分け部材５４０が貯留位置に配置された状態では、貯留板５４２が第３送球経路ＫＲ３上に配置されると共に、規制板５４１が経路形成部材５１０の背面側の壁に形成される凹部５１８の内側に配置される。
【０６４０】
この場合、貯留板５４２の第３送球経路ＫＲ３の内側に突出した先端の端部とその先端と対向する第３送球経路ＫＲ３の内壁との距離寸法Ｌ１は、球の直径よりも小さくされる。よって、第３送球経路ＫＲ３の上流（第１送球経路ＫＲ１）から送球される球は、貯留板５４２の上流側に停止される。
【０６４１】
また、貯留板５４２の湾曲した部分の内側から第１送球経路ＫＲ１と第３送球経路ＫＲ３との連結部分までの距離寸法Ｌ２は、球の半径よりも大きく設定されると共に、球の直径よりも小さく設定される。これにより、貯留板５４２の上流側に停止される球の数を１球とすることができる。なお、以下では、貯留板５４２の上流側に球を１球停止させた振分けユニット５００の状態を貯留状態と称す。
【０６４２】
一方、図７４（ｂ）に示すように、振分け部材５４０が、規制位置に配置された状態では、規制板５４１が第１送球経路ＫＲ１と第３送球経路ＫＲ３との連結部分に配置されると共に、貯留板５４２が、経路形成部材５１０の背面側の壁部に形成される凹部５１９の内側に配置される。
【０６４３】
この場合、規制板５４１の第１送球経路ＫＲ１内側に突出した先端の端部と第３送球経路ＫＲ３の入り口の内壁までの距離寸法Ｌ３は、球の直径よりも小さくされる。よって、第１送球経路ＫＲ１を流下する球は、規制板５４１に衝突して、第２送球経路ＫＲ２に送球される。
【０６４４】
即ち、振分け部材５４０を規制位置と貯留位置とで切り換えることで、第１送球経路ＫＲ１を送球される球を第３送球経路ＫＲ３に送球して、第３送球経路ＫＲ３上に停止させる状態と、第１送球経路ＫＲ１を流下する球を第３送球経路ＫＲ３に流入不能として、第２送球経路ＫＲ２に送球される状態とを形成することができる。
【０６４５】
よって、１つの振分け部材５４０を変位させることで、１の流下する経路から２の流下する経路に分かれる場合に、球の流下経路をどちらかに確実に切り替えることができる。
【０６４６】
また、付勢ばねＳＰ４は、振分け部材５４０に付勢力を付与して、振分け部材５４０による振り分け先を第２送球経路ＫＲ２に維持させるので、球受部４６７が遊技球を受け取り不能な状態において、振分け部材５４０による振り分け先が第３送球経路に切り替えられることを抑制できる。
【０６４７】
さらに、規制板５４１（振分手段）は、第１送球経路ＫＲ１（流下通路）または第３送球経路ＫＲ３（第１分岐通路）に対して出没可能に形成されると共に、その出没位置が、第１送球経路ＫＲ１の下流端における流下方向の延長線上における内壁とされるので、第１送球経路ＫＲ１の下端側から流下する遊技球に近い位置で、規制板５４１を突出させることができる。よって、規制板５４１を流下通路または第３送球経路ＫＲ３（第１分岐通路）へ突出させ始めてから遊技球を振り分けできる状態となるまでに要する時間を短くすることができる。その結果、規制板５４１による振り分け先の切り替えを確実に行うことができる。
【０６４８】
また、規制板５４１（振分手段）は、第３送球経路ＫＲ３（第１分岐通路）に突出されることで、第１送球経路ＫＲ１（流下通路）を流下する遊技球を第２送球経路（第２分岐通路）へ振り分けるものであり、規制板５４１の突出方向が、第２送球経路ＫＲ２の上流端を指向する方向に設定されるので、第１送球経路ＫＲ１を流下する遊技球が突出動作の途中の規制板に当接した場合には、かかる遊技球を規制板の突出動作に伴って、第２送球経路ＫＲへ押し込むことができる。その結果、第２送球経路ＫＲ２への振り分けをより確実に行うことができる。
【０６４９】
なお、本実施形態では、振分け部材５４０の規制板５４１が、貯留板５４２よりも軸孔５４５と近接した位置に配置されるが、規制板５４１が規制板５４１よりも軸孔５４５と離間した位置に配置されてもよい。即ち、振分け部材５４０の軸孔５４５を図７４（ａ）及び図７４（ｂ）に示す第３送球経路ＫＲ３の下流側の背面のポイントＰの位置に振分け部材５４０の軸を配置してもよい。この場合、振分け部材５４０に形成される規制板５４１及び貯留板５４２の配置位置は、本実施形態と同一の位置に形成される。
【０６５０】
軸孔５４５をポイントＰに配置した状態では、振分け部材５４０を回転変位させた際の規制板５４１の変位速度を貯留板５４２よりも早くできる。そのため、後述するように振分け部材５４０を貯留位置から規制位置に変位させた際には、規制板５４１を早く流下経路上に突出させることができる。その結果、規制位置から貯留位置に振分け部材５４０を切り替えたタイミングで、第１送球経路ＫＲ１を流下する遊技球が第３送球経路ＫＲ３に流入することを抑制することができる。
【０６５１】
また、この場合、規制板５４１及び貯留板５４２の正面視における形状は、ポイントＰを中心とする円弧状に形成される。これにより、振分け部材５４０が規制位置から貯留位置（又は反対）に変位される際に規制板５４１及び貯留板５４２の変位領域を最小とすることができる。さらに、規制板５４１及び貯留板５４２を第３送球経路ＫＲ３の外側に受け入れる凹部５１８，５１９は、規制板５４１及び規制板５４１の変位軌跡に沿った凹設形状とされる。
【０６５２】
次いで、図７５及び図７６を参照して、振分け部材５４０が貯留位置に配置される際に、送球経路から２球以上の球が送球された場合の説明をする。図７５（ａ）及び（ｂ）は、振分けユニット５００の部分拡大図である。図７６（ａ）及び（ｂ）は、振分けユニット５００の部分拡大図である。
【０６５３】
なお、図７８（ａ）及び（ｂ）は、図７４（ａ）の振分けユニット５００の部分拡大図と対応する。また、図７５（ａ）から図７６（ｂ）までは、球が流入された際の球の遷移状態が順に図示される。さらに、図７５（ａ）から図７６（ｂ）は、振分け部材５４０が貯留位置に配置された状態とされる。
【０６５４】
図７５（ａ）及び（ｂ）に示すように、振分け部材５４０が貯留位置に配置された状態で、１球目の遊技球Ｔ１が第１送球経路ＫＲ１に送球されると、上述したように、遊技球Ｔ１は、第３送球経路ＫＲ３に送球されて、貯留板５４２の上方に停止される。
【０６５５】
この場合、貯留板５４２は、第３送球経路ＫＲ３の上端から球の半径から直径の間の距離下流側に配置された位置とされるので、貯留板５４２の上部に停止された球の一部が、第１送球経路ＫＲ１側に突出された状態とされる（図７５参照）。
【０６５６】
よって、第３送球経路ＫＲ３（第１分岐通路）は、上述したように、下流へ向けて下降傾斜して形成されると共に、その重力方向側の内壁を遊技球が転動可能に形成され、貯留板５４２（流下状態変更手段）は、重力方向下側の内壁から第３送球経路ＫＲ３内へ出没可能に形成されるので、貯留板５４２を第３送球経路ＫＲ３内へ突出させ始めてから遊技球の流下を規制できる状態となるまでに要する時間を短くすることができる。その結果、規制板５４１の振り分け先が第２送球経路ＫＲ２（第２分岐通路）から第３送球経路ＫＲ３に切り替えられ、第３送球経路ＫＲ３に遊技球が振分けられた際に、その遊技球の流下の規制に貯留板５４２の突出を間に合わせ易くできる。
【０６５７】
また、規制板５４１は、第３送球経路ＫＲ３に対して出没可能に形成され、第３送球経路ＫＲ３に最大に突出した状態では、突出する方向の力成分が遊技球から貯留板５４２へ作用されるので、第３送球経路ＫＲ３へ振り分けられた遊技球の流下を規制する際に、その遊技球が衝突した際の衝撃で貯留板５４２が凹部５１９に没入することを抑制できる。よって、遊技球の流下を規制しやすくできる。
【０６５８】
次に、図７６（ａ）及び（ｂ）に示すように、振分けユニット５００が貯留状態の場合に第１送球経路ＫＲ１に２球目の遊技球Ｔ２が送球されると、遊技球Ｔ２は、第１送球経路ＫＲ１から第３送球経路ＫＲ３の上端に方向に送球される。第３送球経路ＫＲ３の上端部には遊技球Ｔ１が停止された状態とされるので、遊技球Ｔ２は、遊技球Ｔ１に衝突して第２送球経路ＫＲ２に送球される。
【０６５９】
この場合、上述したように、遊技球Ｔ１は、第１送球経路ＫＲ１側に突出した状態とされるので、遊技球Ｔ２を第３送球経路ＫＲ３の内側に送球することなく第２送球経路ＫＲ２に案内することができるので、遊技球Ｔ２を第３送球経路ＫＲ３の内部に留まることなく第２送球経路ＫＲ２に送球することができる。よって、第１送球経路ＫＲ１及び第２送球経路ＫＲ２の送球を安定させることができる。
【０６６０】
即ち、第１送球経路ＫＲ１（流下通路）における第２送球経路ＫＲ２（第２分岐通路）を望む側の内壁は、第１送球経路ＫＲ１を流下する遊技球を、第３送球経路ＫＲ３（第１分岐通路）に貯留された規定数（１球）の遊技球のうちの末尾の遊技球を第３送球経路ＫＲ３の側面へ案内可能に形成されるので、第１送球経路ＫＲ１を流下する遊技球を、規定数の遊技球のうちの末尾の遊技球に衝突させた後、第２送球経路ＫＲ２へ流下させやすくできる。
【０６６１】
なお、規定数の遊技球のうち、末尾の遊技球とは、上流側（規制板５４１と反対側）に位置する遊技球を意味する。また、本実施形態では、規定数は１球に設定される。この場合、末尾の遊技球は、第３送球経路ＫＲ３に貯留されている遊技球そのものを意味する。
【０６６２】
また、上述したように、第１送球経路ＫＲ１（流下通路）は、その流下経路の下端側が、ベース板５２０の左右方向（図７３左右方向）の中央部分に向かって傾倒されると共に、その傾倒部分が緩やかなＳ字状に湾曲して形成される。即ち、第１送球経路ＫＲ１（流下通路）の下流端の流下方向は、第３送球経路ＫＲ３の上流端の流下方向に形成されるので、第１送球経路ＫＲ１を流下する遊技球が、第３送球経路に貯留された規定数の遊技球のうちの末尾の遊技球に衝突した際に、末尾の遊技球に作用される反発力の方向を第３送球経路ＫＲ３の上流端の流下方向と異ならせることができる。その結果、衝突の際の反発力で、末尾の遊技球が第３送球経路ＫＲ３の上流端から飛び出して、第２送球経路ＫＲ２へ流入されることを抑制できる。
【０６６３】
さらに、第３送球経路ＫＲ３の上端部は、第１送球経路ＫＲ１の下端部の傾斜方向に傾斜して形成されるので、遊技球Ｔ２が遊技球Ｔ１と衝突する位置を遊技球Ｔ１の上半球にすると共に、第２送球経路ＫＲ２側とすることができる。よって、遊技球Ｔ１に衝突した遊技球Ｔ２の跳ね返り方向を第２送球経路ＫＲ２の入り口（上端）側とすることができる。従って、遊技球Ｔ１に衝突する遊技球Ｔ２を第２送球経路ＫＲ２に送球しやすくできる。その結果、第１送球経路ＫＲ１及び第２送球経路ＫＲ２に球が停滞することを抑制できる。
【０６６４】
また、規制板５４１による振り分け先が、第３送球経路ＫＲ３（第１分岐通路）とされると共に第３送球経路ＫＲ３における遊技球の流下が貯留板５４２（流下状態変更手段）により規制され、第３送球経路ＫＲ３に規定数（１球）の遊技球が貯留された状態では、第１送球経路ＫＲ１（流下通路）を流下する遊技球が第２送球経路ＫＲ２（第２分岐通路）へ流下可能に形成されるので、規定数以上の遊技球が流下通路を流下する場合に、規定数を超える分の遊技球（２球目以降の遊技球Ｔ２）が第１送球経路ＫＲ１に滞ることを抑制できる。よって、規制板５４１の変位（振り分け先を第２送球経路ＫＲ２とする動作）が、第１送球経路ＫＲ１に滞った遊技球によって阻害されることを抑制できる。
【０６６５】
次いで、図７７を参照して、振分け部材５４０が規制位置に配置される際に、送球経路に球が送球された場合の説明をする。図７７（ａ）及び（ｂ）は、振分けユニット５００の部分拡大図である。
【０６６６】
なお、図７７（ａ）及び（ｂ）は、図７４（ａ）の振分けユニット５００の部分拡大図と対応する。また、図７７（ａ）及び（ｂ）は、球が流入された際の球の遷移状態がそれぞれ図示される。さらに、図７７（ａ）及び（ｂ）は、振分け部材５４０が規制位置に配置された状態とされる。
【０６６７】
図７７（ａ）及び（ｂ）に示すように、振分け部材５４０が規制位置に配置された状態で第１送球経路ＫＲ１に球が送球されると、送球された遊技球Ｔ１は、第１送球経路ＫＲ１の下端で規制板５４１に衝突する。これにより、遊技球Ｔ１は、第２送球経路ＫＲ２に案内されて、第２送球経路ＫＲ２を流下する。
【０６６８】
次いで、図７８を参照して、第３送球経路ＫＲ３の下流側に球を流下させる際の動作について説明する。図７８（ａ）及び（ｂ）は、振分けユニット５００の部分拡大図である。
【０６６９】
なお、図７８（ａ）及び（ｂ）は、図７４（ａ）の振分けユニット５００の部分拡大図と対応する。また、図７８（ａ）及び（ｂ）は、球が流入された際の球の遷移状態がそれぞれ図示される。さらに、図７８（ａ）は振分け部材５４０が貯留位置に配置された状態が、図７８（ｂ）は振分け部材５４０が規制位置に配置された状態が、それぞれ図示される。
【０６７０】
図７８（ａ）及び（ｂ）に示すように、振分けユニット５００が貯留状態（図７８（ａ）に示す状態）とされた際に、振分け部材５４０が変位されて規制位置に配置されると、貯留板５４２の上方に停滞された遊技球Ｔ１が第３送球経路ＫＲ３の下流側に流下される。
【０６７１】
即ち、第３送球経路ＫＲ３への球の流下は、貯留板５４２の上方に停滞された球のみとされる。また、上述したように貯留板５４２の上方に停滞する球は、１とされるので第３送球経路ＫＲ３への球の流下を１球ずつ行うことができる。よって、第３送球経路ＫＲ３の下流側に流下される球の数を安定させることができるので、第３送球経路ＫＲ３に意図しない球数の球が流下されることを抑制できる。
【０６７２】
よって、振分け部材５４０（振分手段）は、その振分け部材５４０の変位に伴って第３送球経路（第１分岐通路）に対して出没可能に形成される規制板５４１（第１出没部）及び貯留板（第２出没部）を備え、規制板５４１は、第３送球経路へ突出することで、第１送球経路ＫＲ１（流下通路）を流下する遊技球を第２送球経路ＫＲ２（第２分岐通路）へ振り分け可能に形成され、貯留板５４２は、規制板５４１よりも第３送球経路ＫＲ３の下流側に位置すると共に、第３送球経路ＫＲ３に突出することで、第３送球経路ＫＲ３に振り分けられた遊技球の流下を規制可能に形成され、それら規制板５４１及び貯留板５４２は、一方が第３送球経路ＫＲ３の通路内へ突出した状態では他方が第３送球経路ＫＲ３の通路外（凹部５１８，５１９の内側）に退避されるので、球受部４６７（変位部材）の変位に伴って振分け部材５４０を変位させることで、規定数（１球）の遊技球のみを第３送球経路ＫＲ３へ振り分けて球受部４６７に受け取らせることができる。
【０６７３】
即ち、規制板５４１が突出することで、第１送球経路ＫＲ１を流下する遊技球を第２送球経路へ振り分ける第１の状態と、規制板５４１は退避することで、第１送球経路ＫＲ１を流下する遊技球を第３送球経路へ振り分ける第２の状態と、第２出没部が突出することで、第３送球経路ＫＲ３へ振り分けられた遊技球の流下を規制（遊技球を貯留）する第３の状態と、第２出没部が退避することで、第３送球経路に貯留されていた遊技球を流下させて球受部へ受け取らせる第４の状態とを形成することができ、これら各状態を組み合わせることで、規定数（１球）の遊技球のみを第３送球経路ＫＲ３へ振り分けて球受部４６７に受け取らせることができる。
【０６７４】
また、振分け部材５４０が、規制板５４１及び５４２を備える、即ち、１の部品として形成されるので、振分け部材５４０の構造（規制板５４１及び貯留板５４２を動作させ、それらの機能を発揮させるための構造）を簡略かできる。更に、規制板５４１及び貯留板５４２は、一方が第３送球経路ＫＲ３の通路内へ突出した状態では、他方が第３送球経路ＫＲ３の通路外へ退避されるので、球受部４６７の２つの位置（第１位置および第２位置）に応じて、振分け部材５４０も２つの位置に変位可能に形成されれば足りる。即ち、振分け部材５４０を２つの位置で変位させることで、上述した第１から第４の状態を形成できる。よって、振分け部材５４０の構造および球受部４６７の変位に伴い振分け部材５４０を変位させる構造を簡素化でき、その分、遊技球の振り分け動作の信頼性の向上を図ることができる。
【０６７５】
次いで、図７９から図８０を参照して、振分けユニット５００及び下変位ユニット４００について説明する。図７９は、振分けユニット５００及び下変位ユニット４００の正面図である。図８０は、振分けユニット５００及び下変位ユニット４００の上面図である。なお、下変位ユニット４００は、退避位置に配置された状態が図示される。
【０６７６】
図７９及び図８０に示すように、振分けユニット５００は、下変位ユニット４００の正面側（図８０下側）に配置される。この場合、振分けユニット５００の転動部５２５に形成される開口５２５ａと、下変位部材４４０の装飾部材４５０に形成される開口４５１ａとが前後方向に重なる位置に配置される。よって、転動部５２５を転動される球は、開口５２５ａ及び開口４５１ａを介して下変位部材４４０の内部に送球される。
【０６７７】
言い変えると、下変位部材４４０への球の送球は、遊技盤１３の前方の遊技領域を流下する球を遊技盤１３に形成される第３入賞口８２から送球ユニット６００及び振分けユニット５００を介して行われる。
【０６７８】
よって、振分けユニット５００は、球受部４６７の軌道領域に連通される転動部５２５を備え、振分け部材５４０は、転動部５２５における遊技球の通過を規制するので、例えば、振分け部材５４０に動作不良が生じ、２球目以降の遊技球Ｔ２が送球された場合でも、２球目以降の遊技球Ｔ２を、転動部５２５を介して、振分け部材５４０の軌道領域へ確実に送球させることができる。その結果、２球目以降の遊技球Ｔ２による不具合を生じ難くできる。
【０６７９】
次いで、図８１から図８６を参照して、振分け部材５４０と下変位部材４４０との関係について説明する。図８１、図８３及び図８５は、下変位ユニット４００の正面図であり、図８２、図８４及び図８６は、振分けユニット５００の断面図である。なお、図８１、図８３及び図８５では、下変位部材４４０の装飾部材４５０及び正面ケース４８１が透明視されると共に、正面側に配設される振分けユニット５００の振分け部材５４０のみが図示される。また、図８２、図８４及び図８６では、振分け部材５４０が鎖線で図示されると共に、背面側に配設される下変位部材４４０の当接板４６４ｃが鎖線で図示される。
【０６８０】
さらに、図８１及び図８２では、下変位部材４４０の球受部４６７が第１位置に、振分け部材５４０が規制位置にそれぞれ配置された状態が図示されると共に、下変位部材４４０が退避状態に位置する状態が図示される。図８３及び図８４では、下変位部材４４０の球受部４６７が第２位置に、振分け部材５４０が貯留位置にそれぞれ配置された様態が図示されると共に、下変位部材４４０が退避状態に位置する状態が図示される。図８５及び図８６では、下変位部材４４０の球受部４６７が第１位置に、振分け部材５４０が貯留位置にそれぞれ配置された状態が図示されると共に、下変位部材４４０が第１張出状態に位置する状態が図示される。
【０６８１】
図８１及び図８２に示すように、下変位部材４４０が退避状態に配置された状態および下変位部材４４０の球受部４６７が第１位置に配置された状態では、上述したように球受部４６７を駆動するラック４６６が下変位部材４４０の他端側（下変位部材４４０の正面視左側）に配置されると共に、背面側に可動ラック４６４が前後方向に重なった状態に配置される。
【０６８２】
即ち、可動ラック４６４は、ラック４６６と同様に、下変位部材４４０の他端側（下変位部材４４０の正面視左側）に配置された状態とされる。よって、可動ラック４６４に形成される当接板４６４ｃは、下変位部材４４０の他端側に位置される。この場合、当接板４６４ｃの他端側の側面（正面視左側の面）が、振分け部材５４０の突起部５４３に当接した状態とされる。これにより、振分け部材５４０は、軸孔５４５の軸を中心に回転の駆動力が作用されて、規制板５４１を第１送球経路ＫＲ１に突出させた位置（規制位置）に変位される。
【０６８３】
従って、下変位部材４４０が退避状態にされると共に、球受部４６７が第１位置に配置された状態では、振分けユニット５００の第１送球経路ＫＲ１に送球される球は、第３送球経路ＫＲ３に流下されず、第２送球経路ＫＲ２に送球される。また、上述したように、貯留板５４２の上方に球を貯留した貯留状態から振分け部材５４０を規制位置へ変位させることで、第３送球経路ＫＲ３の下流側（貯留板５４２の下流側）に遊技球を送球できる。この際に、球受部４６７を球受動作させることで球受部４６７の内側に遊技球を送球することができる。
【０６８４】
なお、遊技球を振分けユニット５００に貯留した状態とするための第３電動役物８２ａの開放動作は、球受部４６７が第１位置に変位する前に行われ、球受部４６７が第１位置に変位される際には、第３電動役物８２ａが閉鎖した状態とされる。これにより、振分け部材５４０を貯留位置から規制位置に変位させた際に、第１送球経路ＫＲ１を通過する遊技球が規制板５４１及び貯留板５４２により流下が規制されず、意図しない遊技球が第３送球経路ＫＲ３の下流側に送球されることを抑制できる。
【０６８５】
また、振分け部材５４０は、球受部４６７の変位に連動して動作可能に形成されるので、球受部４６７の変位に応じて、球受部４６７の軌道領域への遊技球の送球を規制または、許容できる。即ち、遊技球の送球の規制または許容を、球受部４６７の変位に機械的に同期させて切り替えることができるので、例えば、振分け部材５４０の位置を検出するセンサの検出結果に応じて振分け部材５４０を駆動する、駆動手段、或いは、それら各手段の制御を不要とでき、その分、製品コストの削減を図ることができると共に、動作の信頼性の向上を図ることができる。
【０６８６】
さらに、振分け部材５４０は、球受部４６７が第２位置から第１位置方向（第２方向）へ変位されることに連動して、球受部４６７の軌道領域へ遊技球Ｔ２を送球することを許容するので、球受部４６７の軌道領域であって、球受部４６７よりも第１方向側の領域に遊技球を確実に送球させることができる。
【０６８７】
また、球受部４６７は、振分け部材５４０を切り替える切り替え位置とその切り替え位置（第１位置）とは異なる位置に設定される受け取り位置（第２位置）とに、変位可能に形成され、球受部４６７が切り替え位置に変位された状態では、振分け部材５４０による振り分け先が第３送球経路ＫＲ３に切り替えられ、球受部４６７が受け取り位置に変位された状態では、第３送球経路から球受部４６７が遊技球を受け取り可能とされると共に、振分け部材５４０による振り分け先が第２送球経路ＫＲ２に切り替えられるので、球受部４６７が球を受け取り可能な規定数（本実施形態では１球）を超えた遊技球が第３送球経路ＫＲ３に振り分けられることを抑制できる。
【０６８８】
即ち、切り替え位置と受け取り位置とを同一の位置に設定した場合には、振分け部材５４０による振り分け先が第３送球経路へ切り替えられた状態のままで、球受部４６７が遊技球を受け取るため、球受部４６７が受け取り可能な規定数を超えて遊技球が第３送球経路ＫＲ３へ振り分けられる恐れがある。第３送球経路ＫＲ３への遊技球の流入を規制する手段を別途設けた場合には、構造が複雑化して信頼性が低下すると共に、製品コストの増加を招く。
【０６８９】
これに対し、実施形態では、球受部４６７が切り替え位置へ変位され、規定数（本実施形態では１球）の遊技球が第３送球経路ＫＲ３へ振り分けられた後に、振分け部材５４０が受け取り位置へ変位されると、振り分け先が第２送球経路ＫＲ２へ切り替えられた状態とされるので、第３送球経路へ１球を超えた遊技球が流下しないようにできる。よって、球受部４６７が、受け取り可能な規定数（１球）を超えた遊技球が第３送球経路ＫＲ３へ振り分けられることを抑制できる。また、上述した手段（第３送球経路ＫＲ３への遊技球の流入を規制する手段）を別途設ける必要がないので、信頼性の向上と製品コストの低減とを図ることができる。
【０６９０】
また、パチンコ機１０は、電源を入れた（オンした）際に、各動作ユニットが電源を切った（オフした）位置から始動する。さらに、パチンコ機１０の電源を切った場合にその制御のみがリセットされる可能性がある。その場合、振分け部材５４０が駆動手段を備えるものであると、電源入れた際に、貯留状態の振分けユニット５００が初期動作の際に動作して第３送球経路ＫＲ３に遊技球を流下させて、第３位置に配置された球受部４６７の退避側（第１位置側）に遊技球が送球される恐れがある。
【０６９１】
これに対し、本実施形態では、振分け部材５４０の変位と球受部４６７の変位とが同期されるので、パチンコ機１０が所定の基準位置に位置しない状態で電源が切られたとしても、パチンコ機１０の電源を投入した際に意図しない遊技球が球受部４６７の軌道領域に送球されることを抑制できる。その結果、下変位部材４４０の内部に遊技球が詰まることを抑制できる。
【０６９２】
さらに、下変位部材４４０の軌道領域に遊技球を残した状態で、電源がオフされた場合には、球受部４６７に上述した排出動作させることで、球受部４６７の軌道領域に残された遊技球を下変位部材４４０の外方に排出して、回収口４１１ｆから回収することができる。
【０６９３】
次いで、図８３及び図８４を参照して説明する。図８３及び図８４に示すように、下変位部材４４０が退避状態に配置された状態および下変位部材４４０の球受部４６７が第２位置または第３位置（第１位置以外の位置）に配置された状態では、上述したように、球受部４６７を駆動するラック４６６が下変位部材４４０の左右方向（図８３左右方向）略中央位置に配置されると共に、可動ラック４６４が下変位部材４４０の他端側（図８３左右方向左側）の端部から、一端側に可動した位置に配置される。
【０６９４】
よって、可動ラック４６４に形成される当接板４６４ｃは、下変位部材４４４０の他端側の端部から一端側に離間した位置に配置される。この場合、当接板４６４ｃの他端側の面（正面視左側の面）が、振分け部材５４０の突起部５４３と離間した状態とされる。これにより、振分け部材５４０は、振分け部材５４０とベース板５２０との間に介設される付勢ばねＳＰ４の付勢力により軸孔５４５の軸を中心に回転されて、貯留板５４２を第３送球経路ＫＲ３に突出させた位置（貯留位置）に変位される。
【０６９５】
従って、下変位部材４４０が、退避状態にされると共に、球受部４６７が第２位置または第３位置（第１位置以外の位置）に配置された状態では、振分けユニット５００の第１送球経路ＫＲ１に送球される球が、貯留板５４２の上方に停止した状態とされる。また、上述したように、振分けユニット５００が貯留状態の場合に第１送球経路ＫＲ１に送球される球は、貯留板５４２の上方に停止した球と衝突して第２送球経路ＫＲ２に送球される。
【０６９６】
次いで、図８５及び図８６を参照して説明する。図８５及び図８６に示すように、下変位部材４４０が第１張出状態または第２張出状態に配置された状態では、上述したように下変位部材４４０が、正面ベース４１１に対してスライド変位されると共に回転変位される。よって、可動ラック４６４に形成される当接板４６４ｃは、下変位部材４４０の変位に伴って変位され、振分け部材５４０の突起部５４３と離間した状態とされる。これにより、振分け部材５４０は、振分け部材５４０とベース板５２０との間に介設される付勢ばねＳＰ４の付勢力により軸孔５４５の軸を中心に回転されて、貯留板５４２を第３送球経路ＫＲ３に突出させた位置（貯留位置）に変位される。
【０６９７】
従って、下変位部材４４０が、第１張出状態または第２張出状態とされると、振分けユニット５００の第１送球経路ＫＲ１に送球される球が、貯留板５４２の上方に停止した状態とされる。また、上述したように、振分けユニット５００が貯留状態の場合に第１送球経路ＫＲ１に送球される球は、貯留板５４２の上方に停止した球と衝突して第２送球経路ＫＲ２に送球される。
【０６９８】
即ち、下変位部材４４０が、第１張出状態および第２張出状態（退避状態以外の状態）とされる場合には、下変位部材４４０の変位に伴って、装飾部材４５０の開口４５１ａの位置が変位するために、開口４５１ａと振分けユニット５００の開口５２５ａとの球の連通状態が解除される。そのため、第３送球経路ＫＲ３に球を流下すると、開口４５１ａから球が背面ケース３００の内部に排出される恐れがあるところ、本実施形態では、振分け部材５４０を貯留位置とすることで第３送球経路ＫＲ３の下流側に球が流下することを抑制することができる。その結果、背面ケース３００の球が内部に球が排出されることを抑制できる。
【０６９９】
言い変えると、下変位ユニット４００の下変位部材４４０は、退避状態、第１張出状態および第２張出状態とで変位可能に形成され、退避状態に下変位部材４４０が位置する際に、下変位部材４４０に球受部４６７が配設されるので、下変位部材４４０を退避状態に配置した状態で球受部４６７を変位させる態様と、第１又は第２張出状態に配置した状態で球受部４６７を変位させる態様とを形成することができる。よって、その分、演出効果を高めることができる。
【０７００】
この場合、下変位部材４４０が第１又は第２張出状態に配置された状態では、球受部４６７が第３送球経路ＫＲ３の転動部５２５から遊技球を受け取り不能（第３送球経路ＫＲ３の転動部５２５と下変位部材４４０の開口４５１ａとが非連通の状態）とされるところかかる状態では、球受部４６７に連動する当接板４６４ｃが振分け部材５４０に当接不能とされるので、球受部４６７は遊技球を受け取り不能な状態（下変位部材４４０が第１張出状態または第２張出状態に配置された状態）において、振分け部材５４０による振り分け先が第３送球経路ＫＲ３に切り替えられることを抑制できる。
【０７０１】
また、振分け部材５４０は、下変位部材４４０のベース部材４７０と別部材として形成される振分けユニット５００のベース板５２０に配設されるので、その分、下変位部材４４０のベース部材４７０の大型化を抑制することができる。
【０７０２】
ここで、下変位部材４４０の第１張出状態から退避状態への変位は左右方向への回転変位だけでなく回転変位もされるため、傾倒状態の当接板４６４ｃその回転変位をした際に、当接板４６４ｃの上面に振分け部材５４０の突起部５４３が当接して振分け部材５４０が回転変位できない恐れがある。
【０７０３】
これに対し、本実施形態では、下変位ユニット４００が、図８５に示す第１張出位置に変位した状態から、退避状態に変位する場合には、球受部４６７を第１位置以外の箇所（第２位置または第３位置）に変位させた状態とされる。これにより、退避状態に変位した下変位部材４４０の当接板４６４ｃが、突起部５４３と衝突することを抑制できる。その結果、当接板４６４ｃの上面に振分け部材５４０の突起部５４３が当接して振分け部材５４０が回転変位できなくなることを抑制できる。
【０７０４】
また、振分け部材５４０は、上述したように膨出部５４３ａが形成されるので、制御不良等により、下変位ユニット４００を第１張出状態から退避状態に変位させる際に、当接板４６４ｃの上面に振分け部材５４０の突起部５４３が当接した場合にも、振分け部材５４０を回転変位させることができる。
【０７０５】
即ち、膨出部５４３ａにより当接板４６４ｃとの接地面積を小さくできるので、当接板４６４ｃが当接した際に膨出部５４３ａをその面に沿って摺動させやすくできる。よって、振分け部材５４０を回転変位させやすくできる。その結果、当接板４６４ｃの上面に振分け部材５４０の突起部５４３が当接して振分け部材５４０が回転変位できなくなることを抑制できる。
【０７０６】
次いで、図８７から図９０を参照して、回転ユニット７００の駆動伝達部分の構成について説明する。図８７は、回転ユニット７００の正面図であり、図８８は、回転ユニット７００の背面図であり、図８９は、回転ユニット７００の分解斜視正面図であり、図９０は、回転ユニット７００の分解背面斜視図である。
【０７０７】
図８７から図９０に示すように、回転ユニット７００は、複数の変位部材で構成される装飾ユニット７５０と、その装飾ユニット７５０の重力方向上側に配置される球受台７１０と、その球受台７１０及び装飾ユニット７５０の背面側に配置される背面ベース７２０と、装飾ユニット７５０の正面視左側に配設される左側伝達部材７３０と、装飾ユニット７５０の正面視右側に配設される右側伝達部材７４０と、を主に備えて形成される。
【０７０８】
球受台７１０は、上述した下変位ユニット４００の下変位部材４４０の一側の出射開口４７１から出射される遊技球を落下させる部材である。これにより、下変位部材４４０の内側に送球された球を回転ユニット７００に送球させることができる。なお、球受台７１０の詳細な構成については、後述する。
【０７０９】
装飾ユニット７５０は、側面視において上方に湾曲部分を配置した略Ｄ字状のブロック体であり、正面側にキャラクターや模様の装飾が施される。また、装飾ユニット７５０は、複数の部材から構成されており、後述する駆動の伝達により変位可能に構成される。なお、装飾ユニット７５０の構成についての説明は後述する。
【０７１０】
背面ベース７２０は、球受台７１０の背面側および装飾ユニット７５０の背面側を連結する板部材であり、正面視略矩形に形成される。上述したように装飾ユニット７５０は、複数の可動部材で構成されるために、その締結部分が限定されるところ、遊技者から視認不能とされる位置の背面側で装飾ユニット７５０と球受台７１０とを連結することで、装飾ユニット７５０の可動域を確保しつつ、装飾ユニット７５０と球受台７１０とを１つのユニットとして組み付けることができる。
【０７１１】
左側伝達部材７３０は、装飾ユニット７５０の左側側面（図８７左側）に配設される駆動モータＫＭ４と、その駆動モータＫＭ４の駆動力を伝達する伝達部材７３０と、駆動モータＫＭ４が取着されるモータベース７３２と、伝達部材７３０を覆設するギヤカバー７３３と、そのギヤカバー７３３に取着されると共にギヤカバー７３３との対向間に所定の隙間を形成する送球経路カバー７３４とを主に備えて形成される。
【０７１２】
駆動モータＫＭ４は、後述する装飾ユニット７５０の各部材を可動させるための駆動源である。駆動モータＫＭ４の駆動は、後述する伝達部材７３０により伝達される。
【０７１３】
伝達部材７３０は、駆動モータＫＭ４の軸に取着される伝達ギヤ７３１ａと、その伝達ギヤ７３１ａに歯合する伝達ギヤ７３１ｂと、その伝達ギヤ７３１ｂに歯合する伝達ギヤ７３１ｃと、その伝達ギヤ７３１ｃと隣り合って配置されると共に軸７３５により同軸に配設される伝達ギヤ７３１ｄと、伝達ギヤ７３１ｄと歯合される負荷ギヤ７３１ｅとを主に備えて形成される。
【０７１４】
伝達ギヤ７３１ａは、上述したように駆動モータＫＭ４に取着されており、駆動モータＫＭ４が回転駆動されることで回転する。
【０７１５】
伝達ギヤ７３１ｂは、内部にワンウェイクラッチＯＷ１が配設されると共に、そのワンウェイクラッチＯＷ１の内輪が回転の駆動力を装飾ユニット７５０を右側の右側伝達部材７４０に伝達する軸部ＪＢ１に連結される。
【０７１６】
なお、ワンウェイクラッチＯＷ１は、内側に配置されると共に外周面にカム面が形成される内輪と、その内輪の外側に配設される外輪と、内輪および外輪との間に複数のスプリング及びローラーと、を備え、内輪に対して外輪が一方向に回転しようとするとカム面とローラーとの接触面圧が高くなり、抵抗となって内輪への動力を伝達し、内輪に対して外輪が他方向に回転すると、カム面とローラーとの接触面圧が低くなり、滑って動力伝達を切断するカム式のクラッチである。
【０７１７】
よって、伝達ギヤ７３１ｂは、駆動モータＫＭ４から一方向の駆動力が伝達されると、軸部ＪＢ１に回転の駆動力を伝達できると共に、駆動モータＫＭ４から他方向の駆動力が伝達されると、内輪に対して外輪が滑って軸部ＪＢ１への駆動力の伝達が遮断される。
【０７１８】
伝達ギヤ７３１ｃは、伝達ギヤ７３１ｂと同様に内部にワンウェイクラッチＯＷ１が配設される。また、伝達ギヤ７３１ｃのワンウェイクラッチＯＷ１の内側には、軸７３５が配設されている。
【０７１９】
よって、伝達ギヤ７３１ｃは、駆動モータＫＭ４から一方向の駆動力が伝達されると、軸７３５に回転の駆動力を伝達できると共に、駆動モータＫＭ４から他方向の駆動力が伝達されると、内輪に対して外輪が滑って軸７３５への駆動力の伝達が遮断される。また、伝達ギヤ７３１ｃは、伝達ギヤ７３１ｂと歯合されており、互いの回転方向は反対方向とされる。そのため、伝達ギヤ７３１ｂが一方向の回転とされる際には、伝達ギヤ７３１ｃが他方向の回転とされる。一方、伝達ギヤ７３１ｂが他方向の回転とされる際には、伝達ギヤ７３１ｂが一方向の回転とされる。即ち、駆動モータＫＭ４の回転方向が切り換えられることにより、軸部ＪＢ１が回転する態様または軸７３５が回転する態様に切り換えられる。
【０７２０】
伝達ギヤ７３１ｄは、軸７３５に取着される。上述したように軸７３５は、伝達ギヤ７３１ｃが一方向に回転された場合にのみ回転される。よって、伝達ギヤ７３１ｃは、伝達ギヤ７３１ｃが一方向に回転された場合のみ一方向に回転し、他方向への回転は非回転とされる。
【０７２１】
負荷ギヤ７３１ｅは、軸孔が箱部材７６０に取着される抵抗部材７９１の軸部７９１ａに連結される。抵抗部材７９１は、箱部材７６０に締結されるベース部分に対して回転可能な軸部７９１ａを備えて形成される。抵抗部材７９１は、軸部７９１ａがベース部分に対して回転する際に所定量の抵抗が作用するように形成される。即ち、軸部７９１ａを回転させるには、所定量の力が必要とされるので、軸部７９１ａに連結される負荷ギヤ７３１ｅを回転させる力も同様に所定量以上の力が必要とされる。
【０７２２】
これにより、伝達ギヤ７３１ｄに歯合される回転体８００が伝達ギヤ７３１ｄの回転により、回転されて停止した際にその、慣性力によって回転することを抑制できる。即ち、軸部７９１ａがベース部分に対して回転する際の抵抗は、回転体８００の回転が停止した際に回転体８００の軸周りに作用する慣性力よりも大きく設定される。
【０７２３】
また、負荷ギヤ７３１ｅは、伝達ギヤ７３１ｃと同軸に配設される伝達ギヤ７３１ｄに連結される。よって、駆動モータＫＭ４にかかる負荷ギヤ７３１ｅの抵抗を、伝達ギヤ７３１ｄを回転させる一方向の回転のみとすることができる。即ち、伝達ギヤ７３１ｃが、他方向に回転される際には、伝達ギヤ７３１ｃと伝達ギヤ７３１ｄとの駆動の伝達が遮断されるので、負荷ギヤ７３１ｅの抵抗が作用することを抑制できる。その結果、伝達ギヤ７３１ｂを一方向に回転かせる際には、負荷ギヤ７３１ｅの抵抗が作用することを抑制できる。
【０７２４】
モータベース７３２は、装飾ユニット７５０側が開放する箱状体に形成され、箱の底部分の外側（図８７左側）に駆動モータＫＭ４が軸を箱の内側に挿通した状態で配設される。これにより、駆動モータＫＭ４の軸に連結される伝達ギヤ７３１ａをモータベース７３２の内側に配設できる。即ち、モータベース７３２の箱の深さ寸法は、伝達ギヤ７３１ａの幅寸法よりも大きく設定される。その結果、モータベース７３２に駆動モータＫＭ４及び伝達ギヤ７３１ａを取着した状態で装飾ユニット７５０に配置することができると共に、伝達ギヤ７３１ａが装飾ユニット７５０に衝突することを抑制できる。
【０７２５】
ギヤカバー７３３は、背面視縦長矩形に形成されると共に、間に左側伝達部材７３０を配置した状態で装飾ユニット７５０に締結される。また、装飾ユニット７５０には、後述する回転体８００の軸孔と対向する位置に貫通孔７３３ａが貫通形成される。これにより、回転体８００の内部を転動する球を貫通孔７３３ａを介して外方に排出することができる。なお、回転体８００に送球される球についての説明は後述する。
【０７２６】
送球経路カバー７３４は、ギヤカバー７３３の外側（図８７左側）に配置される部材であり、板状体から形成されると共に、その縁部からギヤカバー７３３側に突出する壁部が立設される。これにより、ギヤカバー７３３と送球経路カバー７３４との対向間に隙間を形成することができ、ギヤカバー７３３の貫通孔７３３ａを挿通された球をその隙間を挿通させて回転ユニット７００の外側に排出することができる。ギヤカバー７３３と送球経路カバーとの対向間の隙間から排出された球は図示しない回収経路に送球されて回収される。
【０７２７】
右側伝達部材７４０は、上述した軸部ＪＢ１の他端側に連結される回転部材７４１と、その回転部材７４１に一端が連結されるアーム部材７４２と、回転部材７４１及びアーム部材７４２とを覆設した状態で装飾ユニット７５０に配設されるクランクカバー７４３とを主に備えて形成される。
【０７２８】
回転部材７４１は、円盤状の板状に形成される本体部７４１ｂと、その本体部７４１ｂの軸にはめ込まれるワンウェイクラッチＯＷ１と、装飾ユニット７５０の反対側（図８７右側）に突出する円柱状の突起７４１ａとを主に備えて形成される。
【０７２９】
回転部材７４１に取着されるワンウェイクラッチＯＷ１は、内輪の軸孔が軸部ＪＢの他端側に挿入される。また、ワンウェイクラッチＯＷ１は、軸部ＪＢ１の回転方向と反対の回転が内輪に入力されると内輪と外輪とが非伝達とされるように配置される。
【０７３０】
これにより、回転部材７４１に軸部ＪＢ１から伝達される回転速度よりも速い回転速度の駆動力をワンウェイクラッチＯＷ１の外輪に入力した場合に、外輪のみを回転させて回転部材７４１を駆動モータＫＭ４の駆動以外の駆動力で回転させることができる。その結果、回転部材７４１に速度の異なる２つ以上の回転をさせることができる。
【０７３１】
アーム部材７４２は、側面視Ｃ字とＩ字とを組み合わせた形状であり、Ｃ字の一端にＩ字の他端が連結されて形成される。また、アーム部材７４２は、Ｃ字部分とＩ字部分との連結部分に貫通形成される軸孔７４２ａと、Ｉ字部分の一端に貫通形成される楕円状の第１摺動溝７４２ｂと、Ｃ字部分の他端に貫通形成される楕円状の第２摺動溝７４２ｃとを主に備えて形成される。
【０７３２】
軸孔７４２ａは、後述する箱部材７６０の右側側面板７６４に形成される軸部７６４ａが挿入される孔であり、軸部７６４ａの外径よりも大きい内径に形成される。よって、アーム部材７４２は、軸孔７４２ａに軸部７６４ａが挿入されて、装飾ユニット７５０に配設されるので、装飾ユニット７５０に対して回転可能とされる。
【０７３３】
第１摺動溝７４２ｂは、回転部材７４１の突起７４１ａが挿入される孔であり、楕円に形成された短手方向の幅寸法が、突起７４１ａの外径よりも大きく設定される。よって、第１摺動溝７４２ｂの内側に突起７４１ａを挿入できると共に、回転部材７４１の回転により、アーム部材７４２を回転変位させることができる。
【０７３４】
また、回転部材７４１は、外径がアーム部材７４２のＩ字部分の長手方向寸法よりも小さく形成されると共に、軸がアーム部材７４２の軸孔７４２ａからＩ字部分の長手方向寸法の半分の距離よりも離間した位置に配置される。これにより、回転部材７４１を回転させることでアーム部材７４２に軸孔７４２ａの軸を中心とした回転の往復運動をさせることができる。
【０７３５】
第２摺動溝７４２ｃは、後述する右側蓋部７７３の突起７７３ａが挿入される孔であり、楕円に形成された短手方向の幅寸法が、突起７７３ａの外径よりも大きく設定される。よって、第２摺動溝７４２ｃの内側に突起７７３ａを挿入できる。また、右側蓋部７７３は、箱部材７６０に対して回転変位可能に形成されている。よって、上述したように回転部材７４１が回転されて、アーム部材７４２が回転の往復運動をすることで、アーム部材７４２の他端に連結される右側蓋部７７３を箱部材７６０に対して回転させることができる。
【０７３６】
クランクカバー７４３は、背面視楕円に形成される楕円部分７４３ａと、その楕円部分７４３ａの背面側に連なって形成される球送球部７４３ｂとを主に備えて形成される。
【０７３７】
楕円部分７４３ａは、アーム部材７４２を覆設するカバーであり、側面視における外形がアーム部材７４２及びアーム部材７４２の変位領域よりも大きく形成されると共に、縁部から装飾ユニット７５０側にアーム部材７４２の厚みよりも大きく突出する壁部が形成される。これにより、クランクカバー７４３を装飾ユニット７５０に配設した際に、クランクカバー７４３と装飾ユニット７５０との対向間にアーム部材７４２を配設できる。
【０７３８】
球送球部７４３ｂは、遊技盤１３の前方の流下領域を流下する球が所定の回収口より回収された際に、その球を回収経路に送球するための経路部材であり、内部に所定の大きさの空間を備える棒状に形成される。また、球送球部７４３ｂは、上端側が、開口され遊技盤１３の回収口に連結されると共に、下端側が、装飾ユニット７５０に形成される開口に連結される。これにより、遊技盤１３に回収された球を、球送球部７４３ｂを介して装飾ユニット７５０の内部に通して図示しない回収経路に案内することができる。
【０７３９】
次いで、図９１から図９５を参照して装飾ユニット７５０について説明する。図９１は、装飾ユニット７５０の正面図である。図９２（ａ）は、図９１の矢印ＸＣＩＩａ方向視における装飾ユニット７５０の側面図であり、図９２（ｂ）は、図９１の矢印ＸＣＩＩｂ方向視における装飾ユニット７５０の側面図である。図９３は、装飾ユニット７５０の分解斜視正面図であり、図９４は、装飾ユニット７５０の分解斜視背面図である。なお、図９１（ｂ）及び図９１（ｃ）では、箱部材７６０の右側側面板７６４及び左側側面板７６５と透明視された状態が図示される。
【０７４０】
図９１から図９４に示すように、装飾ユニット７５０は、装飾ユニット７５０の外側の装飾部分となる箱部材７６０及び箱部材７６０の重力方向上側（図９１（ａ）上側）に配設される蓋部材７７０と、箱部材７６０及び蓋部材７７０の内部に配設される回転体８００とを主に備えて形成される。
【０７４１】
箱部材７６０は、回転体８００の下方に配設されるベース部材７６２と、そのベース部材７６２の前方に配設される前面板７６１と、ベース部材７６２の底面に配置される下面板７６３と、ベース部材７６２の正面視右側に配設される右側側面板７６４と、ベース部材７６２の正面視左側に配設される左側側面板７６５とを主に備えて形成される。
【０７４２】
ベース部材７６２は、上面視において回転体８００よりも大きい矩形横長に形成されると共に、重力方向に球の外径よりも大きい厚みを備えて形成される。ベース部材７６２は、上面が回転体８００の軸と同軸の曲面に形成される。これにより、ベース部材７６２を回転体８００の近傍に配置した際にベース部材７６２と回転体８００の衝突を抑制できる。
【０７４３】
ベース部材７６２は、上面に左右方向に亘って下側に凹設される凹部７６２ａと、底面に略Ｌ字に凹設される球送球部７６２ｂとを主に備えて形成される。
【０７４４】
凹部７６２ａは、内側に上述した軸部ＪＢ１が配設される溝であり、装飾ユニット７５０の側面に配設される伝達ギヤ７３１ｂの軸上に凹設される。これにより、軸部ＪＢ１を介して駆動モータＫＭ４の駆動力を伝達することができる。
【０７４５】
球送球部７６２ｂは、底面にＬ字に屈曲して凹設されており、一端側が、右側側面板７６４の開口７６４ｂに連結されると共に、他端側が、前面板７６１の入賞口７６１ａの背面側に連結される。また、球送球部７６２ｂの凹設幅は、球の直径よりも大きく形成される。これにより、下側に下面板７６３が配設されることで箱部材７６０の内部に球を送球可能とできる。
【０７４６】
前面板７６１は、正面視矩形横長に形成されると共に、背面側に所定の厚みを備えて形成される。また、前面板７６１は、正面側に球が挿入可能な大きさの入賞口７６１ａが形成される。入賞口７６１ａは、上述したように背面側に配設されるベース部材７６２の球送球部７６２ｂに連結される。よって、入賞口７６１ａの内部に送球された球は、ベース部材７６２の球送球部７６２ｂに送球される。
【０７４７】
右側側面板７６４は、側面視における外形が上方が湾曲するＤ字状に形成される。また、右側側面板７６４は、装飾ユニット７５０の外側に突出する軸部７６４ａと、その軸部７６４ａの下方に貫通形成される軸受部７６４ｃと、回転体８００の回転軸と同一の軸の湾曲状に開口形成される湾曲開口７６４ｄと、クランクカバー７４３の球送球部７６２ｂの下端と対向する位置に開口する開口７６４ｂと、回転体８００の回転軸の軸上に側面視半円形に貫通形成される係合部７６４ｅとを主に備えて形成される。
【０７４８】
開口７６４ｂは、クランクカバー７４３の球送球部から送球される球をベース部材７６２へ送球可能にするための孔であり、球の外径よりも大きく形成される。これにより、クランクカバー７４３に送球された球を、ベース部材７６２に送球できる。
【０７４９】
軸受部７６４ｃは、上述した軸部ＪＢ１が挿入される孔であり、軸部ＪＢ１の外径よりも大きい内径に形成される。これにより、上述した右側伝達部材７４０に駆動力を伝達することができる。
【０７５０】
湾曲開口７６４ｄは、右側蓋部７７３突出する突起７７３ａが内部に挿通される開口である。また、湾曲開口７６４ｄは、蓋部材７７０が回転変位されるために、蓋部材７７０の回転軸と同軸の円弧形状に形成される。これにより、蓋部材７７０が回転変位された際に、突起７７３ａと湾曲開口７６４ｄとが衝突することを抑制できる。
【０７５１】
係合部７６４ｅは、回転体８００の内部に配設されるベース板８１０の正面視右側の端部と係合してベース板８１０を回転不能に保持する部材である。即ち、ベース板８１０の右端部８１１の先端部８１１ａが係合部７６４ｅに挿入されて配置される。これにより、ベース板８１０が回転不能とされる。
【０７５２】
左側側面板７６５は、側面視における外形が右側側面板７６４と略同一に形成される。また、左側側面板７６５は、回転体８００の軸上に貫通形成される貫通孔７６５ａと、回転体８００側に向かって突出する軸部７６５ｂと、抵抗部材７９１の軸部７９１ａが挿入される貫通孔７６５ｃとを主に備えて形成される。
【０７５３】
貫通孔７６５ａは、回転体８００の正面視左側における開口から排出される球を、上述したモータベース７３２の貫通孔７３３ａに挿通するための開口である。即ち、貫通孔７６５ａは、回転体８００の軸上に形成されると共に、その内径の大きさが回転体８００の正面視左における開口の内径と同一の大きさに設定される。
【０７５４】
軸部７６５ｂは、後述する回転規制部材７８０に形成される軸孔７８１に挿入されて、回転規制部材７８０を回転可能な状態で保持できる。なお、回転規制部材７８０の変位については後述する。
【０７５５】
貫通孔７６５ｃは、上述したように抵抗部材７９１の軸部７９１ａを挿通する孔であり、上述した負荷ギヤ７３１ｅの側面と対向する位置に形成される。
【０７５６】
下面板７６３は、ベース部材７６２の下面に配設されることで、ベース部材７６２の球送球部７６２ｂと下面板７６３とで、球が通過可能な送球経路を形成する板部材である。また、下面板７６３には、上下方向に貫通する開口７６３ａが形成される。開口７６３ａは、球送球部７６２ｂの内側を送球された球を、図示しない回収経路に送球するための開口である。よって、前面板７６１の入賞口７６１ａに入賞した球および遊技領域から右側伝達部材７４０の球送球部７４３ｂに送球され球を装飾ユニット７５０の内部から排出できる。
【０７５７】
蓋部材７７０は、回転体８００の軸と同軸の湾曲状に形成される湾曲蓋部７７１と、その湾曲蓋部７７１の正面視右側の側面に締結される右側蓋部７７３と、湾曲蓋部７７１の正面視左側の側面に締結される左側蓋部７７２とを主に備えて形成される。
【０７５８】
湾曲蓋部７７１は、上述したように側面視における外形が、回転体８００の軸と同軸の湾曲形状に形成されると共に、回転体８００のよりも大きい半径で形成される。湾曲蓋部７７１は、正面側の一部に透明板から形成される透明部７７１ａを備える。
【０７５９】
透明部７７１ａは、遊技者から回転体８００の外周面に描かれた模様やキャラクターなどを遊技者に視認可能にさせる板である。即ち、遊技者は、回転体８００が蓋部材７７０に上端側が覆設された態様であっても、透明部７７１ａを介して回転体８００の表示を視認可能とされる。
【０７６０】
右側蓋部７７３は、側面視円環状に形成され、円環外側の半径が湾曲蓋部７７１の半径と略同一に設定される。また、右側蓋部７７３の内径は、回転体８００の右端部８１１の側面視における外形の大きさよりも大きく形成される。これにより、右側蓋部７７３は、円環状の内側部分に回転体８００の右端部８１１を挿通した状態で配設される。
【０７６１】
さらに、右側蓋部７７３は、装飾ユニット７５０の外側（正面視右側）に突出する突起７７３ａと、外周縁部に径方向内側に向かって凹設される凹部７７３ｂとを主に備えて形成される。突起７７３ａは、上述したように、アーム部材７４２の第２摺動溝７４２ｃに挿入される突起である。
【０７６２】
凹部７７３ｂは、後述する開閉部材８７０の突起８７１が挿入されることで、開閉部材８７０を回転させることができる。よって、凹部７７３ｂは、凹設幅が、突起８７１の外形よりも大きく設定される。また、凹部７７３ｂは、湾曲蓋部７７１が配設される右側蓋部７７３の縁部と略反対の位置に形成される。
【０７６３】
左側蓋部７７２は、側面視円環状に形成され、円環外側の半径が湾曲蓋部７７１の半径と略同一に設定される。また、左側蓋部７７２の内径は、後述する左回転部８８０の歯面８８１ａの外径よりも大きく形成される。これにより、左側蓋部７７２は、円環状の内側部分に回転体８００の左回転部８８０を挿通した状態で配設される。
【０７６４】
また、左側蓋部７７２は、装飾ユニット７５０の外側（正面視左側）に突出する板状体のセンサ板７７２ａが形成される。センサ板７７２ａは、図示しない二股状のセンサの対向間に配置されることで、左側蓋部７７２の位置を検出できる。
【０７６５】
ここで、回転体８００に対する蓋部材７７０について説明する。回転体８００を組み上げた状態での蓋部材７７０の配設は、組み上げ前（別部材）の右側蓋部７７３及び左側蓋部７７２の内側に回転体８００の左右の端部をそれぞれ挿入した状態とする。それから、右側蓋部７７３及び左側蓋部７７２と湾曲蓋部７７１を組み上げることで回転体８００と蓋部材７７０とが連結される。よって、蓋部材７７０は、回転体８００の軸を中心に、回転体に対して回転可能とされる。
【０７６６】
回転規制部材７８０は、側面視略Ｌ字状に屈曲して形成される。回転規制部材７８０は、屈曲部分に貫通した軸孔７８１と、一端側に屈曲方向に突出する突起７８２と、他端側の先端に平坦に形成される当接面７８３とを主に備えて形成される。
【０７６７】
軸孔７８１には、上述したように左側側面板７６５の軸部７６５ｂが挿入される。これにより、回転規制部材７８０は、左側側面板７６５に対して回転可能に保持される。また、軸部には、付勢ばねＳＰ５が挿入される。その結果、回転規制部材７８０には、１方向の回転力が作用される。
【０７６８】
突起７８２は、後述する左回転部８８０の係合突起８８２と係合することで、回転体８００の回転変位を規制できる。当接面７８３は、上述した蓋部材７７０の背面側の端部が当接する面であり、蓋部材７７０が当接されることで、回転規制部材７８０を回転させることができる。なお、回転規制部材７８０と回転体８００との規制態様については後述する。
【０７６９】
次いで、図９５から図９６を参照して、駆動モータＫＭ４が回転された場合の駆動力の伝達経路を説明する。図９５（ａ）及び図９６（ａ）は、図８９の矢印ＸＣＶａ方向視における回転ユニット７００であり、図９５（ｂ）及び図９６（ｂ）は、図８９の矢印ＸＣＶｂにおける回転ユニット７００である。
【０７７０】
なお、図９５では、駆動モータＫＭ４の軸が正方向（時計回り）に回転された際の各部材の変位方向が２点鎖線で図示される。図９６では、駆動モータＫＭ４の軸が負方向（反時計回り）に回転された際に各部材の変位方向が２点鎖線で図示される。
【０７７１】
図９５（ａ）及び図９５（ｂ）に示すように、駆動モータＫＭ４が正方向に駆動されると、伝達ギヤ７３１ａが正方向に回転される。伝達ギヤ７３１ａが正方向に回転されると、伝達ギヤ７３１ｂが負方向に回転されると共に、伝達ギヤ７３１ｃが正方向に回転される。
【０７７２】
この場合、伝達ギヤ７３１ｂに配設されるワンウェイクラッチＯＷ１は、外輪の回転を内輪に非伝達とされ、軸部ＪＢ１が非回転とされる。よって、軸部ＪＢ１に連結される回転部材７４１に駆動力が非伝達とされ、アーム部材７４２は停止状態とされる。
【０７７３】
一方、伝達ギヤ７３１に配設されるワンウェイクラッチＯＷ１は、外輪の回転を内輪に伝達する状態とされ、軸７３５が回転される。よって、軸７３５に連結される伝達ギヤ７３１ｄが回転される。これにより、伝達ギヤ７３１ｄに歯合される負荷ギヤ７３１ｅおよび回転体８００の歯面８８１ａが回転される。即ち、駆動モータＫＭ４が正回転をすると、蓋部材７７０への駆動力は非伝達とされると共に、回転体８００への駆動力は伝達状態とされる。
【０７７４】
図９６（ａ）及び図９６（ｂ）に示すように、駆動モータＫＭ４が負方向に駆動されると、伝達ギヤ７３１ａが負方向に回転される。伝達ギヤ７３１ａが負方向に回転されると、伝達ギヤ７３１ｂが正方向に回転されると共に、伝達ギヤ７３１ｃが負方向に回転される。
【０７７５】
この場合、伝達ギヤ７３１ｂに配設されるワンウェイクラッチＯＷ１は、外輪の回転を内輪に伝達する状態とされ、軸部ＪＢ１が回転される。よって、軸部ＪＢ１に連結される回転部材７４１に駆動力が伝達され、回転部材７４１が回転される。これにより、アーム部材７４２が軸孔７４２ａの軸を中心とする回転往復運動をして、蓋部材７７０が変位される。
【０７７６】
一方、伝達ギヤ７３１に配設されるワンウェイクラッチＯＷ１は、外輪の回転を内輪に非伝達とされ、軸７３５が非回転とされる。よって、軸７３５に連結される伝達ギヤ７３１ｄに駆動力が非伝達とされ、回転体８００及び負荷ギヤ７３１ｅは非回転状態とされる。即ち、駆動モータＫＭ４が負回転をすると、蓋部材７７０への駆動力は伝達状態とされると共に、回転体８００への駆動力は非伝達とされる。
【０７７７】
よって、駆動モータＫＭ４からの駆動力を、回転体８００へ伝達する伝達ギヤ７３１ｃ（回転側駆動手段）と蓋部材７７０を介して後述する開閉部材８７０へ伝達する伝達ギヤ７３１ｂ（変位側伝達手段）とに、ワンウェイクラッチＯＷ１を配設することで、駆動モータＫＭ４の回転方向に応じて、その回転力を伝達ギヤ７３１ｃまたは伝達ギヤ７３１ｂの一方へ伝達すると共に他方への伝達を遮断することができる。その結果、駆動モータＫＭ４の回転方向を切り替えるのみで、その回転駆動力により駆動する駆動対象を切り替えることができる、即ち、駆動モータＫＭ４の回転方向に応じて、回転体８００の回転およびその回転の停止と、開閉部材８７０の変位およびその停止とを切り替えることができ、複数の態様を形成可能としつつ、構造を簡素化できる。
【０７７８】
ここで、ワンウェイクラッチＯＷ１を利用して駆動手段の回転方向に応じて、その駆動対象（回転体８００または開閉部材８７０（蓋部材７７０）を切り替える構造では、駆動モータＫＭ４からの駆動力の伝達が遮断されると、駆動力により駆動されていた方向への回転または変位が自在な状態となる。そのため、例えば、駆動手段の駆動対象が回転体８００から開閉部材８７０（蓋部材７７０）に切り替えられ、駆動力の伝達が遮断されると、回転体８００は、回転自在な状態となり慣性力により回転が継続（自転）される恐れがある。
【０７７９】
これに対し、本実施形態では、伝達ギヤ７３１ｃにより駆動される伝達ギヤ７３１ｄに歯合される負荷ギヤ７３１ｅ（負荷用歯車）を備えるので、駆動モータＫＭ４からの回転の駆動力の伝達が遮断されても、負荷ギヤ７３１ｅを回転させる際の負荷（抵抗）を利用して、回転体８００の回転が継続されることを抑制できる。
【０７８０】
次いで、図９７及び図９８を参照して、蓋部材７７０の変位について説明する。図９７（ａ）及び図９８（ｃ）は閉鎖状態の、図９７（ｂ）及び図９８（ｂ）は中間状態の、図９７（ｃ）及び図９８（ａ）は開放状態の、それぞれにおける装飾ユニット７５０及び右側伝達部材７４０の側面図である。
【０７８１】
なお、図９７（ａ）から図９７（ｃ）及び図９８（ａ）から図９８（ｃ）では、右側伝達部材７４０のクランクカバー７４３が取り外された状態が図示される。また、装飾ユニット７５０の閉鎖状態とは、蓋部材７７０が回転体８００の上方（図９７（ａ）上方）半面を覆う状態に配置された状態であり、開放状態とは、蓋部材７７０が回転変位され、回転体８００の背面側（図９７（ｃ）右側）に配置された状態である。中間状態とは、蓋部材７７０が、閉鎖状態と開放状態との間の位置に配置された状態である。
【０７８２】
さらに、図９７（ａ）から図９７（ｃ）では、閉鎖状態から開放状態へ変位される状態が順に図示され、図９８（ａ）から図９８（ｃ）では、開放状態から閉鎖状態へ変位される状態が順に図示される。
【０７８３】
まず、図９７を参照して、閉鎖状態から開放状態へ変位される際の蓋部材７７０の変位について説明する。アーム部材７４２への駆動力の伝達は、上述したように駆動モータＫＭ４を負方向に回転させることで行われる。
【０７８４】
閉鎖状態では、回転部材７４１の突起７４１ａは、アーム部材７４２の軸孔７４２ａよりも背面側（図９７（ａ）右側）に配置された状態とされる。よって、アーム部材７４２は、突起７４１ａが挿入される第１摺動溝７４２ｂが軸孔７４２ａよりも背面側に配置される。
【０７８５】
アーム部材７４２の軸孔７４２ａと第１摺動溝７４２ｂと第２摺動溝７４２ｃとは略同一直線上に形成される。従って、第１摺動溝７４２ｂの反対側の端部に形成される第２摺動溝７４２ｃが軸孔７４２ａよりも正面側（図９７（ａ）左側）に配置された状態とされる。その結果、蓋部材７７０の右側面に突出する突起７７３ａが、第２摺動溝７４２ｃに案内されて、蓋部材７７０の湾曲蓋部７７１を回転体８００の上方に配置した状態とされる。
【０７８６】
次に、図９７（ｂ）に示すように、回転部材７４１を略９０度回転させて、突起７４１ａを回転部材７４１の軸の下方に位置させると、アーム部材７４２の第１摺動溝７４２ｂが、突起７４１ａの変位に伴って軸孔７４２ａの重力方向下側（図９７（ｂ）下側）に変位される。
【０７８７】
従って、第１摺動溝７４２ｂの反対側の端部に形成される第２摺動溝７４２ｃが、軸孔７４２ａの重力方向上側（図９７（ｂ）上側）に配置された状態とされる。その結果、蓋部材７７０の突起７７３ａが、第２摺動溝７４２ｃに案内されて、蓋部材７７０の湾曲蓋部７７１を回転体８００の背面側に回転変位させた位置に配置した状態とされる。
【０７８８】
この場合、蓋部材７７０の重心位置が、蓋部材７７０の回転軸（円柱状に形成される回転体８００の中心位置）よりも背面側に配置される。よって、蓋部材７７０の荷重により、蓋部材７７０を閉鎖状態から開放状態へ変位させる方向に回転力が作用される。上述したように、回転部材７４１は、ワンウェイクラッチＯＷ１が配設されており、外輪が内輪に対して先行して回転可能に構成されるので、蓋部材７７０の荷重により駆動モータＫＭ４の駆動を停止して蓋部材７７０を継続して回転させることができる。
【０７８９】
図９７（ｃ）に示すように、蓋部材７７０は、回転体の背面側まで変位されると、回転部材７４１の突起７４１ａが中間状態の位置から略９０度回転された位置に停止される。即ち、突起７４１ａの変位領域の一番左側（図９７左側）端部とされる。よって、アーム部材７４２の回転が規制され、蓋部材７７０の回転が停止される。
【０７９０】
即ち、閉鎖状態から開放状態への蓋部材７７０の変位は、駆動モータＫＭ４を駆動して中間状態に変位させる動作と、蓋部材７７０の荷重り落下する動作とで行われる。
【０７９１】
その結果、蓋部材７７０を閉鎖状態から開放状態へ変位させる際には、駆動モータＫＭ４を駆動させる区間を全区間の半分とすることができるので、駆動モータＫＭ４の消費エネルギーを小さくできる。
【０７９２】
さらに、閉鎖状態から中間状態への変位速度は、駆動モータＫＭ４の回転速度に従う態様に、中間状態から開放状態までの変位速度は、蓋部材７７０の荷重に従う態様に、それぞれすることができるので、閉鎖状態から開放状態までの変位速度を２段階に変化させることができる。従って、駆動モータＫＭ４の変位速度を変更することなく蓋部材７７０の変位速度を変更させることができるので、制御を複雑化する必要がない。その結果、制御を簡易にでき、制御不良が発生することを抑制できる。
【０７９３】
なお、蓋部材７７０が駆動モータＫＭ４の回転速度に従う変位区間を第１区間と称し、蓋部材７７０が蓋部材７７０の荷重に従う変位区間を第２区間と称し、第１区間には、ＤＫ１の符号を、第２区間には、ＤＫ２の符号を付して説明する。
【０７９４】
次に、図９８を参照して、開放状態から閉鎖状態へ変位される際の蓋部材７７０の変位について説明する。
【０７９５】
上述したように、開放状態では、回転部材７４１の突起７４１ａは、アーム部材７４２の軸孔７４２ａよりも正面側（図９８（ａ）左側）配置された状態とされて、蓋部材７７０の湾曲蓋部７７１を回転体８００の背面側に配置した状態とされる。
【０７９６】
次に、図９８（ｂ）に示すように、回転部材７４１を略９０度回転させて、突起７４１ａを回転部材７４１の軸の上方に位置させると、アーム部材７４２の第１摺動溝７４２ｂが突起７４１ａの変位に伴って軸孔７４２ａの重力方向下側（図９８（ｂ）下側）に変位される。
【０７９７】
従って、第１摺動溝７４２ｂの反対側の端部に形成される第２摺動溝７４２ｃが、軸孔７４２ａの重力方向上側（図９８（ｂ）上側）に配置された状態とされる。その結果、蓋部材７７０の突起７７３ａが、第２摺動溝７４２ｃに案内されて、蓋部材７７０の湾曲蓋部７７１を回転体８００の背面側に位置させた状態から略４５度上方に回転変位させた位置に配置した状態とされる。
【０７９８】
また、閉鎖状態の位置（図９７（ａ）の位置）に変位させた蓋部材７７０は、遊技領域（遊技盤１３の正面側）に配置されており、開放状態の位置（図９７（ｃ）の位置）に変位させた蓋部材７７０は、遊技領域の領域外（遊技盤１３の背面側）に配置される。よって、遊技領域を流下する遊技球が回転体８００に衝突して、かかる回転体８００が回転されることを抑制できる。特に、本実施形態では後述するように回転体８００には、遊技領側へ向かって変位する開閉部材８７０が配設されるので、遊技領域を流下する遊技機が開閉部材８７０に衝突して、かかる開閉部材８７０が開放される（張り出される）ことを抑制できる。
【０７９９】
また、蓋部材７７０は、開放状態の位置では、遊技領域の領域外に配置されるので、蓋部材７７０の開放状態の位置への変位により、開閉部材８７０が遊技領域へ張り出すためのスペースを確保することができる。よって、その分、回転体８００の外面を遊技領域側へ近づけることができ、遊技者に開閉部材８７０を視認させやすくできる。
【０８００】
さらに、蓋部材７７０は、回転体８００の回転軸と略平行な軸まわりに回転可能に形成されると共に、回転体８００の外面に沿って、湾曲する板状に形成されるので、閉鎖状態の位置（覆設位置）及び開放状態の位置（退避位置）の間で変位する際に必要なスペースを抑制できる、よって、その分、他の部材を配設するためのスペースを確保できる。また、このように蓋部材７７０が湾曲して形成されることで、遊技領域を流下する遊技球が、閉鎖状態の位置に配置された蓋部材７７０上に停留されることを抑制して、スムーズに流下させることができる。
【０８０１】
次に、図９８（ｃ）に示すように、回転部材７４１を更に略９０度回転させて、突起７１ａを回転部材７４１の軸の右側に変位させると、アーム部材７４２の第１摺動溝７４２ｂが突起７４１ａの変位に伴って軸孔７４２ａよりも背面側（図９８（ｃ）右側）に変位される。
【０８０２】
従って、第１摺動溝７４２ｂの反対側の端部に形成される第２摺動溝７４２ｃが、軸孔７４２ａよりも正面側（図９８（ｃ）左側）に配置された状態とされる。その結果、蓋部材７７０の突起７７３ａが、第２摺動溝７４２ｃに案内されて、蓋部材７７０の湾曲蓋部７７１を回転体８００の上方に配置した状態とされる。
【０８０３】
この場合、蓋部材７７０の変位に伴って、蓋部材７７０の重心位置が、蓋部材７７０の回転軸よりも正面側に変位される。よって、中間状態から閉鎖状態の途中で、蓋部材７７０の荷重により、蓋部材７７０を開放状態から閉鎖状態へ変位させる方向に回転力が作用される。よって、駆動モータＫＭ４の駆動を停止した状態でも、蓋部材７７０の荷重により蓋部材７７０を継続して回転させることができる。
【０８０４】
よって、蓋部材７７０の荷重により蓋部材７７０を閉鎖状態とすることができるので、蓋部材７７０を確実に閉鎖状態とできる。
【０８０５】
ここで、蓋部材７７０の回転変位が駆動モータＫＭ４のみにより変位するものであると、駆動モータＫＭ４の駆動停止動作がずれた場合に、蓋部材７７０を正常な位置で停止できなくなる恐れがある。また、本実施形態のように、回転部材７４１の回転方向が１つの場合、駆動モータＫＭ４の停止動作が遅れた場合に、正常な位置へ戻すには１回転分の回転が必要となる。
【０８０６】
これに対し、本実施形態では、蓋部材７７０を停止させる位置を蓋部材７７０の荷重を利用して機械的に停止させることができるので、蓋部材７７０の停止位置がずれることを抑制することができる。
【０８０７】
ここで、駆動力を発生する駆動手段と、その駆動手段の駆動力により変位される変位部材と、その変位部材への駆動力を伝達する伝達手段とを備えた遊技機が知られている。しかしながら、上述した従来の遊技機では、駆動手段から変位部材への伝達手段による駆動力の伝達状態が常に一定であるため、駆動手段が一定の駆動速度で駆動されると、変位部材も一定の速度で変位され、かかる変位部材の変位態様に変化を付与することができない。そのため、変位部材の変位に伴う演出の演出効果が不十分であるという問題点があった。
【０８０８】
なお、駆動手段の駆動速度を増減させれば、変位部材の変位速度を変化させることはできるが、変位部材の変位区間のうちの所定の区間における変位速度を他の区間における変位速度と異なる変位速度とするためには、変位部材の位置を検出するセンサ装置を配置し、そのセンサ装置の検出結果に応じて、駆動手段の出力を増減させる制御が必要となり、製品コストや制御コストの増加を招く。また、構造および制御が複雑となり、その信頼性の低下を招く。
【０８０９】
これに対し、本実施形態では、伝達手段（回転部材７４１及びアーム部材７４２）は、ワンウェイクラッチＯＷ１を備え、ワンウェイクラッチＯＷ１の内輪（第１部材）がワンウェイクラッチＯＷ１の外輪（第２部材）に対して、一方向に変位される場合には、内輪および外輪にローラーが係合して、駆動力が伝達されると共に、内輪が外輪に対して他方向へ変位される場合には、内輪および外輪へのローラーの係合が解除されて、駆動力の伝達が遮断され、蓋部材７７０（変位部材）の変位区間のうちの第２区間ＤＫ２（所定の区間）では、外輪が内輪に対して一方向へ向けて変位されるので、回転部材７４１の駆動状態にかかわらず、第２区間ＤＫ２における蓋部材７７０の変位速度を、他の区間における蓋部材７７０の変位速度よりも速くすることができる。よって、蓋部材７７０に変化を付与して、その蓋部材７７０の変位に伴う演出効果を高めることができる。
【０８１０】
また、駆動モータＫＭ４の駆動状態に関わらず、外輪を内輪に対して一方向に先行させることができるので、例えば、蓋部材７７０の変位区間における全区間において、駆動モータＫＭ４を一定の駆動速度で駆動でき、蓋部材７７０の変位区間の途中で（即ち第１区間ＤＫ１か第２区間ＤＫ２かに応じて）、駆動モータＫＭ４の駆動速度を増減させる必要がない。その結果、制御を簡略化して、制御コストを削減できると共に、動作の信頼性の向上を図ることができる。或いは、第２区間ＤＫ２では、駆動手段の動作を停止させることができ、この場合には、消費エネルギーの抑制を図ることができる。
【０８１１】
また、内輪を外輪に対して他方向へ変位させる方向の駆動状態では、ローラーの係合が解除されて、駆動力の伝達が遮断されるので、変位部材を停止状態（被駆動状態）とすることができ、かかる駆動状態における駆動手段（駆動モータＫＭ４）の駆動力を回転体８００を駆動するための駆動力として利用することができる。即ち、駆動手段（駆動モータＫＭ４）の駆動方向を切り替えることで蓋部材７７０と回転体８００との２部材をそれぞれ変位させることができる。
【０８１２】
また、蓋部材７７０は、回転可能に形成されると共に、その重心位置が回転中心から偏心された位置に配置され、第２区間ＤＫ２では、蓋部材７７０の重さが外輪を一方向へ変位させる方向へ作用可能に形成されるので、かかる蓋部材７７０の重さを利用して、外輪を内輪に対して一方向へ先行して変位させることができる。即ち、第２区間ＤＫ２における蓋部材７７０の変位速度を、第１区間ＤＫ１の区間における蓋部材７７０の変位速度よりも速くすることができる。その結果、蓋部材７７０の変位態様に変化を付与して、その変位部材の変位に伴う演出効果を高めることができる。
【０８１３】
さらに、駆動力の伝達は、ワンウェイクラッチＯＷ１の外輪が取着される本体部７４１ｂ及びその本体部７４１ｂから突出すると共に、その本体部７４１ｃの回転中心から変位して位置する突起７４１ａ（ピン部）を有する回転部材７４１（クランク部材）と、アーム部材７４２とで行われるので、外輪によって回転部材７４１を回転させ、突起７４１ａを第１摺動溝７４２ｂに沿って摺動させることで、回転部材７４１の他端側（第２摺動溝７４２ｃ側）を往復運動させることができる。この場合、アーム部材７４２の他端側が蓋部材７７０の往復運動に伴って、蓋部材７７０を開放状態の位置と閉鎖状態の位置との間で往復動作させることができる。即ち、駆動モータＫＭ４の駆動方向を切り替えることなく、蓋部材７７０の変位方向を切り替えることができる。
【０８１４】
またこの場合、第２区間ＤＫの区間を往復動作の両方に形成することができるので、蓋部材７７０が往復動作される際には、いずれの方向へ変位させる際にも、その変位の途中から蓋部材７７０の変位速度を早くすることができる、その結果、蓋部材７７０の変位態様に変化を付与して、その蓋部材の変位に伴う演出効果を高めることができる。
【０８１５】
次いで、図９９を参照して、回転規制部材７８０の変位について説明する。図９９（ａ）は閉鎖状態における装飾ユニット７５０の側面図であり、図９９（ｂ）は開放状態における装飾ユニット７５０の側面図である。なお、図９９（ａ）及び図９９（ｂ）では、箱部材７６０の左側側面板７６５が透明視された状態が図示される。
【０８１６】
図９９（ａ）に示すように、蓋部材７７０が閉鎖状態とされる場合には、回転規制部材７８０は、付勢ばねＳＰ５の付勢力により、突起７８２側が下方に押し下げられた状態（図９９（ａ）において軸孔７８１の軸を中心に時計回りに回転された状態）とされる。
【０８１７】
よって、回転体８００の回転軸から係合突起８８２の外側までの距離寸法Ｌ４は、回転体８００の回転軸から回転規制部材７８０の突起７８２の先端までの距離寸法Ｌ５よりも小さくされる（Ｌ４＜Ｌ５）。
【０８１８】
従って、回転体８００と回転規制部材７８０とは係合されず、回転体８００は回転可能とされる。
【０８１９】
一方、図９９（ｂ）に示すように、蓋部材７７０が開放状態とされる場合には、回転規制部材７８０は、当接面７８３が回転体８００の背面側に変位される蓋部材７７０と当接して、当接面７８３が下方に押し下げられた状態（図９９（ｂ）において軸孔７８１の軸を中心に反時計回りに回転された状態）とされる。
【０８２０】
よって、回転体８００の回転軸から係合突起８８２の外側までの距離寸法Ｌ４は、回転体８００の回転軸から回転規制部材７８０の突起７８２の先端までの距離寸法Ｌ６よりも大きくされる（Ｌ６＜Ｌ４）。
【０８２１】
その結果、左回転部８８０の係合突起８８２を重力方向一番下方に配置した状態の回転体８００において、係合突起８８２の内側に回転規制部材７８０の突起７８２を挿入することができる。即ち、回転体８００と回転規制部材７８０とが係合されるので、回転体８００が回転不能とされる。なお、本実施形態では、回転体８００の回転を不能とする位置（係合突起８８２の内側に突起７８２が挿入される位置）が後述する回転体８００の開閉部材８７０が開放状態とされる位置に設定される。
【０８２２】
即ち、回転体８００の回転を規制する回転規制部材７８０（回転規制手段）は、開閉部材８７０（変位部材）が、開放位置（第２位置）へ変位され、変位部材の他側が遊技領域に張り出された場合に回転体８００の回転を規制するので、開閉部材８７０が張り出された状態で回転体８００が回転されて、その回転軌跡上に位置する他の部材に開閉部材８７０が干渉することを抑制できる。また、遊技領域を流下する遊技球を変位部材が受け止めた際に作用する荷重や変位部材の上面を転動する遊技球の重さにより回転体８００が回転されることを抑制できる。
【０８２３】
ここで、変位可能に形成される第１部材および第２部材を備え、第１部材が、第２部材の少なくとも一部を視認不能に覆う覆設位置と、その覆設位置に配置された状態よりも第２部材を視認不能に覆う領域を減少させる退避位置との間で変位可能に形成された遊技機が知られている。この遊技機によれば、第１部材を覆設位置に配置し、第２部材を遊技者から視認不能とした状態から、第１部材を退避位置に変位させることで、第２部材を露出させて遊技者に視認させる演出を行うことができる。
【０８２４】
しかしながら、上述した従来の遊技機では、第２部材が変位可能に形成されているため、第２部材が露出された際に、かかる第２部材が変位される恐れがある。そのため、遊技者に第２部材を適正な状態で視認させることができず、演出効果が低下するという問題点があった。
【０８２５】
これに対し、本実施形態によれば、蓋部材７７０（第１部材）は、開放状態の位置（退避位置）に変位された状態において、回転体８００（第２部材）の変位を規制可能に形成されるので、かかる回転体８００を適正な状態で遊技者に視認させることができ、演出効果を確保できる。即ち、蓋部材７７０を開放状態の位置へ変位させ、回転体８００を露出させるという演出を行う際に、その演出のために行わざる得ない蓋部材７７０の開放状態の位置への変位を、回転体８００の変位を規制する手段として利用する。よって、回転体８００の変位を規制するための機構を別途設けることや制御を行う必要がなく、その分、構造を簡素化できる。
【０８２６】
また、回転体８００は、後述するように外周面の形状が回転中心から非対称に形成される（図１０１参照）。よって、回転体８００は、回転可能に形成されると共に、その重心位置が回転中心から偏心されるので、かかる回転体８００の設計の自由度を高めることができる。即ち、回転体８００をその重心位置が、回転中心に位置する形状とする必要がなく、回転軸に対して非対称の形状を採用できるので、かかる回転体８００による演出効果を高めることができる。一方で、このように、回転体８００の重心位置が偏心されていると、回転体８００がその重力で、回転中心まわりに回転（自転される恐れがある）よって、閉鎖状態の位置に変位された蓋部材７７０が、回転体８００の変位を規制可能に形成される構成が特に有効となり、これにより、回転体８００を適正な状態で遊技者に視認させることができ、演出効果を確保できる。
【０８２７】
なお、回転体８００は、軸を中心に対称に形成されていてもよい。この場合、回転体８００を比重の異なる２つ以上の部材から形成することでその重心位置を回転軸と異なる位置に配置することができる。例えば、半面を金属材料から形成して、残りの半面を可撓性材料から形成することで、一般的に可撓性材料よりも比重の大きい金属材料側に重心を位置させることができる。
【０８２８】
次いで、図１００から図１０２を参照して回転体８００の構成について説明する。図１００（ａ）は、回転体８００の正面図であり、図１００（ｂ）は、図１００（ａ）の矢印Ｃｂ方向視における回転体８００の側面図であり、図１００（ｃ）は、図１００（ａ）の矢印Ｃｃ方向視における回転体８００の側面図である。図１０１は、回転体８００の分解斜視正面図であり、図１０２は、回転体８００の分解斜視背面図である。
【０８２９】
図１００から図１０２に示すように、回転体８００は、複数の部材を組み合わせることで円柱状に形成される。回転体８００は、軸部分に配置されるベース板８１０と、そのベース板８１０を取り囲んで配置され円環状に組み合わせられる第１表示部８３０、第２表示部８４０、第３表示部８５０及び第４表示部８６０と、軸方向の一端に配設される右回転部８９と、軸方向の他端に配設される左回転部８８０と、第１表示部８３０の内側に配設される開閉部材８７０とを主に備えて形成される。
【０８３０】
ベース板８１０は、軸方向視における断面が断面略Ｌ字に形成されると共に、軸方向に延設した形状に形成される。ベース板８１０は、左右の両端部から外側に突出する右端部８１１及び左端部８１２を備えて形成される。
【０８３１】
右端部８１１は、ベース板８１０の正面視右側（図１００（ａ）右側）から円環状に突出して形成される。右端部８１１は、その右端部８１１の突出先端に部分的に突出する先端部８１１ａと、円環状の内側部分の連通孔８１１ｂとを主に備えて形成される。
【０８３２】
先端部８１１ａは、右端部８１１の先端部分から、軸方向にさらに突出されると共に、右側側面視（図１００（ｃ）の方向視）における突出領域が右側側面板７６４の係合部７６４ｅの内側の領域よりも小さく設定される。先端部８１１ａは、上述したように右側側面板７６４の係合部７６４ｅの内側に挿入される。これにより、ベース板８１０と右側側面板７６４（蓋部材７７０）とが係合された状態とされる。その結果、ベース板８１０を後述する各表示面（第１表示部８３０、第２表示部８４０、第３表示部８５０及び第４表示部８６０）の回転変位に対して停止した状態にできる。
【０８３３】
連通孔８１１ｂは、後述するＬＥＤ基盤８２０に連結される配線（図示せず）を挿通する開口であり、ベース板８１０の正面視右側の側面に貫通形成される。これにより、配線を挿通することができる。
【０８３４】
左端部８１２は、ベース板８１０の正面視左側（図１００（ａ）左側）から円環状に突出して形成される。左端部８１２は、その左端部８１２の下側半円から突出する先端部８１２ａと、円環状の内側部分の連通孔８１２ｂとを主に備えて形成される。
【０８３５】
先端部８１２ａは、左端部８１２の先端部分から、軸方向にさらに突出されると共に、左側側面視（図１００（ｂ）の方向視）における突出形状が円環状の下半円とされる。
【０８３６】
連通孔８１２ｂは、後述する開閉部材８７０により回転体８００の内部に送球された球を回転体８００の外側に排出するための経路である。連通孔８１２ｂは、その内径が、球よりも大きく設定されると共に、ギヤカバー７３３に形成された貫通孔７３３ａと略同一に設定される。
【０８３７】
また、連通孔８１２ｂは、ギヤカバー７３３の貫通孔７３３ａに連結される開口であり、左端部８１２の突出距離が貫通孔７３３ａと当接する距離に設定される。さらに、貫通孔７３３ａの端面の上半球には、突起７３３ｂが形成される。突起７３３ｂの突出距離は、先端部８１２ａの突出距離と略同一に設定される。これにより、ベース板８１０とギヤカバー７３３（左側伝達部材７３０）とが係合された状態とされる。その結果、ベース板８１０を後述する各表示面（第１表示部８３０、第２表示部８４０、第３表示部８５０及び第４表示部８６０）の回転変位に対して停止した状態にできる。
【０８３８】
ベース板８１０の底面には、逆回転防止部材８１３が回転可能状態で配設される。逆回転防止部材８１３は、上面視略円形に形成されると共に、一端側に傾斜した突起８１３ａが形成される。また、逆回転防止部材８１３は、ベース板８１０との間に付勢ばねＳＰ６が配設されており、これにより、突起８１３ａを常に正面視左側（図１００（ａ）左側）に付勢した状態とされる。
【０８３９】
右回転部８９０は、所定の厚みの板状に形成されると共に、側面視円環状に形成される。右回転部８９０は、円環の内側の内径がベース板８１０の右端部８１１の大きさよりも大きく形成される。これにより、右回転部８９０の内側にベース板８１０の右端部８１１を挿入できる。また、右回転部８９０は、左右方向に貫通する軸孔８９１と、その軸孔８９１を中心に湾曲して開口される摺動溝８９２とを主に備えて形成される。
【０８４０】
軸孔８９１は、後述する開閉部材８７０の軸部８７２が挿入される孔であり、軸部８７２の外径よりも大きい内径に形成される。これにより、開閉部材８７０の軸部８７２が第１表示部８３０に対して変位することを抑制できる。
【０８４１】
摺動溝８９２は、軸孔８９１を中心とした湾曲形状に形成され、その半径は、開閉部材８７０の突起８７１及び軸部８７２までの離間距離と同一に設定される。これにより、摺動溝８９２の内部に開閉部材８７０の突起８７１が挿入されることで、開閉部材８７０の変位の際に突起８７１を摺動溝８９２の内部を摺動させることができる。
【０８４２】
左回転部８８０は、所定の厚みの板状に形成されると共に、側面視円環状に形成される。左回転部８８０は、円環の内側の内径がベース板８１０の左端部８１２の大きさよりも大きく形成される。これにより、左回転部８８０の内側に、ベース板８１０の左端部８１２を挿入できる。また、左回転部８８０は、内縁部分から円環状に突出する壁部８８１と、側壁から突出する係合突起８８２と、内縁部に傾斜面を連続して並べた係止部８８３とを主に備えて形成される。
【０８４３】
壁部８８１は、回転体８００の正面視左側に突出して形成される。壁部８８１は、突出先端の外周面にギヤの歯面８８１ａが刻設されると共に、内側に開口する連通孔８８１ｂを備える。歯面８８１ａは、上述したように伝達ギヤ８８１ｄに歯合される。これにより、駆動モータＫＭ４の駆動力を回転体８００に伝達させることができる。
【０８４４】
連通孔８８１ｂは、回転体８００の内部空間と外部空間とを連通する開口であり、後述する開閉部材８７０の開放により回転体８００の内部に送球された球を排出できる。
【０８４５】
係合突起８８２は、上述したように、回転規制部材７８０が係合される突起である。係合突起８８２は、左回転部８８０の正面視左側の側面から突出して形成される。また、係合突起８８２は、所定の距離離間した位置に２つ形成されており、その間に回転規制部材７８０の突起７８２が挿入可能に形成される。
【０８４６】
係止部８８３は、その断面が鋸歯状に形成される。左回転部８８０は、ベース板８１０に配設されると、係止部８８３に上述した逆回転防止部材８１３の突起８１３ａの先端が当接された状態とされる。これにより、左回転部８８０を一方向へ回転させる回転力が作用する際には、係止部８８３の傾斜面に沿って突起８１３ａを摺動させて左回転部８８０を回転させることができるが、左回転部８８０を他方向へ回転させる回転力が作用する際には、係止部８８３の面が突起８１３ａに引っ掛り回転が抑制される。
【０８４７】
これにより、回転体８００が駆動モータＫＭ４の回転駆動力により回転される方向とは逆方向へ回転されることを規制することができるので、例えば、回転体８００の重心位置の偏りや遊技球の衝突などに起因して回転体が逆回転されることを抑制できる。
【０８４８】
第１表示部８３０から第４表示部８６０は、それぞれが同一の湾曲形状に形成されており、互いの端面が連結されることで、一つの円環状にできる。また、１つの円環にされた第１表示部８３０から第４表示部８６０の内径は、左右の回転部８８０，８９０の外径と略同一に設定される。これにより、各表示部８３０〜８６０を左右の回転部８８０，８９０に配設することで第１表示部８３０から第４表示部８６０を１つの円柱状に形成することができる。
【０８４９】
また、第１表示部８３０から第４表示部８６０は、それぞれにキャラクターや模様が描かれており、上述したように左回転部８８０から駆動力が伝達されることで回転して、それぞれのキャラクターや模様を遊技者に視認させることができる。
【０８５０】
第１表示部８３０は、その湾曲面に開口した開口８３１と、軸側に開放すると共にＵ字状に突出形成される軸受部８３２とを主に備えて形成される。
【０８５１】
開口８３１は、内部に後述する開閉部材８７０を配置する開口であり、開閉部材８７０の外形と略同一の内径の開口に形成される。軸受部８３２は、開放したＵ字部分に開閉部材８７０の軸部８７２を挿入可能な大きさに形成される。よって、開閉部材８７０を開口８３１に挿入すると共に、開閉部材８７０の軸部８７２を軸受部８３２に挿入することで、開閉部材８７０を第１表示部８３０に対して回転変位させることができる。なお、開閉部材８７０の変位態様についての説明は後述する。
【０８５２】
ＬＥＤ基盤８２０は、電力が供給されることで、ＬＥＤ基盤８２０に搭載されたＬＥＤライトを発光させることができる。またＬＥＤ基盤８２０は、ベース板８１０の背面側に取着される。
【０８５３】
次いで、図１０３を参照して、開閉部材８７０の開閉について説明する。図１０３（ａ）は、開閉部材８７０が閉鎖状態における回転体８００の側面図である。図１０３（ｂ）は、開閉部材８７０が開放状態における回転体８００の側面図である。なお、図１０３では、開閉部材８７０が他の部材と重なる際に、その外径が鎖線で図示される。
【０８５４】
また、開閉部材８７０の閉鎖状態とは、開閉部材８７０の外周面が、第１表示部８３０の外周面と略平行に配置された状態である。一方、開閉部材８７０の開放状態とは、開閉部材８７０の外周面が第１表示部８３０の外周面と交差する状態に配置された状態である。
【０８５５】
図１０３（ａ）に示すように、開閉部材８７０が閉鎖状態における回転体８００は、開閉部材８７０の突起８７１が、右回転部８９０の摺動溝８９２の一端側（図１０３（ａ）では軸部８７２の下方側）に位置される。
【０８５６】
一方、図１０３（ｂ）に示すように、開閉部材８７０が開放状態における回転体８００は、開閉部材８７０の突起８７１が、右回転部８９０の摺動溝８９２の他端側に位置される。即ち、開閉部材８７０の変位は、突起８７１が右回転部８９０の摺動溝８９２の内部を摺動することで行われる。
【０８５７】
次いで、図１０４を参照して、突起８７１の変位について説明する。図１０４（ａ）及び（ｂ）は、装飾ユニット７５０の側面図である。なお、図１０４（ａ）及び図１０４（ｂ）では、箱部材７６０の右側側面板７６４が透明視された状態で図示される。
【０８５８】
また、図１０４（ａ）では、装飾ユニット７５０が閉鎖状態とされ、開閉部材８７０が閉鎖状態とされた状態が図示される。図１０４（ｂ）では、装飾ユニット７５０が開放状態とされ、開閉部材８７０が開放状態とされた状態が図示される。
【０８５９】
図１０４（ａ）に示すように、装飾ユニット７５０が閉鎖状態とされると、右側蓋部７７３の外縁部が突起８７１と当接した状態とされる。装飾ユニット７５０が閉鎖状態において、右側蓋部７７３の下半面における回転軸からの外径Ｌ７は、右回転部８９０の軸から摺動溝８９２の一端側までの距離Ｌ８よりも小さくされる（Ｌ７＜Ｌ８）。
【０８６０】
また、Ｌ７とＬ８との寸法の差は、突起８７１の外径と略同一に設定される。よって、右側蓋部７７３の外縁部が突起８７１と当接した状態では、突起８７１が摺動溝８９２の一端側に変位される。その結果、開閉部材８７０が閉鎖状態とされる。即ち、装飾ユニット７５０が閉鎖状態とされる際に、開閉部材８７０が開放状態に変位することを抑制できる。
【０８６１】
図１０４（ｂ）に示すように、装飾ユニット７５０が開放状態とされると、右側蓋部７７３の変位に伴って外縁部に形成される凹部７７３ｂが変位する。この場合、凹部７７３ｂの内側に突起８７１が挿入される。これにより、突起８７１は、摺動溝８９２を他側に変位可能とされる。その結果、軸部８７２と第１表示部８３０との間に配設される付勢ばねＳＰ７の付勢力により、開閉部材８７０が開放状態とされる。
【０８６２】
上述したように、開閉部材８７０の開放状態への変位は、蓋部材７７０の変位に従って行うことができる。よって、開閉部材８７０を駆動させる駆動源を回転体８００に配設する必要がないため、回転体８００を小さく形成できる。
【０８６３】
また、開閉部材８７０を変位させるための駆動モータＫＭ４を蓋部材７７０を変位させるための駆動手段として兼用できる。この場合、開閉部材８７０と蓋部材７７０とを別々の駆動手段の駆動力により変位させる場合には、制御不良が生じると開閉部材８７０と蓋部材７７０とが干渉するおそれがあるところ、開閉部材８７０と蓋部材７７０とを機械的に連結してそれらの変位を同期させることができるので、開閉部材８７０と蓋部材７７０とが干渉することを抑制できる。
【０８６４】
図１０４（ｂ）に示すように、開閉部材８７０を開放すると、回転の先端側は、箱部材７６０の入賞口７６１ａの上方に配置される。これにより、後述する球受台７１０の送球部７１１ｃから送球される球を開閉部材８７０の上面に落下させることができる。
【０８６５】
この場合、開閉部材８７０は、回転先端側が、軸部８７２よりも上方に配置される。よって、上面に落下する球を回転体８００の内部側へ転動させることができる。回転体８００の内部へ転動される遊技球は、回転体８００の内部に配設されるベース板８１０の上面に転動される。更に、ベース板８１０は、左端部８１２側に向かって下方に傾斜した状態とされるので、ベース板８１０の上面に転動される球を左端部８１２側に転動させて、その内側から回転体８００の外方に排出することができる。即ち、回転体８００の内部を球の送球経路として利用することができる。
【０８６６】
また、回転体８００には、上述したように、回転体８００の回転を規制する回転規制部材７８０が配設されるので、蓋部材７７０を開放状態の位置に変位させ、回転体８００を露出させる演出を行う際には、更に、開閉部材８７０を変位させることで、その演出効果を高めることができる。一方で、回転体８００が回転（自転）される恐れがある。よって開放状態の位置に変位された蓋部材７７０が、回転体８００の変位を規制可能に形成されるという構成が特に有効となり、これにより、回転体８００を適正な状態で遊技者に視認させることができ、演出効果を確保できる。
【０８６７】
ここで、回転可能に形成され、その回転軸まわりの外面が、遊技者に視認可能に配設される回転部材を備えた遊技機が知られている。この遊技機によれば、回転部材が円筒状に形成され、その外周面の表示（図柄）を回転部材を回転させつつ、又は、回転部材を停止させて遊技者に視認させることができる。しかしながら、上述した従来の遊技機では、遊技者に視認させるための表示をその外面に保持するための部材のとして利用されるのみで、回転部材の活用が不十分であるという問題点があった。即ち、回転部材は、遊技者が視認可能な程度の表示を保持する必要があるため、比較的大型に形成される。そのため、その占有空間が嵩む一方、その外面以外の部分は活用されていない。
【０８６８】
これに対し、本実施形態によれば、回転体８００（回転部材）は、その内部に形成される内部空間を外部に連通させると共に、遊技球が通過可能に形成される開口８３１及び連通孔８８１ｂ（連通口）を備えるので、遊技領域を流下する遊技球を、開口８３１及び連通孔８８１ｂを介して内部空間へ流入または内部空間から流出させることができる。よって、デッドスペースとされる回転体８００の内部空間を遊技球の貯留空間または送球通路として機能させることができ、その分、回転体８００を活用できる。
【０８６９】
また、上述した従来の遊技機では、回転部材を停止に伴って、外周面の表示を遊技者に視認させる演出態様を形成できるのみであるため、演出態様の変化が乏しく、演出効果が不十分であるいう問題点があった。
【０８７０】
これに対し、本実施形態によれば、回転体８００（回転部材）の外面に変位可能に配設される開閉部材８７０（変位部材）を備えるので、回転体８００の回転または停止に伴って外面の表示を遊技者に視認させる演出態様に加え、開閉部材８７０を変位させる演出態様を形成できるので、その分、演出態様に変化を付与して、演出効果を高めることができる。
【０８７１】
蓋部材７７０（変位部材）は、閉鎖位置（第１位置）に変位されると、回転体８００（回転部材）の外面の一部が開閉部材８７０により形成されるので、回転体８００の外形を小さくでき、その分、回転体８００が回転するのに要するスペースを小さくできる。一方、開閉部材８７０が、開放位置（第２位置）へ変位されると、回転体８００の径方向外方へ開閉部材８７０が突出されるので、開閉部材８７０の変位を遊技者に視認させやすくでき、演出効果を高めることができる。また、開閉部材８７０を閉鎖位置に配置した状態で回転体８００を回転させると共に、その回転を停止した際に開閉部材８７０を開放位置に配置する（変位させる）ことで、回転体８００の外面として視認していた部分（開閉部材８７０）が、回転体８００の径方向外方へ突出される態様を形成でき、興趣を高めることができる。
【０８７２】
また、回転体８００の内部空間にベース板８１０に光を発光するＬＥＤ基盤８２０が配設される。よって、開閉部材８７０が開放位置にされることで、回転体８００の外面が開放され内部空間が外部に連通され、ＬＥＤ基盤８２０からの発光を外部に出射させることができる。一方、開閉部材８７０が閉鎖位置にされることで、回転体８００の外面が閉鎖され、ＬＥＤ基盤８２０からの発光が外部へ出射されること遮断することができる。その結果、演出効果を高めることができる。
【０８７３】
ここで、回転体８００を回転可能にすると共に、その回転体８００に開閉部材８７０を変位可能に配設するためには、回転体８００及び開閉部材８７０のそれぞれに駆動手段が必要となり、製品コストが嵩む。また、開閉部材８７０を変位させるための駆動手段を回転体８００に搭載すると、回転体８００の重量が増加するため、回転体８００の回転の開始または、停止を円滑に行うことが困難となる。
【０８７４】
これに対し、本実施形態によれば、開閉部材８７０は、蓋部材７７０の変位に伴って変位され、蓋部材７７０及び回転体８００は同一の駆動モータＫＭ４により変位されるので、１の駆動モータＫＭ４を兼用して、回転体８００の回転と、開閉部材８７０の変位とを行うことができる。よって、製品コストの削減を図ることができる。また、開閉部材を変位させるための駆動手段を回転体８００に搭載する必要がないので、回転体８００の重量を軽量化でき、回転体８００の回転の開始または停止を円滑に行うことができる。
【０８７５】
また、開口８３１（第１連通口）及び連通孔８８１ｂ（第二連通口）は、異なる位置に形成されるので、開口８３１を外部から内部空間に遊技球を流入させる流入口とし、連通孔８８１ｂを内部空間から外部へ遊技球を流出させる流出口とすることができる。即ち、回転体８００（回転部材）を回転させなくても（停止状態に維持したままで）、回転体８００を遊技球の送球通路として活用できる。
【０８７６】
さらに、開口８３１は、回転体８００の外周面に形成され、連通孔８８１ｂは、回転体８００の軸方向の端面に形成されるので、回転体８００（回転部材）の内部空間への遊技球の流入を遊技者に視認しやすくできると共に、回転体８００を停止状態に維持したままで、遊技球を排出することができる。
【０８７７】
即ち、回転体８００は、外面が遊技者から視認可能に配設されるところ、その外面に、開口８３１（流入口）が形成されるので、遊技球の流入を遊技者に視認させやすくできる。一方、回転体８００の外面に連通孔８８１ｂが形成されると、かかる連通孔８８１ｂが上方となる回転位置に回転体８００が配置されると、内部空間から遊技球を流出させることができないところ、連通孔８８１ｂ（流出口）は、回転体８００の回転軸方向の端面に形成されるので、回転体８００の回転位置に関わらず、内部空間から遊技球を流出可能な状態を形成できる。
【０８７８】
また、開口８３１（第１連通口）の内側には、変位可能な開閉部材８７０（変位部材）が配設され、開閉部材８７０が閉鎖位置（第１位置）へ変位されると、開口８３１が開閉部材８７０によって遮蔽され、開閉部材８７０が開放位置（第２位置）へ変位されると、開口８３１が開放されるので、開口８３１を介した遊技球の流入を遮蔽状態と許容状態とに切り替えることができる。
【０８７９】
さらに、開閉部材８７０（変位部材）は、一側が回転体８００（回転部材）に回転可能に軸支され、開閉部材８７０が開放位置（第２位置）に変位されると、一側と反対側となる他側が遊技領域へ張り出されるので、遊技領域を流下する遊技球を開閉部材８７０の上面に受け止めさせることができる。よって、開口８３１が、流入口として形成されると、遊技領域を流下する遊技球を開閉部材８７０を利用して、回転体８００の内部空間へ流入させやすくできる。
【０８８０】
また、遊技領域を流下する遊技球を開閉部材８７０の上面に止め易くさせることができる。よって、例えば、回転体８００に遊技球の流入口が形成される場合には、遊技領域を流下する遊技球を、開閉部材８７０を利用して、流入口に流入させやすくすることができる。この場合、遊技領域を流下する遊技球を開閉部材８７０に受け止めさせると、その際に作用する荷重や変位部材の上面を転動する遊技球の重さにより回転体８００が回転される恐れがある。よって、開放状態の位置に変位された蓋部材７７０が、回転規制部材７８０を変位させて回転体８００の変位を規制可能に形成されるという構成が特に有効となり、これにより、開閉部材８７０を遊技領域の所定の位置に張り出せた状態を維持しやすくできる。
【０８８１】
開閉部材８７０の軸部８７２は、回転体８００の回転方向側に配置される。言い変えると、開閉部材８７０（変位部材）は、その一側が他側よりも回転体８００（回転部材）の回転方向前方側に位置される。よって、回転体８００が回転される際に、その回転部材の周りに配設される部材に開閉部材８７０が干渉したとしても、かかる干渉により発生する力を開閉部材８７０を閉じる（閉鎖位置へ変位させる）方向へ作用させることができる。即ち、回転体８００の回転時に開閉部材８７０が他の部材に干渉して張り出される（第２位置）へ変位されることを抑制できる。また、開閉部材８７０が他の部材に係合して回転体８００の回転が阻害されることを抑制できる。
【０８８２】
また、回転体８００の内部空間に配設されるベース板８１０（固定部材）は、回転体８００が回転可能に配設される箱部材７６０（ベース部材）に対して非回転とされるので、開口８３１から回転体８００の内部空間に流入された遊技球をベース板８１０の上面を連通孔８８１ｂへ向けて転動させることで、回転体８００の回転に伴って、遊技球が内部空間で暴れる又は、遊技球の転動が阻害され内部空間に留まることを抑制できる。
【０８８３】
上述したように、開閉部材８７０の開閉動作は、蓋部材７７０の変位によって規制されるので、開放状態（第２位置）へ変位された開閉部材８７０が回転体８００の周囲の部材に干渉することを抑制できる。
【０８８４】
上述したように、回転体８００には、ベース板８１０の背面側に取着されるＬＥＤ基盤８２０への配線を挿通させる連通孔８１１ｂが、連通孔８８１ｂが形成された回転体８００の端面と反対の端面に形成される。よって、連通孔８８１ｂおよび連通孔８１１ｂのそれぞれに使用できるスペースを確保しやすくできる。
【０８８５】
即ち、回転体８００の内部に配設するＬＥＤ基盤に電気的な配線をする場合、回転体８００の外周面から配線を挿通すると回転体８００の回転により配線が絡まるため、回転体の軸方向端面から配線することが好ましいところ、回転体８００の軸方向両端面に遊技球が流入する開口および遊技球が流出する開口を形成するものであると、配線を挿通させるスペースが確保し難くなる。
【０８８６】
これに対し、本実施形態では、回転体８００の遊技球の流入口をその外周面とできるので、回転体８００の軸方向端面の一方を遊技球の流出口とすると共に、他方を配線の挿入口とすることができるので、配線を挿通させるスペースを確保しやすくできる。
【０８８７】
その結果、連通孔８８１ｂを介して遊技球の排出をスムーズに行わせることができると共に、電気的接続線（ＬＥＤ基盤８２０への配線）の開口への配線作業を行いやすくできる。また、連通孔８８１ｂと連通孔８１１ｂとを最大限離間させることができるので、回転体８００の内部空間を連通孔８８１ｂへ転動する遊技球と電気的接続線との干渉を抑制しやすくできる。
【０８８８】
次いで、図１０５及び図１０６を参照して、下変位ユニット４００及び回転ユニット７００について説明する。図１０５は、下変位ユニット４００及び回転ユニット７００の正面図であり、図１０６は、図１０５の矢印ＣＶＩ方向視における下変位ユニット４００の上面図である。なお、図１０５及び図１０６では、退避状態における下変位ユニット４００が図示される。
【０８８９】
図１０５及び図１０６に示すように、下変位ユニット４００及び回転ユニット７００は、左右方向に隣合う位置に配置される。また、前後方向（図１０６上下方向）における下変位ユニット４００及び回転ユニット７００は、球受台７１０の前後方向略中央位置に下変位部材４４０の出射開口４７１が配置される。
【０８９０】
次いで、図１０７を参照して、下変位ユニット４００から回転ユニット７００への球の送球を態様を説明する。図１０７は、下変位ユニット４００及び回転ユニット７００の正面図である。なお、図１０７では、下変位ユニット４００が第１張出状態に配置された状態が図示される。
【０８９１】
図１０７に示すように、下変位ユニット４００が、第１張出状態とされ、下変位部材４４０の内部に配設された球受部４６７が内側に球を受け入れた状態（球受動作をした状態）で発射動作をすると、上述したように、下変位部材４４０の出射開口４７１から球受部４６７の内部に配置された球が下変位部材４４０の外方に排出される。
【０８９２】
下変位部材４４０の出射開口４７１から排出された球は、自由落下をして、正面視右側に配設される回転ユニット７００の球受台７１０に落下する。その結果、下変位ユニット４００から回転体８００へ球を送球することができる。
【０８９３】
次いで、図１０８及び図１０９を参照して、球受台７１０の構成について説明する。図１０８（ａ）は、球受台７１０の上面図であり、図１０８（ｂ）は、球受台７１０の正面図であり、図１０８（ｃ）は、図１０８（ａ）のＣＶＩＩＩｃ−ＣＶＩＩＩｃ線における球受台７１０の断面図である。図１０９は、球受台７１０の分解斜視図である。
【０８９４】
図１０８及び図１０９に示すように、球受台７１０は、箱状に形成される皿受部７１１と、その皿受部７１１の内側に配設されるソレノイド７１２と、そのソレノイド７１２に連結される変位部材７１３と、ソレノイド７１２を覆設するカバー部材７１４とを主に備えて形成される。
【０８９５】
皿受部７１１は、底面を形成する底板７１１ａと、その底板７１１ａの縁部に立設される立設部７１１ｂと、底板７１１ａの外縁の一部から突出する送球部７１１ｃと、その送球部７１１ｃの縁部に立設される立設部７１１ｂに貫通形成される軸孔７１１ｄとを主に備えて形成される。
【０８９６】
底板７１１ａは、後述する送球部７１１ｃ側に向かって下方に撓んだ形状に形成される。これにより、底板７１１ａの上部に送球された球をその撓み（傾斜）で送球部７１１ｃ側に転動させることができる。
【０８９７】
また、底板７１１ａは、可撓性材料で形成されると共に、底板７１１ａの下面（図１０８（ｃ）下面）には、シボ加工が施され、表面に細かい凹凸が形成される。これにより、底板７１１ａを成形した際に、熱収縮する比率を上面と底面とで異ならせて、底面側に撓み易くできる。即ち、シボ加工が施される底面は、凹凸により熱収縮した際に底板側を凸に湾曲させる方向へ力が作用し難くなる。一方、上面側は、平坦面に形成されるので熱収縮した際に水平方向に引張る力が作用して端部が上方に変化し易くなる（上面側が凹の湾曲を形成しやすい）。従って、熱収縮した際に球が転動しやすくなる方向に撓み易くできる。その結果、底板７１１ａを成形した際に不良品となることを抑制できる。
【０８９８】
立設部７１１ｂは、送球部７１１ｃの外縁部から重力方向上側（図１０８（ｃ）上側）に立設される壁部である。立設部７１１ｂの立設距離は、球の外径よりも大きく設定される。これにより、底板７１１ａの上部に送球される球がその縁部から下方に落下することを抑制できる。なお、本実施形態では、立設部７１１ｂの立設寸法が球の直径の略１．５倍に設定される。
【０８９９】
また、立設部７１１ｂは、底板７１１ａの領域を２つに分断する中央立設部７１１ｂ１が立設部７１１ｂに連結して形成される。中央立設部７１１ｂ１により、一方を球が送球される領域に、他方を後述するソレノイド７１２が配設される領域に、底板７１１ａの上部の領域が分けられる。
【０９００】
送球部７１１ｃは、底板７１１ａの正面側に形成される。また、左右方向（図１０８（ａ）左右方向）の位置が底板７１１ａの略中央位置よりも右側（図１０８右側）に配置される。さらに、送球部７１１ｃは、底板から突出される従って下方に湾曲される。これにより、底板７１１ａから送球される球を送球部７１１ｃを介して下方に落下させることができる。なお、送球部７１１ｃの下側には、蓋部材７７０の入賞口７６１ａが配設されており（図１０６参照）、送球部７１１ｃから落下する球を入賞口７６１ａの内部に送球できる。
【０９０１】
軸孔７１１ｄは、後述する変位部材７１３の軸部７１３ａが挿入される。これにより、変位部材７１３を軸孔７１１ｄの軸を中心に回転変位させることができる。
【０９０２】
ソレノイド７１２は、電力が付与されることで、ソレノイド７１２の内部に挿入した軸をピストン変位させることができる。ソレノイド７１２の軸には、伝達部材７１２ａが取着される。伝達部材７１２ａは、ソレノイド７１２の駆動力を後述する変位部材７１３に伝達する部材であり、先端に連通孔７１２ａ１が貫通形成される。
【０９０３】
変位部材７１３は、断面Ｃ字状に形成され、その一端にＣ字の外側に突出する突起７１３ｂと、両端にＣ字の内側に突出する軸部７１３ａとを主に備えて形成される。
【０９０４】
突起７１３ｂは、ソレノイド７１２の連通孔７１２ａ１に挿入される突起であり、連通孔７１２ａ１の内径よりも大きい外径の円柱状に形成される。これにより、ソレノイド７１２の変位が伝達部材７１２ａを介して変位部材７１３に伝達される。
【０９０５】
軸部７１３ａは、軸孔７１１ｄに挿入される軸である。軸部７１３ａが軸孔７１１ｄに挿入されることで、変位部材７１３は、軸部７１３ａの軸を中心に回転できる。即ち、ソレノイド７１２の変位により、変位部材７１３が駆動される。
【０９０６】
カバー部材７１４は、ソレノイド７１２の外形よりも大きい外形に形成されており、底板７１１ａの上部に配置されたソレノイド７１２の上方に配置されると共に、皿受部７１１に締結固定される。これにより、ソレノイド７１２を固定することができる。
【０９０７】
次いで、図１１０を参照して球受台７１０に落下する球について説明する。図１１０（ａ）及び図１１０（ｂ）は、球受台７１０の断面図である。なお、図１１０（ａ）及び図１１０（ｂ）は、図１０８（ｃ）の球受台７１０の断面と対応する。
【０９０８】
図１１０に示すように、下変位ユニット４００の下変位部材４４０から送球される球は、重力方向に自由落下すると共に、球受部４６７の発射動作により回転ユニット７００側（図１１０（ａ）右側）へ変位する。即ち、球受台７１０の底板７１１ａに対して正面視右下方向に落下される。
【０９０９】
この場合、上述したように、底板７１１ａは、送球部７１１ｃ側に向かって下方に撓んで形成され、送球部７１１ｃは底板７１１ａに対して右側に形成されるので、球が落下する底板７１１ａの上面を右側に向かって下方に傾斜する傾斜面にできる。よって、球の変位方向と球が落下する底板７１１ａの傾斜方向とを平行に近づけることができる。
【０９１０】
これにより、図１１０（ｂ）に示すように、底板７１１ａに落下した球が上方向（図１１０（ｂ）上方向）にバウンドすることを抑制できる。従って、下変位ユニット４００の下変位部材４４０から回転ユニット７００の球受台７１０に送球される球が、球受台７１０から落下することを抑制できる。
【０９１１】
さらに、底板７１１ａに落下した球を、その落下の勢いで送球部７１１ｃ側に転動させることができる。よって、送球部７１１ｃまでの球の転動時間を短くすることができる。その結果、下変位部材４４０から球受台７１０へ送球される球をスムーズに送球することができる。
【０９１２】
次いで、図１１１を参照して、球受台７１０の発光について説明する。図１１１（ａ）及び（ｂ）は、図８７のＣＸＩ−ＣＸＩ線における回転ユニット７００の断面模式図である。なお、図１１１（ａ）は、装飾ユニット７５０が閉鎖状態に、図１１１（ｂ）では、装飾ユニット７５０が開放状態に、それぞれ配置された状態が図示される。
【０９１３】
図１１１（ａ）に示すように、装飾ユニット７５０が閉鎖状態に配置された状態での球受台７１０への光の発光は、背面ベース７２０の背面側に配置されるＬＥＤ基盤７２１により行われる。
【０９１４】
詳しく説明すると、ＬＥＤ基盤７２１のＬＥＤ７２１ａから発光する光を、蓋部材７７０の背面側に反射させることで、球受台７１０の底板７１１ａへ入射させる。また、上述したように、底板７１１ａの底面には、シボ加工が施されるので、シボ加工の凹凸により入射された光を乱反射させることができる。これにより、球受台７１０の底面全体を発光させることができる。
【０９１５】
一方、図１１１（ｂ）に示すように、装飾ユニット７５０が開放状態に配置された状態では、上述したように、蓋部材７７０に透明部７７１ａが形成されるので、ＬＥＤ基盤７２１のＬＥＤ７２１ａは、蓋部材７７０に反射されず透過される。蓋部材７７０の内側には回転体８００が形成されるので、回転体８００の外周面で反射させて球受台７１０へ入射させることができる。
【０９１６】
またこの場合、回転体８００の第３表示部８５０を球受台７１０側（図１１１（ｂ）上側）に回転させることで、ベース板８１０の背面側に配置されるＬＥＤ基盤８２０のＬＥＤ８２１から発光する光を、回転体８００の内壁に反射させて第３表示部８５０から出射させることができる。
【０９１７】
上述したように、第３表示部８５０の内壁には、シボ加工が施されており、表面に複数の凹凸が形成される。よって、他の表示部よりも第３表示部８５０は、回転体８００の外側に光を出射させやすくできる。そのため、第３表示部８５０を球受台７１０側に配置することが好ましい。
【０９１８】
次いで、図１１２から図１１８を参照して、上変位ユニット９００の詳細な構成を説明する。まず、図１１２から図１１４を参照して、上変位部材９４０を変位させる構造について説明する。
【０９１９】
図１１２は、上変位ユニット９００の正面図である。図１１３は、上変位ユニット９００の分解斜視正面図である。図１１４は、上変位ユニット９００の分解背面斜視である。なお、図１１２から図１１４では、上変位部材９４０が退避位置（ベース部材９１０に対して一番上方に配置された位置）に配置された状態が図示される。
【０９２０】
図１１２から図１１４に示すように、上変位ユニット９００は、背面ケース３００の底壁部３０１（図６参照）に配設されるベース部材９１０と、そのベース部材９１０の内部に配設される伝達部材９２０と、ベース部材９１０に回転可能に連結されると共に伝達部材９２０の変位に伴って変位される回転部材９３０と、一端がベース部材４１０に摺動変位可能に連結されると共に回転部材９３０に連結されて回転部材９３０から駆動力を伝達されることで変位する上変位部材９４０とを主に備えて形成される。
【０９２１】
ベース部材９１０は、正面視矩形横長の板部材を前後方向に２枚組み合わされて形成され、正面側に配設される正面ベース９１１と、背面側に配設される背面ベース９１２とを備える。正面ベース９１１及び背面ベース９１２との対向間には、伝達部材９２０及び回転部材９３０とが配設される。
【０９２２】
正面ベース９１１は、前後方向（図１１２紙面奥行方向）に貫通した３つの摺動溝９１１ｃ，９１１ｄ，９１１ｅと、周方向中央位置の背面側に突出する軸支ピン９１１ｂと、正面ベースの一端側（正面視左側）の正面に突出する軸部９１１ｆと、一端側の前後方向に貫通する開口９１１ａとを主に備えて形成される。
【０９２３】
開口９１１ａは、正面ベース９１１に配設される駆動モータＫＭ５の軸を背面側に挿通させるための開口である。これにより、正面ベース９１１の正面側に配設される駆動モータＫＭ５の軸を正面ベース９１１の背面側に挿通することができる。
【０９２４】
軸支ピン９１１ｇ，９１１ｂは、後述する伝達ギヤ９２２及び伝達ギヤ９２３の軸孔に挿通され、伝達ギヤ９２２及び伝達ギヤ９２３を回転可能に保持できる。即ち、軸支ピン９１１ｇ，９１１ｂは、伝達ギヤ９２２及び伝達ギヤ９２３の軸孔の内径よりも小さい外径の円柱状に形成される。
【０９２５】
摺動溝９１１ｃは、軸支ピン９１１ｂの軸を中心とする円弧状に貫通形成される。摺動溝９１１ｃは、後述する伝達ギヤ９２３の軸支ピン９２３ａが挿通される開口であり、その円弧の半径が、後述する伝達ギヤ９２３の軸孔から軸支ピン９２３ａまでの距離と略同一に設定される。これにより、軸支ピン９２３ａを摺動溝９１１ｃの内部に挿通した状態で伝達ギヤ９２３を回転させた際に、軸支ピンと、摺動溝９１１ｃの内壁とが衝突することを抑制できる。
【０９２６】
摺動溝９１１ｄ，９１１ｅは、後述する上変位部材９４０の軸支ピン９５１，９５２が挿入される溝であり、その短手方向の幅寸法が軸支ピン９５１，９５２の外径よりも大きく設定される。
【０９２７】
摺動溝９１１ｅは、正面ベース９１１の長手方向（正面視左右方向）に直線状に形成される。一方、摺動溝９１１ｄは、正面ベース９１１の下方を中心とした円弧状に形成される。即ち、摺動溝９１１ｅおよび摺動溝９１１ｄは、非平行に形成される。よって、左右方向に異なる位置では、２つの摺動溝９１１ｅ，９１１ｄの上下方向の対向間の距離寸法が異なる状態に形成される。これにより、摺動溝９１１ｅ，９１１ｄの内部を軸支ピン９５１，９５２を摺動させた場合に、その上下方向の対向間の距離寸法の差によって、上変位部材９４０が回転しつつ摺動される。
【０９２８】
軸部９１１ｆは、正面側に円柱状に突出して形成される。軸部９１１ｆは、後述する回転部材９３０の一端に形成される貫通孔９３１に挿通して、回転部材９３０を回転可能な状態で保持することができる。即ち、軸部９１１ｆは、回転部材９３０の貫通孔９３１の内径よりも小さい外径に形成される。
【０９２９】
背面ベース９１２は、正面ベース９１１の背面側に所定の間隔を隔てて取着される板部材である。背面ベース９１２は、金属材料から形成される。これにより、ベース部材９１０の全体の剛性を向上することができる。その結果、横長矩形に形成されるベース部材９１０に比較的重量の重い上変位部材９４０が配設された際に、ベース部材９１０がねじれることを抑制できる。
【０９３０】
伝達部材９２０は、正面ベース９１１と背面ベース９１２との対向間に配設される。伝達部材９２０は、駆動モータＫＭ５の軸に連結される伝達ギヤ９２１と、その伝達ギヤ９２１に歯合される伝達ギヤ９２２と、その伝達ギヤ９２２に歯合される伝達ギヤ９２３とを主に備えて形成される。
【０９３１】
伝達ギヤ９２１は、上述したように軸孔に正面ベース９１１の正面側に配設された駆動モータＫＭ５の軸が挿入されて駆動モータＫＭ５と連結される。これにより、伝達ギヤ９２１は、駆動モータＫＭ５の駆動力により回転変位することができる。
【０９３２】
伝達ギヤ９２２は、上述したように伝達ギヤ９２１及び伝達ギヤ９２３と歯合される。これにより、伝達ギヤ９２１の回転の駆動力を伝達ギヤ９２３に伝達することができる。
【０９３３】
伝達ギヤ９２３は、その外周縁部に正面側に突出する軸支ピン９２３ａを備えて形成される。よって、伝達ギヤ９２３が回転されると、軸支ピン９２３ａは、伝達ギヤ９２３の軸周りに回転変位される。
【０９３４】
回転部材９３０は、一方側が長い棒状に形成され、一端側の端部に前後方向に貫通形成される貫通孔９３１と、長手方向略中央位置に長手方向に延設された開口９３２とを主に備えて形成される。
【０９３５】
貫通孔９３１は、上述したように、正面ベース９１１の軸部９１１ｆが挿入される開口であり、軸部９１１ｆが挿入されることで、回転部材９３０を正面ベース９１１に対して回転可能な状態で保持することができる。また、軸部９１１ｆの先端には、付勢ばねＳＰ８が配設される。これにより、回転部材９３０は、正面ベース９１１に対して他端側を上方に持ち上げる方向に付勢される。
【０９３６】
開口９３２は、伝達ギヤ９２３の軸支ピン９２３ａが挿入される溝であり、内部を軸支ピン９２３ａが摺動可能に形成される。上述したように、伝達ギヤ９２３が回転変位されて軸支ピン９２３ａの配置が変位する際に、開口９３２の内側を軸支ピン９２３ａが変位する。よって、回転部材９３０は、一端が回転可能に軸支された状態で配置されるので、軸支ピン９２３ａの変位により一端を軸に回転される。
【０９３７】
また、回転部材９３０の他端側には、正面視円環状に形成されると共に、背面側に所定の厚みを備えた板状に形成される円環部材９３３が配設される。
【０９３８】
円環部材９３３の正面側には、その外周縁に沿って対称の位置に凹設される２つの摺動溝９３３ａを備えて形成される。円環部材９３３は、後述する上変位部材９４０との連結される部分であり、内側に上変位部材９４０の軸部９５３が挿入される。また、円環部材９３３と上変位部材９４０とは回転可能に連結されており、回転部材９３０が回転変位するに共に伴って上変位部材９４０が変位可能とされる。
【０９３９】
摺動溝９３３ａには、内側に上変位部材９４０の突起９６１が挿入されており、上変位部材９４０が回転部材に対して回転変位することで、突起９６１が摺動溝９３３ａの内部を摺動できる。
【０９４０】
また、摺動溝９３３ａの円弧軸は、回転部材９３０に対する上変位部材９４０の回転軸とは、異なる位置に配置される。これにより、上変位部材９４０が回転部材９３０に対して回転変位した際に、第１開放部９６０を変位できる。なお、第１開放部９６０の詳しい説明は後述する。
【０９４１】
なお、回転部材９３０の一端側（回転軸側）には、前方に板状体から形成される軸部カバー９１３及び変形規制カバー９１４が配設される。軸部カバー９１３は、回転部材９３０の回転軸部分の前方に配設されており、回転部材９３０が前後方向にがたつくことが抑制される。変形規制カバー９１４は、回転軸から所定距離離間した位置に配設されており、回転部材９３０が他端側に配設される上変位部材９４０の重みで前後方向に変形することを抑制できる。
【０９４２】
上変位部材９４０は、正面ベース９１１及び回転部材９３０に連結されるベース体９５０と、そのベース体９５０の背面側に回転可能に配設される２つの第１開放部９６０と、ベース体９５０の正面側に回転可能に配設される２つの第２開放部９７０と、一端側に配設される可変部９８０とを主に備えて形成される。
【０９４３】
ベース体９５０は、一端側の背面に突出形成される２つの軸支ピン９５１，９５２と、他端側の背面に突出形成される軸部９５３とを主に備えて形成される。
【０９４４】
軸支ピン９５１，９５２は、上述したように正面ベース９１１の摺動溝９１１ｅ，９１１ｄに挿入される突起である。よって、上変位部材９４０が、回転部材９３０により駆動された際に、軸支ピン９５１，９５２が摺動溝９１１ｅ，９１１ｄに沿って摺動することで、上変位部材９４０を左右方向にスライド変位させると共に、他端側を下方に回転変位させることができる。
【０９４５】
軸部９５３は、上述したように、円環部材９３３に挿入されて回転部材９３０と連結される突起であり、円環部材９３３の内径よりも小さい外径の円柱状に形成される。これにより、上変位部材９４０を回転部材９３０に回転可能に連結できる。よって、回転部材９３０が駆動モータＫＭ５の駆動力により、一端を軸に回転変位されると、円環部材９３３の変位により、上変位部材９４０に駆動力が伝達される。その結果、上変位部材９４０が、摺動溝９１１ｅ，９１１ｄに沿って変位することができる。
【０９４６】
第１開放部９６０は、前後方向に所定の厚みを備えた板部材であり、ベース体９５０の背面側に２枚配設される。第１開放部９６０は、ベース体９５０の他端側に回転可能に軸支されて配設される。また、第１開放部９６０は、背面側に突出すると共に、円環部材９３３の摺動溝９３３ａの内側に配設される突起９６１を備える。これにより、上変位部材９４０が回転部材９３０の変位により回転部材９３０に対して回転変位した際に、突起９６１を摺動溝９３３ａの内側を摺動させることができる。
【０９４７】
この場合、上述したように摺動溝９３３ａの湾曲軸は、回転部材９３０に対する上変位部材９４０の回転軸と異なる位置に配置されるので、突起９６１が摺動溝９３３ａの内側を摺動するに伴って、ベース体９５０に軸支された第１開放部９６０を回転変位することができる。
【０９４８】
第２開放部９７０は、前後方向に所定の厚みを備えた板部材であり、ベース体９５０の正面側に２枚配置される。第２開放部９７０は、ベース体９５０の他端側に回転可能に軸支されて配設される。また。第２開放部９７０は、第１開放部９６０が所定の変位をされた際に係合する係合突起（図示せず）を備えて形成される。これにより、上述したように第１開放部９６０が、上変位部材９４０が所定の回転変位をされた際に、軸支部分を軸に回転変位されると、第２開放部９７０と係合して第２開放部９７０を回転変位させることができる。
【０９４９】
次いで、図１１５から図１１７を参照して、上変位部材９４０の変位について説明する。図１１５は、上変位部材９４０が退避位置に配置された状態における上変位ユニット９００の正面図である。図１１６は、上変位部材９４０が中間位置に配置された状態における上変位ユニット９００の正面図である。図１１７は、上変位部材９４０が張出位置に配置された状態における上変位ユニット９００の正面図である。
【０９５０】
なお、上変位部材９４０の退避位置とは、軸支ピン９５１，９５２が、正面ベース９１１の摺動溝９１１ｄ，９１１ｅの他端側（正面ベース９１１の正面視右側）に配置された状態の位置である。また、張出位置とは、軸支ピン９５１，９５２が、正面ベース９１１の摺動溝９１１ｄ，９１１ｅの一端側（正面ベース９１１の正面視左側）に配置され状態の位置である。更に、中間位置とは、上変位部材９４０が退避位置と張出位置との中間の位置に変位された状態の位置である。
【０９５１】
図１１５から図１１７に示すように、上変位部材９４０が正面ベース９１１に対して変位されると、上変位部材９４０は、その長手方向を略水平方向（図１１５左右方向）から略鉛直方向（図１１７上下方向）に回転変位される。
【０９５２】
また、その回転変位に伴って、上変位部材９４０の一端側の位置が、正面ベース９１１の正面視右側端部の位置から正面視略中央位置に変位される。即ち、上変位部材９４０は、上述したように駆動モータＫＭ５の駆動力により回転部材９３０が回転されると、スライド変位しつつ回転変位される。
【０９５３】
また、図１１６に示す中間位置から、図１１７に示す張出位置までの変位時に、上変位部材９４０に配設される第１開放部９６０がベース体９５０に対して回転変位される、よって、第１開放部９６０の回転変位に係合して変位する第２開放部９７０も同様にベース体９５０に対して回転変位される。よって、張出位置では、上変位部材９４０の長手方向を鉛直方向に向けると共に、第１開放部９６０及び第２開放部９７０が変位した状態とされる。
【０９５４】
なお、本実施形態では、上変位部材９４０は、人間の腕（手も含む）形を模した形状に形成されている。よって、第１位置から第３位置に変位して、第１開放部９６０及び第２開放部９７０が変位されることで、人間の腕が太くなるような変位を遊技者に視認させることができる。
【０９５５】
次いで、図１１８を参照して、可変部９８０の詳細な説明をする。図１１８（ａ）は、可変部９８０の正面図であり、図１１８（ｂ）は、可変部９８０の背面図である。
【０９５６】
図１１８（ａ）及び図１１８（ｂ）に示すように、可変部９８０は、人間の手を模した形状に形成されており、手の後部分を形成する本体部９８１と、本体部９８１に連結されて手の指部分を形成する指部９８２〜９８６とを主に備えて形成される。
【０９５７】
本体部９８１の内部には、駆動モータ（図示しない）が配設されており、内部に配設される可変板（図示しない）を前後方向（図１１８（ａ）上下方向）にピストン変位可能とされる。
【０９５８】
指部９８２は、親指に相当する部分であり、基部側が本体部９８１の可変板に連結される。これにより、可変板がピストン運動をされることで指部９８２を変位させることができる。
【０９５９】
指部９８３〜９８６は、その内側に基部側に配設される第１リンクＲＢ１と、先端側に配設される第２リンクＲＢ２とを主に備えて形成される。
【０９６０】
第１リンクＲＢ１は、先端側が第２リンクＲＢ２に回転可能な状態で連結されると共に基部側が本体部９８１の可変板に連結される。従って、本体部９８１の可変板がピストン運動をされることで、第１リンクＲＢ１および第１リンクＲＢ１を介して第２リンクＲＢ２を変位させることができる。これにより、指部９８３〜９８６を変位させることができる。なお、本実施形態では、指部９８２〜９８６を変位させることで、手の指を開閉する動作を遊技者に視認させることができる。
【０９６１】
正面ベース４１１は、前後方向（図４３紙面奥行方向）に貫通した２つの摺動溝４１１ａ，４１１ｂと、背面側に突出する円柱状の２本の軸支ピン４１１ｃ，４１１ｄと、軸支ピン４１１ｄを軸とした円弧状に突出する湾曲壁部４１１ｅとを主に備えて形成される。
【０９６２】
摺動溝４１１ａ，４１１ｂは、下変位部材４４０の背面側から突出する２本の突起４７２，４７３がそれぞれ挿通される孔である。摺動溝４１１ａ，４１１ｂは、それぞれ左右方向に長く伸びて形成される。よって、摺動溝４１１ａ，４１１ｂに挿通された突起４７２，４７３を摺動溝４１１ａ，４１１ｂに沿って変位させることで、下変位部材４４０を左右方向に摺動させることができる。
【０９６３】
また、摺動溝４１１ａ，４１１ｂは、それぞれ円弧状に湾曲して形成されており、正面ベース４１１の左側（図４３左側）端部から右側（図４３右側）端部にかけて上方（図４３上方向）に開口される。さらに、摺動溝４１１ａ，４１１ｂは、それぞれの円弧の軸が異なる位置に配置され、上下方向（図４３上下方向）における対向間の隙間が左端部から右端部にかけて狭くされる。
【０９６４】
下変位部材４４０のベース部材４７０の突起４７２，４７３は、その間の距離が変わらないので、下変位部材４４０を摺動溝に沿って摺動させた場合には、下変位部材４４０を回転させつつ変位させることができる。即ち、２つの摺動溝４１１ａ，４１１ｂの間の距離を変更することで、下変位部材４４０に回転の駆動力を与えることなく下変位部材４４０を摺動に伴って回転させることができる。
【０９６５】
軸支ピン４１１ｃは、後述する伝達部材４２０のカム部材４２２の軸部４２２ａに挿入される突起であり、軸部４２２ａの内径よりも小さい外径の円柱状に形成される。また、軸支ピン４１１ｃは、金属製の棒状体から形成され、正面ベース４１１に外嵌される。よって、カム部材４２２にその外周面から軸方向に向かって力が作用した際に、軸支ピン４１１ｃが折れる（破損する）ことを抑制できる。
【０９６６】
次いで、図１１９から図１２１を参照して、第２実施形態における下変位部材２４４０について説明する。第１実施形態では、可動ラック４６４及びラック４６６が、駆動モータＫＭ２の駆動力により同方向に変位する場合を説明したが、第２実施形態における下変位部材２４４０は、可動ラック２４６４及びラック４６６が駆動モータＫＭ２の駆動力により反対方向に変位される。なお、上記第１実施形態と同一の部分には、同一の符号を付してその説明は、省略する。
【０９６７】
まず、第２実施形態における下変位部材２４４０の全体構成について、図１１９及び図１２０を参照して説明する。図１１９は、第２実施形態における下変位部材２４４０の分解斜視正面図である。図１２０は、下変位部材２４４０の正面図である。なお、図１２０では、下変位部材２４４０の装飾部材４５０及び正面ケース４８１が透明視された状態が図示される。
【０９６８】
図１１９及び図１２０に示すように、第２実施形態における下変位部材２４４０は、正面ベース４１１に連結されるベース部材２４７０と、そのベース部材２４７０の前後を覆うケース部材４８０と、ケース部材４８０とベース部材２４７０との間に変位可能に配設される伝達機構２４６０と、ケース部材４８０の前後を覆う態様で形成される装飾部材４５０とを主に備えて形成される。
【０９６９】
ベース部材２４７０は、正面視矩形横長に形成される板部材であり、一端側の背面に突出する突起４７２，４７３と、他端側の縁部から正面側に立設する立設壁４７１ａと、左右方向（図１２０左右方向）中央部の上端から正面側に上下方向反対のＵ字状に突出する突設壁４７７と、正面側に突設する軸部４７４，４７５と、その軸部４７４，４７５よりも上方に突設する軸部２４７０ａ，２４７０ｂとを主に備えて形成される。
【０９７０】
軸部２４７０ａは、後述する伝達ギヤ２４６８ａが回転可能に軸支される軸部材であり、伝達ギヤ２４６８ａの軸孔よりも小さく形成される。
【０９７１】
軸部２４７０ｂは、後述する伝達ギヤ２４６８ｂが回転可能に軸支される軸部材であり、伝達ギヤ２４６８ｂの軸孔よりも小さく形成される。後述するように、伝達ギヤ２４６８ａ及び軸部２４７０ａとは、その外周面に刻設されるギヤ歯面が歯合された状態で配設される。即ち、軸部２４７０ａ及び軸部２４７０ｂの正面視における間隔は、伝達ギヤ２４６８ａ及び伝達ギヤ２４６８ｂの半径分の距離に設定される。
【０９７２】
伝達機構２４６０は、ベース部材４７０の前方に配置されており、伝達ギヤ４６１，４６２，４６３と、その伝達ギヤ４６１に軸部分が連結される駆動モータＫＭ２と、伝達ギヤ４６３と歯合する歯面を有し、ベース部材４７０の前方にスライド変位可能に配設される可動ラック２４６４と、その可動ラック２４６４に歯合する伝達ギヤ２４６８ａと、その伝達ギヤ２４６８ａに歯合する伝達ギヤ２４６８ｂと、その伝達ギヤ２４６８ｂに歯合するラック４６と、そのラック４６６の一端側に回転可能に配設される球受部４６７とを主に備えて形成される。
【０９７３】
可動ラック２４６４は、正面視矩形横長の板状体に形成され、下端面に刻設されるラックギヤ４６４ａと、上端面に刻設されるラックギヤ２４６４ｇと、下方の端部に突出する衝突部４６４ｆとを主に備えて形成される。
【０９７４】
ラックギヤ２４６４ｇは、後述する伝達ギヤ２４６８ａに歯合される。これにより、駆動モータＫＭ４から駆動が伝達されてラック４６６が変位されると、その変位に伴って伝達ギヤ２４６８ａを回転させることができる。
【０９７５】
伝達ギヤ２４６８ａ，２４６８ｂは、上述したように互いに歯合した状態でベース部材２４７０の軸部２４７０ａ，２４７０ｂにそれぞれ軸支される。これにより、伝達ギヤ２４６８ａが回転されると、伝達ギヤ２４６８ｂが回転される。また、伝達ギヤ２４６８ｂは、ラック４６６のラックギヤ４６６ａに歯合されており伝達ギヤ２４６８ｂが回転されると、ラック４６６に駆動力が伝達されてラック４６６が変位される。
【０９７６】
即ち、駆動モータＫＭ４の駆動力によりラック４６６を駆動させることができる。なお、伝達ギヤ２４６８ａ，２４６８ｂは、一部前後方向にずれた位置に配置されており、伝達ギヤ２４６８ａはラック４６６に、伝達ギヤ２４６８ｂは可動ラック２４６４にそれぞれ衝突することが抑制される。
【０９７７】
次いで、図１２１を参照して、下変位部材２４４０の変位について説明する。図１２１は、下変位部材２４４０の正面図である。なお、図１２１では、図１２０と同様に、下変位部材２４４０の装飾部材４５０及び正面ケース４８１が透明視された状態で図示される。
【０９７８】
図１２１に示すように、駆動モータＫＭ２に電力が付与されて、上述した伝達機構２４６０により、球受部４６７が発射位置に変位されると、可動ラック４６４及びラック４６６が互いに異なる方向に変位される。
【０９７９】
詳しく説明すると、駆動モータＫＭ４が回転されることで、可動ラック４６４は、下変位部材４４０の他端側（図１２１左側）に変位される。この変位に伴って、伝達ギヤ２４６８ａ，２４６８ｂが回転されて、ラック４６６が一端側（図３右側）に変位される。これにより、球受部４６７を第３位置に変位させることができる。
【０９８０】
よって、球受部４６７が、第１位置から変位されると、その球受部４６７の変位方向と逆方向となる変位成分を形成することができるので、球受部４６７の変位に伴い、下変位部材２４４０の重心位置が変化されることを可動ラック４６４の変位で小さくすることができる。その結果、重心位置の変化に起因する下変位部材２４４０のがたつきを抑制できる。
【０９８１】
次いで、図１２２から図１２７を参照して、第３実施形態における下変位部材３４４０について説明する。第１実施形態では、ラックピニオン機構により球受部４６７をスライド変位させる場合を説明したが、第３実施形態における下変位部材３４４０は、リンク機構により球受部４６７がスライド変位される。なお、上記各実施形態と同一の部分には、同一の符号を付してその説明は省略する。
【０９８２】
まず、第３実施形態における下変位部材３４４０の全体構成について、図１２２から図１２５を参照して説明する。図１２２（ａ）は、第３実施形態における下変位部材３４４０の正面図であり、図１２２（ｂ）は、下変位部材３４４０の背面図である。図１２３は、下変位部材３４４０の分解斜視正面図であり、図１２４は、下変位部材３４４０の分解斜視背面図である。図１２５（ａ）及び９１（ｂ）は、下変位部材３４４０の正面図である。
【０９８３】
なお、図１２５（ａ）では、下変位部材３４４０の装飾部材４５０が透明視された状態が図示され、図１２５（ｂ）では、下変位部材３４４０の装飾部材４５０及び正面ケース３４８１が透明視された状態が図示される。
【０９８４】
図１２２から図１２５に示すように、第３実施形態における下変位部材３４４０は、正面ベース４１１に連結されるベース部材３４７０とそのベース部材３４７０の前後を覆うケース部材４８０と、ケース部材４８０とベース部材３４７０との間に変位可能に配設される伝達機構３４６０と、ケース部材４８０の前後を覆う態様で形成される装飾部材４５０とを主に備えて形成される。
【０９８５】
ベース部材３４７０は、正面視矩形横長に形成される板部材であり、一端側の背面に突出する突起４７２，４７３と、他端側の縁部から正面側に立設する立設壁４７１ａと、その立設壁４７１ａの基端側から連なって形成されると共にベース部材３４７０の下方の縁部に立設される摺動壁３４７０ｃと、左右方向（図１２２（ａ）左右方向）中央部の上端から正面側に上下方向反対のＵ字状に突出する突設壁４７７と、ベース部材４７０の上下方向中央部に一端側から他端側に延びつつ凹設される開口４７９とを主に備えて形成される。
【０９８６】
摺動壁３４７０ｃは、球受部４６７の脚部４６７ａと当接して、その球受部４６７の位置（態様）を規制するための壁部である。即ち、球受部４６７の下方の位置まで突出形成される。これにより、球受部４６７をそのＵ字部分の開口を上方に向けた状態で保持することができる。
【０９８７】
また、摺動壁３４７０ｃは、立設壁４７１ａ側の端部の下方に凹設される凹部３４７０ｃ１が形成される。凹部３４７０ｃ１は、球受部４６７の脚部４６７ａの先端をその内部に受け入れる溝である。これにより、球受部４６７が後述する伝達機構３４６０により立設部側に摺動された際に、球受部４６７を凹部に受け入れて球受部４６７を回転させることができる。その結果、球受部４６７に発射動作（Ｕ字の内部に保持された球を下変位部材３４４０の外方に排出する動作）をさせることができる。
【０９８８】
伝達機構３４６０は、後述する正面ケース３４８０に取着される駆動モータＫＭ２と、駆動モータＫＭ２の軸に連結されて回転可能に配設される第１リンク部材３４６８と、その第１リンク部材３４６８に回転可能な状態で連結される第２リンク部材３４６９と、その第２リンク部材３４６９の一端側に連結される球受部４６７とを主に備えて形成される。
【０９８９】
第１リンク部材３４６８は、矩形横長の板状体から形成され、一端側に貫通形成される軸孔３４６８ｂと、駆動モータＫＭ２の軸に連結される連結孔３４６８ａと、他端側に膨出して形成される荷重部３４６８ｃとを主に備えて形成される。
【０９９０】
軸孔３４６８ｂは、後述する第２リンク部材３４６９の回転軸３４６９ａが挿通される貫通孔であり、回転軸３４６９ａの外径よりも大きい内径で前後方向に貫通形成される。
【０９９１】
連結孔３４６８ａは、上述したように駆動モータＫＭ２の軸に締結される孔であり、駆動モータＫＭ２の軸の外径と略同一の内径に形成される。連結孔３４６８ａに駆動モータＫＭ２の軸が内嵌されて締結されることで、第１リンク部材３４６８が、駆動モータＫＭ２の駆動力で回転可能とされる。
【０９９２】
荷重部３４６８ｃは、連結孔３４６８ａよりも他端側に膨出して形成される。荷重部３４６ｃは、第１リンク部材３４６８の重心を連結孔３４６８ａよりも他端側に位置させるための荷重を与えるための部材であり、一端側よりも外側に膨出して形成される。
【０９９３】
第２リンク部材３４６９は、矩形横長の状態に形成されると共に、第１リンク部材３４６８の背面側に配設される。第２リンク部材３４６９は、他端側から正面に向かって円柱状に突出する回転軸３４６９ａと、一端側に前後方向に貫通形成される貫通孔３４６９ｂとを主に備えて形成される。
【０９９４】
回転軸３４６９ａは、上述したように、第１リンク部材３４６８の軸孔３４６８ｂに挿入される。これにより、第１リンク部材３４６８と第２リンク部材３４６９とを回転可能な状態で連結することができる。
【０９９５】
貫通孔３４６９ｂは、球受部４６７を第２リンク部材３４６９に連結するための開口である。また、貫通孔３４６９ｂは球受部４６７の軸孔４６７ｂの内径より小さく形成される。よって、球受部４６７の軸孔４６７ｂと貫通孔３４６９ｂとを同軸上に配置すると共に、開口４６９の短手方向の幅よりも頭の大きいネジをベース部材３４７０背面側から開口４７９及び軸孔４６７ｂを挿通させて貫通孔３４６９ｂに締結させることで、球受部４６７が回転可能な状態で第２リンク部材に連結される。
【０９９６】
ケース部材４８０は、ベース部材４７０の前後を覆設する部材であり、ベース部材４７０の正面側に配設される正面ケース３４８１と、背面側に配設される背面ケース４８２とを主に備える。
【０９９７】
正面ケース３４８１は、正面視矩形横長の板状に形成され、駆動モータＫＭ２と対向する位置に貫通される開口３４８１ｄと、背面側の下端面に突出形成される底壁部４８１ｂと、下方縁部に前後方向に貫通する軸孔４８１ｃとを主に備えて形成される。
【０９９８】
開口３４８１ｄは、正面ケース３４８１の正面側に配設される駆動モータＫＭ２の軸を背面側に挿通させるための孔であり、駆動モータＫＭ２の軸よりも大きい外径に形成される。これにより、正面ケース３４８１の正面側に配設される駆動モータＫＭ２の駆動力を背面側に配置される第１リンク部材３４６８に伝達できる。
【０９９９】
次いで、図１２６及び図１２７を参照して、下変位部材３４４０の変位について説明する。図１２６（ａ）は、第１位置における下変位部材４４０の正面図であり、図１２６（ｂ）は、第２位置における下変位部材４４０の正面図である。図１２７（ａ）は、第３位置における下変位部材４４０の正面図であり、図１２７（ｂ）は、第２位置における下変位部材４４０の正面図である。
【１０００】
なお、図１２６（ａ）から図１２７（ｂ）までは、下変位部材４４０の遷移状態が順に図示される。また、図１２６（ａ）及び図１２６（ｂ）または図１２７（ａ）及び図１２７（ｂ）は、下変位部材３４４０の装飾部材４５０及び正面ケース４８１が透明視された状態が図示される。
【１００１】
図１２６及び図１２７に示すように、第１位置における下変位部材４４０は、第１リンク部材３４６８及び第２リンク部材３４６９がその長手方向（図１２６（ａ）左右方向）をベース部材３４７０の長手方向（図１２６（ａ）左右方向）と略平行な状態とされると共に、第１リンク部材３４６８及び第２リンク部材３４６９が前後方向に重なる態様で配置される。
【１００２】
即ち、第１リンク部材３４６８及び第２リンク部材３４６９との連結部分をベース部材３４７０の一端側（図１２６（ａ）左側）に配置した状態とされる。これにより、第２リンク部材３４６９が一端側に配置される。その結果、球受部４６７が第１位置に配置される。
【１００３】
次いで、図１２６（ｂ）に示すように、第１位置の状態から、駆動モータＫＭ２が回転されて、第１リンク部材３４６８が回転変位されると、第１リンク部材３４６８の一端側がベース部材３４７０に対して変位される。これにより、第１リンク部材３４６８の一端側に連結される第２リンク部材３４６９が変位される。この場合、第２リンク部材３４６９の一端側は、球受部４６７に連結されると共にベース部材３４７０の開口４７９に沿って摺動可能とされるので、第２リンク部材３４６９の一端側がベース部材３４７０の他端側に押し出される。その結果、第２リンク部材３４６９の他端側に連結される球受部４６７を第２位置に変位させることができる。
【１００４】
次に、図１２７（ａ）に示すように、第２位置の状態から、駆動モータＫＭ２がさらに回転変位されて、第１リンク部材３４６８が、第１位置の状態から略１８０度回転されると、第１リンク部材３４６８と第２リンク部材３４６９との連結部分がその回転軸に対してベース部材３４７０の他端側に配置された状態とされる。よって、第２リンク部材３４６９の一端側が更にベース部材３４７０の他端側に押し出されて、球受部４６７が第３位置に配置される。
【１００５】
この場合、球受部４６７の脚部４６７ａの先端が、凹部３４７０ｃ１の内側に配置されることで、球受部４６７が付勢ばねＳＰ２により回転されて発射動作される。
【１００６】
さらに、第１リンク部材３４６８の荷重部３４６８ｃが、ベース部材３４７０の一端側に変位される。これにより、球受部４６７がベース部材に対して変位した際に下変位部材３４４０の重心位置が変化されることを抑制できる。その結果、下変位部材３４４０のがたつきを抑制できる。
【１００７】
即ち、球受部４６７が、第１位置から変位されると、その球受部４６７の変位方向と逆方向となる変位成分を形成することができるので、球受部４６７の変位に伴い、下変位部材３４４０の重心位置が変化されることを荷重部３４６８ｃの変位で小さくすることができる。その結果、重心位置の変化に起因する下変位部材４４０のがたつきを抑制できる。
【１００８】
また、第３実施形態では、図１２７（ｂ）に示すように、第１リンク部材３４６８の回転を継続させることで、球受部４６７を第２位置および第１位置に退避させることができる。よって、駆動モータＫＭ２の制御を切り替える必要がなく、第２位置または第１位置への変位を早く行うことができる。
【１００９】
従って、球受部４６７の内側から遊技球を排出した際には、下変位部材４４０の重心位置が変化するので、下変位部材３４４０ががたつき易くなるところ、球受部４６７を素早く退避させて、その重心位置を下変位部材４４０の回転軸に素早く近づけることで下変位部材３４４０のがたつきを抑制することができる。
【１０１０】
更に、球受部４６７の変位を直ちに行うことで、球受部４６７の内側から遊技球を排出した際の排出動作の反作用による下変位部材３４４０のぐらつきを抑えることができる。
【１０１１】
即ち、球受部４６７の内側から遊技球を排出した際には、排出された遊技球の分、下変位部材４４０の荷重が軽くなり、反作用で下変位部材３４４０が上方に変位しやすいところ、球受部４６７を直ちに変位させることで、球受部４６７の回転変位による反作用でベース部材４７０を下方に変位させる力を作用させて、下変位部材３４４０から球が排出された際の反作用を打ち消すことができる。
【１０１２】
次いで、図１２８から図１３０を参照して、第４実施形態における下変位ユニット４４００について説明する。第１実施形態では、退避状態に配置された下変位部材４４０が発射動作可能に形成される場合を説明したが、第４実施形態における下変位ユニット４４００は、退避状態に配置された下変位部材４４０の発射動作が規制される。なお、上記各実施形態と同一の部分には同一の符号と付してその説明は省略する。
【１０１３】
まず、第４実施形態における下変位ユニット４４００の全体構成について図１２８を参照して説明する。図１２８は、第４実施形態における下変位ユニット４４００の正面図である。なお、図１２８では、下変位部材４４０の装飾部材４５０及び正面ケース４８１が透明視された状態が図示されると共に、正面ケース４８１の底壁部４８１ｂが、鎖線で図示される。また、図１２８では、下変位部材４４０が退避状態であって、球受部４６７が第１位置に配置された状態が図示される。
【１０１４】
図１２８に示すように、第４実施形態における下変位ユニット４４００は、下変位部材４４０のベース部材４７０に、立設壁４７１ａと正面ケース４８１の底壁部４８１ｂとの対向間に開口される開口４４７１ｂが形成される。
【１０１５】
開口４４７１ｂは、内部に後述する係合壁４４１１ｇの先端部分４４１１ｇ１が挿入される。即ち、開口４４７１ｂは、先端部分４４１１ｇ１よりも大きく開口される。
【１０１６】
正面ベース４１１には、回収口４１１ｆの底面に連続する略Ｌ字状に形成された係合壁４４１１ｇが形成される。
【１０１７】
係合壁４４１１ｇは、略Ｌ字に屈曲した先端部分４４１１ｇ１が開口４４７１ｂに挿入されることで、球受部４６７が第３位置で回転されること（発射動作すること）を規制することができる。即ち、先端部分４４１１ｇ１の先端位置が、退避状態に位置する下変位部材４４０の底壁部４８１ｂの上面の高さと略同一に設定される。
【１０１８】
次いで、図１２９及び図１３０を参照して、下変位ユニット４４００の各部材が変位された状態について説明する。図１２９及び図１３０は、下変位ユニット４４００の正面図である。なお、図１２９及び図１３０では、図１２８と同様に下変位部材４４０の装飾部材４５０及び正面ケース４８１が透明視された状態が図示されると共に、正面ケース４８１の底壁部４８１ｂが、鎖線で図示される。
【１０１９】
また、図１２９では、下変位部材４４０が退避状態であって、球受部４６７が第３位置に配置された状態が図示される。また、図１３０では、下変位部材４４０が第１張出状態であって、球受部４６７が第１位置に配置された状態が図示される。
【１０２０】
図１２９に示すように、球受部４６７が第３位置に変位されると、球受部４６７の脚部４６７ａの先端が係合壁４４１１ｇの先端部分４４１１ｇ１の上面に当接して凹部４８１ｂ１又は開口４４７１ｂへの侵入が規制される。これにより、球受部４６７が回転されることが規制される。
【１０２１】
よって、球受部４６７の軌道領域上に送球された球を、下変位部材４４０の外方に排出するために球受部４６７に払出動作をさせた際に、第３位置で球受部４６７が回転して、球受部４６７の内側に保持した遊技球が排出されることを抑制できる。
【１０２２】
即ち、球受部４６７の第３位置への変位に伴って、規定数（１球）を超える遊技球を球受部４６７の軌道領域から排出する際に、球受部４６７の姿勢が変化されることを規制できる。よって、規定数を超える分の遊技球のみを軌道領域から排出しやすくできる。
【１０２３】
一方、図１３０に示すように、下変位部材４４０が第１張出状態の位置（退避状態の位置ではない位置）に変位されると、ベース部材４７０に対して、下変位部材４４０が変位されるので、下変位部材４４０の開口４４７１ｂと係合壁４４１１ｇとが離間される。よって、第１張出状態では、球受部４６７を第３位置に変位させて発射動作をすることができる。
【１０２４】
即ち、球受部４６７の第３位置への変位に伴って、規定数（１球）を超える分の遊技球を球受部４６７の軌道領域から排出する際に、球受部４６７の姿勢が変化されることを抑制して、規定数の遊技球を球受部４６７が保持した状態を維持しやすくできる一方、下変位部材４４０が第１及び第２張出位置に変位されると係合壁４４１１ｇが開口４４７１ｂの内部空間から離間されるので、球受部４６７の第３位置への変位に伴って脚部４６７ａが開口４４７１ｂに係合されることで、球受部４６７の姿勢を変化させ、規定数の遊技球を球受部４６７から排出しやすくできる。
【１０２５】
次いで、図１３１から図１３５を参照して、第５実施形態における振分けユニット５５００について説明する。第１実施形態では、振分け部材５４０が回転して貯留状態と規制状態とを形成する場合を説明したが、第５実施形態における振分け部材５４０は、スライド変位して貯留状態と規制状態とを形成する。なお、上記各実施形態と同一の部分には同一の符号を付してその説明は省略する。
【１０２６】
まず、第５実施形態における振分けユニット５５００の全体構成について図１３１から図１３４を参照して説明する。図１３１（ａ）は、第５実施形態における振分けユニット５５００の上面図であり、図１３１（ｂ）は、振分けユニット５５００の背面図である。図１３２は、振分けユニット５５００の分解斜視正面図であり、図１３３は、振分けユニット５５００の分解斜視背面図である。図１３４は、図１３１（ａ）のＣＸＸＸＩＶ−ＣＸＸＸＩＶ線における振分けユニット５５００の断面図である。なお、図１３４では、振分け部材５４０の外形が鎖線で図示される。
【１０２７】
図１３１から図１３３に示すように、第５実施形態における振分けユニット５５００は、正面視略矩形に形成されるベース板５５２０と、そのベース板５５２０の正面側に取着されベース板５５２０との対向間に球が流下可能な複数の流下経路を形成する経路形成部材５１０と、ベース板５５２０の背面側にスライド可能に取着される振分け部材５５４０と、ベース板５５２０の端面に取着されベース板５５２０と経路形成部材５１０との対向間に形成される球の流下経路を延長する延長経路部材５３０とを主に備えて形成される。
【１０２８】
ベース板５５２０は、背面側に突出する円柱状の２本の軸部５５２６と、長方形状に貫通形成される第１開口５５２１及び第２開口５５２２と、上端の側面に上端側が開放する断面Ｕ字状形成されると共に左右方向に延設される転動部５２５と、背面側に鉤状に突出する係止部５２４とを主に備えて形成される。
【１０２９】
軸部５５２６は、背面側に２本突出して形成されており、それぞれ後述する２つの摺動溝５５４６の内部に挿入される。
【１０３０】
第１開口５５２１及び第２開口５５２２は、後述する振分け部材５５４０の規制板５４１及び貯留板５５４２が挿通される開口であり、規制板５５４１及び貯留板５５４２の板の厚みよりも大きい幅の開口に形成される。また、振分け部材５５４０は、スライド可能な状態でベース板５５２０に取着されるので、第１開口５５２１及び第２開口５５２２は、規制板５５４１及び貯留板５５４２よりも振分け部材５５４０のスライド方向に大きい開口に形成される。
【１０３１】
振分け部材５５４０は、一方が長く形成される正面視矩形に形成され、前後方向に所定の厚みを備えて形成される。振分け部材５５４０は、正面側に板状に突出する規制板５５４１及び貯留板５５４２と、その規制板５５４１及び貯留板５５４２の延設方向と略同一方向に長い長穴に形成される摺動溝５５４６と、背面側に鉤状に形成される係止部５４４とを主に備えて形成される。
【１０３２】
規制板５５４１は、第１開口５５２１を介して、第１送球経路ＫＲ１と第２送球経路ＫＲ２との連結部分に配設されて、第１送球経路ＫＲ１を流下する遊技球が第２送球経路ＫＲ２へ流入することを規制する板部材であり、第１開口５５２１から突出される距離が遊技球の半径よりも大きい距離に設定される。
【１０３３】
また、規制板５５４１は、正面視直線状に形成され、その延設される方向が、振分け部材５４０のスライド方向と略同一に設定される。これにより、振分け部材５５４０がスライド変位された際に、規制板５５４１の変位領域を最小にすることができる。その結果、第１開口５５２１の開口領域を最小にすることができ、ベース板５５２０の剛性を確保することができる。
【１０３４】
貯留板５５４２は、第２開口５５２２を介して、第２送球経路ＫＲ２上に配置され、第２送球経路ＫＲ２を流下する遊技球を貯留板５５４２の上流側に流下する板部材であり、第２開口５５２２から突出される距離が遊技球の半径よりも大きい距離に設定される。
【１０３５】
また、貯留板５５４２は、正面視直線状に形成され、その延設される方向が、振分け部材５４０のスライド方向と略同一に設定される。これにより、振分け部材５５４０がスライド変位された際に、貯留板５５４２の変位領域を最小にすることができる。その結果、第２開口５５２２の開口領域を最小にすることができ、ベース板５５２０の剛性を確保することができる。
【１０３６】
摺動溝５５４６は、前後方向に貫通形成される長穴である。摺動溝５５４６は、その内部にベース板５５２０の軸部５５２６が挿入される。よって、軸部５５２６を摺動溝５５４６に挿入する共に、背面側からネジ等を軸部５５２６の先端に締結することで、振分け部材５５４０をベース板５５２０に対してスライド変位可能な状態で保持することができる。
【１０３７】
摺動溝５５４６は、２箇所に形成されそれぞれの長手方向が平行に形成される。これにより、振分け部材５５４０が回転変位することを抑制しつつ、振分け部材５５４０をスライド変位させることができる。
【１０３８】
次いで、図１３５を参照して、振分け部材５５４０の変位について説明する。図１３５（ａ）及び図１３５（ｂ）は、図１３４の範囲ＣＸＸＸＶにおける振分けユニット５５００の部分拡大図である。なお、図１３５（ａ）では、振分け部材５５４０が貯留位置に配置された状態が、図１３５（ｂ）では、振分け部材５５４０が規制位置に配置された状態が、それぞれ図示される。
【１０３９】
図１３５（ａ）に示すように、振分け部材５５４０が規制位置配置された状態では、貯留板５５４２が第３送球経路ＫＲ３状に配置される共に、規制板５５４１が経路形成部材５１０の背面側の壁に形成される凹部５１８の内側に配置される。
【１０４０】
この場合、貯留板５５４２の第３送球経路ＫＲ３の内側に突出した先端とその先端と対向する第３送球経路の内壁との距離寸法Ｌ９は、遊技球の直径よりも小さくされる。よって、第３送球経路ＫＲ３の上流（第１送球経路ＫＲ１）から送球される球は、貯留板５５４２の上流側に停止される。
【１０４１】
一方、図１３５（ｂ）に示すように、振分け部材５５４０が、規制位置に配置された状態では、規制板５５４１が第１送球経路ＫＲ１と第３送球経路ＫＲ３との連結部分に配置されると共に、規制板５５４１が第１送球経路ＫＲ１と第３送球経路ＫＲ３との連結部分に配置され、貯留板５５４２が、経路形成部材５１０の背面側の壁部に形成される凹部５１９の内側に配置される。
【１０４２】
この場合、規制板５５４１の第１送球経路ＫＲ１の内側に突出した先端の端部と第３送球経路ＫＲ３の入り口の内壁までの距離寸法Ｌ１０は、遊技球の直径よりも小さくされる。よって、第１送球経路ＫＲ１を流下する球は、規制板５５４１に衝突して第２送球経路ＫＲ２に送球される。
【１０４３】
即ち、振分け部材５５４０を規制位置と貯留位置とで切り換えることで、第１送球経路ＫＲ１を送球される球を第３送球経路ＫＲ３に送球して、第３送球経路ＫＲ３上に停止させる状態と、第１送球経路ＫＲ１を流下する球を第３送球経路ＫＲ３に流入不能として、第２送球経路ＫＲ２に送球される状態とを形成することができる。
【１０４４】
よって、１つの振分け部材５５４０をスライド変位させることで、１の流下する経路から２の流下する経路に分かれる場合に、球の流下経路をどちらかに確実に切り替えることができる。
【１０４５】
また、規制板５５４１（振分手段）は、第１送球経路ＫＲ１（流下通路）または第３送球経路ＫＲ３（第１分岐通路）に対して出没可能に形成されると共に、その出没位置が、第１送球経路ＫＲ１の下流端における流下方向の延長線上における内壁とされる。よって、第１送球経路ＫＲ１の下端側から流下する遊技球に近い位置で、規制板５５４１を突出させることができる。よって、規制板５５４１を流下通路または第３送球経路ＫＲ３（第１分岐通路）へ突出させ始めてから遊技球を振り分けできる状態となるまでに要する時間を短くすることができる。その結果、規制板５５４１による振り分け先の切り替えを確実に行うことができる。
【１０４６】
また、規制板５５４１（振分手段）は、第３送球経路ＫＲ３（第１分岐通路）に突出されることで、第１送球経路ＫＲ１（流下通路）を流下する遊技球を第２送球経路（第２分岐通路）へ振り分けるものであり、規制板５５４１の突出方向が、第２送球経路ＫＲ２の上流端を指向する方向に設定されるので、第１送球経路ＫＲ１を流下する遊技球が突出動作の途中の規制板に当接した場合には、かかる遊技球を規制板の突出動作に伴って、第２送球経路ＫＲへ押し込むことができる。その結果、第２送球経路ＫＲ２への振り分けをより確実に行うことができる。
【１０４７】
次いで、図１３６から図１４０を参照して、第６実施形態における回転ユニット６７００について説明する。第１実施形態では、回転体８００の駆動に負荷ギヤ７３１ｅが連結され、回転体８００が慣性力で動作することが規制される場合を説明したが、第６実施形態における回転体８００は、負荷ギヤ７３１ｅが取り外される。なお、上記各実施形態と同一の部分には同一の符号を付してその説明は省略する。
【１０４８】
まず、第６実施形態における回転ユニット６７００の全体構成について図１３６から図１３８を参照して説明する。図１３６は、第６実施形態における回転ユニット６７００の正面図であり、図１３７は、回転ユニット６７００の分解斜視正面図である。図１３８は、振分けユニット６５００の分解斜視背面図である。
【１０４９】
図１３６から図１３８に示すように、回転ユニット６７００は、回転変位する回転体８００を備える装飾ユニット６７５０と、その装飾ユニット６７５０の重力方向上側に配置される球受台７１０と、その球受台７１０及び装飾ユニット６７５０の背面側に配置される背面ベース７２０と、装飾ユニット６７５０の正面視左側に配設される左側伝達部材７３０と、装飾ユニット６７５０の正面視右側に配設されるクランクカバー７４３と、を主に備えて形成される。
【１０５０】
装飾ユニット６７５０は、重力方向上側が開放される箱形状に形成される箱部材７６０と、その箱部材の内側に回転可能に配設される回転体８００とを主に備えて形成される。即ち、第１実施形態では、装飾ユニット７５０は、箱部材７６０と蓋部材７７０との内側に回転体８００が配置されたが、第６実施形態では、蓋部材７７０が取り外された状態で形成される。
【１０５１】
左側伝達部材７３０は、装飾ユニット７５０の左側側面（図１３６左側）に配設される駆動モータＫＭ４と、その駆動モータＫＭ４の駆動力を伝達する伝達部材６７３１と、駆動モータＫＭ４が取着されるモータベース７３２と、伝達部材６７３１を覆設するギヤカバー７３３と、そのギヤカバー７３３に取着されると共にギヤカバー７３３との対向間に所定の隙間を有して形成される送球経路カバー７３４とを主に備えて形成される。
【１０５２】
伝達部材６７３１は、駆動モータＫＭ４の軸に取着される伝達ギヤ７３１ａと、その伝達ギヤ７３１ａに歯合する伝達ギヤ６７３１ｂと、その伝達ギヤ６７３１ｂに歯合する伝達ギヤ７３１ｃと、その伝達ギヤ７３１ｃと隣り合って配置されると共に軸７３５により同軸に配設される伝達ギヤ７３１ｄとを主に備えて形成される。
【１０５３】
伝達ギヤ６７３１ｂは、伝達ギヤ７３１ｃに駆動力を伝達するギヤである。なお、第１実施形態では、伝達ギヤ７３１ｂの内部にワンウェイクラッチＯＷ１が取着されたが、第６実施形態の伝達ギヤ６７３１ｂには、ワンウェイクラッチＯＷ１が取り外される。また、伝達ギヤ７３１ｃ及び伝達ギヤ７３１ｄについては、第１実施形態と同じであるので、その詳細な説明は省略する。
【１０５４】
よって、駆動モータＫＭ４から一方向の駆動力が伝達されると、軸７３５に回転の駆動力を伝達できると共に、駆動モータＫＭ４から他方向の駆動力が伝達されるとワンウェイクラッチＯＷ１の内輪に対して外輪が滑って（空転して）軸７３５への駆動力の伝達が遮断される。
【１０５５】
次いで、図１３９及び図１４０を参照して、回転体８００の回転について説明する。図１３９（ａ）から図１３９（ｃ）は、図１３８の矢印ＣＸＸＸＩＸ方向視における装飾ユニット６７５０の側面図であり、図１４０（ａ）から図１４０（ｃ）は、図１３８の矢印ＣＸＸＸＩＸ方向視における装飾ユニット６７５０の側面図である。
【１０５６】
なお、図１３９及び図１４０では、箱部材７６０の左側側面板７６５が透明視された状態が図示される。また、図１３９（ａ）から図１３９（ｃ）では、回転体８００の重心Ｇが第２区間ＤＫ２を変位する態様が順に図示され、図１４０（ａ）から図１４０（ｃ）では、回転体８００の重心Ｇが第１区間ＤＫ１を変位する態様が順に図示される。
【１０５７】
図１３９に示すように、回転体８００は、駆動モータＫＭ４から一方向の駆動力が伝達されると左方向視（図１３９方向視）右回り（時計回り）に回転変位される。
【１０５８】
回転体８００は、上述したように回転軸を中心を非対称に形成され、回転軸と異なる位置に重心Ｇが配置される。そのため、回転体８００が図１４０（ａ）に示す重心Ｇを回転軸の上側に配置した状態から回転されて、図１４０（ｂ）に示めす重心Ｇを回転軸と略水平の位置に変位し始めると、その荷重により回転方向に回転する力が作用される。
【１０５９】
そのため、伝達ギヤ７３１ｃに配置されたワンウェイクラッチＯＷ１の外輪と内輪との間に介設されるローラーの係合が解除され、外輪（回転体８００側）が内輪（駆動モータ側）に対して先行して駆動する状態とされる。即ち、第２区間では、回転体８００の回転速度を駆動モータＫＭ４の回転速度よりも速くして回転させることができる。
【１０６０】
なお、第２区間ＤＫ２をその荷重で回転する回転体８００は、その荷重により、図１３９（ｃ）に示す重心Ｇを回転軸の下側に位置する位置まで回転される。
【１０６１】
一方、図１４０に示すように、第１区間ＤＫ１を回転体８００の重心Ｇが変位する場合には、回転体８００の荷重がその回転する方向と反対方向に作用する。そのため、回転体８００は、駆動モータＫＭ４の回転速度に従って回転される。
【１０６２】
よって、第６実施形態では、第２区間ＤＫ２における回転体８００の変位速度を第１区間ＤＫ１における回転体８００の変位速度よりも早くすることができる。その結果、回転体８００の変位態様に変化を付与して、その回転体８００の変位に従う演出効果を高めることができる。
【１０６３】
次いで、図１４１から図１４４を参照して、第７実施形態について説明する。上述した第１実施形態では、蓋部材７７０がその自重により、ワンウェイクラッチＯＷ１の外輪を内輪に対して先行させる（即ち、蓋部材７７０の変位速度を速くする）場合を説明したが、第７実施形態における変位部材７７１０は、遊技球の重さを利用して、ワンウェイクラッチＯＷ１の外輪を内輪に対して先行させる（即ち、変位部材７７１０の変位速度を速くする）。なお、上述した各実施形態と同一の部分には同一の符号を付して、その説明は省略する。
【１０６４】
図１４１及び図１４２は、第７実施形態における変位ユニット７７００の側面模式図である。なお、図１４１では、変位部材７７１０が上昇位置に配置された状態が、図１４２では、変位部材７７１０が下降位置に配置された状態が、それぞれ模式的に図示される。
【１０６５】
図１４１及び図１４２に示すように、変位ユニット７７００は、スライド変位可能に形成される変位部材７７１０と、その変位部材７７１０へ駆動手段（図示せず、例えば、電動モータ）の回転駆動力を伝達する伝達部材７７２０と、変位部材７７１０のスライド変位に伴って回転される負荷ギヤ７７３０とを主に備える。
【１０６６】
変位部材７７１０は、図示しない支持機構によって仮想線Ｌ１に沿って直線変位可能に支持される部材であり、その変位部材７７１０の側面から突設される被駆動ピン７７１１と、変位部材７７１０の下面に仮想線Ｌ１に沿って刻設されるラックギヤ７７１２と、変位部材７７１０の先端に回転可能に軸支される球受け部材７７１３とを主に備える。
【１０６７】
なお、仮想線Ｌ１は、図１４１に示す上昇位置から図１４２に示す下降位置へ向かうに従って下降傾斜する直線として設定される。即ち、上昇位置では、下降位置よりも、変位部材７７１０が重力方向上方に位置される。
【１０６８】
被駆動ピン７７１１は、伝達部材７７２０のアーム部材７７２３における駆動溝７７２３ｂに摺動可能に挿通される部材であり、駆動溝７７２３ｂの溝幅よりも若干小さな外形の円柱状体として形成される。ラックギヤ７７１２には、負荷ギヤ７７３０が歯合されており、かかる負荷ギヤ７７３０が変位部材７７１０のスライド変位に伴って回転される。
【１０６９】
球受け部材７７１３は、変位部材７７１０の上面に遊技球を保持するための部材であり、回転軸７７１３ａを中心に回転されることで、図１４１に示す起立状態と図１４２に示す傾倒状態とを形成可能とされる。起立状態では、一端側が変位部材７７１０の上面よりも突出されることで、遊技球を保持可能とされる（図１４３参照）。一方、傾倒状態では、一端側が変位部材７７１０の上面よりも下方に位置されることで、変位部材７７１０の上面から遊技球を排出可能とされる（図１４４参照）。
【１０７０】
なお、球受け部材７７１３は、図示しない付勢ばね（例えば、ねじりばね）から作用する付勢力により起立状態に維持される。変位部材７７１０（球受け部材７７１３）の軌道上には、係合ピン７７４０が固定されており、変位部材７７１０が下降位置へスライド変位されると、球受け部材７７１３の他端側に係合ピン７７４０が係合されることで、球受け部材７７１３が回転されて、傾倒状態とされる。一方、変位部材７７１０が上昇位置へスライド変位されると、球受け部材７７１３が付勢ばねの弾性回復力により回転されて、傾倒状態に復帰される。
【１０７１】
伝達部材７７２０は、上述した図示しない駆動手段により回転駆動される円板状の回転部材７７２１と、その回転部材７７２１の軸方向端面から突設されると共に回転部材７７２１の回転中心から偏心して位置する円柱状の駆動ピン７７２２と、その駆動ピン７７２２が一端側に摺動可能に挿通される被駆動溝７７２３ａが開口形成されるアーム部材７７２３とを主に備える。
【１０７２】
回転部材７７２１と駆動手段との間には、ワンウェイクラッチＯＷ１が介設される。詳細には、ワンウェイクラッチＯＷ１は、内輪が駆動手段に連結されると共に、外輪が回転部材７７２１に連結され、内輪が駆動手段により矢印Ａ方向（図１４１の時計周り）に回転駆動されると、その回転駆動力を外輪に伝達する（即ち、回転部材７７２１を矢印Ａ方向へ回転させる）一方、内輪が駆動手段により矢印Ａ方向と反対方向（図１４１の反時計周り）に回転駆動されると、外輪（回転部材７７２１）への動力伝達を切断する。
【１０７３】
アーム部材７７２３は、被駆動溝７７２３ａが開口形成される一端側とは反対側となる他端側に、変位部材の７７１０の被駆動ピン７７１１が摺動可能に挿通される駆動溝７７２３ｂが開口形成されると共に、それら被駆動溝７７２３ａ及び駆動溝７７２３ｂの間（中間部分）が回転軸７７２３ｃにより回転可能に軸支される。
【１０７４】
なお、駆動ピン７７２２は、被駆動溝７７２３ａの溝幅よりも若干小さな外形の円柱状体として形成される。また、被駆動溝７７２３ａ及び駆動溝７７２３ｂは、アーム部材７７２３の長手方向に沿った直線状の溝として形成される。
【１０７５】
以上のように形成された変位ユニット７７００によれば、変位部材７７１０が図１４１に示す上昇位置に配置された状態から、回転部材７７２１が矢印Ａ方向（図１４１の時計回り）に回転されると、駆動ピン７７２２が被駆動溝７７２３ａの内壁面に作用して、アーム部材７７２３が回転軸７７２３ｃを中心として図１４１時計回りに回転される。このアーム部材７７２３の時計回りの回転に伴って、駆動溝７７２３ｂの内壁面が被駆動ピン７７１１を押し下げる方向へ作用することで、変位部材７７１０が、仮想線Ｌ１に沿ってスライド変位され、図１４２に示す下降位置に配置される。
【１０７６】
一方、変位部材７７１０が図１４２に示す下降位置に配置された状態から、回転部材７７２１が矢印Ａ方向（図１４１の時計回り）に更に回転されると、駆動ピン７７２２が被駆動溝７７２３ａの内壁面に作用して、アーム部材７７２３が回転軸７７２３ｃを中心として図１４１反時計回りに回転される。このアーム部材７７２３の反時計周りの回転に伴って、駆動溝７７２３ｂの内壁面が被駆動ピン７７１１を押し上げる方向に作用することで、変位部材７７１０が、仮想線Ｌ１に沿ってスライド変位され、図１４１に示す上昇位置に配置される。
【１０７７】
ここで、負荷ギヤ７７３０は、第１実施形態における負荷ギヤ７３１ｅと同様に、回転する際に所定量の抵抗が発生するように形成される。これにより、変位部材７７１０の重さ（自重）がアーム部材７７２３に作用して、回転部材７７２１を矢印Ａ方向（図１４１の時計周り）に回転させることで、ワンウェイクラッチＯＷ１の外輪が内輪に対して一方向（矢印Ａ方向）へ先行することを抑制できる。即ち、遊技球を保持していない状態では、上昇位置から下降位置へ向かう際の変位部材７７１０の変位速度が速くされることを抑制できる。
【１０７８】
即ち、駆動手段の回転駆動力により回転部材７７２１が矢印Ａ方向（図１４１及び図１４２の時計回り）に回転されている間、その回転駆動手段の回転駆動の速度に応じたスライド速度で、変位部材７７１０が上昇位置と下降位置との間を往復変位（スライド変位）される。
【１０７９】
図１４３及び図１４４は、変位部材７７１０に遊技球が保持された場合における変位ユニット７７００の側面模式図である。なお、図１４３では、変位部材７７１０が上昇位置に配置された状態が、図１４４では、変位部材７７１０が下降位置に配置された状態が、それぞれ模式的に図示される。
【１０８０】
図１４３及び図１４４に示すように、変位部材７７１０は、その上面に遊技球を保持可能に形成される。即ち、本実施形態では、変位ユニット７７００が遊技領域において遊技球が流下される領域に配置され、その流下する遊技球を変位部材７７１０がその上面で受け止め可能に形成される。なお、図１４３では、符号Ｔで示す４球の遊技球が変位部材７７１０の上面に保持された状態が例示される。
【１０８１】
この場合、変位部材７７１０が遊技球を保持した状態では、その遊技球の重さの分、変位部材７７１０全体としての重さを大きく（重く）して、負荷ギヤ７７３０の回転に伴う抵抗を越えさせることができる。即ち、変位部材７７１０全体の重さ（遊技球を含む重さ）をアーム部材７７２３に作用させ、回転部材７７２１を矢印Ａ方向（図１４３の時計周り）に回転させることで、ワンウェイクラッチＯＷ１の外輪を内輪に対して一方向（矢印Ａ方向）へ先行させることができる。その結果、上昇位置から下降位置へ向かう際の変位部材７７１０の変位速度を、遊技球を保持していない場合（図１４１参照）の変位速度よりも、速くすることができる。
【１０８２】
また、保持されている遊技球の数に応じて、変位部材７７１０全体としての重さを異ならせることができる。これにより、変位部材７７１０に遊技球が保持されているか否かだけでなく、保持している遊技球の数に応じても、変位部材７７１０の変位速度を異ならせる（変化させる）ことができる。その結果、変位部材７７１０の変位速度のバリエーションを増やすことができ、その分、変位部材７７１０の変位に伴う演出の演出効果を高めることができる。
【１０８３】
上述したように、変位部材７７１０には、その先端（下方傾斜側の端部）に球受け部材７７１３が配設される。よって、遊技領域を流下される遊技球を変位部材７７１０（その上面または球受け部材７７１３）が受け止めた際には、その遊技球から変位部材７７１０に作用される力を、下降位置へ向けてスライド変位させる力として作用させることができる。即ち、かかる力を、アーム部材７７２３及び回転部材７７２１を介して、ワンウェイクラッチＯＷ１の外輪を内輪に対して一方向（矢印Ａ方向）へ先行させる方向へ作用させることができる。
【１０８４】
これにより、流下する遊技球を、変位部材７７１０（その上面または球受け部材７７１３）が受け止めた際に、その遊技球の運動エネルギーを利用して、変位部材７７１０の下降位置へ向かう方向へのスライド変位の変位速度をより速くすることができる。
【１０８５】
この場合、流下する遊技球は、その流下方向や流下速度がそれぞれ異なる。そのため、受け止める遊技球の流下状態（流下方向や流下速度）の差に応じて、変位部材７７１０に作用される力（運動エネルギーの大きさ）を異ならせることができる。これにより、変位部材７７１０に遊技球が保持されているか否かや保持されている遊技球の数だけでなく、遊技球の流下状態に応じても、変位部材７７１０の変位速度を異ならせる（変化させる）ことができる。その結果、変位部材７７１０の変位速度のバリエーションを増やすことができ、その分、変位部材７７１０の変位に伴う演出の演出効果を高めることができる。
【１０８６】
また、第７実施形態では、回転部材７７２１の回転方向が一方向とされるので、駆動手段の駆動方向を切り替える必要がない。言い変えると、回転手段を一方向に連続して回転させることで、変位部材７７１０を往復変位させることができる。よって、駆動手段の駆動方向を切り替える時間をなくすことができる。その結果、駆動手段の切り替えを必要としない分、変位部材７７１０を直ちに変位させることができる。
【１０８７】
この場合、変位部材７７１０の変位を直ちに行うことで、球受け部材７７１３が回転変位して変位部材７７１０（その上面または球受け部材７７１３）が受け止めた遊技球を落下させる動作をした際の反作用による変位部材７７１０のがたつきを抑制することができる。
【１０８８】
即ち、変位部材７７１０（球受け部材７７１３）から遊技球を落下させた際には、落下された遊技球の分、変位部材７７１０の荷重が軽くなり、反作用で変位部材７７１０が上方に変位しやすいところ、変位部材７７１０を直ちに変位させることで、球受け部材７７１３の変位による反作用で、変位部材７７１０を下方に変位させる力を作用させて、変位部材７７１０から球が落下された際の反作用を打ち消すことができる。
【１０８９】
なお、遊技領域を流下する遊技球とは、遊技盤１３の前面（正面）を重力方向に沿って移動する遊技球に限定されず、重力方向と異なる方向へ移動する遊技球も含まれる。重力方向と異なる方向へ移動する遊技球としては、例えば、釘やチューリップ、役物などに衝突して、重力方向と異なる方向へ移動する遊技球や、ステージを転動した後、そのステージから飛び出して、重力方向と異なる方向へ移動する遊技球が例示される。
【１０９０】
ここで、本実施形態では、負荷ギヤ７７３０を設けることで、変位部材７７１０が遊技球を保持していない状態では（図１４１参照）、変位部材７７１０が下降位置へ向けてスライド変位される際に、ワンウェイクラッチＯＷ１の外輪が内輪に対して一方向（矢印Ａ方向）へ先行しない（即ち、変位部材７７１０の変位速度が速くならない）ように構成した。
【１０９１】
これに対し、負荷ギヤ７７３０を省略する又はその負荷ギヤ７７３０の抵抗を小さい値に設定して、変位部材７７１０が下降位置へ向けてスライド変位される際に、ワンウェイクラッチＯＷ１の外輪が内輪に対して一方向（矢印Ａ方向）へ先行する（即ち、変位部材７７１０の変位速度が速くなる）ように構成しても良い。即ち、変位部材７７１０の重さ（自重）のみを、アーム部材７７２３に作用させ、回転部材７７２１を矢印Ａ方向（図１４１の時計周り）に回転させた場合でも、ワンウェイクラッチＯＷ１の外輪が内輪に対して先行するようにしても良い。
【１０９２】
次いで、図１４５から図１４８を参照して、第８実施形態における上皿８０１７について説明する。第８実施形態における上皿８０１７には、正面視した左右方向略中央位置に回転操作ユニット８６５０が配設される。なお、上記各実施形態と同一の部分には、同一の符号を付してその説明を省略する。
【１０９３】
まず、第８実施形態における回転操作ユニット８６５０の全体構成について、図１４５から図１４７を参照して説明する。図１４５は、第８実施形態におけるパチンコ機１０の正面図である。図１４６は、回転操作ユニット８６５０の分解斜視正面図である。図１４７は、図１４５のＣＸＬＶＩＩ−ＣＸＬＶＩＩ線におけるパチンコ機１０の断面模式図である。
【１０９４】
図１４５から図１４７に示すように、回転操作ユニット８６５０は、パチンコ機１０の上皿８０１７の内部空間に配置されると共に、後述する回転操作部８６５４の外周面が上皿８０１７の外方に突出した状態で配設される。
【１０９５】
回転操作ユニット８６５０は、駆動モータＫＭ６と、その駆動モータＫＭ６の軸部に連結される伝達ギヤ８６５１と、その伝達ギヤ８６５１の外周面に歯合される伝達ギヤ８６５２と、その伝達ギヤ８６５２の軸孔に内嵌される軸部８６５３と、その軸部８６５３に内輪が外嵌するワンウェイクラッチＯＷ１と、そのワンウェイクラッチＯＷ１の外輪が内嵌される回転操作部８６５４とを主に備えて形成される。
【１０９６】
伝達ギヤ８６５１は、駆動モータＫＭ６の軸に連結される。よって、駆動モータＫＭ６に回転の駆動力が付与されることで、伝達ギヤ８６５１を回転できる。上述したように、伝達ギヤ８６５１には、伝達ギヤ８６５２が歯合された状態で配置される。従って、駆動モータＫＭ６に回転の駆動力が付与されると、伝達ギヤ８６５１を介して伝達ギヤ８６５２を回転できる。
【１０９７】
軸部８６５３は、円柱状に形成された棒部材であり、その軸方向長さは回転操作部８６５４の左右方向の幅寸法よりも長く形成される。軸部８６５３は、上述したように、一方が伝達ギヤ８６５２の軸孔に内嵌されると共に、他方がワンウェイクラッチＯＷ１の内輪に挿入される。これにより、伝達ギヤ８６５２が回転された際の駆動力をワンウェイクラッチＯＷ１に伝達することができる。
【１０９８】
ワンウェイクラッチＯＷ１は、上述したように内輪と外輪とその間に係合されるローラーとから形成されており、内輪が一方向に回転されると内輪の回転を外輪に伝達できると共に内輪が他方向に回転されると内輪の回転を外輪に非伝達にできる。
【１０９９】
回転操作部８６５４は、円環状に形成されており、その外周面の一部が上皿８０１７から突出した状態で配設される。また、回転操作部８６５４の内円部には、ワンウェイクラッチＯＷ１の外輪が内嵌される。即ち、回転操作部８６５４の内傾は、ワンウェイクラッチＯＷ１の外径と略同一に形成される。よって、回転操作部８６５４は、ワンウェイクラッチＯＷ１の外輪が回転されることで、回転が伝達される。
【１１００】
その結果、駆動モータＫＭ６が駆動されて、一方向に回転されると、その回転が伝達ギヤ８６５１，８６５２及びワンウェイクラッチＯＷ１の内輪を介してワンウェイクラッチＯＷ１の外輪に伝達されて、回転操作部８６５４が回転される。一方、駆動モータＫＭ６が駆動されて、他方向に回転されると、ワンウェイクラッチＯＷ１の内輪と外輪とが非伝達とされ回転操作部８６５４への回転駆動の伝達が遮断される。
【１１０１】
次に、図１４８を参照して、遊技者が回転操作部８６５４を操作する場合の説明をする。図１４８は、パチンコ機１０の断面模式図である。なお、図１４８の断面は、図１４７と対応する。
【１１０２】
上述したように、回転操作部８６５４は、駆動モータＫＭ６が回転されることで、回転操作部８６５４が回転する態様と、駆動モータＫＭ６の回転を非回転とすることで、回転操作部８６５４の回転変位が停止された態様を形成することができる。
【１１０３】
さらに、図１４８に示すように、駆動モータＫＭ６が一方向へ回転され、回転操作部８６５４がＡ方向に回転される際に、遊技者が回転操作部８６５４の外周面を操作して回転操作部８６５４に回転Ａ方向と同一方向に回転力を発生させると、ワンウェイクラッチＯＷ１の外周面および回転操作部８６５４が先行して回転される。即ち、回転操作部８６５４は、遊技者の操作により駆動モータＫＭ６の回転速度よりも速い速度の回転で操作することができる。
【１１０４】
また、回転操作部８６５４が非回転（駆動モータＫＭ６が非回転）とされる際に、遊技者が回転Ａ方向に回転操作部８６５４に駆動力を付与することで回転操作部８６５４を回転変位させることができる。
【１１０５】
よって、第８実施形態では、回転操作部８６５４が、駆動モータＫＭ６の駆動により非回転または回転状態の態様を形成するだけでなく、回転操作部８６５４が遊技者の操作により停止状態から回転する態様および回転操作部８６５４が遊技者の操作により回転状態から更に早い速度で回転される態様を形成することができる。
【１１０６】
その結果、回転操作部８６５４の変位態様を遊技者に視認させる態様を複数形成することができるので、遊技者に興趣を与えることができる。また、回転操作部８６５４の回転態様を複数形成することで、パチンコ機１０の演出態様を複数形成することができるので、その演出を増加できる分、遊技者に興趣を与えることができる。
【１１０７】
なお、回転操作部８６５４の側面には、その回転回数を計測するセンサ装置等が配置されており、回転操作部８６５４の回転数や回転速度に基づいて変化される演出を行うことができる。
【１１０８】
次いで、図１４９を参照して、第９実施形態における第１リンク部材９４３１について説明する。第９実施形態における第１リンク部材９４３１の板状突起９４３１ｂは、カム部材４２２との当接面が傾斜して形成される傾斜面９４３１ｂ１を備える。なお、上記各実施形態と同一の部分には同一の符号を付してその説明を省略する。
【１１０９】
図１４９（ａ）は、第９実施形態における第１リンク部材９４３１の斜視正面図であり、図１４９（ｂ）は、下変位ユニット４００の断面模式図である。なお、図１４９（ｂ）は、図５６（ａ）の断面模式図と対応する。
【１１１０】
なお、第９実施形態における下変位ユニット４００は、第１実施形態における下変位ユニット４００と同様に、背面ケース３００の底壁部３０１（図６参照）に配設されるベース部材４１０と、そのベース部材４１０に配設される伝達部材４２０と、その伝達部材４２０から駆動力が伝達されることで変位する下変位部材４４０（図４５参照）と、を備える。また、第９実施形態における下変位ユニット４００は、ベース部材４１０及び下変位部材４４０に連結されると共に伝達部材４２０の駆動に伴って変位されるリンク部材９４３０を備え、そのリンク部材９４３０の変位により下変位部材４４０が変位される。
【１１１１】
図１４９に示すように、第９実施形態における第１リンク部材９４３１は、正面視略くの字形状に屈曲して形成されると共に、前後方向に所定の厚みを有する板状に形成される。第１リンク部材９４３１は、一端側（図１４９（ａ）矢印Ｄ方向側）の前後方向に貫通する貫通孔４３１ａと、他端側（図１４９（ａ）矢印Ｕ方向側）の背面側に突出する円柱状の連結突起４３１ｃ（図４６参照）と、ベース部材４１０の湾曲壁部４１１ｅと対向する位置に突出する板状突起９４３１ｂと、屈曲部分の正面側に突出する円柱状の摺動突起４３１ｄと、備える。
【１１１２】
板状突起９４３１ｂは、貫通孔４３１ａの軸を中心に湾曲状に延設されると共に、正面側（正面ベース４１１側（矢印Ｆ方向側））に向かって突設される。また、板状突起９４３１ｂの突設寸法は、カム部材４２２の厚み（矢印Ｆ−Ｂ方向寸法）寸法よりも大きく設定される。さらに、板状突起９４３１ｂの突設先端面と対向するベース部材４１０（湾曲壁部４１１ｅ）とは、若干の隙間（距離Ｘ１４（図１４９（ｂ）参照））を隔てて配置される。
【１１１３】
カム部材４２２は、板状突起９４３１ｂを除く第１リンク部材９４３１の正面と湾曲壁部４１１ｅの突出面（背面）との対向間における領域を変位可能な状態で配置される。また、カム部材４２２及び第１リンク部材９４３１との対向間の隙間と、カム部材４２２及びベース部材４１０の対向間の隙間と、を合わせた２箇所の隙間の寸法は、上述した距離Ｘ１４よりも大きく設定される。
【１１１４】
これにより、上述した距離Ｘ１４が小さくなる方向（矢印Ｆ方向）に第１リンク部材９４３１が、撓んだ際に板状突起９４３１ｂの突設先端面を対向するベース部材４１０（湾曲壁部４１１ｅ）に当接させることができる。よって、板状突起９４３１ｂを除く第１リンク部材９４３１の正面と湾曲壁部４１１ｅの突出面（背面）との対向間にカム部材４２２が挟まれて変位が規制されることを抑制できる。
【１１１５】
また、板状突起９４３１ｂは、カム部材４２２側（図１４９（ｂ）矢印Ｌ方向側）の周方向の側面に、カム部材４２２に向かうに従って正面側に突出する傾斜面９４３１ｂ１を備える。傾斜面９４３１ｂ１は、図１４９（ｂ）に示すように、突出側（矢印Ｆ方向側）に向かって略４５度傾斜して形成される。
【１１１６】
これにより、下変位ユニット４００が第２変位状態とされてカム部材４２２の端部が板状突起９４３１ｂに当接した際に、カム部材４２２を第１リンク部材９４３１の背面（矢印Ｆ方向側の面）に押し付ける（変位させる）ことができると共に、第１リンク部材９４３１の板状突起９４３１ｂの突設先端面（矢印Ｆ方向側の面）を湾曲壁部４１１ｅに押し付けることができる。その結果、カム部材４２２及び第１リンク部材９４３１が前後方向（矢印Ｆ−Ｂ方向）に揺れ動くことを抑制でき、下変位部材４４０を第２変位状態の位置で維持しやすくできる。
【１１１７】
なお、この場合、カム部材４２２の端部には、傾斜面９４３１ｂ１との当接部分に傾斜面９４３１ｂ１と平行な平面が形成されることが好ましい。これにより、カム部材４２２と傾斜面９４３１ｂ１とが当接した際に、カム部材４２２を背面側（矢印Ｂ方向側）に変位させやすくできる。
【１１１８】
次いで、図１５０を参照して、第１０実施形態における一般入賞口ユニット１０１５０について説明する。上記第１実施形態では、一般入賞口ユニット１５０は、接着テープ１５４ａが、装飾部材１５４の端部に貼付される場合について説明したが、第１０実施形態では、接着テープ１０１５４ａが装飾部材１０１５４の端部から所定の幅を隔てる内側に貼付される。なお、上記各実施形態と同一の部分には、同一の符号を付してその説明は省略する。
【１１１９】
図１５０は、第１０実施形態における遊技盤１３の断面図である。なお、図１５０は、図１６の断面図に対応する。また、第１０実施形態における一般入賞口ユニット１０１５０は、第１実施形態における一般入賞口ユニット１５０と同様に、遊技盤１３の遊技領域（ベース板６０の正面）に配設され、遊技領域を流下する遊技球の経路を変更可能とされる。また、一般入賞口ユニット１０１５０は、内レール７６及び外レール７７により囲われて形成される遊技領域に対して、正面視（矢印Ｂ方向視）における重力方向下側（矢印Ｄ方向側）の端部に沿う位置に配置される。
【１１２０】
さらに、一般入賞口ユニット１０１５０は、正面視において三日月状に形成される本体部１５１と、その本体部１５１の端部から正面側（矢印Ｆ方向側）に立設される第１立設部１５２（図１２参照）と、その第１立設部１５２の重力方向上側（矢印Ｕ方向側）の端部から遊技領域の中央側に向かって延設される第２立設部１５３（図１２（ａ）参照）と、本体部１５１の正面側に形成される複数（本実施形態では３個）の一般入賞口６３（図１２（ａ）参照）と、備える。
【１１２１】
図１５０に示すように、第１０実施形態における一般入賞口ユニット１０１５０は、本体部１０１５１の背面に配設される装飾部材１０１５４を備える。装飾部材１０１５４は、本体部１５１と接着される接着テープ１０１５４ａが、装飾部材１０１５４の端部から所定の幅を隔てる内側に貼付される。これにより、接着テープ１０１５４ａの厚みの分、本体部１５１と装飾部材１０１５４との間に所定の隙間（空間）が装飾部材１０１５４の端部に形成される。その結果、遊技者が所定以上の角度（例えば、パチンコ機１０（図１参照）の重力方向上側端部と同じ高さの視点）から一般入賞口ユニット１０１５０を視認した場合に、装飾部材６０ｃと装飾部材１０１５４の装飾との境界を遊技者に視認させにくくすることができる。
【１１２２】
詳しく説明すると、装飾部材１０１５４の端部に本体部１５１との間の空気層を形成することで、本体部１５１の内部を反射して本体部１５１の端部（傾斜面１５１ａ）から遊技者側に出射する光Ｌが、装飾部材１０１５４の端部での装飾の影響を受けないようにする（光Ｌの波長が変更されにくくする）ことができる。また、接着テープ１０１５４ａの内部を通過して、装飾部材１０１５４の装飾の影響の受ける光は、本体部１５１の内部を繰り返し反射されることで本体部１５１の外側に出射されるので、遊技者の視点に向かって反射される際に、装飾部材１０１５４の装飾の影響を少なくすることができる。
【１１２３】
よって、遊技者に出射される光Ｌの波長の変化を少なくすることができ、遊技者が所定以上の角度から一般入賞口ユニット１０１５０を視認した場合に、装飾部材６０ｃと装飾部材１０１５４の装飾との境界を認識させにくくすることができる。その結果、通常の角度（例えば、遊技盤１３の重力方向略中間位置と同一の高さの視点）から装飾部材６０ｃと装飾部材１０１５４の装飾を遊技者が視認する場合には、ベース板の装飾部材６０ｃと装飾部材１０１５４の装飾とを１の装飾として遊技者に視認させやすくできると共に、所定の角度（例えば、パチンコ機１０（図１参照）の重力方向上側端部と同じ高さの視点）から視認する場合には、境界部分の装飾を見にくくして、装飾が分割されていることを遊技者に分かりにくくすることができる。
【１１２４】
次いで、図１５１から図１５３を参照して、第１１実施形態における下変位部材１１４４０について説明する。上記第１実施形態では、下変位部材４４０の背面側に配設される制御基板４９１により装飾部材４５０に光を照射する場合について説明したが、第１１実施形態の下変位部材１１４４０は、制御基板４９１から照射される光により内部の遊技球の位置を遊技者に認識させることができる。なお、上記各実施形態と同一の部分には、同一の符号を付してその説明は省略する。
【１１２５】
初めに、図１５１及び図１５２を参照して、第１１実施形態における下変位部材１１４４０の全体構成について説明する。図１５１は、第１１実施形態における下変位部材１１４４０の分解斜視正面図である。図１５２（ａ）及び図１５２（ｂ）は、下変位部材１１４４０の正面図である。なお、図１５２（ａ）では、制御基板４９１に配設される発光体１１４９１ａの外形が鎖線で図示され、図１５２（ｂ）では、装飾部材１１４５０が取り外された状態が図示される。
【１１２６】
図１５２（ａ）及び図１５２（ｂ）に示すように、第１１実施形態における下変位部材１１４４０は、正面ベース４１１（図４５参照）に連結されるベース部材４７０と、そのベース部材４７０の前後を覆うケース部材４８０と、ケース部材４８０及びベース部材４７０の間に変位可能に配設される伝達機構１１４６０と、ケース部材４８０の前後（矢印Ｆ−Ｂ方向）を覆う態様で形成される装飾部材１１４５０と、を主に備えて形成される。
【１１２７】
装飾部材１１４５０は、模様やキャラクターを模した外形に形成され、表面にその模様やキャラクターの絵が描かれる。装飾部材１１４５０は、正面ケース４８１の正面側（矢印Ｆ方向側）に配設される正面側装飾部１１４５１と、背面ケース４８２の背面側（矢印Ｂ方向側）に配設される背面側装飾部４５２とを主に備えて形成される。なお、本実施形態では、装飾部材１１４５０にサメの模様（キャラクター）が描かれる。
【１１２８】
正面側装飾部１１４５１は、正面視において正面ケース４８１の外形よりも大きい外形に形成され、正面ケース４８１に取着される。これにより、正面側装飾部１１４５１の背面側に配設される部材（ケース部材４８０、ベース部材４７０等）を遊技者から視認不可能とすることができる。また、正面側装飾部１１４５１は、正面視における内側に光透過性材料から形成される透過部１１４５１ｂを備える。
【１１２９】
透過部１１４５１ｂは、後述する制御基板４９１に配設される複数の発光体１１４９１ａと対向する位置の全域に形成されており、複数の発光体１１４９１ａから照射される光を遊技者側に導光可能とされる。また、透過部１１４５１ｂは、正面側（矢印Ｆ方向側）が、上下方向（矢印Ｕ−Ｄ方向）の外側端部に向かって背面側（矢印Ｂ方向側）に湾曲して形成される。これにより、透過部１１４５１ｂの背面側から入射される光が透過部１１４５１ｂの内部を通過して正面側から出射される際に、拡散しやすくされる。
【１１３０】
伝達機構１１４６０は、ベース部材４７０の正面側（矢印Ｆ方向側）に配置される部材であり、伝達ギヤ４６１，４６２，４６３と、その伝達ギヤ４６１に軸部分が連結される駆動モータＫＭ２と、伝達ギヤ４６３と歯合する歯面を有し、ベース部材４７０の正面側をスライド変位可能に配設される可動ラック４６４と、その可動ラック４６４に回転可能に配置される伝達ギヤ４６５と、ベース部材４７０に形成され、伝達ギヤ４６５が歯合される歯面のラックギヤ４７６と、伝達ギヤ４６５に歯合される歯面を有し可動ラック４６４の正面側をスライド変位可能に配設されるラック１１４６６と、そのラック１１４６６の一端側に回転可能に配設される球受部４６７と、を主に備える。
【１１３１】
ラック１１４６６は、正面視矩形横長の棒状体から形成され、上端面に刻設されるラックギヤ４６６ａと、長手方向の他端側（矢印Ｌ方向側）の端部から背面側（矢印Ｂ方向側）に円柱状に突出する軸部４６６ｂと、正面側（矢印Ｆ方向側）に突出する２つの摺動板４６６ｃと、長手方向の一端（矢印Ｒ方向側）から他端に亘って背面に凹設される凹設部４６６ｄ（図５９参照）と、ラックギヤ４６６ａの正面側から上方（矢印Ｕ方向）に突設される遮蔽板１１４６６ｅと、を備える。
【１１３２】
遮蔽板１１４６６ｅは、非光透過性の材料から形成されており、発光体１１４９１ａから出射される光を遮断可能とされる。また、遮蔽板１１４６６ｅは、上方への突設高さ（矢印Ｕ方向高さ）が、背面側に配設される発光体１１４９１ａよりも高い位置（矢印Ｕ方向側の位置）とされる。これにより、ラック１１４６６の変位に伴って、遮蔽板１１４６６ｅを前後方向（矢印Ｆ−Ｂ方向）に変位させて、発光体１１４９１ａから照射される光を遮断できる。
【１１３３】
制御基板４９１は、ベース部材４７０の背面側（矢印Ｂ方向側）に配設されており、正面側に光を照射できる発光体１１４９１ａを複数個備える。複数の発光体１１４９１ａは、下変位部材１１４４０の長手方向（矢印Ｌ−Ｒ方向）に並設されると共に、ベース部材４７０を介して正面側（矢印Ｆ方向側）に配設される球受部４６７よりも上方（矢印Ｕ方向）に配設される。これにより、球受部４６７により、発光体１１４９１ａから出射された光が遮られることを抑制できる。
【１１３４】
次いで、図１５３を参照して、遊技球が球受部４６７の内側に送球された状態について説明する。図１５３（ａ）は、下変位部材１１４４０の正面図であり、図１５３（ｂ）は、図１５３（ａ）のＣＬＩＩＩｂ−ＣＬＩＩＩｂ線における下変位部材１１４４０の断面模式図であり、図１５３（ｃ）は、図１５３（ａ）のＣＬＩＩＩｃ−ＣＬＩＩＩｃ線における下変位部材１１４４０の断面模式図である。
【１１３５】
図１５３に示すように、球受部４６７に遊技球が受け入れられると、受け入れられた遊技球が、発光体１１４９１ａの正面側（矢印Ｆ方向側）に重なる位置に配置される。これにより、球受部４６７により受け入れられた遊技球で、発光体１１４９１ａから遊技者側に照射される光を遮断することができる。その結果、下変位部材１１４４０の内側に送球された遊技球の位置を光が遮断されてできる影により遊技者に認識させることができる。
【１１３６】
また、第１１実施形態では、装飾部材１１４５０の背面側に配設され、球受部４６７の変位領域に向けて光を出射可能な制御基板４９１を備え、制御基板４９１は、球受部４６７の背面側に配設され、球受部４６７または球受部４６７に受け入れられた遊技球により、制御基板４９１から出射される光を遮断して、装飾部材１１４５０から出射される光の光量を部分的に異ならせるので、球受部４６７または球受部４６７に受け入れられた遊技球の正面側に位置する装飾部材１１４５０から出射される光の光量と、その他の位置の装飾部材１１４５０から出射される光の光量と、を異ならせる（暗くして影を形成する）ことで、その光量の異なる部分の背面側に球受部４６７または球受部４６７に受け入れられた遊技球が位置することを遊技者に認識させることができる。
【１１３７】
詳しく説明すると、球受部４６７の背面側に制御基板４９１が配設される場合には、制御基板４９１から出射される光を球受部４６７または球受部４６７に受け入れた遊技球により遮断することで、球受部４６７または球受部４６７に受け入れた遊技球の正面側の装飾部材１１４５０から出射される光の光量を装飾部材１１４５０の他の部分よりも暗くすることができる。その結果、装飾部材１１４５０から出射される光量の少ない（暗い）部分の背面側に球受部４６７または球受部４６７に受け入れた遊技球が位置することを遊技者に認識させることができる。
【１１３８】
また、球受部４６７は、遊技球の下半球を受け入れる形状に形成され、発光体１１４９１ａは、球受部４６７に受け入れられる遊技球の中心よりも高い位置に配置されるので、発光体１１４９１ａから照射される光が球受部４６７に照射されにくくすることができる。従って、発光体１１４９１ａから照射される光により、遊技球を受け入れる球受部４６７及び球受部４６７をスライド変位させるラック１１４６６の外形が影となって、透過部１１４５１ｂに影が形成されることを抑制できる。その結果、球受部４６７に受け入れられた遊技球でのみ、透過部１１４５１ｂに影を形成することができるので、遊技球が球受部４６７に受け入れられていない状態で球受部４６７が変位する場合に、遊技者の視線が球受部４６７に注目されることを抑制できる。
【１１３９】
次いで、図１５４及び図１５５を参照して、第１２実施形態における球受部１２４６７について説明する。上記第１１実施形態では、球受部４６７に受け入れた遊技球により発光体１１４９１ａから照射される光を遮断する場合について説明したが、第１２実施形態では、球受部１２４６７に配設される第３片１２４６７ｅにより発光体１１４９１ａから照射される光を遮蔽する。なお、上記各実施形態と同一の部分には、同一の符号を付してその説明は省略する。
【１１４０】
初めに、図１５４を参照して、第１２実施形態における球受部１２４６７の構成について説明する。図１５４（ａ）は、第１２実施形態における球受部１２４６７の分解斜視正面図であり、図１５４（ｂ）は、球受部１２４６７の正面図である。なお、図１５４（ａ）では、球受部１２４６７の一部が鎖線で図示される。
【１１４１】
なお、第１２実施形態における下変位部材１２４４０は、上記第１１実施形態における下変位部材１１４４０と同様に、正面ベース４１１（図４５参照）に連結されるベース部材４７０と、そのベース部材４７０の前後を覆うケース部材４８０と、ケース部材４８０の前後（矢印Ｆ−Ｂ方向）を覆う態様で形成される装飾部材１１４５０と、を主に備えて形成される。また、第１２実施形態における下変位部材１２４４０は、ケース部材４８０及びベース部材４７０の間に変位可能に配設され、遊技球を受け入れることで変形可能な球受部１２４６７ｃを有する伝達機構１２４６０を備える。
【１１４２】
図１５４に示すように、第１２実施形態における球受部１２４６７は、正面視略Ｌ字に屈曲して形成される第１片１２４６７ｃと、その第１片１２４６７ｃに連結される第２片１２４６７ｄと、その第２片１２４６７ｄに連結されると共に第１片１２４６７ｃ及び第２片１２４６７ｄの背面側に配設される第３片１２４６７ｅと、を備える。
【１１４３】
第１片１２４６７ｃ及び第２片１２４６７ｄは、開口４５１ａ（図５７参照）から下変位部材１２４４０の内側に送球された遊技球を保持する部分であり、第１片１２４６７ｃ及び第２片１２４６７ｄの対向間に遊技球が送球されると、第１片１２４６７ｃに対して第２片１２４６７ｄが離間する方向に変位され、第１片１２４６７ｃの一部と第２片１２４６７ｄとが正面視においてＵ字状に配置され、そのＵ字の内側部分に遊技球を保持することができる。
【１１４４】
第１片１２４６７ｃは、正面視においてＬ字に形成される一方の延設側を形成する受入片１２４６７ｃ４と、他方の延設側を形成する脚部４６７ａと、受入片１２４６７ｃ４及び脚部４６７ａとの連結部分（屈曲部分）に前後方向（矢印Ｆ−Ｂ方向）に貫通する軸孔４６７ｂが形成される円環状の屈曲部１２４６７ｃ５と、屈曲部１２４６７ｃ５を間に挟んで反対側に突出する連結部１２４６７ｃ１と、を備える。
【１１４５】
受入片１２４６７ｃ４は、第１片１２４６７ｃ及び第２片１２４６７ｄにより正面視Ｕ字状に形成される他方側（矢印Ｒ方向側）の側面を形成する部分であり、正面において三日月状に形成されると共に、第２片１２４６７ｄから離間する方向に凹となる湾曲形状に形成される。
【１１４６】
連結部１２４６７ｃ１は、屈曲部１２４６７ｃ５の軸方向（矢印Ｆ−Ｂ方向）に所定の間隔を隔てて２箇所から突設される。また、連結部１２４６７ｃ１は、後述する第２片１２４６７ｄ及び第３片１２４６７ｅを連結する部分であり、軸孔４６７ｂの軸方向に沿って延設されると共に断面円形状に開口される連結孔１２４６７ｃ２を備える。
【１１４７】
連結孔１２４６７ｃ２は、後述する第３片１２４６７ｅに突設される軸部１２４６７ｅ３が挿入される開口である。連結孔１２４６７ｃ２は、後述する第２片１２４６７ｄに形成される挿通孔１２４６７ｄ３に挿通した軸部１２４６７ｅ３が背面側（矢印Ｂ方向側）から挿入される。また、軸部１２４６７ｅ３は、連結孔１２４６７ｃ２の挿入側と反対側（正面側（矢印Ｆ方向側））から挿入されるネジにより締結される。これにより、第１片１２４６７ｃに第２片１２４６７ｄ及び第３片１２４６７ｅを締結することができる。
【１１４８】
また、第１片１２４６７ｃは、連結部１２４６７ｃ１の突設基端側に重力方向下側（矢印Ｄ方向側）に凹む凹部１２４６７ｃ３を備える。凹部１２４６７ｃ３の凹設底面は、第１片１２４６７ｃ及び第２片１２４６７ｄにより遊技球が保持される底面の中で一番低い位置（最下部）に形成される。これにより、第１片１２４６７ｃ及び第２片１２４６７ｄに保持される遊技球は、凹部１２４６７ｃ３の内側に転動される。
【１１４９】
第２片１２４６７ｄは、第１片１２４６７ｃの受入片１２４６７ｃ４及び第２片１２４６７ｄにより正面視Ｕ字状に形成される他方側（矢印Ｌ方向側）の側面を形成する部分であり、正面視において三日月状に形成されると共に、受入片１２４６７ｃ４から離間する方向に凹となる湾曲形状に形成される。また、第１片１２４６７ｃ、第２片１２４６７ｄの連結部分に前後方向（矢印Ｆ−Ｂ方向）に円形状に開口する挿通孔１２４６７ｄ３と、背面側（矢印Ｂ方向側）から正面側（矢印Ｆ方向側）に向かって断面円形状に凹設される凹設部１２４６７ｄ２と、を主に備える。
【１１５０】
第２片１２４６７ｄは、挿通孔１２４６７ｄ３に、第３片１２４６７ｅの軸部１２４６７ｅ３が挿入され、凹設部１２４６７ｄ２に、第３片１２４６７ｅの連結軸１２４６７ｅ４が挿入される。従って、第２片１２５６７ｄが変位されると、第３片１２４６７ｅも同様に変位される。よって、第２片１２５６７ｄが第１片１２４６７ｃに対して回転変位されると、第３片１２５６７ｅも同様に第１片１２４６７ｃに対して回転変位される。
【１１５１】
さらに、第２片１２４６７ｄは、第１片１２４６７ｃの２箇所に突設される連結部１２４６７ｃ１の対向間に配設されて、第１片１２４６７ｃに連結される。これにより、第２片１２４６７ｄが挿通孔１２４６７ｄ３の軸方向にねじれた場合に、連結部１２４６７ｃ１の対向側の側面に第２片１２４６７ｄを当接させて軸部１２４６７ｅ３が折れることを抑制できる。
【１１５２】
凹設部１２４６７ｄ２は、後述する第３片１２４６７ｅの連結軸１２４６７ｅ４を挿入する孔であり、連結軸１２４６７ｅ４と略同一の形状に凹設される。
【１１５３】
第３片１２４６７ｅは、正面視略半円形の板状に形成される遮蔽板１２４６７ｅ１と、その遮蔽板１２４６７ｅ１から正面側（矢印Ｆ方向側）に向かって突設される軸部１２４６７ｅ３及び連結軸１２４６７ｅ４と、を備える。
【１１５４】
遮蔽板１２４６７ｅ１は、非光透過性の材料から形成されており、発光体１１４９１ａの正面側に配置される場合に、発光体１１４９１ａから照射される光を遮蔽することができる。なお、遮蔽板１２４６７ｅ１による発光体１１４９１ａの光の遮蔽については後述する。
【１１５５】
軸部１２４６７ｅ３は、上述したように第１片１２４６７ｃの連結孔１２４６７ｃ２及び第２片１２４６７ｄの挿通孔１２４６７ｄ３に挿入される円柱体である。また、軸部１２４６７ｅ３の突設先端面には、軸部１２４６７ｅ３の挿入側と反対側から連結孔１２４６７ｃ２に挿入されるネジを螺合可能な孔が形成される。よって、軸部１２４６７ｅ３を連結孔１２４６７ｃ２及び挿通孔１２４６７ｄ３に挿入した状態で、軸部１２４６７ｅ３の挿入先端面にネジを締結することで、第１片１２４６７ｃ、第２片１２４６７ｄ及び第３片１２４６７ｅを連結することができると共に、第３片１２４６７ｅを第１片１２４６７ｃに対して回転可能な状態にできる。
【１１５６】
連結軸１２４６７ｅ４は、上述したように、第２片１２４６７ｄの凹設部１２４６７ｄ２に挿入される。これにより、第２片１２４６７ｄが第１片１２４６７ｃに対して軸部１２４６７ｅ３を中心に回転変位した際に、連結軸１２４６７ｅ４を第２片１２４６７ｄの変位に伴って変位させることができる。従って、第３片１２４６７ｅを第２片１２４６７ｄの変位に伴って変位させることができる。
【１１５７】
次いで、図１５５を参照して、第１２実施形態における球受部１２４６７の変位について詳しく説明する。図１５５（ａ）及び図１５５（ｂ）は、下変位部材１２４４０の正面図であり、図１５５（ｃ）は、図１５５（ｂ）のＣＬＶｃ−ＣＬＶｃ線における下変位部材１２４４０の断面模式図である。なお、図１５５（ａ）及び図１５５（ｂ）では、下変位部材１２４４０の一部および発光体１１４９１ａが鎖線で図示される。また、図１５５（ａ）では、遊技球が球受部１２４６７に受け入れられる前（保持される前）の状態が図示され、図１５５（ｂ）では、遊技球が球受部１２４６７に受け入られた（保持された）状態が図示される。
【１１５８】
図１５５に示すように、球受部１２４６７は、遊技球が第１片１２４６７ｃ及び第２片１２４６７ｄの対向間に受け入れられる前の状態では、第３片１２４６７ｅの荷重により第２片１２４６７ｄが第１片１２４６７ｃ側に近づいた状態とされ、第３片１２４６７ｅが、球受部１２４６７の背面側に配設される発光体１１４９１ａよりも下方に位置される。従って、球受部１２４６７に遊技球が受け入れられる前では、発光体１１４９１ａから照射される光を遊技者側に出射することができる。
【１１５９】
一方、第１片１２４６７ｃ及び第２片１２４６７ｄの対向間に遊技球が受け入れられると、受け入れられた遊技球は、第１片１２４６７ｃ及び第２片１２４６７ｄの受入面（正面視Ｕ字に形成される内側の側面）を転動して、その受入面の最下端に位置する凹部１２４６７ｃ３に案内される。これにより、遊技球の外面で第２片１２４６７ｄを軸部１２４６７ｅ３を中心に第１片１２４６７ｃから離間する方向に回転させることができる。その結果、第２片１２４６７ｄの変位に伴って移動する第３片１２４６７ｅを球受部１２４６７の背面側に配設される発光体１１４９１ａの正面側（矢印Ｆ方向側）に配置することができる。
【１１６０】
従って、発光体１１４９１ａから出射される光を第３片１２４６７ｅの遮蔽板１２４６７ｅ１により遮蔽することができる。その結果、球受部１２４６７に遊技球が受け入れられた場合にのみ、発光体１１４９１ａから出射される光を遮蔽しやすくできるので、下変位部材１２４４０に受け入れられた遊技球の位置を発光体１１４９１ａの光を遮蔽する影の位置で遊技者に認識させることができる。
【１１６１】
また、第２片１２４６７ｄは、凹設部１２４６７ｄ２に連結軸１２４６７ｅ４が挿入されて、第３片１２４６７ｅの荷重が常に作用される。第３片１２４６７ｅの重心Ｇ（図１５４（ｂ）参照）は、第２片１２５６７ｄ及び第３片１２５６７ｅとの連結部分から、軸部１２４６７ｅ３を挟んで反対側に設定される。これにより、第２片１２４６７ｄおよび第３片１２４６７ｄｅに重力以外の力が作用していない状態では、第３片１２４６７ｅの荷重により、第２片１２４６７ｄを第１片１２４６７ｃ側に、回転させることができる。
【１１６２】
従って、球受部１２４６７から遊技球が排出される（取り出される）と、第３片１２４６７ｅの荷重により第２片１２４６７ｄを第１片１２４６７ｃの受入片１２４６７ｃ４側に変位させることができる。
【１１６３】
さらに、球受部１２４６７は、第１実施形態における球受部４６７と同様に、下変位部材１２４４０の内部をスライド変位させる動作により、軸穴１２４６７ｂを中心に回転されて、下変位部材１２４４０の出射開口４７１（図６６参照）から受け入れた遊技球が外側に排出される。
【１１６４】
ここで、球受部１２４６７に受け入れられた遊技球を排出する構造として、球受部１２４６７のスライド移動に伴って、軸孔４６７ｂを中心に球受部１２４６７の回転させる構造では、球受部１２４６７のスライド速度により、軸孔４６７ｂを中心とする球受部１２４６７の回転速度が変更される。従って、球受部１２４６７のスライド速度のみに回転速度が依存するので、球受部１２４６７からの遊技球の排出速度が安定しないという問題点があった。
【１１６５】
これに対し、第１２実施形態では、第３片１２４６７ｅの荷重により第２片１２４６７ｄが回転する方向と、遊技球を出射する際の軸孔４６７ｂを軸とする球受部１２４６７の回転方向とが略同一の方向に設定されるので、出射開口４７１から出射される遊技球に第２片１２４６７ｄが変位する際の駆動力を付与することができる。従って、球受部１２４６７を変位させて出射開口４７１から遊技球を排出する際の球受部１２４６７から遊技球に作用させる力を小さくしても、出射される遊技球の速度を維持することができる。その結果、球受部１２４６７から出射される遊技球の排出速度を安定させることができる。
【１１６６】
次いで、図１５６から図１５８を参照して、第１３実施形態における特別入賞装置１３５５０について説明する。上記第１実施形態では、特別入賞装置５５０の第１ユニット５５１の内部に流入した遊技球の送球経路を第３経路部材５８０の第１及び第２駆動ユニット５８３，５８４により切り替える場合を説明したが、第１３実施形態では、特別入賞装置１３５５０の送球経路の対向間隔を変更することで、特別入賞装置１３５５０の内部を流下する遊技球の流下経路を調整する。なお、上記各実施形態と同一の部分には、同一の符号を付してその説明は省略する。
【１１６７】
初めに、図１５６及び図１５７を参照して、第１３実施形態における特別入賞装置１３５５０の全体構成について説明する。図１５６（ａ）は、第１３実施形態における特別入賞装置１３５５０の正面図であり、図１５６（ｂ）は、特別入賞装置１３５５０の斜視正面図であり、図１５６（ｃ）は、図１５６（ａ）のＣＬＶＩｃ−ＣＬＶＩｃ線における特別入賞装置１３５５０の断面図である。図１５７は、特別入賞装置１３５５０の分解斜視正面図である。
【１１６８】
図１５６及び図１５７に示すように、第１３実施形態における特別入賞装置１３５５０は、正面側に配設される第１経路部材１３５６０と、その第１経路部材１３５６０の背面側に配設される第２経路部材１３５７０と、を備える。
【１１６９】
第１経路部材１３５６０は、遊技盤１３の遊技領域の正面に沿った板状に形成される正面板１３５６４と、その正面板１３５６４の左右の端部から背面側（ベース板６０側）に突設される第１壁部１３５６５と、を主に備える。
【１１７０】
正面板１３５６４は、後述する第２経路部材１３５７０との対向間に形成される遊技球の流下経路の正面側の壁部となる板部材であり、光透過部材から形成される。これにより、遊技者は、特別入賞装置１３５５０の内部を流下する遊技球を正面板１３５６４を介して視認することができる。また、正面板１３５６４は、第２経路部材１３５７０側に突出する第１凸部１３５６４ｂ、第２凸部１３５６４ｃと、その第１凸部１３５６４ｂ、第２凸部１３５６４ｃの下方に位置し第２経路部材１３５７０側に突設される第３凸部１３５６４ｄと、を備える。
【１１７１】
第１凸部１３５６４ｂ及び第２凸部１３５６４ｃは、特別入賞装置１３５５０の内部を流下する遊技球を案内するための突起であり、正面板１３５６４の左右方向外側（矢印Ｌ−Ｒ方向外側）から正面板１３５６４の左右方向中央側に向かって下降傾斜して形成される。
【１１７２】
第３凸部１３５６４ｄは、正面板１３５６４の左右方向（矢印Ｌ−Ｒ方向）中央に位置し重力方向（矢印Ｕ−Ｄ方向）に延設される。なお、第１３実施形態では、遊技盤１３の遊技領域において、特別入賞装置１３５５０の左右方向（矢印Ｌ−Ｒ方向）略中央位置の左右で特別入賞装置１３５５０から流下する遊技球の送球経路が異なり、特別入賞装置１３５５０の正面視左側から流下する遊技球は、第１入賞口６４（図２参照）に送球され、送球された遊技球により、遊技者に特定の遊技価値が付与される（所定数の遊技球が払い出される）。一方、特別入賞装置１３５５０の正面視右側から流下する遊技球は、遊技盤１３のアウト口７１に送球され、パチンコ機１０に回収される。
【１１７３】
なお、第１３実施形態では、特別入賞装置１３５５０の左側（矢印Ｌ方向側）の下方（矢印Ｄ方向側に第１入賞口６４が配置される。これにより、特別入賞装置１３５５０の正面視左側から流下する遊技球を第１入賞口６４に流入させることができる。
【１１７４】
第１壁部１３５６５は、遊技盤１３のベース板６０と特別入賞装置１３５５０とを連結する部分であり、突設先端部に左右外側に突出する連結板１３５６５ａを左右の第１壁部１３５６５にそれぞれ２箇所ずつ備える。
【１１７５】
連結板１３５６５ａは、特別入賞装置１３５５０を遊技盤１３のベース板６０に締結するためのネジを挿入するための貫通孔１３５６５ａ１が貫通形成される。この貫通穴１３５６５ａ１に挿通したネジにより、特別入賞装置１３５５０をベース板６０に締結することができる。
【１１７６】
第２経路部材１３５７０は、第１経路部材１３５６０の正面板１３５６４と対向する板状のベース板１３５７１と、そのベース板１３５７１の左右（矢印Ｌ−Ｒ方向）の端部から第１経路部材１３５６０の正面板１３５６４側に突設される第４壁部１３５７３と、を備える。
【１１７７】
ベース板１３５７１は、第１経路部材１３５６０の正面板１３５６４との対向間の隙間で遊技球の送球経路を形成する部材であり、正面視における外形が正面板１３５６４の外形よりも小さく形成される。これにより、ベース板１３５７１の正面側を正面板１３５６４で覆うことができるので、遊技者側からベース板１３５７１を視認しにくくすることができる。
【１１７８】
また、ベース板１３５７１は、第１経路部材１３５６０側に突出する第４凸部１３５７１ｂ、第５凸部１３５７１ｃと、それら第４凸部１３５７１ｂ及び第５凸部１３５７１ｃの下方に位置し正面板１３５６４側に突設される第６凸部１３５７１ｄと、を主に備える。
【１１７９】
第４凸部１３５７１ｂ及び第５凸部１３５７１ｃは、特別入賞装置１３５５０の内部を流下する遊技球を案内するための突起であり、ベース板１３５７１の左右方向外側（矢印（Ｌ−Ｒ方向外側）からベース板１３５７１の中央側に向かって下降傾斜して形成される。
【１１８０】
第６凸部１３５７１ｄは、上述した第３凸部１３５６４ｄと対向する位置に形成されており、第３凸部１３５６４ｄの先端と所定の隙間を有する長さに形成される。なお、第３凸部１３５６４ｄと、第６凸部１３５７１ｄとの対向間の隙間は、遊技球の直径よりも小さい寸法に設定される。
【１１８１】
第４壁部１３５７３は、第１経路部材１３５６０を挿通したネジを締結するための締結孔１３５７３ａが左右の第４壁部１３５７３のそれぞれに２箇所ずつ穿設される。これにより、第１経路部材１３５６０と第２経路部材１３５７０とが締結固定される。
【１１８２】
また、第４壁部１３５７３の締結孔１３５７３ａの周囲には、第１経路部材１３５６０と第２経路部材１３５７０との対向間の隙間を調整するシム部材ＳＩが配設される。
【１１８３】
シム部材ＳＩは、薄い板状の透明材料から形成されており、遊技者側から視認されにくくされる。また、本実施形態では、シム部材ＳＩは、正面視左側の端部に配設され、正面視左側の正面板１３５６４とベース板１３５７１の対向間の間隔が大きくされる。
【１１８４】
次いで、図１５８を参照して、第１３実施形態における特別入賞装置１３５５０の内部を流下する遊技球について説明する。図１５８（ａ）は、特別入賞装置１３５５０の上面図であり、図１５８（ｂ）は、図１５８（ａ）のＣＬＶＩＩＩｂ−ＣＬＶＩＩＩｂ線における特別入賞装置１３５５０の断面図である。
【１１８５】
図１５８に示すように、特別入賞装置１３５５０は、正面視左側の端部にシム部材ＳＩが配設され、正面視左側における正面板１３５６４とベース板１３５７１との対向間の間隔Ｌ１４（図１５８（ａ）参照）が、正面視右側における正面板１３５６４とベース板１３５７１との対向間の間隔Ｌ１５（図１５８（ａ）参照）よりも大きく設定される（Ｌ１４＞Ｌ１５）。
【１１８６】
なお、間隔Ｌ１４は、正面板１３５６４とベース板１３５７１とが対向する位置における左側（矢印Ｌ方向側）端部の間隔である。また、間隔Ｌ１５は、正面板１３５６４とベース板１３５７１とが対向する位置における右側（矢印Ｒ方向側）端部の間隔である。さらに、間隔Ｌ１５は、遊技球の直径よりも大きく設定されており、特別入賞装置１３５５０の上方から流下する遊技球を左右方向のどの位置からでも特別入賞装置１３５５０の内部に流入させることができる（Ｌ１４＞Ｌ１５＞遊技球の直径）。
【１１８７】
また、特別入賞装置１３５５０は、第３凸部１３５６４ｄ及び第６凸部１３５７１ｄにより下流側が左右に区画される。これにより、特別入賞装置１３５５０の上流側の主経路ＳＫ１（図１５８（ｂ）参照）を流下する遊技球は、特別入賞装置１３５５０の正面視左側に形成される主経路ＳＫ２と、正面視右側に形成される副経路ＨＫ１とのどちらか一方に流入される。なお、上述したように、特別入賞装置１３５５０の下流側の遊技領域は、特別入賞装置１３５５０の左右方向の略中央位置で送球経路が異なって形成されている。従って、主経路ＳＫ２から遊技領域に送球される遊技球は、特定の入賞口に送球され、副経路ＨＫ１から遊技領域に送球される遊技球は、遊技盤１３のアウト口７１に送球される。
【１１８８】
さらに、上述した正面板１３５６４の第１凸部１３５６４ｂ及び第２凸部１３５６４ｃと、ベース板１３５７１の第４凸部１３５７１ｂ及び第５凸部１３５７１ｃとの突出寸法は、略同一に設定される。即ち、正面板１３５６４から背面側に向かって突出する第１凸部１３５６５ｂと第２凸部１３５６４ｃとは、その突出寸法が同一に設定される。また、ベース板１３５７１から正面側に向かって突出する第４凸部１３５７１ｂと第５凸部１３５７１ｃとは、その突出寸法が同一に設定される。さらに、第１凸部１３５６５ｂと第４凸部１３５７１ｂとの突出寸法が同一に設定される。
【１１８９】
また、第１凸部１３５６４ｂ及び第２凸部１３５６４ｃと第４凸部１３５７１ｂ及び第５凸部１３５７１ｃとは、上下方向の高さが異なる位置に配置される。即ち、正面板１３５６４から背面側に向かって突出する第１凸部１３５６５ｂと第２凸部１３５６４ｃとは、同一の高さから突出される。また、ベース板１３５７１から正面側に向かって突出する第４凸部１３５７１ｂと第５凸部１３５７１ｃとは、同一の高さから突出される。さらに、第１凸部１３５６５ｂと第４凸部１３５７１ｂとは、異なる高さに配置され、第４凸部１３５７１ｂが、第１凸部１３５６５ｂよりも下方に配置される。また、重力方向２箇所から突設される第４凸部１３５７１ｂの中間位置に、重力方向の２箇所から突設される第１凸部１３５６５ｂの下方側が配置される。
【１１９０】
これにより、特別入賞装置１３５５０の内部を流下する遊技球を第１凸部１３５６４ｂ及び第４凸部１３５７１ｂ又は第２凸部１３５６４ｃ及び第５凸部１３５７１ｃに順に衝突させつつ流下させることができる。その結果、遊技球を第１凸部１３５６４ｂ及び第２凸部１３５６４ｃと第４凸部１３５７１ｂ及び第５凸部１３５７１ｃの延設方向に沿って流下させることができる。
【１１９１】
特別入賞装置１３５５０の正面視左側における正面板１３５６４及び第４凸部１３５７１ｂ又は、ベース板１３５７１及び第１凸部１３５６４ｂの対向間の距離寸法Ｌ１６（図１５８（ａ）参照）は、シム部材ＳＩにより遊技球の直径よりも大きく設定されると共に、特別入賞装置１３５５０の正面視右側における正面板１３５６４及び第５凸部１３５７１ｃ又は、ベース板１３５７１及び第２凸部１３５６４ｃの対向間の距離寸法Ｌ１７は、遊技球の直径よりも小さく設定される。
【１１９２】
なお、間隔Ｌ１６は、第４凸部１３５７１ｂ及び第１凸部１３５６４ｂの第５凸部１３５７１ｃ及び第２凸部１３５６４ｃ側（矢印Ｒ方向側）の端部における正面板１３５６４又はベース板１３５７１との対向間の距離寸法である。また、間隔Ｌ１７は、第５凸部１３５７１ｃ及び第２凸部１３５６４ｃの第４凸部１３５７１ｂ及び第１凸部１３５６４ｂ側（矢印Ｌ方向側）の端部における正面板１３５６４又はベース板１３５７１との対向間の距離寸法である。
【１１９３】
さらに、第１３実施形態では、特別入賞装置１３５５０の左側（矢印Ｌ方向側）の下方（矢印Ｄ方向側に第１入賞口６４が配置される。これにより、特別入賞装置１３５５０の正面視左側から流下する遊技球を第１入賞口６４に流入させることができる。
【１１９４】
よって、特別入賞装置１３５５０の正面視右側（矢印Ｒ方向側）から特別入賞装置１３５５０の主経路ＳＫ１に流入される遊技球は、第２凸部１３５６４ｃ及び第５凸部１３５７１ｃに当接しやすくされ、第２凸部１３５６４ｃ及び第５凸部１３５７１ｃの延設方向に沿って流下させて副経路ＨＫ１側に案内されやすくなる。一方、特別入賞装置１３５５０の正面視左側（矢印Ｌ方向側）から特別入賞装置１３５５０の主経路ＳＫ１に流入される遊技球は、第１凸部１３５６４ｂ及び第４凸部１３５７１ｂに衝突し難くされ、そのまま副経路ＨＫ１に送球されやすくなる。その結果、特別入賞装置１３５５０の内部に流入した遊技球の流下方向を変更することができる。
【１１９５】
なお、本実施形態では、第１凸部１３５６４ｂ、第２凸部１３５６４ｃ、第４凸部１３５７１ｂ及び第５凸部１３５７１ｃが、第６凸部１３５７１ｄ及び第３凸部１３５６４ｄ（主経路ＨＫ１と副経路ＳＫ６との遊技球の流入口）よりも上方（矢印Ｕ方向）に形成される。よって、主経路ＳＫ１を流下する遊技球の大半を副経路ＨＫ１に流下させることができると共に、副経路ＨＫ１よりも相対的に少ない個数の遊技球を主経路ＳＫ６に流下させることができる。
【１１９６】
また、第１３実施形態では、第１経路部材１３５６０と第２経路部材１３５７０との対向間をシム部材ＳＩにより調整すると共に非平行として、第１経路部材１３５６０と第２経路部材１３５７０との対向間を流下する遊技球の位置（遊技球の流下する方向）を調整することができる。
【１１９７】
従って、ベース板６０の正面に打ち付けられた釘のベース板６０の正面に対する角度を変更して遊技球が流下されやすい方向を調整する場合に比べて、特別入賞装置１３５５０の内側を流下されやすい方向を遊技者に認識させにくくすることができる。その結果、遊技者が遊技機で遊技をする前に遊技が不利であると認識することを抑制でき、遊技機の稼動率を向上できる。
【１１９８】
また、第１経路部材１３５６０及び第２経路部材１３５７０の対向方向の２方向（前後方向（矢印Ｆ−Ｂ方向））を変更することのみで、特別入賞装置１３５５０の内側を流下する遊技球の流下方向を変更できるので、遊技盤１３（ベース板６０）の正面に対して全方向に調整可能な釘よりも、その調整を簡易にできる。その結果、調整者の意図する方向に遊技球を流下させやすくできる。
【１１９９】
なお、調整者の意図する方向とは、例えば、副経路ＨＫ１側（矢印Ｌ方向側）の第１経路部材１３５６０及び第２経路部材１３５７０の対向間を主経路ＳＫ６側（矢印Ｒ方向側）の第１経路部材１３５６０及び第２経路部材１３５７０の対向間よりも大きくして、特別入賞装置１３５５０の内側を流下する遊技球が副経路ＨＫ１に流下する、又は、主経路ＳＫ６側（矢印Ｒ方向側）の第１経路部材１３５６０及び第２経路部材１３５７０の対向間を副経路ＨＫ１側（矢印Ｌ方向側）の第１経路部材１３５６０及び第２経路部材１３５７０の対向間よりも大きくして、特別入賞装置１３５５０の内側を流下する遊技球が主経路ＳＫ６に流下することである。
【１２００】
さらに、正面側に配設される第１経路部材１３５６０に対して、シム部材ＳＩを挟むことにより背面側に配設される第２経路部材１３５７０を前後方向（矢印Ｆ−Ｂ方向）に移動させることができるので、第１経路部材１３５６０と第２経路部材１３５７０との対向間の距離を遊技者に認識させにくくすることができる。即ち、遊技者から遠方側に配設される第２経路部材１３５７０が前後方向に移動されるので、遊技者から近い第１経路部材１３５６０が変位される場合に比べて、第１経路部材１３５６０と第２経路部材１３５７０の対向間の距離を遊技者に把握されにくくすることができる。その結果、遊技機の稼動率を向上することができる。
【１２０１】
次いで、図１５９を参照して、第１４実施形態における係合部材１４３１０について説明する。上記第１実施形態では、係合部材３１０の操作子３１５が、背面ケース３００の底壁部３０１側（背面側（矢印Ｂ方向側））に向かって突出して形成される場合について説明したが、第１４実施形態における操作子１４３１５は、突出先端面が基端側に向かって傾斜して形成される。なお、上記各実施形態と同一の部分には、同一の符号を付してその説明は省略する。
【１２０２】
図１５９（ａ）は、第１４実施形態における背面ケース３００の背面図であり、図１５９（ｂ）は、図１５９（ａ）のＣＬＩＸｂ−ＣＬＩＸｂ線における背面ケース３００の模式断面図である。
【１２０３】
なお、第１４実施形態における背面ケース１４３００は、第１実施形態における背面ケース３００と同様に、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａが開口形成され、その開口３０１ａを通じて、底壁部３０１の背面に配設される第３図柄表示装置８１（図２参照）が視認可能とされる。
【１２０４】
また、第１４実施形態における背面ケース１４３００は、底壁部３０１の正面側（箱状に形成された開放側（矢印Ｆ方向側））に配設される係合部材１４３１０と、背面ケース１４３００の背面側（矢印Ｂ方向側）に配設され、基板ボックス１００（主制御装置１１０）を固定する固定部材３２０と、を主に備える。
【１２０５】
図１５９に示すように、第１４実施形態における係合部材１４３１０は、正面視における外形がクランク状に形成されており、互いに平行となる方向に延設される第１片１４３１１及び第２片３１２と、その第１片１４３１１及び第２片３１２の端部同士を第１片１４３１１及び第２片３１２の延設方向と直交する方向に連結する第３片３１３とから構成される。
【１２０６】
第１片１４３１１は、第３片３１３が連結される他側と反対側の一側（矢印Ｒ方向側）の端部が、固定部材３２０の被係合部３３２（図４１（ａ）参照）との係合部分として形成されており、第１片１４３１１の延設方向と略直交する方向である上下方向（矢印Ｕ−Ｄ方向）の両外側に突出する係合部３１６と、その２箇所の係合部３１６の略中間位置から第１片１４３１１の延設方向（矢印Ｌ−Ｒ方向）に凹設される凹部３１７と、背面ケース３００の底壁部３０１側（背面側（矢印Ｂ方向側））に向かって突出する操作子１４３１５と、を備える。
【１２０７】
操作子１４３１５は、第１片１４３１１の他側（矢印Ｌ方向側）の端部に形成され、その突出寸法が、背面ケース３００の底壁部３０１の板厚よりも大きい値に設定され、少なくとも作業者が指で掴める程度の寸法分、背面ケース１４３００（底壁部３０１）の背面側に突出される。これにより、操作子１４３１５を底壁部３０１の第２開口部３０１ｄから突出させることができると共に、その突出部分（操作子１４３１５の先端）を掴ませて操作させることができる。
【１２０８】
また、操作子１４３１５の突出先端面は、係合部３１６側（第１片１４３１１の他側（矢印Ｌ方向側）に向かうほど操作子１４３１５の基端側に近づく傾斜面１４３１５ａとして形成される。これにより、係合部材１４３１０と固定部材３２０との係合を解除する方向（矢印Ｌ方向側）に作業者が操作子１４３１５を操作する際に、係合部材１４３１０と固定部材３２０との係合を解除する方向に作用する力を小さくすることができる。
【１２０９】
即ち、傾斜面１４３１５ａにより作業者が操作子１４３１５を操作した力を分散することができる。これにより、背面ケース３００の背面側から操作子１４３１５を操作して係合部材１４３１０と固定部材３２０との係合を解除し難くすることができる。その結果、不正に固定部材３２０に配設される基板ボックス１００を交換しようとする作業者が、背面ケース３００の背面側から操作子１４３１５を操作して、固定部材３２０を背面ケース３００から取り外すことを抑制できる。
【１２１０】
また、傾斜面１４３１５ａの係合部３１６側の端部は、背面ケース３００の底壁部３０１の背面よりも正面側（矢印Ｆ方向側）に配置される。これにより、係合部材１４３１０と固定部材３２０との係合を解除する目的で操作子１４３１５を操作する作業者の手を傾斜面１４３１５ａに当接させることができる。その結果、操作子１４３１５を操作し難くして、固定部材３２０に配設される基板ボックス１００を不正に交換しようとする作業者が、背面ケース３００の背面側から操作子１４３１５を操作して、固定部材３２０を背面ケース３００から取り外すことを抑制できる。
【１２１１】
次いで、図１６０（ａ）を参照して、第１５実施形態における係合部材１５３１０について説明する。上記第１実施形態では、係合部材３１０の操作子３１５は、背面ケース３００の底壁部３０１側（背面側（矢印Ｂ方向側））に向かって突出して形成される場合について説明したが、第１５実施形態における操作子１５３１５は、係合部材１５３１０の第１片１５３１１に軸支される。なお、上記各実施形態と同一の部分には、同一の符号を付してその説明は省略する。
【１２１２】
図１６０（ａ）は、第１５実施形態における背面ケース３００の模式断面図である。なお、図１６０（ａ）の断面は、図１５９（ｂ）の断面と対応する。
【１２１３】
なお、第１５実施形態における背面ケース１５３００は、第１実施形態における背面ケース３００と同様に、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａ（図５参照）が開口形成され、その開口３０１ａを通じて、底壁部３０１の背面に配設される第３図柄表示装置８１（図２参照）が視認可能とされる。
【１２１４】
また、第１５実施形態における背面ケース１５３００は、底壁部３０１の正面側（箱状に形成された開放側（矢印Ｆ方向側））に配設される係合部材１５３１０と、背面ケース１５３００の背面側（矢印Ｂ方向側）に配設され、基板ボックス１００（主制御装置１１０）を固定する固定部材３２０（図４１参照）と、を主に備える。
【１２１５】
図１６０（ａ）に示すように、第１５実施形態における係合部材１５３１０は、正面視における外形がクランク状に形成されており、互いに平行となる方向に延設される第１片１５３１１及び第２片３１２（図４１参照）と、その第１片１４３１１及び第２片３１２の端部同士を第１片１５３１１及び第２片３１２の延設方向と直交する方向に連結する第３片３１３（図４１参照）とから構成される。
【１２１６】
第１片１５３１１は、第３片３１３が連結される他側（矢印Ｌ方向側）と反対側の一側（矢印Ｒ方向側）の端部が、固定部材３２０の被係合部３３２（図４１（ａ）参照）との係合部分として形成されており、第１片１５３１１の延設方向と略直交する方向である上下方向（矢印Ｕ−Ｄ方向）の両外側に突出する係合部３１６（図４１参照）と、その２箇所の係合部３１６の略中間位置から第１片１５３１１の延設方向（矢印Ｌ−Ｒ方向）に凹設される凹部３１７（図４１参照）と、背面ケース３００の第２開口部３０１ｄに挿通される操作子１５３１５と、その操作子１５３１５が軸支される軸受部１５３１９と、を主に備える。
【１２１７】
軸受部１５３１９は、第１片１５３１１の第３片３１３が連結される他側（矢印Ｌ方向側）に第１片１５３１１から突設される。また、軸受部１５３１９は、後述する操作子１５３１５を重力方向（矢印Ｕ−Ｄ方向）に挿通した円柱状の軸部材１５３１５ｃが挿入される凹部が形成される。
【１２１８】
操作子１５３１５は、棒状に形成されると共に、第１片１５３１１側の端部に重力方向に貫通する貫通孔１５３１５ｂと、その貫通孔１５３１５ｂに挿入される軸部材１５３１５ｃと、を備える。
【１２１９】
よって、操作子１５３１５は、貫通孔１５３１５ｂに挿入された軸部材１５３１５ｃが、軸受部１５３１９の凹部に挿入されることで、第１片１５３１１に対して回転変位可能な状態で保持される。また、操作子１５３１５の回転軸（軸部材１５３１５ｃ）は、第１片１５３１１よりも正面側に配置される。これにより、図１６０（ａ）に示す状態の操作子１５３１５の上方視における右方向（時計回り）の回転を第１片１５３１１の他側の端部に当接させて規制することができると共に、左方向（反時計回り）の回転を許容することができる。
【１２２０】
よって、係合部材１５３１０と固定部材３２０との係合を解除する方向（矢印Ｌ方向側）に作業者が操作子１５３１５を操作する際（図１６０（ａ）に示す状態の操作子１５３１５を反時計周りに回転させる際）に、係合部材１５３１０と固定部材３２０との係合を解除する方向（矢印Ｌ方向）に作用する力を小さくすることができる。これにより、背面ケース３００の背面側から操作子１５３１５を操作して係合部材１５３１０と固定部材３２０との係合を解除しにくくすることができる。その結果、固定部材３２０に配設される基板ボックス１００を不正に交換しようとする遊技者が、背面ケース３００の背面側から操作子１５３１５を操作して、固定部材３２０を背面ケース３００から取り外すことを抑制できる。
【１２２１】
次いで、図１６０（ｂ）を参照して、第１６実施形態における係合部材１５３１０について説明する。上記第１実施形態では、係合部材３１０のスライド操作を操作子３１５により行われる場合について説明したが、第１６実施形態では、係合部材１６３１０の第１片１６３１１の端部が操作されることで行われる。なお、上記各実施形態と同一の部分には、同一の符号を付してその説明は省略する。
【１２２２】
図１６０（ｂ）は、第１６実施形態における背面ケース３００の模式断面図である。なお、図１６０（ｂ）の断面は、図１６０（ａ）の断面と対応する。また、第１６実施形態における背面ケース１６３００は、第１実施形態における背面ケース３００と同様に、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａ（図５参照）が開口形成され、その開口３０１ａを通じて、底壁部３０１の背面に配設される第３図柄表示装置８１（図２参照）が視認可能とされる。
【１２２３】
さらに、第１６実施形態における背面ケース１６３００は、底壁部３０１の正面側（箱状に形成された開放側（矢印Ｆ方向側））に配設される係合部材１６３１０と、背面ケース１６３００の背面側（矢印Ｂ方向側）に配設され、基板ボックス１００（主制御装置１１０）を固定する固定部材３２０（図４１参照）と、を主に備える。
【１２２４】
図１６０（ｂ）に示すように、第１６実施形態における係合部材１６３１０は、正面視における外形がクランク状に形成されており、互いに平行となる方向に延設される第１片１６３１１及び第２片３１２（図４１参照）と、その第１片１６３１１及び第２片３１２の端部同士を第１片１６３１１及び第２片３１２の延設方向と直交する方向に連結する第３片３１３（図４１参照）とから構成される。また、第１６実施形態における係合部材１６３１０は、背面ケース３００に形成される第２開口部３０１ｄに背面側から挿通させた指によりスライド変位可能とされる。
【１２２５】
第１片１６３１１は、第３片３１３が連結される他側（矢印Ｌ方向側）と反対側の一側（矢印Ｒ方向側）の端部が、固定部材３２０の被係合部３３２（図４１参照）との係合部分として形成されており、第１片３１１の延設方向と略直交する方向である上下方向（矢印Ｕ−Ｄ方向）の両外側に突出する係合部３１６（図４１参照）と、その２箇所の係合部３１６の略中間位置から第１片１６３１１の延設方向（矢印Ｌ−Ｒ方向）に凹設される凹部３１７（図４１参照）と、を主に備える。
【１２２６】
図１６０（ｂ）に示すように、係合部材１６３１０の係合部３１６と固定部材３２０の被係合部３３２とが係合した状態では、第１片１６３１１の他側（矢印Ｌ方向側）の端部が第２開口部３０１ｄの開口に対して水平方向外側に配置される。従って、係合部材１６３１０と固定部材３２０との係合を解除する方向（矢印Ｌ方向側）に作業者が係合部材１６３１０を操作する際には、背面ケース３００の第２開口部３０１ｄから挿入する指で、係合部材１６３１０と固定部材３２０との係合を解除する方向に係合部材１６３１０を変位させにくくすることができる。その結果、固定部材３２０に配設される基板ボックス１００を交換しようとしてする作業者が、背面ケース３００の背面側から係合部材１６３１０を不正に操作して、固定部材３２０を背面ケース３００から取り外すことを抑制できる。
【１２２７】
次いで、図１６１を参照して、第１７実施形態における背面ケース１７３００について説明する。上記第１実施形態では、背面ケース３００の第２開口部３０１ｄから、係合部材３１０の操作子３１５が突出する場合について説明したが、第１７実施形態では、背面ケース１７３００の第２開口部３０１ｄから突出する操作子３１５が、所定の位置で背面ケースの一部に覆われる。なお、上記各実施形態と同一の部分には同一の符号を付してその詳しい説明を省略する。
【１２２８】
図１６１（ａ）は、第１７実施形態における背面ケース１７３００の背面図であり、図１６１（ｂ）は、図１６１（ａ）のＣＬＸＩｂ−ＣＬＸＩｂ線における背面ケース１７３００の断面図である。
【１２２９】
図１６１に示すように、第１７実施形態における背面ケース１７３００は、正面視略矩形の底壁部１７３０１と、その底壁部１７３０１の４辺の外縁から正面へ向けて立設される外壁部３０２とを備え、それら各壁部１７３０１，３０２により一面側（正面側）が開放された箱状に形成される。底壁部１７３０１には、その中央に正面視矩形の開口３０１ａが開口形成され、その開口３０１ａを通じて、底壁部１７３０１の背面に配設される第３図柄表示装置８１（図２参照）が視認可能とされる。
【１２３０】
また、背面ケース１７３００は、底壁部１７３０１に正面側の２箇所から突設される突設部３０１ｂと、固定部材３２０と対向する位置に開口する第１開口部３０１ｃと、係合部材３１０と対向する位置に開口する第２開口部３０１ｄと、その第２開口部３０１ｄの第１開口部３０１ｃ側（矢印Ｒ方向側）の背面を覆設する覆設部１７３０１ｅと、を備える。
【１２３１】
覆設部１７３０１ｅは、第２開口部３０１ｄの第１開口部３０１ｃ側（矢印Ｒ方向側）の端部から背面側（矢印Ｂ方向側）に向かって立設される。また、覆設部１７３０１ｅは立設先端部が背面視における第２開口部３０１ｄの開口の内側に向かって屈曲する屈曲部１７３０１ｅ１を備える。これにより、覆設部１７３０１ｅは、第１開口部３０１ｃ側（矢印Ｒ方向側）と反対側（矢印Ｌ方向側）が開口する箱形状に形成される。
【１２３２】
また、覆設部１７３０１ｅの立設距離（底壁部１７３０１ｃの背面から屈曲部１７３０１ｅ１の正面との間の距離）は、底壁部１７３０１ｃから突出する操作子３１５の突出寸法よりも大きく設定される。さらに、覆設部１７３０１ｅは、背面視における屈曲部１７３０１ｅ１の左右方向（矢印Ｌ−Ｒ方向）の寸法が、背面視における操作子３１５の左右方向の寸法よりも大きく設定される。
【１２３３】
これにより、係合部材３１０の係合部３１６と固定部材３２０の被係合部３３２とが係合した状態では、図１６１（ｂ）に示すように、操作子３１５が覆設部１７３０１ｅの内側に配置される。従って、係合部材３１０と固定部材３２０との係合を解除する方向（矢印Ｌ方向側）に係合部材３１０を作業者が操作する際に、背面ケース１７３００の背面側から操作子３１５を掴みにくくすることができる。これにより、係合部材３１０と固定部材３２０との係合を解除する方向（矢印Ｌ方向側）に係合部材３１０が変位されることを抑制できる。その結果、固定部材３２０に配設される基板ボックス１００を不正に交換しようとしてする作業者（遊技者）が、背面ケース１７３００の背面側から係合部材３１０を操作して、固定部材３２０を背面ケース１７３００から取り外すことを抑制できる。
【１２３４】
次いで、図１６２から図１６４を参照して、第１８実施形態における背面ケース１８３００について説明する。上記第１実施形態では、係合部材３１０が、直線方向（矢印Ｌ−Ｒ方向）にスライド変位される場合について説明したが、第１８実施形態における係合部材１８３１０は、背面ケース１８３００に対して回転変位される。なお、上記各実施形態と同一の部分については、同一の符号を付してその詳しい説明を省略する。
【１２３５】
初めに、図１６２及び図１６３を参照して、第１８実施形態における背面ケース１８３００の構成および係合部材１８３１０の操作について説明する。図１６２（ａ）及び図１６３（ａ）は、第１８実施形態における背面ケース１８３００の正面図であり、図１６２（ｂ）及び図１６３（ｂ）は、背面ケース１８３００の背面図である。なお、図１６２（ａ）及び図１６２（ｂ）では、係合部材１８３１０と固定部材１８３２０とが係合した状態が図示され、図１６３（ａ）及び図１６３（ｂ）では、係合部材１８３１０と固定部材１８３２０との係合が解除された状態が図示される。
【１２３６】
図１６２及び図１６３に示すように、第１８実施形態における背面ケース１８３００は、正面視略矩形の底壁部１８３０１と、その底壁部１８３０１の４辺の外縁から正面へ向けて立設される外壁部１８３０２とを備え、それら各壁部１８３０１，１８３０２により一面側（正面側）が開放された箱状に形成される。また、背面ケース１８３００は、底壁部１８３０１の正面側（箱状に形成された開放側（矢印Ｆ方向側））に配設される係合部材１８３１０と、背面ケース１８３００の背面側に配設され、基板ボックス１００（主制御装置１１０）を固定する固定部材１８３２０と、を備える。
【１２３７】
底壁部１８３０１は、その中央に正面視矩形の開口３０１ａが開口形成され、その開口３０１ａを通じて、底壁部１８３０１の背面に配設される第３図柄表示装置８１（図２参照）が視認可能とされる。また、底壁部１８３０１は、固定部材１８３２０と対向する位置に開口する第１開口部１８３０１ｃと、その第１開口部１８３０１ｃの下方（矢印Ｄ方向）に位置し、正面側に突出する突設部１８３０１ｂと、を備える。
【１２３８】
第１開口部１８３０１ｃは、後述する固定部材１８３２０の被係合部１８３３２を挿通するための開口であり、正面視において被係合部１８３３２よりも大きい形状に形成される。これにより、背面ケース１８３００の内側に役物装置（回転ユニット７００）を配設した後で、背面ケース１８３００の背面側から固定部材１８３２０の係合部分を背面ケース１８３００の正面側に配置することができる。
【１２３９】
突設部１８３０１ｂは、後述する係合部材１８３１０を軸支する部材であり、の底壁部１８３０１の正面から円柱状に突設される。また、突設部１８３０１ｂの突設先端面には、ネジを螺合する孔が凹設される。これにより、係合部材１８３１０を背面ケース１８３００に配設した状態で、突設部１８３０１ｂにネジを螺合することで、係合部材１８３１０が突設部１８３０１ｂから抜け出ることを規制できる。
【１２４０】
外壁部１８３０２は、正面視において右側（矢印Ｒ方向側）の側面に左右方向（矢印Ｌ−Ｒ方向）に開口する開口部１８３０２ａを備える。開口部１８３０２ａは、後述する係合部材１８３１０の回転軌跡上に形成される。これにより、係合部材１８３１０を背面ケース１８３００の内側に配設した後に、係合部材１８３１０を回転させることで係合部材１８３１０を背面ケース１８３００の外側に突出させることができる。
【１２４１】
固定部材１８３２０は、後述する係合部材１８３１０と係合する介設部材１８３３０と、その介設部材１８３３０に締結される軸支部材３４０と、から構成される。
【１２４２】
介設部材１８３３０は、正面側が開放する箱状に形成され、他側（矢印Ｌ方向側）の側面に突設される係止部１８３３１と、一側（矢印Ｒ方向側）の側面から背面ケース３００側に突出して枠状に形成される被係合部１８３３２と、箱状の底面（矢印Ｂ方向側の側面）に円形状に開口する挿通孔３３３（図３９（ｂ）参照）と、背面から突出する突部３３４と、を主に備える。
【１２４３】
係止部１８３３１は、固定部材３２０の他側（矢印Ｌ方向側）を底壁部１８３０１に係合させるための開口を備え、その開口に上述した第１開口部１８３０１ｃの周囲から断面Ｌ字状に突設される突壁１８３０１ｃ１が挿通されることで底壁部１８３０１に係合される。
【１２４４】
これにより、介設部材１８３３０（固定部材１８３２０）を背面ケース１８３００に配設する際に、介設部材１８３３０の係止部１８３３１に突壁１８３０１ｃ１を挿通させて介設部材１８３３０の他側（矢印Ｌ方向側）を背面ケース１８３００に対して係止することができる。
【１２４５】
被係合部１８３３２は、係合部材１８３１０と係合する部分であり、背面ケース１８３００側（矢印Ｆ方向側）への突出寸法が、背面ケース１８３００に配設される係合部材１８３１０を超える寸法に設定され、囲われる空間の正面側（矢印Ｆ方向側）の内面から底壁部１８３０１の正面までの距離寸法が、係合部材１８３１０の正面から底壁部１８３０１の正面までの距離よりも大きく設定される。これにより、被係合部１８３３２により囲われる空間と係合部材１８３１０とが、前後方向（矢印Ｆ−Ｂ方向）において重なる位置に配置される。
【１２４６】
係合部材１８３１０は、正面視略Ｌ字状に形成されており、背面ケース１８３００の突設部１８３０１ｂに軸支される第２片１８３１２と、その第２片１８３１２の一方の端部から屈曲して形成される第１片１８３１１と、から構成される。
【１２４７】
第２片１８３１２は、第１片１８３１１が形成される側と反対側の端部に前後方向（矢印Ｆ−Ｂ方向）に円形状に開口される軸支孔１８３１２ａを備える。軸支孔１８３１２ａは、上述した背面ケース１８３００の突設部１８３０１ｂが挿入される孔であり、これにより、係合部材１８３１０を背面ケース１８３００の内側に軸支した状態で配設できる。
【１２４８】
第１片１８３１１は、上述した軸支孔１８３１２ａの軸を中心として円弧状に延設される。これにより、係合部材１８３１０を軸支孔１８３１２ａの軸を中心として回転させた際に第１片１８３１１の変位領域を最小とすることができる。また、第１片１８３１１は、第２片１８３１２との連結側と反対側の端部に、軸支孔１８３１２ａから径方向の両側に突出する係合部１８３１６と、その２箇所の係合部３１６の略中間位置から第１片１８３１１の延設方向に凹設される凹部１８３１７と、を備える。
【１２４９】
２箇所の係合部１８３１６は、正面視における外形が略三角形状に形成される。また、２箇所の係合部１８３１６の一方の係合部１８３１６は、第２片１８３１２との連結部と反対側の端部から第２片１８３１２との連結部側に向かう程、第１片１８３１１の径方向外側に突出する外形に形成される。２箇所の係合部１８３１６の他方の係合部１８３１６は、第２片１８３１２との連結部と反対側の端部から第２片１８３１２との連結部側に向かう程、第１片１８３１１の径方向内側に突出する外形に形成される。
【１２５０】
凹部１８３１７は、第１片１８３１１の厚み方向に切り欠いて形成されると共に、第１片１８３１１の第２片１８３１２との連結側と反対側の端部から、第１片１８３１１の延設方向に沿って第２片１８３１２との連結側に向かって凹設される。よって、第１片１８３１１の端部が二股に分割される。これにより、第１片１８３１１の第２片１８３１２との連結側と反対側の端部を、第２片１８３１２との連結側よりも弾性変形させやすくして、係合部材１８３１０を固定部材１８３２０と係合させやすくできる。
【１２５１】
次いで、係合部材１８３１０と固定部材１８３２０との係合について説明する。図１６３に示すように、介設部材１８３３０及び軸支部材３４０は、係合部材１８３１０との係合前に介設部材１８３３０側から挿入されるネジにより締結されて組み合わされる。
【１２５２】
また、係合部材１８３１０は、上述したように背面ケース１８３００の突設部１８３０１ｂに軸支された状態で配設され、第１片１８３１１と第２片１８３１２との連結部が、背面ケース１８３００の開口部１８３０２ａから突出された状態で配設される。
【１２５３】
なお、背面ケース１８３００に軸支された係合部材１８３１０は、重心が背面ケース１８３００の突設部１８３０１ｂよりも開口部１８３０２ａ側に位置しており、外部の力が作用していない状態では、重力により第１片１８３１１と第２片１８３１２との連結部が背面ケース１８３００の開口部１８３０２ａから突出する方向に回転される力が、係合部材１８３１０に作用される。これにより、係合部材１８３１０と固定部材１８３２０との係合が不完全であった場合に、係合部材１８３１０を背面ケース１８３００の外側に突出させて、係合部材１８３１０と固定部材１８３２０との係合の忘れを防止することができる。
【１２５４】
締結された状態の介設部材１８３３０及び軸支部材３４０（固定部材１８３２０）は、介設部材１８３３０の係止部１８３３１に第１開口部１８３０１ｃの周囲から突設される突壁１８３０１ｃ１が挿入されて、固定部材１８３２０の正面視左側（矢印Ｌ方向側）が背面ケース１８３００に係止される。この場合、固定部材１８３２０の被係合部１８３３２が、第１開口部１８３０１ｃの内側に挿入され、その被係合部１８３３２に囲われた空間が係合部材１８３１０の第１片１８３１１の先端と対向する位置に配設される。
【１２５５】
次に、係合部材１８３１０を固定部材１８３２０に係合させる作業者は、背面ケース１８３００の開口部１８３０２ａから突出した係合部材１８３１０（第１片１８３１１と第２片１８３１２との連結部）を背面ケース１８３００の内側（矢印Ｒ１方向側）に押し込む（図１６３参照）ことで、係合部材１８３１０を突設部１８３０１ｂを中心に回転させる。
【１２５６】
これにより、図１６２に示すように、係合部材１８３１０の先端を、被係合部１８３３２の内部空間に挿入できる。この場合、２箇所の係合部１８３１６の外側端部同士の離間寸法は、被係合部１８３３２の内部空間の上下方向の開口寸法よりも大きく設定されるが、係合部材１８３１０の凹部１８３１７により、第１片１８３１１が弾性変形させやすくされるので、第１片１８３１１の端部を凹部１８３１７の内側に弾性変形させて、２箇所の係合部１８３１６の外側端部同士の離間寸法を、被係合部１８３３２の内部空間の上下方向の開口寸法よりも小さくして第１片１８３１１の端部を被係合部１８３３２の内側に挿入できる。
【１２５７】
また、係合部材１８３１０の第１片１８３１１と第２片１８３１２との連結部分は、背面ケース１８３００の開口部１８３０２ａの内側に挿入されるので、係合部材１８３１０が、係合された状態で係合部材１８３１０が背面ケース１８３００の外側から操作されることを抑制できる。その結果、係合部材１８３１０が不正に操作されて、固定部材１８３２０に連結される基板ボックス１００（主制御装置１１０）が不正な基板に交換されることを抑制できる。
【１２５８】
次に、第１８実施形態における係合部材１８３１０と固定部材１８３２０との係合の解除は、について説明する。図１６３（ａ）に示すように、第１開口部１８３０１ｃは、正面視略Ｌ字状に開口されており、固定部材１８３２０の被係合部１８３３２と係合状態における係合部材１８３１０の凹部１８３１７が、第１開口部１８３０１ｃを介して背面ケース１３００の背面側（矢印Ｂ方向側）から操作可能とされる。
【１２５９】
よって、係合部材１８３１０の凹部１８３１７の外側部分を、専用の工具等で凹部１８３１７の凹設側に弾性変形させることで、係合部材１８３１０の係合部１８３１６と被係合部１８３３２との係合が解除される。この係合を解除した状態で、係合部材１８３１０を被係合部１８３３２により係合される内部空間から引き出す方向（矢印Ｌ方向）に変位させた後、係合部材３１０の変形を戻すことで、係合部材１８３１０と被係合部１８３３２との係合を解除することができる。
【１２６０】
なお、係合部材１８３１０の凹部１８３１７の外側部分と第１開口部１８３０１ｃとの隙間は、なるべく小さく形成されることが好ましい。これによれば、背面ケース３００から固定部材１８３２０を取り外す人の指を挿入不可能にできると共に、専用の工具の挿入は可能とされる。その結果、専用の工具を有する作業者のみに基板ボックス１００（主制御装置１１０）を交換可能とさせることができ、不正な基板ボックス１００に交換されることを抑制できる。
【１２６１】
次いで、図１６４を参照して、係合部材１８３１０を固定部材１８３２０に係合し忘れた場合についての説明をする。図１６４（ａ）は、遊技盤１３の模式上面図であり、図１６４（ｂ）は、パチンコ機１０の模式上面図である。なお、図１６４（ａ）及び図１６４（ｂ）では、係合部材１８３１０を被係合部１８３３２に係合し忘れた状態が図示される。また、図１６４（ａ）及び図１６４（ｂ）では、正面視において枠状に形成される外枠１１の上方側の一片を取り外した状態が図示される。
【１２６２】
上述したように、係合部材１８３１０と被係合部１８３３２との係合が不完全であった場合に、重力により係合部材１８３１０を背面ケース１８３００の外側に突出させることができる。この場合、遊技盤１３の左右方向（矢印Ｌ−Ｒ方向）における係合部材１８３１０の端部から背面ケース１８３００の右側（矢印Ｒ方向側）の端部までの距離寸法ＬＲ１（図１６４（ａ）参照）が、遊技盤１３が配設される外枠１１の左右方向における内側の左右方向寸法ＬＲ２（図１６４（ｂ）参照）よりも大きく設定される。これにより、係合部材１８３１０と固定部材１８３２０とが非係合の場合に、遊技盤１３を外枠１１の内側に挿入しようとすると、係合部材１８３１０の背面側を外枠１１の正面に当接させることができる。その結果、係合部材１８３１０と固定部材１８３２０とが非係合の場合に、遊技盤１３が外枠１１に配設されることを抑制して、係合部材１８３１０と固定部材１８３２０との係合の忘れを抑制することができる。
【１２６３】
次いで、図１６５及び図１６６を参照して、第１９実施形態における係合部材１９３１０について説明する。上記第１８実施形態では、外枠１１の内側に係合部材１８３１０を配置して係合部材１８３１０が不正に操作されることを抑制したが、第１９実施形態では、係合部材１９３１０の解除方向への回転を規制して、係合部材１８３１０が不正に操作されることを抑制する。なお、上記各実施形態と同一の部分については、同一の符号を付してその詳しい説明を省略する。
【１２６４】
図１６５は、第１９実施形態における係合部材１９３１０の分解斜視正面図である。図１６６（ａ）は、背面ケース１８３００の正面図であり、図１６６（ｂ）は、図１６５のＣＬＸＶＩｂ−ＣＬＸＶＩｂ線におけるワンウェイ１９３５０の断面図である。
【１２６５】
図１６５に示すように、第１９実施形態における係合部材１９３１０は、正面視略Ｌ字状に形成されており、背面ケース１９３００に対して回転軸を有する第２片１９３１２と、その第２片１９３１２の一方の端部から屈曲して形成される第１片１８３１１と、から構成される。
【１２６６】
第２片１９３１２は、第１片１８３１１が形成される側と反対側の端部に前後方向（矢印Ｆ−Ｂ方向）に円形状に開口する嵌合孔１９３１２ｂを備える。嵌合孔１９３１２ｂは、後述するワンウェイ１９３５０が嵌合される孔であり、ワンウェイ１９３５０の外輪１９３５１と略同一の内径に形成される。
【１２６７】
ワンウェイ１９３５０は、外周面にカム面が形成される内輪１９３５２と、その内輪１９３５２との外側を囲む円環状に形成される外輪１９３５１と、それら外輪１９３５１及び内輪１９３５２の間に配設される複数のスプリング１９３５３及びローラ１９３５４と、を備え（図１６６（ｂ）参照）、外輪１９３５１に対して内輪１９３５２が一方向に回転しようとするとカム面とローラ１９３５４との接触面圧が高くなり、抵抗となって外輪への動力を伝達し、外輪１９３５１に対して内輪が他方向に回転すると、カム面とローラ１０３５４との接触面圧が低くなり滑って動力伝達を切断するカム式のクラッチである。なお、ワンウェイ１９３５０の詳しい説明は後述する。
【１２６８】
また、ワンウェイ１９３５０の内輪１９３５２には、中心に操作子１９３６０が挿入される。操作子１９３６０は、背面ケース１９３００の背面側（矢印Ｂ方向側）に配置される操作部１９３６１と、その操作部１９３６１の正面側（矢印Ｆ方向側）に突設される挿入部１９３６２と、を主に備える。
【１２６９】
操作部１９３６１は、背面ケース１９３００の背面側から操作子１９３６０を作業者が操作する部分であり、円形状に形成され、その外形が後述する挿入部１９３６２が挿通される開口よりも大きく形成される。これにより、操作子１９３６０を背面ケース１９３００の背面側から配設した場合に、操作部１９３６１が背面ケース１９３００の正面側（矢印Ｆ方向側）に抜け出ることを抑制できる。
【１２７０】
挿入部１９３６２は、操作部１９３６１の軸と同軸上の円柱状に形成され、正面側（矢印Ｆ方向側）に突設される。また、挿入部１９３６２は、その外周面に径方向に突設される突壁１９３６２ａを備える。
【１２７１】
突壁１９３６２ａは、挿入部１９３６２に対してワンウェイ１９３５０の内輪１９３５２が空転することを防止する係合部分であり、内輪１９３５２に形成される凹部１９３５２ａに挿入される。これにより、操作子１９３６０に作用する回転力が内輪１９３５２に非伝達とされることを防止できる。
【１２７２】
さらに、挿入部１９３６２の突設先端面には、正面視円形状に凹設される凹部が形成されており、その凹部に正面側から背面側に向かってネジを螺合させることで、ワンウェイ１９３５０に対して操作子１９３６０を連結できる。
【１２７３】
次いで、図１６６を参照して背面ケース１９３００と係合部材１９３１０との配設状態について説明する。背面ケース１９３００は、正面視略矩形状の底壁部１９３０１と、その底壁部１９３０１の４辺の外縁から正面へ向けて立設される外壁部３０２とを備え、それら各壁部１９３０１，３０２により一面側（正面側）が開放された箱状に形成される。また、背面ケース１９３００は、底壁部１９３０１の正面側（箱状に形成された開放側（矢印Ｆ方向側））に配設される係合部材１９３１０と、背面ケース１９３００の背面側に配設され、基板ボックス１００（主制御装置１１０）を固定する固定部材１８３２０と、を備える。
【１２７４】
底壁部１９３０１は、その中央に正面視矩形の開口３０１ａが開口形成され、その開口３０１ａを通じて、底壁部１９３０１の背面に配設される第３図柄表示装置８１（図２参照）が視認可能とされる。また、底壁部１９３０１には、固定部材１８３２０と対向する位置に開口する第１開口部１８３０１ｃと、その第１開口部１８３０１ｃの下方（矢印Ｄ方向）に位置し、前後方向に開口して内側に上述した操作子１９３６０の挿入部１９３６２が挿入される開口（図示しない）と、を備える。
【１２７５】
上述した係合部材１９３１０は、嵌合孔１９３１２ｂの内側にワンウェイ１９３５０を内観した状態の係合部材１９３１０を底壁部１０３０１の正面側に配設した後に、背面ケース１９３００の背面側から操作子１９３６０の挿入部１９３６２を背面ケース１９３００の開口を介してワンウェイ１９３５０の内輪１９３５２の内側に挿入することで底壁部１９３０１に配設される。
【１２７６】
次いで、ワンウェイ１９３５０の動作について説明する。上述したようにワンウェイ１９３５０は、内輪１９３５２の一方向と他方向との回転方向で外輪１９３５１への動力の伝達が許容される場合と遮断される場合とに切り替えられる。
【１２７７】
初めに、内輪１９３５２の動力が外輪に伝達される場合について説明する。図１６６（ｂ）に示すように、内輪１９３５２が一方向（矢印ＬＫ方向（図１６６（ｂ）参照））に回転されると、内輪１９３５２のカム面と外輪１９３５１の内周面との間にローラ１９３５４が挟まり、ローラ１９３５４の接触が抵抗となって、内輪１９３５２の動力が外輪１９３５１に伝達される。この場合、一方向の回転方向が、係合部材１９３１０を固定部材１８３２０に係合させる方向に設定される。
【１２７８】
次いで、内輪１９３５２の動力が遮断される場合について説明する。内輪１９３５２が他方向（矢印ＲＫ方向（図１６６（ｂ）参照））に回転されると、ローラ１９３５４が外輪１９３５１の内周面と接触する抵抗により、内輪１９３５２の径方向内側に変位される。これにより、外輪１９３５１の内周面とローラ１９３５４との接触面圧が低くなり、ローラ１９３５４が外輪１９３５１に対して滑って動力伝達を遮断する。この場合、他方向の回転方向が、係合部材１９３１０を固定部材１８３２０との係合を解除する方向に設定される。
【１２７９】
これにより、係合部材１９３１０を背面ケース１９３００に配設した状態で、操作子１９３６０を回転させて係合部材１９３１０を固定部材１８３２０に係合させることができる。さらに、係合部材１９３１０と固定部材１８３２０とが係合した状態から操作子１９３６０を回転させて係合部材１９３１０と固定部材１８３２０との係合を解除することが規制される。その結果、係合部材１９３１０（操作子１９３６０）が不正に操作されて、固定部材１８３２０に連結される基板ボックス１００（主制御装置１１０）が不正な基板に交換されることを抑制できる。
【１２８０】
次いで、図１６７から図１６９を参照して、第２０実施形態における係合部材２０３１０について説明する。上記第１実施形態では、係合部材３１０の移動が回転ユニット７００の背面ベース７２０に挿通されるネジにより規制される場合について説明したが、第２０実施形態では、係合部材２０３１０が固定部材３２０に係合された際に、係合部材２０３１０の移動が回転ユニット２０７００の背面ベース２０７２０に形成される係合部２０７２４ａに係合されることで規制される。なお、上記各実施形態と同一の部分については、同一の符号を付してその詳しい説明を省略する。
【１２８１】
初めに、図１６７及び図１６８を参照して、第２０実施形態における係合部材２０３１０及び回転ユニット２０７００について説明する。図１６７は、第２０実施形態における背面ケース２０３００及び回転ユニット２０７００の分解斜視図である。図１６８（ａ）は、係合部材２０３１０の正面図であり、図１６８（ｂ）は、回転ユニット２０７００及び係合部材２０３１０の背面図である。
【１２８２】
なお、第２０実施形態における背面ケース２０３００は、第１実施形態における背面ケース３００と同様に、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａ（図５参照）が開口形成され、その開口３０１ａを通じて、底壁部３０１の背面に配設される第３図柄表示装置８１（図２参照）が視認可能とされる。
【１２８３】
また、第２０実施形態における背面ケース２０３００は、底壁部３０１の正面側（箱状に形成された開放側（矢印Ｆ方向側））に配設される係合部材２０３１０と、背面ケース２０３００の背面側（矢印Ｂ方向側）に配設され、基板ボックス１００（主制御装置１１０）を固定する固定部材３２０と、を主に備える。さらに、第２０実施形態における背面ケース２０３００には、底壁部３０１の正面に回転ユニット２０７００が配設される。
【１２８４】
図１６７及び図１６８に示すように、第２０実施形態における背面ケース２０３００の底壁部３０１の正面側（矢印Ｆ方向側）に配設される係合部材２０３１０は、正面視における形状がクランク状に形成されており、互いに平行となる方向に延設される第１片３１１及び第２片２０３１２と、その第１片３１１及び第２片２０３１２の端部同士を第１片３１１及び第２片２０３１２の延設方向と直交する方向に連結する第３片３１３とから構成される。
【１２８５】
第１片３１１及び第２片２０３１２には、その延設方向に長い長穴の摺動溝３１４がそれぞれ形成されており、これにより、係合部材２０３１０は、第１片３１１及び第２片２０３１２の延設方向（矢印Ｌ−Ｒ方向）に摺動可能とされる。
【１２８６】
また、第２片２０３１２は、係合部材２０３１０の摺動方向と平行な側面に凹設される凹部２０３１２ｃを備える。凹部２０３１２ｃは、後述する回転ユニット２０７００の背面ベース２０７２０の係合部２０７２４ａの先端が挿入される凹みであり、係合部２０７２４ａの外形と略同一の形状に形成される。
【１２８７】
詳しく説明すると、凹部２０３１２ｃは、第２片２０３１２の第３片３１３との連結側と反対側（矢印Ｌ方向側）の端部までの寸法ＳＨ１（図１６８（ａ）参照）が、係合部材２０３１０の摺動溝３１４の内部を突設部３０１ｂが摺動可能な寸法ＳＨ２（図１６８（ｂ）参照）と略同一に設定される。また、凹部２０３１２ｃは、正面視における角度が直角の三角形に凹設されると共に、その直角の部分が第２片２０３１２の第３片３１３との連結側（矢印Ｒ方向側）に設定される。
【１２８８】
回転ユニット２０７００は、背面ケース２０３００の底壁部３０１のうちの開口３０１ａの下側部分の右側（矢印Ｒ方向側に配設される正面視矩形状の背面ベース２０７２０と、その背面ベース２０７２０の正面側（矢印Ｆ方向側）に配設される回転体８００（図９３参照）とを備え、遊技盤１３に配設される光透過性のセンターフレーム８６を介して回転体８００を回転変位させる演出を遊技者に視認させることができる。
【１２８９】
背面ベース２０７２０は、球受台７１０の背面および装飾ユニット７５０の背面側（矢印Ｂ方向側）を連結する板部材であり、球受台７１０及び装飾ユニット７５０の背面側に配設される。また、背面ベース２０７２０は、背面から立設される立設壁２０７２４を備える。
【１２９０】
立設壁２０７２４は、背面ケース２０３００に配設される係合部材２０３１０の外縁を取り囲む形状に延設される。また、立設壁２０７２４は、係合部材２０３１０の凹部２０３１２ｃと対向する位置に形成され、凹部２０３１２ｃの内側に先端が挿入される係合部２０７２４ａを備える。
【１２９１】
係合部２０７２４ａは、係合部材２０３１０を固定部材３２０に係合させる方向（矢印Ｒ方向）に立設壁２０７２４から突設され、係合部材２０３１０の摺動方向と直交する方向において、立設壁２０７２４と所定の隙間を隔てて形成される。これにより、係合部２０７２４ａの剛性を低くして、係合部２０７２４ａを弾性変形させやすくできる。また、立設壁２０７２４と係合部２０７２４ａとの隙間の分、係合部２０７２４ａが弾性変形可能な領域を確保することができる。
【１２９２】
また、係合部２０７２４ａは、突設先端部に係合部材２０３１０側に屈曲する屈曲部２０７２４ａ１を備え、その屈曲部２０７２４ａ１の正面視形状が、上述した凹部２０３１２ｃと略同一形状の三角形状に形成される。これにより、係合部材２０３１０は、固定部材３２０との係合前において、係合部材２０３１０の凹部２０３１２ｃの内側に屈曲部２０７２４ａ１が配置される。よって、係合部材２０３１０を、その変位方向（矢印Ｌ−Ｒ方向）に摺動させにくくすることができる（図１６８（ｂ）参照）。
【１２９３】
従って、係合部材２０３１０が背面ケース２０３００に対して振動や揺れ等の力により振動して、固定部材３２０との係合方向（矢印Ｒ方向）に移動することを抑制できる。よって、背面ケース２０３００に固定部材３２０が配設される前に、係合部材２０３１０の位置が変位して、固定部材３２０を背面ケース２０３００に配設した際に、固定部材３２０の被係合部３３２が係合部材２０３１０と当接することを抑制できる。言い換えると、背面ケース２０３００に固定部材３２０を配設する際に、固定部材３２０の被係合部３３２（図１６７参照）を配設する際の変位領域内に、係合部材２０３１０が位置することを抑制できる。その結果、係合部材２０３１０を固定部材３２０との係合を解除する方向に操作する必要がなくなるので、係合部材２０３１０と固定部材３２０とを係合させる際の作業性を向上することができる。
【１２９４】
次いで、図１６９を参照して、係合部材２０３１０と固定部材３２０とが係合された状態における係合部材２０３１０及び回転ユニット２０７００について説明する。図１６９（ａ）は、回転ユニット２０７００及び係合部材２０３１０の背面図であり、図１６９（ｂ）は、背面ケース２０３００の背面図である。なお、図１６９（ａ）及び図１６９（ｂ）では、係合部材２０３１０と固定部材２０３２０とが係合した状態が図示される。また、図１６９（ｂ）では、係合部材２０３１０の一部および立設壁２０７２４の外形が鎖線で図示される。
【１２９５】
図１６９に示すように、背面ケース２０３００の背面側（矢印Ｂ方向側）から操作子３１５が操作されて係合部材２０３１０が、背面ケース２０３００の底壁部３０１に対して正面視左側（矢印Ｌ方向側）に配置された状態から、背面ケース２０３００の底壁部３０１に対して正面視右側（矢印Ｒ方向側）に変位されると、係合部材２０３１０の凹部２０３１２ｃの内側に配設された屈曲部２０７２４ａ１が、その凹部２０３１２ｃの傾斜面により凹部２０３１２ｃに押し出される。
【１２９６】
ここで、上述したように、凹部２０３１２ｃは、第２片２０３１２の第３片３１３との連結側と反対側（矢印Ｌ方向側）の端部までの距離寸法ＳＨ１（図１６８（ａ）参照）が、係合部材２０３１０の摺動溝３１４の内部を突設部３０１ｂが摺動可能な寸法ＳＨ２（図１６８（ｂ）参照）と略同一に設定されるので、係合部材２０３１０が固定部材３２０と係合する位置まで変位されると、係合部材２０３１０の第２片２０３１２の第３片３１３との連結側と反対側（矢印Ｌ方向側）の端部が、屈曲部２０７２４ａ１と係合部材２０３１０の変位方向（矢印Ｌ−Ｒ方向）に隣合う位置に配置される。これにより、係合部材２０３１０が、固定部材３２０との係合を解除する方向（矢印Ｌ方向）に不正に変位されることを抑制できる。
【１２９７】
なお、上記第１実施形態と同様に、係合部材２０３１０は、係合部３１６が固定部材３２０の被係合部３３２に引っ掛かる（係合する）ことで、係合部材２０３１０の固定部材３２０との係合を解除する方向への変位が規制される。しかしながら、固定部材３２０の被係合部３３２を背面ケース３００の第１開口部３０１ｃを挿通させるので、被係合部３３２と係合部３１６との係合は、第１開口部３０１ｃを介して不正に解除される恐れがあった。
【１２９８】
これに対して、第２０実施形態では、係合部材２０３１０の固定部材３２０との係合を解除する方向への変位を、固定部材３２０と係合する係合部材２０３１０の係合部３１６と反対側の端部を屈曲部２０７２４ａ１に当接させて規制することができるので、第１開口部３０１ｃから不正物が挿入されて、係合部材２０３１０の端部と屈曲部２０７２４ａ１との係合が解除されることを抑制できる。その結果、係合部材２０３１０と固定部材３２０との係合が不正に解除されて、固定部材３２０に連結される基板ボックス１００（主制御装置１１０）が不正な基板に交換されることを抑制できる。
【１２９９】
なお、固定部材３２０と係合部材２０３１０とは、背面ケース２０３００の内側（底壁部３０１）に配設される回転ユニット２０７００を背面ケース２０３００から取り外して、係合部材２０３１０の端部と屈曲部２０７２４ａ１との係合を解除した後に、係合部材２０３１０の第１片３１１の端部を弾性変形させて、係合部材２０３１０の端部を被係合部３３２の内部空間から引き出すことで両者の係合を解除できる。
【１３００】
従って、背面ケース２０３００から、固定部材３２０を取り外す場合には、背面ケース２０３００の正面側から回転ユニット２０７００を取り外す必要があるので、係合部材２０３１０と固定部材３２０との係合が不正に解除されて、固定部材３２０に連結される基板ボックス１００（主制御装置１１０）が不正な基板に交換されることを抑制できる。
【１３０１】
さらに、係合部材２０３１０は、上述したように正面視における形状がクランク状に屈曲して形成されるので、第１片３１１側から挿入される針金やワイヤー等の不正物が直線状に第２片２０３１２の端部まで送られることを規制できる。従って、第１片３１１側から挿入される不正物が正確に第２片２０３１２と屈曲部２０７２４ａ１との係合部分に送れることを抑制できる。その結果、係合部材２０３１０と固定部材３２０との係合が不正に解除されて、固定部材３２０に連結される基板ボックス１００（主制御装置１１０）が不正な基板に交換されることを抑制できる。
【１３０２】
次いで、図１７０から図１７３を参照して、第２１実施形態における回転ユニット２１７００について説明する。上記第１実施形態では、回転ユニット７００の背面ベース７２０に挿通されるネジにより係合部材３１０の移動が規制される場合について説明したが、第２１実施形態では、回転ユニット２１７００の背面ベース２１７２０に形成される挿入部２１７２４ｂに第１片３１１が挿入されることで、係合部材３１０の移動が規制される。なお、上記各実施形態と同一の部分については、同一の符号を付してその詳しい説明を省略する。
【１３０３】
初めに、図１７０及び図１７１を参照して、第２１実施形態における係合部材３１０及び回転ユニット２１７００の全体構成について説明する。図１７０は、第２１実施形態における背面ケース３００及び回転ユニット２１７００の分解斜視図である。図１７１（ａ）は、回転ユニット２１７００及び係合部材３１０の背面図であり、図１７１（ｂ）は、図１７１（ａ）のＣＬＸＸＩｂ−ＣＬＸＸＩｂ線における回転ユニット２１７００の模式断面図である。
【１３０４】
なお、第２１実施形態における背面ケース２１３００は、第１実施形態における背面ケース３００と同様に、正面視略矩形の底壁部３０１と、その底壁部３０１の４辺の外縁から正面へ向けて立設される外壁部３０２とを備え、それら各壁部３０１，３０２により一面側（正面側）が開放された箱状に形成される。底壁部３０１には、その中央に正面視矩形の開口３０１ａが開口形成され、その開口３０１ａを通じて、底壁部３０１の背面に配設される第３図柄表示装置８１（図２参照）が視認可能とされる。
【１３０５】
また、第２１実施形態における背面ケース２１３００は、底壁部３０１の正面側（箱状に形成された開放側（矢印Ｆ方向側））に配設される係合部材３１０と、背面ケース２１３００の背面側（矢印Ｂ方向側）に配設され、基板ボックス１００（主制御装置１１０）を固定する固定部材３２０と、を主に備える。さらに、第２１実施形態における背面ケース２１３００には、底壁部３０１の正面に回転ユニット２１７００が配設される。
【１３０６】
図１７０及び図１７１に示すように、第２１実施形態における回転ユニット２１７００は、背面ケース３００の底壁部３０１のうちの開口３０１ａの下側（矢印Ｄ方向側）部分の右側（矢印Ｒ方向側）に配設される正面視矩形状の背面ベース２１７２０と、その背面ベース２１７２０の正面側に配設される回転体８００（図９３参照）と、を備え、遊技盤１３に配設される光透過性のセンターフレーム８６を介して回転体８００を回転変位させる演出を遊技者に視認させることができる。
【１３０７】
背面ベース２１７２０は、球受台７１０の背面および装飾ユニット７５０の背面側を連結する板部材であり、球受台７１０及び装飾ユニット７５０の背面側に配設される。また、背面ベース２１７２０は、その背面に立設される立設壁２１７２４を備える。
【１３０８】
立設壁２１７２４は、背面ケース３００に配設された状態の係合部材３１０の外縁を取り囲む形状に延設される。また、立設壁２１７２４は、係合部材３１０が背面ケース３００に対して左側（矢印Ｌ方向側）端部に位置する状態（係合部材３１０と固定部材３２０との係合が解除された状態）において、係合部材３１０の凹部３１７に向かって（矢印Ｌ方向に向かって）突設される挿入部２１７２４ｂを備える。
【１３０９】
挿入部２１７２４ｂは、立設壁２１７２４から係合部材３１０の変位方向（矢印Ｌ−Ｒ方向）と平行な方向に延設されると共に、固定部材３２０と係合された状態における係合部材３１０と重力方向（矢印Ｕ−Ｂ方向）に重なる寸法に設定される。また、挿入部２１７２４ｂの先端部には、背面側（係合部材３１０側）に屈曲する屈曲部２１７２４ｂ１が形成され、その屈曲部２１７４２ｂ１の屈曲先端部が、パチンコ機１０の前後方向（矢印Ｆ−Ｂ方向）において、係合部材３１０と重なる長さに設定される。
【１３１０】
さらに、挿入部２１７４２ｂの上下方向（矢印Ｕ−Ｄ方向）における幅寸法は、係合部材３１０の凹部３１７の上下方向における幅寸法よりも小さい寸法に設定される。従って、挿入部２１７２４ｂは、係合部材３１０が固定部材３２０と係合された状態において、屈曲部２１７２４ｂ１が凹部３１７の内側に挿入された状態とされる。これにより、係合部材３１０及び固定部材３２０が係合された状態から係合部材３１０の第１片３１１が凹部３１７の凹設内側に弾性変形されることを抑制できる。その結果、係合部材２０３１０と固定部材３２０との係合が不正に解除されて、固定部材３２０に連結される基板ボックス１００（主制御装置１１０）が不正な基板に交換されることを抑制できる。
【１３１１】
次いで、図１７１から図１７３を参照して、係合部材３１０を固定部材３２０に係合させる場合の挿入部２１７２４ｂの動作について説明する。図１７２（ａ）及び図１７３（ａ）は、回転ユニット２１７００及び係合部材３１０の背面図である。図１７２（ｂ）及び図１７３（ｂ）は、背面ケース３００及び回転ユニット２１７００の模式断面図である。なお、図１７２（ａ）及び図１７２（ｂ）では、係合部材３１０と固定部材３２０との係合が解除された状態が図示され、図１７３（ａ）及び図１７３（ｂ）では、係合部材３１０が、固定部材３２０へ係合される途中の状態が図示される。
【１３１２】
図１７２及び図１７３に示すように、係合部材３１０は、固定部材３２０との係合が解除された状態から、係合部材３１０の第１片３１１の端部が固定部材３２０の被係合部３３２の内部空間に挿入される際に、第１片３１１の端部が凹部３１７の内側に向かって弾性変形される。これにより、凹部３１７は、その上下方向（矢印Ｕ−Ｄ方向）における幅寸法が、挿入部２１７２４ｂの上下方向の幅寸法よりも小さくされる。
【１３１３】
また、係合部３１６が、被係合部３３２の内部空間に位置する場合（図１７３（ａ）に示す位置の場合）、第１片３１１の端部が挿入部２１７２４ｂの突設先端部を超える位置に配置される。言い換えると、係合部３１６の左右方向における長さ寸法が、挿入部２１７２４ｂの突設先端部から固定部材３２０の被係合部３３２の端部までの対向間寸法よりも大きく設定される。
【１３１４】
よって、係合部３１６が、被係合部３３２の内部空間から押し出される際に、係合部材３１０の第１片３１１側の端部を挿入部２１７２４ｂの屈曲部２１７２４ｂ１に当接させることができる。この場合、挿入部２１７２４ｂは、屈曲部２１７２４ｂ１の傾斜面に沿って先端が正面側（矢印Ｆ方向側）に押し出される。これにより、係合部材３１０を固定部材３２０と係合する位置まで変位させることができる。
【１３１５】
なお、図１７１に示すように、係合部３１６が、被係合部３３２の内部空間から抜け出された場合には、上述したように、第１片３１１の上下方向における凹部３１７の幅寸法よりも、挿入部２１７２４ｂの上下方向における幅寸法が大きくされるため、凹部３１７の内側に屈曲部２１７２４ｂ１が挿入される。
【１３１６】
従って、上述したように、係合部材３１０の第１片３１１が凹部３１７の凹設内側に弾性変形されることを抑制できる。その結果、係合部材２０３１０と固定部材３２０との係合が不正に解除されて、固定部材３２０に連結される基板ボックス１００（主制御装置１１０）が不正な基板に交換されることを抑制できる。
【１３１７】
なお、係合部材３１０と固定部材３２０とは、背面ケース３００の内側（底壁部３０１）に配設される回転ユニット２１７００を背面ケース２１３００から取り外して、係合部材３１０の端部と背面ケース２０３００との係合を解除した後に、係合部材３１０の第１片３１１の端部を弾性変形させて、係合部材３１０の端部を被係合部３３２の内部空間から引き出すことで両者の係合を解除することができる。
【１３１８】
従って、背面ケース２１３００から、固定部材３２０を取り外す場合には、背面ケース２１３００の正面側から回転ユニット２１７００を取り外す必要があるので、係合部材３１０と固定部材３２０との係合が背面ケース２１３００の背面側から不正に解除されて、固定部材３２０に連結される基板ボックス１００（主制御装置１１０）が不正な基板に交換されることを抑制できる。
【１３１９】
次いで、図１７４から図１７６を参照して、第２２実施形態における係合部材２２３１０及び固定部材２２３２０について説明する。上記第１実施形態では、固定部材３２０の被係合部３３２に係合部材３１０の係合部３１６が係合される場合について説明したが、第２２実施形態では、係合部材２２３１０に凹設される凹部２２３１１ａに固定部材２２３２０に形成される屈曲部２２３３２ａ１が係合される。なお、上記各実施形態と同一の部分については、同一の符号を付してその詳しい説明を省略する。
【１３２０】
図１７４から図１７６（ａ）を参照して、第２２実施形態における係合部材２２３１０及び固定部材２２３２０の構成について説明する。図１７４は、係合部材２２３１０及び固定部材２２３２０の斜視正面図である。図１７５（ａ）及び図１７５（ｂ）は、背面ケース２２３００の正面図である。図１７６（ａ）は、図１７５（ｂ）のＣＬＸＸＶＩａ−ＣＬＸＸＶＩａ線における背面ケース２２３００の模式断面図である。なお、図１７５（ａ）では、係合部材２２３１０と固定部材２２３２０とが係合前の状態が図示され、図１７５（ｂ）では、係合部材２２３１０と固定部材２２３２０とが係合された状態が図示される。
【１３２１】
図１７４から図１７６（ａ）に示すように、第２２実施形態における背面ケース２２３００は、正面視略矩形状の底壁部３０１と、その底壁部３０１の４辺の外縁から正面へ向けて立設される外壁部３０２とを備え、それら各壁部３０１，３０２により、一面側が開放される箱状に形成される。また、背面ケース２２３００は、底壁部３０１の正面側（箱状に形成された開放側（矢印Ｆ方向側））に配設される係合部材２２３１０と、底壁部３０１の背面側に配設され、基板ボックス１００（主制御装置１１０）を固定する固定部材２２３２０とを備える。
【１３２２】
係合部材２２３１０は、正面視における外形がクランク形状に形成されており、互いに平行となる方向に延設される第１片２２３１１及び第２片３１２と、その第１片２２３１１及び第２片３１２の端部同士を第１片２２３１１及び第２片３１２の延設方向と直交する方向に連結する第３片３１３とから構成される。
【１３２３】
また、第１片２２３１１及び第２片３１２には、その延設方向に長い長穴の摺動溝３１４がそれぞれ形成されており、これにより、係合部材２２３１０は、第１片２２３１１及び第２片３１２の延設方向（矢印Ｌ−Ｒ方向）に摺動可能とされる。
【１３２４】
第１片２２３１１は、第３片３１３が連結される側と反対側の端部の正面側（矢印Ｆ方向側）に背面側（矢印Ｂ方向側）に向かって凹設される凹部２２３１１ａを備える。
【１３２５】
凹部２２３１１ａは、後述する固定部材２２３２０に形成される屈曲部２２３３２ａ１が挿入されて、係合部材２２３１０と固定部材２２３２０とを係合させる部分であり、後述するように、係合部材２２３１０の第１片２２３１１の一側（矢印Ｒ方向側）の端部を固定部材２２３２０の被係合部２２３３２の内部空間に収容した場合に、固定部材２２３２０の２２３３２ａと対向する位置に形成される。
【１３２６】
また、凹部２２３１１ａの内部形状は、断面が略直角三角形状に形成されており、直角部分が、第１片２２３１１の端部側（矢印Ｒ方向側）に設定されると共に、凹設底面が第１片２２３１１の端部側に向かって背面側（矢印Ｂ方向）に深くなる傾斜面として形成される。
【１３２７】
固定部材２２３２０は、上述した係合部材２２３１０に係合する介設部材２２３３０と、その介設部材２２３３０の背面側に締結される軸支部材３４０とから構成される。
【１３２８】
介設部材２２３３０は、正面側（矢印Ｆ方向側）が開放する箱状に形成され、一側（矢印Ｒ方向側）の側面に突出する係止部３３１と、他側（矢印Ｌ方向側）の側面から背面ケース２２３００の底壁部３０１側（背面側（矢印Ｂ方向側））に突出して枠状に形成される被係合部２２３３２と、箱状の底面（矢印Ｂ方向側の側面）に円形状に開口する挿通孔３３３（図３９（ｂ）参照）と、背面から突出する突部３３４と、を主に備える。
【１３２９】
被係合部２２３３２は、その囲われた内部空間に係合部材２２３１０の第１片２２３１１の一側（矢印Ｒ方向側）の端部が挿入される部分であり、その内縁形状が、第１片２２３１１の外形よりも若干大きく設定される。また、被係合部２２３３２は、枠状に形成されるうちの正面側（矢印Ｆ方向側）の１辺から係合部材２２３１０の被係合部２２３３２への挿入方向（矢印Ｒ方向側）に突出する突部２２３３２ａを備える。
【１３３０】
突部２２３３２ａは、先端の端部に正面側（矢印Ｆ方向側）に屈曲する屈曲部２２３３２ａ１を備え、その屈曲部２２３３２ａ１が、上述した係合部材２２３１０の凹部２２３１１ａに挿入されることで、係合部材２２３１０と固定部材２２３２０とを係合させることができる。即ち、屈曲部２２３３２ａ１は、係合部材２２３１０が被係合部２２３３２へ挿入された状態における凹部２２３１１ａと対向する位置に形成される。
【１３３１】
この場合、図１７６（ａ）に示すように、係合部材２２３１０と固定部材２２３２０との係合部分が、背面ケース２２３００の底壁部３０１に対して係合部材２２３１０を挟んで正面側に形成される。従って、底壁部３０１に形成される第１開口部３０１ｃから係合部材２２３１０と固定部材２２３２０との係合部分を離間させることができるので、第１開口部３０１ｃから針金やワイヤなどの不正部材が挿入されて、係合部材２２３１０と固定部材２２３２０との係合が不正に解除されることを抑制できる。
【１３３２】
さらに、底壁部３０１と係合部材２２３１０及び固定部材２２３２０の係合部分との間に、係合部材２２３１０の第１片２２３１１を配置することができるので、底壁部３０１に形成される第１開口部３０１ｃ等の開口部から不正に挿入された針金やワイヤ等が、直線的に係合部材２２３１０及び固定部材２２３２０の係合部分に到達することを抑制できる。その結果、底壁部３０１の開口から不正部材（針金やワイヤ等）が挿入されて、係合部材２２３１０と固定部材２２３２０との係合が不正に解除されることを抑制できる。
【１３３３】
また、本実施形態では、突部２２３３２ａが、被係合部２２３３２の内部空間への係合部材２２３１０の挿入方向に突設される。従って、係合部材２２３１０と固定部材２２３２０との係合部分が、固定部材２２３２０の正面側に設定される。これにより、底壁部３０１の第１開口部３０１ｃから針金やワイヤ等の不正部材が挿入された場合に、係合部材２２３１０と固定部材２２３２０との係合部分に到達する不正部材の挿入方向を底壁部３０１の正面に対して斜めに傾かせることができる。これにより、不正部材の先端から係合部材２２３１０と固定部材２２３２０との係合部分の係合を解除する方向の力が伝達されにくくすることができる。その結果、底壁部３０１の第１開口部３０１ｃから不正部材が挿入されて、係合部材２２３１０と固定部材２２３２０との係合が不正に解除されることを抑制できる。
【１３３４】
次いで、図１７６（ｂ）を参照して、第２３実施形態における係合部材２３３１０及び固定部材２３３２０について説明する。上記第２２実施形態では、係合部材２２３１０の被係合部２２３３２への挿入方向に係合部材２２３１０を係合させる突部２２３３２ａが突設される場合を説明したが、第２３実施形態では、係合部材２３３１０の被係合部２３３３２の挿入方向と反対方向に突部２３３３２ａが突設される。なお、上記各実施形態と同一の部分については、同一の符号を付してその詳しい説明を省略する。
【１３３５】
図１７６（ｂ）は、第２３実施形態における背面ケース２３３００の断面図である。なお、図１７６（ｂ）の断面図は、図１７６（ａ）の断面図と対応する。また、第２３実施形態は、上述したように、第２２実施形態における係合部材２２３１０と固定部材２２３２０と、係合位置が異なるのみであるので、係合部材２３３１０と固定部材２３３２０との係合部分以外は、第２２実施形態と同一であるのでその説明は省略する。
【１３３６】
なお、第２３実施形態における背面ケース２２３００は、正面視略矩形の底壁部２３３０１と、その底壁部２３３０１の４辺の外縁から正面へ向けて立設される外壁部３０２とを備え、それら各壁部２３３０１，３０２により一面側（正面側）が開放された箱状に形成される。底壁部３０１には、その中央に正面視矩形の開口３０１ａ（図５参照）が開口形成され、その開口３０１ａを通じて、底壁部３０１の背面に配設される第３図柄表示装置８１（図２参照）が視認可能とされる。
【１３３７】
また、第２３実施形態における背面ケース２３３００は、底壁部２３３０１の正面側（箱状に形成された開放側（矢印Ｆ方向側））に配設される係合部材２３３１０と、背面ケース２３３００の背面側（矢印Ｂ方向側）に配設され、基板ボックス１００（主制御装置１１０）を固定する固定部材２３３２０と、を主に備える。
【１３３８】
図１７６（ｂ）に示すように、第２３実施形態では、上述したように被係合部２３３３２から突出される突部２３３３２ａの突出方向が、第２２実施形態の突部２２３３２ａ（図１７６（ａ）参照）と反対方向（矢印Ｌ方向）に設定され、その突部２３３３２ａの突出先端に背面側（矢印Ｂ方向側）に向かって屈曲する屈曲部２３３３２ａ１が形成される。
【１３３９】
係合部材２３３１０は、屈曲部２３３３２ａ１と対向する位置に屈曲部２３３３２ａ１の外形よりも大きい矩形状の開口２３３１０ｂが形成される。これにより、係合部材２３３１０が、固定部材２３３２０の被係合部２３３３２の内部空間に挿入されると、開口２３３１０ｂの内側に屈曲部２３３３２ａ１が挿入されて、係合部材２３３１０と固定部材２３３２０とが係合される。
【１３４０】
また、第２３実施形態における背面ケース２３３００の底壁部２３３０１には、固定部材２３３２０と対向する位置に、第３開口部２３３０１ｅが形成される。この第３開口部２３３０１ｅにより、作業者は底壁部２３３０１の背面側から係合部材２３３１０と固定部材２３３２０との係合部分を解除することができる。その結果、背面ケース２３３００から固定部材２３３２０の取り外しの作業を簡易にすることができる。
【１３４１】
次いで、図１７７及び図１７８を参照して、第２４実施形態における背面ケース２４３００について説明する。上記第１８実施形態では、固定部材１８３２０を底壁部１８３０１から取り外す場合に、固定部材１８３２０と係合部材１８３１０との係合を解除する場合について説明したが、第２４実施形態では、固定部材２４３２０を底壁部２４３０１から取り外す場合に、係合部材２４３１０の固定部材２４３２０への挿入部分を切断する。なお、上記各実施形態と同一の部分については、同一の符号を付してその詳しい説明を省略する。
【１３４２】
図１７７（ａ）は、第２４実施形態における背面ケース２４３００の正面図であり、図１７７（ｂ）は、図１７７（ａ）のＣＬＸＸＶＩＩｂ−ＣＬＸＸＶＩＩｂ線における背面ケース２４３００の断面図である。図１７８は、図１７７（ｂ）のＣＬＸＸＶＩＩＩ−ＣＬＸＸＶＩＩＩ線における背面ケース２４３００の断面図である。
【１３４３】
図１７７及び図１７８に示すうように、第２４実施形態における背面ケース２４３００は、正面視略矩形状の底壁部２４３０１と、その底壁部２４３０１の４辺の外縁から正面へ向けて立設される外壁部３０２とを備え、それら各壁部２４３０１，３０２により一面側（正面側）が開放された箱状に形成される。また、背面ケース２４３００は、底壁部２４３０１の正面側（箱状に形成された開放側（矢印Ｆ方向側））に配設される係合部材２４３１０と、底壁部２４３０１の背面側に配設され、基板ボックス１００（主制御装置１１０）を固定する固定部材２４３２０と、を備える。
【１３４４】
底壁部２４３０１は、その中央に正面視矩形状の開口３０１ａが開口形成され、その開口３０１ａを通して、底壁部２４３０１の背面に配設される第３図柄表示装置８１（図２参照）が視認可能とされる。また、底壁部２４３０１には、固定部材２４３２０と対向する位置に開口する第１開口部２４３０１ｃと、その第１開口部２４３０１ｃの左側（矢印Ｌ方向側）に位置し、前後方向（矢印Ｆ−Ｂ方向）に開口して内側に後述する操作子２４３６０の挿入部２４３６２が挿入される開口（図示しない）と、を備える。
【１３４５】
係合部材２４３１０は、正面視Ｔ字状に形成される第２片２４３１２と、その第２片２４３１２の端部から屈曲して円弧状に延設される第１片２４３１１と、を主に備える。第２片２４３１２は、直交する２本の延設部分の連結部分に前後方向に貫通する貫通孔２４３１２ｄを備え、その貫通孔２４３１２ｄから第２片２４３１２の延設部分の外側までの距離が、それぞれ略同一に設定される。
【１３４６】
貫通孔２４３１２ｄは、後述する操作子２４３６０の挿入部２４３６２が挿入される部分であり、挿入部２４３６２の外形と略同一の円形状に形成される。これにより、操作子２４３６０が回転操作されることで、貫通孔２４３１２ｄを中心に係合部材２４３１０が回転変位される。
【１３４７】
第１片２４３１１は、貫通孔２４３１２ｄを中心とする円弧形状に形成され、第２片２４３１２のそれぞれの端部から一方向の回転（正面視左回転）方向に突設される。また、各第１片２４３１１は、突設先端部に貫通孔２４３１２ｄの軸を中心とする径方向の両側に突出する係合部２４３１６と、突設先端面から第２片２４３１２との連結側に向かって凹設される凹部２４３１７と、を備える。
【１３４８】
係合部２４３１６は、後述する固定部材２４３２０と係合させる部分であり、凹部２４３１７により第１片２４３１１の突設先端部（係合部２４３１６が形成される部分）を弾性変形して固定部材２４３２０に形成される被係合部２４３３２に係合させることができる。なお、係合部２４３１６と凹部２４３１７との形状についての詳しい説明は後述する。
【１３４９】
操作子２４３６０は、底壁部２４３０１の背面側（矢印Ｂ方向側）からの操作を底壁部２４３０１の正面側（矢印Ｆ方向側）に配設される係合部材２４３１０に伝達する操作部材であり、円柱状に形成される操作部２４３６１と、その操作部２４３６１と同軸上に突出される挿入部２４３６２と、を備える。操作部２４３６１は、底壁部２４３０１に形成され、挿入部２４３６２を挿通する開口よりも大きい寸法に外径が設定される。これにより、操作子２４３６０の全体が底壁部２４３０１の正面側に変位されることを抑制できる。
【１３５０】
挿入部２４３６２は、上述したように係合部材２４３１０の貫通孔２４３１２ｄに挿入される部分であり、これにより、操作部２４３６１から入力された回転力を係合部材２４３１０に伝達できる。
【１３５１】
固定部材２４３２０は、上述した係合部材２４３１０と係合する介設部材２４３３０と、その介設部材２４３３０の背面側に配設される軸支部材３４０と、から構成される。
【１３５２】
介設部材２４３３０は、正面側（矢印Ｆ方向側）が開放する箱状に形成される。また、介設部材２４３３０は、正面から突設されると共に、下方側（矢印Ｄ方向側）が開放された箱状に形成される収容部２４３３５を備える。収容部２４３３５は、内部に係合部材２４３１０の係合部分（第１片２４３１１の先端部分）を挿入する部分であり、下方側の開放部分が上述した係合部材２４３１０の第１片２４３１１の変位軌跡上に配置される。これにより、係合部材２４３１０を回転させて、係合部材２４３１０の第１片２４３１１の端部を収容部２４３３５の内部空間に収容することができる。
【１３５３】
また、収容部２４３３５は、その内部空間が１箇所の係合部材２４３１０の係合部分よりも大きく形成される。これにより、後述するように係合部材２４３１０が切断された場合に、収容部２４３３５の内部空間に係合部材２４３１０の切断部分を収容することができる。なお、本実施形態では、収容部２４３３５の内部空間の大きさが、係合部材２４３１０の係合部分（第１片２４３１１の先端部分）の略３倍に設定されており、収容部２４３３５の内部空間に少なくとも３個以上の係合部材２４３１０が収容可能とされる。
【１３５４】
収容部２４３３５は、図１７８に示すように、下方側が開口されると共に、開口部分に段部２４３３５ａが階段状に突出され、その段部２４３３５ａに収容部２４３３５の内側に収容される係合部材２４３１０の係合部２４３１６が係合される。これにより、係合部材２４３１０を回転した場合に、第１片２４３１１の先端部を収容部２４３３５の内側に挿入すると共に、係合部材２４３１０と固定部材２４３２０と係合させることができる。
【１３５５】
また、この場合、凹部２４３１７の凹設深さＳＨ３（図１７８参照）は、収容部２４３３５に収容され係合された状態の第１片２４３１１の端部から収容部２４３３５の下方側端までの距離寸法ＳＨ４よりも小さく設定される。従って、係合された第１片２４３１１に形成される凹部２４３１７が、収容部２４３３５の内側に収容された状態とされる。これにより、第１片２４３１１の端部が弾性変形されて係合部材２４３１０と固定部材２４３２０との係合が解除されることを抑制できる。
【１３５６】
従って、第２４実施形態では、収容部２４３３５の内側に挿入される第１片２４３１１の収容部２４３３５から突出する第１片２４３１１を切断することで、底壁部２４３０１から固定部材２４３２０を取り外すことができる。
【１３５７】
この場合、収容部２４３３５の上部内縁から第１片２４３１１の先端部までの距離寸法ＳＨ５（図１７８参照）が、上述した距離寸法ＳＨ４よりも大きく設定される。これにより、第１片２４３１１の切断した部分を収容部２４３３５の上方に移動させることができ、収容部２４３３５の開放側（矢印Ｆ方向側）から他の第１片２４３１１を挿入して段部２４３３５ａに係合させることができる。
【１３５８】
よって、固定部材２４３２０が底壁部２４３０１から取り外された回数を係合部材２４３１０の残りの第１片２４３１１の個数または収容部２４３３５に収容される切断された第１片２４３１１の個数により、判断させることができる。その結果、固定部材２４３２０が底壁部２４３０１から不正に取り外されて、その固定部材２４３２０に連結される基板ボックス１００（主制御装置１１０）が不正な基板に交換された場合に、係合部材２４３１０の残りの第１片２４３１１の個数または収容部２４３３５に収容される切断された第１片２４３１１の個数によ、不正に固定部材２４３２０が取り外されたことを作業者に認識させることができる。
【１３５９】
また、係合部材２４３１０は上述したように第２片２４３１２が、正面視Ｔ字状に形成され、第１片２４３１１が形成されていない側（Ｔ字の上方側）の領域を利用して、係合部材２４３１０を回転させて第１片２４３１１を固定部材２４３２０に挿入することができる。また、第１片２４３１１が切断されるとその第１片２４３１１の切断された領域を利用して、係合部材２４３１０を回転可能とされ、次（他）の第１片２４３１１を固定部材２４３２０に挿入することができる。これにより、第１片２４３１１の収容部２４３３５に収容される順番を決定することができる。よって、作業者は、切断されていない第１片２４３１１がどの位置にあるのかを視認して、固定部材２４３２０が不正に解除されていないのかを判断することができるので、第１片２４３１１の個数を作業者が数える場合よりも、不正がされた痕跡を作業者が見落とすことを抑制できる。
【１３６０】
次いで、図１７９を参照して、第２５実施形態における遊技盤２５０１３について説明する。上記第１実施形態では、一般入賞口ユニット１５０の装飾部材１５４が、本体部１５１に接着される場合について説明したが、第２５実施形態では、装飾部材１５４が、ベース板６０の正面側に接着される。なお、上記各実施形態と同一の部分については、同一の符号を付してその詳しい説明を省略する。
【１３６１】
図１７９（ａ）及び図１７９（ｂ）は、第２５実施形態における遊技盤２５０１３の断面図である。なお、図１７９（ａ）及び図１７９（ｂ）は、図１４の断面図と対応する。また、図１７９（ｂ）では、ベース板６０から一般入賞口ユニット２５１５０が分解された状態が図示される。
【１３６２】
なお、第２５実施形態における遊技盤２５０１３は、第１実施形態における遊技盤１３と同様に、遊技盤２５０１３は、正面視略矩形状の板部材から形成されるベース板６０と、そのベース板６０に形成される開口部分に配設されるセンターフレーム８６を備える。また、遊技盤２５０１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。さらに、第２５実施形態では、ベース板６０の第２開口部６０ｂ（図１１参照）の開口部分に一般入賞口ユニット２５１５０が配設される。
【１３６３】
図１７９に示すように、第２５実施形態における遊技盤２５０１３のベース板６０の正面側に配設される一般入賞口ユニット２５１５０は、ベース板６０の正面に沿って配設される本体部１５１と、その本体部１５１の端部に立設される第１立設部１５２と、本体部１４１の正面から立設されると共に、一端が第１立設部１５２に連結される第２立設部１５３と、本体部１５１の背面側に配設される装飾部材２５１５４と、本体部１５１に形成される複数（本実施形態では３個）の一般入賞口６３と、を主に備える。
【１３６４】
装飾部材２５１５４は、光透過性材料から板状に形成されると共に、ベース板６０の正面側に配設される装飾部材６０ｃと連なる模様や文字（絵柄）の装飾が施される。また、装飾部材２５１５４は、その外縁の形状が、本体部１５１に形成される凹部１５１ｂの内縁の形状よりも若干小さく形成される。
【１３６５】
また、装飾部材２５１５４は、ベース板６０（装飾部材６０ｃ）の正面に接着させる接着テープ２５１５４ａを装飾部材２５１５４の背面の端部に備える。これにより、装飾部材２５１５４をベース板６０に接着して配設することができる。従って、作業者は、装飾部材２５１５４をベース板６０へ配置する際に、ベース板６０の装飾部材６０ｃの装飾を視認しつつ装飾部材２５１５４をベース板６０の正面に貼付することができる。よって、装飾部材２５１５４とベース板６０の装飾部材６０ｃとの装飾の位置を合わせやすくすることができる。その結果、装飾部材２５１５４とベース板６０の装飾部材６０ｃとの装飾の位置がずれることを抑制して、遊技者に装飾部材２５１５４とベース板６０の装飾部材６０ｃとを１の装飾として遊技者に視認させやすくできる。
【１３６６】
さらに、装飾部材２５１５４がベース板６０（装飾部材６０ｃ）の正面に直接貼付されるので、本体部１５１の正面側に装飾が施される場合よりも、装飾部材２５１５４と装飾部材６０ｃとの前後方向（矢印Ｆ−Ｂ方向）における配置を近づけることができる。その結果、遊技者が装飾部材２５１５４を斜めから視認した場合の各装飾部材２５１５４，６０ｃの装飾の位置ずれが大きくなることを抑制できる。その結果、遊技者に装飾部材２５１５４とベース板６０の装飾部材６０ｃとを１の装飾として遊技者に視認させやすくできる。
【１３６７】
また、第２５実施形態では、本体部１５１の凹部１５１ｂの凹設寸法Ｘ１が、装飾部材２５１５４及び接着テープ２５１５４ａとを合わせた前後方向（矢印Ｆ―Ｂ方向）における幅寸法Ｘ２よりも、小さく設定される。これにより、装飾部材２５１５４の正面側（矢印Ｆ方向側）から、本体部１５１を配設した場合に、装飾部材２５１５４を凹部１５１ｂの凹設底面１５１ｂ２に装飾部材２５１５４の正面が当接することを抑制できる。
【１３６８】
従って、凹部１５１ｂを除いた本体部１５１の背面を形成する背面部１５１ｄをベース板６０の正面に当接させることができ、背面部１５１ｄとベース板６０との間に隙間が形成されることを抑制できる。その結果、背面部１５１ｄとベース板６０との間にゴミ等が入ってベース板６０の装飾部材６０ｃの装飾が視認されにくくなることを抑制できる。
【１３６９】
次いで、図１８０を参照して第２６実施形態における遊技盤２６０１３について説明する。上記第１実施形態では、一般入賞口ユニット１５０の本体部１５１の端部に直線状の傾斜面１５１ａが形成される場合について説明したが、第２６実施形態では、本体部２６１５１の端部に形成される傾斜面２６１５１ａが外側に膨出する断面円弧状に形成される。なお、上記各実施形態と同一の部分については、同一の符号を付してその詳しい説明を省略する。
【１３７０】
図１８０（ａ）及び図１８０（ｂ）は、第２６実施形態における遊技盤２６０１３の断面図である。なお、図１８０（ａ）及び図１８０（ｂ）は、図１４の断面図に対応する。また、図１８０（ａ）では、遊技者が遊技盤２６０１３を通常よりも高い位置（例えば、パチンコ機１０（図１参照）の重力方向上側端部と同じ高さの視点）から視認した場合の視線が２点鎖線で図示され、図１８０（ｂ）では、遊技者が遊技盤２６０１３を通常の位置（例えば、遊技盤２６０１３の重力方向略中間位置と同一の高さの視点）から視認した場合の視線が２点鎖線で図示される。
【１３７１】
なお、第２６実施形態における遊技盤２６０１３は、第１実施形態における遊技盤１３と同様に、遊技盤２６０１３は、正面視略矩形状の板部材から形成されるベース板６０と、そのベース板６０に形成される開口部分に配設されるセンターフレーム８６（図２参照）を備える。また、遊技盤２６０１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。さらに、第２６実施形態では、ベース６０の第２開口部６０ｂ（図１１参照）の開口部分に一般入賞口ユニット２６１５０が配設される。
【１３７２】
図１８０に示すように、第２６実施形態における遊技盤２６０１３のベース板６０の正面側に配設される一般入賞口ユニット２６１５０は、ベース板６０の正面に沿う板状の本体部２６１５１と、その本体部２６１５１の背面側に配設される装飾部材１５４と、を備える。
【１３７３】
本体部２６１５１は、透明の樹脂材料から形成され、背面側に配設される装飾部材１５４の模様や文字等（絵柄）の装飾を遊技者側から視認可能とされる。また、本体部２６１５１は、正面視における端部が背面側に向かって傾斜すると共に、断面円弧状に膨出する傾斜面２６１５１ａと、本体部２６１５１の背面から正面側に向かって凹設される凹部１５１ｂと、を主に備えて形成される。
【１３７４】
傾斜面２６１５１ａは、本体部２６１５１の正面側の平面との連結点と、背面側の端部と、を連結する仮想線ＩＬ１のベース板６０の正面に対する傾斜角度θ１が、４５度よりも小さく設定される。これにより、傾斜角度θ１が、４５度よりも大きく設定される場合よりも、本体部２６１５１を水平方向に進む光が傾斜面２６１５１ａから本体部２６１５１の外側に入射する際の入射角が大きくされる。よって、本体部２６１５１の外側に光が出射させた際に、その光の進行方向を上方側に屈曲させやすくできる。従って、遊技者が、遊技盤２６０１３に対して通常の位置よりも高い位置から一般入賞口ユニット２６１５０を視認した場合に、装飾部材１５４，６０ｃの連結部分を正面側から視認させやすくできる。その結果、装飾部材１５４，６０ｃの連結部分の前後方向の位置の違いを遊技者に認識されにくくすることができるので、一般入賞口ユニット２６１５０の装飾部材１５４と、ベース板６０の装飾部材６０ｃとを合わせて１の装飾として視認させやすくできる。なお、本実施形態では、角度θ１が４０度に設定される。
【１３７５】
また、上述したように傾斜面２６１５１ａは、外側に膨出する断面円弧状に形成されるので、本体部２６１５１の中央側（図１８０（ａ）下側）に向かうほど、本体部２６１５１を水平方向に進む光が傾斜面２６１５１ａから本体部２６１５１の外側に入射する際の入射角が大きくされる。従って、本体部２６１５１の中央側（図１８０（ａ）下側）に向かうほど、本体部２６１５１を水平方向に進む光が傾斜面２６１５１ａから本体部２６１５１の外側に入射する際の入射角が大きくされる。
【１３７６】
よって、遊技者が傾斜面２６１５１ａを介して、本体部２６１５１の正面側の平面との連結点と背面側の端部との中間位置を通過する水平線ＨＲ１（図１８０（ａ）参照）よりも下方側の装飾を視認した場合に、本体部２６１５１内を通過する遊技者の視線の角度をベース板６０の正面に対して直交する方向（水平方向）に近づけやすくできる。
【１３７７】
さらに、凹部１５１ｂの内側に配設される装飾部材１５４は、その端部の位置が、本体部２６１５１の正面側の平面との連結点と背面側の端部との中間位置を通過する水平線ＨＲ１（図１８０（ａ）参照）よりも下方に設定されると共に、傾斜面２６１５１ａの背面側に設定される。上述したように、水平線ＨＲ１（図１８０（ａ）参照）よりも下方側の装飾を、遊技者が傾斜面２６１５１ａを介して視認した場合に、本体部２６１５１内を通過する遊技者の視線の角度をベース板６０の正面に対して直交する方向（水平方向）に近づけやすくできる。
【１３７８】
従って、図１８０（ａ）に示すように、遊技者が遊技盤２６０１３を通常よりも高い位置から一般入賞口ユニット２６１５０及びベース板６０を視認した場合にも、傾斜面２６１５１ａを介してベース板６０の装飾部材６０ｃの装飾と、一般入賞口ユニット２６１５０の装飾部材１５４の装飾とを合わせて遊技者に視認させやすくできる。その結果、一般入賞口ユニット２６１５０の装飾部材１５４と、ベース板６０の装飾部材６０ｃとを合わせて１の装飾として視認させやすくできる。
【１３７９】
一方、図１８０（ｂ）に示すように、遊技者が遊技盤２６０１３を通常の高さから一般入賞口ユニット２６１５０及びベース板６０を視認した場合には、傾斜面２６１５１ａの膨出形状により、本体部２６１５１を水平方向に進む光が傾斜面２６１５１ａから本体部２６１５１の外側に入射する際の入射角が直角に近似するので、本体部２６１５１の外側に出射される光を屈折しにくくできる。よって、傾斜面２６１５１ａを介した際に遊技者の視線の方向が屈曲することを抑制して、一般入賞口ユニット２６１５０の装飾部材１５４と、ベース板６０の装飾部材６０ｃと、の前後方向位置ずれを遊技者に認識させにくくすることができる。その結果、一般入賞口ユニット２６１５０の装飾部材１５４と、ベース板６０の装飾部材６０ｃとを合わせて１の装飾として視認させやすくできる。
【１３８０】
次いで、図１８１を参照して、第２７実施形態における遊技盤２７０１３について説明する。上記第１実施形態では、一般入賞口ユニット１５０の本体部１５１の端部に直線状の傾斜面１５１ａが形成される場合について説明したが、第２７実施形態では、本体部２６１５１の端部形成される傾斜面２７１５１ａが、本体部２７１５１の内側に凹む断面円弧状に形成される。なお、上記各実施形態と同一の部分については、同一の符号を付してその詳しい説明を省略する。
【１３８１】
図１８１（ａ）及び図１８１（ｂ）は、第２７実施形態における遊技盤２７０１３の断面図である。なお、図１８１（ａ）及び図１８１（ｂ）は、図１４の断面図に対応する。また、図１８１（ａ）では、遊技者が遊技盤２７０１３を通常よりも高い位置（例えば、パチンコ機１０（図１参照）の重力方向上側端部と同じ高さの視点）から視認した場合の視線が２点鎖線で図示され、図１８１（ｂ）では、遊技者が遊技盤２７０１３を通常の位置（例えば、遊技盤２７０１３の重力方向略中間位置と同一の高さの視点）から視認した場合の視線が２点鎖線で図示される。
【１３８２】
なお、第２７実施形態における遊技盤２７０１３は、第１実施形態における遊技盤１３と同様に、遊技盤２７０１３は、正面視略矩形状の板部材から形成されるベース板６０と、そのベース板６０に形成される開口部分に配設されるセンターフレーム８６（図２参照）を備える。また、遊技盤２７０１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。さらに、第２７実施形態では、ベース６０の第２開口部６０ｂ（図１１参照）の開口部分に一般入賞口ユニット２７１５０が配設される。
【１３８３】
図１８１に示すように、第２７実施形態における遊技盤２７０１３のベース板６０の正面側に配設される一般入賞口ユニット２７１５０は、ベース板６０の正面に沿う板状の本体部２７１５１と、その本体部２７１５１の背面側に配設される装飾部材１５４と、を備える。
【１３８４】
本体部２７１５１は、透明の樹脂材料から形成され、背面側に配設される装飾部材１５４の模様や文字等（絵柄）の装飾を遊技者側から視認可能とされる。また、本体部２７１５１は、正面視における端部が背面側に向かって傾斜し、本体部２７１５１の内側に向かって凹設される断面円弧状の傾斜面２７１５１ａと、本体部２７１５１の背面から正面側に向かって凹設される凹部１５１ｂと、を主に備えて形成される。
【１３８５】
傾斜面２７１５１ａは、本体部２７１５１の正面側の平面との連結点と、背面側の端部と、を連結する仮想線ＩＬ２のベース板６０の正面に対する傾斜角度θ２が、４５度よりも大きく設定される。これにより、傾斜面２７５１ａの外側への突出距離を小さくすることができ、本体部２７１５１の外形が大きくなることを抑制できる。
【１３８６】
また、上述したように、傾斜面２７１５１ａは、本体部２７１５１の内側に凹設される断面円弧状に形成されるので、遊技者が傾斜面２７１５１ａを介して、各装飾部材６０ｃ，１５４を視認する場合に、その凹設形状により傾斜面２７１５１ａを介して各装飾部材６０ｃ，１５４の装飾を視認可能な領域を広げることができる。即ち、本体部２７１５１の内側に向かって凹設される断面円弧状により、各装飾部材６０ｃ，１５４から傾斜面２７１５１ａに入射される光を屈折させて、遊技者の視点に向かって集光することができる。その結果、傾斜面２７１５１ａ介して視認される模様や文字（絵柄）を小さくして、各装飾部材６０ｃ，１５４の連結を遊技者に分かりにくくすることができる。その結果、各装飾部材６０ｃ，１５４の位置ずれを遊技者に分かりにくくさせることができ、遊技者の興趣が損なわれることを抑制できる。
【１３８７】
さらに、凹部１５１ｂの内側に配設される装飾部材１５４は、その端部の位置が、本体部２７１５１の正面側の平面との連結点と背面側の端部との中間位置を通過する水平線ＨＲ２よりも上方に設定されると共に、傾斜面２７１５１ａの背面側に設定される。
【１３８８】
これにより、図１８１（ａ）に示すように、遊技者が遊技盤２６０１３を通常よりも高い位置から一般入賞口ユニット２７１５０及びベース板６０を視認した場合には、装飾部材６０ｃと装飾部材１５４との連結部分の正面側の本体部２６１５１を水平方向に進む光が傾斜面２６１５１ａから本体部２６１５１の外側に入射する際の入射角が大きくされる。従って、装飾部材１５４との連結部分の正面側の本体部２７１５１を水平方向に進む光は、遊技者の視点側に屈折されやすくなるので、遊技者が、遊技盤２７０１３に対して通常の位置よりも高い位置から一般入賞口ユニット２７１５０を視認した場合に、装飾部材１５４，６０ｃの連結部分を正面側から視認させやすくできる。その結果、装飾部材１５４，６０ｃの連結部分の前後方向の位置の違いを遊技者に認識されにくくすることができるので、一般入賞口ユニット２７１５０の装飾部材１５４と、ベース板６０の装飾部材６０ｃとを合わせて１の装飾として視認させやすくできる。
【１３８９】
一方、図１８１（ｂ）に示すように、遊技者が遊技盤２７０１３を通常の高さから一般入賞口ユニット２７１５０及びベース板６０を視認した場合には、傾斜面２７１５１ａの凹設形状により、装飾部材１５４との連結部分の正面側の本体部２７１５１を水平方向に進む光が傾斜面２７１５１ａから本体部２７１５１の外側に入射する際の入射角が直角に近似するので、本体部２７１５１の外側に出射される光を屈折しにくくできる。よって、傾斜面２７１５１ａを介した際に遊技者の視線の方向が屈曲することを抑制して、一般入賞口ユニット２７１５０の装飾部材１５４と、ベース板６０の装飾部材６０ｃと、の前後方向位置ずれを遊技者に認識させにくくすることができる。その結果、一般入賞口ユニット２７１５０の装飾部材１５４と、ベース板６０の装飾部材６０ｃとを合わせて１の装飾として視認させやすくできる。
【１３９０】
次いで、図１８２（ａ）を参照して、第２８実施形態における遊技盤２８０１３について説明する。上記第１実施形態では、一般入賞口ユニット１５０の本体部１５１に凹設される凹部１５１ｂの端部の内面は、本体部１５１の板厚方向と平行とされる場合について説明したが、第２８実施形態における凹部２８１５１ｂの端部の内面は、凹設底面１５１ｂ２側に向かって内側に傾斜される。なお、上記各実施形態と同一の部分については、同一の符号を付してその詳しい説明を省略する。
【１３９１】
図１８２（ａ）は、第２８実施形態における遊技盤２８０１３の断面図である。なお、図１８２（ａ）は、図１４の断面図に対応する。また、図１８２（ａ）では、遊技者が遊技盤２８０１３を通常の位置（例えば、遊技盤２８０１３の重力方向略中間位置と同一の高さの視点）から視認した場合の視線が２点鎖線で図示される。
【１３９２】
なお、第２８実施形態における遊技盤２８０１３は、第１実施形態における遊技盤１３と同様に、遊技盤２８０１３は、正面視略矩形状の板部材から形成されるベース板６０と、そのベース板６０に形成される開口部分に配設されるセンターフレーム８６（図２参照）を備える。また、遊技盤２８０１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。さらに、第２８実施形態では、ベース６０の第２開口部６０ｂ（図１１参照）の開口部分に一般入賞口ユニット２８１５０が配設される。
【１３９３】
図１８２（ａ）に示すように、第２８実施形態における遊技盤２８０１３のベース板６０の正面側に配設される一般入賞口ユニット２８１５０は、ベース板６０の正面に沿う板状の本体部２８１５１と、その本体部２８１５１の背面側に配設される装飾部材１５４と、を備える。
【１３９４】
本体部２８１５１は、透明の樹脂材料から形成され、背面側に配設される装飾部材１５４の模様や文字等（絵柄）の装飾を遊技者側から視認可能とされる。また、本体部２８１５１は、端部が背面側に向かって傾斜される傾斜面１５１ａと、本体部２８１５１の背面から正面側に向かって凹設される凹部２８１５１ｂとを主に備える。
【１３９５】
凹部２８１５１ｂの内側面２８１５１ｂ３は、上述したように、凹設底面１５１ｂ２側から凹設開口側に向かって（矢印Ｆ方向側から矢印Ｂ方向側に向かって）外側に本体部２８１５１の端部側に向かって傾斜して形成される。この場合、その凹部２８１５１ｂの断面における内側面２８１５１ｂ３のベース板６０の正面に対する傾斜角度θ３（図１８２（ａ）参照）が、本体部１５１の傾斜面１５１ａのベース板６０に対する傾斜角度θ４（図１８２（ａ）参照）よりも小さく設定される。
【１３９６】
これにより、図１８２（ａ）示すように、遊技者が本体部２８１５１の傾斜面２８１５１ａを介して装飾部材６０ｃを視認する場合に、本体部２８１５１を通過することで屈曲して遊技者に視認される虚像の装飾位置と、本体部２８１５１を介さずに装飾部材６０ｃを視認した際の実像の装飾位置とを近づけることができる。即ち、本体部２８１５１の傾斜面２８１５１ａ及び凹部の内側面２８１５１ｂ３で屈折されて視認される装飾部材６０ｃの位置を遊技者の視線の延長線上に位置させることができる。その結果、遊技者に本体部２８１５１を介して装飾部材６０ｃを視認させた際に、光の屈折により生じる装飾の位置ずれを抑制して、遊技者の興趣が損なわれることを抑制できる。
【１３９７】
次いで、図１８２（ｂ）を参照して、第２９実施形態における遊技盤２９０１３について説明する。上記第２８実施形態では、凹部２９１５１ｂの断面における内側面２９１５１ｂ３のベース板６０の正面に対する傾斜角度θ３が、傾斜面１５１ａのベース板６０に対する傾斜角度θ４よりも小さく設定される場合について説明したが、第２９実施形態では、凹部２９１５１ｂの断面における内側面２９１５１ｂ３のベース板６０の正面に対する傾斜角度θ５が、傾斜面１５１ａのベース板６０に対する傾斜角度θ６よりも大きく設定される。なお、上記各実施形態と同一の部分については、同一の符号を付してその詳しい説明を省略する。
【１３９８】
図１８２（ｂ）は、第２９実施形態における遊技盤２９０１３の断面図である。なお、図１８２（ｂ）は、図１４の断面図に対応する。また、図１８２（ｂ）では、遊技者が遊技盤２９０１３を通常の位置（例えば、遊技盤２９０１３の重力方向略中間位置と同一の高さの視点）から視認した場合の視線が２点鎖線で図示される。
【１３９９】
なお、第２９実施形態における遊技盤２９０１３は、第１実施形態における遊技盤１３と同様に、遊技盤２９０１３は、正面視略矩形状の板部材から形成されるベース板６０と、そのベース板６０に形成される開口部分に配設されるセンターフレーム８６（図２参照）を備える。また、遊技盤２９０１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。さらに、第２９実施形態では、ベース６０の第２開口部６０ｂ（図１１参照）の開口部分に一般入賞口ユニット２９１５０が配設される。
【１４００】
図１８２（ｂ）に示すように、第２９実施形態における遊技盤２９０１３のベース板６０の正面側に配設される一般入賞口ユニット２９１５０は、ベース板６０の正面に沿う板状の本体部２９１５１と、その本体部２９１５１の背面側に配設される装飾部材１５４と、を備える。
【１４０１】
本体部２９１５１は、透明の樹脂材料から形成され、背面側に配設される装飾部材１５４の模様や文字等（絵柄）の装飾を遊技者側から視認可能とされる。また、本体部２９１５１は、端部が背面側に向かって傾斜される傾斜面１５１ａと、本体部２９１５１の背面から正面側に向かって凹設される凹部２９１５１ｂとを主に備える。
【１４０２】
凹部２９１５１ｂの内側面２９１５１ｂ３は、上述したように、凹設底面１５１ｂ２側から凹設開口側に向かって（矢印Ｆ方向側から矢印Ｂ方向側に向かって）外側に本体部２９１５１の端部側に向かって傾斜して形成される。この場合、その凹部２９１５１ｂの断面における内側面２９１５１ｂ３のベース板６０の正面に対する傾斜角度θ５（図１８２（ｂ）参照）が、本体部１５１の傾斜面１５１ａのベース板６０に対する傾斜角度θ６（図１８２（ｂ）参照）よりも大きく設定される。
【１４０３】
これにより、図１８２（ｂ）示すように、遊技者が本体部２９１５１の傾斜面１５１ａを介して装飾部材６０ｃを視認する場合に、装飾部材６０ｃ及び装飾部材１５４から傾斜面１５１ａを介して遊技者の視点に照射される光を、凹部２９１５１ｂの内側面２９１５１ｂ３の傾斜に対して、略直交する方向に照射される光とすることができる。従って、装飾部材６０ｃ及び装飾部材１５４から凹部２９１５１ｂの内側面２９１５１ｂ３に光が入射する際に、光が屈折すること抑制できる。その結果、凹部２９１５１ｂの内側面２９１５１ｂ３に光が入射する際に、光が屈折することで、装飾部材６０ｃ及び装飾部材１５４の連結部分が重力方向上側から視認されることを抑制でき、装飾部材６０ｃ及び装飾部材１５４を１の装飾として遊技者に視認させやすくできる。
【１４０４】
また、凹部２９１５１ｂの内側面２９１５１ｂ３と装飾部材１５４の端部との間に所定の隙間を備えるので、その隙間により装飾部材１５４が形成される際に生じる寸法誤差を吸収することができる。
【１４０５】
次いで、図１８３（ａ）を参照して、第３０実施形態における一般入賞口ユニット３０１５０について説明する。上記第２８実施形態では、凹部２８１５１ｂの内側面２８１５１ｂ３が傾斜して形成される場合について説明したが、第３０実施形態では、凹部３０１５１ｂの内側面３０１５１ｂ３が凹部２８１５１ｂの内側に膨出すると共に断面円弧状に湾曲して形成される。なお、上記各実施形態と同一の部分については、同一の符号を付してその詳しい説明を省略する。
【１４０６】
なお、第３０実施形態における遊技盤３００１３は、第１実施形態における遊技盤１３と同様に、遊技盤３００１３は、正面視略矩形状の板部材から形成されるベース板６０と、そのベース板６０に形成される開口部分に配設されるセンターフレーム８６（図２参照）を備える。また、遊技盤３００１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。さらに、第３０実施形態では、ベース６０の第２開口部６０ｂ（図１１参照）の開口部分に一般入賞口ユニット３０１５０が配設される。
【１４０７】
図１８３（ａ）は、第３０実施形態における一般入賞口ユニット３０１５０の断面図である。なお、図１８３（ａ）は、図１４の断面図に対応する。また、図１８３（ａ）では、遊技者が、遊技盤３００１３を通常の位置（例えば、遊技盤３００１３の重力方向略中間位置と同一の高さの視点）から視認した場合の視線が２点鎖線で図示される。
【１４０８】
図１８３（ａ）に示すように、第３０実施形態における遊技盤３００１３のベース板６０の正面側に配設される一般入賞口ユニット３０１５０は、ベース板６０の正面に沿う板状の本体部３０１５１と、その本体部３０１５１の背面側に配設される装飾部材１５４と、を備える。
【１４０９】
本体部３０１５１は、透明の樹脂材料から形成され、背面側に配設される装飾部材１５４の模様や文字等（絵柄）の装飾を遊技者側から視認可能とされる。また、本体部３０１５１は、端部が背面側に向かって傾斜される傾斜面１５１ａと、本体部３０１５１の背面から正面側に向かって凹設される凹部３０１５１ｂとを主に備える。
【１４１０】
凹部３０１５１ｂの内側面３０１５１ｂ３は、凹設底面１５１ｂ２側から凹設開口側に向かって（矢印Ｆ方向側から矢印Ｂ方向側に向かって）外側に本体部３０１５１の端部側に傾斜して形成される共に、凹部３０１５１ｂの内側に向かって断面円弧状に膨出する。これにより、凹部３０１５１ｂを介して装飾部材６０ｃを視認する遊技者の視線を装飾部材６０ｃの装飾面と直交する方向（水平方向）に向けやすくできる。その結果、凹部３０１５１ｂを介して遊技盤３００１３の装飾を視認した場合に、装飾部材１５４の端部が視認されることを抑制して、装飾部材６０ｃ及び装飾部材１５４を１の装飾として遊技者に視認させやすくできる。
【１４１１】
次いで、図１８３（ｂ）を参照して第３１実施形態における一般入賞口ユニット３１１５０について説明する。上記第１実施形態では、傾斜面１５１ａは、断面が直線状の面として形成される場合について説明したが、第３１実施形態における傾斜面３１１５１ａは、複数の凹設部３１１５１ａ１を備える。なお、上記各実施形態と同一の部分については、同一の符号を付してその詳しい説明を省略する。
【１４１２】
図１８３（ｂ）は、第３１実施形態における一般入賞口ユニット３１１５０の断面図である。なお、図１８３（ｂ）は、図１４の断面図に対応する。また、第３１実施形態における遊技盤３１０１３は、第１実施形態における遊技盤１３と同様に、遊技盤３１０１３は、正面視略矩形状の板部材から形成されるベース板６０と、そのベース板６０に形成される開口部分に配設されるセンターフレーム８６（図２参照）を備える。また、遊技盤３１０１３は、正面視略正方形状に切削加工したベース板６０に、球案内用の多数の釘（図示せず）や風車の他、レール７６，７７、一般入賞口６３、第１入賞口６４、第２入賞口６４０、可変入賞装置６５、第１スルーゲート６６、可変表示装置ユニット８０等（図２参照）を組み付けて構成され、その周縁部が内枠４（図１参照）の裏面側に取り付けられる。さらに、第３１実施形態では、ベース６０の第２開口部６０ｂ（図１１参照）の開口部分に一般入賞口ユニット３１１５０が配設される。
【１４１３】
図１８３（ｂ）に示すように、第３１実施形態における遊技盤３１０１３のベース板６０の正面側に配設される一般入賞口ユニット３１１５０は、ベース板６０の正面に沿う板状の本体部３１１５１と、その本体部３１１５１の背面側に配設される装飾部材１５４とを備える。
【１４１４】
本体部３１１５１は、透明の樹脂材料から形成され、背面側に配設される装飾部材１５４の模様や文字等（絵柄）の装飾を遊技者側から視認可能とされる。また、本体部３１１５１は、端部が背面側に向かって傾斜される傾斜面３１１５１ａと、本体部３１１５１の背面から正面側に向かって凹設される凹部１５１ｂとを主に備える。
【１４１５】
傾斜面３１１５１ａは、その傾斜方向と直行する方向に凹設される複数の凹設部３１１５１ａ１を備える。複数の凹設部３１１５１ａ１は、傾斜面３１１５１ａの傾斜方向に複数個並設されると共に、正面視における本体部３１１５１の端部に沿って延設される。これにより、本体部３１１５１の内部に入射されて本体部３１１５１の端部（傾斜面３１１５１ａ）から出射される光を乱反射させることができる。従って、傾斜面３１１５１ａを介して視認される装飾をぼやかした状態で遊技者に視認させることができる。
【１４１６】
ここで、本体部３１１５１に配設される装飾部材１５４の端部は、第１実施形態と同様に傾斜面３１１５１ａの背面側に配設されるので、装飾部材１５４の装飾と装飾部材６０ｃの装飾の連結部分をぼやかした状態で遊技者に視認させることができる。その結果、遊技者に各装飾部材の連結を認識させにくくすることができ、装飾部材６０ｃの装飾と装飾部材１５４の装飾とを１の装飾として遊技者に認識させやすくできる。
【１４１７】
＜対向間の間隔を調整して流下方向を変更する調整手段＞
次いで、図１８４から図１８６を参照して、第３２実施形態における特別入賞装置３２５５０について説明する。上記第１３実施形態では、第１経路部材１３５６０と第２経路部材１３５７０との間にシム部材ＳＩを挟むことで、第１経路部材１３５６０と第２経路部材１３５７０との対向間隔を調整する場合について説明したが、第３２実施形態では、第１経路部材３２５６０と第２経路部材３２５７０との対向間隔をネジの締結位置により調整する場合について説明する。なお、上記各実施形態と同一の部分には、同一の符号を付してその説明は省略する。
【１４１８】
初めに、図１８４及び図１８５を参照して、第３２実施形態における特別入賞装置３２５５０の構成について説明する。図１８４は、第３２実施形態における特別入賞装置３２５５０の分解斜視正面図である。図１８５（ａ）は、特別入賞装置３２５５０の正面図であり、図１８５（ｂ）は、特別入賞装置３２５５０の上面図であり、図１８５（ｃ）は、図１８５（ａ）のＣＬＸＸＸＶｃ−ＣＬＸＸＸＶｃ線における特別入賞装置３２５５０の断面図である。
【１４１９】
図１８４及び図１８５に示すように、第３２実施形態における特別入賞装置３２５５０は、正面側に配設される第１経路部材３２５６０と、その第１経路部材３２５６０の背面側に配設される第２経路部材３２５７０と、を備える。
【１４２０】
第１経路部材３２５６０は、非光透過の材料から形成される。また、第１経路部材３２５６０は、板状に形成され遊技領域の正面側に配設される正面板３２５６４と、その正面板３２５６４の左右の端部から背面側（ベース板６０側）に突設される第１壁部３２５６５と、を備える。
【１４２１】
正面板３２５６４は、後述する第２経路部材３２５７０との対向間で形成される遊技球の流下経路の正面側の壁部となる板部材であり、非光透過の材料から形成される。これにより、遊技者に特別入賞装置３３５５０の内部を流下する遊技球を視認不能にできる。その結果、遊技者が特別入賞装置３３５５０の内部の遊技球の流下方向を把握することを抑制して、遊技者が遊技をやめることを抑制できる。
【１４２２】
第１壁部３２５６５は、第２経路部材３２５７０と連結（締結）される部分であり、左右方向（板厚方向）に円形状に貫通する貫通孔３２５６５ｃと、２の第１壁部３２５６５の対向面に複数個並設されると共に断面三角形状に突設される一側突部３２５６５ｄと、第１壁部３２５６５の上下の両端から２の第２壁部３２５６６の対向面側に立設される立設部３２５６５ｅとを主に備える。
【１４２３】
貫通孔３２５６５ｃは、第１経路部材３２５６０を第２経路部材３２５７０に締結させるためのネジを挿通する貫通穴であり、各第１壁部３２５６５に１箇所ずつ形成される。
【１４２４】
一側突部３２５６５ｄは、後述する第２経路部材３２５７０の他側凹部３２５７３ｃに挿入されて、第１経路部材３２５６０を第２経路部材３２５７０に対して位置決めをする部分であり、前後方向（矢印Ｆ−Ｂ方向）に並設されると共に、上下方向（矢印Ｕ−Ｄ）方向に延設される。
【１４２５】
立設部３２５６５ｅは、一側突部３２５６５ｄを覆設して、遊技者から一側突部３２５６５ｄを不可視にする部分であり、一側突部３２５６５ｄの突設距離より大きく設定される。これにより、一側突部３２５６５ｄが他側凹部３２５７３ｃに挿入された位置を視認されることを抑制して、第２経路部材３２５７０に対する第１経路部材３２５６０の位置が遊技者に認識されることを抑制できる。その結果、遊技者が不利と判断してパチンコ機１０を遊技しなくなることを抑制できる。
【１４２６】
第２経路部材３２５７０は、第１経路部材３２５６０の正面板３２５６４と対向する板状のベース板３２５７１と、そのベース板３２５７１の左右（矢印Ｌ−Ｒ方向）の端部から第１経路部材３２５６０の正面板３２５６４側に突設される第４壁部３２５７３と、を備える。
【１４２７】
ベース板３２５７１は、第１経路部材３２５６０の正面板３２５６４との対向間の隙間で遊技球の送球経路を形成する部材であり、正面視におけるベース板３２５７１の上下方向（矢印Ｕ−Ｄ方向）の大きさが正面板３２５６４よりも小さくされる。これにより、遊技者側からベース板３２５７１が視認されることを抑制できる。その結果、遊技者が、ベース板３２５７１と正面板３２５６４との対向間隔を視認して遊技が有利または不利であると判断することを防止できる。
【１４２８】
また、ベース板３２５７１は、第１経路部材３２５６０側に突出する第４凸部３２５７１ｂ及び第５凸部３２５７１ｃと、それら第４凸部３２５７１ｂ及び第５凸部３２５７１ｃの下方に位置し、正面板３２５６４側に突設される第６凸部３２５７１ｄと、を備える。
【１４２９】
第４凸部３２５７１ｂ及び第５凸部３２５７１ｃは、特別入賞装置３２５５０の内部を流下する遊技球を案内するための突起であり、ベース板３２５７１の左右方向外側（矢印Ｌ−Ｒ方向外側）からベース板３２５７１の中央側に向かって下降傾斜して形成される。これにより、ベース板３２５７１と正面板３２５６４との対向間を流下して、第４凸部３２５７１ｂ又は第５凸部３２５７１ｃに衝突する遊技球を、それら第４凸部３２５７１ｂ又は第５凸部３２５７１ｃの傾斜方向に流下させやすくすることができる。
【１４３０】
第６凸部３２５７１ｄは、上述した第４凸部３２５７１ｂ及び第５凸部３２５７１ｃの下方側に形成されると共に、ベース板３２５７１の左右方向略中央位置に形成される。また第６凸部３２５７１ｄは、重力方向に延設される。これにより、ベース板３２５７１と正面板３２５６４との対向間を流下して、第４凸部３２５７１ｂ又は第５凸部３２５７１ｃに案内される遊技球を第６凸部３２５７１ｄの左右のどちらかに振り分けられる。
【１４３１】
対向する２箇所の第４壁部３２５７３は、対向方向外側の側面に対向方向の内側に向かって凹設される複数の他側凹部３２５７３ｃと、対向方向に貫通される調整孔３２５７３ｂと、２箇所の第４壁部３２５７３の対向方向内側に形成されると共に調整孔３２５７３ｂを取り囲む収容部３２５７３ｄと、を主に備える。
【１４３２】
他側凹部３２５７３ｃは、第４壁部３２５７３の前後方向（矢印Ｆ−Ｂ方向）に複数個並設されると共に、重力方向に延設される。また、他側凹部３２５７３ｃは、断面略三角形状に凹設して形成され、その断面形状が、一側突部３２５６５ｄと略同一に設定される。これにより、一側突部３２５６５ｄを他側凹部３２５７３ｃに挿入して第１経路部材３２５６０を位置決めすることができる。
【１４３３】
調整孔３２５７３ｂは、上述した第１経路部材３２５６０の貫通孔３２５６５ｃを挿通したネジの先端を収容部３２５７３ｄ側に挿通させる部分である。また、調整孔３２５７３ｂは、前後方向（矢印Ｆ−Ｂ方向）に長い長穴に形成されており、これにより、第２経路部材３２５７０に対する第１経路部材３２５６０の移動が許容される。
【１４３４】
収容部３２５７３ｄは、正面視において断面コ字状に形成されると共に、その両端部が第４壁部３２５７３に連結される。また、収容部３２５７３ｄは、ベース板３２５７１の正面から第４壁部３２５７３の正面側の端部に亘って延設される。これにより、収容部３２５７３ｄにより囲われた空間内に、貫通孔３２５６５ｃ及び調整孔３２５７３ｂを挿通したネジを螺合する螺合板３２５９０を収容できる。
【１４３５】
螺合板３２５９０は、収容部３２５７３ｄにより形成される空間に挿入可能な寸法に設定されると共に、前後方向（矢印Ｆ−Ｂ方向）における幅寸法が収容部３２５７３ｄにより形成される空間の前後方向寸法（第４壁部３２５７３の正面側への突設寸法）よりも小さく設定される。これにより、螺合板３２５９０を収容部３２５７３ｄの内側に挿入できると共に、前後方向に移動可能とされる。
【１４３６】
また、螺合板３２５９０は、貫通孔３２５６５ｃ及び調整孔３２５７３ｂを挿通したネジを螺合する螺合孔３２５９１と、その螺合孔３２５９１の前後方向（矢印Ｆ−Ｂ方向）の両端から２箇所の第４壁部３２５７３の対向面に向かって突設される案内突部３２５９２とを備える。
【１４３７】
螺合孔３２５９１は、２箇所形成されており、上下方向に並んで形成される。また、２箇所の螺合孔３２５９１は、上端から一方の螺合孔３２５９１の距離寸法と下端から他方の螺合孔３２５９１の距離寸法とが同一となる位置に形成される。これにより、どちらか一方の螺合孔３２５９１のネジ溝が潰れた場合に、螺合板３２５９０を上下反転させることで他方の螺合孔３２５９１を利用してネジを締結することができる。
【１４３８】
案内突部３２５９２は、前後の両端部分から左右方向の両外側に所定量突設されると共に、螺合孔３２５９１側に向かって傾斜する傾斜面を備える。これにより、貫通孔３２５６５ｃ及び調整孔３２５７３ｂを挿通したネジの先端を螺合孔３２５９１に案内することができる。特に本実施形態では、螺合孔３２５９１が破損した場合に、上下を反転させることで新しい螺合孔３２５９１を使用できる。この場合、ネジの先端に対する螺合孔３２５９１の位置が合わなくなりやすいので、本実施形態のように、ネジの先端を螺合孔３２５９１に案内する構成が特に有効となる。
【１４３９】
以上のように構成される特別入賞装置３２５５０の第２経路部材３２５７０に対する第１経路部材３２５６０の調整方法は、初めに、第１経路部材３２５６０の貫通孔３２５６５ｃに挿通されると共に螺合板３２５９０に螺合されるネジを緩める。これにより、第２経路部材３２５７０に対し第１経路部材３２５６０の移動が許容された状態とされる。
【１４４０】
次に、第１壁部３２５６５を正面板３２５６４に対して左右方向外側に弾性変形させることで、第２経路部材３２５７０の他側凹部３２５７３ｃに挿入された第１経路部材３２５６０の一側突部３２５６５ｄを他側凹部３２５７３ｃから引き出した後に、前後方向の位置を調整して調整後の位置で、第１壁部３２６５５の弾性変形を戻して再度一側突部３２５６５ｄを他側凹部３２５７３ｃに挿入させる。これにより、第２経路部材３２５７０に対して第１経路部材３２５６０を仮止め（位置決め）することができる。
【１４４１】
最後に、第１経路部材３２５６０の貫通孔３２５６５ｃに挿通されると共に螺合板３２５９０に螺合されるネジを再度締めなおすことで、第２経路部材３２５７０に対する第１経路部材３２５６０の調整が完了される。
【１４４２】
これによれば、上述したように、一側突部３２５６５ｄと他側凹部３２５７３ｃとが対応する形状に形成されるので、仮止めした後にネジを締結することで、一側突部３２５６５ｄを他側凹部３２５７３ｃに押し込むことができる。よって、一側突部３２５６５ｄを他側凹部３２５７３ｃに挿入可能なそれぞれの位置で、常に同じ位置となるように調整させることができる。その結果、調整を行う作業者によって、遊技球の流れにばらつきが発生することを抑制でき、調整を簡易にすることができる。
【１４４３】
次いで、図１８６を参照して、第１経路部材３２５６０の第２経路部材３２５７０の位置調整について説明する。図１８６（ａ）は、特別入賞装置３２５５０の断面図であり、図１８６（ｂ）は、図１８６（ａ）のＣＬＸＸＸＶＩｂ−ＣＬＸＸＸＶＩｂ線における特別入賞装置３２５５０の断面図である。
【１４４４】
図１８６に示すように、左側（矢印Ｌ方向側）の第１経路部材３２５６０が第２経路部材３２５７０に対して正面側（矢印Ｆ方向側）に引き出された場合には、図１８５に示すように、左側の正面板３２５６４及びベース板３２５７１との対向間の距離が右側に比べて広くされる。この場合、正面板３２５６４及びベース板３２５７１の対向間を流下する遊技球は、左側の第４凸部３２５７１ｂに衝突し難くなるので、その分、遊技球を、左側の対向間を流下しやすくできる。これにより、正面板３２５６４及びベース板３２５７１の対向間を流下する遊技球を左側の下方から排出させやすくできる。
【１４４５】
次いで、図１８７を参照して第３３実施形態における特別入賞装置３３５５０について説明する。上記第３２実施形態では、第１経路部材３２５６０の第１壁部３２５６５を弾性変形させた状態で第２経路部材３２５７０に対する第２経路部材３２５７０の位置を調整する場合について説明したが、第３３実施形態では、第１壁部３３５６５を正面板３２５６４に対して可変可能に連結される。なお、上記各実施形態と同一の部分については、同一の符号を付してその詳しい説明を省略する。
【１４４６】
図１８７（ａ）は、第３３実施形態における第１経路部材３３５６０の分解斜視正面図であり、図１８７（ｂ）は、特別入賞装置３３５５０の断面図である。なお、図１８７（ｂ）は、図１８６（ｃ）の断面図と対応する。
【１４４７】
図１８７に示すように、第３３実施形態における特別入賞装置３３５５０は、正面側に配設される第１経路部材３３５６０と、その第１経路部材３３５６０の背面側に配設される第２経路部材３２５７０と、を備える。
【１４４８】
第１経路部材３３５６０は、板状に形成され遊技領域の正面側に配設される正面板３３５６４と、その正面板３３５６４の左右の端部に軸支される第１壁部３３５６５と、を備える。
【１４４９】
正面板３２５６４は、後述する第２経路部材３２５７０との対向間で形成される遊技球の流下経路の正面側の壁部となる板部材であり、非光透過の材料から形成される。これにより、遊技者に特別入賞装置３３５５０の内部を流下する遊技球を視認不能にできる。その結果、特別入賞装置３３５５０の内部の遊技球の流下方向を遊技者が把握することを抑制して、遊技者が遊技をやめることを抑制できる。
【１４５０】
保持部３３５６４ｅは、後述する第１壁部３３５６５を軸支するロッドＲＤを保持する部材であり、円環状に形成された内側部分にロッドＲＤを挿入可能な大きさに設定される。また、保持部３３５６４ｅは、上下方向に所定の距離を隔てる２箇所に形成されており、それら保持部３３５６４ｅの円環部分の軸が上下方向に同軸とされる。また、２箇所の保持部３３５６４ｅのうち下方側に形成される保持部３３５６４ｅは、正面板３３５６４の下側端部に形成されると共に、下端側が塞がれる。これにより、ロッドＲＤを保持部３３５６４ｅの上方側から保持部３３５６４ｅの内側に挿入した場合に、ロッドＲＤが保持部３３５６４ｅの下端から脱落する（抜け出る）ことを抑制できる。
【１４５１】
第１壁部３３５６５は、第２経路部材３２５７０と連結（締結）される部分であり、左右方向（板厚方向）に円形状に貫通する貫通孔３２５６５ｃと、２箇所の第１壁部３２５６５の対向面に複数個並設されると共に断面三角形状に突設される一側突部３２５６５ｄと、第１壁部３２５６５の上下（矢印Ｕ−Ｄ方向）の両端から２の第２壁部３２５６６の対向面側に立設される立設部３２５６５ｅと、正面板３３５６４側に断面円環形状に突出する被軸支部３３５６５ｆと、を主に備える。
【１４５２】
被軸支部３３５６５ｆは、上述した正面板３３５６４の保持部３３５６４ｅに挿入されるロッドＲＤが挿入される部分であり、円環状に形成された内側部分がロッドＲＤを挿入可能な大きさに設定される。また、被軸支部３３５６５ｆは、上下方向に所定の距離を隔てる２箇所に形成されており、それら被軸支部３３５６５ｆの円環部分の軸が上下方向に同軸とされる。また、２箇所の被軸支部３３５６５ｆは、その間に上述した保持部３３５６４ｅのうち上方に形成される保持部３３５６４ｅが配設される。
【１４５３】
これにより、正面板３３５６４及び第１壁部３３５６５との連結は、保持部３３５６４ｅと被軸支部３３５６５ｆとを同軸上に配置すると共に、それら保持部３３５６４ｅと被軸支部３３５６５ｆとの内側に上方側からロッドＲＤを挿入することで、正面板３３５６４に第１壁部３３５６５が回転可能な状態で配設される。
【１４５４】
これにより、図１８７（ｂ）に示すように、第２経路部材３２５７０のベース板３２５７１に対して、第１経路部材３３５６０の正面板３３５６４が非平行に配設される場合に、正面板３３５６４に対して第１壁部３３５６５の角度を変更して配設できる。
【１４５５】
即ち、上記第３２実施形態では、第２経路部材３２５７０のベース板３２５７１に対して第１経路部材３２５６０の正面板３２５６４を非平行に配設した場合に、正面板３２５６４に対して第１壁部３３５６５を弾性変形させた状態で保持する必要がある。また、第２経路部材３２５７０に対して第１経路部材３２５６０の位置を調整する際に、第１壁部３２５６５を正面板３２５６４に対して左右方向外側に弾性変形させて、第２経路部材３２５７０の他側凹部３２５７３ｃに挿入された第１経路部材３２５６０の一側突部３２５６５ｄを他側凹部３２５７３ｃから引き出す必要がある。そのために、正面板３２５６４と第１壁部３２５６５との連結部分が破損する可能性があった。
【１４５６】
これに対し、第３３実施形態では、正面板３３５６４に対して、第１壁部３３５６５を回転させることができるので、第１経路部材３３５６０を弾性変形させる必要がなくなり、正面板３３５６４と第１壁部３３５６５との連結部分が破損することを抑制できる。
【１４５７】
以上のように構成される特別入賞装置３３５５０の第２経路部材３２５７０に対する第１経路部材３３５６０の調整方法は、初めに、第１経路部材３３５６０の貫通孔３２５６５ｃに挿通されると共に螺合板３２５９０に螺合されるネジを緩める。これにより、第２経路部材３２５７０に対し第１経路部材３３５６０の移動が許容された状態とされる。
【１４５８】
次に、第１壁部３３５６５を正面板３３５６４に対して左右方向外側に回転させることで、第２経路部材３２５７０の他側凹部３２５７３ｃに挿入された第１経路部材３３５６０の一側突部３２５６５ｄを他側凹部３２５７３ｃから引き出した後に、前後方向の位置を調整して調整後の位置で、第１壁部３３５６５の回転を戻して再度一側突部３２５６５ｄを他側凹部３２５７３ｃに挿入させる。これにより、第２経路部材３２５７０に対して第１経路部材３２５６０を仮止めすることができる。
【１４５９】
最後に、第１経路部材３３５６０の貫通孔３２５６５ｃに挿通されると共に螺合板３２５９０に螺合されるネジを再度締めなおすことで、第２経路部材３２５７０に対する第１経路部材３３５６０の調整が完了される。
【１４６０】
次いで、図１８８から図１９０を参照して第３４実施形態における特別入賞装置３４５５０について説明する。上記第１３実施形態では、特別入賞装置１３５５０の前後の板の対向間隔を調整することで、遊技球の流下する方向を調整する場合について説明したが、第３４実施形態では、流下経路の内側に向かって突設される突起の位置を変更することで、遊技球の流下する方向を調整できる。なお、上記各実施形態と同一の部分については、同一の符号を付してその詳しい説明を省略する。
【１４６１】
初めに、図１８８及び図１８９を参照して、特別入賞装置３４５５０の全体構成について説明する。図１８８（ａ）は、第３４実施形態における遊技盤３４０１３の正面図であり、図１８８（ｂ）は、図１８８（ａ）のＣＬＸＸＸＶＩＩＩｂ−ＣＬＸＸＸＶＩＩＩｂ線における遊技盤３４０１３の断面図である。図１８９は、遊技盤３４０１３の分解斜視正面図である。
【１４６２】
図１８８及び図１８９に示すように、第３４実施形態における特別入賞装置３４５５０は、遊技盤３４０１３に配設される第１入賞口６４の上方に配設される。また、特別入賞装置３４５５０は、正面側に配設される第１経路部材３４５６０の左右方向における中心線が第１入賞口６４の左右方向における中心線と正面視において同一直線状に配設される。
【１４６３】
さらに、特別入賞装置３４５５０と第１入賞口６４とは、重力方向（矢印Ｕ−Ｄ方向）に遊技球の直径分離れた位置に配設される。これにより、特別入賞装置３４５５０から排出される遊技球を遊技者に視認させることができる。
【１４６４】
特別入賞装置３４５５０は、正面側（矢印Ｆ方向側）に配設される第１経路部材３４５６０と、その第１経路部材３４５６０の背面側（矢印Ｂ方向側）に配設される第２経路部材３４５７０と、その第２経路部材３４５７０の背面側に螺合される固定具３４５５３と、を備える。
【１４６５】
第１経路部材３４５６０は、後述する第２経路部材３４５７０との対向間で形成される遊技球の流下経路の正面側の壁部となる板部材であり、非光透過の材料から形成される。これにより、遊技者に特別入賞装置３４５５０の内部を流下する遊技球を視認不能にできる。その結果、特別入賞装置３４５５０の内部の遊技球の流下方向を遊技者が把握することを抑制して、遊技者が遊技をやめることを抑制できる。
【１４６６】
また、第１経路部材３４５６０は、板状に形成され、遊技領域の正面側（矢印Ｆ方向側）に配設される正面板３４５６４と、その正面板３４５６４の左右の端部から背面側（矢印Ｂ方向側）に立設される第１壁部３４５６５と、を備える。
【１４６７】
正面板３４５６４は、後述する第２経路部材３２５７０との対向間で形成される遊技球の流下経路の正面側の壁部となる板部材であり、後述する第２経路部材３４５７０のベース板３４５７１よりも正面視における外形が大きく形成される。これにより、第１経路部材３４５６０の背面側（矢印Ｂ方向側）に配設される第２経路部材３４５７０を正面板３４５６４で視認しにくくすることができる。従って、遊技者側から第２経路部材３４５７０が視認されることを抑制できる。よって、第２経路部材３４５７０の位置を変更した場合に、その変更が遊技者に認識されることを抑制できる。
【１４６８】
第１壁部３４５６５は、遊技盤１３のベース板３４０６０に締結される部分であり、断面略Ｌ字形状に形成される。第１壁部３４５６５の背面側への立設寸法は、正面板３４５６４と後述するベース板３４５７１の第４凸部３４５７１ｂとの対向間寸法Ｘ３（図１８８（ｂ）参照）が、遊技球の直径よりも若干大きい値に設定される。
【１４６９】
また、第１壁部３４５６５は、立設先端部からベース板３４０６０の正面と平行な方向に屈曲される屈曲部３４５６５ｇを有し、その屈曲部３４５６５ｇに前後方向に貫通する貫通孔３４５６５ｇ１が形成される。貫通孔３４５６５ｇ１は、ネジが挿通される孔であり、貫通孔３４５６５ｇ１に挿通したネジをベース板３４０６０に螺合することで、第１経路部材３４５６０をベース板３４０６０に締結できる。
【１４７０】
第２経路部材３４５７０は、第１経路部材３４５６０の正面板３４５６４と対向する板状のベース板３４５７１と、そのベース板３４５７１の背面側から円柱状に突設される支持部３４５７９と、を備える。
【１４７１】
ベース板３４５７１は、第１経路部材３４５６０の正面板３４５６４との対向間の隙間で遊技球の送球経路を形成する部材であり、正面板３４５６４と所定量離間する位置に形成される。また、ベース板３４５７１は、正面板３４５６４側に突出する第４凸部３４５７１ｂを備える。これにより、ベース板３４５７１及び正面板３４５６４の対向間を流下する遊技球を第４凸部３４５７１ｂに衝突させて流下する方向を変更することができる。
【１４７２】
支持部３４５７９は、第２経路部材３４５７０を軸支する部分であり、円柱状の軸が、ベース板３４５７１の軸と同軸上となる位置（ベース板３４５７１の中心）に形成される。また、遊技盤３４０１３のベース板３４０６０には、支持部３４５７９と対応する位置に円形状の貫通穴３４０６０ｄが開口され、その貫通穴３４０６０ｄの内側に支持部３４５７９が挿入される。これにより、第２経路部材３４５７０が、ベース板３４０６０に軸支される。
【１４７３】
支持部３４５７９は、その突設先端に締結孔３４５７９ａが凹設される。締結孔３４５７９ａは、支持部３４５７９の軸と同軸上に凹設されると共に、内周面に雌ネジ加工がされる。これにより、ベース板３４０６０の背面側から貫通孔３４０６０ｄに挿通される固定具３４５５３のネジ部３４５５３ｂを締結孔３４５７９ａに螺合させることができる。
【１４７４】
固定具３４５５３は、上述した第２経路部材３４５７０を遊技盤３４０１３のベース板３４０６０に締結するための締結部材であり、円柱状に形成される操作部３４５５３ａと、その操作部３４５５３ａの正面側に突設されるネジ部３４５５３ｂと、を備える。
【１４７５】
操作部３４５５３ａは、第２経路部材３４５７０をベース板３４０６０に配設する作業者が把持する部分であり、ベース板３４０６０に形成される貫通孔３４０６０ｄよりも大きい外形に形成される。また、操作部３４５５３ａは、ベース板３４０６０の貫通穴３４０６０ｄの内径よりも大きい外径に設定される。
【１４７６】
これにより、固定具３４５５３のネジ部３４５５３ｂを締結孔３４５７９ａに螺合させて、第２経路部材３４５７０をベース板３４０６０に配設した場合に、固定具３４５５３が貫通穴３４０６０ｄを介してベース板３４０６０の正面側に抜け出ることを抑制できる。
【１４７７】
ネジ部３４５５３ｂは、操作部３４５５３ａの軸と同軸の円柱状に形成されると共に、その外周面に雄ネジ加工がされる。ネジ部３４５５３ｂは、上述したように、第２経路部材３４５７０の締結孔３４５７９ａに螺合される部分であり、ベース板３４０６０の貫通孔３４０６０ｄよりも小さい外径に設定され、貫通孔３４０６０ｄを挿通して第２経路部材３４５７０の締結孔３４５７９ａに螺合される。
【１４７８】
以上のように構成される特別入賞装置３４５５０によれば、特別入賞装置３４５５０から排出される遊技球の排出位置を変更する場合に、作業者は、遊技盤１３のベース板３４０６０に形成される第１開口部６０ａ（センターフレーム８６）を介して遊技盤１３の正面側（矢印Ｆ方向側）から手（腕）をベース板３４０６０の背面側（矢印Ｂ方向側）に挿通させて、固定具３４５５３の操作部３４５５３ａにアクセスさせる。
【１４７９】
次に、操作部３４５５３ａを回転させて、第２経路部材３４５７０の締結孔３４５７９ａに螺合されるネジ部３４５５３ｂを緩める。これにより、第２経路部材３４５７０を支持部３４５７９を中心に回転変位可能な状態にして、第２経路部材３４５７０を回転させて、第２経路部材３４５７０の第４凸部３４５７１ｂの位置を変更する。第４凸部３４５７１ｂの位置が変更されると、特別入賞装置３４５５０の内部を流下する遊技球が第４凸部３４５７１ｂと衝突する位置が変更されるので、特別入賞装置３４５５０から排出される遊技球の排出位置を変更することができる。
【１４８０】
この場合、上述したように、第２経路部材３４５７０のベース板３４５７１は、正面視円形状に形成され、その軸と同軸上に支持部３４５７９が形成されるので、第２経路部材３４５７０を回転させた場合に、正面視におけるベース板３４０６０に対する第２経路部材３４５７０の配置が変化することを抑制できる。よって、第２経路部材３４５７０の回転されたことを遊技者が認識することを抑制できる。その結果、遊技者が不利と判断して遊技をしなくなることを抑制できる。
【１４８１】
次に、図１９０を参照して、第４凸部３４５７１ｂ（第２経路部材３４５７０）の位置を変化させた場合の遊技球の排出位置の変化について説明する。図１９０（ａ）から図１９０（ｄ）は、図１８８のＣＸＣ−ＣＸＣ線におけるパチンコ機３４０１０の断面図である。
【１４８２】
図１９０に示すように、第４凸部３４５７１ｂは、正面視における突出形状が、略Ｖ字状に形成される。従って、図１９０（ａ）に示すように、Ｖ字の屈曲側を下方側に配置した場合には、特別入賞装置３４５５０の上方から流入する遊技球をＶ字の傾斜に沿って中央部分に送球しやすくできる。その結果、特別入賞装置３４５５０の下方に配設される入賞口６４に遊技球を流入させやすくすることができる。
【１４８３】
一方、図１９０（ｂ）に示すように、Ｖ字の屈曲側を上方側に配置した場合には、特別入賞装置３４５５０の上方から流入する遊技球をＶ字の傾斜に沿って左右の両端に送球しやすくできる。その結果、特別入賞装置３４５５０の下方に配設される入賞口６４に遊技球を流入させにくくすることができる。
【１４８４】
また、図１９０（ｃ）及び図１９０（ｂ）に示すように、Ｖ字の屈曲側を左右のどちらかの端部に配置した場合には、特別入賞装置３４５５０の上方から流入する遊技球をＶ字の上方側の傾斜に沿って送球しやすくできると共に、Ｖ字の上方側に衝突されずＶ字の下方側に送球される遊技球をＶ字の下方側の傾斜に沿って送球することができる。従って、Ｖ字の上方側とＶ字の下方側とで遊技球を衝突させる領域の違いで、遊技球が送球される方向を変更することができる。
【１４８５】
なお、詳しい説明は省略するが、図１９０（ａ）から図１９０（ｄ）に示す位置以外の位置に、第４凸部３４５７１ｂの屈曲部分を配置することも可能である。例えば、図１９０（ａ）に示す位置から第２経路部材３４５７０を正面視右方向に１０度回転させた場合には、特別入賞装置３４５５０の上方から流入する遊技球を、Ｖ字の傾斜に沿って流下させて、特別入賞装置３４５５０の下方に配設される入賞口６４の上方側から若干左側（矢印Ｌ方向側）にずれた位置から遊技球を排出しやすくできる。
【１４８６】
次いで、図１９１から図１９３を参照して第３５実施形態における特別入賞装置３５５５０について説明する。上記第３４実施形態では、第２経路部材３４５７０を回転させて第４凸部３４５７１ｂの位置を変更する場合について説明したが、第３５実施形態では、第２経路部材３５５７０をスライドさせて第４凸部３５５７１ｂの位置を変更する。なお、上記各実施形態と同一の部分については、同一の符号を付してその詳しい説明を省略する。
【１４８７】
初めに、図１９１及び図１９２を参照して、第３５実施形態における特別入賞装置３５５５０について説明する。図１９１（ａ）は、第３５実施形態における遊技盤３５０１３の正面図であり、図１９１（ｂ）は、図１９１（ａ）のＣＸＣＩｂ−ＣＸＣＩｂ線における遊技盤３５０１３の断面図である。図１９２は、特別入賞装置３５５５０の分解斜視図である。
【１４８８】
図１９１及び図１９２に示すように、第３５実施形態における特別入賞装置３５５５０は、遊技盤３５０１３に配設される第１入賞口６４の上方側（矢印Ｕ方向側）に配設される。また、特別入賞装置３５５５０は、正面側（矢印Ｆ方向側）に配設される第１経路部材３５５６０の左右方向における中心線が第１入賞口６４の左右方向における中心線と正面視において同一直線状に配設される。
【１４８９】
さらに、特別入賞装置３５５５０と第１入賞口６４とは、重力方向（矢印Ｕ−Ｄ方向）に遊技球の直径分離れた位置に配設される。これにより、特別入賞装置３５５５０から排出される遊技球を遊技者に視認させることができる。
【１４９０】
特別入賞装置３４５５０は、正面側（矢印Ｆ方向側）に配設される第１経路部材３５５６０と、その第１経路部材３５５６０の背面側（矢印Ｂ方向側）に配設される第２経路部材３５５７０と、その第２経路部材３５５７０の背面側に螺合される固定具３４５５３と、を備える。
【１４９１】
第１経路部材３５５６０は、後述する第２経路部材３５５７０との対向間で形成される遊技球の流下経路の正面側の壁部となる板部材であり、非光透過の材料から形成される。これにより、遊技者に特別入賞装置３５５５０の内部の遊技球の流下方向を視認不能にできる。その結果、遊技者が、特別入賞装置３５５５０の内部の遊技球の流下方向を把握することを抑制して、遊技者が遊技をやめることを抑制できる。
【１４９２】
また、第１経路部材３５５６０は、板状に形成され、遊技領域の正面側に配設される正面板３４５６４と、その正面板３４５６４の左右の端部から背面側（矢印Ｂ方向側）に立設される第１壁部３５５６５と、を備える。
【１４９３】
正面板３５５６４は、後述する第２経路部材３５５７０との対向間で形成される遊技球の流下経路の正面側（矢印Ｆ方向側）の壁部となる板部材であり、後述する第２経路部材３５５７０のベース板３５５７１よりも正面視における外形が大きく形成される。これにより、第１経路部材３５５６０の背面側（矢印Ｂ方向側）に配設される第２経路部材３５５７０を正面板３５５６４で視認しにくくすることができる。従って、遊技者側から第２経路部材３５５７０が視認されることを抑制できる。よって、第２経路部材３５５７０の位置を変更した場合に、その変更が遊技者に認識されることを抑制できる。
【１４９４】
第１壁部３５５６５は、遊技盤３５０１３のベース板６０に締結される部分であり、断面略Ｌ字形状に形成される第１壁部３４５６５の背面側への立設寸法は、正面板３５５６４と後述するベース板３５５７１の第４凸部３５５７１ｂとの対向間寸法Ｘ４（図１９１（ｂ）参照）が、遊技球の直径よりも若干大きい値に設定される。
【１４９５】
また、第１壁部３５５６５は、立設先端部からベース板６０の正面と平行な方向に屈曲される屈曲部３５５６５ｇを有し、その屈曲部３５５６５ｇに前後方向（矢印Ｆ−Ｂ方向）に貫通する貫通孔３５５６５ｇ１と、屈曲部３５５６５ｇの背面から正面側（矢印Ｆ方向側）に向かって凹設される凹設部３５５６５ｇ２とが形成される。
【１４９６】
貫通孔３５５６５ｇ１は、ネジが挿通される孔であり、貫通孔３５５６５ｇ１に挿通したネジをベース板６０に螺合することで、第１経路部材３５５６０をベース板６０に締結できる。
【１４９７】
凹設部３５５６５ｇ２は、後述する第２経路部材３５５７０のベース板３５５７１の左右（矢印Ｌ−Ｒ方向側）の両端を内側に収容する部分であり、屈曲部３５５６５ｇの基端から凹設されると共に、屈曲部３５５６５ｇの上下方向中央部に凹設される。これにより、ベース板３５５７１の左右の両端を凹設部３５５６５ｇ２の内側に収容した際に、ベース板３５５７１の左右の両端を屈曲部３５３６５ｇにより隠すことができる。よって、遊技者にベース板３５５７１の位置が認識されることを抑制できる。その結果、遊技者が不利と判断して遊技をしなくなることを抑制できる。
【１４９８】
また、凹設部３５５６５ｇ２の凹設寸法は、ベース板３５５７１の板厚よりも大きい深さ寸法に設定されると共に、屈曲部３５５６５ｇの左右の両端の離間距離Ｘ５（図１９１（ｂ）参照）が、ベース板３５５７１の左右方向の幅寸法Ｘ６（図１９１（ｂ）参照）よりも大きく設定される。これにより、ベース板３５５７１（第２経路部材３５５７０）を左右方向に変位させることができる。なお、ベース板３５５７１（第２経路部材３５５７０）の変位方法については後述する。
【１４９９】
第２経路部材３５５７０は、第１経路部材３５５６０の正面板３５５６４と対向する板状のベース板３５５７１と、そのベース板３５５７１の背面側（矢印Ｂ方向側）から背面視矩形状に突設される支持部３５５７９と、を備える。
【１５００】
ベース板３５５７１は、第１経路部材３５５６０の正面板３５５６４との対向間の隙間で遊技球の送球経路を形成する部材であり、正面板３５５６４と所定量離間する位置に形成される。また、ベース板３５５７１は、正面板３５５６４側（矢印Ｆ方向側）に突出する第４凸部３５５７１ｂを備える。これにより、ベース板３５５７１及び正面板３５５６４の対向間を流下する遊技球を第４凸部３５５７１ｂに衝突させて流下する方向を変更することができる。
【１５０１】
支持部３５５７９は、第２経路部材３５５７０を軸支する部分であり、ベース板３４５７１の軸と同軸上となる位置（ベース板３４５７１の中心）に円柱状の軸が形成される。また、遊技盤３４０１３のベース板６０には、支持部３５５７９と対応する位置に左右方向に長い長穴形状の摺動孔３５０６０ｅが開口され、その摺動孔３５０６０ｅの内側に支持部３５５７９が挿入される。これにより、第２経路部材３５５７０がベース板６０に支持される。
【１５０２】
摺動孔３５０６０ｅは、支持部３５５７９の上下方向（矢印Ｕ−Ｄ方向）寸法と略同一の寸法に短手方向（矢印Ｕ−Ｄ方向）の幅寸法が設定されると共に、支持部３５５７９の左右方向（矢印Ｌ−Ｒ方向）寸法よりも長手方向（矢印Ｌ−Ｒ方向）の幅寸法が大きく設定される。これにより、摺動孔３５０６０ｅの内側に挿入される支持部３５５７９を摺動孔３５０６０ｅの長手方向に摺動可能にできる。
【１５０３】
また、支持部３５５７９は、その突設先端に締結孔３５５７９ａが凹設される。締結孔３５５７９ａは、内周面に雌ネジ可能がされ、固定具３４５５３のネジ部３４５５３ｂを締結孔３５５７９ａに螺合させることができる。なお、支持部３４５７９の突設寸法は、ベース板６０の厚み寸法よりも小さく設定されており、締結孔３５５７９ａに固定具３４５５３のネジ部３４５５３ｂを螺合させることで、第２経路部材３５５７０をベース板６０に固定することができる。
【１５０４】
以上のように構成される特別入賞装置３５５５０によれば、特別入賞装置３５５５０から排出される遊技球の排出位置を変更する場合に、作業者は、遊技盤３５０１３のベース板６０に形成される第１開口部６０ａ（センターフレーム８６）を介して遊技盤３５０１３の正面側（矢印Ｆ方向側）から手（腕）をベース板６０の背面側（矢印Ｂ方向側）に挿通させて、固定具３４５５３の操作部３４５５３ａにアクセスさせる。
【１５０５】
次に、操作部３４５５３ａを回転させて、第２経路部材３５５７０の締結孔３５５７９ａに螺合されるネジ部３４５５３ｂを緩める。これにより、第２経路部材３５５７０を左右方向にスライド変位可能な状態にして、第２経路部材３５５７０をスライド変位させて、第２経路部材３５５７０の第４凸部３５５７１ｂの位置を変更する。第４凸部３５５７１ｂの位置が変更されると、特別入賞装置３５５５０の内部を流下する遊技球が第４凸部３５５７１ｂと衝突する位置が変更されるので、特別入賞装置３５５５０から排出される遊技球の排出位置を変更することができる。
【１５０６】
次に、図１９３を参照して、第４凸部３５５７１ｂ（第２経路部材３５５７０）の位置を変化させた場合の遊技球の排出位置の変化について説明する。図１９３（ａ）から図１９３（ｃ）は、図１９１（ｂ）のＣＸＣＩＩＩ−ＣＸＣＩＩＩ線における遊技盤３５０１３の断面図である。なお、図１９３（ａ）から図１９３（ｃ）では、図１９３（ｂ）における第２経路部材３５５７０の位置を基準位置として、図１９３（ａ）では、第２経路部材３５５７０が基準位置から正面視左側に変位された状態が図示され、図１９３（ｃ）では、第２経路部材３５５７０が基準位置から正面視右側（矢印Ｒ方向側）に変位された状態が図示される。
【１５０７】
図１９３に示すように、第４凸部３５５７１ｂは、正面視における突出形状が、略Ｖ字状に形成され、特別入賞装置３５５５０の上方から流入する遊技球が、Ｖ字の傾斜に沿って中央部分（Ｖ字の屈曲部分）に案内される。
【１５０８】
よって、図１９３（ｂ）に示すように、第４凸部３５５７１ｂのＶ字の屈曲部分が、第１入賞口６４の上方に配設される場合には、特別入賞装置３５５５０の下方から排出される遊技球を第１入賞口６４に流入させやすくできる。
【１５０９】
一方、図１９３（ａ）及び図１９３（ｃ）に示すように、第２経路部材３５５７０を基準位置（図１９３（ｂ）に示す位置）から移動した場合には、第４凸部３５５７１ｂのＶ字の屈曲部分が第１入賞口６４の上部から左右のどちらかにずれた位置に配置されるので、第２経路部材３５５７０が基準位置に配置される場合に比べて、特別入賞装置３５５５０の下方から排出される遊技球が、第１入賞口６４に流入しにくくされる。
【１５１０】
次いで、図１９４を参照して、第３６実施形態における特別入賞装置３６５５０について説明する。上記第１実施形態では、ベース板６０の正面側に配設される第１ユニット５５１が、ベース板６０の背面側に配設される第２ユニット５５２に締結されて、ベース板６０の背面側に向かって付勢された状態で保持される場合について説明したが、第３６実施形態では、第１ユニット３６５５１に形成される締結部３６５５１ｂの弾性回復力により第１ユニット３６５５１がベース板６０の背面側に向かって付勢される。なお、上記各実施形態と同一の部分については、同一の符号を付してその詳しい説明を省略する。
【１５１１】
図１９４（ａ）は、第３６実施形態における遊技盤３６０１３を模式的に示した分解斜視正面図であり、図１９４（ｂ）は、遊技盤３６０１３の断面模式図である。なお、図１９４は、図３６の断面図と対応する。
【１５１２】
図１９４に示すように、第３６実施形態における特別入賞装置３６５５０は、センターフレーム８６が配設される第１開口部６０ａの内側からスライド変位されて、ベース板６０に配設される第１ユニット３６５５１から形成される。
【１５１３】
第１ユニット３６５５１は、その内部に遊技球を送球可能な空間を備え、その空間がベース板６０の正面側（矢印Ｆ方向側）に配設される。これにより、ベース板６０の正面を流下する遊技球を第１ユニット３６５５１の内部に流入させることができる。また、第１ユニット３６５５１は、ベース板６０正面と隣合う側面（背面）から背面側（矢印Ｂ方向側）に向かって突設される締結部３６５５１ｂを備える。
【１５１４】
締結部３６５５１ｂは、第１ユニット３６５５１をベース板６０に締結するネジが挿通される部分であり、背面側（矢印Ｂ方向側）に向かって突設されると共に、ベース板６０の背面と平行な方向に突設先端が屈曲される。
【１５１５】
また、締結部３６５５１ｂは、その屈曲側の側面に正面側（矢印Ｆ方向側）に膨出する膨出部３６５５１ｂ２と、その膨出部３６５５１ｂ２よりも屈曲先端側に板厚方向（矢印Ｆ−Ｂ方向）に貫通する貫通孔３６５５１ｂ１と、を備える。
【１５１６】
また、締結部３６５５１ｂは、第１ユニット３６５５１がベース板６０に装着されていない状態における基端（第１ユニット３６５５１の背面）から屈曲部分の正面までの距離寸法Ｘ７（図１９４（ｂ）参照）が、ベース板６０の厚み寸法よりも大きく設定される。また、締結部３６５５１ｂは、第１ユニット３６５５１がベース板６０に装着されていない状態における基端（第１ユニット３６５５１の背面）から膨出部３６５５１ｂ２の膨出先端位置までの距離寸法Ｘ８（図１９４（ｂ）参照）が、ベース板６０の厚み寸法と同一または、若干小さく設定される。
【１５１７】
膨出部３６５５１ｂ２は、貫通孔３６５５１ｂ１にネジが締結された場合に、ネジが締結される力を第１ユニット３６５５１をベース板６０の背面側（矢印Ｆ方向側）に押し付ける（付勢する）力に変換する部分であり、締結部３６５５１ｂの屈曲部分の基端と貫通孔３６５５１ｂ１との間に形成される。
【１５１８】
これにより、締結部３６５５１ｂを挿通したネジをベース板６０の背面に締結させた場合に、膨出部３６５５１ｂ２がベース板６０の背面と当接することで、屈曲部分とベース板６０との隙間の分、ネジにより屈曲先端側をベース板６０側に押し込む力を屈曲部分の基端側を背面側（矢印Ｂ方向側）に引き抜く力に変換することができる。これにより、第１ユニット３６５５１の背面と、ベース板６０の正面との間に隙間が形成されることを抑制できる。
【１５１９】
その結果、正面側から第１ユニット３６５５１を挿通させたネジをベース板６０に締結する必要がなくなり、その締結代の分、第１ユニット３６５５１を大きく形成しやすくできる。また、第３６実施形態では、第１ユニット３６５５１は、センターフレーム８６が締結される第１開口部６０ａを利用してベース板６０に取付られるので、第１ユニット３６５５１をスライド変位させてベース板６０の第１開口部６０ａに装着しやすくできる。
【１５２０】
次いで、図１９５を参照して、第３７実施形態における特別入賞装置３７５５０について説明する。上記第１実施形態では、ベース板６０の正面側に配設される第１ユニット５５１が、ベース板６０の背面側に配設される第２ユニット５５２に締結されて、ベース板６０の背面側に向かって付勢された状態で保持される場合について説明したが、第３７実施形態では、第１ユニット３７５５１がベース板６０の背面側から挿通されるネジにより締結されて、ベース板６０の背面側に向かって付勢された状態で保持される。なお、上記各実施形態と同一の部分については、同一の符号を付してその詳しい説明を省略する。
【１５２１】
図１９５（ａ）は、第３７実施形態における遊技盤３７０１３を模式的に示した分解斜視正面図であり、図１９５（ｂ）は、遊技盤３７０１３の断面模式図である。なお、図１９５は、（ｂ）は、図３６の断面図と対応する。
【１５２２】
図１９５に示すように、第３７実施形態における特別入賞装置３７５５０は、ベース板６０の正面に配設される第１ユニット３７５５１から形成される。
【１５２３】
第１ユニット３７５５１は、その内部に遊技球を送球可能な空間を備え、その空間がベース板６０の正面側（矢印Ｆ方向側）に配設される。これにより、ベース板６０の正面を流下する遊技球を第１ユニット３７５５１の内部に流入させることができる。また、第１ユニット３７５５１は、背面側（矢印Ｂ方向側）に円環状に突設される複数の円環凸部３７５５１ｂを備える。
【１５２４】
円環凸部３７５５１ｂは、ベース板６０の背面側から挿通されるネジを螺合する部分であり、内周面に雌ネジ加工がされる。なお、本実施形態では、円環凸部３７５５１ｂが第１ユニット３７５５１の背面に４箇所形成される。
【１５２５】
また、円環凸部３７５５１ｂと対向する位置のベース板６０には、円形状に凹設される凹部３７０６０ｄが形成される。凹部３７０６０ｄは、円環凸部３７５５１ｂを内側に挿入する部分であり、円環凸部３７５５１ｂの外径と略同一の内径に形成される。また、凹部３７０６０ｄの凹設深さは、円環凸部３７５５１ｂの突設寸法よりも大きく設定される。
【１５２６】
また、凹部３７０６０ｄの凹設底面には、凹部３７０６０の同軸上の円形状に貫通形成される貫通孔３７０６０ｄ１が形成される。貫通孔３７０６０ｄ１は、円環凸部３７５５１ｂに螺合されるネジの先端が挿通される孔であり、凹部３７０６０ｄの内径よりも小さい内径の開口に形成される。これにより、ベース板６０の背面側（矢印Ｂ方向側）からベース板６０の正面側（矢印Ｆ方向側）に配設される第１ユニット３７５５１にネジを締結できる。
【１５２７】
この場合、上述したように、凹部３７０６０ｄの凹設深さは、円環凸部３７５５１ｂの突設寸法よりも大きく設定されるので、ネジを円環凸部３７５５１ｂに螺合させることで、円環凸部３７５５１ｂ（第１ユニット３７５５１）を背面側（矢印Ｂ方向側）に付勢した状態で、第１ユニット３７５５１をベース板６０に配設できる。これにより、第１ユニット３７５５１の背面と、ベース板６０の正面との間に隙間が形成されることを抑制できる。
【１５２８】
その結果、正面側から第１ユニット３７５５１を挿通させたネジをベース板６０に締結する必要がなくなり、その締結代の分、第１ユニット３７５５１を大きく形成しやすくできる。また、第３７実施形態では、第１ユニット３７５５１の締結部分をベース板６０の凹部３７０６０ｄの内側に収容することができるので、その分、第１ユニット３７５５１に形成される遊技球を送球する空間を大きくすることができる。
【１５２９】
＜正面側に出射される光の光量を遊技球により変更する＞
次いで、図１９６及び図１９７を参照して、第３８実施形態における下変位部材３８４４０について説明する。上記第１１実施形態では、制御基板４９１から照射される光により下変位部材１１４４０に収容された遊技球の位置に影を形成して、その影の位置で遊技球の位置を認識させる場合について説明したが、第３８実施形態における下変位部材１１４４０は、制御基板４９１から照射される光を遊技球の外面で反射させて、その光量が多くされる位置で遊技球の位置を認識させる。なお、上記各実施形態と同一の部分については、同一の符号を付してその詳しい説明を省略する。
【１５３０】
図１９６は、第３８実施形態における下変位部材３８４４０の分解斜視正面図である。図１９７（ａ）は、下変位部材３８４４０の正面図であり、図１９７（ｂ）は、図１９７（ａ）のＣＸＣＶＩＩｂ−ＣＸＣＶＩＩｂ線における下変位部材３８４４０の断面図であり、図１９７（ｃ）は、図１９７（ａ）のＣＸＣＶＩＩｃ−ＣＸＣＶＩＩｃ線における下変位部材３８４４０の断面図である。なお、図１９７（ａ）では、正面側装飾部材３８４５１及び正面ケース３８４８１が取り外された状態が図示されると共に、正面ケース３８４８１に配設されるＬＥＤ３８４８３ｂが２点鎖線で図示される。また、図１９７（ｂ）及び図１９７（ｃ）では、正面側装飾部４５１が取付られた状態が図示される。
【１５３１】
図１９６及び図１９７に示すように、第３８実施形態における下変位部材３８４４０は、正面ベース４１１（図４６参照）に連結されるベース部材４７０と、そのベース部材４７０の前後方向（矢印Ｆ−Ｂ方向）両側を覆うケース部材３８４８０と、そのケース部材３８４８０とベース部材４７０との間に変位可能に配設される伝達機構４６０と、ケース部材３８４８０の前後を覆う態様で形成される装飾部材１１４５０とを主に備えて形成される。
【１５３２】
ケース部材３８４８０は、ベース部材４７０の前後方向（矢印Ｆ−Ｂ方向）両側を覆設する部材であり、ベース部材４７０の正面側（矢印Ｆ方向側）に配設される正面ケース３８４８１と、背面側（矢印Ｂ方向側）に配設される背面ケース４８２とを主に備える。
【１５３３】
正面ケース３８４８１は、正面視矩形横長の板状に形成される。また、正面ケース３８４８１は、上下方向（矢印Ｕ−Ｄ方向）略中間位置に左右方向（矢印Ｌ−Ｒ方向）に広がる開口４８１ａと、背面側（矢印Ｂ方向側）の下端面に突出形成される底壁部４８１ｂと、下方の端部に前後方向に貫通する軸孔４８１ｃと、背面側に配設されるＬＥＤ基板３８４８３と、を主に備える。
【１５３４】
ＬＥＤ基板３８４８３は、下変位部材３８４４０（正面ケース３８４８１）の内部を発光させる部材であり、板状に形成される本体部３８４８３ａと、その本体部３８４８３ａに配設されると共に光を照射する複数のＬＥＤ３８４８３ｂと、を備える。
【１５３５】
本体部３８４８３ａは、複数のＬＥＤ３８４８３ｂに電気を通す配線が敷設される基盤であり、球受部４６７の変位方向（矢印Ｌ−Ｒ方向）に延設される。複数のＬＥＤ３８４８３ｂは、本体部３８４８３ａの延設方向（矢印Ｌ−Ｒ方向）に所定の間隔で配設される。
【１５３６】
また、各ＬＥＤ３８４８３ｂは、各ＬＥＤ３８４８３ｂの背面側（矢印Ｂ方向側）を遊技球が通過する際の遊技球の中心に向かう方向に設定される。これにより、各ＬＥＤ３８４８３ｂの背面側に遊技球が位置する場合に、ＬＥＤの光を遊技球の外面に反射させて正面側装飾部１１４５１に照射させることができる。従って、上述したように、正面側装飾部１１４５１は、光を透過可能な透過部１１４５１ｂを備えるので、遊技球の外面に反射されて正面側装飾部１１４５１に照射された光を、透過部１１４５１ｂを介して遊技者側（矢印Ｆ方向側）に出射させることができる。よって、透過部１１４５１ｂを介して遊技者側から視認される光を、遊技球により反射された部分を他の部分よりも光量を多くすることができる。その結果、光の光量を多く（変更）することで、下変位部材３８４４０の内部に送球された遊技球の位置を遊技者に認識させることができる。
【１５３７】
なお、本実施形態では、複数のＬＥＤ３８４８３ｂが配設される間隔が遊技球の直径よりも小さく設定される。これにより、球受部４６７に受け入れられた遊技球が変位された場合でも、遊技球の少なくとも一部にＬＥＤ３８４８３ｂから出射される光を照射することができる。よって、ＬＥＤ３８４８３ｂから出射される光を、球受部４６７に受け入れられた遊技球に常時照射させることができる。
【１５３８】
また、第３８実施形態によれば、ＬＥＤ３８４８３ｂよりも背面側（矢印Ｂ方向側）に配設されるベース部材４７０、伝達機構４６０及び背面ケース４８２は、光の吸収率が高い部材が好ましい。例えば、各部材の外面が黒い配色を構成する。これによれば、ＬＥＤ３８４８３ｂから出射された光が、ケース部材３８４８０（下変位部材３８４４０）の内部を反射して正面側装飾部１１４５１の透過部１１４５１ｂから出射されることを抑制できる。その結果、遊技球が配置される正面と、それ以外の正面とで光の出射量の違いを大きくすることができ、遊技者に下変位部材３９４４０の内側に受け入れられた遊技球の位置を認識させやすくすることができる。
【１５３９】
次いで、図１９８及び図１９９を参照して第３９実施形態における下変位部材３９４４０について説明する。上記第３８実施形態では、遊技球で光を反射させて遊技球が配設される位置を遊技者に認識させる場合について説明したが、第３９実施形態では、球受部３９４６７に配設される反射部材により光を反射させて遊技球の位置を認識させる。なお、上記各実施形態と同一の部分については、同一の符号を付してその詳しい説明を省略する。
【１５４０】
図１９８は、第３９実施形態における下変位部材３９４４０の分解斜視背面図である。図１９９（ａ）は、下変位部材３９４４０の正面図であり、図１９９（ｂ）及び図１９９（ｃ）は、下変位部材３９４４０の断面図である。なお、図１９９（ｂ）及び図１９９（ｃ）は、図１９８（ｃ）の断面と対応する。
【１５４１】
図１９８及び図１９９に示すように、第３９実施形態における下変位部材３９４４０は、正面ベース４１１（図４６参照）に連結されるベース部材４７０と、そのベース部材４７０の前後を覆うケース部材３８４８０と、ケース部材３８４８０とベース部材４７０との間に変位可能に配設される伝達機構３９４６０と、ケース部材３８４８０の前後を覆う態様で配設される装飾部材１１４５０と、を備える。
【１５４２】
伝達機構３９４６０は、ベース部材４７０の正面側に配置される部材であり、伝達ギヤ４６１，４６２，４６３と、その伝達ギヤ４６１に軸部分が連結される駆動モータＫＭ２と、伝達ギヤ４６３と歯合する歯面を有し、ベース部材４７０の正面側をスライド変位可能に配設される可動ラック４６４と、その可動ラック４６４に回転可能に配置されると共に、ラックギヤ４７６に歯合した状態とされる伝達ギヤ４６５と、その伝達ギヤ４６５に歯合される歯面を有し可動ラック４６４の正面側をスライド変位可能に配設されるラック３９４６６と、そのラック３９４６６の一端側に回転可能に配設される球受部３９４６７とを主に備えて形成される。
【１５４３】
ラック３９４６６は、正面視矩形横長の棒状体から形成され、上端面に刻設されるラックギヤ４６６ａと、他端側の端部から正面側に円柱状に突出する軸部３９４６６ｂと、正面側に突出する２つの摺動板４６６ｃと、背面側に一端から他端に亘って凹設される凹設部４６６ｄとを主に備えて形成される。
【１５４４】
軸部３９４６６ｂは、後述する球受部３９４６７の軸孔４６７ｂに挿入される突起であり、軸孔４６７ｂの内径よりも大きい外径の円柱状に形成される。これにより、球受部４６７を回転可能に保持できる。
【１５４５】
球受部３９４６７は、正面視略Ｌ字に屈曲して形成される第１片３９４６７ｃと、その第１片３９４６７ｃに連結される第２片３９４６７ｄと、その第２片３９４６７ｄに連結されると共に第１片３９４６７ｃ及び第２片３９４６７ｄの正面側（矢印Ｆ方向側）に配設される第３片３９４６７ｅと、を備える。
【１５４６】
第１片３９４６７ｃ及び第２片３９４６７ｄは、開口４５１ａ（図５７参照）から下変位部材３９４４０の内側に送球された遊技球を保持する部分であり、第１片３９４６７ｃ及び第２片３９４６７ｄの対向間に遊技球が送球されると、第１片３９４６７ｃに対して第２片３９４６７ｄが離間する方向に変位され、第１片３９４６７ｃの一部と第２片３９４６７ｄとが正面視においてＵ字状に配置され、そのＵ字の内側部分に遊技球を保持することができる。
【１５４７】
第１片３９４６７ｃは、正面視においてＬ字に形成される一方の延設側を形成する受入片３９４６７ｃ４と、他方の延設側を形成する脚部４６７ａと、受入片３９４６７ｃ４及び脚部４６７ａとの連結部分（屈曲部分）に前後方向（矢印Ｆ−Ｂ方向）に貫通する軸孔４６７ｂが形成される円環状の屈曲部３９４６７ｃ５と、屈曲部３９４６７ｃ５を間に挟んで反対側に突出する連結部３９４６７ｃ１と、を備える。
【１５４８】
受入片３９４６７ｃ４は、第１片３９４６７ｃ及び第２片３９４６７ｄにより正面視Ｕ字状に形成される他方側（矢印Ｒ方向側）の側面を形成する部分であり、正面において三日月状に形成されると共に、第２片３９４６７ｄから離間する方向に凹となる湾曲形状に形成される。
【１５４９】
連結部３９４６７ｃ１は、屈曲部３９４６７ｃ５の軸方向（矢印Ｆ−Ｂ方向）に所定の間隔を隔てて２箇所から突設される。また、連結部３９４６７ｃ１は、後述する第２片３９４６７ｄ及び第３片３９４６７ｅを連結する部分であり、軸孔４６７ｂの軸方向に沿って延設されると共に断面円形状に開口される連結孔３９４６７ｃ２を備える。
【１５５０】
連結孔３９４６７ｃ２は、後述する第３片３９４６７ｅに突設される軸部３９４６７ｅ３が挿入される開口である。連結孔３９４６７ｃ２は、後述する第２片３９４６７ｄに形成される挿通孔３９４６７ｄ３に挿通した軸部３９４６７ｅ３が正面側（矢印Ｆ方向側）から挿入される。また、軸部３９４６７ｅ３は、連結孔３９４６７ｃ２の挿入側と反対側（矢印Ｂ方向側）から挿入されるネジにより締結される。これにより、第１片３９４６７ｃに第２片３９４６７ｄ及び第３片３９４６７ｅを締結することができる。
【１５５１】
また、第１片３９４６７ｃは、連結部３９４６７ｃ１の突設基端側に重力方向下側（矢印Ｄ方向側）に凹む凹部３９４６７ｃ３を備える。凹部３９４６７ｃ３の凹設底面は、第１片３９４６７ｃ及び第２片３９４６７ｄにより遊技球が保持される側面のうち一番低い位置（最下部）に形成される。これにより、第１片３９４６７ｃ及び第２片３９４６７ｄに保持される遊技球は、凹部３９４６７ｃ３の内側に転動される。その結果、遊技球の荷重により第２片３９４６７ｄを第１片３９４６７ｃに対して変位させやすくできる。
【１５５２】
第２片３９４６７ｄは、第１片３９４６７ｃの受入片３９４６７ｃ４及び第２片３９４６７ｄにより正面視Ｕ字状に形成される他方側（矢印Ｌ方向側）の側面を形成する部分であり、正面視において三日月状に形成されると共に、第１片３９４６７ｃから離間する方向に凹となる湾曲形状に形成される。また、第２片３９４６７ｄは、第１片３９４６７ｃの連結部分に前後方向に円形状に開口する挿通孔３９４６７ｄ３と、正面側（矢印Ｆ方向側）から背面側（矢印Ｂ方向側）に向かって円形状に凹設される凹設部３９４６７ｄ２とを主に備える。
【１５５３】
第２片３９４６７ｄは、挿通孔３９４６７ｄ３に、第３片３９４６７ｅの軸部３９４６７ｅ３が挿入され、凹設部３９４６７ｄ２に、第３片３９４６７ｅの連結軸３９４６７ｅ４が挿入される。従って、第２片３９５６７ｄが変位されると、第３片３９４６７ｅも同様に変位される。よって、第２片３９５６７ｄが第１片３９４６７ｃに対して回転変位されると、第３片３９５６７ｅも同様に第１片３９４６７ｃに対して回転変位される。
【１５５４】
さらに、第２片３９４６７ｄは、第１片３９４６７ｃの２箇所に突設される連結部３９４６７ｃ１の対向間に配設されて、第１片３９４６７ｃに連結される。これにより、第２片３９４６７ｄが挿通孔３９４６７ｄ３の軸方向にねじれた場合に、連結部３９４６７ｃ１の対向側の側面に第２片３９４６７ｄを当接させて軸部３９４６７ｅ３が折れることを抑制できる。
【１５５５】
凹設部３９４６７ｄ２は、後述する第３片３９４６７ｅの連結軸３９４６７ｅ４を挿入する孔であり、連結軸３９４６７ｅ４と略同一の形状に凹設される。
【１５５６】
第３片３９４６７ｅは、正面視略半円形の板状に形成される反射板３９４６７ｅ１と、その反射板３９４６７ｅ１から背面側（矢印Ｂ方向側）に向かって突設される軸部３９４６７ｅ３及び連結軸３９４６７ｅ４と、を備える。
【１５５７】
反射板３９４６７ｅ１は、樹脂材料から形成されると共に外面にメッキの塗装が施される。これにより、反射板３９４６７ｅ１にＬＥＤ３８４８３ｂから出射される光が照射された場合に、その外面で光を反射させることができる。また、反射板３９４６７ｅ１は、全体が正面側（矢印Ｆ方向側）に向かって円弧状に湾曲して形成される。これにより、正面側から照射される光を反射した場合に、その光を所定の部分に集光させることができる。なお、反射板３９４６７ｅ１による発光体１１４９１ａの光の遮蔽については後述する。
【１５５８】
軸部３９４６７ｅ３は、上述したように第１片３９４６７ｃの連結孔３９４６７ｃ２及び第２片３９４６７ｄの挿通孔３９４６７ｄ３に挿入される円柱体である。また、軸部３９４６７ｅ３の突設先端面には、軸部３９４６７ｅ３の挿入側と反対側から連結孔３９４６７ｃ２に挿入されるネジを螺合可能な孔が形成される。よって、軸部３９４６７ｅ３を連結孔３９４６７ｃ２及び挿通孔３９４６７ｄ３に挿入した状態で、軸部３９４６７ｅ３の挿入先端面にネジを締結することで、第１片３９４６７ｃ、第２片３９４６７ｄ及び第３片３９４６７ｅを連結することができると共に、第３片３９４６７ｅを第１片３９４６７ｃに対して回転可能な状態にできる。
【１５５９】
連結軸３９４６７ｅ４は、上述したように、第２片３９４６７ｄの凹設部３９４６７ｄ２に挿入される。これにより、第２片３９４６７ｄが第１片３９４６７ｃに対して軸部３９４６７ｅ３を中心に回転変位した際に、連結軸３９４６７ｅ４を第２片３９４６７ｄの変位に伴って変位させることができる。従って、第３片３９４６７ｅを第２片３９４６７ｄの変位に伴って変位させることができる。
【１５６０】
よって、図１９９に示すように、球受部３９４６７は、第１片３９４６７ｃ及び第２片３９４６７ｄの対向間に遊技球が受け入れられると、受け入れられた遊技球が、第１片３９４６７ｃ及び第２片３９４６７ｄの受入面（正面視Ｕ字に形成される内側の側面）を転動して、その受入面の最下端に位置する凹部３９４６７ｃ３に案内される。これにより、遊技球の外面で第２片３９４６７ｄを軸部３９４６７ｅ３を中心に第１片３９４６７ｃから離間する方向に回転させることができる。その結果、第２片３９４６７ｄの変位に伴って移動する第３片３９４６７ｅを上方に変位させてＬＥＤ３８４８３ｂの光の照射上に配置できる。
【１５６１】
従って、ＬＥＤ３８４８３ｂから出射される光を、第３片３９４６７ｅの反射板３９４６７ｅ１により下変位部材３９４４０の正面側（矢印Ｆ方向側）に反射させて、透過部１１４５１ｂから出射させることができる。これにより、透過部１１４５１ｂから出射される光量を部分的に多くして、遊技者に下変位部材３９４４０の内部に送球された遊技球の位置を認識させることができる。
【１５６２】
また、第２片３９４６７ｄは、凹設部３９４６７ｄ２に連結軸３９４６７ｅ４が挿入されて、第３片３９４６７ｅの荷重が常に作用される。第３片３９４６７ｅの重心Ｇは、第２片３９５６７ｄ及び第３片３９５６７ｅとの連結部分から、軸部３９４６７３ｅを挟んで反対側に設定される。これにより、第２片３９４６７ｄおよび第３片３９４６７ｅに重力以外の力が作用していない状態では、第３片３９４６７ｅの荷重により、第２片３９４６７ｄを第１片３９４６７ｃ側に、回転させることができる。
【１５６３】
従って、球受部３９４６７から遊技球が排出される（取り出される）と、第３片３９４６７ｅの荷重により第２片３９４６７ｄを第１片３９４６７ｃの受入片３９４６７ｃ４側に変位させることができる。よって、球受部３９４６７に遊技球が受け入れられた場合にのみ、反射板３９４６７ｅ１により反射されて透過部１１４５１ｂから出射される光量を部分的に大きくすることができる。その結果、球受部３９４６７の位置出し動作等により、反射板３９４６７ｅ１で光が反射されることを抑制できる。
【１５６４】
さらに、球受部３９４６７は、第１実施形態における球受部４６７と同様に、下変位部材３９４４０の内部をスライド変位させる動作により、軸穴３９４６７ｂを中心に回転されて、下変位部材３９４４０の出射開口４７１（図６６参照）から受け入れた遊技球が外側に排出される。
【１５６５】
ここで、球受部３９４６７に受け入れられた遊技球を排出する構造として、球受部３９４６７のスライド移動に伴って、軸孔４６７ｂを中心に球受部３９４６７の回転させる構造では、球受部３９４６７のスライド速度により、軸孔４６７ｂを中心とする球受部３９４６７の回転速度が変更される。従って、球受部３９４６７のスライド速度のみに回転速度が依存するので、球受部３９４６７からの遊技球の排出速度が安定しないという問題点があった。
【１５６６】
これに対し、第３９実施形態では、第３片３９４６７ｅの荷重により第２片３９４６７ｄが回転する方向と、遊技球を出射する際の軸孔４６７ｂを軸とする球受部３９４６７の回転方向とが略同一の方向に設定されるので、出射開口４７１から出射される遊技球に第２片３９４６７ｄが変位する際の駆動力を付与することができる。従って、球受部３９４６７を変位させて出射開口４７１から遊技球を排出する際の球受部３９４６７から遊技球に作用させる力を小さくしても、出射される遊技球の速度を維持することができる。その結果、球受部３９４６７から出射される遊技球の排出速度を安定させることができる。
【１５６７】
次いで、図２００を参照して、第４０実施形態における第１ユニット４０５５１について説明する。上記第１実施形態では、主経路ＳＫ１の湾曲部５８１ａに遊技球が詰まった場合にその不具合を報知する場合について説明したが、第４０実施形態では、規定の大きさ以外の遊技球が主経路ＳＫ１を通過する場合に不正を報知できる。なお、上記各実施形態と同一の部分については、同一の符号を付してその詳しい説明を省略する。
【１５６８】
図２００（ａ）は、第４０実施形態における第１ユニット４０５５１の模式断面図であり、図２００（ｂ）は、図２００（ａ）のＣＣｂ−ＣＣｂ線における第１ユニット４０５５１の模式断面図である。なお、図２００（ａ）の断面図は、図２５の断面図と対応する。
【１５６９】
図２００に示すように、第４０実施形態における第１ユニット４０５５１は、正面側（矢印Ｆ向側）に配設される第１経路部材５６０と、その第１経路部材５６０の背面側（矢印Ｂ方向側）に配設される第２経路部材５７０と、その第２経路部材５７０の背面に配設される第３経路部材４０５８０と、を主に備えて形成される。
【１５７０】
第３経路部材４０５８０は、第２経路部材５７０の上方側（矢印Ｕ方向側）の背面に配設される第１覆設部材４０５８１と、第２経路部材５７０の下方側（矢印Ｄ方向側）の背面に配設される第２覆設部材５８２（図１９参照）と、第１覆設部材４０５８１及び第２覆設部材５８２の間に配設される第１駆動ユニット５８３（図１９参照）と、第２覆設部材５８２の背面に配設される第２駆動ユニット５８４（図１９参照）と、を主に備えて構成される。
【１５７１】
第１覆設部材４０５８１は、背面側（矢印Ｂ方向側）に略Ｕ字状に湾曲する遊技球の送球経路を形成する部材であり、第１開口部５７１ａ及び第４開口部５７１ｄの背面側を連結する湾曲部４０５８１ａと、その湾曲部４０５８１ａの下方側に連なる板状の取付部４０５８１ｂと、を主に備える。
【１５７２】
湾曲部４０５８１ａは、第１開口部５７１ａ及び第４開口部５７１ｄ（第２経路部材５７０）側が開放される断面Ｕ字状に湾曲して形成され、その内側に第１転動部５７６が配設される。また、湾曲部４０５８１ａは、左右方向（矢印Ｌ−Ｒ方向）における幅寸法が、背面側（矢印Ｂ方向側）に向かって小さく形成されており、断面Ｕ字の湾曲部分における左右方向の幅寸法Ｘ１０（図２００（ａ）参照）が遊技球の直径に対して１．１倍以下の大きさに形成される。これにより、規定の遊技球よりも直径が１．１倍以上の遊技球が送球された場合に、その遊技球を湾曲部４０５８１ａ（主経路ＳＫ１）の内部で停止させることができる。
【１５７３】
また、湾曲部４０５８１ａは、第１実施形態における湾曲部５８１ａと同様に、センターフレーム８６の凹部８６ｂ２（図１７参照）の内側に配設される。よって、湾曲部４０５８１ａの内部に停止した遊技球を検出装置８６ｂ３（図１７参照）により検出してパチンコ機１０にエラー（不正）を報知させることができる。
【１５７４】
さらに、湾曲部４０５８１ａは、断面Ｕ字の湾曲部分に開口する開口４０５８１ａ１と、その開口４０４８１ａ１の背面側の端部から上方が開放する箱状に突設される収容部４０５８１ａ２とを備える。
【１５７５】
開口４０５８１ａ１は、規定の遊技球の直径よりも小さい直径の球を主経路ＳＫ１から排出する開口であり、左右方向（矢印Ｌ−Ｒ方向）における開口寸法Ｘ１５（図２００（ａ）参照）が、遊技球の直径の０．９倍よりも大きい寸法に形成される。なお、開口４０５８１ａ１は、第１転動部５７６を転動する遊技球の転動方向となる湾曲部４０５８１ａの背面側に形成されており、主経路ＳＫ１を通過する遊技球を開口４０５８１ａ１に送球することができる。これにより、規定の遊技球よりも直径が０．９割以上小さい遊技球が送球された場合に、その遊技球を開口４０５８１ａ１から主経路ＳＫ１の外側に排出することができる。
【１５７６】
収容部４０５８１ａ２は、開口４０５８１ａ１から排出される遊技球を収容する箱であり、内側の空間が遊技球の直径よりも大きい大きさに形成される。これにより、開口４０５８１ａ１から排出された遊技球を収容部４０５８１ａ２に収容することができ、その収容された遊技球を検出装置８６ｂ３により検出してパチンコ機１０にエラー（不正）を報知させることができる。
【１５７７】
なお、第４０実施形態では、幅寸法Ｘ１０及び開口寸法Ｘ１１が、規定の直径（１１ミリメートル）の遊技球に対して０．１倍の異なる大きさで形成される場合について説明したが、必ずしもこれに限られるものではなく、遊技球に対する大きさの倍率を変更しても良い。
【１５７８】
次いで、図２０１及び図２０２を参照して第４１実施形態における第１ユニット４１５５１について説明する。上記第１実施形態では、主経路ＳＫ２、湾曲経路ＷＫ１及び主経路ＳＫ３に形成される第１凹部５７１ｈ、第２凹部５７１ｉ及び第３凹部５７１ｊが、湾曲経路ＷＫ１の湾曲部分を中心に上下（矢印Ｕ−Ｄ方向）で略対象に形成される場合について説明したが、第４１実施形態における第１凹部４１５７１ｈ、第２凹部４１５７１ｉ及び第３凹部４１５７１ｊは、それぞれ異形に形成されるなお、上記各実施形態と同一の部分については、同一の符号を付してその詳しい説明を省略する。
【１５７９】
図２０１（ａ）は、第４１実施形態における第１ユニット４１５５１の模式断面図であり、図２０１（ｂ）は、図２０１（ａ）のＣＣＩｂ−ＣＣＩｂ線における第１ユニット４１５５１の模式断面図である。図２０２（ａ）は、図２０１（ａ）のＣＣＩＩａ−ＣＣＩＩａ線における第１ユニット４１５５１の模式断面図であり、図２０２（ｂ）は、図２０１（ａ）のＣＣＩＩｂ−ＣＣＩＩｂ線における第１ユニット４１５５１の模式断面図である。
【１５８０】
図２０１及び図２０２に示すように、第４１実施形態における第１ユニット４１５５１は、正面側に配設される第１経路部材４１５６０と、その第１経路部材４１５６０の背面側に配設される第２経路部材４１５７０と、その第２経路部材４１５７０の背面に配設される第３経路部材５８０（図１９参照）と、を主に備えて形成される。
【１５８１】
第１経路部材４１５６０は、遊技盤１３（図２参照）の遊技領域の正面に沿った板状に形成される正面板４１５６４と、上方側（矢印Ｕ方向側）が開放する断面略Ｕ字状に形成され、正面板４１５６４の上方側（矢印Ｕ方向側）端部から背面側（矢印Ｂ方向側）に突設される第１受入部５６１、第２受入部５６２及び第３受入部５６３と（図２１参照）、その第１受入部５６１、第２受入部５６２及び第３受入部５６３の下側（矢印Ｄ方向側）に連なって突設されると共に、正面板４１５６４の一部の端部に沿って延設される第１壁部４１５６５と、その第１壁部５６５の下方に形成され、所定の間隔を隔てた２箇所から突設される２組の第２壁部５６６及び第３壁部５６７（図２１参照）と、を主に備える。
【１５８２】
正面板４１５６４は、後述する第２経路部材４１５７０及び第３経路部材５８０の対向間に形成される遊技球の流下経路の正面側（矢印Ｆ方向側）の壁部となる板部材であり、光透過部材から形成される。これにより、遊技者は、第１ユニット５５１の内部を流下する遊技球を正面板４１５６４を介して（通して）視認することができる。
【１５８３】
また、正面板５６４は、後述する第１凹部４１５７１ｈ、第２凹部４１５７１ｉ及び第３凹部４１５７１ｊと対向する位置に、それぞれ第１凸部４１５６４ｂ、第２凸部４１５６４ｃ及び第３凸部４１５６４ｄが突設される。
【１５８４】
第２経路部材４１５７０は、第１経路部材４１５６０の正面板４１５６４と対向する板状のベース板４１５７１と、そのベース板４１５７１の正面（矢印Ｆ方向側）から第１経路部材４１５６０側に突設される第４壁部５７３（図２１参照）と、その第４壁部５７３から下方側に所定の距離離間する位置に突設される第５壁部５７４（図２１参照）と、その第５壁部５７４から下方側に所定の距離離間する位置に突設される第６壁部５７５（図２１参照）と、を主に備えて形成される。
【１５８５】
ベース板４１５７１は、正面板４１５６４との対向間で形成される遊技球の送球経路（主経路ＳＫ２、湾曲経路ＷＫ１及び主経路ＳＫ３）に凹設される第１凹部４１５７１ｈ、第２凹部４１５７１ｉ及び第３凹部４１５７１ｊを備える。
【１５８６】
第１凹部４１５７１ｈ、第２凹部４１５７１ｉ及び第３凹部４１５７１ｊは、背面側に向かって湾曲形状に凹設されて形成される。また、第１凹部４１５７１ｈ及び第１凸部４１５６４ｂの対向間寸法と、第２凹部４１５７１ｉ及び第２凸部４１５６４ｃの対向間寸法と、第３凹部４１５７１ｊ及び第３凸部４１５６４ｄの対向間寸法は、それぞれ同一の対向間寸法Ｌ１９（図２０１（ｂ）参照）に設定される。
【１５８７】
また、対向間寸法Ｌ１９は、遊技球の直径よりも大きい値に設定されると共に、正面板４１５６４の背面およびベース板５７１の正面の対向間寸法Ｌ２０（図２０１（ｂ）参照）よりも小さい値に設定される。これにより、第１凹部４１５７１ｈ、第２凹部４１５７１ｉ及び第３凹部４１５７１ｊと、第１凸部４１５６４ｂ、第２凸部４１５６４ｃ及び第３凸部４１５６４ｄとの対向間に送球される遊技球を第１凹部４１５７１ｈ、第２凹部４１５７１ｉ及び第３凹部４１５７１ｊと、第１凸部４１５６４ｂ、第２凸部４１５６４ｃ及び第３凸部４１５６４ｄに当接させて、遊技球の転動（流下）速度を遅くすることができる。
【１５８８】
さらに、第１凸部４１５６４ｂ、第２凸部４１５６４ｃ及び第３凸部４１５６４ｄのベース板４１５７１側への突出寸法は同一に設定される。また、第１凸部４１５６４ｂ、第２凸部４１５６４ｃ及び第３凸部４１５６４ｄの突設先端面と、第１凹部４１５７１ｈ、第２凹部４１５７１ｉ及び第３凹部４１５７１ｊを除くベース板４１５７１の正面との対向間の距離寸法Ｌ２１（図２０１（ｂ）参照）は、遊技球の直径よりも小さく設定される。これにより、第１凹部４１５７１ｈ、第２凹部４１５７１ｉ及び第３凹部４１５７１ｊと、第１凸部４１５６４ｂ、第２凸部４１５６４ｃ及び第３凸部４１５６４ｄとの対向間に送球される遊技球を第１凸部４１５６４ｂ、第２凸部４１５６４ｃ及び第３凸部４１５６４ｄに衝突させることができる。その結果、遊技球の転動（流下）速度を遅くすることができる。
【１５８９】
第１凹部４１５７１ｈは、主経路ＳＫ２のベース板４１５７１に形成されており、主経路ＳＫ２の遊技球の送球方向に沿って長く凹設される。これにより、第１凹部４１５７１ｈの内側に送球された遊技球が第１凹部４１５７１ｈの内部を送球された際に、第１凹部４１５７１ｈとの摩擦抵抗が増加することを抑制できる。その結果、主経路ＳＫ２を流下する遊技球が第１凹部４１５７１ｈとの当接により停止することを抑制できる。
【１５９０】
第１凹部４１５７１ｈとの対向面に突設される第１凸部４１５６４ｂは、第１凹部４１５７１ｈの延設方向と直交する方向に延設される。これにより、主経路ＳＫ２を送球される遊技球を第１凸部４１５６４ｂに当接させた際に、その遊技球を第１凹部４１５７１ｈの内側に送球しやすくできる。
【１５９１】
第２凹部４１５７１ｉは、湾曲経路ＷＫ１のベース板４１５７１に形成されており、重力方向（矢印Ｕ−Ｄ方向）に沿って長く凹設される。また、第２凹部４１５７１ｉは、正面視における形状が上下方向に長い楕円に形成され、その楕円の左右方向における中間位置が、上下方向に延びる湾曲経路ＷＫ１の左右方向中間位置に設定される。また、第２凹部４１５７１ｉの楕円の上方側（主経路ＳＫ２側）の湾曲中心が、主経路ＳＫ２を送球される遊技球の中心の送球軌跡上に配置される。従って、第２凹部４１５７１ｉは、主経路ＳＫ２から送球される遊技球の送球軌跡よりも上方側に凹設されるので、主経路ＳＫ２を遊技球が比較的速い速度で送球された場合でも、その遊技球の中心を第２凹部４１５７１ｉの正面側を通過させることができる。その結果、主経路ＳＫ２を通過する遊技球を第２凹部４１５７１ｉの内側に送球して遊技球の速度を遅くしやすくでき、湾曲経路ＷＫ１で遊技球が暴れることを抑制できる。
【１５９２】
第２凹部４１５７１ｉとの対向面に突設される第２凸部４１５６４ｃは、正面視において略Ｌ字状に屈曲して形成される。また、第２凸部４１５６４ｃは、屈曲部分が正面視における第２凹部４１５７１ｉの楕円の上方側の湾曲中心の正面側に設定される。また、第２凸部４１５６４ｃの一方側の屈曲部分が、湾曲経路ＷＫ１の遊技球の送球方向と直交する方向に延設されると共に、他方側の屈曲部分が、主経路ＳＫ２の遊技球の送球方向と直交する方向に延設される。これにより、主経路ＳＫ２から湾曲経路ＷＫ１に送球される遊技球を他方側の第２凸部４１５６４ｃに当接させて第２凹部４１５７１ｉの内側に送球すると共に、一方側の第２凸部４１５６４ｃに当接させて湾曲経路ＷＫ１１を送球される遊技球の送球速度を低下しやすくできる。その結果、湾曲経路ＷＫ１に送球された遊技球が暴れることを抑制して、遊技球をスムーズに送球することができる。
【１５９３】
第３凹部４１５７１ｊは、主経路ＳＫ３のベース板４１５７１に形成されており、主経路ＳＫ３の遊技球の送球方向に長い楕円形状に凹設される。これにより、第３凹部４１５７１ｊの内側に送球された遊技球が第３凹部４１５７１ｊの内側を送球された際に、第３凹部４１５７１ｊとの摩擦抵抗が増加することを抑制できる。その結果、主経路ＳＫ３を流下する遊技球が第３凹部４１５７１ｊとの当接により停止することを抑制できる。
【１５９４】
また、第３凹部４１５７１ｊは、遊技球の送球経路の上流側の端部の湾曲中心が第２凹部４１５７１ｉの左右方向中央位置の下方側に設定される。これにより、湾曲経路ＷＫ１の第２凹部４１５７１ｉの内側を流下した遊技球を第２凹部４１５７１ｉに受け入れやすくすることができ、湾曲経路ＷＫ１から主経路ＳＫ３へ遊技球を送球しやすくできる。
【１５９５】
第３凹部４１５６７１ｊとの対向面に突設される第３凸部４１５６４ｄは、正面視において略Ｌ字状に屈曲して形成される。また、第３凸部４１５６４ｄは、屈曲部分が正面視における第３凹部４１５７１ｊの上流側端部の湾曲中心の正面側に設定される。第３凸部４１５６４ｄの一方側の屈曲部分が、主経路ＳＫ３の遊技球の送球方向と直交する方向に延設され、他方側の屈曲部分が、湾曲経路ＷＫ１の遊技球の送球方向と直交する方向に延設される。これにより、湾曲経路ＷＫ１から主経路ＳＫ３に送球される遊技球を他方側の第３凸部４１５６４ｄに当接させて第３凹部４１５７１ｊの内側に送球すると共に、一方側の第３凸部４１５６４ｄに当接させて主経路ＳＫ３を送球する遊技球の送球速度を低下させることができる。その結果、湾曲経路ＷＫ１から主経路ＳＫ１に送球された遊技球が暴れることを抑制して、遊技球をスムーズに送球することができる。
【１５９６】
次いで、図２０３から図２０６を参照して、第４２実施形態における遊技盤４２０１３について説明する。上記第１実施形態では、背面ケース３００に配設される基板ボックス１００（主制御装置１１０）の他端側が、基板ボックス１００の背面側から挿通されるネジにより背面ケース３００に固定される場合について説明したが、第４２実施形態では、背面ケース４２３００に配設される第２係合部材４２３７０が基板ボックス４２１００に係合される場合について説明する。
【１５９７】
初めに、図２０３及び図２０４を参照して、第４２実施形態における背面ケース４２３００の全体構成について説明する。図２０３は、第４２実施形態における背面ケース４２３００の分解斜視正面図である。図２０４（ａ）は、背面ケース４２３００の正面図であり、図２０４（ｂ）は、図２０４（ａ）のＣＣＩＶｂ−ＣＣＩＶｂ線における背面ケース４２３００の模式断面図である。なお、上記各実施形態と同一の部分には同一の符号を付してその詳しい説明を省略する。
【１５９８】
図２０３及び図２０４に示すように、第４２実施形態における背面ケース４２３００は、正面視略矩形の底壁部４２３０１と、その底壁部４２３０１の４辺の外縁から正面へ向けて立設される外壁部４２３０２とを備え、それら各壁部４２３０１，４２３０２により一面側（正面側）が開放された箱状に形成される。
【１５９９】
また、背面ケース４２３００は、底壁部４２３０１の正面側（箱状に形成された開放側（矢印Ｆ方向側））に配設される係合部材３１０と、背面ケース４２３００の背面側に配設され、基板ボックス４２１００の一端側を固定する固定部材３２０と、底壁部４２３０１の正面側に配設され、基板ボックス４２１００の他端側を固定する第２係合部材４２３７０と、を備える。
【１６００】
底壁部４２３０１は、その中央に正面視矩形の開口３０１ａが、開口形成され、その開口３０１ａを通じて、底壁部４２３０１の背面に配設される第３図柄表示装置８１（図２参照）が視認可能とされる。また、底壁部４２３０１には、正面側に円柱状に突設され、係合部材３１０の摺動溝３１４に挿入される突設部３０１ｂと、固定部材３２０と対抗する位置に開口する第１開口部３０１ｃと、係合部材３１０と対向する位置に開口する第２開口部３０１ｄと、底壁部４２３０１の正面側（矢印Ｆ方向側）に円柱状に突設され、後述する第２係合部材４２３７０の摺動溝４２３７２に挿入される第２突設部４２３０１ｆと、その第２突設部４２３０１ｆの上方（矢印Ｕ方向）に板厚方向（矢印Ｆ−Ｂ方向）に貫通形成される第３開口部４２３０１ｇと、を備える。
【１６０１】
第２突設部４２３０１ｆは、第２係合部材４２３７０の変位方向を規定する突起であり、重力方向の２箇所に並んで形成される。また、第２突設部４２３０１ｆの外径は、後述する第２係合部材４２３７０の摺動溝４２３７２の短手方向の溝幅よりも若干小さい寸法に設定される。さらに、２箇所の第２突設部４２３０１ｆは、互いの中心の離間距離が摺動溝４２３７２の長手方向の溝幅よりも小さい寸法に設定される。これにより、摺動溝４２３７２の内側に２箇所の第２突設部４２３０１ｆを挿入して配設できる。
【１６０２】
第３開口部４２３０１ｇは、内側に後述する基板ボックス４２１００の突設部４２１１８が挿入される開口であり、正面視における突設部４２１１８の外形よりも大きい寸法で開口される。また、第３開口部４２３０１ｇは、係合部材３１０と固定部材３２０とが係合された状態（図２０４（ａ）に示す状態）において、係合部材３１０を固定部材３２０との係合を解除する方向（矢印Ｌ方向）に隣合う位置に形成される。これにより、第３開口部４２３０１ｇに突設部４２１１８が挿入された状態において、係合部材３１０を固定部材３２０との係合を解除することを不能とできる。なお、突設部４２１１８と係合部材３１０との位置関係についての詳しい説明は後述する。
【１６０３】
外壁部４２３０２は、正面視において下方側（矢印Ｄ方向側）の側面に上下方向（矢印Ｕ−Ｄ方向）に開口する第２開口部４２３０２ｂを備える。第２開口部４２３０２ｂは、後述する第２係合部材４２３７０の下方側（矢印Ｄ方向側）の端部を挿通させる開口であり、第２係合部材４２３７０の変位領域に開口形成される。これにより、第２係合部材４２３７０を変位させることができる。
【１６０４】
基板ボックス４２１００は、正面視における外形が、横長矩形の長方形に形成されると共に、内側に主制御装置１１０が配設される。また、基板ボックス４２１００は、一端側（矢印Ｒ方向側）の端部から突出する軸受部１１７（図２０６（ａ）参照）と、基板ボックス４２１００の正面側の一面から突設される突設部４２１１８と、を備える。
【１６０５】
突設部４２１１８は、上述したように、背面ケース４２３００の第３開口部４２３０１ｇに挿入される部分であり、基板ボックス４２１００の正面と背面ケース４２３００の背面とが平行となる状態において、背面ケース４２３００の底壁部４２３０１の正面側に後述する開口部４２１１８ａが配置される長さに設定される。また、突設部４２１１８は、重力方向に開口する開口部４２１１８ａを備えており、その開口部４２１１８ａの内側に後述する第２係合部材４２３７０が挿通した状態で配設される。これにより、基板ボックス４２１００が固定部材３２０を中心に回転することを抑制して、基板ボックス４２１００を背面ケース４２３００の背面側（矢印Ｂ方向側）に変位不能な状態で配設できる。
【１６０６】
また、突設部４２１１８が挿入される第３開口部４２３０１ｇは、上述したように係合部材３１０と固定部材３２０とが係合された状態（図２０４（ａ）に示す状態）において、係合部材３１０を固定部材３２０との係合を解除する方向（矢印Ｌ方向）に隣合う位置に形成されるので、突設部４２１１８が係合部材３１０と隣り合う位置に配設される。また、突設部４２１１８の第３開口部４２３０１ｇへの挿入寸法Ｙ６（図２０４（ｂ）参照）は、係合部材３１０の正面と底壁部４２３０１の正面との離間距離Ｙ７（図２０４（ｂ）参照）よりも大きく設定される。これにより、図２０４（ｂ）に示すように、係合部材３１０と突設部４２１１８とが前後方向（矢印Ｆ−Ｂ方向）位置において重なる位置に配設される。
【１６０７】
従って、突設部４２１１８の開口部４２１１８ａに第２係合部材４２３７０が挿入された状態において、係合部材３１０が固定部材３２０との係合を解除する方向（突設部４２１１８が配設された方向）への変位が規制される。その結果、開口部４２１１８ａに第２係合部材４２３７０が挿入された状態で、係合部材３１０が固定部材３２０との係合が不正に解除されることを抑制でき、基板ボックス４２１００（主制御装置１１０）が不正な基盤に交換されることを抑制できる。
【１６０８】
また、突設部４２１１８の開口部４２１１８ａは、重力方向に開口されており、その開口部４２１１８ａに挿入される第２係合部材４２３７０が重力方向に変位されて挿入される。従って、第２係合部材４２３７０の変位方向（重力方向）と、係合部材３１０の変位方向（水平方向）と、直行する方向に設定されるので、係合部材３１０が遊技者の不正により無理に操作された場合の力を、開口部４２１１８ａに挿入される第２係合部材４２３７０で受け止めやすくすることができる。その結果、係合部材３１０が遊技者の不正により無理に操作された場合に、固定部材３２０との係合が解除されることを抑制できる。
【１６０９】
第２係合部材４２３７０は、正面視縦長矩矩形の板状に形成される板部材４２３７１と、その板部材４２３７１の上方側（矢印Ｕ方向側）の端部から下方（矢印Ｄ方向）に向かって凹設される凹設部４２３７４と、板部材４２３７１の上方側（矢印Ｕ方向側）端部の水平方向外側（矢印Ｌ−Ｒ方向）に突設される第２係合部４２３７３と、凹設部４２３７４の下方に位置に前後方向（矢印Ｆ−Ｂ方向）に開口される摺動溝４２３７２と、を主に備える。
【１６１０】
摺動溝４２３７２は、上述したように、第２係合部材４２３７０を変位可能に配設するための開口であり、重力方向（矢印Ｕ−Ｄ方向）に長く開口される。また、摺動溝４２３７２は、短手方向（矢印Ｌ−Ｒ方向）の幅寸法が、摺動溝４２３７２の内側に配設される第２突設部４２３０１ｆの直径と略同一に設定される。よって、上述したように摺動溝４２３７２に第２突設部４２３０１ｆが挿入されると、第２係合部材４２３７０の摺動方向が摺動溝４２３７２の開口の長手方向に規定される。
【１６１１】
凹設部４２３７４は、板部材４２３７１の上方側の端部を弾性変形やすくするための開口であり、下方に向かって凹設されると共に、前後方向に切り欠かれる。これにより、板部材４２３７１の上方側の端部の剛性を低くして、弾性変形やすくできる。
【１６１２】
第２係合部４２３７３は、上述した突設部４２１１８の開口部４２１１８ａの端部と係合する部分であり、凹設部４２３７４の切り欠き方向と直行する方向の両側面から突設され、その両側の突設先の端部の離間距離Ｘ１２（図２０４（ａ）参照）が、開口部４２１１８ａの左右方向の開口寸法Ｘ１３（図２０４（ｂ）参照）よりも大きく設定される。これにより、第２係合部材４２３７０が開口部４２１１８ａに挿入された場合に、第２係合部４２３７３が開口部４２１１８ａの端部と係合することで、第２係合部４２３７３が開口部４２１１８ａから抜け出ることを抑制できる。
【１６１３】
なお、第２係合部４２３７３は、板部材４２３７１の上方側から下方側に向かって水平方向外側に突設する形状に形成される。これにより、第２係合部材４２３７０が開口部４２１１８ａに挿入される際に、第２係合部４２３７３を開口部４２１１８ａの内側に当接させて、板部材４２３７１の上方側を弾性変形させやすくすることができる。
【１６１４】
また、第２係合部材４２３７０は、開口部４２１１８ａに挿入された状態（係合部４２３７３が突設部４２１１８と係合した状態）において、下方側の端部が、外壁部４２３０２の第２開口部４２３０２ｂの内側に配置される。これにより、第２係合部材４２３７０が背面ケース４２３００の外側から操作されることを抑制できる。その結果、第２係合部４２３７３と突設部４２１１８との係合が不正に解除されて、基板ボックス４２１００（主制御装置１１０）が不正な基盤に交換されることを抑制できる。
【１６１５】
次いで、図２０４及び図２０５を参照して、背面ケース４２３００への基板ボックス４２１００の配設方法について説明する。図２０５（ａ）は、背面ケース４２３００の正面図であり、図２０５（ｂ）は、図２０５（ａ）のＣＣＶｂ−ＣＣＶｂ線における背面ケース４２３００の模式断面図である。なお、図２０４（ａ）及び図２０４（ｂ）では、背面ケース４２３００に基板ボックス４２１００が配設された後の状態が図示され、図２０５（ａ）及び図２０５（ｂ）では、背面ケース４２３００に基板ボックス４２１００が配設される前の状態が図示される。
【１６１６】
第４２実施形態における基板ボックス４２１００は、上述した第１実施形態と同様に、初めに、固定部材３２０が係合部材３１０と係合されて、一側が背面ケース４２３００の背面側に配設される。
【１６１７】
なお、図２０５（ａ）及び図２０５（ｂ）に示すように、係合部材３１０が固定部材３２０に係合前（変位前）の状態では、係合部材３１０の第２片３１２の先端が、第３開口部４２３０１ｇの正面側に配設される。これにより、係合部材３１０と固定部材３２０とが係合される前に、基板ボックス４２１００の突設部４２１１８が第３開口部４２３０１ｇの内側に挿通されることを抑制できる。その結果、基板ボックス４２１００が、突設部４２１１８及び第２係合部材４２３７０の係合のみで、背面ケース４２３００に配設されることを抑制できる。
【１６１８】
次に、基板ボックス４２１００は、他側が一側の固定部材と３２０との連結部分を軸に回転され、突設部４２１１８が背面ケース４２３００の第３開口部４２３０１ｇの内側に挿通される。これにより、突設部４２１１８が第２係合部材４２３７０と係合可能な位置配置される。
【１６１９】
なお、第２係合部材４２３７０は、第３開口部４２３０１ｇの内側に挿通前の状態において、下方側が第２開口部４２３０２ｂに挿通されて背面ケース４２３００の外側に配置される（図２０５（ａ）参照）。これにより、基板ボックス４２１００を背面ケース４２３００に配設する作業者は、背面ケース４２３００の外側から第２係合部材４２３７０を操作して、第２係合部材４２３７０は、第３開口部４２３０１ｇの内側に挿通させることができる。
【１６２０】
また、第２係合部材４２３７０は、その変位方向が重力方向に設定されるので、第３開口部４２３０１ｇの内側に挿通前の状態において、重力の作用により下方側の端部に配設される。これにより、突設部４２１１８が背面ケース４２３００の第３開口部４２３０１ｇの内側に挿通される際に、第２係合部材４２３７０と衝突することを抑制できる。その結果、作業者の作業効率を向上できる。
【１６２１】
また、第２係合部材４２３７０を突設部４２１１８に係合し忘れた場合に、第２係合部材４２３７０を背面ケース４２３００の外側に配置することができるので、作業者に正常な状態でないことを認識やすくすることができる。その結果、第２係合部材４２３７０と突設部４２１１８との係合し忘れを防止できる。
【１６２２】
次に、図２０６を参照して、背面ケース４２３００とベース板４２０６０とについて説明する。図２０６（ａ）は、遊技盤１３の背面図であり、図２０６（ｂ）は、図２０６（ａ）のＣＣＶＩｂ−ＣＣＶＩｂ線における遊技盤１３の断面図である。
【１６２３】
図２０６に示すように、第４２実施形態におけるベース板４２０６０の背面には、立設部材４２０６０ｆが配設される。立設部材４２０６０ｆは、ベース板４２０６０の背面側（矢印Ｂ方向側）に向かって立設されており、その立設先端位置が、背面ケース４２３００の底壁部４２３０１の同一平面状に設定される。また、立設部材４２０６０ｆは、第２係合部材４２３７０の下方側に配置されると共に、背面ケース４２３００の外側に配設される。これにより、第２係合部材４２３７０と突設部４２１１８とを係合し忘れた状態で、背面ケース４２３００を遊技盤４２０１３に配設した場合に、立設部材４２０６０ｆを第２係合部材４２３７０の下方側に衝突させることができる。その結果、第２係合部材４２３７０と突設部４２１１８とを係合し忘れた状態、又は、背面ケース４２３００に基板ボックス４２１００を配設し忘れた状態で、背面ケース４２３００がベース板４２０６０に配設されることを抑制できる。
【１６２４】
なお、本実施形態では、立設部材４２０６０ｆに、背面ケース４２３００の内側を照射する発光基板が配設される。これにより、立設部材４２０６０ｆを光を照射する部分と、異常な状態で背面ケース４２３００とベース板４２０６０とが係合されることを抑制する部分と、兼用させることができる。その結果、ベース板４２０６０の外形が大きくなることを抑制できる。
【１６２５】
次いで、図２０７から図２１１を参照して、第４３実施形態における背面ケース４３３００について説明する。上記第１実施形態では、被係合部３３２が、固定部材３２０に形成される場合について説明したが、第４３実施形態における被係合部４３１０１は、固定部材４３３２０に軸支される基板ボックス４３１００に形成される。なお、上記各実施形態と同一の部分については、同一の符号を付してその詳しい説明を省略する。
【１６２６】
初めに、図２０７から図２１１を参照して、第４３実施形態における背面ケース４３３００の構成について説明する。図２０７は、第４３実施形態における背面ケース４３３００の分解斜視正面図である。図２０８（ａ）は、背面ケース４３３００の正面図であり、図２０８（ｂ）は、背面ケース４３３００の背面図である。図２０９（ａ）は、図２０８（ｂ）のＣＣＩＸａ−ＣＣＩＸａ線における背面ケース４３３００の断面図であり、図２０９（ｂ）は、図２０９（ａ）におけるＣＣＩＸｂ−ＣＣＩＸｂ線における背面ケース４３３００の断面図である。なお、図２０８および図２０９では、係合部材１８３１０と基板ボックス４３１００（被係合部４３１０１）とが係合された状態が図示される。
【１６２７】
図２０７から図２０９に示すように、第４３実施形態における背面ケース４３３００は、正面視略矩形の底壁部４３３０１と、その底壁部４３３０１の４片の外縁から正面へ向けて立設される外壁部１８３０２とを備え、それら各壁部４３３０１，１８３０２により一面側（正面側）が開放された箱状に形成される。また、背面ケース４３３００は、底壁部４３３０１の正面側（箱状に形成された開放側（矢印Ｆ方向側））に配設される係合部材１８３１０と、背面ケース４３３００の背面側に配設され、基板ボックス４３１００（主制御装置１１０）を固定（軸支）する固定部材４３３２０と、を備える。
【１６２８】
底壁部４３３０１は、その中央に正面視矩形の開口３０１ａが開口形成され、その開口３０１ａを通じて、底壁部４３３０１の背面に配設される第３図柄表示装置８１（図２参照）が視認可能とされる。また、底壁部４３３０１は、固定部材４３３２０と対向する位置に開口する第１開口部４３３０１ｃと、その第１開口部４３３０１ｃの下方（矢印Ｄ方向）に位置し、正面側に突出する突設部１８３０１ｂと、を備える。
【１６２９】
突設部１８３０１ｂは、上記第１８実施形態と同様に、係合部材１８３１０を軸支する突起であり、底壁部４３３０１の正面から円柱状に突設される。また、突設部１８３０１ｂの突設先端面には、ネジを螺合する孔が凹設される。これにより、係合部材１８３１０を背面ケース１８３００に配設した状態で、突設部１８３０１ｂにネジを螺合することで係合部材１８３１０が突設部１８３０１ｂから抜け出ることを規制できる。
【１６３０】
なお、背面ケース４３３００に軸支された係合部材１８３１０は、重心が背面ケース４３３００の突設部１８３０１ｂよりも外壁部１８３０２の開口部１８３０２ａ側に位置する。これにより、外部の力が作用していない状態では、重力により第１片１８３１１と第２片１８３１２との連結部が背面ケース４３３００の開口部１８３０２ａから突出する方向に回転する力が係合部材１８３１０に作用される。従って、係合部材１８３１０と固定部材４３３２０との係合が不完全であった場合に、係合部材１８３１０を背面ケース４３３００の外側に突出させて係合部材１８３１０と固定部材４３３２０との係合の忘れを防止することができる。
【１６３１】
第１開口部４３３０１ｃは、後述する基板ボックス４３１００の被係合部４３１０１を挿通するための開口であり、正面視において被係合部４３１０１よりも大きい形状に形成される。これにより、背面ケース４３３００の内側に役物装置（回転ユニット７００を配設した後で基板ボックス４３１００の被係合部４３１０１を背面ケース４３３００の背面側から背面ケース４３３００の正面側に配置することができる。
【１６３２】
また、第１開口部４３３０１ｃの縁部には、後述する固定部材４３３２０の一側（矢印Ｒ方向側）に形成される係止部３３１を係合させるための突壁４３３０１ｃ１（図２０９（ａ）参照）と、後述する固定部材４３３２０の他側（矢印Ｌ方向側）に形成される第２係止部４３３３６を係合させるための第２突壁４３３０１ｃ２（図２０９（ａ）参照）と、が突設される。
【１６３３】
突壁４３３０１ｃ１及び第２突壁４３３０１ｃ２とは、背面側（矢印Ｂ方向側）の突設先端部分が互いに反対方向に屈曲される。これにより、突壁４３３０１ｃ１及び第２突壁４３３０１ｃ２に後述する固定部材４３３２０が係合された状態で、固定部材４３３２０が揺れ動かされて固定部材４３３２０との係合が解除されることを抑制できる。
【１６３４】
突設部１８３０１ｂは、上記第１８実施形態で説明したように、係合部材１８３１０を軸支する部材であり、底壁部４３３０１の正面から円柱状に突設される。従って、係合部材１８３１０は、突設部１８３１０ｂの中心を軸として回転可能な状態で背面ケース４３３００に配設される。
【１６３５】
固定部材４３３２０は、背面ケース４３３００の底壁部４３３０１と係合する介設部材４３３３０と、その介設部材４３３３０に締結される軸支部材３４０とから構成される。
【１６３６】
介設部材４３３３０は、正面側が開放する箱状に形成され、一側（矢印Ｒ方向側）の側面に突設される係止部３３１と、箱状の底面（矢印Ｂ方向側の側面）に円柱状に開口する挿通孔３３３（図３９（ｂ）参照）と、背面側から突出する突部３３４（図３９（ｂ）参照）と、他側（矢印Ｌ方向側）の内面から一側に向かって突出する第２係止部４３３３６と、を主に備える。
【１６３７】
係止部３３１は、固定部材４３３２０の一側（矢印Ｒ方向側）を底壁部４３３０１に係合させるための開口を備え、その開口に上述した第１開口部４３３０１ｃの周囲から断面Ｌ字状に突設される突壁４３３０１ｃ１が挿通される。これにより、介設部材４３３３０（固定部材４３３２０）を背面ケース４３３００に配設する際に、介設部材４３３３０の係止部３３１に突壁４３３０１ｃ１を挿通させて介設部材４３３３０の一側（矢印Ｒ方向側）を背面ケース４３３００に対して係止することができる。
【１６３８】
第２係止部４３３３６は、上述したように固定部材４３３２０の他側（矢印Ｌ方向側）を底壁部４３３０１の背面に形成される第２突壁４３３０１ｃ２に係合させるための突起であり、正面視において、第２突壁４３３０１ｃ２の先端の屈曲部分と重なる位置に形成される。また、第２係止部４３３３６は、第２突壁４３３０１ｃ２と係合された状態（図２０９（ａ）に示す状態）の際に、第２突壁４３３０１ｃ２の先端の屈曲部分よりも正面側に位置される。これにより、固定部材４３３２０の他側が背面側に移動することを抑制できる。
【１６３９】
さらに、第２係止部４３３３６は、突出基端側（固定部材４３３２０の他側）から突出先端側（固定部材の４３３２０の一側）に向かうにつれて、正面が背面側に傾斜される。これにより、第２係止部４３３３６を第２突壁４３３０１ｃ２と係合させる際に、第２突壁４３３０１ｃ２の突出先端を第２係止部４３３０１ｃ２の正面に沿って摺動させやすくできる。よって、固定部材４３３２０を背面ケース４３３００（底壁部４３３０１）の背面側に係合させることができる。
【１６４０】
なお、固定部材４３３２０は、一側の係止部３３１の開口の内側に底壁部４３３０１の突壁４３３０１ｃ１を挿入した後に、他側の第２係止部４３３３６を底壁部４３３０１側（正面側）に押し込んで、固定部材４３３２０の他側を弾性変形させつつ第２係止部４３３３６を底壁部４３３０１の第２突壁４３３０１ｃ２の屈曲先端よりも正面側に移動させることで、背面ケース４３３００（底壁部４３３０１）に配設される。
【１６４１】
基板ボックス４３１００は、正面視における外形が横長矩形の長方形に形成されると共に、内側に主制御装置１１０が配設される。また、基板ボックス４３１００は、一端側（矢印Ｒ方向側）の端部から突出する軸受部１１７と、基板ボックス４３１００の正面から突設される被係合部４３１０１と、を備える。
【１６４２】
被係合部４３１０１は、上述したように係合部材１８３１０と係合する部分であり、基板ボックス４３１００が背面ケース４４３００の背面側に配設された状態（図２０８（ａ）及び図２０８（ｂ）に示す位置）において背面ケース４３３００側（矢印Ｆ方向側）への突出寸法が、背面ケース４３３００に配設される係合部材１８３１０の正面を超える寸法に設定される。また、被係合部４３１０１は、背面ケース４３３００の底壁部４３３０１よりも正面側に正面視における左右方向（矢印Ｌ−Ｒ方向）に開口する開口部４３１０１ａを備える。
【１６４３】
また、被係合部４３１０１は、基板ボックス４３１００が背面ケース４３３００の背面側に配設された状態（基板ボックス４３１００が係合部材１８３１０と係合された状態（図２０９（ａ）に示す状態））において、固定部材４３３２０の他側と水平方向に隣合う位置に形成される。これにより、遊技者の不正により固定部材４３３２０が背面側に強引に引っ張られた場合に、固定部材４３３２０の他側が第２係止部４３３３６と第２突壁４３３０１ｃ２との係合を解除する方向に弾性変形することを抑制できる。一方で、基板ボックス４３１００が背面ケース４３３００の背面側に配設されていない状態（基板ボックス４３１００が係合部材１８３１０と係合されていない状態（図２１０（ａ）に示す状態））では、被係合部４３１０１を固定部材４３３２０の他側と離れた位置に配置することができるので、固定部材４３３２０を被係合部４３１０１に簡易に係合させる（又は固定ｂ図愛４３３２０を被係合部４３１０１から取り外す）ことができる。
【１６４４】
開口部４３１０１ａは、係合部１８３１６を除いた係合部材１８３１０の変位領域と対応する位置に開口して形成される。これにより、開口部４３１０１ａの内側に係合部材１８３１０を挿入して被係合部４３１０１と係合部材１８３１０とを係合させることができる。
【１６４５】
次いで、図２１０を参照して、係合部材１８３１０と基板ボックス４３１００との係合について説明する。図２１０（ａ）及び図２１０（ｂ）は、背面ケース４３３００の断面図である。なお、図２１０（ａ）及び図２１０（ｂ）は、図２０９（ａ）の断面図と対応すると共に、図２１０（ａ）、図２１０（ｂ）及び図２０９（ａ）の順で、係合部材１８３１０を基板ボックス４３１００に係合させる際の遷移状態が図示される。
【１６４６】
図２１０（ａ）に示すように、係合部材１８３１０と基板ボックス４３１００とを係合させる際は、初めに、上述したように介設部材４３３３０と軸支部材３４０とを締結（一体に）した状態の固定部材４３３２０（図２０７に示す状態の固定部材４３３２０）を背面ケース４３３００（底壁部４３３０１）の背面側に係合させる。
【１６４７】
次に、図２１０（ｂ）に示すように、基板ボックス４３１００の軸受部１１７が形成される一側と反対側の他側を背面ケース４３３００の背面側に向かって押圧して、基板ボックス４３１００と軸支部材３４０とを連結するかしめ金具（図示しない）を軸として、基板ボックス４３１００を軸支部材３４０（固定部材４３３２０）に対して回転させる。これにより、基板ボックス４３１００の正面を背面ケース４３３００の背面と略平行な位置に配置して、被係合部４３１０１の開口部４３１０１ａを背面ケース４３３００の第１開口部４３３０１ｃを介して底壁部４３３０１の正面側に配置すると共に、開口部４３１０１ａを係合部材１８３１０の変位領域に配置する。
【１６４８】
よって、図２０９（ａ）に示すように、係合部材１８３１０の第１片１８３１１を開口部４３１０１ａに向かって、係合部材１８３１０を回転変位させることで、係合部材１８３１０の一側（係合部１８１３１６側）の端部を弾性変形させつつ開口部４３１０１ａの内側に挿入して被係合部４３１０１を介した位置に配置できる。
【１６４９】
最後に、基板ボックス４３１００の軸受部１１７が形成される一側と反対側の他側の端部を、背面ケース４３３００の底壁部４３３０１に向かって、基板ボックス４３１００の背面側（矢印Ｂ方向側）から挿入して背面ケース４３３００に締結されるネジにより固定する。これにより、基板ボックス４３１００は、背面ケース４３３００の背面側に回転（動作）不能な状態で配設される。なお、基板ボックス４３１００の他側をネジにより背面ケース４３３００の背面側に締結する作業は、被係合部４３１０１に係合部材１８３１０を係合させる前に行ってもよい。
【１６５０】
以上のように組み立てられる背面ケース４３３００によれば、係合部材１８３００が係合する被係合部４３１０１が基板ボックス４３１００に形成されるので、軸支部材３４０（固定部材４３３２０）に基板ボックス４３１００が軸支されていない（基板ボックス４３１００を配設し忘れた）場合に、係合部材１８３００が係合できなくなる。
【１６５１】
また、上述したように係合部材１８３００は、外部の力が作用していない状態では、重力により第１片１８３１１と第２片１８３１２との連結部が背面ケース１８３００の開口部１８３０２ａから突出する方向に回転する力が係合部材１８３１０に作用される。従って、基板ボックス４３１００を配設し忘れた場合には、係合部材１８３１０を背面ケース４３３００の外側に位置させることで、背面ケース４３３００の底壁部４３３０１に固定部材４３３２０及び基板ボックス４３３１０を配設する作業者に異常（基板ボックス４３１００を配設し忘れている）ことを気が付かせることができる。従って、パチンコ機１０を制御をする基板ボックス４３１００（主制御装置１１０）を付け忘れを防止することができるので、組み立て工程の後工程（例えば、動作チェック時）に基板ボックス４３１００が配設されていないことを発見しやすくできる。その結果、パチンコ機１０が不良（部品を付け忘れた状態）で店舗（例えば、パチンコ店）に導入されることを抑制できる。
【１６５２】
さらに、上記第１８実施形態と同様に、係合部材１８３１０と被係合部４３１０１との係合が不完全であった場合には、係合部材１８３１０を背面ケース１８３００の外側に突出させることで、遊技盤１３の左右方向（矢印Ｌ−Ｒ方）における係合部材１８３１０の端部から背面ケース４３３００の右側（矢印Ｒ方向側）の端部までの距離寸法ＬＲ１（図１６４（ａ）参照）が、遊技盤１３が配設される外枠１１の左右方向における内側の左右方向寸法ＬＲ２（図１６４（ｂ）参照）よりも大きく設定される。これにより、係合部材１８３１０と固定部材１８３２０とが非係合の場合に、遊技盤１３が外枠１１に配設されることを抑制できる。その結果、パチンコ機１０が組み立てられて、動作チェックされる前に基板ボックス４３１００の配設を忘れていることを気が付かせることができるので、基板ボックス４３１００の配設を忘れた状態でパチンコ機１０に電気が通されることを抑制できる。その結果、基板ボックス４３１００の配設忘れにより、他の基板や電装品が故障することを抑制できる。
【１６５３】
次いで、図２１１を参照して、係合部材１８３１０が回転軸となる突設部１８３０１ｂとの当接による抵抗等の要因で被係合部４３１０１との係合が非係合の状態時に、係合部材１８３１０が被係合部４３１０１との係合位置で停止した場合について説明する。図２１１（ａ）及び図２１１（ｂ）は、背面ケース４３３００の断面図である。なお、図２１１（ａ）及び図２１１（ｂ）は、図２０９（ａ）の断面図と対応する。また、図２１１（ａ）及び図２１１（ｂ）は、係合部材１８３１０と基板ボックス４３１００の被係合部４３１０１とが係合される前の状態が図示され、図２１１（ａ）、図２１１（ｂ）の順に基板ボックス４３１００が変位された状態が図示される。
【１６５４】
図２１１（ａ）に示すように、係合部材１８３１０が回転軸となる突設部１８３０１ｂとの当接による抵抗等の要因で被係合部４３１０１との係合が非係合の状態時に係合部材１８３１０が被係合部４３１０１との係合位置で停止されると、係合部材１８３１０の第１片１８３１１の先端（図２１１（ａ）矢印Ｌ方向側端部）が、被係合部４３１０９の軸受部１１７側の側面の突出先端部の変位軌跡（図２１１（ａ）及び図２１１（ｂ）に示す仮想線Ａ）上に配設される。
【１６５５】
これにより、図２１１（ｂ）に示すように、基板ボックス４３１００が固定部材４３３２０に対して回転された場合に、被係合部４３１０９の軸受部１１７側の側面を係合部材１８３１０の第１片１８３１１の先端端面に当接させることができる。
【１６５６】
この場合、被係合部４３１０９の変位方向と、係合部材１８３１０が非係合とされる場合の変位方向とが略同一に設定される。これにより、基板ボックス４３１００を背面ケース４３３００の底壁部４３３０１側に回転される力を、被係合部４３１０１を介して係合部材１８３１０を押し戻す力に利用することができる。
【１６５７】
ここで、係合部材１８３１０と係合する被係合部４３１０１が基板ボックス４３１００（高価な部品）に形成される為に、被係合部４３１０１が破損した場合に基板ボックス４３１００を取り替える必要があり、製造コストが増加する恐れがあった。
【１６５８】
また、係合部材１８３１０が回転軸となる突設部１８３０１ｂとの当接による抵抗等の要因で被係合部４３１０１との係合が非係合の状態時に、係合部材１８３１０が被係合部４３１０１との係合位置で停止されると、係合部材１８３００が背面ケース４３３００の底壁部４３３０１の背面側から底壁部４３３０２の正面側に変位される被係合部４３１０１の変位領域に配設される。そのため、基板ボックス４３１００を変位させた際に、被係合部４３１０１が係合部材１８３１０と衝突して被係合部４３１０１が破損する恐れがあった。
【１６５９】
これに対して、第４３実施形態では、背面ケース４３３００の底壁部４３３０１に固定部材４３３２０を配設する際に、係合部材１８３００の配置が所定の位置（係合部材１８３１０の一部が背面ケース４３３００の開口部１８３０２ａから突出する位置）に配置されていない場合に、基板ボックス４３１００を背面ケース４３３００の底壁部４３３０１の背面側に移動させる力を利用して、係合部材１８３００を所定の位置に変位させることができる。その結果、基板ボックス４３１００の被係合部４３１０１が破損することを抑制できる。
【１６６０】
次いで、図２１２から図２１４を参照して、第４４実施形態における背面ケース４４３００について説明する。上記第１実施形態では、係合部材３１０の移動が回転ユニット７００の背面ベース７２０に挿通されるネジにより規制される場合について説明したが、第４４実施形態では、係合部材４４３１０が固定部材３２０に係合された際に、係合部材４４３１０の移動が基板ボックス４４１００に突設される突設部４４１０２に係合されることで規制される。なお、上記各実施形態と同一の部分については、同一の符号を付してその詳しい説明を省略する。
【１６６１】
初めに、図２１２及び図２１３を参照して、第４４実施形態における背面ケース４４３００の構成について説明する。図２１２は、第４４実施形態における背面ケース４４３００の分解斜視正面図である。図２１３（ａ）は、背面ケース４４３００の正面図であり、図２１３（ｂ）は、図２１３（ａ）のＣＣＸＩＩＩｂ−ＣＣＸＩＩＩｂ線における背面ケース４４３００の断面図である。図２１３（ａ）及び図２１３（ｂ）では、係合部材４４３１０と基板ボックス４４１００（突設部４４１０２）とが係合された状態が図示される。
【１６６２】
図２１２及び図２１３に示すように、第４４実施形態における背面ケース４４３００は、正面視略矩形の底壁部３０１と、その底壁部３０１の４片の外縁から正面へ向けて立設される外壁部３０２とを備え、それら各壁部３０１，３０２により一面側（正面側）が開放された箱状に形成される。また、背面ケース４４３００は、底壁部３０１の正面側（箱状に形成された開放側（矢印Ｆ方向側））に配設される係合部材４４３１０と、背面ケース４４３００（底壁部３０１）の背面側に配設され、基板ボックス４４１００（主制御装置１１０）を固定（軸支）する固定部材４４３２０と、を備える。
【１６６３】
係合部材４４３１０は、正面視における外形がクランク状に形成されており、互いに平行となる方向に延設される第１片４４３１１及び第２片３１２と、その第１片４４３１１及び第２片３１２の端部同士を第１片４４３１１及び第２片３１２の延設方向と直交する方向に連結する第３片３１３とから構成される。また、第１片４４３１１と第２片３１２とのそれぞれに摺動溝３１４が形成される。
【１６６４】
第１片４４３１１は、第３片３１３が連結される他側（矢印Ｌ方向側）と反対側の一側（矢印Ｒ方向側）の端部が、後述する固定部材４４３２０との係合部分として形成されており、第１片４４３１１の延設方向と略直交する方向である上下方向（矢印Ｕ−Ｄ方向）の両外側に突出する係合部３１６と、その２箇所の係合部３１６の略中間位置から第１片３１１の延設方向（矢印Ｌ−Ｒ方向）に凹設される凹部４４３１７と、背面ケース４４３００の底壁部３０１側（背面側（矢印Ｂ方向側））に向かって突出する操作子３１５と、を備える。
【１６６５】
凹部４４３１７は、第１片４４３１１の厚み方向（矢印Ｆ−Ｂ方向）に切り欠いて形成されると共に、第１片４４３１１の一側（矢印Ｒ方向側）端部から他側（矢印Ｌ方向側）に向かって凹設される。よって、第１片４４３１１の一側が二股に分割される。これにより、第１片４４３１１の一側の剛性を他側に比べて低くすることができる。その結果、第１片４４３１１の一側を弾性変形させやすくして、係合部材４４３１０を固定部材４４３２０と係合させやすくできる。なお、係合部材４４３１０と固定部材４４３２０との係合方法については、上記第１実施形態における係合部材３１０と固定部材３２０との係合方法と同様であるので、その詳しい説明については省略する。
【１６６６】
また、凹部４４３１７は、他側（矢印Ｌ方向側）に向かって凹設された凹設底面に、底壁部３０１側（矢印Ｂ方向側）に向かって第３片３１３側（矢印Ｌ方向側）に傾斜する傾斜面４４３１７ａを備える。
【１６６７】
傾斜面４４３１７ａは、後述する基板ボックス４４１００の突設部４４１０２の突設先端が当接した際に突設部４４１０２をスライド移動させるための面であり、基板ボックス４４１００が底壁部３０１の背面側に配置される際の突設部の４４１０２の移動方向（矢印Ｆ−Ｂ方向）に対して係合部材４４３１０が固定部材４４３２０に係合される際のスライド方向と反対方向に４５度以下の角度（鋭角）で傾斜して形成される。これにより、基板ボックス４４１００の突設部４４１０２の先端が当接した際に、突設部４４１０２を傾斜面４４３１７ａに沿ってスライド変位させやすくできる。
【１６６８】
固定部材４４３２０は、背面ケース４４３００と別部材から構成される。これにより、背面ケース４４３００に比べて外形の小さい固定部材４４３２０に基板ボックス４４１００をカシメ固定させることができるので、固定部材４４３２０が背面ケース４４３００と一体に形成される場合に比べて、基板ボックス４４１００を配設しやすくできる。その結果、基板ボックス４４１００が固定部材４４３２０から取り外されにくい状態で基板ボックス４４１００を背面ケース４４３００に配設しやすくできる。
【１６６９】
固定部材３２０は、上述した係合部材４４３１０と係合する介設部材３３０と、その介設部材３３０に締結される軸支部材３４０とから構成される。これにより、軸支部材３４０を別の遊技機の固定部材と同一の形状の流用品として使用することができる。また、軸支部材３４０は、後述する基板ボックス４４１００（主制御装置１１０）の軸受部１１７とかしめ締結される。なお、基板ボックス４４１００は、かしめ金具による締結により、軸支部材３４０に対して回転可能な状態で保持される。
【１６７０】
基板ボックス４４１００は、正面視における外形が、横長矩形の長方形に形成されると共に、内側に主制御装置１１０が配設される。また、基板ボックス４４１００は、一端側（矢印Ｒ方向側）の端部から突出する軸受部１１７と、基板ボックス４４１００の正面から突設される突設部４４１０２と、を備える。なお、基板ボックス４４１００の突設部４４１０２は、弾性変形可能な樹脂材料から形成されており、後述するように係合部材４４３１０と当接された際に弾性変形することができる。
【１６７１】
突設部４４１０２は、上述したように係合部材４４３１０と係合する部分であり、基板ボックス４４１００が背面ケース４４３００の背面側に配設された状態（図２１３（ａ）及び図２１３（ｂ）に示す位置）において背面ケース４４３００側（矢印Ｆ方向側）への突出寸法が、背面ケース４４３００に配設される係合部材４４３１０の正面側（矢印Ｆ方向側）に超える寸法に設定され、係合部材４４３１０の正面側に超えた先端部分に係合部材４４３１０の第３片３１３側（矢印Ｌ方向側）に屈曲する屈曲部４４０１２ａを備える。
【１６７２】
また、突設部４４１０２は、基板ボックス４４１００が背面ケース４４３００の背面側に配設された状態であって係合部材４４３１０が固定部材３２０と係合した状態において、屈曲部４４１０２ａを除く基端側が係合部材４４３１０の凹部４４３１７の内側に配置されると共に、凹部４４３１７の凹設底面（傾斜面４４３１７ａ）と隣合う位置に配置される。従って、正面視において屈曲部４４１０２ａを係合部材４４３１０と重なる位置に配置できる。
【１６７３】
これにより、係合部材４４３１０と固定部材４４３２０とが係合した状態で基板ボックス４４１００がかしめ金具（支持部３４２に軸支される部分）を中心に回転されて、基板ボックス４４１００（主制御装置１１０）が不正な基板ボックスに交換されることを抑制できる。
【１６７４】
さらに、突設部４４１０２の上下方向寸法（矢印Ｕ−Ｄ方向）における幅寸法は、係合部材４４３１０の凹部４４３１７の上下方向における幅寸法と略同一に設定される。これにより、係合部材４４３１０及び固定部材４４３２０が係合された状態から係合部材４４３１０の第１片４４３１１が凹部４４３１７の内側に弾性変形されることを抑制できる。その結果、係合部材４４３１０と固定部材４４３２０との係合が不正に解除されて、固定部材４４３２０に連結される基板ボックス４４１００（主制御装置１１０）が不正な基板に交換されることを抑制できる。
【１６７５】
なお、第４４実施形態では、基板ボックス４４１００を背面ケース４４３００の背面側（図２１３（ｂ）に示す位置）に配設した後で、背面ケース４４３００と基板ボックス４４１００との間から操作子３１５を操作して係合部材４４３１０と固定部材４４３２０との係合が行われる。これにより、基板ボックス４４１００の突設部４４１０２と係合部材４４３１０とが当接することなく、屈曲部４４１０２ａを係合部材４４３１０の正面側に配置できる。
【１６７６】
次いで、図２１４を参照して、基板ボックス４４１００が背面ケース４４３００の背面側に配設される前に、係合部材４４３１０と固定部材４４３２０とを係合した場合について説明する。
【１６７７】
図２１４（ａ）から図２１４（ｃ）は、背面ケース４４３００の断面図である。なお、図２１４（ａ）から図２１４（ｃ）は、図２１３（ｂ）における背面ケース４４３００の断面図と対応する。また、図２１４（ａ）から図２１４（ｃ）は、係合部材４４３１０と固定部材４４３２０とが係合された状態で、基板ボックス４４１００を背面ケース４４３００の背面側に配設する際の遷移状態が順に図示される。
【１６７８】
図２１４（ａ）に示すように、係合部材４４３１０と固定部材４４３２０とが係合前の状態（係合部材４４３１０が矢印Ｌ方向側に配置された状態）では、係合部材４４３１０が基板ボックス４４１００の突設部４４１０２の変位領域の外側に位置される。従って、係合部材４４３１０と固定部材４４３２０とが係合されていない状態では、係合部材４４３１０と当接することなく基板ボックス４４１００をかしめ金具（支持部３４２に軸支される部分）を中心に回転して背面ケース４４３００の背面側に配設できる。
【１６７９】
一方、図２１４（ｂ）に示すように、係合部材４４３１０と固定部材４４３２０とが係合された状態（係合部材４４３１０が矢印Ｒ方向側に配置された状態）では、係合部材４４３１０が基板ボックス４４１００の突設部４４１０２の変位領域と重なる位置に設定される。
【１６８０】
ここで、基板ボックス４４１００は、主制御装置１１０等を備える部品であり、他の部品（例えば、固定部材４４３２０）に比べて高価である。そのため、係合部材４４３１０と固定部材４４３２０とが係合された状態で基板ボックス４４１００がかしめ金具（支持部３４２に軸支される部分）を中心に回転して背面ケース４４３００の背面側に配設された際に、突設部４４１０２が係合部材４４３１０と当接して基板ボックス４４１００が破損する恐れがあった。
【１６８１】
これに対して、第４４実施形態では、係合部材４４３１０が凹部４４３１７に傾斜面４４３１７ａを備えるので、図２１４（ｃ）に示すように、突設部４４１０２の先端部分を傾斜面４４３１７ａに当接させることができる。これにより、基板ボックス４４１００が正面側（矢印Ｆ側方向側）に押し込まれる力を利用して、突設部４４１０２を傾斜面４４３１７ａの正面側に向かって傾斜する方向（矢印Ｒ方向側）に弾性変形させることができる。よって、突設部４４１０２を弾性変形させつつ突設部４４１０２の先端を傾斜面４４３１７ａに沿って正面側に変位させることができる。その結果、突設部４４１０２が係合部材４４３１０と当接して基板ボックス４４１００が破損することを抑制できる。
【１６８２】
また、突設部４４１０２が傾斜面４４３１７ａに沿って摺動される際の突設部４４１０２の弾性回復力の一部は、係合部材４４３１０に対して固定部材４４３２０と係合を解除する方向（矢印Ｌ方向）に作用される。従って、係合部材４４３１０と固定部材４４３２０との係合が不完全であった場合に、係合部材４４３１０と固定部材４４３２０との係合を解除することができる。これにより、係合部材４４３１０と固定部材４４３２０との係合が不完全の状態でパチンコ機１０（図１参照）が組み上げられることを抑制できる。
【１６８３】
なお、突設部４４１０２は、屈曲部４４１０２ａが係合部材４４３１０の正面側に超える位置に変位されると、その弾性変形を戻して図２１３（ａ）及び図２１３（ｂ）に示す位置に配置される。
【１６８４】
次いで、図２１５から図２１７を参照して、第４５実施形態における背面ケース４５３００について説明する。上記第１８実施形態または上記第４３実施形態では、係合部材１８３１０が固定部材１８３２０または基板ボックス４３１００のどちらか一方に係合される場合について説明したが、第４５実施形態における背面ケース４５３００は、係合部材１８３１０が固定部材３２０及び基板ボックス４５１００の両方に係合される。なお、上記各実施形態と同一の部分については、同一の符号を付してその詳しい説明を省略する。
【１６８５】
初めに、図２１５及び図２１６を参照して第４５実施形態における背面ケース４５３００の構成について説明する。図２１５は、第４５実施形態における背面ケース４５３００の分解斜視正面図である。図２１６（ａ）は、背面ケース４５３００の正面図であり、図２１６（ｂ）は、背面ケース４５３００の背面図である。図２１７（ａ）は、背面ケース４５３００の正面図であり、図２１６（ｂ）は、背面ケース４５３００の背面図である。なお、図２１６（ａ）及び図２１６（ｂ）では係合部材１８３００が固定部材３２０と基板ボックス４５１００とに係合された状態が図示され、図２１７（ａ）及び図２１７（ｂ）では係合部材１８３００が固定部材３２０のみに係合された（基板ボックス４５１００とは非係合とされた）状態が図示される。
【１６８６】
図２１５から図２１７に示すように、第４５実施形態における背面ケース４５３００は、正面視略矩形の底壁部４５３０１と、その底壁部４５３０１の４片の外縁から正面へ向けて立設される外壁部１８３０２とを備え、それら各壁部４５３０１，１８３０２により一面側（正面側）が開放された箱状に形成される。また、背面ケース４５３００は、底壁部４５３０１の正面側（箱状に形成された開放側（矢印Ｆ側方向側））に配設される係合部材１８３１０と、背面ケース４５３００（底壁部４５３０１）の背面側に配設され、基板ボックス４５１００（主制御装置１１０）を固定（軸支）する固定部材３２０と、を備える。
【１６８７】
底壁部４５３０１は、その中央に正面視矩形の開口３０１ａが開口形成され、その開口３０１ａを通じて底壁部４５３０１の背面に配設される第３図柄表示装置８１（図２参照）が視認可能とされる。また、底壁部４５３０１は、固定部材４５３２０と対向する位置に開口する第１開口部４５３０１ｃと、その第１開口部４５３０１ｃの下方（矢印Ｄ方向）に位置し、正面側に突出する突設部１８３０１ｂと、を備える。
【１６８８】
突設部１８３０１ｂは、上記第１８実施形態と同様に、係合部材１８３１０を軸支する突起であり、底壁部４５３０１の正面から円柱状に突設される。また、突設部１８３０１ｂの突設先端面には、ネジを螺合する孔が凹設される。これにより、係合部材１８３１０を背面ケース１８３００に配設した状態で、突設部１８３０１ｂにネジを螺合することで係合部材１８３１０が突設部１８３０１ｂから抜け出ることを規制できる。
【１６８９】
なお、背面ケース４５３００に軸支された係合部材１８３１０は、重心が背面ケース４５３００の突設部１８３０１ｂよりも外壁部１８３０２の開口部１８３０２ａ側に位置する。これにより、外部の力が作用していない状態では、重力により第１片１８３１１と第２片１８３１２との連結部が背面ケース４５３００の開口部１８３０２ａから突出する方向に回転する力が係合部材１８３１０に作用される。従って、係合部材１８３１０と固定部材４５３２０との係合が不完全であった場合に、係合部材１８３１０を背面ケース４５３００の外側に突出させて、係合部材１８３１０と固定部材４５３２０との係合の忘れを防止することができる。
【１６９０】
第１開口部４５３０１ｃは、固定部材３２０の被係合部３３２及び後述する基板ボックス４５１００の被係合部４５１０１を挿通するための開口であり、２箇所の被係合部３３２，４５１０１と対応する位置に水平方向に長く開口される。これにより、背面ケース４５３００の内側に役物装置（回転ユニット７００を配設した後で基板ボックス４５１００の被係合部４５１０１を背面ケース４５３００の背面側から背面ケース４５３００の正面側に配置することができる。
【１６９１】
また、第１開口部４５３０１ｃの縁部には、固定部材４５３２０の一側（矢印Ｒ方向側）に形成される係止部３３１を係合させるための突壁４５３０１ｃ１が突設される。突壁４５３０１ｃ１は、後述する係合部材１８３１０を被係合部４５１０１に係合させる際の変位方向（矢印Ｌ方向）と反対方向（矢印Ｒ方向）に先端が屈曲される。これにより、係合部材１８３１０を被係合部４５１０１に係合させる場合に、係合部材１８３１０に被係合部４５１０１が押圧されることで固定部材４５３２０が係合部材１８３１０の変位方向に動いて、係止部３３１の開口から突壁４５３０１ｃ１が抜け出ることを抑制できる。その結果、固定部材４５３２０の一側（矢印Ｒ方向側）と背面ケース４５３００との係合が解除されることを抑制できる。
【１６９２】
突設部１８３０１ｂは、上記第１８実施形態で説明したように、係合部材１８３１０を軸支する部材であり、底壁部４５３０１の正面から円柱状に突設される。従って、係合部材１８３１０は、突設部１８３１０ｂの中心を軸として回転可能な状態で背面ケース４５３００に配設される。
【１６９３】
基板ボックス４５１００は、正面視における外形が、横長矩形の長方形に形成されると共に、内側に主制御装置１１０が配設される。また、基板ボックス４５１００は、一端側（矢印Ｒに方向側）の端部から突出する軸受部１１７と、基板ボックス４５１００の正面から突設される被係合部４５１０１と、を備える。
【１６９４】
被係合部４５１０１は、一側の先端が固定部材３２０の被係合部３３２の内側に挿入された状態における係合部材１８３１０と係合する部分であり、基板ボックス４５１００が背面ケース４５３００（底壁部４５３０１）の背面側に配設された状態（図２１６（ａ）に示す位置）において、背面ケース４５３００側（矢印Ｆ方向側）への突出寸法が背面ケース４５３００に配設される係合部材１８３１０の正面を超える寸法に設定される。また、被係合部４５１０１は、背面ケース４５３００の底壁部４５３０１よりも正面側に正面視における左右方向（矢印Ｌ−Ｒ方向）に開口する開口部４５１０１ａを備える。
【１６９５】
開口部４５１０１ａは、係合部材１８３１０の第１片１８３１１を内側に挿入する開口であり、係合部材１８３１６を除いた係合部材１８３１０の第１片１８３１１の変位領域と対応する位置に開口して形成される。これにより、開口部４５１０１ａの内側に係合部材１８３１０を挿入して被係合部４５１０１と係合部４５３１０とを係合させることができる。
【１６９６】
また、被係合部４５１０１は、固定部材３２０の被係合部３３２と所定の間隔を隔てて係合部材１８３１０を被係合部３３２に係合させる際の変位方向に異なる位置に配置される。これにより、係合部材１８３１０が固定部材３２０に係合された後に被係合部４５１０１の被係合部３３２と係合部材１８３１０とを係合させることができる。
【１６９７】
なお、被係合部４５１０１と固定部材３２０の被係合部３３２との離間する距離は、係合部材１８３１０の変位方向における係合部１８３１６の長さ寸法以上に設定される。これにより、係合部材１８３１０の係合部１８３１６を正面視における２箇所の被係合部３３２，４５１０１の間に配置することができる（図２１７（ａ）参照）。その結果、係合部材１８３１０を固定部材３２０に係合させると共に、基板ボックス４５１００と非係合とする状態を維持することができる。
【１６９８】
これにより、固定部材３２０と係合部材１８３１０とを係合して、固定部材３２０を背面ケース４５３００の背面側に配設した状態で、基板ボックス４５１００を固定部材３２０に対して回転変位させることができる。
【１６９９】
以上のように構成される背面ケース４５３００によれば、固定部材３２０及び基板ボックス４５１００を背面ケース４５３００（底壁部４５３０１）に配設する際には、初めに図２１７に示すように、基板ボックス４５１００をかしめ金具で連結した状態の固定部材３２０を背面ケース４５３００（底壁部４５３０１）の背面に配置した状態で係合部材１８３１０を回転して係合部材１８３１０の第１片１８３１１を固定部材３２０の被係合部３３２に係合させる。これにより、基板ボックス４５１００を係合部材１８３１０とを非係合の状態で固定部材３２０に支持させることができる。
【１７００】
従って、基板ボックス４５１００を背面ケース４５３００（底壁部４５３１）の背面側の位置でかしめ金具（支持部３４２に軸支される部分）を中心に回転させることができる。よって、基板ボックス４５１００（主制御装置１１０）への配線の連結を行いやすくさせることができる。
【１７０１】
次に、図２１７に示すように、基板ボックス４５１００を背面ケース４５３００側に回転させて、基板ボックス４５１００の正面を背面ケース４５３００（底壁部４５３０１）の背面と平行となる位置に配置した後で、係合部材１８１００を基板ボックス４５１００の被係合部４５１０１側（矢印Ｌ方向側）に回転させる。これにより、係合部材１８１００の第１片１８３１１の先端を被係合部４５１０１の開口部４５１０１ａの内側に挿入することができる。その結果、基板ボックス４５１００を背面ケース４５３００の背面側に固定することができる。
【１７０２】
従って、第４５実施形態では、係合部材１８３００に固定部材３２０と基板ボックス４５１００との２部材を背面ケース４５３００の背面側に固定する役割を持たせることができる。その結果、基板ボックス４５１００の軸受部１１７側の一側と反対側の他側（矢印Ｌ方向側）を背面ケース４５３００の背面側に固定しなくても、基板ボックス４５１００を背面ケース４５３００の背面側に固定することができ、製造コストを削減できる。
【１７０３】
また、この場合、背面ケース４５３００の他側（矢印Ｌ方向側）を背面ケース４５３００に固定するための係合部分（係合部材１８３１０と被係合部４５１０１との係合部分）を背面ケース４５３００の底壁部４５３０１とベース板６０（図２参照）との対向間に配置することができる。その結果、背面ケース４５３００とベース板６０の外側から基板ボックス４５１００の係合部分へのアクセスを困難とすることができる。その結果、基板ボックス４５１００の係合が不正に解除されて、基板ボックス４５１００（主制御装置１１０）が不正な主制御装置に交換されることを抑制できる。
【１７０４】
なお、第４５実施形態における基板ボックス４５１００の背面ケース４５３００からの取り外しは、一体に組み付けられた状態の遊技盤１３（図２参照）からベース板６０（図２参照）と背面ケース４５３００とを分解した後に、背面ケース４５３００の内側（底壁部４５３０１の正面側）に配設される各役物装置（例えば、回転ユニット７００）を取り外す。これにより、係合部材１８３１０と基板ボックス４５１００との係合部分にアクセス可能とでき、係合部材１８３１０の第１片１８３１１を弾性変形させて基板ボックス４５１００及び固定部材３２０と係合部材１８３１０との係合を解除することができる。
【１７０５】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【１７０６】
上記第１実施形態では、球受部４６７を第３位置から第２位置または第１位置に退避させるには、駆動モータＫＭ２の駆動に従う形態とされたが、第３位置から第２位置または第１位置に退避させる駆動を付勢ばねにより駆動させても良い。例えば、ラック４６６又は可動ラック４６４とベース部材４７０との間に付勢ばねを配設して、ラック４６６又は可動ラック４６４の変位に伴って弾性力が付与される形態とする。
【１７０７】
この場合、球受部４６７が、第３位置まで変位され払出動作をした際に、駆動モータＫＭ３の駆動をオフすることで、付勢ばねの付勢力により球受部４６７を第２位置または第１位置側へ変位させることができる。
【１７０８】
よって、駆動モータＫＭ２の駆動力を第３位置で切り換えるまでの間の時間を利用し、球受部４６７を変位させることができるので、球受部４６７の内側から遊技球を排出した際の排出動作の反作用による下変位部材４４０のぐらつきを抑えることができる。
【１７０９】
即ち、球受部４６７の内側から遊技球を排出した際には、排出された遊技球の分、下変位部材４４０の荷重が軽くなり、反作用で下変位部材４４０が上方に変位しやすいところ、球受部４６７を直ちに変位させることで、球受部４６７の回転変位による反作用でベース部材４７０を下方に変位させる力を作用させて、下変位部材４４０から球が排出された際の反作用を打ち消すことができる。
【１７１０】
上記第１実施形態では、回転体８００の回転を規制する係合突起８８２が回転体８００の側面に所定の間隔を隔てて２つ形成される場合を説明したが、必ずしもこれに限られるものではない。例えば、回転体８００の側壁に所定の間隔を隔てて複数個連設してもよい。この場合、回転体８００の回転の規制をどの位置においても可能とすることができ、蓋部材７７０が開放状態とされた際に回転体８００が外力で回転することを規制することができる。
【１７１１】
上記第１実施形態では、開口８３１が、回転体８００の外周面に形成されて、遊技球が開口８３１から送球される場合を説明したが、開口８３１が回転体８００の連通孔８８１ｂと反対側の側面に形成されてもよい。即ち、回転体８００の軸方向の両側の側面に開口が形成され、一方を球の流入口とし、他方を球の排出口としてもよい。この場合、回転体８００の内部に球の送球経路を形成できるので、特に遊技盤１３の背面側に配置スペースがない場合に、役物（回転体８００）を送球経路として利用することができるので、遊技盤１３を大型化することなく送球経路を確保することができる。
【１７１２】
上記第１実施形態では、回転体８００は、外形が円柱状に形成される場合を説明したが、必ずしもこれに限られるものではない。例えば、多角形状、楕円形状またはそれらを組み合わせて形状としてもよい。この場合、回転体８００の形状を複雑化することができるので、回転体８００の回転変位により演出が切り替わったことを遊技者に視認させやすくできる。
【１７１３】
上記第８実施形態では、回転操作部８６５４の外周面が遊技者により操作可能に形成される場合を説明したが、回転操作部８６５４の外周面に押込み式のボタンを配設してもよい。この場合、遊技者は、回転操作部８６５４に回転力を付与する操作だけでなく、押しボタンを押す操作、又は、回転操作部８６５４の回転操作と押す操作とを組み合わせた操作をすることができる。その結果、回転操作部８６５４の操作形態を複数形成することができるので、遊技者に興趣を与えることができる。
【１７１４】
上記第８実施形態では、伝達ギヤ８６５１と伝達ギヤ８６５２とが歯合した状態とされる場合を説明したが、必ずしもこれに限られるものではない。例えば、伝達ギヤ８６５１と、伝達ギヤ８６５２との間に、過負荷がかかると駆動力の伝達を遮るトルクリミッタ等を介設してもよい。
【１７１５】
この場合、遊技者が回転状態の回転操作部８６５４の回転を停止させた際に、駆動モータＫＭ６からの回転の駆動力の伝達を遮り、回転操作部８６５４の回転が継続されることを抑制できる。その結果、回転操作部８６５４にＡ方向の回転と反対方向の回転が遊技者から入力された際に、回転操作ユニット８６５０が壊れることを抑制できる。
【１７１６】
さらに、遊技者が回転操作部８６５４を操作した際に、遊技者の指や衣服が回転操作部８６５４の回転方向側の上皿８０１７との間に挟み込んだ際に、その回転を停止させて、遊技者の指や衣服が更に挟み込まれることを抑制できる。よって、遊技者が回転操作部８６５４と上皿８０１７との間に挟まれて怪我をすることを抑制できる。
【１７１７】
上記第８実施形態では、回転操作部８６５４の回転方向をＡ方向としたが必ずしもこれに限られるものではない。例えば、回転操作部８６５４の回転方向をパチンコ機１０に対して左右方向としてもよい。この場合、その遊技機の演出に伴った動作を遊技者にさせることができ、演出効果を向上させることができる。例えば、左手で回転操作部８６５４を右方向に回転するように叩いて操作させることで、第３図柄表示装置８１上に表示したキャラクター等を叩く（ビンタする）ような演出をすることができる。
【１７１８】
上記第１実施形態では、固定部材３２０に基板ボックス１００が配設されて、固定部材３２０を係合部材３１０と係合させることで、基板ボックス１００が不正な基板に交換されることを抑制する場合について説明したが、必ずしもこれに限られるものではなく、固定部材３２０に配設されることで、不正に取り外されることを抑制できる効果を奏するものであれば他の部材（例えば、第３図柄表示装置８１や不正な電波または振動等の不正な入力を検出できる検出装置）であっても良い。
【１７１９】
上記第１実施形態では、第１ユニット５５１に形成される第１凹部５７１ｈ、第２凹部５７１ｉ及び第３凹部５７１ｊと、第１凸部５６４ｂ、第２凸部５６４ｃ及び第３凸部５６４ｄは、互いに対向する位置に形成される場合について説明したが、必ずしもこれに限られるものではなく、例えば、第１凸部５６４ｂ、第２凸部５６４ｃ及び第３凸部５６４ｄを、第１凹部５７１ｈ、第２凹部５７１ｉ及び第３凹部５７１ｊに対して上流側に配置して、流下する遊技球を第１凸部５６４ｂ、第２凸部５６４ｃ及び第３凸部５６４ｄに当接させた後に第１凹部５７１ｈ、第２凹部５７１ｉ及び第３凹部５７１ｊに受け入れられるように形成してもよい。
【１７２０】
上記第１実施形態では、装飾部材１５４は、その厚み寸法が本体部１５１の凹部１５１ｂの凹設深さよりも小さくされる場合について説明したが必ずしもこれに限られるものではない。例えば、装飾部材１５４を弾性変形可能な材料から形成すると共に、本体部１５１の凹部１５１ｂの凹設深さよりも厚く形成してもよい。この場合、一般入賞口ユニット１５０をベース板６０に配設する際に圧縮して弾性変形させることで、本体部１５１をベース板６０に当接した状態で配設することができる。
【１７２１】
上記第１実施形態では、カム部材４２２が第２変位状態の位置に配置される際には、第１リンク部材４３１からカム部材４２２に作用される力ＰＷ１及びＰＷ２が互いに打ち消し合う方向に作用する場合について説明したが、必ずしもこれに限られるものではない。例えば、カム部材４２２の端部と板状突起４３１ｂとが当接する点からカム部材４２２に入力される力の方向が、その当接点から軸部４２２ａの軸心に向かう方向に設定しても良い。これによれば、軸部４２２ａを軸に回転する方向の力がカム部材４２２に作用することを抑制できる。
【１７２２】
上記第１実施形態では、基板ボックス１００の他端側が、ネジにより背面ケース３００の背面側に配設される場合を説明したが、必ずしもこれに限られるものではない。例えば、基板ボックス１００の他端側が背面ケース３００に係合されると取り外し不能とされる封印具により固定されていても良い。詳しく説明すると、背面ケース３００の背面側の複数箇所に凹設される挿入部に、背面ケース３００の他端側の複数箇所に形成される開口を挿通した円柱状の封印具を挿入して、挿入部と封印具とを係合させることで、基板ボックス１００を背面ケース３００の背面側に回転（動作）不能な状態で配設する。
【１７２３】
なお、基板ボックス１００を取り外す場合には、挿入部と封印具との係合部分を切断することで、背面ケース３００から基板ボックス１００の他端側を取り外すことができる。また、再度、基板ボックス１００の他端側を背面ケース３００に配設する場合には、新しい封印具を、基板ボックス１００の未使用の開口に挿通させて、背面ケース３００の未使用の挿入部に係合させることで基板ボックス１００の他端側を背面ケース３００に配設することができる。
【１７２４】
上記第１実施形態では、正面視における装飾部材１５４の外形が、第２開口部６０ｂの開口形状よりも大きく形成され、装飾部材１５４の端部がベース板６０の装飾部材６０ｃと前後方向に重なる状態で配設される場合について説明したが、必ずしもこれに限られるものではない。例えば、正面視における装飾部材１５４の外形が、第２開口部６０ｂの開口形状と略同一に設定されてもよい。
【１７２５】
この場合、一般入賞口ユニット１５０の装飾部材１５４と、ベース板６０の装飾部材６０ｃとを同一の材料から形成することで、装飾部材１５４と装飾部材６０ｃとを一枚からなるシートで形成し、そのシートから装飾部材１５４を切断することで、装飾部材１５４と装飾部材６０ｃとを形成することができる。従って、装飾部材１５４を別工程で形成する必要がなくなるので、装飾部材１５４を形成する際の歩留まりを向上できる。
【１７２６】
なお、正面視における装飾部材１５４の外形を第２開口部６０ｂの開口形状と略同一に形成する場合には、装飾部材１５４を第２開口部６０ｂの内側に配設して、装飾部材１５４と装飾部材６０ｃとの正面を同一の平面上に配置することが好ましい。この場合、装飾部材１５４と装飾部材６０ｃとの装飾面が正面視における前後方向に一致するので、装飾部材１５４と装飾部材６０ｃとの装飾を１の装飾として遊技者に認識させることができる。
【１７２７】
上記第１実施形態では、第１ユニット５５１の遊技球の送球経路の正面側（矢印Ｆ方向側）の内面に背面側（矢印Ｂ側方向側）に向かって突設される第１凹部５７１ｈ、第２凸部５７１ｉ、第３凸部５７１ｋが形成され、第１ユニット５１１の遊技球の送球経路の背面側の内面に背面側に向かって凹設される第１凹部５７１ｈ、第２凹部５７１ｉ及び第３凹部５７１ｊを備える場合について説明したが、必ずしもこれに限られるものではない。
【１７２８】
例えば、第１凹部５７１ｈ、第２凹部５７１ｉ及び第３凹部５７１ｊと第１凹部５７１ｈ、第２凸部５７１ｉ及び第３凸部５７１ｋとを正面視における前後方向で反対側の内面に形成にしても良い。
【１７２９】
また、第２凹部５７１ｉと対向する位置の正面側の内面に正面画に向かって凹設される凹部が形成されても良い。この場合、湾曲経路ＷＫ１の送球空間に凹部が凹設される分、送球空間を大きくすることができる。従って、湾曲経路ＷＫ１で遊技球の流下が遅くなりすぎることを抑制できる。その結果、湾曲経路ＷＫ１で遊技球が留まることを抑制できる。
【１７３０】
上記第９実施形態では、傾斜面９４３１ｂ１が、カム部材４２２に向かうに従って正面側に突出する場合について説明したが、必ずしもこれに限られるものではない。例えば、傾斜面９４３１ｂ１が、カム部材４２２に向かうに従って正面側への突出量が小さくされる傾斜として形成されていても良い。
【１７３１】
この場合、下変位ユニット４００が第２変位状態とされてカム部材４２２の端部が板状突起９５３１ａに当接した際に、カム部材４２２を正面ベース４１１の湾曲壁部４１１ｅに押し付けることができる。その結果、カム部材４２２が前後方向に揺れ動くことを抑制でき、下変位部材４４０を第２変位状態の位置で維持しやすくできる。
【１７３２】
上記第１１実施形態では、発光体１１４９１ａが、球受部４６７に受け入れられる遊技球の中心よりも高い（矢印Ｕ方向）位置に形成される場合について説明したが、必ずしもこれに限られるものではなく、例えば、球受部４６７に受け入れられる遊技球の中心と略同一の高さに発光体１１４９１ａが配設されていても良い。この場合、透過部１１４５１ｂの高さ位置が、球受部４６７に受け入れられる遊技球の中心から中心よりも上方側に亘って形成されることが好ましい。
【１７３３】
これによれば、発光体１１４９１ａから出射された光の一部を遊技球により遮断した場合に、透過部１１４５１ｂに形成される遊技球の影を、遊技球の上方側半球により半円形状に形成できる。これより、透過部１１４５１ｂに形成される影に遊技球の丸みを形成できるので、遊技者に球受部４６７に受入られた遊技球の位置を認識させやすくすることができる。
【１７３４】
上記第１２，第３９実施形態では、第３片１２４６７ｅ，３９４６７ｅの変位を遊技球の荷重により行う場合について説明したが、必ずしもこれに限られるものではない。例えば、球受部１２４６７，３９４６７に遊技球を送球する送球経路に遊技球が通過したことを検知するセンサを取り付けて、そのセンサにより遊技球が検出されたことに起因して第３片１２４６７ｅ，３９４６７ｅを単独で変位させても良い。これによれば、第２片１２４６７ｄ，３９４６７ｄを遊技球の荷重により変位させる必要がなくなるので球受部１２４６７，３９４６７の変位の信頼性を向上できる。なお、この場合、第３片１２４６７ｅ，３９４６７ｅを単独で変位させる駆動装置が球受部１２４６７，３９４６７に配設される。
【１７３５】
上記第１２，第３９実施形態では、第３片１２４６７ｅ，３９４６７ｅが回転変位する際の回転軸を第１片１２４６７ｃ，３９４６７ｃに形成する場合について説明したが、必ずしもこれに限られるものではない。例えば、第３片１２４６７ｅ，３９４６７ｅの軸部１２４６７ｅ３，３９４６７ｅ３をラック４６６に形成される開口に挿入して、第３片１２４６７ｅ，３９４６７ｅをラック４６６に対して回転変位させても良い。この場合、回転軸と第２片１２４６７ｄ，３９４６７ｄとの連結部分との距離を大きくしやすくできるので、第２片１２４６７ｄ，３９４６７ｄの変位量に対する第３片１２４６７ｅ，３９４６７ｅの変位量を大きくしやすくできる。その結果、第３片１２４６７ｅの遮蔽板１２４６７ｅ１を発光体１１４９１ａの正面側に配置しやすくできる。なお、この場合、ラック４６６に形成される開口は、軸部１２４６７ｅ３，３９４６７ｅ３が摺動可能な長穴に形成される。
【１７３６】
上記第１３実施形態では、第２経路部材１３５７０を第１経路部材１３５６０に対して前後方向に移動させる場合について説明したが、必ずしもこれに限られるものではなく、例えば、第１経路部材１３５６０を第２経路部材１３５７０に対して、前後方向に移動させても良い。この場合、第２経路部材１３５７０とベース板６０（遊技盤１３）の正面との相対的な位置関係により第１部材と第２部材との対向間の間隔が遊技者に把握されることを抑制できる。その結果、遊技機の稼動率を向上させることができる。
【１７３７】
上記第１、第１０、第２５実施形態では、装飾部材１５４，１０１５４，２５１５４が、接着テープ１５４ａ，１０１５４ａ，２５１５４ａにより貼付される場合について説明したが、必ずしもこれに限られるものではなく、例えば、液状体からなる接着剤を用いても良い。
【１７３８】
上記第１３、第３２、第３３、第３４、第３５実施形態では、正面側に配設される第１経路部材１３５６０，３２５６０，３３５６０，３４５６０，３５５６０が非光透過性材料から形成されて第１経路部材１３５６０，３２５６０，３３５６０，３４５６０，３５５６０と第２経路部材１３５７０，３２５７０，３４５７０との対向間が遊技者から認識されにくくされる場合について説明したが、必ずしもこれに限られるものではない。
【１７３９】
例えば、第１経路部材１３５６０，３２５６０，３３５６０，３４５６０，３５５６０に遊技球の直径よりも小さい幅のスリット状に開口される開口部を形成して第１経路部材１３５６０，３２５６０，３３５６０，３４５６０，３５５６０と第２経路部材１３５７０，３２５７０，３４５７０との対向間を流下する遊技球を開口部を介して遊技者に視認させてもよい。なお、この場合、スリット状に形成される複数の開口部は、隣の開口部までの距離が遊技球の直径よりも小さく設定される。
【１７４０】
これにより、第１経路部材１３５６０，３２５６０，３３５６０，３４５６０，３５５６０と第２経路部材１３５７０，３２５７０，３４５７０との対向間を流下する遊技球を開口部を介して遊技者に認識させることができる。
【１７４１】
また、第１経路部材１３５６０，３２５６０，３３５６０，３４５６０，３５５６０に遊技球の直径よりも小さい円形に開口される開口部を形成して第１経路部材１３５６０，３２５６０，３３５６０，３４５６０，３５５６０と第２経路部材１３５７０，３２５７０，３４５７０との対向間を流下する遊技球を開口部を介して遊技者に視認させてもよい。この場合、複数の開口部同士の隣り合う幅寸法が遊技球の直径よりも小さく形成される。従って、開口部がスリット状に形成される場合に比べて開口部の開口を小さくすることができるので、開口部を介して第１経路部材１３５６０，３２５６０，３３５６０，３４５６０，３５５６０と第２経路部材１３５７０，３２５７０，３４５７０との対向間の間隔が遊技者に認識されることを抑制できる。
【１７４２】
上記第１８実施形態では、係合部材１８３１０が係合される部分（被係合部１８３３２）を固定部材１８３２０に形成する場合について説明したが、必ずしもこれに限られるものではない。例えば、係合部材１８３１０が係合される被係合部１８３３２を、固定部材１８３２０にカシメ固定される基板ボックス１００に形成してもよい。
【１７４３】
この場合、基板ボックス１００が背面ケース１８３００に配設されていない状態では、係合部材１８３１０を背面ケース１８３００の内側に配置することができず、係合部材１８３１０を自重により背面ケース１８３００の外側に突出した状態とすることができる。
【１７４４】
その結果、基板ボックス１００が背面ケース１８３００に取り付け忘れた場合には、遊技盤１８０１３が外枠１１に配設される際に、係合部材１８３１０を外枠１１に引っ掛ける（図１６４（ｂ）参照）ことで、作業者に基板ボックス１００の取り付け忘れを気付かせることができる。
【１７４５】
上記第２１実施形態では、背面ケース３００の底壁部３０１の正面側（矢印Ｆ方向側）に配設される回転ユニット２１７００の挿入部２１７２４ｂが係合部材３１０の凹部３１７の内側に挿入されて係合部材３１０と固定部材３２０との係合が不正に解除されることを防止する場合について説明したが、必ずしもこれに限られるものではない。例えば、係合部材３１０の凹部３１７の内側に挿入される挿入部２１７２４ｂを固定部材３２０に配設される基板ボックス１００に形成してもよい。
【１７４６】
なお、この場合、挿入部２１７２４ｂは、固定部材３２０に穿設される開口を介して底壁部３０１の正面側に配設される。さらに、挿入部２１７２４ｂは、固定部材３２０にカシメ固定する軸が挿入される部分に形成される。これにより、基板ボックス１００の軸受部１１７が切断されて背面ケース２１３００から不正に取り外された場合に、挿入部２１７２４ｂを係合部材３１０の凹部３１７の内側に取り残すことができる。その結果、背面ケース２１３００から固定部材３２０を取り外すことを困難とすることができる。
【１７４７】
従って、固定部材３２０を交換する場合には、基板ボックス１００と固定部材３２０とのかしめ部分を正しく（かしめ部分を切断する）必要がある。これにより、固定部材３２０を背面ケース２１３００から不正に取り外すことを困難とすることができるので、固定部材３２０が取り外されて不正な基板ボックスに交換されることを抑制できる。
【１７４８】
上記第４２実施形態では、立設部材４２０６０ｆに、光を照射する発光基板を配設する場合を説明したが、必ずしもこれに限られるものではなく、例えば、ベース板４２０６０に配設される駆動部材を制御する制御基板や、遊技球を送球する通路として形成しても良い。
【１７４９】
上記第４３実施形態では、係合部材１８３１０が係合する被係合部４３１０１を基板ボックス４３１００の軸受部１１７側に形成して、軸受部１１７側と反対側の他側をネジにより背面ケースに配設する場合について説明したが必ずしもこれに限られるものではない。例えば、係合部材１８３１０を基板ボックス４３１００の他側の正面側（第４３実施形態と左右方向（矢印Ｌ−Ｒ方向において反対側）に配置すると共に、被係合部４３１０１を基板ボックス４３１００の軸受部１１７側と反対側の他側に形成して。ネジによる背面ケース４３３００と基板ボックス４３１００との締結をなくしてもよい。
【１７５０】
これによれば、基板ボックス４３１００の軸受部１１７側の一側を背面ケース４３３００の突壁４３３０１ｃ１と固定部材４３３２０の係止部３３１とで係合することができると共に、基板ボックス４３１００の軸受部１１７側と反対側の他側を係合部材１８３１０と基板ボックス４３１００とで係合させることができる。従って、基板ボックス４３１００の軸受部１１７側の一側と反対側の他側を締結する必要がなくなるので、その分、作業工程を少なくできる。
【１７５１】
上記第４５実施形態では、係合部材１８３１０を固定部材３２０と基板ボックス４５１００との両者に係合させる場合について説明したが、必ずしもこれに限られるものではない。たとえば、係合部材１８３１０を背面ケース４５３００の底壁部４５３０１の正面の２箇所に配設して、それぞれの係合部材１８３１０を固定部材３２０と基板ボックス４５１００とに係合させてもよい。
【１７５２】
上記第４５実施形態では、係合部材１８３１０の第１片１８３１１を固定部材３２０及び基板ボックス４５１００の被係合部３３２，４５１０１に形成される開口に挿入する場合を説明したが、必ずしもこれに限られるものではない。例えば、係合部材に１８３１０に被係合部３３２の開口に挿入される部分と、被係合部４５１０１の開口に挿入される部分とを別々に形成してもよい。
【１７５３】
これによれば、固定部材３２０及び基板ボックス４５１００に係合する係合部材１８３１０を１部材から形成できると共に、固定部材３２０と基板ボックス４５１００との係合位置に自由度を持たせることができる。即ち、固定部材３２０の被係合部３３２と基板ボックス４５１００の被係合部４５１０１との配置を近づける必要がなくなり、固定部材３２０と基板ボックス４５１００との設計の自由度を向上することができる。
【１７５４】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【１７５５】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【１７５６】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【１７５７】
以下に、本発明の遊技機に加えて上述した実施形態に含まれる各種発明の概念を示す。
【１７５８】
＜下変位ユニット４００を一例とする発明の概念について＞
基準位置から第１方向へ変位可能に形成され前記第１方向への変位に伴って遊技球を移動可能に形成される変位部材と、その変位部材の軌道領域外から変位部材の軌道領域へ遊技球が送球されることを規制する規制手段とを備えた遊技機において、前記変位部材は、前記第１方向と反対方向となる第２方向へ前記基準位置から変位可能に形成されることを特徴とする遊技機Ａ１。
【１７５９】
ここで、基準位置から第１方向へ変位可能に形成され第１方向への変位に伴って遊技球を移動可能に形成される変位部材と、その変位部材の軌道領域外から変位部材の軌道領域へ遊技球が送球されることを規制する規制手段とを備えた遊技機が知られている（例えば、特開２０１０−１６６９９７号）。この遊技機によれば、規制手段の規制により、規定数以上の遊技球が変位部材の軌道領域へ送球されることを抑制できる。しかしながら、上述した従来の遊技機では、例えば、固着や摩耗などに起因して、規制手段に動作不良が生じると、規定数以上の遊技球が変位部材の軌道領域へ向けて送球される恐れがあり、この場合、規定数を越えた分の遊技球により不具合を生じる恐れがあるという問題点があった。即ち、例えば、規定数を越えた分の遊技球が、変位部材の駆動機構に入り込み、可動部分に噛み込まれることで、破損を招く恐れがあった。或いは、規定数を越えた分の遊技球が遊技領域外（例えば、遊技盤の背面側）へ流出する恐れがあった。
【１７６０】
これに対し、遊技機Ａ１によれば、変位部材が、第１方向と反対方向となる第２方向へ基準位置から変位可能に形成されるので、その分、変位部材の軌道領域を拡大できる。よって、例えば、規制手段に動作不良が生じ、規定数以上の遊技球が送球された場合でも、変位部材の軌道領域が拡大されている分、規定数を越えた分の遊技球を軌道領域に受け入れることができる。その結果、規定数を越えた分の遊技球を、変位部材の第１方向への変位に伴って移動させることができる。よって、規定数を越えた分の遊技球が、変位部材の駆動機構部分に入り込むことや、遊技領域外へ流出することを抑制でき、その結果、規定数を越えた分の遊技球による不具合を生じ難くできる。
【１７６１】
遊技機Ａ１において、遊技球が通過可能な通路として形成され下流が前記変位部材の軌道領域に連通される通路部材を備え、前記規制手段は、前記通路部材における遊技球の通過を規制することを特徴とする遊技機Ａ２。
【１７６２】
遊技機Ａ２によれば、遊技機Ａ１の奏する効果に加え、遊技球が通過可能な通路として形成され下流が変位部材の軌道領域に連通される通路部材を備え、規制手段は、通路部材における遊技球の通過を規制するので、例えば、規制手段に動作不良が生じ、規定数以上の遊技球が送球された場合でも、規定数を超える分の遊技球を、通路部材を介して、変位部材の軌道領域へ確実に送球させることができる。その結果、規定数を越えた分の遊技球による不具合を生じ難くできる。
【１７６３】
遊技機Ａ２において、前記変位部材は、前記基準位置において前記通路部材から送球された規定数の遊技球を受け取って保持可能に形成されると共に、前記基準位置から第２方向へ少なくとも遊技球の直径を越える距離だけ変位可能に形成されることを特徴とする遊技機Ａ３。
【１７６４】
遊技機Ａ３によれば、遊技機Ａ２の奏する効果に加え、変位部材は、基準位置において通路部材から送球された規定数の遊技球を受け取って保持可能に形成されると共に、基準位置から第２方向へ少なくとも遊技球の直径を越える距離だけ変位可能に形成されるので、基準位置において規定数の遊技球を受け取った後、変位部材を基準位置から第２方向へ変位させることで、規定数を越える分の遊技球を変位部材の軌道領域（変位部材よりも第１方向側の領域）に送球させることができる。よって、規定数を越えた分の遊技球を、変位部材の第１方向への変位に伴って移動させることができる。
【１７６５】
この場合、規定数の遊技球を変位部材が保持し、規定数を越える分の遊技球を軌道領域に送球できるので、これら規定数の遊技球と、規定数を越える分の遊技球とを分離することができる。よって、例えば、変位部材を第１方向へ変位させることで、規定数の遊技球を変位部材が保持した状態を維持しつつ、規定数を越える分の遊技球のみを軌道領域から排出する動作が可能となる。
【１７６６】
遊技機Ａ３において、前記変位部材は、前記第１方向へ変位され所定位置に達すると姿勢が変化可能に形成されることを特徴とする遊技機Ａ４。
【１７６７】
遊技機Ａ４によれば、遊技機Ａ３の奏する効果に加え、変位部材は、第１方向へ変位され所定位置に達すると姿勢が変化可能に形成されるので、所定位置までは、規定数の遊技球を変位部材が保持した状態を維持しやすくして、変位部材からの遊技球の脱落を抑制できる一方、所定位置に達した際には、変位部材の姿勢の変化を利用して、遊技球を変位部材から排出しやすくできる。
【１７６８】
遊技機Ａ４において、前記変位部材が前記基準位置から前記第１方向へ変位する際の軌道領域に凹設される凹部を備え、前記変位部材は、前記第１方向へ変位する際に前記凹部に係合される突部を備えると共に前記突部が前記凹部に係合されることで姿勢が変化可能に形成されることを特徴とする遊技機Ａ５。
【１７６９】
遊技機Ａ５によれば、遊技機Ａ４の奏する効果に加え、変位部材が基準位置から第１方向へ変位する際の軌道領域に凹設される凹部を備え、変位部材は、第１方向へ変位する際に凹部に係合される突部を備えると共に突部が凹部に係合されることで姿勢が変化可能に形成されるので、変位部材の姿勢を変化させるための構造を簡素化できる。
【１７７０】
遊技機Ａ５において、前記突部は、前記変位部材から前記第１方向へ向けて突設されると共に、その突設先端が、前記変位部材の軌道領域へ送球された遊技球の下半面に当接されることを特徴とする遊技機Ａ６。
【１７７１】
遊技機Ａ６によれば、遊技機Ａ５の奏する効果に加え、突部は、変位部材から第１方向へ向けて突設され、その突設先端が、変位部材の軌道領域へ送球された遊技球（即ち、規定数を越える分の遊技球）の下半面に当接可能に形成されるので、変位部材が第１方向へ変位される際には、遊技球を、その下半面を突部で押しつつ移動させることができる。その結果、規定数を越えた分の遊技球を軌道領域から排出しやすくできる。
【１７７２】
また、変位部材に保持される規定数の遊技球と、変位部材の軌道領域へ送球された遊技球（規定数を越える分の遊技球）との間に突部が介在することで、かかる突部の突設長さの分、規定数の遊技球と規定数を越える分の遊技球との間隔を確保できる。よって、規定数の遊技球を変位部材が保持した状態を維持しつつ、規定数を越える分の遊技球のみを軌道領域から排出しやすくできる。
【１７７３】
更に、凹部との係合により変位部材の姿勢を変化させる役割と、遊技球をその下半面を押しつつ移動させる役割とを突部に兼用させるので、その分、部品点数を削減して、製品コストの削減を図ることができる。
【１７７４】
遊技機Ａ５又はＡ６において、前記凹部は、前記第１方向における大きさが遊技球の直径よりも小さくされることを特徴とする遊技機Ａ７。
【１７７５】
遊技機Ａ７によれば、遊技機Ａ５又はＡ６の奏する効果に加え、凹部は、第１方向における大きさが遊技球の直径よりも小さくされるので、変位部材の軌道領域へ送球された遊技球（即ち、規定数を越える分の遊技球）が変位部材の第１方向への変位に伴って移動される際に凹部を通過しやすくできる。その結果、規定数を越えた分の遊技球を軌道領域から排出しやすくできる。
【１７７６】
遊技機Ａ５からＡ７のいずれかにおいて、前記変位部材が前記基準位置から前記第１方向へ変位する際の軌道領域に前記遊技球の半径よりも低い高さで立設されると共に前記凹部よりも前記第１方向側に位置する壁部を備え、前記変位部材の軌道領域へ送球された遊技球が前記変位部材の第１方向への変位に伴って移動されると、前記遊技球が前記壁部と前記変位部材とに当接されて、前記変位部材の姿勢変化が規制されることを特徴とする遊技機Ａ８。
【１７７７】
遊技機Ａ８によれば、遊技機Ａ５からＡ７のいずれかにおいて、変位部材が基準位置から第１方向へ変位する際の軌道領域に遊技球の半径よりも低い高さで立設されると共に凹部よりも第１方向側に位置する壁部を備え、変位部材の軌道領域へ送球された遊技球が変位部材の第１方向への変位に伴って移動されると、その遊技球が壁部と変位部材とに当接されて、変位部材の姿勢変化が規制可能に形成されるので、規定数の遊技球を変位部材が保持した状態を維持しつつ、規定数を越える分の遊技球のみを軌道領域から排出しやすくできる。
【１７７８】
即ち、壁部は、遊技球の半径よりも低い高さで立設されるので、変位部材の第１方向への変位に伴って突部に押されて遊技球が移動されると、遊技球の下半面を壁部に当接させて、かかる壁部を遊技球が乗り越えさせやすくできる。この場合、変位部材に遊技球が当接され（即ち、変位部材と壁部との間に遊技球が介在され）、遊技球から変位部材へ反力を作用させることができるので、変位部材の姿勢変化を規制でき、変位部材が保持している規定数の遊技球が脱落することを抑制できる。その結果、規定数の遊技球を変位部材が保持した状態を維持しつつ、規定数を越える分の遊技球のみを軌道領域から排出しやすくできる。
【１７７９】
一方、変位部材の軌道領域に遊技球（即ち、規定数を越える遊技球）が送球されていない場合には、壁部と変位部材との間に遊技球が介在されないので、突部が凹部に係合されることで、変位部材の姿勢を変化させることができる。その結果、変位部材の姿勢の変化を利用して、規定数の遊技球（即ち、変位部材に保持されている遊技球）を変位部材から排出しやすくできる。
【１７８０】
遊技機Ａ１からＡ８のいずれかにおいて、前記規制手段は、前記変位部材の変位に連動して動作可能に形成されることを特徴とする遊技機Ａ９。
【１７８１】
遊技機Ａ９によれば、遊技機Ａ１からＡ８のいずれかの奏する効果に加え、規制手段は、変位部材の変位に連動して動作可能に形成されるので、変位部材の変位に応じて、変位部材の軌道領域への遊技球の送球を規制または許容できる。即ち、遊技球の送球の規制または許容を、変位部材の変位に機械的に同期させて切り替えることができるので、例えば、規制手段の位置を検出するセンサ装置やそのセンサ装置の検出結果に応じて規制手段を駆動する駆動手段、或いは、それら各手段の制御を不要とでき、その分、製品コストの削減を図ることができると共に、動作の信頼性の向上を図ることができる。
【１７８２】
遊技機Ａ９において、前記規制手段は、前記変位部材が前記基準位置から前記第２方向へ変位されることに連動して、前記変位部材の軌道領域へ遊技球を送球することを許容することを特徴とする遊技機Ａ１０。
【１７８３】
遊技機Ａ１０によれば、遊技機Ａ９の奏する効果に加え、規制手段は、前記変位部材の前記基準位置から前記第２方向への変位に連動して、前記変位部材の軌道領域への遊技球の送球を許容するので、変位部材の軌道領域であって、変位部材よりも第１方向側の領域に遊技球を確実に送球させることができる。
【１７８４】
遊技機Ａ１からＡ１０のいずれかにおいて、前記変位部材が変位可能に配設されるベース部材と、そのベース部材における前記第１方向側の端部の鉛直方向下方に配設されると共に鉛直方向上方に開口を有する回収部材とを備えることを特徴とする遊技機Ａ１１。
【１７８５】
遊技機Ａ１１によれば、遊技機Ａ１０の奏する効果に加え、変位部材が変位可能に配設されるベース部材と、そのベース部材における第１方向側の端部の鉛直方向下方に配設されると共に鉛直方向上方に開口を有する回収部材とを備えるので、変位部材の第１方向への移動に伴って移動され、変位部材の軌道領域から排出される遊技球（即ち、規定数を越える分の遊技球）を回収部材の開口から受け入れて回収することができる。
【１７８６】
遊技機Ａ１１において、前記ベース部材は、退避位置と変位位置との間で変位可能に形成され、前記回収部材の開口は、少なくとも前記退避位置または変位位置に変位された前記ベース部材における前記第１方向側の端部の鉛直方向下方に位置する大きさで形成されることを特徴とする遊技機Ａ１２。
【１７８７】
遊技機Ａ１２によれば、遊技機Ａ１１の奏する効果に加え、ベース部材は、退避位置と変位位置との間で変位可能に形成され、回収部材の開口は、少なくとも退避位置または変位位置に変位されたベース部材における第１方向側の端部の鉛直方向下方に位置する大きさで形成されるので、ベース部材が退避位置または変位位置のいずれに変位された場合でも、変位部材の軌道領域から排出される遊技球（即ち、規定数を越える分の遊技球）を回収部材の開口から受け入れて回収することができる。
【１７８８】
遊技機Ａ５からＡ８のいずれかにおいて、前記凹部の凹設空間内に挿入されることで、前記凹部に前記突部が係合することを規制する挿入部材を備えることを特徴とする遊技機Ａ１３。
【１７８９】
遊技機Ａ１３によれば、遊技機Ａ５からＡ８のいずれかにおいて、凹部の凹設空間内に挿入されることで、凹部に突部が係合することを規制する挿入部材を備えるので、変位部材の第１方向への変位に伴って、規定数を越える分の遊技球を変位部材の軌道領域から排出する際に、変位部材の姿勢が変化されることを抑制できる。よって、規定数の遊技球を変位部材が保持した状態を維持しつつ、規定数を越える分の遊技球のみを軌道領域から排出しやすくできる。
【１７９０】
遊技機Ａ１３において、退避位置と変位位置との間で変位可能に形成されると共に前記変位部材が変位可能に配設されるベース部材を備え、前記挿入部材は、前記ベース部材が退避位置に変位されると前記凹部の凹設空間内に挿入されると共に、前記ベース部材が変位位置に変位されると前記凹部の凹設空間内から離間されることを特徴とする遊技機Ａ１４。
【１７９１】
遊技機Ａ１４によれば、遊技機Ａ１３の奏する効果に加え、ベース部材が退避位置に変位されると挿入部材が凹部の凹設空間内に挿入されるので、変位部材の第１方向への変位に伴って、規定数を越える分の遊技球を変位部材の軌道領域から排出する際に、変位部材の姿勢が変化されることを抑制して、規定数の遊技球を変位部材が保持した状態を維持しやすくできる一方、ベース部材が変位位置に変位されると挿入部材が凹部の凹設空間内から離間されるので、変位部材の第１方向への変位に伴って突部が凹部に係合されることで、変位部材の姿勢を変化させ、規定数の遊技球を変位部材から排出しやすくできる。
【１７９２】
＜振分けユニット５００を一例とする発明の概念について＞
遊技球が流下する流下通路と、その流下通路から分岐される第１分岐通路および第２分岐通路と、前記流下通路を流下する遊技球を前記第１分岐通路または前記第２分岐通路の一方へ振り分ける振分手段とを備えた遊技機において、変位可能に形成されると共に前記第１分岐通路から遊技球を受け取る変位部材を備え、前記変位部材が前記振分手段に当接して変位されることで、前記振分手段が変位され、振り分け先が切り替えられることを特徴とする遊技機Ｂ１。
【１７９３】
ここで、遊技球が流下する流下通路と、その流下通路から分岐される第１分岐通路および第２分岐通路と、流下通路を流下した遊技球を第１分岐通路または第２分岐通路の一方へ振り分ける振分手段とを備えた遊技機が知られている（例えば、特開２０１４−２２３１７６号）。しかしながら、上述した従来の遊技機では、流下通路を流下した遊技球を、第１分岐通路と第２分岐通路とへ１球ずつ交互に振り分ける構造であるため、流下通路を流下する遊技球が、第１分岐通路と第２分岐通路とに均等に（即ち、半数ずつ）振り分けられる。即ち、第１分岐通路へ振り分ける遊技球の数を変更できないという問題点があった。
【１７９４】
これに対し、遊技機Ｂ１によれば、変位可能に形成されると共に第１分岐通路から遊技球を受け取る変位部材を備え、変位部材が振分手段に当接して変位されることで、振分手段が変位され、振り分け先が切り替えられるので、変位部材の変位に応じて、第１分岐通路または第２分岐通路へ振り分けられる遊技球の数を変更できる。即ち、第１分岐通路へ振り分ける遊技球の数を変更できる。
【１７９５】
なお、遊技機Ｂ１によれば、変位部材の変位を利用して、振分手段を変位させることができるので、かかる振分手段を変位させるための駆動手段や伝達機構を別途設けることを不要とできる。よって、その分、部品点数を削減して、製品コストの削減を図ることができる。
【１７９６】
また、例えば、センサ装置による位置検出や駆動手段による駆動を利用して振分手段の変位を制御する構造では、検出不良や制御不良による誤作動によって、振分手段の振り分け動作の信頼性の低下を招くところ、遊技機Ｂ１によれば、振分手段による振り分け先を、変位部材の変位に機械的に同期させて切り替えることができるので、振り分け動作の信頼性の向上を図ることができる。
【１７９７】
特に、変位部材は、第１分岐通路から遊技球を受け取る部材であるので、かかる変位部材の変位に同期させて振分手段の振り分け先を第１分岐通路に切り替えることができることで、第１分岐通路に振り分けられた遊技球を変位部材に確実に受け取らせることができる。
【１７９８】
遊技機Ｂ１において、前記振分手段に付勢力を付与して、前記振分手段による振り分け先を前記第１分岐通路または前記第２分岐通路の一方に維持させる付勢手段を備え、前記変位部材が前記振分手段を前記付勢力の方向に抗する方向へ変位させることで、前記振分手段による振り分け先が前記第１分岐通路または前記第２分岐通路の他方に切り替えられると共に、前記付勢手段の付勢力によって、前記振分手段による振り分け先が前記第１分岐通路または前記第２分岐通路の一方に復帰されることを特徴とする遊技機Ｂ２。
【１７９９】
遊技機Ｂ２によれば、遊技機Ｂ１の奏する効果に加え、振分手段に付勢力を付与して、振分手段による振り分け先を第１分岐通路または前記第２分岐通路の一方に維持させる付勢手段を備えるので、振分手段による振り分け先が不用意に切り替えられることを抑制できる。この場合、変位部材の変位に伴って振分手段が変位され、その振り分け先が切り替えられた後、切り替え前の振り分け先への復帰は、付勢手段の付勢力により行うことができるので、変位部材が振分手段と当接されていることを不要とできる。即ち、変位部材を振分手段から離間させることができる。よって、変位部材の可動範囲の設計の自由度を高めることができる。
【１８００】
遊技機Ｂ２において、前記付勢手段は、前記振分手段に付勢力を付与して、前記振分手段による振り分け先を前記第２分岐通路に維持させることを特徴とする遊技機Ｂ３。
【１８０１】
遊技機Ｂ３によれば、遊技機Ｂ２の奏する効果に加え、付勢手段は、振分手段に付勢力を付与して、振分手段による振り分け先を第２分岐通路に維持させるので、変位部材が遊技球を受け取り不能な状態において、振分手段による振り分け先が第１分岐通路に切り替えられることを抑制できる。
【１８０２】
遊技機Ｂ３において、第１位置と第２位置との間で変位可能に形成されると共に前記変位部材が配設されるベース部材を備え、前記ベース部材が前記第１位置に配置された状態では、前記変位部材が、前記第１分岐通路から遊技球を受け取り可能とされると共に、前記振分手段に当接可能とされ、前記ベース部材が前記第２位置に配置された状態では、前記変位部材が、前記第１分岐通路から遊技球を受け取り不能とされると共に、前記振分手段に当接不能とされることを特徴とする遊技機Ｂ４。
【１８０３】
遊技機Ｂ４によれば、遊技機Ｂ３の奏する効果に加え、第１位置と第２位置との間で変位可能に形成されるベース部材を備え、そのベース部材に変位部材が配設されるので、ベース部材を第１位置に配置した状態で変位部材を変位させる態様と、ベース部材を第２位置に配置した状態で変位部材を変位させる態様とを形成することができる。よって、その分、演出効果を高めることができる。
【１８０４】
この場合、ベース部材が第２位置に配置された状態では、変位部材が第１分岐通路から遊技球を受け取り不能とされるところ、かかる状態では変位部材が振分手段に当接不能とされるので、変位部材が遊技球を受け取り不能な状態（ベース部材が第２位置に配置された状態）において、振分手段による振り分け先が第１分岐通路に切り替えられることを抑制できる。
【１８０５】
遊技機Ｂ４において、前記ベース部材とは別部材として形成される第２ベース部材を備え、その第２ベース部材に前記振分手段が配設されることを特徴とする遊技機Ｂ５。
【１８０６】
遊技機Ｂ５によれば、遊技機Ｂ４の奏する効果に加え、ベース部材とは別部材として形成される第２ベース部材を備え、その第２ベース部材に振分手段が配設されるので、その分、ベース部材の大型化を抑制することができる。
【１８０７】
遊技機Ｂ１からＢ５のいずれかにおいて、前記変位部材は、切り替え位置とその切り替え位置とは異なる位置に設定される受け取り位置とに少なくとも変位可能に形成され、前記変位部材が前記切り替え位置に変位された状態では、前記振分手段による振り分け先が前記第１分岐通路に切り替えられ、前記変位部材が前記受け取り位置に変位された状態では、前記第１分岐通路から前記変位部材が遊技球を受け取り可能とされる共に、前記振分手段による振り分け先が前記第２分岐通路に切り替えられることを特徴とする遊技機Ｂ６。
【１８０８】
遊技機Ｂ６によれば、遊技機Ｂ１からＢ５のいずれかの奏する効果に加え、変位部材は、切り替え位置とその切り替え位置とは異なる位置に設定される受け取り位置とに少なくとも変位可能に形成され、変位部材が切り替え位置に変位された状態では、振分手段による振り分け先が第１分岐通路に切り替えられ、変位部材が受け取り位置に変位された状態では、第１分岐通路から変位部材が遊技球を受け取り可能とされる共に、振分手段による振り分け先が第２分岐通路に切り替えられるので、変位部材が受け取り可能な規定数を越えた遊技球が第１分岐通路へ振り分けられることを抑制できる。
【１８０９】
即ち、切り替え位置と受け取り位置とを同一の位置に設定した場合には、振分手段による振り分け先が第１分岐通路へ切り替えられた状態のままで、変位部材が遊技球を受け取るため、変位部材が受け取り可能な規定数を越えて遊技球が第１分岐通路へ振り分けられる恐れがある。第１分岐通路への遊技球の流入を規制する手段を別途設けた場合には、構造が複雑化して信頼性が低下すると共に、製品コストの増加を招く。
【１８１０】
これに対し、遊技機Ｂ６によれば、変位部材が切り替え位置へ変位され、規定数（又は、規定数以下）の遊技球が第１分岐通路へ振り分けられた後に、変位部材が受け取り位置へ変位されると、振り分け先が第２分岐通路へ切り替えられた状態とされるので、第１分岐通路へ規定数を越えた遊技球が流下しないようにできる。よって、変位部材が受け取り可能な規定数を越えた遊技球が第１分岐通路へ振り分けられることを抑制できる。また、上述した手段を別途設ける必要がないので、信頼性の向上と製品コストの低減とを図ることができる。
【１８１１】
遊技機Ｂ６において、前記第１分岐通路は、その内壁面に突設または凹設される一又は複数の突起または凹部として形成され、前記第１分岐通路を通過する遊技球に抵抗を付与する抵抗手段を備えることを特徴とする遊技機Ｂ７。
【１８１２】
遊技機Ｂ７によれば、遊技機Ｂ６の奏する効果に加え、第１分岐通路は、その内壁面に突設または凹設される一又は複数の突起または凹部として形成され、第１分岐通路を通過する遊技球に抵抗を付与する抵抗手段を備えるので、第１分岐通路を通過する遊技球の速度を遅くすることができる。よって、その分、切り替え位置から受け取り位置まで変位部材が変位する際に必要とされる時間を長くできるので、変位部材に遊技球を確実に受け取らせることができる。また、変位部材に必要とされる変位速度を遅くできる分、駆動手段の出力を小さくして、製品コストの削減を図ることができる。
【１８１３】
遊技機Ｂ６又はＢ７において、前記振分手段は、その振分手段の変位に伴って前記第１分岐通路に対して出没可能に形成される第１出没部および第２出没部を備え、前記第１出没部は、前記第１分岐通路へ突出することで、前記流下通路を流下する遊技球を前記第２分岐通路へ振り分け可能に形成され、前記第２出没部は、前記第１出没部よりも前記第１分岐通路の下流側に位置すると共に、前記第１分岐通路へ突出することで、前記第１分岐通路に振り分けられた遊技球の流下を規制可能に形成され、それら第１出没部および第２出没部は、一方が前記第１分岐通路の通路内へ突出した状態では他方が前記第１分岐通路の通路外へ退避されることを特徴とする遊技機Ｂ８。
【１８１４】
遊技機Ｂ８によれば、遊技機Ｂ６又はＢ７の奏する効果に加え、振分手段は、その振分手段の変位に伴って第１分岐通路に対して出没可能に形成される第１出没部および第２出没部を備え、第１出没部は、第１分岐通路へ突出することで、流下通路を流下する遊技球を第２分岐通路へ振り分け可能に形成され、第２出没部は、第１出没部よりも第１分岐通路の下流側に位置すると共に、第１分岐通路へ突出することで、第１分岐通路に振り分けられた遊技球の流下を規制可能に形成され、それら第１出没部および第２出没部は、一方が第１分岐通路の通路内へ突出した状態では他方が第１分岐通路の通路外へ退避されるので、変位部材の変位に伴って振分手段を変位させることで、規定数の遊技球のみを第１分岐通路へ振り分けて変位部材に受け取らせることができる。
【１８１５】
即ち、第１出没部が突出することで、流下通路を流下する遊技球を第２分岐通路へ振り分ける第１の状態と、第１出没部が退避することで、流下通路を流下する遊技球を第１分岐通路へ振り分ける第２の状態と、第２出没部が突出することで、第１分岐通路へ振り分けられた遊技球の流下を規制（遊技球を貯留）する第３の状態と、第２出没部が退避することで、第１分岐通路に貯留されていた遊技球を流下させて変位部材へ受け取らせる第４の状態とを形成することができ、これら各状態を組み合わせることで、規定数の遊技球のみを第１分岐通路へ振り分けて変位部材に受け取らせることができる。
【１８１６】
また、遊技機Ｂ８によれば、振分手段が第１出没部および第２出没部を備える、即ち、一部品として形成されるので、振分手段の構造（第１出没部および第２出没部を動作させそれらの機能を発揮させるための構造）を簡素化できる。更に、第１出没部および第２出没部は、一方が第１分岐通路の通路内へ突出した状態では他方が第１分岐通路の通路外へ退避されるので、変位部材の２位置（切り替え位置および受け取り位置）に応じて、振分手段も２位置に変位可能に形成されれば足りる。即ち、振分手段を２位置で変位させることで、上述した第１から第４の状態を形成できる。よって、振分手段の構造および変位部材の変位に伴い振分手段を変位させる構造を簡素化でき、その分、遊技球の振り分け動作の信頼性の向上を図ることができる。
【１８１７】
＜振分けユニット５００を一例とする発明の概念について＞
遊技球が流下する流下通路と、その流下通路から分岐される第１分岐通路および第２分岐通路と、前記流下通路を流下する遊技球を前記第１分岐通路または前記第２分岐通路の一方へ振り分ける振分手段とを備えた遊技機において、前記振分手段よりも下流側に位置し、前記第１分岐通路における遊技球の流下を規制または許容する流下状態変更手段を備えることを特徴とする遊技機Ｃ１。
【１８１８】
ここで、遊技球が流下する流下通路と、その流下通路から分岐される第１分岐通路および第２分岐通路と、流下通路を流下する遊技球を第１分岐通路または第２分岐通路の一方へ振り分ける振分手段とを備えた遊技機が知られている（例えば、特開２０１４−２２３１７６号）。しかしながら、上述した従来の遊技機では、流下通路を流下する遊技球が、第１分岐通路または第２分岐通路の一方へ振り分けられるのみであるため、遊技者に興趣を与えることが不十分であるという問題点があった。
【１８１９】
これに対し、遊技機Ｃ１によれば、前記振分手段よりも下流側に位置し、前記第１分岐通路における遊技球の流下を規制または許容する流下状態変更手段を備えるので、遊技者に興趣を与えることができる。
【１８２０】
即ち、流下状態変更手段の動作により、第１分岐通路へ振り分けられた遊技球の流下を規制して第１分岐通路に遊技球を貯留すると共に、第１分岐通路における遊技球の流下を許容し、第１分岐通路に貯留されていた遊技球を流下させる（開放する）ことができる。これにより、流下通路を流下する遊技球を第１分岐通路または第２分岐通路の一方へ振り分ける動作に加え、第１分岐通路に振り分けられた遊技球の流下を一端停止させる（貯留する）動作と、その停止された（貯留された）遊技球を流下させる（開放する）動作とを形成できる。その結果、遊技者に興趣を与えることができる。
【１８２１】
遊技機Ｃ１において、前記振分手段と前記流下状態変更手段とが一体に形成される一体部材を備え、前記振分手段による振り分け先が前記第１分岐通路とされた状態では前記第１分岐通路における遊技球の流下が前記流下状態変更手段により規制され、前記振分手段による振り分け先が前記第２分岐通路とされた状態では前記第１分岐通路における遊技球の流下が前記流下状態変更手段により許容されることを特徴とする遊技機Ｃ２。
【１８２２】
遊技機Ｃ２によれば、遊技機Ｃ１の奏する効果に加え、振分手段と流下状態変更手段とが一体に形成される一体部材を備えるので、それら振分手段と流下状態変更手段とを動作させる構造の簡素化と動作の信頼性の向上とを図ることができる。即ち、振分手段と流下状態変更手段とが別体に形成される場合には、２部品となるため、それら２部品を動作させる構造が複雑化すると共に動作の信頼性の低下を招く。これに対し、遊技機Ｃ２によれば、振分手段と流下状態変更手段とを一部品として形成できるので、その分、構造を簡素化でき、製品コストの削減と動作の信頼性の向上とを図ることができる。
【１８２３】
また、この場合、一体部材の動作により、振分手段による振り分け先が第１分岐通路とされると、第１分岐通路へ振り分けられた遊技球の流下を流下状態変更手段により規制して第１分岐通路に遊技球を貯留すると共に、振分手段による振り分け先が第２分岐通路とされると、第１分岐通路における遊技球の流下を流下状態変更手段により許容し、第１分岐通路に貯留されていた遊技球を流下させる（開放する）ことができる。即ち、流下通路を流下する遊技球を第１分岐通路または第２分岐通路の一方へ振り分ける動作に加え、第１分岐通路に振り分けられた遊技球の流下を一端停止させる（貯留する）動作と、その停止された（貯留された）遊技球を流下させる（開放する）動作とを形成できるだけでなく、これら貯留および開放の動作を、振り分け動作に連動して、交互に形成できる。
【１８２４】
遊技機Ｃ２において、前記一体部材は、第１状態位置と第２状態位置とに変位可能に形成され、前記一体部材が前記第１状態位置に変位された状態では、前記振分手段が前記第１分岐通路を振り分け先とする位置に配置され且つ前記流下状態変更手段が前記第１分岐通路における遊技球の流下を規制する位置に配置され、前記一体部材が前記第２状態位置に変位された状態では、前記振分手段が前記第２分岐通路を振り分け先とする位置に配置され且つ前記流下状態変更手段が前記第１分岐通路における遊技球の流下を許容する位置に配置されることを特徴とする遊技機Ｃ３。
【１８２５】
遊技機Ｃ３によれば、遊技機Ｃ２の奏する効果に加え、一体部材は、第１状態位置と第２状態位置とに変位可能に形成され、一体部材が第１状態位置に変位された状態では、振分手段が第１分岐通路を振り分け先とする位置に配置され且つ流下状態変更手段が第１分岐通路における遊技球の流下を規制する位置に配置され、一体部材が第２状態位置に変位された状態では、振分手段が前記第２分岐通路を振り分け先とする位置に配置され且つ流下状態変更手段が第１分岐通路における遊技球の流下を許容する位置に配置されるので、一体部材を２位置（第１状態位置および第２状態位置）で変位させることで、流下通路を流下する遊技球を第１分岐通路または第２分岐通路の一方へ振り分ける動作に加え、第１分岐通路に振り分けられた遊技球の流下を一端停止させる（貯留する）動作と、その停止された（貯留された）遊技球を流下させる（開放する）動作とを形成できると共に、これら貯留および開放の動作を、振り分け動作に連動して、交互に形成できる。即ち、構造を簡素化して、製品コストの削減と動作の信頼性の向上とを図ることができる。
【１８２６】
遊技機Ｃ３において、前記一体部材は、回転可能に形成され、少なくとも前記流下状態変更手段は、前記第１分岐通路に対して出没可能に形成され、前記第１分岐通路へ突出することで遊技球の流下を規制すると共に、前記一体部材の回転軸を中心とする円弧状に湾曲した形状に形成されることを特徴とする遊技機Ｃ４。
【１８２７】
遊技機Ｃ４によれば、遊技機Ｃ３の奏する効果に加え、一体部材は、回転可能に形成され、少なくとも流下状態変更手段は、第１分岐通路に対して出没可能に形成され、第１分岐通路へ突出することで遊技球の流下を規制すると共に、一体部材の回転軸を中心とする円弧状に湾曲した形状に形成されるので、流下状態変更手段の出没のために第１分岐通路の内壁に開口される孔の面積を小さくすることができる。
【１８２８】
遊技機Ｃ４において、前記流下状態変更手段は、前記第１分岐通路の上流を臨む側が凹となる姿勢で配設されることを特徴とする遊技機Ｃ５。
【１８２９】
遊技機Ｃ５によれば、遊技機Ｃ４の奏する効果に加え、流下状態変更手段は、第１分岐通路の上流を臨む側が凹となる姿勢で配設されるので、第１分岐通路へ流下状態変更手段が突出し始めた初期の状態（即ち、通路内へ流下状態変更手段の先端側のみが突出されている状態）において、流下状態変更手段の先端側の形状を、遊技球の流下を規制しやすい向きに配置でき、第１分岐通路に振り分けられた遊技球の流下を規制しやすくできる。
【１８３０】
また、流下状態変更手段が第１分岐通路へ最大に突出され遊技球の流下を規制する状態では、流下状態変更手段の凹により遊技球を安定して保持できるので、遊技球の暴れを抑制できる。
【１８３１】
遊技機Ｃ４又はＣ５において、前記一体部材に付勢力を付与して、前記流下状態変更手段が前記第１分岐通路へ突出する方向へ付勢する付勢手段を備え、前記流下状態変更手段から前記一体部材の回転軸までの距離が、前記振分手段から前記一体部材の回転軸までの距離よりも大きくされることを特徴とする遊技機Ｃ６。
【１８３２】
遊技機Ｃ６によれば、遊技機Ｃ４又はＣ５の奏する効果に加え、一体部材に付勢力を付与して、流下状態変更手段が第１分岐通路へ突出する方向へ付勢する付勢手段を備えるので、かかる付勢力を利用して、一体部材を、流下状態変更手段が第１分岐通路へ突出する姿勢（即ち、第１状態位置）に維持しやすくできる。
【１８３３】
この場合、遊技機Ｃ６では、流下状態変更手段から一体部材の回転軸までの距離が、振分手段から一体部材の回転軸までの距離よりも大きくされるので、流下する遊技球が衝突されると、回転軸からの距離が大きい分、同じ衝撃力が作用した場合でも、流下状態変更手段が没入しやすいところ、付勢手段の付勢方向が、流下状態変更手段が第１分岐通路へ突出する方向とされることで、その付勢力の分、流下状態変更手段が没入されることを抑制できる。
【１８３４】
遊技機Ｃ６において、前記一体部材は、その自重により前記流下状態変更手段が前記第１分岐通路へ突出する方向へ回転されることを特徴とする遊技機Ｃ７。
【１８３５】
遊技機Ｃ７によれば、遊技機Ｃ６の奏する効果に加え、一体部材は、その自重により流下状態変更手段が第１分岐通路へ突出する方向へ回転されるので、かかる自重を利用して、一体部材を、流下状態変更手段が第１分岐通路へ突出する姿勢（即ち、第１状態位置）に維持しやすくできる。よって、遊技球が衝突した場合には、その自重の分、流下状態変更手段が没入されることを更に抑制できる。
【１８３６】
また、付勢手段が脱落した場合でも、一体部品を、その自重により、流下状態変更手段が前記第１分岐通路へ突出した姿勢に維持して、第１分岐通路へ遊技球が流下することを抑制できる。
【１８３７】
遊技機Ｃ２からＣ７のいずれかにおいて、前記振分手段による振り分け先が前記第１分岐通路とされると共に前記第１分岐通路における遊技球の流下が前記流下状態変更手段により規制され、前記第１分岐通路に規定数の遊技球が貯留された状態では、前記流下通路を流下する遊技球が前記第２分岐通路へ流下可能に形成されることを特徴とする遊技機Ｃ８。
【１８３８】
遊技機Ｃ８によれば、遊技機Ｃ２からＣ７のいずれかの奏する効果に加え、振分手段による振り分け先が第１分岐通路とされると共に第１分岐通路における遊技球の流下が流下状態変更手段により規制され、第１分岐通路に規定数の遊技球が貯留された状態では、流下通路を流下する遊技球が第２分岐通路へ流下可能に形成されるので、規定数以上の遊技球が流下通路を流下する場合に、規定数を越える分の遊技球が流下通路に滞ることを抑制できる。よって、振分手段の変位（振り分け先を第２分岐通路とする動作）が、流下通路に滞った遊技球によって阻害されることを抑制できる。
【１８３９】
遊技機Ｃ８において、前記流下通路における前記第２分岐通路を臨む側の内壁は、前記流下通路を流下する遊技球を、前記第１分岐通路に貯留された前記規定数の遊技球のうちの末尾の遊技球における前記第２分岐通路側の側面へ案内可能に形成されることを特徴とする遊技機Ｃ９。
【１８４０】
遊技機Ｃ９によれば、遊技機Ｃ８の奏する効果に加え、流下通路における第２分岐通路を臨む側の内壁は、流下通路を流下する遊技球を、第１分岐通路に貯留された規定数の遊技球のうちの末尾の遊技球における第２分岐通路側の側面へ案内可能に形成されるので、流下通路を流下する遊技球を、規定数の遊技球のうちの末尾の遊技球に衝突させた後、第２分岐通路へ流下させやすくできる。
【１８４１】
なお、規定数の遊技球のうちの末尾の遊技球とは、上流側（流下状態変更手段と反対側）に位置する遊技球を意味する。また、規定数が１の場合には、末尾の遊技球は、第１分岐通路に貯留されている遊技球そのものを意味する。
【１８４２】
遊技機Ｃ８又はＣ９において、前記流下通路の下流端の流下方向は、前記第１分岐通路の上流端の流下方向と異なる方向に形成されることを特徴とする遊技機Ｃ１０。
【１８４３】
遊技機Ｃ１０によれば、遊技機Ｃ８又はＣ９の奏する効果に加え、流下通路の下流端の流下方向は、第１分岐通路の上流端の流下方向と異なる方向に形成されるので、流下通路を流下する遊技球が、第１分岐通路に貯留された規定数の遊技球のうちの末尾の遊技球に衝突した際に、末尾の遊技球に作用される反発力の方向を第１分岐通路の上流端の流下方向と異ならせることができる。その結果、衝突の際の反発力で末尾の遊技球が第１分岐通路の上流端から飛び出して、第２分岐通路へ流入されることを抑制できる。
【１８４４】
遊技機Ｃ２からＣ１０のいずれかにおいて、前記振分手段は、前記流下通路または前記第１分岐通路に対して出没可能に形成されると共に、その出没位置が、前記流下通路の下流端における流下方向の延長線上における内壁とされることを特徴とする遊技機Ｃ１１。
【１８４５】
遊技機Ｃ１１によれば、遊技機Ｃ２からＣ１０のいずれかの奏する効果に加え、振分手段は、流下通路または第１分岐通路に対して出没可能に形成されると共に、その出没位置が、流下通路の下流端における流下方向の延長線上における内壁とされるので、流下通路の下流端から流下する遊技球に近い位置で振分手段を突出させることができる。よって、振分手段を流下通路または第１分岐通路へ突出させ始めてから遊技球を振り分けできる状態となるまでに要する時間を短くすることができる。その結果、振分手段による振り分け先の切り替えをより確実に行うことができる。
【１８４６】
遊技機Ｃ１１において、前記振分手段は、前記流下通路または前記第１分岐通路に突出されることで、前記流下通路を流下する遊技球を前記第２分岐通路へ振り分けるものであり、その振分手段の突出方向が前記第２分岐通路の上流端を指向方向に設定されること特徴とする遊技機Ｃ１２。
【１８４７】
遊技機Ｃ１２によれば、遊技機Ｃ１１の奏する効果に加え、振分手段は、流下通路または第１分岐通路に突出されることで、流下通路を流下する遊技球を第２分岐通路へ振り分けるものであり、その振分手段の突出方向が第２分岐通路の上流端を指向する方向に設定されるので、流下通路を流下する遊技球が突出動作の途中の振分手段に当接した場合には、かかる遊技球を振分手段の突出動作に伴って第２分岐通路へ押し込むことができる。その結果、第２分岐通路への振り分けをより確実に行うことができる。
【１８４８】
遊技機Ｃ１からＣ１２のいずれかにおいて、前記第１分岐通路は、下流へ向けて下降傾斜して形成されると共にその重力方向下方側の内壁を遊技球が転動可能に形成され、前記流下状態変更手段は、前記重力方向下方側の内壁から前記第１分岐通路内へ出没可能に形成されることを特徴とする遊技機Ｃ１３。
【１８４９】
遊技機Ｃ１３によれば、遊技機Ｃ１からＣ１２のいずれかの奏する効果に加え、第１分岐通路は、下流へ向けて下降傾斜して形成されると共にその重力方向下方側の内壁を遊技球が転動可能に形成され、流下状態変更手段は、重力方向下方側の内壁から第１分岐通路内へ出没可能に形成されるので、流下状態変更手段を第１分岐通路内へ突出させ始めてから遊技球の流下を規制できる状態となるまでに要する時間を短くすることができる。その結果、振分手段の振り分け先が第２分岐通路から第１分岐通路に切り替えられ、第１分岐通路に遊技球が振り分けられた際に、その遊技球の流下の規制に流下状態変更手段の突出を間に合わせやすくできる。
【１８５０】
遊技機Ｃ１からＣ１３のいずれかにおいて、前記流下状態変更手段は、前記第１分岐通路に対して出没可能に形成され、少なくとも前記第１分岐通路へ最大に突出した状態では、突出する方向への力成分が遊技球から前記流下状態変更手段へ作用されることを特徴とする遊技機Ｃ１４。
【１８５１】
遊技機Ｃ１４によれば、遊技機Ｃ１からＣ１３のいずれかにおいて、流下状態変更手段は、第１分岐通路に対して出没可能に形成され、少なくとも第１分岐通路へ最大に突出した状態では、突出する方向への力成分が遊技球から前記流下状態変更手段へ作用されるので、第１分岐通路へ振り分けられた遊技球の流下を規制する際に、その遊技球が衝突した際の衝撃で流下状態変更手段が没入することを抑制できる。よって、遊技球の流下を規制しやすくできる。
【１８５２】
＜下変位ユニット４００を一例とする発明の概念について＞
ベース部材と、そのベース部材に一側が変位可能に配設される基部材と、その基部材に変位可能に配設される変位部材とを備えた遊技機において、前記変位部材の変位に伴う基部材の反作用を抑制する抑制手段を備えることを特徴とする遊技機Ｄ１。
【１８５３】
ここで、ベース部材と、そのベース部材に一側が変位可能に配設される基部材と、その基部材に変位可能に配設される変位部材とを備えた遊技機が知られている（例えば、特開２０１５−０２９８４９）。この遊技機によれば、基部材を、遊技領域へ張り出して遊技者から視認可能とされる張出位置と、遊技領域から後退される退避位置との間で変位させる演出に加え、基部材を張出位置に配置した状態において、変位部材を変位させる演出を行うことができる。
【１８５４】
しかしながら、上述した従来の遊技機では、ベース部材に基部材の一側が変位可能に配設されるため、変位部材が変位されると、一側を支点として、ベース部材に対する基部材のがたつきが発生しやすいという問題点があった。
【１８５５】
これに対し、遊技機Ｄ１によれば、変位部材の変位に伴う基部材の反作用を抑制する抑制手段を備えるので、変位部材が変位される際のベース部材に対する基部材のがたつきの発生を抑制することができる。
【１８５６】
なお、変位部材の変位に伴う反力としては、例えば、変位部材の変位に伴う重心の変化により発生するもの、変位部材の変位速度の増減（加速度の変化）に伴う慣性力の作用により発生するもの、変位部材が変位して遊技球を出射する際の反力に伴い発生するものなどが例示される。
【１８５７】
遊技機Ｄ１において、前記抑制手段は、前記基部材に変位可能に配設される配設部材を備え、前記変位部材は、遊技球を保持可能かつ出射可能に形成され、前記配設部材は、前記変位部材から遊技球が出射される際に変位可能に形成されることを特徴とする遊技機Ｄ２。
【１８５８】
遊技機Ｄ２によれば、遊技機Ｄ１の奏する効果に加え、抑制手段は、基部材に変位可能に配設される配設部材を備え、変位部材は、遊技球を保持可能かつ出射可能に形成され、配設部材は、変位部材から遊技球が出射される際に変位可能に形成されるので、ベース部材に対する基部材のがたつきの発生を抑制することができる。即ち、変位部材から遊技球が発射されると、遊技球の重さの分、基部材の重心位置が変化されるところ、例えば、遊技球の発射に伴う重心位置の変化を相殺する方向へ配設部材を変位させる構成を採用した場合には、重心位置の変化に伴う基部材のがたつきの発生を抑制できる。また、変位部材から遊技球が発射されると、その遊技球の発射に伴い基部材が反作用を受けるところ、例えば、遊技球の発射に伴う反作用を相殺する方向へ配設部材を変位させる構成を採用した場合には、反作用に伴う基部材のがたつきの発生を抑制できる。
【１８５９】
遊技機Ｄ１又はＤ２において、前記変位部材が変位されると、その変位部材の変位方向と逆方向となる変位成分を少なくとも有して変位される逆部材を備えることを特徴とする遊技機Ｄ３。
【１８６０】
遊技機Ｄ３によれば、遊技機Ｄ１又はＤ２の奏する効果に加え、変位部材が変位されると、その変位部材の変位方向と逆方向となる変位成分を少なくとも有して変位される逆部材を備えるので、変位部材の変位に伴い基部材の重心位置が変化することを、逆部材の変位で小さくすることができる。その結果、重心位置の変化に起因する基部材のがたつきを抑制できる。
【１８６１】
なお、変位部材の変位が開始される際に、逆部材の変位が開始される構成であれば、両者の慣性力の少なくとも一部を打ち消し合わせることができる。その結果、変位部材を停止状態から変位される際の基部材のがたつきを抑制しやすくできる。
【１８６２】
遊技機Ｄ２又はＤ３において、前記変位部材の変位を前記配設部材または（及び）前記逆部材へ伝達して前記配設部材または（及び）前記逆部材を変位させる伝達機構を備えることを特徴とする遊技機Ｄ４。
【１８６３】
遊技機Ｄ４によれば、遊技機Ｄ２又はＤ３の奏する効果に加え、変位部材の変位を配設部材または（及び）逆部材に伝達して配設部材または（及び）逆部材を変位させる伝達機構を備えるので、配設部材または（及び）逆部材を変位させるための駆動手段を別途設ける必要がない。即ち、変位部材を変位させるための駆動手段を、配設部材または（及び）逆部材を変位させるための駆動手段として兼用することができる。よって、その分、基部材を軽量化して、そのがたつきを抑制しやすくできる。
【１８６４】
また、変位部材の変位に機械的に同期させて配設または（及び）逆部材を変位させることができるので、例えば、変位部材の位置をセンサ装置で検出し、その検出結果に応じて配設部材または（及び）逆部材を駆動手段で駆動する制御を不要とでき、その分、製品コストの削減を図ることができると共に、変位部材に対する変位部材または（及び）逆部材の変位動作の信頼性を確保できる。
【１８６５】
遊技機Ｄ１からＤ４のいずれかにおいて、前記変位部材は、第２位置から変位を開始する態様と、前記第２位置よりも前記基部材の一側に近い第１位置から変位を開始する態様とを形成可能に形成され、少なくとも前記基部材がベース部材に対して所定位置に配置された状態では、前記第１位置から変位を開始することを特徴とする遊技機Ｄ５。
【１８６６】
ここで、変位部材を停止状態から変位させる際には、加速度の変化が最大となるため、慣性力の影響により、基部材のがたつきが発生しやすい。
【１８６７】
これに対し、遊技機Ｄ５によれば、遊技機Ｄ１からＤ４のいずれかの奏する効果に加え、変位部材は、第２位置から変位を開始する態様と、第２位置よりも基部材の一側に近い第１位置から変位を開始する態様とを形成可能に形成され、少なくとも基部材がベース部材に対して所定位置に配置された状態（例えば、基部材が、遊技領域へ張り出して遊技者から視認可能とされる張出位置）では、第１位置から変位を開始するので、基部材のがたつきを抑制することができる。即ち、第１位置は、第２位置よりも基部材の一側に近い位置とされるので、かかる第１位置を変位部材の変位の開始位置とすることで、変位部材の重さを、基部材がベース部材に対してがたつく際の支点に近づけておくことができ、その分、変位部材を停止状態から変位される際の慣性力の影響を基部材に作用させ難くできる。その結果、基部材のがたつきを抑制しやすくできる。
【１８６８】
遊技機Ｄ５において、前記基部材に配設されるピニオンギヤと、そのピニオンギヤに歯合されるラックギヤを有するラック部材とを備え、前記ラック部材に前記変位部材が配設されることを特徴とする遊技機Ｄ６。
【１８６９】
遊技機Ｄ６によれば、遊技機Ｄ５の奏する効果に加え、基部材に配設されるピニオンギヤと、そのピニオンギヤに歯合されるラックギヤが形成されるラック部材とを備え、そのラック部材に変位部材が配設されるので、変位部材の変位を第１位置から開始する際には、ラック部材の重さだけでなく、ラック部材の重さも基部材の一側（基部材がベース部材に対してがたつく際の支点）に近づけておくことができる。その結果、変位部材を停止状態から変位される際の基部材のがたつきを抑制しやすくできる。
【１８７０】
遊技機Ｄ６において、前記変位部材が前記第１位置から変位を開始する際の変位方向は、前記基部材の一側から離間する方向であることを特徴とする遊技機Ｄ７。
【１８７１】
遊技機Ｄ７によれば、遊技機Ｄ６の奏する効果に加え、変位部材が第１位置から変位を開始する際の変位方向は、基部材の一側から離間する方向なので、変位部材が第１位置に配置された状態では、ラック部材をより基部材の一側へ近づけることができる。即ち、基部材の一側から離間する方向へ変位部材（ラック部材）が変位するためには、ラック部材は、変位部材の変位が開始された後にピニオンギヤが歯合されるラックギヤ側の部分を基部材の一側へ向けることとなる。よって、ラック部材の重さをより基部材の一側（基部材がベース部材に対してがたつく際の支点）に近づけておくことができ、その結果、変位部材を停止状態から変位される際の基部材のがたつきを抑制しやすくできる。
【１８７２】
遊技機Ｄ１からＤ７のいずれかにおいて、前記ベース部材に前記基部材の一側を変位可能に支持する支持構造と、その支持構造に支持される前記基部材を駆動する駆動機構とを備え、前記変位部材は、遊技球を保持可能かつ出射可能に形成され、前記駆動機構は、前記変位部材から遊技球が出射される際の反作用の方向に前記基部材が変位されることを規制する規制手段を備えることを特徴とする遊技機Ｄ８。
【１８７３】
遊技機Ｄ８によれば、遊技機Ｄ１からＤ７のいずれかの奏する効果に加え、ベース部材に基部材の一側を変位可能に支持する支持構造と、その支持構造に支持される基部材を駆動する駆動機構とを備え、変位部材は、遊技球を保持可能かつ出射可能に形成され、駆動機構は、変位部材から遊技球が出射される際の反作用の方向に基部材が変位されることを規制する規制手段を備えるので、反作用に伴って基部材がベース部材に対して変位されることを抑制できる。その結果、基部材のがたつきの発生を抑制できる。
【１８７４】
＜回転ユニット７００を一例とする発明の概念について＞
回転可能に形成されその外周面が遊技者に視認可能に配設される回胴部材を備えた遊技機において、前記回胴部材の外周面に変位可能に配設される変位部材を備えることを特徴とする遊技機Ｅ１。
【１８７５】
ここで、回転可能に形成されその外周面が遊技者に視認可能に配設される回胴部材を備えた遊技機が知られている（例えば、特開２００９−１１９１４０号）。この遊技機では、回胴部材が円筒状に形成され、その外周面の表示（図柄）を、回胴部材を回転させつつ、又は、回胴部材を停止させて、遊技者に視認させる。しかしながら、上述した従来の遊技機では、回胴部材の回転または停止に伴って、外周面の表示を遊技者に視認させる演出態様を形成できるのみであるため、演出態様の変化が乏しく、演出効果が不十分であるという問題点があった。
【１８７６】
これに対し、遊技機Ｅ１によれば、回胴部材の外周面に変位可能に配設される変位部材を備えるので、回胴部材の回転または停止に伴って、外周面の表示を遊技者に視認させる演出態様に加え、変位部材を変位させる演出態様を形成できるので、その分、演出態様に変化を付与して、演出効果を高めることができる。
【１８７７】
なお、回胴部材は、その回転軸に垂直な平面で切断した断面形状が円形である必要はなく、多角形状、楕円形状、それらを組み合わせた形状であっても良い。よって、回胴部材の外周面は、周面でなくても良く、平坦面や湾曲面、これらの組み合せであっても良い。
【１８７８】
遊技機Ｅ１において、前記変位部材は、少なくとも第１位置および第２位置の間で変位可能に形成され、前記第１位置では、前記回胴部材の外周面の一部が前記変位部材により形成され、前記第２位置では、前記回胴部材の径方向外方へ前記変位部材の少なくとも一部が突出されることを特徴とする遊技機Ｅ２。
【１８７９】
遊技機Ｅ２によれば、遊技機Ｅ１の奏する効果に加え、変位部材が第１位置に変位されると、回胴部材の外周面の一部が変位部材により形成されるので、回胴部材の外形を小さくでき、その分、回胴部材が回転するのに要するスペースを小さくできる。一方、変位部材が第２位置へ変位されると、回胴部材の径方向外方へ変位部材の少なくとも一部が突出されるので、変位部材の変位を遊技者に視認させやすくでき、演出効果を高めることができる。また、例えば、変位部材を第一位置に配置した状態で回胴部材を回転させると共に、その回胴部材の回転を停止した際に変位部材を第２位置に配置する（変位させる）ことで、回胴部材の外周面と視認していた部分（変位部材）が、回胴部材の径方向外方へ突出される態様を形成でき、興趣を高めることができる。
【１８８０】
遊技機Ｅ２において、光を発光する発光手段を備え、前記回胴部材は、内部空間を有して形成されると共に、その内部空間に前記発光手段が配設され、前記変位部材が前記第２位置に変位されると、前記回胴部材の外周面が開放され、前記内部空間が外部に連通されることを特徴とする遊技機Ｅ３。
【１８８１】
遊技機Ｅ３によれば、遊技機Ｅ２の奏する効果に加え、光を発光する発光手段を備え、回胴部材は、内部空間を有して形成されると共に、その内部空間に発光手段が配設され、変位部材が第２位置に変位されると、回胴部材の外周面が開放され、内部空間が外部に連通されるので、発光手段による発光を外部に出射させることができると共に、変位部材が第１位置に変位されることで、その外部への出射を遮断することができる。その結果、演出効果を高めることができる。
【１８８２】
遊技機Ｅ１からＥ３のいずれかにおいて、駆動力を発生する駆動手段と、その駆動手段の駆動力を前記回胴部材および前記変位部材に伝達する伝達手段とを備えることを特徴とする遊技機Ｅ４。
【１８８３】
ここで、回胴部材を回転可能に形成すると共に、その回胴部材に変位部材を変位可能に配設するためには、回胴部材および変位部材のそれぞれに駆動手段が必要となり、製品コストが嵩む。また、変位部材を変位させるための駆動手段を回胴部材に搭載すると、回胴部材の重量が増加するため、回胴部材の回転の開始または停止を円滑に行うことが困難となる。
【１８８４】
これに対し、遊技機Ｅ４によれば、遊技機Ｅ１からＥ３のいずれかの奏する効果に加え、駆動力を発生する駆動手段と、その駆動手段の駆動力を前記回胴部材および前記変位部材に伝達する伝達手段とを備えるので、１の駆動手段を兼用して、回胴部材の回転と変位部材の変位とを行うことができる。よって、製品コストの削減を図ることができる。また、変位部材を変位させるための駆動手段を回胴部材に搭載する必要がないので、回胴部材の重量を軽量化でき、回胴部材の回転の開始または停止を円滑に行うことができる。
【１８８５】
遊技機Ｅ４において、前記駆動手段は、回転駆動力を発生可能に形成され、前記伝達手段は、前記駆動手段の回転駆動力を前記回胴部材へ伝達する回転側伝達手段と、前記駆動手段の回転駆動力を前記変位部材へ伝達する変位側伝達手段と、前記駆動手段の回転駆動力の回転方向に応じて前記回転駆動力を前記回転側伝達手段または変位側伝達手段の一方へ伝達すると共に他方への伝達を遮断するワンウェイクラッチ機構とを備えることを特徴とする遊技機Ｅ５。
【１８８６】
遊技機Ｅ５によれば、遊技機Ｅ４の奏する効果に加え、駆動手段は、回転駆動力を発生可能に形成され、伝達手段は、駆動手段の回転駆動力を回胴部材へ伝達する回転側伝達手段と、駆動手段の回転駆動力を変位部材へ伝達する変位側伝達手段と、駆動手段の回転駆動力の回転方向に応じて回転駆動力を回転側伝達手段または変位側伝達手段の一方へ伝達すると共に他方への伝達を遮断するワンウェイクラッチ機構とを備えるので、駆動手段の回転方向を切り替えるのみで、その回転駆動力により駆動する駆動対象（回胴部材または変位部材）を切り替えることができる。即ち、駆動手段の回転方向に応じて、回胴部材の回転およびその回転の停止と、変位部材の変位およびその変位の停止とを切り替えることができ、複数の態様を形成可能としつつ、構造を簡素化できる。
【１８８７】
遊技機Ｅ５において、前記回転側伝達手段は、前記駆動手段の回転駆動力を前記回胴部材へ伝達する伝達経路の一部または全部をなす歯車列と、その歯車列のうちの一の歯車に歯合される負荷用歯車とを備えることを特徴とする遊技機Ｅ６。
【１８８８】
ここで、ワンウェイクラッチ機構を利用して、駆動手段の回転方向に応じて、その駆動対象（回胴部材または変位部材）を切り替える構造では、駆動手段からの駆動力の伝達が遮断されると、駆動力により駆動されていた方向への回転または変位が自在な状態となる。そのため、例えば、駆動手段の駆動対象が回胴部材から変位部材に切り替えられ、駆動力の伝達が遮断されると、回胴部材は、回転自在な状態となり、慣性力により回転が継続（自転）されるおそれがある。
【１８８９】
これに対し、遊技機Ｅ６によれば、遊技機Ｅ５の奏する効果に加え、回転側伝達手段は、駆動手段の回転駆動力を回胴部材へ伝達する伝達経路の一部または全部をなす歯車列と、その歯車列のうちの一の歯車に歯合される負荷用歯車とを備えるので、駆動手段からの回転駆動力の伝達が遮断されても、負荷用歯車を回転させる際の負荷（抵抗）を利用して、回胴部材の回転が継続されることを抑制できる。
【１８９０】
遊技機Ｅ５又はＥ６において、前記駆動手段の回転駆動力により回転される方向とは逆方向へ前記回胴部材が回転されることを規制する逆回転規制手段を備えることを特徴とする遊技機Ｅ７。
【１８９１】
遊技機Ｅ７によれば、遊技機Ｅ５又はＥ６の奏する効果に加え、駆動手段の回転駆動力により回転される方向とは逆方向へ回胴部材が回転されることを規制する逆回転規制手段を備えるので、例えば、回胴部材の重心位置の偏りや遊技球の衝突などに起因して、回胴部材が逆回転されることを抑制できる。
【１８９２】
遊技機Ｅ２又はＥ３において、前記回胴部材は、内部空間を有して形成され、前記変位部材が前記第２位置に変位されると、前記回胴部材の外周面が開放され、前記内部空間が遊技領域に連通されることを特徴とする遊技機Ｅ８。
【１８９３】
遊技機Ｅ８によれば、遊技機Ｅ２又はＥ３の奏する効果に加え、回胴部材は、内部空間を有して形成され、変位部材が第２位置に変位されると、回胴部材の外周面が開放され、内部空間が遊技領域に連通されるので、遊技領域を流下する遊技球を回胴部材の内部空間へ流入させる、或いは、回胴部材の内部空間にある遊技球を遊技領域へ流出させることができる。また、変位部材が第１位置に変位されると、回胴部材の外周面が閉鎖されることで、内部空間と遊技領域との間の遊技球の流出入を遮断することができる。その結果、演出効果を高めることができる。
【１８９４】
遊技機Ｅ８において、前記変位部材は、一側が前記回胴部材に回転可能に軸支され、前記変位部材が前記第２位置に変位されると、前記一側と反対側となる他側が前記遊技領域へ張り出されることを特徴とする遊技機Ｅ９。
【１８９５】
遊技機Ｅ９によれば、遊技機Ｅ８の奏する効果に加え、変位部材は、一側が回胴部材に回転可能に軸支され、変位部材が第２位置に変位されると、一側と反対側となる他側が遊技領域へ張り出されるので、遊技領域を流下する遊技球を変位部材の上面に受け止めさせることができる。よって、遊技領域を流下する遊技球を、変位部材を利用して、回胴部材の内部空間へ流入させやすくすることができる。
【１８９６】
遊技機Ｅ９において、前記変位部材は、第２位置に変位された状態では、その上面が前記他側から前記一側へ向けて下降傾斜されることを特徴とする遊技機Ｅ１０。
【１８９７】
遊技機Ｅ１０によれば、遊技機Ｅ９の奏する効果に加え、変位部材は、第２位置に変位された状態では、その上面が他側から一側へ向けて下降傾斜されるので、遊技領域を流下された遊技球を変位部材の上面で受け止めた後、その受け止めた遊技球を変位部材の上面の下降傾斜に沿って回胴部材の内部空間へ案内する（転動させる）ことができる。よって、遊技領域を流下する遊技球を、変位部材を利用して、回胴部材の内部空間へ流入させやすくすることができる。
【１８９８】
遊技機Ｅ９又はＥ１０において、前記回胴部材の回転位置に応じて前記変位部材の変位を規制または許容する変位設定手段を備えることを特徴とする遊技機Ｅ１１。
【１８９９】
遊技機Ｅ１１によれば、遊技機Ｅ９又はＥ１０の奏する効果に加え、回胴部材の回転位置に応じて変位部材の変位を規制または許容する変位設定手段を備えるので、張り出された変位部材が回胴部材の周囲の他の部材に干渉することを抑制できる。
【１９００】
遊技機Ｅ９からＥ１１のいずれかにおいて、前記回胴部材の回転を規制する回転規制手段を備え、その回転規制部材は、前記変位部材が前記第２位置へ変位され、前記変位部材の他側が前記遊技領域へ張り出された場合に、前記回胴部材の回転を規制することを特徴とする遊技機Ｅ１２。
【１９０１】
遊技機Ｅ１２によれば、遊技機Ｅ９からＥ１１のいずれかの奏する効果に加え、回胴部材の回転を規制する回転規制手段を備え、その回転規制部材は、変位部材が第２位置へ変位され、変位部材の他側が遊技領域へ張り出された場合に、回胴部材の回転を規制するので、変位部材が張り出された状態で回胴部材が回転されて、その回転軌跡上に位置する他の部材に変位部材が干渉することを抑制できる。また、遊技領域を流下する遊技球を変位部材が受け止めた際に作用する荷重や変位部材の上面を転動する遊技球の重さにより回胴部材が回転されることを抑制できる。
【１９０２】
＜回転ユニット７００を一例とする発明の概念について＞
回転可能に形成されその外周面が遊技者に視認可能に配設される回胴部材を備えた遊技機において、前記回胴部材は、その内部に形成される内部空間と、その内部空間を外部に連通させると共に遊技球が通過可能に形成される連通口とを備えることを特徴とする遊技機Ｆ１。
【１９０３】
ここで、回転可能に形成されその外周面が遊技者に視認可能に配設される回胴部材を備えた遊技機が知られている（例えば、特開２００９−１１９１４０号）。この遊技機によれば、回胴部材が円筒状に形成され、その外周面の表示（図柄）を、回胴部材を回転させつつ、又は、回胴部材を停止させて、遊技者に視認させることができる。しかしながら、上述した従来の遊技機では、遊技者に視認させるための表示をその外周面に保持するための部材として利用されるのみで、回胴部材の活用が不十分であるという問題点があった。即ち、回胴部材は遊技者が視認可能な程度の表示を保持する必要があるため、比較的大型に形成される。そのため、回胴部材による占有空間が嵩む一方、その外周面以外の部分は活用されていない。
【１９０４】
これに対し、遊技機Ｆ１によれば、回胴部材は、その内部に形成される内部空間と、その内部空間を外部に連通させると共に遊技球が通過可能に形成される連通口とを備えるので、遊技領域を流下する遊技球を、連通口を介して内部空間へ流入または内部空間から流出させることができる。よって、デッドスペースとされる回胴部材の内部空間を遊技球の貯留空間または送球通路として機能させることができ、その分、回胴部材を活用できる。
【１９０５】
なお、連通口は、回胴部材の１カ所のみに形成されるものであっても良く、２カ所以上に形成されるものであっても良い。１カ所のみに連通口が形成される場合は、回胴部材の外周面に連通口が形成される。これにより、回胴部材の回転位置に応じて連通口の位置を上下させることができるので、かかる連通口を介して遊技球を内部空間へ流入または内部空間から流出させる（連通口が上方を向く際に遊技球を内部空間へ流入させると共に、連通口が下方を向く際に内部空間の遊技球を流出させる）ことができる。
【１９０６】
また、回胴部材は、その回転軸に垂直な平面で切断した断面形状が円形である必要はなく、多角形状、楕円形状、それらを組み合わせた形状であっても良い。よって、回胴部材の外周面は、周面でなくても良く、平坦面や湾曲面、これらの組み合せであっても良い。
【１９０７】
遊技機Ｆ１において、前記連通口は、第１連通口と、その第１連通口とは異なる位置に形成される第２連通口とを備えることを特徴とする遊技機Ｆ２。
【１９０８】
遊技機Ｆ２によれば、遊技機Ｆ１の奏する効果に加え、連通口は、第１連通口と、その第１連通口とは異なる位置に形成される第２連通口とを備えるので、第１連通口または第２連通口の一方を、外部から内部空間へ遊技球を流入させる流入口とし、第１連通口または第２連通口の他方を、内部空間から外部へ遊技球を流出させる流出口とすることができる。即ち、回胴部材を回転させなくても（停止状態に維持したままで）、回胴部材を遊技球の送球通路として活用できる。なお、回胴部材を回転させている状態において、かかる回胴部材を送球通路として活用しても良い。
【１９０９】
遊技機Ｆ２において、前記第１連通口は、前記回胴部材の前記外周面に形成され、遊技領域を流下する遊技球を前記内部空間へ流入させる流入口として形成され、前記第２連通口は、前記回胴部材の回転軸方向の端面に形成され、前記内部空間から遊技領域へ遊技球を流出させる流出口として形成されることを特徴とする遊技機Ｆ３。
【１９１０】
遊技機Ｆ３によれば、遊技機Ｆ２の奏する効果に加え、第１連通口は、回胴部材の外周面に形成され、遊技領域を流下する遊技球を内部空間へ流入させる流入口として形成され、第２連通口は、回胴部材の回転軸方向の端面に形成され、内部空間から遊技領域へ遊技球を流出させる流出口として形成されるので、回胴部材の内部空間への遊技球の流入を遊技者に視認させやすくできると共に、回胴部材を停止状態に維持したままで、遊技球を排出することができる。
【１９１１】
即ち、回胴部材は、外周面が遊技者から視認可能に配設されるところ、その外周面に、第１連通口（流入口）が形成されるので、遊技球の流入を遊技者に視認させやすくできる。一方、回胴部材の外周面に第２連通口が形成されると、かかる連通口が上方となる回転位置に回胴部材が変位されると、内部空間から遊技球を流出させることができないところ、第２連通口（流出口）は、回胴部材の回転軸方向の端面に形成されるので、回胴部材の回転位置に関わらず、内部空間から遊技球を流出可能な状態を形成できる。
【１９１２】
遊技機Ｆ１からＦ３のいずれかにおいて、前記回胴部材の前記外周面に変位可能に配設される変位部材を備え、その変位部材が第１位置へ変位されると、前記連通口が前記変位部材によって遮蔽され、前記変位部材が第２位置へ変位されると、前記連通口が開放されることを特徴とする遊技機Ｆ４。
【１９１３】
遊技機Ｆ４によれば、遊技機Ｆ１からＦ３のいずれかの奏する効果に加え、回胴部材の外周面に変位可能に配設される変位部材を備え、その変位部材が第１位置へ変位されると、連通口が変位部材によって遮蔽され、変位部材が第２位置へ変位されると、連通口が開放されるので、連通口を介した遊技球の流出入を遮断状態と許容状態とに切り替えることができる。
【１９１４】
遊技機Ｆ４において、前記連通口は、前記回胴部材の前記外周面に形成され、前記変位部材は、一側が前記回胴部材に回転可能に軸支され、前記変位部材が前記第２位置に変位されると、前記一側と反対側となる他側が遊技領域へ張り出されることを特徴とする遊技機Ｆ５。
【１９１５】
遊技機Ｆ５によれば、遊技機Ｅ４の奏する効果に加え、変位部材は、一側が回胴部材に回転可能に軸支され、変位部材が第２位置に変位されると、一側と反対側となる他側が遊技領域へ張り出されるので、遊技領域を流下する遊技球を変位部材の上面に受け止めさせることができる。よって、例えば、連通口が流入口として形成される場合には、遊技領域を流下する遊技球を、変位部材を利用して、回胴部材の内部空間へ流入させやすくすることができる。
【１９１６】
遊技機Ｆ５において、前記変位部材は、その一側が他側よりも前記回胴部材の回転方向前方側に位置されることを特徴とする遊技機Ｆ６。
【１９１７】
遊技機Ｆ６によれば、遊技機Ｆ５の奏する効果に加え、変位部材は、その一側が他側よりも回胴部材の回転方向前方側に位置されるので、回胴部材が回転される際にその回胴部材の周りに配設される部材に変位部材が干渉したとしても、かかる干渉により発生する力を変位部材を閉じる（第１位置へ変位させる）方向へ作用させることができる。即ち、回胴部材の回転時に変位部材が他の部材に干渉して張り出される（第２位置へ変位される）ことを抑制できる。また、変位部材が他の部材に係合して、回胴部材の回転が阻害されることを抑制できる。
【１９１８】
遊技機Ｆ１からＦ６のいずれかにおいて、前記回胴部材が回転可能に配設されるベース部材と、そのベース部材に支持されると共に前記回胴部材の内部空間に配設され前記回胴部材に対して非回転とされる固定部材とを備えることを特徴とする遊技機Ｆ７。
【１９１９】
遊技機Ｆ７によれば、遊技機Ｆ１からＦ６のいずれかの奏する効果に加え、回胴部材が回転可能に配設されるベース部材と、そのベース部材に支持されると共に回胴部材の内部空間に配設され回胴部材に対して非回転とされる固定部材とを備えるので、内部空間に流入された遊技球を固定部材に保持または固定部材上を流出口へ向けて転動させることで、回胴部材の回転に伴って、遊技球が内部空間内で暴れる又は遊技球の転動が阻害され内部空間に留まることを抑制できる。
【１９２０】
遊技機Ｆ４からＦ６のいずれかにおいて、前記回胴部材の回転位置に応じて前記変位部材の変位を規制または許容する変位設定手段を備えることを特徴とする遊技機Ｆ８。
【１９２１】
遊技機Ｆ８によれば、遊技機Ｆ４からＦ６のいずれかの奏する効果に加え、回胴部材の回転位置に応じて変位部材の変位を規制または許容する変位設定手段を備えるので、第２位置へ変位された変位部材が回胴部材の周囲の他の部材に干渉することを抑制できる。
【１９２２】
遊技機Ｆ５又はＦ６において、前記回胴部材の回転を規制する回転規制手段を備え、その回転規制部材は、前記変位部材が前記第２位置へ変位され、前記変位部材の他側が前記遊技領域へ張り出された場合に、前記回胴部材の回転を規制することを特徴とする遊技機Ｆ９。
【１９２３】
遊技機Ｆ９によれば、遊技機Ｆ５又はＦ６の奏する効果に加え、回胴部材の回転を規制する回転規制手段を備え、その回転規制部材は、変位部材が第２位置へ変位され、変位部材の他側が遊技領域へ張り出された場合に、回胴部材の回転を規制するので、変位部材が張り出された状態で回胴部材が回転されて、その回転軌跡上に位置する他の部材に変位部材が干渉することを抑制できる。また、遊技領域を流下する遊技球を変位部材が受け止めた際に作用する荷重や変位部材の上面を転動する遊技球の重さにより回胴部材が回転されることを抑制できる。
【１９２４】
遊技機Ｆ３において、光を発光可能に形成されると共に前記回胴部材の内部空間に配設される発光手段と、前記回胴部材の回転軸方向の端面であって前記第２連通口が形成される端面と反対側の端面に開口形成される開口とを備え、その開口を介して前記発光手段の電気的接続線が配線されることを特徴とする遊技機Ｆ１０。
【１９２５】
遊技機Ｆ１０によれば、遊技機Ｆ３の奏する効果に加え、回胴部材の回転軸方向の端面であって第２連通口が形成される端面と反対側の端面に開口が開口形成され、その開口を介して発光手段の電気的接続線が配線されるので、第２連通口および開口それぞれに使用できるスペースを確保しやすくできる。その結果、第２連通口を介して遊技球の流出をスムーズに行わせることができると共に、電気的接続線の開口への配線作業を行いやすくできる。また、第２連通口と開口とを最大限離間させることができるので、内部空間を第２連通口へ転動する遊技球と電気的接続線との干渉を抑制しやすくできる。
【１９２６】
＜回転ユニット７００を一例とする発明の概念について＞
変位可能に形成される第１部材および第２部材を備え、前記第１部材が、前記第２部材の少なくとも一部を視認不能に覆う覆設位置と、その覆設位置に配置された状態よりも前記第２部材を視認不能に覆う領域を減少させる退避位置との間で変位可能に形成された遊技機において、前記第１部材は、前記退避位置に変位された状態において、前記第２部材の変位を規制可能に形成されることを特徴とする遊技機Ｇ１。
【１９２７】
ここで、変位可能に形成される第１部材および第２部材を備え、第１部材が、第２部材の少なくとも一部を視認不能に覆う覆設位置と、その覆設位置に配置された状態よりも第２部材を視認不能に覆う領域を減少させる退避位置との間で変位可能に形成された遊技機が知られている（例えば、特開２０１５−０２９８４９号）。この遊技機によれば、第１部材を覆設位置に配置し、第２部材を遊技者から視認不能とした状態から、第１部材を退避位置に変位させることで、第２部材を露出させて遊技者に視認させる演出を行うことができる。
【１９２８】
しかしながら、上述した従来の遊技機では、第２部材が変位可能に形成されているため、第１部材が退避位置に変位され、第２部材が露出された際に、かかる第２部材が変位されるおそれがある。そのため、遊技者に第２部材を適正な状態で視認させることができず、演出効果が低下するという問題点があった。
【１９２９】
これに対し、遊技機Ｇ１によれば、第１部材は、退避位置に変位された状態において、第２部材の変位を規制可能に形成されるので、かかる第２部材を適正な状態で遊技者に視認させることができ、演出効果を確保できる。即ち、第１部材を退避位置へ変位させ、第２部材を露出させるという演出を行う際に、その演出のために行わざるを得ない第１部材の退避位置への変位を、第２部材の変位を規制する手段として利用する。よって、第２部材の変位を規制するための機構を別途設けることや制御を行う必要がなく、その分、構造を簡素化できる。
【１９３０】
遊技機Ｇ１において、前記第２部材は、回転可能に形成されると共に、その重心位置が回転中心から偏心されることを特徴とする遊技機Ｇ２。
【１９３１】
遊技機Ｇ２によれば、遊技機Ｇ１の奏する効果に加え、第２部材は、回転可能に形成されると共に、その重心位置が回転中心から偏心されるので、かかる第２部材の設計の自由度を高めることができる。即ち、第２部材を、その重心位置が回転中心に位置する形状とする必要がなく、例えば、回転軸に対して非対称の形状を採用できるので、かかる第２部材による演出効果を高めることができる。一方で、このように、第２部材の重心位置が偏心されていると、第２部材がその自重で回転中心まわりに回転（自転）されるおそれがある。よって、退避位置に変位された第１部材が、第２部材の変位を規制可能に形成されるという構成が特に有効となり、これにより、第２部材を適正な状態で遊技者に視認させることができ、演出効果を確保できる。
【１９３２】
遊技機Ｇ１又はＧ２において、前記第２部材に変位可能に配設される変位部材を備え、その変位部材は、少なくとも前記第１部材が前記退避位置へ変位された状態で変位可能に形成されることを特徴とする遊技機Ｇ３。
【１９３３】
遊技機Ｇ３によれば、遊技機Ｇ１又はＧ２の奏する効果に加え、第２部材に変位可能に配設される変位部材を備え、その変位部材は、少なくとも第１部材が退避位置へ変位された状態で変位可能に形成されるので、第１部材を退避位置へ変位させ、第２部材を露出させるという演出を行う際には、更に、変位部材を変位させることで、その演出効果を高めることができる。一方で、第２部材が露出された際に変位部材を変位させると、その変位に伴って重心位置が移動して、第２部材が回転（自転）されるおそれがある。よって、退避位置に変位された第１部材が、第２部材の変位を規制可能に形成されるという構成が特に有効となり、これにより、第２部材を適正な状態で遊技者に視認させることができ、演出効果を確保できる。
【１９３４】
遊技機Ｇ３において、前記第２部材は、その外周面が遊技者に視認可能に配設され、前記変位部材は、一側が前記第２部材の外周面に回転可能に軸支され、前記一側と反対側となる他側が遊技領域へ張り出し可能に形成されることを特徴とする遊技機Ｇ４。
【１９３５】
遊技機Ｇ４によれば、遊技機Ｇ３の奏する効果に加え、第２部材は、その外周面が遊技者に視認可能に配設され、変位部材は、一側が第２部材の外周面に回転可能に軸支され、一側と反対側となる他側が遊技領域へ張り出し可能に形成されるので、遊技領域を流下する遊技球を変位部材の上面に受け止めさせることができる。よって、例えば、第２部材に遊技球の流入口が形成される場合には、遊技領域を流下する遊技球を、変位部材を利用して、遊技球を流入口へ流入させやすくすることができる。この場合、遊技領域を流下する遊技球を変位部材に受け止めさせると、その際に作用する荷重や変位部材の上面を転動する遊技球の重さにより第２部材が回転されるおそれがある。よって、退避位置に変位された第１部材が、第２部材の変位を規制可能に形成されるという構成が特に有効となり、これにより、変位部材を遊技領域の所定の位置に張り出させた状態を維持しやすくできる。
【１９３６】
遊技機Ｇ４において、前記第１部材は、前記覆設位置では、前記第２部材の前記外周面に対面しつつ前記遊技領域に配置されると共に、前記退避位置では、前記遊技領域の領域外に配置されることを特徴とする遊技機Ｇ５。
【１９３７】
遊技機Ｇ５によれば、遊技機Ｇ４の奏する効果に加え、第１部材は、覆設位置では、第２部材の外周面に対面しつつ遊技領域に配置されるので、遊技領域を流下する遊技球が第２部材に衝突して、かかる第２部材が回転されることを抑制できる。特に、第２部材の回転位置が、変位部材を遊技領域側へ向ける回転位置である場合には、遊技領域を流下する遊技球が変位部材に衝突して、かかる変位部材が開放される（張り出される）ことを抑制できる。
【１９３８】
また、第１部材は、退避位置では、遊技領域の領域外に配置されるので、第１部材の退避位置への変位により、変位部材が遊技領域へ張り出すためのスペースを確保することができる。よって、その分、第２部材の外周面を遊技領域側（遊技者側）へ近づけることができ、遊技者に変位部材を視認させやすくできる。
【１９３９】
遊技機Ｇ５において、前記第１部材は、前記第２部材の回転軸と略平行な回転軸まわりに回転可能に形成されると共に、前記第２部材の外周面に沿って湾曲する板状に形成されることを特徴とする遊技機Ｇ６。
【１９４０】
遊技機Ｇ６によれば、遊技機Ｇ５の奏する効果に加え、第１部材は、第２部材の回転軸と略平行な回転軸まわりに回転可能に形成されると共に、前記第２部材の外周面に沿って湾曲する板状に形成されるので、覆設位置および退避位置の間で変位する際に必要なスペースを抑制できる。よって、その分、他の部材を配設するためのスペースを確保できる。また、このように第１部材が湾曲して形成されることで、遊技領域を流下する遊技球が、覆設位置に配置された第１部材上に停留されることを抑制して、スムーズに流下させることができる。
【１９４１】
遊技機Ｇ３からＧ６のいずれかにおいて、駆動力を発生する駆動手段と、その駆動手段の駆動力を前記第２部材および前記変位部材に伝達する伝達手段とを備えることを特徴とする遊技機Ｇ７。
【１９４２】
ここで、第２部材を回転可能に形成すると共に、その第２部材に変位部材を変位可能に配設するためには、第２部材および変位部材のそれぞれに駆動手段が必要となり、製品コストが嵩む。また、変位部材を変位させるための駆動手段を第２部材に搭載すると、第２部材の重量が増加するため、第２部材の回転の開始または停止を円滑に行うことが困難となる。
【１９４３】
これに対し、遊技機Ｇ７によれば、遊技機Ｇ３からＧ６のいずれかの奏する効果に加え、駆動力を発生する駆動手段と、その駆動手段の駆動力を前記第２部材および前記変位部材に伝達する伝達手段とを備えるので、１の駆動手段を兼用して、第２部材の回転と変位部材の変位とを行うことができる。よって、製品コストの削減を図ることができる。また、変位部材を変位させるための駆動手段を第２部材に搭載する必要がないので、第２部材の重量を軽量化でき、第２部材の回転の開始または停止を円滑に行うことができる。
【１９４４】
遊技機Ｇ７において、前記第１部材と前記変位部材とを連結し、前記変位部材の変位に前記第１部材の変位を連動させる連結手段を備えることを特徴とする遊技機Ｇ８。
【１９４５】
遊技機Ｇ８によれば、遊技機Ｇ７の奏する効果に加え、第１部材と変位部材とを連結し、変位部材の変位に第１部材の変位を連動させる連結手段を備えるので、変位部材を変位させるための駆動手段を、第１変位部材を変位させるための駆動手段として兼用できる。この場合、変位部材と第１部材とを別々の駆動手段の駆動力により変位させる場合には、制御不良が生じると、変位部材と第１部材とが干渉するおそれがあるところ、変位部材と第１部材とを機械的に連結してそれらの変位を同期させることができるので、変位部材と第１部材とが干渉することを確実に抑制できる。
【１９４６】
＜回転ユニット７００を一例とする発明の概念について＞
駆動力を発生する駆動手段と、その駆動手段の駆動力により変位される変位部材と、その変位部材へ前記駆動手段の駆動力を伝達する伝達手段とを備えた遊技機において、前記伝達手段は、第１部材と、その第１部材よりも前記駆動力の伝達経路において前記変位部材側に位置する第２部材と、それら第１部材および第２部材の間に配設される係合部材とを備え、前記第１部材が前記第２部材に対して一方向へ変位される場合には、前記第１部材および第２部材に前記係合部材が係合して、前記駆動力が伝達されると共に、前記変位部材の変位区間のうちの所定の区間では、前記第２部材が前記第１部材に対して前記一方向へ先行して変位されることを特徴とする遊技機Ｈ１。
【１９４７】
ここで、駆動力を発生する駆動手段と、その駆動手段の駆動力により変位される変位部材と、その変位部材へ駆動手段の駆動力を伝達する伝達手段とを備えた遊技機が知られている（例えば、特開２０１５−０２９８４９号）。しかしながら、上述した従来の遊技機では、駆動手段から変位部材への伝達手段による駆動力の伝達状態が常に一定であるため、駆動手段が一定の駆動速度で駆動されると、変位部材も一定の変位速度で変位され、かかる変位部材の変位態様に変化を付与することができない。そのため、変位部材の変位に伴う演出の演出効果が不十分であるという問題点があった。
【１９４８】
なお、駆動手段の駆動速度を増減させれば、変位部材の変位速度を変化させることはできるが、変位部材の変位区間のうちの所定の区間における変位速度を他の区間における変位速度と異なる変位速度とするためには、変位部材の位置を検出するセンサ装置を配置し、そのセンサ装置の検出結果に応じて駆動手段の出力を増減させる制御が必要となり、製品コストや制御コストの増加を招く。また、構造および制御が複雑となり、その信頼性の低下を招く。
【１９４９】
これに対し、遊技機Ｈ１によれば、伝達手段は、第１部材と、その第１部材よりも駆動力の伝達経路において変位部材側に位置する第２部材と、それら第１部材および第２部材の間に配設される係合部材とを備え、第１部材が第２部材に対して一方向へ変位される場合には、第１部材および第２部材に係合部材が係合して、駆動力が伝達されると共に、駆動力の伝達が遮断され、変位部材の変位区間のうちの所定の区間では、第２部材が第１部材に対して一方向へ向けて先行して変位されるので、駆動手段の駆動状態に関わらず、所定の区間における変位部材の変位速度を、他の区間における変位部材の変位速度よりも速くすることができる。よって、変位部材の変位態様に変化を付与して、その変位部材の変位に伴う演出の演出効果を高めることができる。
【１９５０】
また、遊技機Ｈ１によれば、駆動手段の駆動状態に関わらず、第２部材を第１部材に対して一方向へ先行させることができるので、例えば、変位部材の変位区間における全区間において、駆動手段を一定の駆動速度で駆動でき、変位部材の変位区間の途中で（即ち、所定の区間か他の区間かに応じて）、駆動手段の駆動速度を増減させる必要がない。その結果、制御を簡素化して、制御コストを削減できると共に、動作の信頼性の向上を図ることができる。或いは、所定の区間では、駆動手段の駆動を停止させることができ、この場合には、消費エネルギーの抑制を図ることができる。
【１９５１】
また、遊技機Ｈ１によれば、第１部材を２部材に対して他方向へ変位させる方向の駆動状態では、係合部材の係合が解除されて、駆動力の伝達が遮断されるので、変位部材を停止状態（非駆動状態）とすることができ、かかる駆動状態における駆動手段の駆動力を、他の部材を駆動するための駆動力として利用することができる。即ち、駆動手段の駆動方向を切り替えることで、変位部材と他の部材との２部材をそれぞれ変位させることができる。
【１９５２】
なお、伝達手段は、前記第１部材が前記２部材に対して他方向へ変位される場合に、前記係合部材の係合が解除されて、前記駆動力の伝達が遮断されるように形成されるものであっても良い。
【１９５３】
遊技機Ｈ１において、前記変位部材は、回転可能に形成されると共に、その重心位置が回転中心から偏心され、前記所定の区間では、前記変位部材の重さが前記第２部材を前記一方向へ変位させる方向へ作用可能に形成されることを特徴とする遊技機Ｈ２。
【１９５４】
遊技機Ｈ２によれば、遊技機Ｈ１の奏する効果に加え、変位部材は、回転可能に形成されると共に、その重心位置が回転中心から偏心され、所定の区間では、変位部材の重さが第２部材を一方向へ変位させる方向へ作用可能に形成されるので、かかる変位部材の重さを利用して、第２部材を第１部材に対して一方向へ先行して変位させることができる。即ち、所定の区間における変位部材の変位速度を、他の区間における変位部材の変位速度よりも速くすることができる。その結果、変位部材の変位態様に変化を付与して、その変位部材の変位に伴う演出の演出効果を高めることができる。
【１９５５】
例えば、変位部材がその回転軸を回転中心とする３６０度の回転を繰り返し可能に形成される場合には、所定の区間における変位部材の変位速度（回転速度）が、他の区間における変位部材の変位速度（回転速度）よりも速くされた態様、即ち、１回転の間にその回転速度が増減される回転態様を、繰り返し行うことができる。
【１９５６】
遊技機Ｈ２において、前記伝達手段は、前記第２部材により回転駆動される本体部およびその本体部から突設されると共に前記本体部の回転中心から偏心して位置するピン部を有するクランク部材と、そのクランク部材のピン部が摺動可能に挿通される摺動溝が一端側に形成されると共に中間部分が回転可能に軸支されるアーム部材とを備え、前記アーム部材の他端側が前記変位部材に連結されることを特徴とする遊技機Ｈ３。
【１９５７】
遊技機Ｈ３によれば、遊技機Ｈ２の奏する効果に加え、伝達手段は、第２部材により回転駆動される本体部およびその本体部から突設されると共に本体部の回転中心から偏心して位置するピン部を有するクランク部材と、そのクランク部材のピン部が摺動可能に挿通される摺動溝が一端側に形成されると共に中間部分が回転可能に軸支されるアーム部材とを備えるので、第２部材によってクランク部材を回転駆動させ、ピン部材を摺動溝に沿って摺動させることで、アーム部材の他端側を往復動作させることができる。この場合、アーム部材の他端側が変位部材に連結されるので、かかるアーム部材の他端側の往復動作に伴って、変位部材を第１位置および第２位置の間で往復動作させることができる。即ち、駆動手段の駆動方向を切り替えることなく、変位部材の変位方向を切り替えることができる。
【１９５８】
遊技機Ｈ３において、前記変位部材は、前記アーム部材の他端側の往復動作に伴って、第１位置および第２位置の間で往復動作され、前記第１位置から前記第２位置まで変位される間、及び、前記第２位置から前記第１位置まで変位される間のそれぞれの途中において、前記変位部材の重さが前記第２部材に作用される方向が、前記第２部材を前記他方向へ変位させる方向から前記第２部材を前記一方向へ変位させる方向へ転換されることを特徴とする遊技機Ｈ４。
【１９５９】
遊技機Ｈ４によれば、遊技機Ｈ３の奏する効果に加え、変位部材は、アーム部材の他端側の往復動作に伴って、第１位置および第２位置の間で往復動作され、第１位置から第２位置まで変位される間、及び、第２位置から第１位置まで変位される間のそれぞれの途中において、変位部材の重さが第２部材に作用される方向が、第２部材を他方向へ変位させる方向から第２部材を一方向へ変位させる方向へ転換されるので、変位部材が往復動作される際には、いずれの方向へ変位される際にも、その変位の途中から変位部材の変位速度を速くすることができる。その結果、変位部材の変位態様に変化を付与して、その変位部材の変位に伴う演出の演出効果を高めることができる。
【１９６０】
例えば、変位部材を、遊技者から視認可能に張り出した位置である張出位置（第１位置）と、その張出位置かれ退避された位置である退避位置（第２位置）との間で往復動作させる場合、退避位置から張出位置へ変位部材を張り出させる際には、途中までは一定の変位速度で変位させつつ、途中から変位部材の変位速度を速くして、変位部材を勢い良く張出位置に張り出させることができると共に、張出位置から張出位置へ変位部材を退避させる際には、途中までは一定の変位速度で変位させつつ、途中から変位部材の変位速度を速くして、変位部材を即座に退避位置に退避させることができる。
【１９６１】
遊技機Ｈ１において、前記変位部材は、スライド変位可能に形成され、前記所定の区間では、前記スライド変位の方向へ向けて下降傾斜されることで、前記変位部材の重さが前記第２部材を前記一方向へ変位させる方向へ作用可能に形成されることを特徴とする遊技機Ｈ５。
【１９６２】
遊技機Ｈ５によれば、遊技機Ｈ１の奏する効果に加え、変位部材は、スライド変位可能に形成され、所定の区間では、スライド変位の方向へ向けて下降傾斜されることで、変位部材の重さが第２部材を一方向へ変位させる方向へ作用可能に形成されるので、かかる変位部材の重さを利用して、第２部材を第１部材に対して一方向へ先行して変位させることができる。即ち、所定の区間における変位部材の変位速度を、他の区間における変位部材の変位速度よりも速くすることができる。その結果、変位部材の変位態様に変化を付与して、その変位部材の変位に伴う演出の演出効果を高めることができる。
【１９６３】
遊技機Ｈ２からＨ５のいずれかにおいて、前記変位部材は、少なくとも前記所定の区間において、遊技球を保持可能に形成されることを特徴とする遊技機Ｈ６。
【１９６４】
遊技機Ｈ６によれば、遊技機Ｈ２からＨ５のいずれかの奏する効果に加え、変位部材は、少なくとも所定の区間において、遊技球を保持可能に形成されるので、変位部材が遊技球を保持した状態では、その遊技球の重さの分、変位部材全体としての重さを大きくして、所定の区間における変位部材の変位速度をより速くすることができる。また、変位部材に遊技球が保持されている場合と、遊技球が保持されていない場合とで、或いは、保持されている遊技球の数に応じて、変位部材全体としての重さを異ならせることができる。これにより、それぞれの場合において、変位部材の変位速度を変化させることができる。その結果、変位部材の変位態様に変化を付与して、その変位部材の変位に伴う演出の演出効果を高めることができる。
【１９６５】
遊技機Ｈ２からＨ６のいずれかにおいて、前記変位部材は、遊技領域を流下する遊技球を受け止める受け止め部を備え、少なくとも前記所定の区間では、前記受け止め部が遊技球を受け止めた際にその遊技球から前記変位部材に作用される力が、前記第２部材を前記一方向へ変位させる方向へ作用可能に形成されることを特徴とする遊技機Ｈ７。
【１９６６】
遊技機Ｈ７によれば、遊技機Ｈ２からＨ６のいずれかにおいて、変位部材は、遊技領域を流下する遊技球を受け止める受け止め部を備え、少なくとも所定の区間では、受け止め部が遊技球を受け止めた際にその遊技球から変位部材に作用される力が、第２部材を一方向へ変位させる方向へ作用可能に形成されるので、受け止め部が遊技球を受け止めた際に、その遊技球の運動エネルギーを利用して、所定の区間における変位部材の変位速度をより速くすることができる。また、受け止め部が遊技球を受け止めている場合と、受け止めていない場合、或いは、受け止める際の遊技球の流下速度（運動エネルギーの大きさ）に応じて、変位部材に作用される力を異ならせることができる。これにより、それぞれの場合において、変位部材の変位速度を変化させることができる。その結果、変位部材の変位態様に変化を付与して、その変位部材の変位に伴う演出の演出効果を高めることができる。
【１９６７】
なお、遊技領域を流下する遊技球とは、遊技盤の前面を重力方向に沿って移動する遊技球に限定されず、重力方向と異なる方向へ移動する遊技球も含まれる。重力方向と異なる方向へ移動する遊技球としては、例えば、釘やチューリップ、役物などに衝突して、重力方向と異なる方向へ移動する遊技球や、ステージを転動した後、そのステージから飛び出して、重力方向と異なる方向へ移動する遊技球が例示される。
【１９６８】
遊技機Ｈ６又はＨ７において、前記伝達手段は、前記駆動力の伝達経路の一部または全部をなす歯車列と、その歯車列のうちの一の歯車に歯合される負荷用歯車とを備えることを特徴とする遊技機Ｈ８。
【１９６９】
遊技機Ｈ８によれば、遊技機Ｈ６又はＨ７の奏する効果に加え、伝達手段は、駆動力の伝達経路の一部または全部をなす歯車列と、その歯車列のうちの一の歯車に歯合される負荷用歯車とを備えるので、所定の区間において、変位部材に遊技球が保持されている又は受け止め部により遊技球が受け止めれた際には、遊技球の重さ又は運動エネルギーを利用して、第２部材を第１部材に対して一方向へ先行して変位させる（即ち、所定の区間における変位部材の変位速度を、他の区間における変位部材の変位速度よりも速くする）一方、変位部材に遊技球が保持されてない又は受け止め部に遊技球が受け止められていなければ、負荷用歯車を回転させる際の負荷（抵抗）を利用して、第２部材が第１部材に対して一方向へ先行して変位される（即ち、所定の区間における変位部材の変位速度が速くされる）ことを抑制できる。
【１９７０】
即ち、遊技球が変位部材に保持されていない又は受け止め部が遊技球を受け止めていない場合には、所定の区間における変位部材の変位速度が、他の区間における変位部材の変位速度よりも速くなることを抑制し、遊技球が変位部材に保持されている又は受け止め部が遊技球を受け止めた場合にのみ、所定の区間における変位部材の変位速度を、他の区間における変位部材の変位速度よりも速くするという態様を形成しやすくできる。
【１９７１】
＜背面ケース３００を一例とする発明の概念について＞
遊技盤（ベース板６０）と、その遊技盤の背面側に配設される背面部材（背面ケース３００）と、その背面部材の背面側に配設される固定部材（固定部材３２０）と、を備える遊技機において、前記遊技盤から前記背面部材までの対向間に配設され、前記遊技盤の背面側であって、前記遊技盤から前記背面部材までの対向間の外側から操作可能な変位部材（係合部材３１０）を備え、前記固定部材は、その少なくとも一部が前記背面部材の正面側に配設され、前記変位部材と係合する突出部（被係合部３２２）を備え、その突出部と前記変位部材とが係合して、前記固定部材が前記背面部材に配設されることを特徴とする遊技機Ｉ１。
【１９７２】
従来より、遊技盤と、その遊技盤の背面側に配設される背面部材と、その背面部材の背面側に配設される固定部材と、を備える遊技機が知られている（例えば、特開２００４−３３６０３号公報）。この遊技機によれば、背面部材の正面側から挿通されるネジにより固定部材が背面部材に締結される。これにより、遊技盤の背面側から固定部材が取り外されることを抑制できる。
【１９７３】
しかしながら、上述した従来の遊技機では、固定部材を背面部材に配置する工程と固定部材を背面部材に締結する工程とが、背面部材の背面側からの作業と背面部材の正面側からの作業とで反対方向からの作業となる。従って、固定部材を背面部材に配設する際に、背面部材の背面側に固定部材を配置した後に背面部材の正面側に回り込んで、又は、背面部材を反転させて、背面部材の正面側からネジを締結する必要がある。よって、固定部材を背面部材に配設する作業工程が多くなるという問題点があった。
【１９７４】
これに対し、遊技機Ｉ１では、遊技盤から背面部材までの対向間に配設され、遊技盤の背面側であって、遊技盤から背面部材までの対向間の外側から操作可能な変位部材を備え、固定部材は、その少なくとも一部が背面部材の正面側に配設され、変位部材と係合する突出部を備え、その突出部と変位部材とが係合して、固定部材が背面部材に配設されるので、背面部材の背面側からの１方向の作業で固定部材を背面部材に配設することができる。従って、背面側から作業した後に正面側に回り込む、又は、背面部材を反転させる工程をなくすことができる。その結果、固定部材を背面部材に配設する作業工程を少なくできる。
【１９７５】
また、突出部と固定部材との係合部分が背面部材の正面側に位置されるので、遊技盤と背面部材との対向間の外側から突出部と固定部材との係合部分にアクセスされることを抑制できる。その結果、突出部と固定部材との係合が不正に解除されることを抑制できる。
【１９７６】
遊技機Ｉ１において、前記遊技盤から前記背面部材までの対向間に配設される第１部材（回転ユニット７００）を備え、その第１部材の背面側に前記変位部材が配設されることを特徴とする遊技機Ｉ２。
【１９７７】
遊技機Ｉ２によれば、遊技機Ｉ１の奏する効果に加え、前記遊技盤から前記背面部材までの対向間に配設される第１部材を備え、その第１部材の背面側に前記変位部材が配設されるので、変位部材と固定部材との係合部分を背面部材から第１部材までの対向間に配置することができる。よって、変位部材と固定部材との係合部分に不正にアクセスされることを抑制できる。その結果、変位部材と固定部材との係合が不正に解除されて、固定部材に不正がされる（例えば、不正な固定部材に交換される）ことを抑制できる。
【１９７８】
また、近年の遊技機では、遊技盤から背面部材までの対向間に配設される第１部材（役物装置等）が大型化される傾向がある。そのために、固定部材を背面部材の正面側からネジで締結する従来の遊技機では、大型化された第１部材が固定部材の正面、又は、固定部材と近接する位置に配設されると、固定部材を背面部材の正面側からネジで締結する際に第１部材が邪魔になる。よって、固定部材を背面部材の正面側から挿通するネジで締結して、背面部材に固定部材を配設することが困難となっていた。
【１９７９】
これに対し、遊技機Ｉ２によれば、変位部材は第１部材の背面側に配設されるので、遊技盤から背面部材までの対向間に第１部材を配設した状態で、遊技盤から背面部材までの対向間の外側から変位部材を操作して、変位部材と固定部材とを係合させることができる。従って、変位部材を遊技盤から背面部材までの対向間に配設される第１部材に邪魔されることなく、固定部材を背面部材に配設することができる。
【１９８０】
遊技機Ｉ１又はＩ２において、前記変位部材は、前記背面部材と前記遊技盤との対向面と平行な平面上をスライド変位されることを特徴とする遊技機Ｉ３。
【１９８１】
遊技機Ｉ３によれば、遊技機Ｉ２の奏する効果に加え、変位部材は、背面部材と遊技盤との対向面と平行な平面上をスライド変位されるので、変位部材が変位した際に、背面部材と遊技盤との対向方向への変位量を０とすることができる。これにより、変位部材と遊技盤との対向間の空間を確保することができる。
【１９８２】
遊技機Ｉ１からＩ３のいずれかにおいて、前記背面部材は、前記遊技盤と対向する底壁部（底壁部３０１）と、その底壁部の縁部から前記遊技盤側に立設される側壁部（外壁部３０２）と、を備える箱状に形成され、前記底壁部または側壁部のどちらか一方には開口部（第２開口部３０１ｄ）が開口形成され、前記変位部材は、前記開口部に挿通され前記背面部材の内部から外部に突出される操作子（操作子３１５）を備えることを特徴とする遊技機Ｉ４。
【１９８３】
遊技機Ｉ４によれば、遊技機Ｉ１からＩ３のいずれかの奏する効果に加え、背面部材は、遊技盤と対向する底壁部と、その底壁部の縁部から遊技盤側に立設される側壁部と、を備える箱状に形成され、底壁部または側壁部のどちらか一方には開口部が開口形成され、変位部材は、開口部に挿通され背面部材の内部から外部に突出される操作子を備えるので、背面部材の外部（遊技盤から背面部材までの対向間の外側）から操作子を操作して、変位部材を変位させることができる。これにより、遊技盤から背面部材までの対向間の外側から遊技盤から背面部材までの対向間に配置される変位部材を変位させやすくすることができる。その結果、固定部材に変位部材を係合させる作業の効率を向上することができる。
【１９８４】
遊技機Ｉ４において、前記変位部材と前記固定部材との係合が解除された状態において、前記固定部材との係合を解除する方向に前記変位部材を付勢する付勢手段を備えることを特徴とする遊技機Ｉ５。
【１９８５】
遊技機Ｉ５によれば、遊技機Ｉ４の奏する効果に加え、変位部材と固定部材との係合が解除された状態において、固定部材との係合を解除する方向に変位部材を付勢する付勢手段を備えるので、変位部材と固定部材とを係合し忘れた場合、又は、変位部材と固定部材との係合が不完全であった場合に、変位部材を固定部材との係合を解除する方向に変位させることができる。よって、作業者は、変位部材と固定部材との係合が正しくされているかを、背面部材の外側に突出する操作子が配置される位置で判断することができる。その結果、変位部材と固定部材との係合が忘れられることを抑制できる。
【１９８６】
なお、付勢手段は、変位部材と背面部材との間に、スプリングやゴムなどを配設して変位部材を固定部材との係合を解除する方向に付勢する形態や、変位部材の自重を変位部材を固定部材との係合を解除する方向に作用させる形態等が例示される。
【１９８７】
遊技機Ｉ１からＩ５において、前記固定部材は、前記背面部材の背面に配設される支持部材（軸支部材３４０）と、その支持部材に連結され、前記遊技機の制御を行う基板部材（基板ボックス１００）とを備え、前記基板部材に前記突出部が形成されることを特徴とする遊技機Ｉ６。
【１９８８】
遊技機Ｉ６によれば、遊技機Ｉ１からＩ５の奏する効果に加え、前記固定部材は、前記背面部材の背面に配設される支持部材と、その支持部材に連結され、遊技者に所定の遊技価値を付与する抽選を行う基板部材とを備え、前記基板部材に前記突出部が形成されるので、支持部材に基板部材が連結されていない場合に、変位部材を固定部材に傾動させることができなくなる。従って、背面部材と基板部材とを連結するための支持部材に比べて遊技機に必要とされる制御を行う基板部材の配設を忘れた場合に、変位部材が変位されて係合することを抑制できる。これにより、基板部材を配設する作業者が、基板部材の配設を忘れた場合にその取り付け忘れを作業者に気が付かせることができる。その結果、基板部材が取り付け忘れられた状態で遊技機の組み付け工程の後工程に送られることを抑制できる。
【１９８９】
遊技機Ｉ６において、前記基板部材は、前記支持部材に回転可能な状態で前記支持部材に連結され、前記突出部は、前記基板部材の回転軸から径方向に異なる位置に配設され、前記基板部材が前記支持部材に対して回転されることで、前記背面部材の正面側に配置される第１位置と、前記背面部材の背面側に配置される第２位置との間で変位可能とされ、前記変位部材は、前記突出部が前記ｉ第１位置に配置される場合に、前記基板部材の回転軸から前記突出部に向かう方向にスライド変位可能に設定されることを特徴とする遊技機Ｉ７。
【１９９０】
遊技機Ｉ７によれば、遊技機Ｉ６の奏する効果に加え、基板部材は、支持部材に回転可能な状態で支持部材に連結され、突出部は、基板部材の回転軸から径方向に異なる位置に配設され、基板部材が支持部材に対して回転されることで、背面部材の正面側に配置される第１位置と、背面部材の背面側に配置される第２位置との間で変位可能とされ、変位部材は、突出部が第１位置に配置される場合に、基板部材の回転軸から突出部に向かう方向にスライド変位可能に設定されるので、基板部材が支持部材に対して回転変位されて突出部が第１位置に配設されるより前に、変位部材が突出部と係合する位置に変位される場合に、突出部を第２位置側から第１位置に変位させることで、突出部を変位部材に当接させることができる。
【１９９１】
この場合に、変位部材は、基板部材の回転軸から突出部に向かう方向にスライド変位可能に設定されるので、突出部が当接された力を変位部材と突出部との係合を解除する方向に変位部材に作用させることができる。従って、変位部材に突設部が当接された場合に、突設部が当接される力で変位部材を固定部材との係合を解除する方向に変位させることができる。よって、変位部材を突設部との係合を解除する方向に変位させることができる。その結果、背面部材に固定部材を配設する作業者に変位部材と固定部材とが被係合であることを認識させやすくでき、変位部材と固定部材とが非係合とされることを抑制できる。
【１９９２】
さらに、変位部材に突設部が当接した場合に、変位部材を固定部材との係合を解除する方向に逃がすことで、変位部材に突設部が当接した場合に、変位部材または固定部材が破損することを抑制できる。
【１９９３】
遊技機Ｉ４からＩ７のいずれかにおいて、前記遊技盤および背面部材を収容可能な枠状に形成される外枠（外枠１１）を備え、前記外枠の内形は、前記遊技盤および背面部材の正面視における外側の外形と略同一に形成され、前記変位部材と前記固定部材とが非係合の状態では、前記遊技盤から前記背面部材までの対向間の外側に前記操作子が配置されることを特徴とする遊技機Ｉ８。
【１９９４】
遊技機Ｉ８によれば、遊技機Ｉ４からＩ７のいずれかの奏する効果に加え、遊技盤および背面部材を収容可能な枠状に形成される外枠を備え、外枠の内形は、遊技盤および背面部材の正面視における外側の外形と略同一に形成され、変位部材と固定部材とが非係合の状態では、遊技盤から背面部材までの対向間の外側に操作子が配置されるので、変位部材と固定部材とが非係合とされる場合に、遊技盤および背面部材を外枠に収容すると、外枠に操作子を当接させることができる。これにより、遊技盤および背面部材が外枠に収容されることを抑制できる。よって、背面部材に固定部材を配設し忘れた場合、又は、変位部材と固定部材との係合を忘れた場合に、その忘れ（異常）を作業者に気が付かせることができる。その結果、背面部材に固定部材を配設し忘れた、又は、変位部材と固定部材との係合を忘れた状態で、遊技盤が外枠に収容されることを抑制できる。
【１９９５】
遊技機Ｉ４からＩ８のいずれかにおいて、前記変位部材と前記固定部材との係合を解除する方向に、前記操作子が操作されることを抑制する抑制手段を備えることを特徴とする遊技機Ｉ９。
【１９９６】
遊技機Ｉ９によれば、遊技機Ｉ４からＩ８のいずれかの奏する効果に加え、変位部材と固定部材との係合を解除する方向に、操作子が操作されることを抑制する抑制手段を備えるので、操作子が操作されて、変位部材が固定部材との係合を解除する方向へ変位されることを抑制できる。その結果、操作子を利用して、変位部材と固定部材との係合が解除されることを抑制できる。
【１９９７】
なお、変位部材と固定部材との係合を解除する方向に、操作子が操作されることを抑制する抑制手段としては、操作子が係合を解除する方向に空転可能に軸支される形態、変位部材と固定部材との係合を解除する方向に向かって操作子の突出先端が突出する傾斜面に形成される形態、変位部材と固定部材との間に操作子が配設される形態等が例示される。
【１９９８】
遊技機Ｉ１からＩ９のいずれかにおいて、前記変位部材は、弾性変形可能な弾性片と、その弾性片に突設される第１突部と、を備え、前記固定部材は、前記変位部材の変位領域に開口して、前記変位部材の変位方向に凹設される収容部を備え、前記収容部は、前記第１突部の変位領域に突設される第２突部を備え、前記第２突部は、前記変位部材が一方向に変位されることで、前記第１突部と当接して前記弾性片を変位可能とされ、前記変位部材が他方向に変位されることで、前記第１部材と当接して前記変位部材と前記固定部材とを係合可能とさせることを特徴とする遊技機Ｉ１０。
【１９９９】
遊技機Ｉ１０によれば、遊技機Ｉ１からＩ９のいずれかの奏する効果に加え、変位部材は、弾性変形可能な弾性片と、その弾性片に突設される第１突部と、を備え、固定部材は、変位部材の変位領域に開口して、変位部材の変位方向に凹設される収容部を備え、収容部は、第１突部の変位領域に突設される第２突部を備え、第２突部は、変位部材が一方向に変位されることで、第１突部と当接して弾性片を変位可能とされ、変位部材が他方向に変位されることで、第１部材と当接して変位部材と固定部材とを係合可能とさせるので、第２突部により、変位部材の一方向の変位を許容することができると共に、変位部材の他方向の変位を規制できる。これにより、固定部材との係合方向および脱落方向の両方向への変位部材の変位を規制することができる。
【２０００】
遊技機Ｉ１０において、前記収容部は、前記弾性片を収容可能な大きさに設定され、前記第１突部と前記第２突部とが係合される際に、前記収容部に前記弾性片が収容されることを特徴とする遊技機Ｉ１１。
【２００１】
遊技機Ｉ１１によれば、遊技機Ｉ１０の奏する効果に加え、収容部は、弾性片を収容可能な大きさに設定され、第１突部と第２突部とが係合される際に、収容部に弾性片が収容されるので、変位部材と固定部材が係合された状態では、収容部の外側から弾性片を操作しにくくすることができる。従って、弾性片が収容部の外側から操作されて、弾性変形されることを抑制できる。その結果、変位部材と固定部材との係合が不正に解除されることを抑制できる。なお、この場合、収容部の外側に位置する変位部材（被収容部の基端部分）を切断することで固定部材を背面部材から取り外すことが可能とされる。
【２００２】
遊技機Ｉ１１において、前記変位部材は、前記収容部に収容可能な前記弾性片を複数備え、前記収容部は、前記弾性片を複数個収容可能な大きさに設定されることを特徴とする遊技機Ｉ１２。
【２００３】
遊技機Ｉ１２によれば、遊技機Ｉ１１の奏する効果に加え、変位部材は、収容部に収容可能な弾性片を複数備え、収容部は、弾性片を複数個収容可能な大きさの空間に設定されるので、収容部の外側に位置する変位部材（弾性片の基端部分）を切断して固定部材を背面部材から取り外した場合に、その切断した変位部材（弾性片）を収容部の内側に残した状態とすることができると共に、その状態で切断されていない変位部材（弾性片）を収容部の内側に収容することができる。従って、収容部の内側に切断した変位部材（弾性片）を収容して残すことができるので、収容部に収容された変位部材の数と、変位部材の弾性片の切断数と、を比べることで、固定部材が不正に取り外されて、不正な固定部材に変更された場合に、その数が異なることで、遊技機に不正がされたことを作業者に察知させることができる。
【２００４】
遊技機Ｉ１からＩ１２のいずれかにおいて、前記第１部材は、前記変位部材が前記固定部材と係合した際に、前記固定部材との係合を解除する方向への前記変位部材の変位を規制する規制手段を備えることを特徴とする遊技機Ｉ１３。
【２００５】
遊技機Ｉ１３によれば、遊技機Ｉ１からＩ１２の奏する効果に加え、変位部材が固定部材と係合した際に、固定部材との係合を解除する方向への変位部材の変位を規制する規制手段を備えるので、不正により変位部材と固定部材との係合を解除する方向に力が作用する場合に、変位部材が変位することを規制できる。よって、不正により変位部材が固定部材との係合を解除する方向に力が作用する場合に、変位部材と固定部材との係合部分に力が集中することを抑制することができるので、不正により入力される力により、変位部材または固定部材が破損することを抑制できる。
【２００６】
また、第１部材が規制手段を備えるので、固定部材を背面部材から取り外す場合には、第１部材を背面部材から取り外すことで、規制手段による変位部材の変位の規制を解除することができる。この場合、第１部材を取り外すことで、変位部材と固定部材との係合部分にアクセス可能とされるので、固定部材を背面部材から取り外す際の作業効率を向上できる。
【２００７】
なお、変位部材の変位を規制する規制手段は、係合凹部の内側に突起を配置して変位部材の弾性変形を規制する形態や、突起を変位部材と係合させる形態等が例示される。
【２００８】
＜一般入賞口ユニット１５０を一例とする発明の概念について＞
正面側に遊技領域を有するベース部材と、そのベース部材の正面に装飾を形成する第１装飾手段と、正面視における前記第１装飾手段の装飾と連続する装飾を形成する第２装飾手段と、を備える遊技機において、前記第１装飾手段および第２装飾手段が、正面視における前後方向に隣合う位置に配設されることを特徴とする遊技機Ｊ１。
【２００９】
従来より、正面側に遊技領域を有するベース部材と、そのベース部材の正面に配設され、正面に装飾が形成される第１装飾手段と、その第１装飾手段の正面に配設される第１部材と、その第１部材の正面に配設され、正面視において第１装飾手段の装飾と連続する装飾が形成される第２装飾手段と、を備える遊技機が知られている（例えば、特開２００７−０００１９５号公報）。この遊技機によれば、第１装飾手段および第２装飾手段の装飾を合わせて１の装飾として遊技者に視認させることで、ベース部材の意匠性を確保できる。
【２０１０】
しかしながら、上述した従来の遊技機では、第２装飾手段が、第１装飾手段が第１部材の正面に配設されるので、第１部材の厚み分、第２装飾手段が第１装飾手段から離れた位置に配置される。そのために、遊技者が、ベース部材を視認する位置（目線の方向）により、第１装飾手段の装飾と第２装飾手段の装飾とが、第１部材の厚みの分、ずれて視認され、ベース部材の意匠性が低下するという問題点があった。
【２０１１】
これに対し、遊技機Ｊ１によれば、前記第１装飾手段および第２装飾手段が、正面視における前後方向に隣合う位置に配設されるので、第１装飾手段と第２装飾手段との前後の離間距離を小さくできる。これにより、第１装飾手段または第２装飾手段の正面視に対して傾斜した角度から第１装飾手段および第２装飾手段を視認した際に、第１装飾手段の装飾および第２装飾手段の装飾がずれて視認されることを抑制できる。従って、遊技者に第１装飾手段の装飾および第２装飾手段の装飾を合わせて１の装飾として視認させやすくすることができ、ベース部材の意匠性を向上できる。
【２０１２】
また、第１装飾手段は、装飾が形成されるものであればよく、例えば、板状の部材に装飾を印刷したシール部材をベース部材の正面に貼り付けるもの、又は、ベース部材の正面に装飾を印刷するものである。
【２０１３】
なお、第２装飾手段が第１装飾手段の正面に貼付（接着）される場合には、作業者が第１装飾手段の装飾を視認しつつ、第２装飾手段を貼付（接着）することができる。よって、作業者は、第１装飾手段の装飾と第２装飾手段の装飾とを連続する位置で第２装飾手段を第１装飾手段に貼付させやすい。従って、第２装飾手段を第１装飾手段に貼付する作業者の作業性を向上させることができる。
【２０１４】
遊技機Ｊ１において、光透過性材料から形成され、前記第２装飾手段の正面視における外形よりも大きい外形に形成され、前記第２装飾手段の正面に配設される正面部材を備え、前記正面部材は、前記第２装飾手段との対向面に前記第２装飾手段の外形よりも大きい形状に凹設される凹部を備え、前記凹部の凹設寸法が、前記第２装飾手段の厚み寸法よりも大きい値に設定されることを特徴とする遊技機Ｊ２。
【２０１５】
遊技機Ｊ２によれば、遊技機Ｊ１の奏する効果に加え、光透過性材料から形成され、第２装飾手段の正面視における外形よりも大きい外形に形成され、第２装飾手段の正面に配設される正面部材を備え、正面部材は、第２装飾手段との対向面に第２装飾手段の外形よりも大きい形状に凹設される凹部を備え、凹部の凹設寸法が、第２装飾手段の厚み寸法よりも大きい値に設定されるので、第２装飾手段を凹部に収容した状態で正面部材をベース部材に配設することができる。これにより、第２装飾手段が、ベース部材と正面部材との間から脱落することを抑制できる。
【２０１６】
また、凹部の凹設寸法が、第２装飾手段の厚み寸法よりも大きい値に設定されるので、正面部材と第１装飾手段との間に隙間が形成されることを抑制できる。これにより、正面部材と第１装飾手段との間に埃やゴミが挟まって第１装飾手段の装飾が視認されにくくなることを抑制できる。
【２０１７】
遊技機Ｊ２において、前記凹部は、内側面が前記第２装飾手段の外形に沿って形成され、前記第２装飾手段は、前記凹部の凹設底面に接着して配設されることを特徴とする遊技機Ｊ３。
【２０１８】
遊技機Ｊ３によれば、遊技機Ｊ２の奏する効果に加え、凹部は、内側面が第２装飾手段の外形に沿って形成され、第２装飾手段は、凹部の凹設底面に接着して配設されるので、正面部材の凹部に沿って第２装飾手段を配設することで、第２装飾手段を正面部材に対して位置決めして配設できる。これにより、正面部材を第１装飾手段の正面に配設した際に、正面部材の縁部と第１装飾手段の対向間に第２装飾手段が挟まることを抑制できる。その結果、第１装飾手段と正面部材との間に隙間が形成されることを抑制でき、正面部材と第１装飾手段との間に埃やゴミが挟まって第１装飾手段の装飾が視認されにくくなることを抑制できる。
【２０１９】
遊技機Ｊ３において、前記正面部材は、前記ベース部材との対向面から前記ベース部材側に突出する突起を備え、前記ベース部材は、前記突起と対応する位置に開口する開口部を備え、前記突起が前記開口部に挿入されることで、前記正面部材が前記ベース部材に対して位置決めされることを特徴とする遊技機Ｊ４。
【２０２０】
遊技機Ｊ４によれば、遊技機Ｊ３の奏する効果に加え、正面部材は、ベース部材との対向面からベース部材側に突出する突起を備え、ベース部材は、突起と対応する位置に開口する開口部を備え、突起が開口部に挿入されることで、正面部材がベース部材に対して位置決めされるので、第１装飾手段に対する正面部材の位置がずれることを抑制できる。また、第２装飾手段は、正面部材の凹部により正面部材に対して位置決めされる。よって、第１装飾手段に対する正面部材の位置決めをすることで、第１装飾手段と第２装飾手段との配置がずれることを抑制できる。その結果、第１装飾手段の装飾と第２装飾手段の装飾とを遊技者に１の装飾として視認させやすくすることができる。
【２０２１】
遊技機Ｊ４において、前記突起は、前記凹部の凹設底面に形成され、前記第２装飾手段には、前記突起と対応する位置に貫通する貫通孔が形成され、前記貫通孔に前記突起が挿入されることを特徴とする遊技機Ｊ５。
【２０２２】
遊技機Ｊ５によれば、遊技機Ｊ４の奏する効果に加え、突起は、凹部の凹設底面に形成され、第２装飾手段には、突起と対応する位置に貫通する貫通孔が形成され、貫通孔に突起が挿入されるので、正面部材に対する第２装飾手段の配置を簡易にすることができる。即ち、正面部材の凹部の内側に第２装飾手段を配設するだけでは、第２装飾手段の縁部を凹部に沿わせて配設する必要があるのに対し、第２装飾手段に突起が挿通される貫通孔を形成することで、突起を貫通孔に挿通させるのみで、正面部材に対する第２装飾手段の配置を決めることができる。その結果、正面部材に対する第２装飾手段の配置を簡易にすることができる。
【２０２３】
また、第１装飾手段に対して、正面部材の位置決めをする突起が第２装飾手段の貫通孔に挿通されるので、第２装飾手段と第１装飾手段とを同一の部分（突起）で位置決めすることができるので、装飾部材と第１装飾手段との位置決めの精度を向上させることができる。その結果、第１装飾手段の装飾と第２装飾手段の装飾とを遊技者に１の装飾として視認させやすくすることができる。
【２０２４】
遊技機Ｊ２からＪ５のいずれかにおいて、前記正面部材は、正面視における外縁に向かうに従って前記第１装飾手段側に傾斜する傾斜部を備え、前記傾斜部の背面側に前記第２装飾手段の縁部が配設されることを特徴とする遊技機Ｊ６。
【２０２５】
ここで、第１装飾手段の装飾と第２装飾手段の装飾との両者の装飾を遊技者に１の装飾として視認させやすくするためには、両者の装飾の位置ずれを抑える必要がある。しかしながら、第１装飾手段と第２装飾手段とを前後方向に重ね合わせると、第２装飾手段の厚みの分、両者の装飾の位置が前後方向に位置ずれするために、第１装飾手段または第２装飾手段の正面視に対して傾斜した角度から第１装飾手段と第２装飾手段とを視認した際に、前後の位置ずれが認識される恐れがあるという問題点があった。
【２０２６】
これに対し、遊技機Ｊ６によれば、遊技機Ｊ２からＪ５のいずれかの奏する効果に加え、正面部材は、正面視における外縁に向かうに従って第１装飾手段側に傾斜する傾斜部を備え、傾斜部の背面側に第２装飾手段の縁部が配設されるので、第２装飾手段と第１装飾手段との前後方向の配置が異なることによる装飾の位置ずれを、正面部材の傾斜部による光の屈折で遊技者に認識させにくくすることができる。
【２０２７】
詳しく説明すると、第１装飾手段または第２装飾手段の装飾に反射されて、正面部材の内部を通過して傾斜部から出射される光は、ベース部材の正面に対して光の通過方向の傾斜角度が、ベース部材の正面に対して傾斜部の傾斜面と直交する方向の傾斜角度よりも小さくされる際に、ベース部材の正面に対して傾斜部からの光の出射方向の傾斜角度がベース部材の正面に対して光の通過方向の傾斜角度よりも小さくされる。従って、ベース部材の正面に対して傾斜部の傾斜面と直交する方向の傾斜角度よりも、ベース部材の正面に対して小さい交差角度の方向から第１装飾手段と第２装飾手段との連結部分を視認する遊技者が視認する光の通過方向を、第１装飾手段と第２装飾手段との重なり方向に近づけることができる。その結果、遊技者が第１装飾手段と第２装飾手段とを視認した際に、前後の位置ずれを遊技者に認識されにくくすることができる。
【２０２８】
遊技機Ｊ６において、前記第２装飾手段は、前記正面部材に接着される接着面と、前記正面部材に非接着の非接着面と、を備え、前記傾斜部と前記第２装飾手段とが少なくとも対向する位置に前記非接着面を備えることを特徴とする遊技機Ｊ７。
【２０２９】
ここで、遊技者が傾斜部の傾斜と直交する方向から、第１装飾手段と第２装飾手段との装飾の連結部分を視認した場合には、第１装飾手段と第２装飾手段との前後方向の装飾の位置ずれが遊技者に認識される恐れがある。
【２０３０】
これに対し、遊技機Ｊ７によれば、遊技機Ｊ６の奏する効果に加え、第２装飾手段は、正面部材に接着される接着面と、正面部材に非接着の非接着面と、を備え、傾斜部と第２装飾手段とが少なくとも対向する位置に非接着面を備えるので、非接着面における第２装飾手段と正面部材（傾斜部）との対向間に隙間を形成して、正面部材の非接着面を通過する光を全反射させることができる。これにより、傾斜部の傾斜と直交する方向から傾斜部を介して遊技者が第２装飾手段を視認した際に、遊技者に第２装飾手段の端部の装飾を視認させなくすることができる。その結果、傾斜部の傾斜と直交する方向から傾斜部を介して遊技者が第１装飾手段と第２装飾手段とを視認した場合には、第２装飾手段の装飾を視認し難くすることで、第１装飾手段と第２装飾手段の前後方向の装飾の位置ずれが遊技者に認識されることを抑制できる。
【２０３１】
遊技機Ｊ６又はＪ７において、前記傾斜部は、正面視における前記正面部材の外縁の延設方向と直交する方向の断面の外縁が前記正面部材の外縁に向かって凸状に湾曲する円弧形状に形成され、その傾斜部の端部同士を連結する直線の略中間位置よりも、正面視における前記正面部材の中央側に前記第２装飾手段の端部が配設されることを特徴とする遊技機Ｊ８。
【２０３２】
遊技機Ｊ８によれば、遊技機Ｊ６またはＪ７の奏する効果に加え、傾斜部は、正面視における正面部材の外縁の延設方向と直交する方向の断面の外縁が正面部材の外縁に向かって凸状に湾曲する円弧形状に形成され、その傾斜部の端部同士を連結する直線の略中間位置よりも、正面視における正面部材の中央側に第２装飾手段の端部が配設されるので、第１装飾手段または第２装飾手段の正面視に対して傾斜した角度から第１装飾手段と第２装飾手段とを視認した際に、傾斜部の湾曲による光の屈折で、正面部材の中央側を通過する光の方向を、第１装飾手段と第２装飾手段とが重なる方向に近づけることができる。
【２０３３】
また、傾斜部の端部同士を連結する直線の略中間位置よりも前記正面部材の中央側に前記第２装飾手段の端部が配設されるので、第１装飾手段と第２装飾手段との前後方向における位置ずれが、遊技者に認識されることを抑制できる。その結果、第１装飾手段の装飾と第２装飾手段の装飾とを遊技者に１の装飾として視認させやすくすることができる。
【２０３４】
遊技機Ｊ２からＪ８のいずれかにおいて、前記凹部の内側面は、前記第１装飾手段側に向かって正面視における外側に傾斜する第２傾斜部が形成され、その第２傾斜部は、前記ベース部材の正面に対する傾斜角度が、前記ベース部材の正面に対する前記傾斜部の傾斜角度より小さく設定されることを特徴とする遊技機Ｊ９。
【２０３５】
遊技機Ｊ９によれば、遊技機Ｊ２からＪ８の奏する効果に加え、凹部の内側面は、第１装飾手段側に向かって正面視における外側に傾斜する第２傾斜部が形成され、その第２傾斜部は、ベース部材の正面に対する傾斜角度が、ベース部材の正面に対する傾斜部の傾斜角度より小さく設定されるので、傾斜部および第２傾斜部を介して視認される第１装飾手段の装飾（虚像）の位置を、傾斜部および第２傾斜部を介さずに視認される第１装飾手段の装飾（実像）の位置に近づけることができる。その結果、正面部材を介して第１装飾手段を視認した際に、正面部材を介すことによる光の屈折で、第１装飾手段の装飾が視認されにくくなることを抑制できる。
【２０３６】
＜特別入賞装置５５０を一例とする発明の概念について＞
正面側に遊技領域を有する遊技盤と、その遊技盤に配設され、前記遊技領域を流下する遊技球の送球を案内する経路を有する経路ユニットと、を備える遊技機において、前記経路ユニットは、正面視における前記遊技盤に対して水平方向の一側に遊技球を送球する第１経路と、その第１経路から送球された遊技球を前記第１経路の案内方向と反対方向の水平方向の他側に送球する第２経路と、前記第１経路および第２経路の一側同士を連結する第３経路と、を備え、前記第３経路は、前記遊技盤に対して正面側または背面側の少なくとも一方に遊技球を送球する案内手段を前記遊技盤に対して正面側または背面側の少なくとも一方の内壁に備えることを特徴とする遊技機Ｋ１。
【２０３７】
従来より、正面側に遊技領域を有する遊技盤と、その遊技盤に配設され、遊技領域を流下する遊技球の送球を案内する経路を有する経路ユニットと、を備える遊技機が知られている（例えば、特開２０１５−１３１０４６号公報）。この遊技機によれば、経路ユニットに形成される案内経路に流入した遊技球を、その案内経路の経路に沿って案内する（転動させる）ことで、遊技球の転動（流下）に興趣を持たせることができる。
【２０３８】
しかしながら、上述した従来の遊技機では、経路ユニットの内部に所定の距離の遊技球の送球距離を確保するために、遊技盤に対して遊技球を一側に送球する第１経路と、その第１経路から送球された遊技球を遊技盤に対して他側に送球する第２経路と、第１経路および第２経路の一側同士を連結する第３経路と、を形成すると、第１経路を転動する遊技球の速度が第３経路との連通部分（第１経路の下流側端部）で最大とされるために、送球の方向が変化される第３経路の内壁に遊技球が衝突して、跳ね返りやすくなる。よって、第３経路の内壁に衝突した遊技球が第１経路に戻る、又は、第３経路の内部で第１経路の送球方向（正面視における水平方向）に揺れ動く（ぶれる）恐れがあった。従って、第１経路から第３経路に送球された遊技球が第３経路で揺れ動くために、第３経路に送球された遊技球を遊技者の視線が一定方向に追うことができなくなり、第３経路に送球された遊技球を遊技者が視認しにくいという問題点があった。
【２０３９】
なお、この場合、第３経路の経路を長くすることで、第１経路から送球される遊技球の送球方向を第２経路の転動方向にスムーズに切り替えて、第３経路を通過する遊技球が揺れ動くことを防止できるが、第３経路が長く形成されるので、その分、経路ユニット全体の大きさが大きくなり、遊技盤に経路ユニットを配設するスペースが確保できなくなる。
【２０４０】
これに対し、遊技機Ｋ１によれば、経路ユニットは、正面視における遊技盤に対して水平方向の一側に遊技球を送球する第１経路と、その第１経路から送球された遊技球を第１経路の案内方向と反対方向の水平方向の他側に送球する第２経路と、第１経路および第２経路の一側同士を連結する第３経路と、を備え、第３経路は、遊技盤に対して正面側または背面側の少なくとも一方に遊技球を送球する案内手段を遊技盤に対して正面側または背面側の少なくとも一方の内壁に備えるので、第３経路を通過する遊技球を正面側または背面側（正面視における遊技盤の前後方向）に移動させることができる。この正面側または背面側の遊技球の移動により第１経路を転動して加速した遊技球を第３経路で遅くすることができ、その分、第３経路の内壁に衝突した遊技球が第１経路に戻る、又は、第３経路で第１経路の送球方向（正面視における水平方向）に揺れ動く（ぶれる）ことを抑制できる。これにより、第３経路から送球される遊技球を遊技者の視線が一定方向に追うことができる。その結果、第３経路に送球された遊技球を遊技者に視認させやすくすることができる。
【２０４１】
また、正面視における遊技盤に対して遊技球が水平方向（正面視左右方向）に揺れ動く（ぶれる）ことを抑制できるので、その分、第１経路および第２経路を連結する第３経路分の経路を長くして遊技球が揺れ動くを抑制する必要がなくなり、第３経路の経路を短くすることができる。その結果、経路ユニットを遊技盤に対して所定の領域内に収めることができ、遊技盤に対する経路ユニットの配設スペースを確保できる。
【２０４２】
なお、遊技球を案内する案内手段としては、凹凸による遊技球の転動方向の切り替えや、経路の切り替え部分に変位部材を配設してその変位部材の変位により遊技球を第２経路に案内する方法が例示される。
【２０４３】
遊技機Ｋ１において、前記案内手段は、正面側または背面側のどちらか一方の内壁に凹設される凹部と、正面側または背面側のどちらか他方の内壁に突設される凸部とから構成され、前記凹部と前記凸部とが互いに対向する位置に形成されることを特徴とする遊技機Ｋ２。
【２０４４】
遊技機Ｋ２によれば、遊技機Ｋ１の奏する効果に加え、案内手段は、正面側または背面側のどちらか一方の内壁に凹設される凹部と、正面側または背面側のどちらか他方の内壁に突設される凸部とから構成され、前記凹部と前記凸部とが互いに対向する位置に形成されるので、第３経路の経路の途中で部分的に遊技球を変位させて、遊技球の送球速度を遅くすることができる。よって、第３経路の経路を短くすることができる。その結果、経路ユニットを遊技盤に対して所定の領域内に収めやすくすることができ、遊技盤に対する経路ユニットの配設スペースを確保できる。
【２０４５】
遊技機Ｋ２において、前記凸部の突設先端から前記第３経路の一方の内壁までの水平方向の離間寸法が、遊技球の直径よりも小さく設定されることを特徴とする遊技機Ｋ３。
【２０４６】
遊技機Ｋ３によれば、遊技機Ｋ２の奏する効果に加え、凸部の突設先端から第３経路の一方の内壁までの水平方向の離間寸法が、遊技球の直径よりも小さく設定されるので、第３経路を流下して案内手段に送球される遊技球を、案内手段の凸部に当接させやすくすることができる。これにより、第１経路を流下して第３経路に送球される遊技球を、凸部に当接させて、その転動速度を遅くしやすくできる。よって、第３経路の内壁に衝突した遊技球が第１経路に戻る、又は、第３経路で第３経路の送球方向と異なる方向に揺れ動くことを抑制できる。その結果、第３経路を通過する遊技球を遊技者に視認させやすくすることができる。
【２０４７】
遊技機Ｋ２又はＫ３において、前記凸部が、前記遊技盤に対して正面側の内壁に形成され、前記凹部が、前記遊技盤に対して背面側の内壁に形成されることを特徴とする遊技機Ｋ４。
【２０４８】
遊技機Ｋ４によれば、遊技機Ｋ２又はＫ３の奏する効果に加え、凸部が、遊技盤に対して正面側の内壁に形成され、凹部が、遊技盤に対して背面側の内壁に形成されるので、経路ユニットの正面側の板厚を薄くすることができる。よって、経路ユニットの正面を介して経路ユニットの内部を遊技者に視認させやすくすることができ、経路ユニットの内部を送球される遊技球を遊技者に視認させやすくすることができる。また、経路ユニットの正面側の内壁に凹部が形成されることをにより、経路ユニットの正面に案内手段が突出することを抑制できるので、その分、経路ユニットを遊技者側に配設して、経路ユニットを通過する遊技球を遊技者に視認させやすくすることができる。
【２０４９】
詳しく説明すると、凹部が正面側の内面に形成される場合には、経路ユニットの正面側の板厚を凹部の凹設深さよりも大きい板厚にする必要がある。従って、経路ユニットの正面側の板厚が大きくなる分、その背面側を送球される遊技球が遊技者に視認されにくくなる。また、凹部が正面側の内面に形成される場合に凹部の形状に沿って経路ユニットの正面側の板を湾曲させることも考えられるが、この場合には、正面側に湾曲される分、遊技領域の前面を形成するガラス板との間隔が必要となり、遊技盤全体を背面側に配置する必要がある。従って、遊技者から背面側に離れる分、経路ユニットを送球される遊技球が遊技者から視認しにくくなる。
【２０５０】
さらに、凹部が正面側の内面に形成される場合に凹部が形成される部分を開口することも考えられるが、この場合には、開口が形成される分、経路ユニットの剛性が低くなり、経路ユニットが破損しやすくなる。また、経路ユニットの正面に開口が形成されると、その開口を通過させて不正がされる恐れがある。
【２０５１】
これに対し、遊技機Ｋ４では、凹部を経路ユニットの背面側に形成し、凸部を経路ユニットの正面側に形成するので、経路ユニットの正面側全体の板厚が厚くなることを抑制して経路ユニットの内部を通過する遊技球を視認しやすくできると共に、経路ユニットの正面側に部分的に突出することを抑制して経路ユニットを遊技機の正面側に配設することで経路ユニットの内部を通過する遊技球を視認しやすくできる。
【２０５２】
遊技機Ｋ３又はＫ４において、前記凸部および凹部は、正面視において重力方向の断面が円弧状に形成され、その円弧の軸が同軸上に設定されることを特徴とする遊技機Ｋ５。
【２０５３】
遊技機Ｋ５によれば、遊技機Ｋ３又はＫ４において、凸部および凹部は、重力方向における断面が円弧状に形成され、その円弧の軸が同軸上に設定されるので、凸部と凹部との離間距離を一定にすることができる。これにより、凸部と凹部との離間距離が部分的に遊技球の直径よりも小さくなることを抑制でき、経路ユニット内部を通過する遊技球が、凸部と内壁との間に挟まることを抑制できる。
【２０５４】
遊技機Ｋ５において、前記凹部の上端は、正面視において前記第１経路を転動する遊技球の中心の転動軌跡の延長線に沿う位置に形成されることを特徴とする遊技機Ｋ６。
【２０５５】
遊技機Ｋ６によれば、凹部の上端は、正面視において第１経路を転動する遊技球の中心の転動軌跡の延長線に沿う位置に形成されるので、第１経路を転動する遊技球の転動速度が速い場合であっても、第１経路から第３経路に送球された遊技球の中心が凹部の上端よりも上方に送球されることを抑制できる。その結果、第１経路から第３経路に送球される遊技球を凹部の内側に送球することができる。
【２０５６】
遊技機Ｋ２からＫ６のいずれかにおいて、前記凹部は、正面視における前記第３経路の水平方向の両側面から遊技球の半径寸法よりも離間する位置に形成されることを特徴とする遊技機Ｋ７。
【２０５７】
遊技機Ｋ７によれば、遊技機Ｋ２からＫ６のいずれかの奏する効果に加え、凹部は、第３経路の正面視における水平方向の両側面から遊技球の半径寸法よりも離間する位置に形成されるので、凹部の内壁に沿って流下する遊技球が、経路ユニットの正面視における水平方向の両側面に衝突して凹部の内側で揺れることを抑制できる。その結果、凹部の内側に沿って送球される遊技球をスムーズに第２経路に送球することができる。
【２０５８】
遊技機Ｋ３からＫ７のいずれかにおいて、前記凹部は、正面視における前記第１経路の送球方向における断面が、前記第３経路の水平方向における中央部を中心とする断面円弧状に凹設され、前記凸部は、正面視における前記第１経路の送球方向における断面が、矩形状に突設されることを特徴とする遊技Ｋ８。
【２０５９】
遊技機Ｋ８によれば、遊技機Ｋ３からＫ７のいずれかの奏する効果に加え、凹部は、正面視における第１経路の送球方向における断面が、断面円弧状に凹設され、凸部は、正面視における第１経路の送球方向における断面が、矩形状に突設されるので、案内手段は、第１経路の送球方向の両端ほど、凹部と凸部との対向間の距離が狭くされる。従って、凹部の内側に送球された遊技球が、第１経路の送球方向に揺れ動きにくくすることができる。その結果、第３経路に送球された遊技球を遊技者に視認させやすくすることができる。
【２０６０】
遊技機Ｋ８において、前記凸部は、正面視において前記第２経路の遊技球の送球方向と反対方向の一方側に下降傾斜して延設されることを特徴とする遊技機Ｋ９。
【２０６１】
遊技機Ｋ９によれば、遊技機Ｋ８の奏する効果に加え、凸部は、正面視において第２経路の遊技球の送球方向と反対方向の一方側に下降傾斜して延設されるので、第３経路を流下する際に凸部に当接する遊技球を、凸部の傾斜方向に案内できる。これにより、凸部に当接した遊技球を第２経路から離間する側の凹部の内壁に沿って案内することができる。その結果、第３経路から第２経路に流入する遊技球を第２経路の遊技球の送球方向に転動させることができ、第３経路から第２経路に遊技球をスムーズに流入させることができる。
【２０６２】
遊技機Ｋ１からＫ９のいずれかにおいて、前記第１経路は、前記第３経路との連結部分に第２案内手段を備え、その第２案内手段より、前記第１経路から送球される遊技球を前記案内手段に案内可能とされることを特徴とする遊技機Ｋ１０。
【２０６３】
遊技機Ｋ１０によれば、遊技機Ｋ１からＫ９のいずれかの奏する効果に加え、第１経路は、第３経路との連結部分に第２案内手段を備え、その第２案内手段より、第１経路から送球される遊技球を案内手段に案内可能とされるので、第１経路から第３経路に送球される遊技球を第３経路の案内手段に送球しやすくできる。これにより、第１経路から第３経路への遊技球の送球をスムーズにすることができる。よって、第１経路から送球される遊技球を案内手段に送球しやすくできる分、第３経路から第２経路への遊技球の流入をスムーズにすることができる。その結果、経路ユニット全体の遊技球の送球を安定させることができる。
【２０６４】
遊技機Ｋ１０において、前記第２案内手段は、前記第１経路の正面側または背面側の一方に突設される第２凸部と、その第２凸部と対向する位置に凹設される第２凹部とから構成され、前記第２凹部は、正面視において前記第１経路の上流側に向かって遊技球の流下方向と直交する方向の幅寸法が大きく設定されることを特徴とする遊技機Ｋ１１。
【２０６５】
遊技機Ｋ１１によれば、遊技機Ｋ１０の奏する効果に加え、第２案内手段は、第１経路の正面側または背面側の一方に突設される第２凸部と、その第２凸部と対向する位置に凹設される第２凹部とから構成され、第２凹部は、正面視において第１経路の上流側に向かって遊技球の流下方向と直交する方向の幅寸法が大きく設定されるので、第１経路を送球される遊技球を第２凹部に受け入れやすくすることができる。これにより、第１経路から第３経路への遊技球の送球をスムーズにすることができる。よって、第１経路から送球される遊技球を案内手段に送球しやすくできる分、第３経路から第２経路への遊技球の流入をスムーズにすることができる。その結果、経路ユニット全体の遊技球の送球を安定させることができる。
【２０６６】
遊技機Ｋ１０又はＫ１１において、前記第２凹部は、前記第１経路の下流方向の端部が、前記第１経路の遊技球の転動面よりも下流に位置することを特徴とする遊技機Ｋ１２。
【２０６７】
遊技機Ｋ１２によれば、遊技機Ｋ１０またはＫ１１の奏する効果に加え、第２凹部は、第１経路の下流方向の端部が、第１経路の遊技球の転動面よりも下流に位置するので、第２凹部の内壁に沿って第１経路から第３経路に流入する遊技球を、第１経路から遠方側で第３経路に流入させることができる。その結果、第１経路から第３経路に流入する遊技球を凹部の内側に送球しやすくでき、第３経路から第２経路への遊技球の流入をスムーズにしやすくできる。
【２０６８】
＜特別入賞装置５５０を一例とする発明の概念について＞
正面側に遊技領域を有する遊技盤と、その遊技盤の正面に配設され遊技領域を流下する遊技球の流下方向を変更する流下方向変更手段と、を備える遊技機において、前記流下方向変更手段は、前記遊技盤の正面に配設される第１部材と、その第１部材の正面側に所定の間隔を隔てて配設される第２部材と、前記第１部材または第２部材の少なくとも一方を変位させる調整手段と、を備え、前記調整手段により、前記第１部材および第２部材の対向間の間隔を変更して、前記第１部材および第２部材の対向間を流下する遊技球の流下方向を調整可能であることを特徴とする遊技機Ｌ１。
【２０６９】
従来より、正面側に遊技領域を有する遊技盤と、その遊技盤の正面に打ち付けられる釘と、を備える遊技機が知られている（例えば、特開平１１−１９７３１１号公報）。この遊技機によれば、遊技盤に打ち付けられる釘の角度を調整して（釘を曲げて）遊技領域を流下する遊技球の流下方向を調整することができる。しかしながら、釘の角度を変更して、遊技球の流下方向を変更するものでは、遊技者から釘の角度が視認されてしまい、遊技者が不利（有利になる流路に遊技球が流下されにくい釘の角度）であると認識した場合に、遊技者がその不利と判断した遊技機で遊技しなくなり、遊技機の稼動率が低下するという問題点があった。
【２０７０】
これに対し、遊技機Ｌ１によれば、流下方向変更手段は、遊技盤の正面に配設される第１部材と、その第１部材の正面側に所定の間隔を隔てて配設される第２部材と、第１部材または第２部材の少なくとも一方を変位させる調整手段と、を備え、調整手段により、第１部材および第２部材の対向間の間隔を変更して、第１部材および第２部材の対向間を流下する遊技球の流下方向を調整可能であるので、遊技盤の正面視に対して前後の方向の距離で遊技球の流下方向を変更（調整）できる。したがって、遊技盤の正面視に対して、水平方向の離間距離で遊技球の流下方向を変更する釘よりも、遊技者が流下方向変更手段を視認して、不利または有利と判断することを抑制できる。その結果、遊技機の稼働率を向上できる。
【２０７１】
遊技機Ｌ１において、前記第２部材は、前記遊技盤に固定され、前記調整手段により、前記第１部材の位置が変位されることを特徴とする遊技機Ｌ２。
【２０７２】
遊技機Ｌ２によれば、遊技機Ｌ１の奏する効果に加え、第２部材は、遊技盤に固定され、調整手段により、第１部材の位置が変位されるので、正面側に配設される第２部材により背面側に配設される第１部材の少なくとも一部を隠して、第１部材の位置を遊技者から視認しにくくすることができる。従って、第１部材の位置が変位された場合に、遊技者にその位置の変位を認識されにくくすることができる。よって、第１部材および第２部材の対向間の間隔が遊技者に把握されることを抑制できる。その結果、遊技者が、第１部材および第２部材の対向間の間隔から不利と判断して、その遊技機で遊技を行わなくなることを抑制できるので、遊技機の稼働率を向上できる。
【２０７３】
遊技機Ｌ２において、前記遊技盤は、前記第１部材に対応する位置に開口する第１開口部を備え、前記遊技盤の背面側から前記第１開口部を挿通する締結部材を前記第１部材に締結することで、前記第１部材が前記遊技盤に配設されることを特徴とする遊技機Ｌ３。
【２０７４】
遊技機Ｌ３によれば、遊技機Ｌ２の奏する効果に加え、遊技盤は、第１部材に対応する位置に開口する第１開口部を備え、遊技盤の背面側から第１開口部を挿通する締結部材を第１部材に締結することで、第１部材が遊技盤に配設されるので、第１部材を締結する締結部分を遊技盤の正面側に形成する必要がなくなり、その分、正面視における第１部材の外形を小さくすることができる。よって、遊技盤の正面に他の部材を配設するスペースを確保しやすくできる。
【２０７５】
また、締結部材は、遊技盤の背面側から締結されるので、流下方向変更手段および遊技盤が組み上げられた状態において、遊技盤の正面側から締結部材へのアクセスを困難にすることができる。その結果、締結部材が不正に操作されて、第１部材の位置が不正に変更されることを抑制できる。
【２０７６】
遊技機Ｌ３において、前記第１部材は、前記遊技盤側に突出して、前記第１開口部に挿入される突出部を備え、前記突出部の先端に前記締結部材が締結されることで、前記第１部材が前記遊技盤に配設されることを特徴とする遊技機Ｌ４。
【２０７７】
遊技機Ｌ４によれば、遊技機Ｌ３の奏する効果に加え、第１部材は、遊技盤側に突出して、第１開口部に挿入される突出部を備え、突出部の先端に締結部材が締結されることで、第１部材が遊技盤に配設されるので、締結部材の締結部分を第１開口部の内側に収容することができる。よって、第１部材の正面側に締結部材との締結部分が張り出すことを抑制できるので、第１部材と第２部材との対向間の空間を確保することができる。
【２０７８】
遊技機Ｌ４において、前記第１部材は、前記調整手段により、前記遊技盤の正面と平行な平面上をスライド変位可能とされ、前記第１開口部は、前記突出部の変位領域と同一の大きさに開口されることを特徴とする遊技機Ｌ５。
【２０７９】
遊技機Ｌ５によれば、遊技機Ｌ４の奏する効果に加え、第１開口部は、突出部の変位領域と同一に大きさに開口されるので、第１部材の位置を変位させる際に、突出部を第１開口部に沿って変位させることができる。よって、第１部材の位置を変位させる際に、第１部材が、変位方向（調整手段により変位される方向）以外の方向に変位されることを抑制できる。その結果、作業者が第１部材の位置を調整する際の作業を簡易にできる。
【２０８０】
遊技機Ｌ３からＬ５のいずれかにおいて、前記遊技盤は、前記第１開口部と異なる位置に開口する第２開口部を備えることを特徴とする遊技機Ｌ６。
【２０８１】
遊技機Ｌ６によれば、遊技機Ｌ３からＬ５のいずれかの奏する効果に加え、遊技盤は、第１開口部と異なる位置に開口する第２開口部を備えるので、第２開口部を介して遊技盤の背面側に締結された締結部材を操作することができる。その結果、作業者が調整手段を操作する際の作業工程を簡易にすることができる。
【２０８２】
即ち、遊技盤の背面側には、役物装置やその役物装置を収容するケース部材が配設されるため、締結部材を遊技盤の背面側から操作する場合には、役物装置やその役物装置を収容するケース部材を遊技盤から取り外す必要があるところ、かかる第２開口部により、遊技盤の正面側から締結部材を操作することができるので、作業者が遊技盤の背面側に配設される役物装置やその役物装置を収容するケース部材を取り外す必要がなくなるので、作業者の作業工程を簡易にすることができる。
【２０８３】
遊技機Ｌ１において、前記調整手段により、前記第１部材に対して前記第２部材の位置が、正面視における前後方向に変更されることを特徴とする遊技機Ｌ７。
【２０８４】
遊技機Ｌ７によれば、遊技機Ｌ１の奏する効果に加え、第１部材に対して第２部材の位置が、正面視における前後方向に変更されるので、第１部材に対して第２部材の位置が正面視おける左右または上下方向に変更される場合に比べて、正面視における第２部材の位置が変更されることを抑制できる。よって、正面視おける第２部材の位置の変更により遊技者が有利または不利と判断することを抑制できる。その結果、遊技機の稼働率を向上できる。
【２０８５】
遊技機Ｌ２からＬ７のいずれかにおいて、前記第２部材は、非光透過の材料から形成され、正面視における外形が前記第１部材よりも大きく形成され、前記第１部材は、正面視において前記第２部材に覆設されることを特徴とする遊技機Ｌ８。
【２０８６】
遊技機Ｌ８によれば、遊技機Ｌ２からＬ７のいずれかの奏する効果に加え、第２部材は、非光透過の材料から形成され、正面視における外形が第１部材よりも大きく形成され、第１部材は、正面視において第２部材に覆設されるので、正面視において第１部材を第２部材で隠すことができ、遊技者から第１部材を認識しにくくすることができる。その結果、第１部材および第２部材の対向間の間隔が遊技者に把握されることを抑制でき、遊技機の稼働率を向上できる。
【２０８７】
遊技機Ｌ１からＬ８のいずれかにおいて、前記第２部材は、非光透過の材料から形成され、前記第１部材または第２部材の少なくとも一方は、前記第１部材または第２部材の他方に突出する突設部を備えることを特徴とする遊技機Ｌ９。
【２０８８】
遊技機Ｌ９によれば、遊技機Ｌ１からＬ８のいずれかの奏する効果に加え、第２部材は、非光透過の材料から形成され、第１部材または第２部材の少なくとも一方は、第１部材または第２部材の他方に突出する突設部を備えるので、第１部材および第２部材の対向間に送球された遊技球を突設部に当接させて、その送球方向を変更することができる。よって、第１部材および第２部材の対向間の間隔を認識することで、遊技者が有利または不利と判断することを抑制できる。その結果、遊技機の稼働率を向上できる。
【２０８９】
遊技機Ｌ１からＬ９のいずれかにおいて、前記調整手段は、前記第１部材または第２部材の一方に対して、前記第１部材または第２部材の他方の位置を段階的に調整可能な段階調整手段を備えることを特徴とする遊技機Ｌ１０。
【２０９０】
遊技機Ｌ１０によれば、遊技機Ｌ１からＬ９のいずれかの奏する効果に加え、調整手段は、第１部材または第２部材の一方に対して、第１部材または第２部材の他方の位置を段階的に調整可能な段階調整手段を備えるので、第１部材または第２部材の位置を変更する作業者は、その位置の変更を段階的に調整することができる。その結果、第１部材または第２部材の調整位置に誤差が生じることを抑制できる。よって、第１部材または第２部材の位置調整を簡易にすることができる。
【２０９１】
なお、第１部材および第２部材の位置を段階的に調整する手段としては、第１部材または第２部材の一方に凹設される複数の溝に対して、第１部材または第２部材に突設される凸部の挿入位置を変更することで、第１部材または第２部材の位置を変更する形態や、第１部材または遊技盤の一方に凹設される複数の溝に、第１部材または遊技盤の他方に突設される凸部の挿入位置を変更することで、第１部材の位置を変更する形態が例示される。
【２０９２】
＜特別入賞装置５５０を一例とする発明の概念について＞
遊技球が流下される遊技領域と、その遊技領域を流下する遊技球の送球を案内する案内経路を複数有し、前記遊技領域に配設される経路ユニットと、を備える遊技機において、前記経路ユニットは、光を透過可能な材料から形成されて前記遊技領域の正面側に配設される第１の案内経路と、その第１の案内経路の背面側に配設される第２の案内経路と、を備え、前記第１の案内経路は、遊技球を入球可能な第１の入賞口を備え、前記第２の案内経路は、遊技球を入球可能な第２の入賞口を備え、前記第１の入賞口に入球する遊技球に、前記第２の入賞口に入球する遊技球よりも高い遊技価値が付与されることを特徴とする遊技機Ｍ１。
【２０９３】
従来より、遊技球を流下させる複数の案内経路を備える経路ユニットを遊技領域に配設して、そのユニット内部を流下する遊技球を遊技者に視認させて遊技者の興趣を向上させる遊技機がある（例えば、特開２０１５−１３１０４６号公報）。
【２０９４】
しかしながら、従来の遊技機では、案内経路を流下する遊技球を遊技者に視認させて遊技者の興趣を向上するため、それぞれの案内経路の取り回しが複雑に形成される傾向があった。その為、それぞれの案内経路のうちのどの経路を遊技球が流下しているのか遊技者に判断させにくくなる。よって、案内経路を流下する遊技球の遊技価値が異なる場合に、有利（高い遊技価値が付与される）または不利（低い遊技価値が付与される）な経路を通過しているか、を遊技者が判断しにくくなり、経路ユニットを流下する遊技球により遊技者の興趣を十分に向上することができないという問題点があった。
【２０９５】
これに対し、遊技機Ｍ１によれば、経路ユニットは、光を透過可能な材料から形成されて遊技領域の正面側に配設される第１の案内経路と、その第１の案内経路の背面側に配設される第２の案内経路と、を備え、第１の案内経路は、遊技球を入球可能な第１の入賞口を備え、第２の案内経路は、遊技球を入球可能な第２の入賞口を備え、第１の入賞口に入球する遊技球に、第２の入賞口に入球する遊技球よりも高い遊技価値が付与されるので、第１の案内経路を流下する遊技球を遊技者に注視させやすくすることができる。また、第１および第２の案内経路に同じタイミングで遊技球が流下された場合には、遊技価値の低い第２の入賞口を備える第２の案内経路が第１の案内経路の背面側に形成されるので、遊技価値の高い第１の入賞口を備える第１の案内経路を流下する遊技球を遊技者に視認させやすくすることができる。その結果、高い遊技価値が付与される遊技球を遊技者に視認させることができるので、遊技者の興趣を向上させやすくできる。
【２０９６】
なお、所定の遊技価値とは、例えば、遊技球が第１又は第２の入賞口に入球されることで、その特典として遊技者に払い出される遊技球を意味する。
【２０９７】
遊技機Ｍ１において、前記第１の案内経路は、正面視において水平方向の一側に遊技球を送球する第１経路と、その第１経路から送球された遊技球を前記第１経路の遊技球の案内方向と反対側の水平方向の他側に遊技球を送球する第２経路と、前記第１経路および第２経路の一側同士を重力方向に連結する連結経路と、を備え、前記連結経路は、前記遊技領域の背面側に向かって半円弧形状に湾曲して形成されることを特徴とする遊技機Ｍ２。
【２０９８】
遊技機Ｍ２によれば、遊技機Ｍ１の奏する効果に加え、前記第１の案内経路は、正面視において水平方向の一側に遊技球を送球する第１経路と、その第１経路から送球された遊技球を前記第１経路の遊技球の案内方向と反対側の水平方向の他側に遊技球を送球する第２経路と、前記第１経路および第２経路の一側同士を重力方向に連結する連結経路と、を備え、前記連結経路は、前記遊技領域の背面側に向かって半円弧形状に湾曲して形成されるので、第１経路と第２経路とが最短距離で直接連結される場合よりも、送球経路の曲がり部分を多くすることができる。これにより、遊技球の流下速度を曲がり部分で段階的に遅くすることができ、連結経路の内壁に遊技球が衝突して連結経路内で揺れ動く（ぶれる）ことを抑制できる。その結果、遊技球を第１経路から第２経路にスムーズに流入させることができるので、第１経路から第２経路への遊技球の送球を遊技者に視認させやすくできる。
【２０９９】
また、遊技球が連結経路の内壁と衝突して揺れ動く（ぶれる）ことを防止するために、連結経路の内部空間を第１経路の送球方向に大きくして、連結経路の内壁に遊技球が繰り返し衝突することを抑制することも考えられるが、この場合には、連結経路の内部空間が第１経路の送球方向に大きくされる分、連結経路が正面視における水平方向に突出される。従って、正面視における経路ユニットが水平方向に大きくされるので、経路ユニットを正面視において所定の範囲内に収めることが困難とされる。
【２１００】
これに対して、遊技機Ｍ２では、連結経路が背面側に向かって半円弧状に湾曲されるので、正面視における経路ユニットの外形を所定の範囲内に収めることができる。よって、第１の案内経路を流下する遊技球を遊技者が視認する場合に、遊技者が視認する範囲を所定の範囲内（経路ユニットの外形）に収めることができる。その結果、経路ユニットを流下する遊技球を遊技者に視認させやすくすることができる。
【２１０１】
遊技機Ｍ２において、前記経路ユニットは、正面視において前記遊技領域の水平方向の他側に配設され、前記連結経路は、正面視において前記経路ユニットの水平方向の一側に形成されることを特徴とする遊技機Ｍ３。
【２１０２】
遊技機Ｍ３によれば、遊技機Ｍ２の奏する効果に加え、経路ユニットは、正面視において遊技領域の水平方向の他側に配設され、連結経路は、正面視において経路ユニットの水平方向の一側に形成されるので、連結経路を遊技盤の正面に位置する遊技者に近い位置に形成できる。よって、連結経路を通過する遊技球を遊技者に視認させやすくすることができる。その結果、遊技球が連結経路により背面側に送球されたとしても、連結経路を通過する遊技球を遊技者に視認させやすくすることができる。
【２１０３】
遊技機Ｍ２又はＭ３において、前記第１の入賞口は、正面視において前記第１経路および第２経路の間に配設されることを特徴とする遊技機Ｍ４。
【２１０４】
遊技機Ｍ４によれば、遊技機Ｍ２又はＭ３の奏する効果に加え、前記第１の入賞口は、正面視において第１経路および第２経路の間に配設されるので、第１経路と第２経路とを形成したデッドスペースを利用して、第１の入賞口を第１の案内経路に形成できる。これにより、正面視における経路ユニットの外形が大きくなることを抑制できる。その結果、遊技者が経路ユニットを視認する範囲を小さくすることができる。その結果、遊技者に経路ユニットを流下する遊技球を視認させやすくすることができる。
【２１０５】
遊技機Ｍ２から遊技機Ｍ４のいずれかにおいて、前記連結経路は、前記第１経路および第２経路との連結部分の２箇所に遊技球を入球可能な第３の入賞口と、それら第３の入賞口を閉鎖または開放する位置に変位可能な変位部材と、を備え、前記第３の入賞口に入球される遊技球に、前記第１の入賞口に入球する遊技球と同一の遊技価値が付与されることを特徴とする遊技機Ｍ５。
【２１０６】
遊技機Ｍ５によれば、遊技機Ｍ２からＭ４の奏する効果に加え、連結経路は、第１経路および第２経路との連結部分の２箇所に遊技球を入球可能な第３の入賞口と、それら第３の入賞口を閉鎖または開放する位置に変位可能な変位部材と、を備え、第３の入賞口に入球される遊技球に、第１の入賞口に入球する遊技球と同一の遊技価値が付与されるので、第１経路から連結経路に送球される遊技球を２箇所の第３の入賞口のうちのどちらかに入球させやすくすることができ、連結経路を流下する遊技球により遊技者に興趣を与えやすくできる。
【２１０７】
即ち、連結経路および第１経路の連結部分に形成される上流側の第３の入賞口と、連結経路および第２経路の連結部分に形成される下流側の第３の入賞口と、の間に連結経路を配設することができるので、変位部材が第３の入賞口を閉鎖または解放する位置に所定のタイミングで繰り返し動作される場合に、第３の入賞口が変位部材により閉鎖された際に第１経路から連結経路に送球された遊技球を、背面側に湾曲する連結経路を流下させることで第３の入賞口が解放されるまでの時間を確保して、下流側の第３の入賞口に流入させることができる。その結果、連結経路に送球される遊技球を第３の入賞口に流入させやすくできるので、連結経路を流下する遊技球により遊技者に興趣を与えやすくできる。
【２１０８】
また、２箇所の第３の入賞口は、それぞれ連結経路の上流側と下流側の端部（第１経路と第２経路との連結部分）に形成されるので、第３の入賞口に入球可能な時間を長くすることができる。よって、遊技者に興趣を与える時間を長くすることができ、遊技者の興趣を高めやすくできる。
【２１０９】
遊技機Ｍ２からＭ５のいずれかにおいて、前記連結経路の外側に、遊技球の通過を検出する検出手段が配設されることを特徴とする遊技機Ｍ６。
【２１１０】
遊技機Ｍ６によれば、遊技機Ｍ２から遊技機Ｍ５のいずれかの奏する効果に加え、連結経路に、遊技球の通過を検出する検出手段が配設されるので、遊技球が連結経路で詰まった場合に、検出手段の検出が継続されることで、遊技機にエラーを検知させることができる。また、検出手段は、連結経路の外側に配設されるので、連結経路内に、検出手段が配設される場合に比べて、検出手段に遊技球が引っかかることを抑制でき、その分、遊技球が連結経路で詰まることを抑制できる。
【２１１１】
さらに、遊技球の転動が遅くされる連結経路の外側に検出手段が配設されるので、連結経路を通過する遊技球の数を正確に検出しやすくできる。従って、検出手段により検出される球数が第１の入賞口または第３の入賞口に入賞する球数よりも多い場合に、不正が行われていることを遊技機に認識させることができる。その結果、不正が行われていることを警告音や異常点灯等により報知することで、不正が継続されることを抑制できる。
【２１１２】
遊技機Ｍ６において、前記連結経路は、正面視における内壁の対向間寸法が、遊技球の直径よりも大きく設定され、遊技球の送球方向に対して直交する方向の前記第１経路の内壁の対向間寸法よりも小さく設定されることを特徴とする遊技機Ｍ７。
【２１１３】
遊技機Ｍ７によれば、遊技機Ｍ６の奏する効果に加え、連結経路は、正面視における内壁の対向間寸法が、遊技球の直径よりも大きく設定され、遊技球の送球方向に対して直交する方向の第１経路の内壁の対向間寸法よりも小さく設定されるので、所定の寸法以上の直径（規定よりも大きい直径）の遊技球が送球される場合に、その遊技球を連結経路に留まらせる（詰まらせる）ことができる。その結果、規定よりも大きい直径の遊技球が経路ユニットを流下することを抑制できる。
【２１１４】
また、連結経路に、遊技球の通過を検出する検出手段が配設されるので、規定よりも大きい直径の遊技球が、連結経路に留まった（詰まった）場合に、検出手段により、遊技機にエラーを検知させることができる。
【２１１５】
遊技機Ｍ６又はＭ７において、前記連結経路は、背面側に向かって半円弧状に湾曲する経路の径方向外側の側壁に、遊技球の直径よりも小さい所定の値で開口する開口部が形成されることを特徴とする遊技機Ｍ７。
【２１１６】
遊技機Ｍ８によれば、遊技機Ｍ６又はＭ７の奏する効果に加え、連結経路は、背面側に向かって半円弧状に湾曲する経路の径方向外側の側壁に、遊技球の直径よりも小さい所定の値で開口する開口部が形成されるので、所定の寸法以下の直径（規定よりも小さい直径）の遊技球が送球される場合に、その遊技球を開口部の開口から連結経路の外側に排出することができる。その結果、規定よりも小さい直径の遊技球が経路ユニットを流下することを抑制できる。
【２１１７】
なお、開口部は、連結経路を流下する遊技球の転動面となる連結経路の径方向外側の側壁に形成されるので、連結経路を流下する遊技球が規定よりも小さい直径の場合にその遊技球を排出しやすくできる。
【２１１８】
遊技機Ｍ８において、前記連結経路の径方向外側から突設されて前記開口部と連通する箱状に形成される収容部を備え、前記収容部は、遊技球を収容可能な大きさに設定され、前記検出手段の検出範囲に形成されることを特徴とする遊技機Ｍ９。
【２１１９】
遊技機Ｍ９によれば、遊技機Ｍ８の奏する効果に加え、連結経路の径方向外側から突設されて開口部と連通する箱状に形成される収容部を備え、収容部は、内側に遊技球を収容可能な大きさに形成され、検出手段の検出範囲に形成されるので、開口部の開口から連結経路の外側に排出された所定の寸法以下の直径（規定よりも小さい直径）の遊技球を、収容部の内側に貯留することができる。また、収容部は、検出手段の検出範囲に形成されるので、収容部の内側に貯留された遊技球を検出手段により検出することができる。その結果、収容部の内側に遊技球が貯留された場合に、検出手段により、遊技機にエラーを検知させることができる。
【２１２０】
遊技機Ｍ１から遊技機Ｍ９のいずれかにおいて、前記第１の案内経路の遊技球の流入口と、前記第２の案内経路の遊技球の流入口とが、正面視における水平方向に隣り合う位置に形成されることを特徴とする遊技機Ｍ１０。
【２１２１】
遊技機Ｍ１０によれば、遊技機Ｍ１から遊技機Ｍ９のいずれかの奏する効果に加え、第１の案内経路の遊技球の流入口と、第２の案内経路の遊技球の流入口とが、正面視における水平方向に隣り合う位置に形成されるので、遊技盤の遊技領域を流下する遊技球が第１の案内経路または第２の案内経路のどちらに流入するのかを流入する直前まで遊技者に把握されにくくすることができる。その結果、遊技領域を流下して経路ユニットに送球される遊技球を遊技者に注視させやすくできる。その結果、遊技者に興趣を与えやすくできる。
【２１２２】
＜下変位ユニット４００を一例とする発明の概念について＞
正面側に遊技領域を有するベース部材と、そのベース部材の正面側に配設され、前記遊技領域を流下する遊技球を送球可能な空間として形成される送球経路を有する第１部材と、を備える遊技機において、前記第１部材は、前記ベース部材の背面側から締結される固定手段により、前記ベース部材に対し背面側に付勢された状態で前記ベース部材に配設されることを特徴とする遊技機Ｎ１。
【２１２３】
従来より、正面側に遊技領域を有するベース部材と、そのベース部材の正面側に配設され、遊技領域を流下する遊技球を送球可能な空間として形成される送球経路を有する第１部材と、を備える遊技機がある（例えば、特開２０１５−１３１０４６号公報）。この遊技機によれば、第１部材は、ベース部材の正面と平行な平面上に延設される延設部をベース部材側の側面（ベース部材と当接部分）に備え、その延設部に穿設される開口に挿通されたネジをベース部材に螺合することで、ベース部材の正面に密着した状態で配設される。
【２１２４】
しかしながら、従来の遊技機では、ベース部材の正面に密着した状態で第１部材を配設するために、第１部材の正面側から挿通したネジをベース部材に締結させることが必須であり、ネジを挿通するための開口を第１部材に形成する必要がある。ここで、開口を遊技球の送球の邪魔にならない位置に形成するには、遊技球の送球空間の外側に開口を形成する必要があり、開口が形成される延設部を送球空間の外側に形成する必要がある。そのため、第１部材の外縁に延設部が形成される分、第１部材の外形に対して、送球経路として利用できる領域が小さくなり、第１部材の送球経路を十分に大きくすることができないという問題点があった。
【２１２５】
これに対し、遊技機Ｎ１によれば、第１部材は、ベース部材の背面側から締結される固定手段により、ベース部材に対し背面側に付勢された状態でベース部材に配設されるので、第１部材に作用する背面側への付勢力により、第１部材とベース部材とを密着した状態で配設することができる。また、第１部材は、ベース部材の背面側から挿通される固定手段によりベース部材に配設されるので、第１部材の正面側にベース部材との締結代（固定手段が挿通される開口が形成される延設部）を形成する必要がなくなる。よって、正面視における第１部材の外形に対して、全域を送球経路として利用できる。その結果、第１部材の送球経路を大きくすることができる。
【２１２６】
また、ベース部材と第１部材との締結部分が、正面側に露出されないので、不正によりベース部材と第１部材との締結部分が外されることを抑制できると共に、締結部分が遊技者に視認されることで遊技者の興趣が低下することを抑制できる。
【２１２７】
遊技機Ｎ１において、前記ベース部材を介して前記第１部材の背面側に配設される第２部材を備え、前記第２部材は、その第２部材の背面側から前記第１部材側に挿通されて前記第１部材に固定される前記固定手段により前記第１部材に固定され、前記第１部材と所定の隙間を有した状態で前記ベース部材に配設されることを特徴とする遊技機Ｎ２。
【２１２８】
遊技機Ｎ２によれば、遊技機Ｎ１の奏する効果に加え、ベース部材を介して第１部材の背面側に配設される第２部材を備え、第２部材は、その第２部材の背面側から第１部材側に挿通されて第１部材に固定される固定手段により第１部材に固定され、第１部材と所定の隙間を有した状態でベース部材に配設されるので、第１部材と第２部材とを締結する際に、その所定の隙間の分、第１部材に背面側に付勢される力を作用させることができる。また、第２部材には、正面側に付勢される力を作用させることができるので、ベース部材を第１部材と第２部材とで挟持することができる。従って、第１部材と第２部材との挟持する力により、第１部材と第２部材とがベース部材から位置ずれしにくくなるので、第１部材または第２部材をベース部材に締結する必要がなくなり、その分、第２部材の締結を簡易にできる。
【２１２９】
なお、第１部材と第２部材との所定の隙間は、０よりも大きい値であって、正面視におけるベース部材の前後方向の幅寸法よりも小さい値に設定される。これにより、第１部材と第２部材とを締結した場合に、その隙間により第１部材と第２部材との両者に互いに引き合う力を作用させることができる。
【２１３０】
遊技機Ｎ１またはＮ２において、前記ベース部材は、前記第１部材と対向する位置に開口形成される第１開口部を備え、前記第１部材は、前記第１開口部の内側に突出する突出部を備え、その突出部の先端に前記固定手段が締結されることで、前記第１部材が前記ベース部材に配設されることを特徴とする遊技機Ｎ３。
【２１３１】
遊技機Ｎ３によれば、遊技機Ｎ１またはＮ２の奏する効果に加え、ベース部材は、第１部材と対向する位置に開口形成される第１開口部を備え、第１部材は、第１開口部の内側に突出する突出部を備え、その突出部の先端に固定手段が締結されることで、第１部材がベース部材に配設されるので、固定手段の締結部分を第１開口部の内側に配置できる。これにより、固定手段の締結部分が、ベース部材の正面側に配置されることを抑制でき、固定手段の締結部分が第１部材の送球空間に形成されることを抑制できる。その結果、第１部材の送球空間の大きさを確保することができる。
【２１３２】
また、突出部により固定手段の締結代（挿入深さ）を確保することができるので、固定手段の締結が第１部材から外れることを抑制できる。その結果、第１部材に作用する背面側への付勢力を大きくしやすくできる。
【２１３３】
遊技機Ｎ１において、前記ベース部材を介して前記第１部材の背面側に配設される第２部材と、前記第１部材と前記第２部材との対向間に配設される第３部材と、を備え、前記ベース部材は、前記第１部材と対向する位置に開口形成される第１開口部を備え、前記第３部材は、正面視における前後方向の寸法が前記ベース部材の正面視における前後方向の寸法よりも小さく設定され、前記第１開口部の内側に配設され、前記第１部材は、前記第３部材の正面側に密着した状態で配設され、前記第２部材は、前記ベース部材の背面側から挿通される前記固定手段により前記第３部材と所定の隙間を有した状態で前記第３部材の背面側に締結されることを特徴とする遊技機Ｎ４。
【２１３４】
遊技機Ｎ４によれば、遊技機Ｎ１の奏する効果に加え、ベース部材を介して第１部材の背面側に配設される第２部材と、第１部材と第２部材との対向間に配設される第３部材と、を備え、ベース部材は、第１部材と対向する位置に開口形成される第１開口部を備え、第３部材は、正面視における前後方向の寸法がベース部材の正面視における前後方向の寸法よりも小さく設定され、第１開口部の内側に配設され、第１部材は、第３部材の正面側に密着した状態で配設され、第２部材は、ベース部材の背面側から挿通される固定手段により第３部材と所定の隙間を有した状態で第３部材の背面側に締結されるので、第１部材に第３部材を介して背面側への付勢力を作用させることができる。よって、第２部材と第３部材とを固定手段で締結する際に作用する背面側への付勢力を、第３部材にも作用させることができる。その結果、第１部材のベース部材との当接部分に作用する付勢力を小さくすることができ、第１部材が破損することを抑制できる。
【２１３５】
また、第１部材の背面側に第３部材が密着することで、第１部材全体の剛性を高めることができる。よって、第１部材に作用する背面側への付勢力により、第１部材の全体が弾性変形して、第１部材に形成される遊技球の送球経路が変形することを抑制できる。その結果、第１部材の遊技球を送球を安定できる。
【２１３６】
遊技機Ｎ４において、前記第３部材は、前記ベース部材に開口形成される前記第２開口部に沿って前記ベース部材の正面側に配設される枠状部材の一部であることを特徴とする遊技機Ｎ５。
【２１３７】
遊技機Ｎ５によれば、遊技機Ｎ４の奏する効果に加え、第３部材は、ベース部材に開口される第２開口部に沿ってベース部材の正面側に配設される枠状部材の一部であるので、第３部材に作用する付勢力を枠状部材を背面側に付勢する力として利用できる。従って、枠状部材をベース部材に密着した状態で配設しやすくできる。
【２１３８】
また、第２部材と第３部材とを固定手段で締結する際に作用する背面側への付勢力を、枠状部材とベース部材との当接面に作用させることができるので、第１部材のベース部材との当接部分に作用する力を小さくすることができ、第１部材が破損することを抑制できる。
【２１３９】
遊技機Ｎ４またはＮ５において、前記第１部材は、その第１部材の遊技球の送球空間を変位可能な変位部材と、前記第１部材の背面側に配設され、前記変位部材を駆動する駆動手段と、を備え、前記第３部材は、前記駆動手段を挿入可能な大きさに開口される第３開口部を備え、その第３開口部の内側に前記駆動手段を挿入した状態で前記第１部材の背面側に配設されることを特徴とする遊技機。
【２１４０】
遊技機Ｎ６によれば、遊技機Ｎ４またはＮ５の奏する効果に加え、第１部材は、その第１部材の遊技球の送球空間を変位可能な変位部材と、第１部材の背面側に配設され、変位部材を駆動する駆動手段と、を備え、第３部材は、駆動手段を挿入可能な大きさに開口される第３開口部を備え、その第３開口部の内側に駆動手段を挿入した状態で第１部材の背面側に配設されるので、駆動手段を第３部材で覆うことができる。これにより、遊技機の外側から挿入される針金やピアノ線等の不正物が駆動手段にアクセスされることを抑制できる。その結果、駆動手段に不正がされることを抑制できる。
【２１４１】
遊技機Ｎ６において、前記第２部材は、前記第１部材側に突出され、前記第１部材の送球空間と連通して前記第１部材の送球空間に送球された遊技球を前記第２部材に送球可能な連通部を備え、前記連通部は、前記第３開口部の外側に配設されることを特徴とする遊技機Ｎ７。
【２１４２】
遊技機Ｎ７によれば、遊技機Ｎ６の奏する効果に加え、第２部材は、第１部材側に突出され、第１部材の送球空間と連通して第１部材の送球空間に送球された遊技球を第２部材に送球可能な連通部を備え、連通部は、第３開口部の外側に配設されることので、連通部と駆動手段との間に第３部材を配設することができる。よって、駆動手段の駆動により発生する磁力が連通部に作用しにくくすることができる。その結果、連通部に送球された遊技球が、駆動手段の磁力の影響を受けて連通部を通過する速度が遅くなる、又は、連通部で停止することを抑制でき、第１部材から第２部材への遊技球の送球を安定させることができる。
【２１４３】
遊技機Ｎ１において、前記ベース部材は、前記第１部材と対向する位置に開口形成される第１開口部を備え、前記第１部材は、その第１部材の背面側の少なくとも２箇所から突出する突出部を備え、前記突出部は、前記第１部材の背面から突出して前記第１開口部を挿通する第１片と、その第１片の端部で屈曲して前記第１開口部の外側に向かって延設される第２片と、正面視において前記ベース部材と重なる前記第２片の正面側に隆起する隆起部と、を備え、前記第１片は、前記ベース部材の正面視における前後方向の幅寸法よりも大きい値の突出寸法に設定され、前記隆起部は、前記第１部材の背面との対向間における寸法が、前記ベース部材の正面視における前後方向の幅寸法と同一または小さく設定され、前記第２片の屈曲先端が、前記固定手段により前記ベース部材に締結されることで、前記第１部材が前記ベース部材に対して背面側に付勢された状態で配設されることを特徴とする遊技機Ｎ８。
【２１４４】
遊技機Ｎ８によれば、遊技機Ｎ１の奏する効果に加え、ベース部材は、第１部材と対向する位置に開口形成される第１開口部を備え、第１部材は、その第１部材の背面側の少なくとも２箇所から突出する突出部を備え、突出部は、第１部材の背面から突出して第１開口部を挿通する第１片と、その第１片の端部で屈曲して第１開口部の外側に向かって延設される第２片と、正面視においてベース部材と重なる第２片の正面側に隆起する隆起部と、を備え、第１片は、ベース部材の正面視における前後方向の幅寸法よりも大きい値の突出寸法に設定され、隆起部は、第１部材の背面との対向間における寸法が、ベース部材の正面視における前後方向の幅寸法と同一または小さく設定され、第２片の屈曲先端が、固定手段によりベース部材に締結されることで、第１部材がベース部材に対して背面側に付勢された状態で配設されるので、第１部材の背面側に固定手段（例えばネジ）を締結する部分を備える必要がなくなり、第１部材に形成される遊技球の送球空間を確保することができる。その結果、送球空間を大きくすることができるので、第１部材に送球される遊技球の送球方向に変化をつけて、その送球に興趣をもたせやすくできる。
【２１４５】
また、固定手段の螺合部分をベース部材にできるので、その固定手段の螺合部分に付勢力が作用することで、第１部材の送球空間が弾性変形することを抑制できる。その結果、第１部材が弾性変形して、第１部材の送球経路から送球される遊技球の速度が遅くなることを抑制できる。
【２１４６】
遊技機Ｎ８において、前記ベース部材は、正面視において前後方向に開口形成される第２開口部と、その第２開口部に沿って前記ベース部材の正面側に配設される枠状部材とを備え、前記第１開口部と前記第２開口部とが連通することを特徴とする遊技機Ｎ９。
【２１４７】
遊技機Ｎ９によれば、遊技機Ｎ８の奏する効果に加え、ベース部材は、正面視において前後方向に開口形成される第２開口部と、その第２開口部に沿ってベース部材の正面側に配設される枠状部材とを備え、第１開口部と第２開口部とが連通するので、前記突設部を前記第２開口部の開口を利用して第１開口部の内側に配設することができる。よって、第１ユニットのベース部材への配設作業を簡易にすることができるので、製造コストを削減できる。
【２１４８】
＜下変位ユニット４００を一例とする発明の概念について＞
ベース部材と、そのベース部材に変位可能に配設される変位部材と、その変位部材に連結され、前記変位部材の変位に従動する従動部材と、を備える遊技機において、前記従動部材の従動方向以外の方向の揺動を規制する規制手段を備え、前記変位部材は、第１位置と第２位置との間で変位され、前記第１位置から前記第１位置および前記第２位置の中間位置の第３位置を変位する第１変位領域と、前記第３位置から前記第２位置を変位する第２変位領域と、を有し、前記従動部材は、前記変位部材が前記第１位置から前記第２位置に変位されることで、第１従動位置から第２従動位置に従動され、第１従動位置から前記第１従動位置および前記第２従動位置との中間位置の第３従動位置を変位する第１従動領域と、前記第３従動位置から前記第２従動位置を変位する第２従動領域と、を有し、前記第２変位領域と前記第１従動領域との少なくとも一部が同一の領域に設定され、前記変位部材が第２変位領域を変位される際に、前記規制手段により前記変位部材の変位方向以外の方向の揺動が規制されることを特徴とする遊技機Ｏ１。
【２１４９】
従来より、ベース部材と、そのベース部材に変位可能に配設される変位部材と、その変位部材に連結され、前記変位部材の変位に従動する従動部材と、を備え、変位部材の変位により従動部材を変位させる遊技機が知られている（例えば、特開２０１５−０２９８４９号公報）。しかしながら、従来の遊技機では、変位部材および従動部材の変位および従動方向以外の揺動を規制するために、変位部材および従動部材の両者の揺動を規制する規制手段を形成すると、規制手段を２箇所に形成する必要があり、その分、形状が複雑となり、製造コストが増加するという問題点があった。
【２１５０】
これに対し、遊技機Ｏ１では、変位部材は、従動部材の従動方向以外の方向の揺動を規制する規制手段を備え、変位部材は、第１位置と第２位置との間で変位され、第１位置から第１位置および第２位置の中間位置の第３位置を変位する第１変位領域と、第３位置から第２位置を変位する第２変位領域と、を有し、従動部材は、変位部材が第１位置から第２位置に変位されることで、第１従動位置から第２従動位置に従動され、第１従動位置から第１従動位置および第２従動位置との中間位置の第３従動位置を変位する第１従動領域と、第３従動位置から第２従動位置を変位する第２従動領域と、を有し、第２変位領域と第１従動領域との少なくとも一部が同一の領域に設定され、変位部材が第２変位領域を変位される際に、規制手段により変位部材の変位方向以外の方向の揺動が規制されるので、規制手段の同一の部分を利用して従動部材および変位部材の揺動を規制することができる。従って、規制手段を１箇所に形成すれば良いので、その分、形状を簡易にでき、製造コストを抑えることができる。
【２１５１】
また、従動部材および変位部材の揺動を規制手段の同一の部分を利用して規制することができるので、１の規制手段に従動部材と変位部材と規制部分をそれぞれ形成する必要がないので、その分、規制手段を小さくすることができる。
【２１５２】
遊技機Ｏ１において、前記規制手段は、前記ベース部材から前記従動部材側に突設される壁部として構成され、前記従動部材は、正面視において前記ベース部材の少なくとも一部と重なる位置で前記ベース部材と平行な平面上をスライド変位可能とされ、前記第１従動位置から前記第２従動位置への従動に伴って、正面視において前記ベース部材と重なる領域が次第に小さくされることを特徴とする遊技機Ｏ２。
【２１５３】
遊技機Ｏ２によれば、遊技機Ｏ１の奏する効果に加え、前記規制手段は、ベース部材から従動部材側に突設される壁部として構成され、従動部材は、正面視においてベース部材の少なくとも一部と重なる位置でベース部材と平行な平面上をスライド変位可能とされ、第１従動位置から第２従動位置への従動に伴って、正面視においてベース部材と重なる領域が次第に小さくされるので、第２従動位置では、正面視において従動部材がベース部材の外側に張り出す領域が第１従動位置に比べて大きくされる。よって、従動部材は、ベース部材の外側に張り出す分、ベース部材に配設される規制手段で揺動を規制することが困難とされる。従って、従動部材は、第１従動位置から第２従動位置に従動されるほどベース部材側に揺動しやすくなるところ、従動部材に連結する変位部材の揺動を規制することで、規制手段による規制箇所を増加して、従動部材が揺動しにくくすることができる。その結果、従動部材が第２従動領域に配置される場合に揺動することを抑制できる。
【２１５４】
遊技機Ｏ２において、前記従動部材は、正面視において一辺が長い矩形状に形成され、長手方向の一側に回転可能な回転軸を有し、前記ベース部材に回転可能に配設され、前記第１従動位置では、前記従動部材の長手方向が水平方向と略平行とされ、前記第１従動位置から前記第２従動位置に従動されると、前記従動部材が前記回転軸を中心に回転して、前記従動部材の他側が前記回転軸よりも重力方向上側に配置されることを特徴とする遊技機Ｏ３。
【２１５５】
遊技機Ｏ３によれば、遊技機Ｏ２の奏する効果に加え、従動部材は、正面視において一辺が長い矩形状に形成され、長手方向の一側に回転可能な回転軸を有し、ベース部材に回転可能に配設され、第１従動位置では、従動部材の長手方向が水平方向と略平行とされ、第１従動位置から第２従動位置に従動されると、従動部材が回転軸を中心に回転して、従動部材の他側が回転軸よりも重力方向上側に配置されるので、従動部材は、第１従動位置から第２従動位置に従動すると回転して長手側が起立する。従って、従動部材が起立する分、従動部材の荷重が回転軸に向かって作用しやすくなり、従動部材が荷重が従動部材の揺動方向に作用して、従動部材が揺動しやすくなる。
【２１５６】
これに対して、本実施形態では、従動部材に連結する変位部材の揺動を規制することで、規制手段による規制箇所を増加して、従動部材が揺動しにくくすることができる。その結果、従動部材が第２従動領域に配置される場合に揺動することを抑制できる。
【２１５７】
また、従動部材の他端側を持ち上げる力が必要になる第１従動領域を従動部材が従動する場合には、変位部材の規制が解除される第１位置から第３位置（第１変位領域）を変位させる必要があるところ、かかる変位部材は、第１変位領域では規制手段により規制が解除されるので、変位部材の動作が規制手段により遅くされることを抑制できる。従って、従動部材の変位力が必要な場合でに、従動部材の変位力を確保することができる。
【２１５８】
遊技機Ｏ２又はＯ３において、前記従動部材は、前記壁部に対向する位置に突設される突設部を備え、その突設部の先端が前記壁部に当接されて前記従動部材の変位が規制され、前記変位部材は、前記第２変位領域において前記従動部材と前記壁部との対向間の空間を変位可能に設定され、前記従動部材と前記壁部との対向方向において前記変位部材の少なくとも一部が前記従動部材と重なることを特徴とする遊技機Ｏ４。
【２１５９】
遊技機Ｏ４によれば、遊技機Ｏ２又はＯ３の奏する効果に加え、従動部材は、壁部に対向する位置に突設される突設部を備え、その突設部の先端が壁部に当接されて従動部材の変位が規制され、変位部材は、終端の変位領域において従動部材と壁部との対向間の空間を変位可能に設定され、従動部材と壁部との対向方向において変位部材の少なくとも一部が従動部材と重なるので、変位部材が、壁部と反対側に傾倒することを抑制できる。その結果、従動部材および壁部とで、変位部材の軸両方向の変位を規制することができ、変位部材が変位する場合に、揺動することを抑制できる。
【２１６０】
遊技機Ｏ４において、前記第２従動位置において前記変位部材の側面が、前記従動部材の前記突設部と当接されることを特徴とする遊技機Ｏ５。
【２１６１】
遊技機Ｏ５によれば、遊技機Ｏ４の奏する効果に加え、第２従動位置において変位部材の側面が従動部材の突設部に当接されるので、変位部材を第１従動位置から第２従動位置に変位させた際に、外縁を変位部材の突設部に当接させて停止させることができる。よって、突設部に壁部に当接して従動部材の変位を規制する役割と、変位部材の停止動作を補助する役割とを兼用させることができる。従って、変位部材および従動部材の変位可能なスペースを確保することができる。
【２１６２】
遊技機Ｏ５において、前記従動部材は、前記ベース部材に一端が軸支され、前記変位部材が前記第２従動位置に配置される場合に、前記従動部材の前記変位部材との連結部分の変位方向が、前記変位部材の軸心に向かう方向に設定されることを特徴とする遊技機Ｏ６。
【２１６３】
遊技機Ｏ６によれば、遊技機Ｏ５の奏する効果に加え、従動部材はベース部材に一端が軸支され、変位部材が第２従動位置に配置される場合に、従動部材の変位部材との連結部分の変位方向が、変位部材の軸心に向かう方向に設定されるので、従動部材の荷重が変位部材に作用した場合に、変位部材が従動部材の荷重により変位することを抑制できる。即ち、変位部材が第２従動位置に配置される場合には、従動部材と変位部材との関係を死点の関係にすることができるので、変位部材が変位することを抑制できる。その結果、第２従動位置において変位部材が駆動手段以外の外力で変位することを抑制できる。
【２１６４】
遊技機Ｏ５において、前記従動部材は、前記ベース部に一端が軸支され、前記変位部材が第２従動位置に配置される場合に、前記従動部材の前記変位部材との連結部分の変位方向と、前記突設部および変位部材の当接による反力の作用する方向と、を合成した方向が、前記変位部材の軸心に向かう方向に設定されることを特徴とする遊技機Ｏ７。
【２１６５】
遊技機Ｏ７によれば、遊技機Ｏ５の奏する効果に加え、従動部材は、ベース部材に一端が軸支され、変位部材が第２従動位置に配置される場合に、従動部材の変位部材との連結部分の変位方向と、突設部および変位部材の当接による反力の作用する方向と、を合成した方向が、変位部材の軸心に向かう方向に設定されるので、従動部材の荷重が変位部材に作用した場合に、変位部材が従動部材の荷重により変位することを抑制できる。即ち、変位部材が第２従動位置に配置される場合に、従動部材から変位部材に作用する力の方向を変位部材の軸心に向けることで、変位部材に軸支部分を中心に回転する方向の力が発生することを抑制できる。その結果、第２従動位置において変位部材が駆動手段以外の外力で変位することを抑制できる。
【２１６６】
遊技機Ｏ１からＯ７において、前記突設部は、前記壁部と所定の隙間を備えて配設され、前記変位部材が当接することで、前記壁部に当接されることを特徴とする遊技機Ｏ８。
【２１６７】
ここで、従動部材の突設部と壁部とが常時当接すると、駆動手段により変位部材を変位させる際に抵抗となり、変位部材を安定して変位させることが困難となる恐れがあった。
【２１６８】
遊技機Ｏ８によれば、突設部は、壁部と所定の隙間を備えて配設され、変位部材が当接することで、壁部に当接されるので、変位部材が第２従動位置に変位された場合に、変位部材が揺れ動くことを防止することができると共に、変位途中で突起と膨出部とが抵抗となることを抑制できる。
【２１６９】
＜下変位部材４４０を一例とする発明の概念について＞
正面視において少なくとも一部が背面側の光を透過可能な光透過性材料から形成される装飾部材と、その装飾部材の背面側に正面と平行な平面上を変位可能な状態で配設され、遊技球を受け入れて保持可能な受入部と、を備える遊技機において、前記装飾部材の背面側に配設され、前記受入部の変位領域に向けて光を出射可能な発光手段を備え、前記発光手段は、前記受入部の背面側、又は、前記装飾部材と前記受入部との間に配設され、前記受入部または受入部に受け入れられた遊技球により、前記発光手段から出射される光を遮断または反射して、前記装飾部材から出射される光の光量を部分的に異ならせることを特徴とする遊技機Ｐ１。
【２１７０】
従来より、正面視において少なくとも一部が背面側の光を透過可能な光透過性材料から形成される装飾部材と、その装飾部材の背面側に正面と平行な平面上を変位可能な状態で配設され、遊技球を受け入れて保持可能な受入部と、を備える遊技機が知られている（例えば、特開２０１０−１６６９９７号公報）。この遊技機によれば、受入部に遊技球を受け入れて保持した後に、受入部を移動させることで、受入部の移動に伴って遊技球を移動させる演出を行うことができる。
【２１７１】
しかしながら、上述した従来の遊技機では、受入部が、装飾部材の背面側に配設されるので、その分、受入部および受入部に受け入れた遊技球の位置を遊技者が認識し難くなる。そのため、受入部に遊技球が受け入れられた（保持された）後、受入部が移動すると、受入部および受入部に受け入れられた（保持された）遊技球がどの方向に移動したのかを遊技者が把握しにくくなり、受入部に受け入れられた遊技球の位置を遊技者が把握しにくいという問題点があった。
【２１７２】
これに対し、遊技機Ｐ１では、装飾部材の背面側に配設され、受入部の変位領域に向けて光を出射可能な発光手段を備え、発光手段は、受入部の背面側、又は、装飾部材と受入部との間に配設され、受入部または受入部に受け入れられた遊技球により、発光手段から出射される光を遮断または反射して、装飾部材から出射される光の光量を部分的に異ならせるので、受入部または受入部に受け入れられた遊技球の正面側に位置する装飾部材から出射される光の光量と、その他の位置の装飾部材から出射される光の光量と、を異ならせることで、その光量の異なる部分の背面側に受入部または受入部に受け入れられた遊技球が位置することを遊技者に認識させることができる。
【２１７３】
詳しく説明すると、受入部の背面側に発光手段が配設される場合には、発光手段から出射される光を受入部または受入部に受け入れた遊技球により遮断することで、受入部または受入部に受け入れた遊技球の正面側の装飾部材から出射される光の光量を装飾部材の他の部分よりも暗くすることができる。その結果、装飾部材から出射される光量の少ない（暗い）部分の背面側に受入部または受入部に受け入れた遊技球が位置することを遊技者に認識させることができる。
【２１７４】
一方、装飾部材と受入部との間に発光手段が配設される場合には、発光手段から出射される光を受入部または受入部に受け入れられた遊技球により反射することで、受入部または受入部に受け入れた遊技球の正面側の装飾部材から出射される光の光量を装飾部材の他の部分よりも明るくすることができる。その結果、装飾部材から出射される光量の多い（明るい）部分の背面側に受入部または受入部に受け入れた遊技球が位置することを遊技者に認識させることができる。
【２１７５】
遊技機Ｐ１において、前記受入部は、その受入部に保持される遊技球の中心よりも重力方向下側に形成され、前記発光手段は、前記受入部に保持される遊技球の中心と略同一の高さに光の出射部分が配置され、前記装飾部材の光透過部分が、前記発光手段の光の出射部分よりも高い位置に形成されることを特徴とする遊技機Ｐ２。
【２１７６】
ここで、発光手段から照射された光を装飾部材を透過させて、受入部または受入部に受け入れられる遊技球により光を反射または光を遮断する構造では、発光手段から出射される光が遊技球だけでなく、受入部にも照射されることで、受入部により光が反射または遮断されやすくなる。従って、装飾部材から出射される光の光量の違いにより形成される光の明暗が受入部の影響を受けることで、その明暗の形状が遊技球の外形と異なる形状となり、遊技者に光の光量の異なる部分の背面側に遊技球が配置されていることを認識させにくくなる恐れがあった。
【２１７７】
これに対し、遊技機Ｐ２では、遊技機Ｐ１の奏する効果に加え、受入部は、その受入部に保持される遊技球の中心よりも重力方向下側に形成され、発光手段は、受入部に保持される遊技球の中心と略同一の高さに光の出射部分が配置され、装飾部材の光透過部分が、発光手段の光の出射部分よりも高い位置に形成されるので、発光手段から出射されて受入部に遮断または反射されることで形成される光の明暗が、装飾部材の光透過部分を透過して装飾部材の正面側に形成されることを抑制できる。これにより、装飾部材の光透過部分を透過して形成される光の明暗の形状を遊技球の外形（円形状）に近づけることができる。その結果、遊技者に光の光量の異なる部分に遊技球が配置されていることを認識させやすくできる。
【２１７８】
遊技機Ｐ１又はＰ２において、前記受入部は、光透過性材料から形成されることを特徴とする遊技機Ｐ３。
【２１７９】
遊技機Ｐ３によれば、遊技機Ｐ１又はＰ２の奏する効果に加え、受入部は、光透過性材料から形成されるので、発光手段から照射される光が受入部により反射または遮断されることを抑制できる。これにより、受入部に遊技球が受け入れられていない場合に、装飾部材の光透過部分に光の光量の異なる部分が形成されることを抑制できる。従って、遊技球が受入部に受け入れられていない場合に、受入部の位置出し動作や復帰動作を遊技者に気づかれずに行うことができる。その結果、遊技者が受入部の位置出し動作や復帰動作で装飾部材を注視することを抑制して、注視させたい場合の受入部の変位動作にのみ遊技者を注視させることができる。
【２１８０】
遊技機Ｐ２またはＰ３において、非光透過性の材料から形成されて前記受入部の変位方向の一方側に連結される連結部材を備え、前記発光手段は、前記受入部の変位領域の背面側に配設され、前記連結部材は、前記受入部の変位距離よりも前記受入部の変位方向における寸法が大きく設定され、前記装飾部材の光透過部分の背面側に配置され、前記受入部の変位に伴って、前記発光手段と前記装飾部材との対向間に張り出し、又は、退避されることを特徴とする遊技機Ｐ４。
【２１８１】
遊技機Ｐ４によれば、遊技機Ｐ２又はＰ３の奏する効果に加え、非光透過性の材料から形成されて受入部の変位方向の一方側に連結される連結部材を備え、発光手段は、受入部の変位領域の背面側に配設され、連結部材は、受入部の変位距離よりも受入部の変位方向における寸法が大きく設定され、装飾部材の光透過部分の背面側に配置され、受入部の変位に伴って、発光手段と装飾部材との対向間に張り出し、又は、退避されるので、受入部の変位に伴なって、装飾部材からの光の出射面積を変更することができる。即ち、連結部材により発光手段から装飾部材に照射される光を遮断することができると共に、その光を遮る面積を受入部の変位に伴って変更することができる。その結果、受入部、連結部材が、発光手段と装飾部材との対向間に張り出し変位されることで、装飾部材から出射される光の出射面積を小さくすることができる。その結果、装飾部材の光の出射面が小さくされるので、受入部または受入部に受け入れられる遊技球により装飾部材から出射される光量の少ない部分を遊技者に認識させやすくできる。
【２１８２】
遊技機Ｐ４において、前記連結部材は、前記受入部を駆動する駆動手段の一部であることを特徴とする遊技機Ｐ５。
【２１８３】
遊技機Ｐ５によれば、遊技機Ｐ４の奏する効果に加え、連結部材は、受入部を駆動する駆動手段の一部であるので、駆動手段の駆動力を受入部に伝達する役割と、発光手段から出射される光を遮断する役割と、を連結部材に兼用させることができる。その結果、受入部を駆動する駆動手段の配設スペースを確保できる。
【２１８４】
遊技機Ｐ１からＰ５において、前記発光手段は、前記受入部の変位領域の背面側に配設され、前記受入部は、その受入部に受け入れられる遊技球より変位可能な変位部材を備え、前記変位部材は、非光透過性材料から形成されると共に、前記発光手段と前記装飾部材との対向間に突出または退避する位置で変位可能とされ、前記受入部に遊技球が受け入れられることで、前記発光手段と前記装飾部材との対向間に突出することを特徴とする遊技機Ｐ６。
【２１８５】
遊技機Ｐ６によれば、遊技機Ｐ１からＰ５のいずれかの奏する効果に加え、発光手段は、受入部の変位領域の背面側に配設され、受入部は、その受入部に受け入れられる遊技球より変位可能な変位部材を備え、変位部材は、非光透過性材料から形成されると共に、発光手段と装飾部材との対向間に突出または退避する位置で変位可能とされ、受入部に遊技球が受け入れられることで、発光手段と装飾部材との対向間に突出するので、受入部に遊技球が保持された場合にのみ、変位部材および遊技球により、発光手段から出射される光を遮断して、装飾部材に形成される影（暗い部分）で遊技球の位置を遊技者に認識させることができる。よって、遊技球が受入部に受け入れられていない場合に、受入部の位置出し動作や復帰動作を遊技者に気づかれずに行うことができる。その結果、遊技者が間違ったタイミングで装飾部材を注視することを抑制して、遊技者が集中して遊技を行うことができる。
【２１８６】
遊技機Ｐ１からＰ５において、前記発光手段は、前記受入部の変位領域の正面側に配設され、前記受入部は、その受入部に受け入れられる遊技球より変位可能な変位部材を備え、前記変位部材は、非光透過性材料から形成されると共に、前記発光手段と前記装飾部材との対向間に突出または退避する位置で変位可能とされ、前記受入部に遊技球が受け入れられることで、前記発光手段と遊技球との対向間に突出することを特徴とする遊技機Ｐ７。
【２１８７】
遊技機Ｐ７によれば、遊技機Ｐ１からＰ５のいずれかの奏する効果に加え、発光手段は、受入部の変位領域の正面側に配設され、受入部は、その受入部に受け入れられる遊技球より変位可能な変位部材を備え、変位部材は、非光透過性材料から形成されると共に、発光手段と装飾部材との対向間に突出または退避する位置で変位可能とされ、受入部に遊技球が受け入れられることで、発光手段と遊技球との対向間に突出するので、受入部に遊技球が保持された場合にのみ、変位部材および遊技球により、発光手段から出射される光を反射して、装飾部材に形成される明るい部分（他よりも光量が大き部分）で遊技球の位置を遊技者に認識させることができる。よって、遊技球が受入部に受け入れられていない場合に、受入部の位置出し動作や復帰動作を遊技者に気づかれずに行うことができる。その結果、遊技者が間違ったタイミングで装飾部材を注視することを抑制して、遊技者が集中して遊技を行うことができる。
【２１８８】
なお、この場合、変位部材は、一般的に光の反射率が樹脂材料よりも高い金属材料で形成される、又は、外面に金属の塗装がされることが好ましい。これにより、変位部材に照射される光を反射しやすくでき、装飾部材から出射される光の光量を違いを明確にして、遊技者に遊技球の位置を認識させやすくできる。
【２１８９】
遊技機Ｐ７において、前記変位部材は、背面側に凹む凹状の湾曲形状に形成されることを特徴とする遊技機Ｐ８。
【２１９０】
遊技機Ｐ８によれば、遊技機Ｐ７の奏する効果に加え、変位部材は、背面側に凹む凹状の湾曲形状に形成されるので、発光手段から変位部材に照射された光を装飾部材側に反射した際に、その反射した光が拡散しにくく（光を集光しやすく）することができる。従って、変位部材に反射されて装飾部材から出射される光を集めることで、光の光量を違いを明確にして、遊技者に遊技球の位置を認識させやすくできる。
【２１９１】
遊技機Ｐ１からＰ８において、前記装飾部材は、前記発光手段の照射方向に凸状に膨出して形成されることを特徴とする遊技機Ｐ９。
【２１９２】
遊技機Ｐ９によれば、遊技機Ｐ１からＰ８の奏する効果に加え、装飾部材は、発光手段の照射方向に凸状に膨出して形成されるので、装飾部材から透過される発光手段の光を拡散しやすくできる。その結果、受入部に受け入れられる遊技球により形成される光の光量が異なる部分を拡大して遊技者に認識させることができるので、受入部に受け入れられた遊技球の位置を遊技者に認識させやすくできる。
【２１９３】
遊技機０１からＰ９において、前記発光手段は、少なくとも２色以上の色を発光可能とされることを特徴とする遊技機Ｐ１０。
【２１９４】
遊技機Ｐ１０によれば、遊技機Ｐ１からＰ９の奏する効果に加え、発光手段は、少なくとも２色以上の色を発光可能とされるので、発光色により、受入部が配置される位置で期待度を変化させることができる。
【２１９５】
例えば、第１の発光色の第１の領域と、第２の発光色の第２の領域とで発光を分けると共に、第１の領域に受入部が配置された方が、大当たりの期待度を高くする。その結果、受入部に保持される遊技球の位置を遊技者に注視させやすくできる。
【２１９６】
なお、この場合、第１の領域の範囲と第２の領域の範囲は、発光色を変更するのみで変化させることができるので、発光する範囲を変更することで、演出の形態を複数形成することができ、遊技者に興趣を与えやすくできる。
【２１９７】
遊技機Ａ１からＡ１４，Ｂ１からＢ８，Ｃ１からＣ１４、Ｄ１からＤ８、Ｅ１からＥ１２、Ｆ１からＦ１０、Ｇ１からＧ８、Ｈ１からＨ８、Ｉ１からＩ１３、Ｊ１からＪ９、Ｋ１からＫ１２、Ｌ１からＬ１０、Ｍ１からＭ１０、Ｎ１からＮ９、Ｏ１からＯ８及びＰ１からＰ１０のいずれかにおいて、前記遊技機はスロットマシンであることを特徴とする遊技機Ｑ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【２１９８】
遊技機Ａ１からＡ１４，Ｂ１からＢ８，Ｃ１からＣ１４、Ｄ１からＤ８、Ｅ１からＥ１２、Ｆ１からＦ１０、Ｇ１からＧ８、Ｈ１からＨ８、Ｉ１からＩ１３、Ｊ１からＪ９、Ｋ１からＫ１２、Ｌ１からＬ１０、Ｍ１からＭ１０、Ｎ１からＮ９、Ｏ１からＯ８及びＰ１からＰ１０のいずれかにおいて、前記遊技機はパチンコ遊技機であることを特徴とする遊技機Ｑ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【２１９９】
遊技機Ａ１からＡ１４，Ｂ１からＢ８，Ｃ１からＣ１４、Ｄ１からＤ８、Ｅ１からＥ１２、Ｆ１からＦ１０、Ｇ１からＧ８、Ｈ１からＨ８、Ｉ１からＩ１３、Ｊ１からＪ９、Ｋ１からＫ１２、Ｌ１からＬ１０、Ｍ１からＭ１０、Ｎ１からＮ９、Ｏ１からＯ８及びＰ１からＰ１０のいずれかにおいて、前記遊技機はパチンコ遊技機とスロットマシンとを融合させたものであることを特徴とする遊技機Ｑ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【２２００】
１０                            パチンコ機
１１                            外枠
１３，２５０１３，２６０１３，２７０１３，２８０１３，２９０１３，３００１３，３１０１３  遊技盤
６０，３４０６０，４２０６０    ベース板（遊技盤）
６０ａ                          第１開口部（第２開口部）
６０ｂ                          第２開口部
６０ｃ                          装飾部材（第１装飾手段）
３４０６０ｄ                    凹部（第１開口部）
３５０６０ｅ                    摺動孔（第１開口部）
６３                            一般入賞口（流入口）
８６                            センターフレーム（枠状部材）
８６ｂ                          突設部（第３部材）
８６ｂ１                        開口部
８６ｂ３                        検出装置（検出手段）
８６ｂ５                        立設部（折返片）
１００，４２１００，４３１００，４４１００  基板ボックス
４３１０１，４５１０１          被係合部（係合部）
１５０                          一般入賞口ユニット（板部材）
１５１                          本体部（正面部材）
１５４，１０１５４，２５１５４  装飾部材（第２装飾手段）
１５１ａ，２６１５１ａ，２７１５１ａ，２８１５１ａ，３１１５１ａ  傾斜面（傾斜部）
１５１ｂ，２８１５１ｂ，２９１５１ｂ，３０１５１ｂ  凹部（凹部）
１５１ｂ２                      凹設底面
１５５                          突起
３００，１５３００，１５３００，１６３００，１７３００，１８３００，１９３００，２０３００，２１３００，２２３００，２３３００，２４３００，４２３００，４３３００，４４３００  背面ケース（背面部材）
３０１ｃ                        第１開口部
３０１ｄ                        第２開口部（開口部）
３１０，１４３１０，１５３１０，１６３１０，１８３１０，１９３１０，２０３１０，２２３１０，２３３１０，２４３１０  係合部材（変位部材）
３１１，１４３１１，１５３１１，１６３１１，１８３１１，２２３１１，２４３１１  弾性片（第１片）
３１５，１４３１５，１５３１５  操作子
３１５ａ，１４３１５ａ          傾斜面（抑制手段）
２４３１６                      係合部（第１突部）
３２０，１８３２０，２０３２０，２２３２０，２３３２０，２４３２０  固定部材
３２２，１８３２２，２２３３２，２３３３２，２４３３２  被係合部（係合部）
２４３３５                      収容部
２４３３５ａ                    段部（第２突部）
３４０                          軸支部材（固定部材）
１９３６０，２４３６０          操作子
４１０                          ベース部材
４１１ｅ                        湾曲壁部（規制手段、壁部）
４１１ｆ                        回収口（回収部材）
４２２                          カム部材（支持構造の一部、変位部材）
４３０                          リンク部材（支持構造の一部、従動部材）
４４４１ｇ                      係合壁（挿入部材）
１１４５０                      装飾部材
１１４５１ａ                    透過部
４６０                          伝達機構
２４６４                        可動ラック（逆部材）
４６５                          伝達ギヤ（ピニオンギヤ）
４６６                          ラック（ラック部材）
１１４６６ｅ                    遮蔽板（連結部材）
４６７，１２４６７              球受部（変位部材、受入部）
１２４６７ｃ                    第１片（本体部）
１２４６７ｄ                    第２片（変位部）
１２４６７ｅ                    第３片（遮蔽部）
１１４９１                      制御基板（基板部材）
１１４９１ａ                    発光体（発光部）
３４６８                        第１リンク部材（逆部材）
４７０                          ベース部材（基部材）
４７１ａ                        立設壁（壁部）
４８１ｂ１                      凹部
４９１                          制御基板（発光手段）
４９２                          変位部材（規制手段）
５２０                          ベース板（第２ベース部材）
５２５                          転動部（通路部材）
５２５ｂ                        突起（抵抗手段）
５４０                          振分け部材（規制手段、振分手段、一体部材）
５４０ａ                        脚部（突部）
５４１                          規制板（第１出没部、振分手段）
５４２                          貯留板（第２出没部、流下状態変更手段）
５５０，１３５５０，３２５５０，３４５５０，３５５５０，３６５５０，３７５５０  特別入賞装置（経路ユニット）
５５１                          第１ユニット（第１の案内経路、第１部材）
５５２                          第２ユニット（第２の案内経路、第２部材）
５６１                          第１受入部（第１の入賞口）
５６２                          第２受入部（第２の入賞口）
５６３                          第３受入部（第３の入賞口）
５６４，１３５６４，３２５６４，３４５６４，３５５６４，４１５６４  正面板（第１部材）
５６４ａ                        案内部（突壁）
５６４ｃ，４１５６４ｃ          第２凸部（案内手段の一部、凸部）
５６４ｂ，４１５６４ｂ          第１凸部（第２案内手段の一部、第２凸部）
１３５６４                      正面板（第１部材）
１３５６４ｂ                    第１凸部（突起）
１３５６４ｃ                    第２凸部（突起）
５７１，１３５７１，３２５７１，３４５７１，３５５７１，４１５７１  ベース板（第２部材）
５７１ｉ，４１５７１ｉ          第２凹部（案内手段の一部、凹部）
５７１ｈ，４１５７１ｈ          第１凹部（第２案内手段の一部、第２凹部）
１３５７１                      ベース板（第２部材）
１３５７１ｂ                    第４凸部（突起）
１３５７１ｃ                    第５凸部（突起）
５７４ａ                        第１受入凹部（第３の入賞口）
５７４ｂ                        第２受入凹部（第３の入賞口）
３４５７９，３５５７９          支持部（突出部）
４０５８１ａ１                  開口
４０５８１ａ２                  収容部
５８３ａ                        第１ソレノイド（駆動手段）
５８３ｂ                        第１可変板（可変板、板部材）
５８４ａ                        第２ソレノイド（駆動手段）
５８４ｂ                        第２可変板（可変板、板部材）
６１５                          第１連通路（分岐経路）
６１６                          第２連通路（分岐経路）
６２２                          中央開口部（開口、挿入部）
６３４                          第２中央開口部（開口、挿入部）
７００                          回転ユニット（第１部材）
７７１０                        変位部材
７７１３                        球受け部材（受け止め部）
７７２０                        伝達部材（伝達手段）
７７２１                        回転部材（本体部）
７７２２                        駆動ピン（ピン部）
７７２３                        アーム部材
７７２３ａ                      被駆動溝（摺動溝）
７３０                          左側伝達部材（回転側伝達手段、第２部材）
７３１                          伝達機構（ワンウェイクラッチ機構）
７３１ａ                        伝達ギヤ（歯車列の一部）
７３１ｂ                        伝達ギヤ（歯車列の一部）
７３１ｃ                        伝達ギヤ（歯車列の一部）
７３１ｄ                        伝達ギヤ（歯車列の一部）
７３１ｅ，７７３０              負荷ギヤ（負荷用歯車）
７４０                          右側伝達部材（変位側伝達手段、第１部材）
７４１                          回転部材（クランク部材）
７４１ａ                        突起（ピン部）
７４２                          アーム部材
７４２ｂ                        第１摺動溝（摺動溝）
７６０                          箱部材（蓋部材）
７７０                          蓋部材（変位部材、第１部材）
７８０                          回転規制部材（変位規制手段）
８００                          回転体（回動部材、第２部材）
８１０                          ベース板（固定部材）
８１１ｂ                        連通孔（開口）
８１２ｂ                        連通孔（第２連通口）
８２０                          ＬＥＤ基盤（発光手段）
８３１                          開口（第１連通口）
８７０                          開閉部材（変位部材）
８７１                          突起（変位設定手段の一部、連結手段の一部）
８９２                          摺動溝（変位設定手段の一部、連結手段の一部）
ＫＲ１                          第１送球経路（流下経路）
ＫＲ２                          第２送球経路（第２分岐通路）
ＫＲ３                          第３送球経路（第１分岐通路）
ＳＰ４                          付勢ばね（付勢手段）
ＫＭ４                          駆動モータ（駆動手段）
ＯＷ１                          ワンウェイクラッチ（係合手段）
ＳＫ１                          主経路（第１経路、案内経路の一部）
ＳＫ２                          主経路（第１経路、第２経路、案内経路の一部、上流側経路）
ＳＫ３                          主経路（第２経路、案内経路の一部、下流側経路）
ＳＫ４                          主経路（案内経路の一部、迂回路）
ＳＫ５                          主経路（案内経路の一部）
ＳＫ６                          主経路（案内経路の一部）
ＳＫ７                          主経路（案内経路の一部）
ＨＫ１                          副経路（案内経路の一部）
ＨＫ２                          副経路（案内経路の一部）
ＨＫ３                          副経路（案内経路の一部）
ＷＫ１                          湾曲経路（第３経路、案内経路の一部、変更経路）
ＳＩ                            シム部材（調整手段）
【図１】
2020124639.tif 000003
【図２】
2020124639.tif 000004
【図３】
2020124639.tif 000005
【図４】
2020124639.tif 000006
【図５】
2020124639.tif 000007
【図６】
2020124639.tif 000008
【図７】
2020124639.tif 000009
【図８】
2020124639.tif 000010
【図９】
2020124639.tif 000011
【図１０】
2020124639.tif 000012
【図１１】
2020124639.tif 000013
【図１２】
2020124639.tif 000014
【図１３】
2020124639.tif 000015
【図１４】
2020124639.tif 000016
【図１５】
2020124639.tif 000017
【図１６】
2020124639.tif 000018
【図１７】
2020124639.tif 000019
【図１８】
2020124639.tif 000020
【図１９】
2020124639.tif 000021
【図２０】
2020124639.tif 000022
【図２１】
2020124639.tif 000023
【図２２】
2020124639.tif 000024
【図２３】
2020124639.tif 000025
【図２４】
2020124639.tif 000026
【図２５】
2020124639.tif 000027
【図２６】
2020124639.tif 000028
【図２７】
2020124639.tif 000029
【図２８】
2020124639.tif 000030
【図２９】
2020124639.tif 000031
【図３０】
2020124639.tif 000032
【図３１】
2020124639.tif 000033
【図３２】
2020124639.tif 000034
【図３３】
2020124639.tif 000035
【図３４】
2020124639.tif 000036
【図３５】
2020124639.tif 000037
【図３６】
2020124639.tif 000038
【図３７】
2020124639.tif 000039
【図３８】
2020124639.tif 000040
【図３９】
2020124639.tif 000041
【図４０】
2020124639.tif 000042
【図４１】
2020124639.tif 000043
【図４２】
2020124639.tif 000044
【図４３】
2020124639.tif 000045
【図４４】
2020124639.tif 000046
【図４５】
2020124639.tif 000047
【図４６】
2020124639.tif 000048
【図４７】
2020124639.tif 000049
【図４８】
2020124639.tif 000050
【図４９】
2020124639.tif 000051
【図５０】
2020124639.tif 000052
【図５１】
2020124639.tif 000053
【図５２】
2020124639.tif 000054
【図５３】
2020124639.tif 000055
【図５４】
2020124639.tif 000056
【図５５】
2020124639.tif 000057
【図５６】
2020124639.tif 000058
【図５７】
2020124639.tif 000059
【図５８】
2020124639.tif 000060
【図５９】
2020124639.tif 000061
【図６０】
2020124639.tif 000062
【図６１】
2020124639.tif 000063
【図６２】
2020124639.tif 000064
【図６３】
2020124639.tif 000065
【図６４】
2020124639.tif 000066
【図６５】
2020124639.tif 000067
【図６６】
2020124639.tif 000068
【図６７】
2020124639.tif 000069
【図６８】
2020124639.tif 000070
【図６９】
2020124639.tif 000071
【図７０】
2020124639.tif 000072
【図７１】
2020124639.tif 000073
【図７２】
2020124639.tif 000074
【図７３】
2020124639.tif 000075
【図７４】
2020124639.tif 000076
【図７５】
2020124639.tif 000077
【図７６】
2020124639.tif 000078
【図７７】
2020124639.tif 000079
【図７８】
2020124639.tif 000080
【図７９】
2020124639.tif 000081
【図８０】
2020124639.tif 000082
【図８１】
2020124639.tif 000083
【図８２】
2020124639.tif 000084
【図８３】
2020124639.tif 000085
【図８４】
2020124639.tif 000086
【図８５】
2020124639.tif 000087
【図８６】
2020124639.tif 000088
【図８７】
2020124639.tif 000089
【図８８】
2020124639.tif 000090
【図８９】
2020124639.tif 000091
【図９０】
2020124639.tif 000092
【図９１】
2020124639.tif 000093
【図９２】
2020124639.tif 000094
【図９３】
2020124639.tif 000095
【図９４】
2020124639.tif 000096
【図９５】
2020124639.tif 000097
【図９６】
2020124639.tif 000098
【図９７】
2020124639.tif 000099
【図９８】
2020124639.tif 000100
【図９９】
2020124639.tif 000101
【図１００】
2020124639.tif 000102
【図１０１】
2020124639.tif 000103
【図１０２】
2020124639.tif 000104
【図１０３】
2020124639.tif 000105
【図１０４】
2020124639.tif 000106
【図１０５】
2020124639.tif 000107
【図１０６】
2020124639.tif 000108
【図１０７】
2020124639.tif 000109
【図１０８】
2020124639.tif 000110
【図１０９】
2020124639.tif 000111
【図１１０】
2020124639.tif 000112
【図１１１】
2020124639.tif 000113
【図１１２】
2020124639.tif 000114
【図１１３】
2020124639.tif 000115
【図１１４】
2020124639.tif 000116
【図１１５】
2020124639.tif 000117
【図１１６】
2020124639.tif 000118
【図１１７】
2020124639.tif 000119
【図１１８】
2020124639.tif 000120
【図１１９】
2020124639.tif 000121
【図１２０】
2020124639.tif 000122
【図１２１】
2020124639.tif 000123
【図１２２】
2020124639.tif 000124
【図１２３】
2020124639.tif 000125
【図１２４】
2020124639.tif 000126
【図１２５】
2020124639.tif 000127
【図１２６】
2020124639.tif 000128
【図１２７】